(57)【要約】      （修正有）【課題】口座及び取引を管理するより高速なより効率的な方法及びインタフェースを有する電子デバイスを提供する。【解決手段】口座が電子デバイス（ポータブル多機能デバイス１００）上でプロビジョニングされる。デバイスは、電子デバイス上でプロビジョニングされた口座に積み立てるために価値を受信する。電子デバイスは、プロビジョニングされた口座を使用して非接触取引端末と取引し、取引のインジケーションを表示する。電子デバイスは、認証をチェックすることなくプロビジョニングされた口座に対応する情報を送信する。デバイスは、口座を第１のデバイスから第２のデバイスに移動させるプロセスを開始するユーザ入力を受信する。デバイスは、支払い基準のセットが満たされるときに口座支払い認証情報を第２のデバイスから受信する。【選択図】図１５Ｌ
2019032845.tif 000002
【特許請求の範囲】
【請求項１】
１つ以上の入力デバイス及び１つ以上の短距離通信無線機を有する電子デバイスにおいて、
前記１つ以上の短距離通信無線機によって、カードのカード口座番号を受信することであって、前記カードは、記憶された価値を有する、ことと、
前記カードの所有権を検証するための検証情報を要求することと、
前記１つ以上の入力デバイスを介して、前記カードの所有権を検証するための検証情報を含む前記電子デバイスのユーザからの入力を受信することと、
前記検証情報を前記検証情報と別個に受信される前記カードに関する別個の情報と比較することによって前記カードの所有権を検証することと、
所有権の検証が成功しているとの判定に従って、
価値の転送のための価値の転送動作を実行するプロンプトを生成することと、
前記価値の転送動作と共に、前記記憶された価値のうちの少なくともいくつかを前記カードから前記電子デバイスに記憶された仮想カードに転送することと、
を含む方法。
【請求項２】
前記検証情報は、前記カード上に示されない情報である、請求項１に記載の方法。
【請求項３】
前記カードは、ストアドバリューカードである、請求項１又は２に記載の方法。
【請求項４】
前記価値の転送が成功していないとの判定に従って、
前記価値の転送のための前記価値の転送動作を実行する第２のプロンプトを生成することを更に含む、請求項１から３のいずれか一項に記載の方法。
【請求項５】
所有権の検証が成功していないとの判定に従って、
所有権の検証が成功しなかったことを示すフィードバックを生成することを更に含む、請求項１から４のいずれか一項に記載の方法。
【請求項６】
前記カードが登録されているとの判定に従って、
前記カードの所有権を検証するための検証情報を要求することは、前記カード上に示されない情報を要求することを含み、
前記カードが登録されていないとの判定に従って、
前記カードの所有権を検証するための検証情報を要求することは、前記カード上に示される情報を要求することを含む、請求項１から５のいずれか一項に記載の方法。
【請求項７】
前記カードが登録されていないとの判定に従って、かつ前記カードの所有権を検証する前に、
前記カードの所有権を検証するための検証情報を要求することの一部として、前記カードのユーザにより提供される口座番号を要求することと、
前記カードの所有権を検証するための検証情報を含む前記電子デバイスの前記ユーザからの入力を受信することの一部として、前記カードの前記ユーザにより提供される口座番号を受信することと、
前記検証情報を別個の情報と比較することによって前記カードの所有権を検証することの一部として、前記ユーザにより提供される口座番号を前記カード口座番号と比較することであって、前記別個の情報は、前記カードの前記受信されたカード口座番号を含む、ことと、
を更に含む、請求項１から６のいずれか一項に記載の方法。
【請求項８】
前記電子デバイスは、前記１つ以上の入力デバイスを介して、前記カードの所有権を検証するための検証情報を含む前記電子デバイスの前記ユーザからの入力を受信する前に、前記カードの前記カード口座番号を提示しない、請求項１から７のいずれか一項に記載の方法。
【請求項９】
前記カードが登録されているとの判定に従って、
前記カードの前記カード口座番号を送信することと、
前記別個の情報を受信することと、
を更に含む、請求項１から８のいずれか一項に記載の方法。
【請求項１０】
前記カードのユーザにより提供される口座番号を受信することを見合わせることを更に含む、請求項１から９のいずれか一項に記載の方法。
【請求項１１】
前記電子デバイスは、ディスプレイを含み、前記方法は、
前記記憶された価値のうちの少なくともいくつかを前記カードから前記電子デバイスに記憶された前記仮想カードに転送したことに続いて、
前記ディスプレイ上で、前記仮想カードのトランジットプラン情報を表示することを更に含み、前記トランジットプラン情報は、前記転送された前記記憶された価値のうちの少なくともいくつかに基づいている、請求項１から１０のいずれか一項に記載の方法。
【請求項１２】
前記電子デバイスは、ディスプレイを含み、前記方法は、
前記記憶された価値のうちの少なくともいくつかを前記カードから前記電子デバイスに記憶された前記仮想カードに転送したことに続いて、
前記ディスプレイ上で、前記仮想カードの残高、前記仮想カードに登録された口座のユーザ名、及び前記仮想カードのトランジットプラン情報のうちの１つ以上を表示することを更に含む、請求項１から１１のいずれか一項に記載の方法。
【請求項１３】
前記記憶された価値のうちの少なくともいくつかを前記カードから前記電子デバイスに記憶された前記仮想カードに転送することは、
前記記憶された価値を前記カードから除去することと、
前記カードを非アクティブ化する要求をサーバに送信することと、
を含む、請求項１から１２のいずれか一項に記載の方法。
【請求項１４】
前記電子デバイスが別のリンクされたトランジット口座を有さないとの判定に従って、認証をチェックすることなく前記仮想カードの口座を使用のために利用可能とするように指定することと、
前記電子デバイスが１つ以上の他のリンクされたトランジット口座を有するとの判定に従って、認証をチェックすることなく前記仮想カードの前記口座を使用のために利用可能とするように指定することを見合わせることと、
を含む、請求項１から１３のいずれか一項に記載の方法。
【請求項１５】
前記電子デバイスが別のリンクされたトランジット口座を有さないとの判定に従って、
認証をチェックすることなく口座を使用のために利用可能としない要望を示すユーザ入力を受信したことに従って、認証をチェックすることなく前記仮想カードの前記口座を使用のために利用可能とするように指定することを見合わせることを含む、請求項１から１４のいずれか一項に記載の方法。
【請求項１６】
認証をチェックすることなく口座を使用のために利用可能としない要望を示すユーザ入力を受信することと、
認証をチェックすることなく口座を使用のために利用可能としない前記要望を示す前記ユーザ入力を受信したことに応じて、認証をチェックすることなく前記仮想カードの口座を使用のために利用可能としないように指定することと、
を含む、請求項１から１５のいずれか一項に記載の方法。
【請求項１７】
認証をチェックすることなく使用のために利用可能とする口座を選択するユーザ入力を受信することと、
認証をチェックすることなく使用のために利用可能とする前記口座を選択する前記ユーザ入力を受信したことに応じて、認証をチェックすることなく前記選択された口座を使用のために利用可能とするように指定することと、
を含む、請求項１から１６のいずれか一項に記載の方法。
【請求項１８】
前記カードの前記カード口座番号を受信する前に、かつ前記カードの所有権を検証する前に、前記仮想カードは、前記デバイスに記憶される、請求項１から１７のいずれか一項に記載の方法。
【請求項１９】
前記電子デバイスは、ディスプレイを含み、前記方法は、
前記記憶された価値のうちの少なくともいくつかを前記カードから前記電子デバイスに記憶された前記仮想カードに転送したことに続いて、
前記ディスプレイ上で、前記仮想カードの記憶された価値を表示することを更に含む、請求項１から１８のいずれか一項に記載の方法。
【請求項２０】
１つ以上の入力デバイス及び１つ以上の短距離通信無線機を有する電子デバイスの１つ以上のプロセッサによって実行されるように構成された１つ以上のプログラムを記憶したコンピュータ可読記憶媒体であって、前記１つ以上のプログラムは、請求項１から１９のいずれか一項に記載の方法を実行する命令を含む、コンピュータ可読記憶媒体。
【請求項２１】
１つ以上の入力デバイスと、
１つ以上の短距離通信無線機と、
１つ以上のプロセッサと、
前記１つ以上のプロセッサによって実行されるように構成された１つ以上のプログラムを記憶したメモリと、
を備え、前記１つ以上のプログラムは、請求項１から１９のいずれか一項に記載の方法を実行する命令を含む、電子デバイス。
【請求項２２】
１つ以上の入力デバイスと、
１つ以上の短距離通信無線機と、
請求項１から１９のいずれか一項に記載の方法を実行するための手段と、
を備える電子デバイス。
【請求項２３】
１つ以上の入力デバイス及び１つ以上の短距離通信無線機を有する電子デバイスの１つ以上のプロセッサによって実行されるように構成された１つ以上のプログラムを記憶した非一時的コンピュータ可読記憶媒体であって、前記１つ以上のプログラムは、
前記１つ以上の短距離通信無線機によって、カードであって、前記カードは、記憶された価値を有する、カードのカード口座番号を受信し、
前記カードの所有権を検証するための検証情報を要求し、
前記１つ以上の入力デバイスを介して、前記カードの所有権を検証するための検証情報を含む前記電子デバイスのユーザからの入力を受信し、
前記検証情報を前記検証情報と別個に受信される前記カードに関する別個の情報と比較することによって前記カードの所有権を検証し、
所有権の検証が成功しているとの判定に従って、
価値の転送のための価値の転送動作を実行するプロンプトを生成し、
前記価値の転送動作と共に、前記記憶された価値のうちの少なくともいくつかを前記カードから前記電子デバイスに記憶された仮想カードに転送する、
命令を含む、非一時的コンピュータ可読記憶媒体。
【請求項２４】
１つ以上の入力デバイスと、
１つ以上の短距離通信無線機と、
１つ以上のプロセッサと、
１つ以上のプロセッサによって実行されるように構成された１つ以上のプログラムを記憶したメモリと、
を備え、前記１つ以上のプログラムは、
前記１つ以上の短距離通信無線機によって、カードであって、前記カードは、記憶された価値を有する、カードのカード口座番号を受信し、
前記カードの所有権を検証するための検証情報を要求し、
前記１つ以上の入力デバイスを介して、前記カードの所有権を検証するための検証情報を含む前記電子デバイスのユーザからの入力を受信し、
前記検証情報を前記検証情報と別個に受信される前記カードに関する別個の情報と比較することによって前記カードの所有権を検証し、
所有権の検証が成功しているとの判定に従って、
価値の転送のための価値の転送動作を実行するプロンプトを生成し、
前記価値の転送動作と共に、前記記憶された価値のうちの少なくともいくつかを前記カードから前記電子デバイスに記憶された仮想カードに転送する、
命令を含む、電子デバイス。
【請求項２５】
１つ以上の入力デバイスと、
１つ以上の短距離通信無線機と、
前記１つ以上の短距離通信無線機によって、カードのカード口座番号を受信する手段であって、前記カードは、記憶された価値を有する、手段と、
前記カードの所有権を検証するための検証情報を要求する手段と、
前記１つ以上の入力デバイスを介して、前記カードの所有権を検証するための検証情報を含む前記電子デバイスのユーザからの入力を受信する手段と、
前記検証情報を前記検証情報と別個に受信される前記カードに関する別個の情報と比較することによって前記カードの所有権を検証する手段と、
所有権の検証が成功しているとの判定に従って、
価値の転送のための価値の転送動作を実行するプロンプトを生成し、
前記価値の転送動作と共に、前記記憶された価値のうちの少なくともいくつかを前記カードから前記電子デバイスに記憶された仮想カードに転送する、
手段と、
を備える電子デバイス。
【請求項２６】
ディスプレイ、１つ以上の入力デバイス、及び１つ以上の短距離通信無線機を有する電子デバイスにおいて、
ストアドバリューカードの所有権を検証するための検証情報を要求することであって、前記ストアドバリューカードは、記憶された価値を有する、ことと、
前記１つ以上の入力デバイスを介して、前記カードの所有権を検証するための検証情報を含む前記電子デバイスのユーザからの入力を受信することであって、前記検証情報は、前記カード上に示されない情報を含む、ことと、
前記電子デバイスの前記ディスプレイ上で、前記電子デバイスを前記ストアドバリューカードの通信範囲内に配置するプロンプトを表示することと、
前記１つ以上の短距離通信無線機によって、識別情報を前記ストアドバリューカードから受信することと、
前記検証情報を前記識別情報と比較することによって前記ストアドバリューカードの所有権を検証することと、
所有権の検証が成功しているとの判定に従って、
前記記憶された価値のうちの少なくともいくつかを前記ストアドバリューカードから前記電子デバイスに記憶された仮想カードに転送することと、
を含む方法。
【請求項２７】
所有権の検証が成功していないとの判定に従って、
所有権の検証が成功しなかったことを示すフィードバックを生成することと、
前記ストアドバリューカードの所有権を検証するための検証情報を要求することと、
を更に含む、請求項２６に記載の方法。
【請求項２８】
前記記憶された価値のうちの少なくともいくつかを前記ストアドバリューカードから前記電子デバイスに記憶された前記仮想カードに転送することは、
前記記憶された価値を前記ストアドバリューカードから除去することと、
前記ストアドバリューカードを非アクティブ化する要求をサーバに送信することと、
を含む、請求項２６又は２７に記載の方法。
【請求項２９】
前記ストアドバリューカードは、ストアドバリュートランジットカードである、請求項２６から２８のいずれか一項に記載の方法。
【請求項３０】
前記仮想カードは、トランジット仮想カードである、請求項２６から２９のいずれか一項に記載の方法。
【請求項３１】
前記仮想カードは、ストアドバリュー仮想カードである、請求項２６から３０のいずれか一項に記載の方法。
【請求項３２】
前記検証情報は、前記ストアドバリューカードのカード口座番号である、請求項２６から３１のいずれか一項に記載の方法。
【請求項３３】
前記電子デバイスは、前記１つ以上の入力デバイスを介して、前記カードの所有権を検証するための検証情報を含む前記電子デバイスの前記ユーザからの入力を受信する前に、前記ストアドバリューカードの前記カード口座番号を提示しない、請求項２６から３２のいずれか一項に記載の方法。
【請求項３４】
前記記憶された価値のうちの少なくともいくつかを前記ストアドバリューカードから前記電子デバイスに記憶された前記仮想カードに転送したことに続いて、
前記ディスプレイ上で、前記仮想カードの記憶された価値を表示する、ことを含む、請求項２６から３３のいずれか一項に記載の方法。
【請求項３５】
前記記憶された価値のうちの少なくともいくつかを前記ストアドバリューカードから前記電子デバイスに記憶された仮想カードに転送したことに続いて、
前記仮想カードのトランジットプラン情報を表示することを更に含み、前記トランジットプラン情報は、前記転送された前記記憶された価値のうちの少なくともいくつかに基づいている、請求項２６から３４のいずれか一項に記載の方法。
【請求項３６】
前記記憶された価値のうちの少なくともいくつかを前記ストアドバリューカードから前記電子デバイスに記憶された仮想カードに転送したことに続いて、
前記仮想カードの残高、前記仮想カードに登録された口座のユーザ名、及び前記仮想カードのトランジットプラン情報のうちの１つ以上を表示することを更に含む、請求項２６から３５のいずれか一項に記載の方法。
【請求項３７】
前記検証情報は、前記ストアドバリューカードの登録されたユーザに個人的な情報である、請求項２６から３６のいずれか一項に記載の方法。
【請求項３８】
前記電子デバイスが別のリンクされたトランジット口座を有さないとの判定に従って、認証をチェックすることなく前記仮想カードの口座を使用のために利用可能とするように指定することと、
前記電子デバイスが１つ以上の他のリンクされたトランジット口座を有するとの判定に従って、認証をチェックすることなく前記仮想カードの前記口座を使用のために利用可能とするように指定することを見合わせることと、
を含む、請求項２６から３７のいずれか一項に記載の方法。
【請求項３９】
前記電子デバイスが別のリンクされたトランジット口座を有さないとの判定に従って、
認証をチェックすることなく口座を使用のために利用可能としない要望を示すユーザ入力を受信したことに従って、認証をチェックすることなく前記仮想カードの前記口座を使用のために利用可能とするように指定することを見合わせることを含む、請求項２６から３８のいずれか一項に記載の方法。
【請求項４０】
認証をチェックすることなく口座を使用のために利用可能としない要望を示すユーザ入力を受信することと、
認証をチェックすることなく口座を使用のために利用可能としない前記要望を示す前記ユーザ入力を受信したことに応じて、認証をチェックすることなく前記仮想カードの口座を使用のために利用可能としないように指定することと、
を含む、請求項２６から３９のいずれか一項に記載の方法。
【請求項４１】
認証をチェックすることなく使用のために利用可能とする口座を選択するユーザ入力を受信することと、
認証をチェックすることなく使用のために利用可能とする前記口座を選択する前記ユーザ入力を受信したことに応じて、認証をチェックすることなく前記選択された口座を使用のために利用可能とするように指定することと、
を含む、請求項２６から４０のいずれか一項に記載の方法。
【請求項４２】
前記カードの前記カード口座番号を受信する前に、かつ前記カードの所有権を検証する前に、前記仮想カードは、前記電子デバイスに記憶される、請求項２６から４１のいずれか一項に記載の方法。
【請求項４３】
ディスプレイ、１つ以上の短距離通信無線機、及び１つ以上の入力デバイスを有する電子デバイスの１つ以上のプロセッサによって実行されるように構成された１つ以上のプログラムを記憶したコンピュータ可読記憶媒体であって、前記１つ以上のプログラムは、請求項２６から４２のいずれか一項に記載の方法を実行する命令を含む、コンピュータ可読記憶媒体。
【請求項４４】
ディスプレイと、
１つ以上の短距離通信無線機と、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、請求項２６から４２のいずれか一項に記載の方法を実行する命令を含む、電子デバイス。
【請求項４５】
ディスプレイと、
１つ以上の短距離通信無線機と、
１つ以上の入力デバイスと、
請求項２６から４２のいずれか一項に記載の方法を実行するための手段と、
を備える電子デバイス。
【請求項４６】
ディスプレイ、１つ以上の短距離通信無線機、及び１つ以上の入力デバイス有する電子デバイスの１つ以上のプロセッサによって実行されるように構成された１つ以上のプログラムを記憶した非一時的コンピュータ可読記憶媒体であって、前記１つ以上のプログラムは、
ストアドバリューカードであって、前記ストアドバリューカードは、記憶された価値を有する、ストアドバリューカードの所有権を検証するための検証情報を要求し、
前記１つ以上の入力デバイスを介して、前記カードの所有権を検証するための検証情報であって、前記検証情報は、前記カード上に示されない情報を含む、検証情報を含む前記電子デバイスのユーザからの入力を受信し、
前記電子デバイスの前記ディスプレイ上で、前記電子デバイスを前記ストアドバリューカードの通信範囲内に配置するプロンプトを表示し、
前記１つ以上の短距離通信無線機によって、識別情報を前記ストアドバリューカードから受信し、
前記検証情報を前記識別情報と比較することによって前記ストアドバリューカードの所有権を検証し、
所有権の検証が成功しているとの判定に従って、
前記記憶された価値のうちの少なくともいくつかを前記ストアドバリューカードから前記電子デバイスに記憶された仮想カードに転送する、
命令を含む、非一時的コンピュータ可読記憶媒体。
【請求項４７】
ディスプレイと、
１つ以上の短距離通信無線機と、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、
ストアドバリューカードであって、前記ストアドバリューカードは、記憶された価値を有する、ストアドバリューカードの所有権を検証するための検証情報を要求し、
前記１つ以上の入力デバイスを介して、前記カードの所有権を検証するための検証情報であって、前記検証情報は、前記カード上に示されない情報を含む、検証情報を含む前記電子デバイスのユーザからの入力を受信し、
前記電子デバイスの前記ディスプレイ上で、前記電子デバイスを前記ストアドバリューカードの通信範囲内に配置するプロンプトを表示し、
前記１つ以上の短距離通信無線機によって、識別情報を前記ストアドバリューカードから受信し、
前記検証情報を前記識別情報と比較することによって前記ストアドバリューカードの所有権を検証し、
所有権の検証が成功しているとの判定に従って、
前記記憶された価値のうちの少なくともいくつかを前記ストアドバリューカードから前記電子デバイスに記憶された仮想カードに転送する、
命令を含む、電子デバイス。
【請求項４８】
ディスプレイと、
１つ以上の短距離通信無線機と、
１つ以上の入力デバイスと、
ストアドバリューカードの所有権を検証するための検証情報を要求する手段であって、前記ストアドバリューカードは、記憶された価値を有する、手段と、
前記１つ以上の入力デバイスを介して、前記カードの所有権を検証するための検証情報を含む前記電子デバイスのユーザからの入力を受信する手段であって、前記検証情報は、前記カード上に示されない情報を含む、手段と、
前記電子デバイスの前記ディスプレイ上で、前記電子デバイスを前記ストアドバリューカードの通信範囲内に配置するプロンプトを表示する手段と、
前記１つ以上の短距離通信無線機によって、識別情報を前記ストアドバリューカードから受信する手段と、
前記検証情報を前記識別情報と比較することによって前記ストアドバリューカードの所有権を検証する手段と、
所有権の検証が成功しているとの判定に従って、
前記記憶された価値のうちの少なくともいくつかを前記ストアドバリューカードから前記電子デバイスに記憶された仮想カードに転送する手段と、
を備える電子デバイス。
【請求項４９】
ディスプレイ及び１つ以上の入力デバイスを有する電子デバイスにおいて、
前記ディスプレイ上で、アクティブ化可能な追加−価値オプションを含むストアドバリュー口座の表現を表示することであって、前記電子デバイスは、前記ストアドバリュー口座及び支払い口座を含む電子ウォレットアプリケーションを有する、ことと、
前記ストアドバリュー口座の前記表現を表示する間、前記１つ以上の入力デバイスを介して、前記追加−価値オプションのアクティブ化を検出することと、
前記１つ以上の入力デバイスを介して、前記電子ウォレットアプリケーションの前記支払い口座を使用して価値を前記ストアドバリュー口座に追加するための積立−口座オプションのアクティブ化を検出することと、
資産を前記支払い口座から前記ストアドバリュー口座に追加するための提案される取引を表示する間、認証情報を前記電子デバイスにおいて受信することと、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加することと、
を含む方法。
【請求項５０】
前記認証情報を受信したことに応じて、かつ前記認証情報が前記支払い口座を使用して支払い取引を実行するための登録された認証情報と一致しないとの判定に従って、前記支払い口座を使用して価値を前記ストアドバリュー口座に追加することを見合わせることを含む、請求項４９に記載の方法。
【請求項５１】
前記認証情報を受信する前に、価値を前記支払い口座から前記ストアドバリュー口座に追加するための承認を提供するプロンプトを生成することを含む、請求項４９又は５０に記載の方法。
【請求項５２】
ストアドバリュー口座の前記表現は、前記ストアドバリュー口座の現在の残高を含む、請求項４９から５１のいずれか一項に記載の方法。
【請求項５３】
前記支払い口座を使用して価値を前記ストアドバリュー口座に追加したことに続いて、前記ストアドバリュー口座に追加された前記価値を反映するように前記ストアドバリュー口座の前記現在の残高の表示を更新することを更に含む、請求項５２に記載の方法。
【請求項５４】
前記ディスプレイ上で、アクティブ化可能な追加−価値オプションを含まない第２の支払い口座の表現を表示することを更に含む、請求項４９から５３のいずれか一項に記載の方法。
【請求項５５】
前記ディスプレイ上で、前記支払い口座を使用して価値を前記ストアドバリュー口座に追加するユーザ入力のためのユーザインタフェースを表示することであって、価値を追加するユーザ入力のための前記ユーザインタフェースは、
仮想数字キーパッドと、
１つ以上の提案額と、
前記ストアドバリュー口座の前記現在の残高と、
を同時に含む、ことと、
前記支払い口座を使用して価値を前記ストアドバリュー口座に追加するための額の入力を前記仮想数字キーパッドにおいて受信することと、
前記入力を前記仮想数字キーパッドにおいて受信したことに応じて、前記仮想数字キーパッドにおける前記受信された入力に基づいて、前記１つ以上の提案額の表示を更新することと、
を更に含む、請求項４９から５４のいずれか一項に記載の方法。
【請求項５６】
前記仮想数字キーパッドにおける前記受信された入力は、前記支払い口座を使用して価値を前記ストアドバリュー口座に追加するための最大の許容可能な額を超える額に対応し、
前記仮想数字キーパッドにおける前記受信された入力に基づいて、前記１つ以上の提案額の表示を更新することは、前記最大の許容可能な額を反映するように前記１つ以上の提案額のうちの１つの表示を更新することを含む、請求項５５に記載の方法。
【請求項５７】
前記１つ以上の提案額のうちの少なくとも１つは、前記支払い口座を使用して価値を前記ストアドバリュー口座に追加するために使用された前の額に基づいている、請求項５５又は５６に記載の方法。
【請求項５８】
前記１つ以上の提案額のうちの少なくとも１つは、当月の当日に基づいている、請求項５５から５７のいずれか一項に記載の方法。
【請求項５９】
前記支払い口座を使用して価値を前記ストアドバリュー口座に追加するユーザ入力のための前記ユーザインタフェースは、前記ストアドバリュー口座に対応するカードのグラフィカル描写を更に同時に含み、
前記仮想数字キーパッドにおける前記受信された入力は、前記支払い口座を使用して価値を前記ストアドバリュー口座に追加するための最大の許容可能な額を超える額に対応し、
前記入力を前記仮想数字キーパッドにおいて受信したことに応じて、ある期間の間に振動させるために前記ストアドバリュー口座に対応する前記カードの前記グラフィカル描写をアニメーション化することを含む、請求項５５から５８のいずれか一項に記載の方法。
【請求項６０】
価値を前記ストアドバリュー口座に追加するために選択された額のユーザ入力を受信することと、
前記選択された額のユーザ入力を受信したことに応じて、前記ディスプレイ上で、認証を要求するユーザインタフェースを表示することと、
を含む、請求項４９から５９のいずれか一項に記載の方法。
【請求項６１】
前記ストアドバリュー口座は、トランジット口座である、請求項４９から６０のいずれか一項に記載の方法。
【請求項６２】
前記ストアドバリュー口座は、ギフトカード口座である、請求項４９から６１のいずれか一項に記載の方法。
【請求項６３】
前記支払い口座を使用して価値を前記ストアドバリュー口座に追加することは、前記支払い口座を使用して価値を前記ストアドバリュー口座に追加するための繰り返し発生する取引の一部である、請求項４９から６２のいずれか一項に記載の方法。
【請求項６４】
前記ストアドバリュー口座の現在の残高が最小の残高通知レベルを下回ることを検出することと、
前記ストアドバリュー口座の前記現在の残高が前記最小の残高通知レベルを下回ることを検出したことに応じて、前記ストアドバリュー口座の前記現在の残高が前記最小の残高通知レベルを下回ることの通知を生成することと、
を含む、請求項４９から６３のいずれか一項に記載の方法。
【請求項６５】
前記通知をアクティブ化するユーザ入力を受信することと、
前記通知をアクティブ化する前記ユーザ入力を受信したことに応じて、前記ディスプレイ上で、前記支払い口座を使用して価値を前記ストアドバリュー口座に追加するユーザ入力のための前記ユーザインタフェースを表示することと、
を含む、請求項６４に記載の方法。
【請求項６６】
前記ストアドバリュー口座は、トランジット口座であり、
前記ストアドバリュー口座の前記表現は、
前記トランジット口座と関連付けられたトランジットプランのインジケーションと、
前記トランジットプランの有効日のインジケーションと、
を含む、請求項４９から６１及び６３から６５のいずれか一項に記載の方法。
【請求項６７】
前記ストアドバリュー口座は、トランジット口座であり、前記方法は、
前記ディスプレイ上で、前記支払い口座を使用してトランジット口座に積み立てるためのユーザインタフェースを表示することを更に含み、前記トランジット口座に積み立てるための前記ユーザインタフェースは、
１つ以上の提案額と、
推薦されるトランジットプランの開始日及び終了日と、
を同時に含む、請求項４９から６１及び６３から６６のいずれか一項に記載の方法。
【請求項６８】
前記ストアドバリュー口座は、トランジット口座であり、前記方法は、
前記ストアドバリュー口座のトランジットプランが更新期日であるとの判定に従って、前記ストアドバリュー口座の前記トランジットプランが更新期日であることを示す通知を生成することを更に含む、請求項４９から６１及び６３から６７のいずれか一項に記載の方法。
【請求項６９】
前記ストアドバリュー口座は、トランジット口座であり、前記方法は、
トランジット駅への近接性を検出することと、
１つ以上のコンテキスト要因に基づいて予想される目的地を判定することと、
前記ストアドバリュー口座が前記トランジット駅から前記予想される目的地に旅行するための十分な資産を有しないとの判定に従って、前記ストアドバリュー口座が前記トランジット駅から前記予想される目的地に旅行するための十分な資産を有しないとの通知を生成することと、
を更に含み、
前記アクティブ化可能な追加−価値オプションを含む前記ストアドバリュー口座の前記表現を表示することは、前記ストアドバリュー口座が十分な資産を有しないとの前記通知のアクティブ化を検出したことに応じている、請求項４９から６１及び６３から６８のいずれか一項に記載の方法。
【請求項７０】
ディスプレイ及び１つ以上の入力デバイスを有する電子デバイスの１つ以上のプロセッサによって実行されるように構成された１つ以上のプログラムを記憶したコンピュータ可読記憶媒体であって、前記１つ以上のプログラムは、請求項４９から６９のいずれか一項に記載の方法を実行する命令を含む、コンピュータ可読記憶媒体。
【請求項７１】
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、請求項４９から６９のいずれか一項に記載の方法を実行する命令を含む、電子デバイス。
【請求項７２】
ディスプレイと、
１つ以上の入力デバイスと、
請求項４９から６９のいずれか一項に記載の方法を実行するための手段と、
を備える電子デバイス。
【請求項７３】
ディスプレイ及び１つ以上の入力デバイス有する電子デバイスの１つ以上のプロセッサによって実行されるように構成された１つ以上のプログラムを記憶した非一時的コンピュータ可読記憶媒体であって、前記１つ以上のプログラムは、
前記ディスプレイ上で、アクティブ化可能な追加−価値オプションを含むストアドバリュー口座であって、前記電子デバイスは、前記ストアドバリュー口座及び支払い口座を含む電子ウォレットアプリケーションを有する、ストアドバリュー口座の表現を表示し、
前記ストアドバリュー口座の前記表現を表示する間、前記１つ以上の入力デバイスを介して、前記追加−価値オプションのアクティブ化を検出し、
前記１つ以上の入力デバイスを介して、前記電子ウォレットアプリケーションの前記支払い口座を使用して価値を前記ストアドバリュー口座に追加するための積立−口座オプションのアクティブ化を検出し、
資産を前記支払い口座から前記ストアドバリュー口座に追加するための提案される取引を表示する間、認証情報を前記電子デバイスにおいて受信し、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する、
命令を含む、非一時的コンピュータ可読記憶媒体。
【請求項７４】
電子デバイスであって、
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、
前記ディスプレイ上で、アクティブ化可能な追加−価値オプションを含むストアドバリュー口座であって、前記電子デバイスは、前記ストアドバリュー口座及び支払い口座を含む電子ウォレットアプリケーションを有する、ストアドバリュー口座の表現を表示し、
前記ストアドバリュー口座の前記表現を表示する間、前記１つ以上の入力デバイスを介して、前記追加−価値オプションのアクティブ化を検出し、
前記１つ以上の入力デバイスを介して、前記電子ウォレットアプリケーションの前記支払い口座を使用して価値を前記ストアドバリュー口座に追加するための積立−口座オプションのアクティブ化を検出し、
資産を前記支払い口座から前記ストアドバリュー口座に追加するための提案される取引を表示する間、認証情報を前記電子デバイスにおいて受信し、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する、
ための取引を含む、電子デバイス。
【請求項７５】
電子デバイスであって、
ディスプレイと、
１つ以上の入力デバイスと、
前記ディスプレイ上で、アクティブ化可能な追加−価値オプションを含むストアドバリュー口座の表現を表示する手段であって、前記電子デバイスは、前記ストアドバリュー口座及び支払い口座を含む電子ウォレットアプリケーションを有する、手段と、
前記ストアドバリュー口座の前記表現を表示する間、前記１つ以上の入力デバイスを介して、前記追加−価値オプションのアクティブ化を検出する手段と、
前記１つ以上の入力デバイスを介して、前記電子ウォレットアプリケーションの前記支払い口座を使用して価値を前記ストアドバリュー口座に追加するための積立−口座オプションのアクティブ化を検出する手段と、
資産を前記支払い口座から前記ストアドバリュー口座に追加するための提案される取引を表示する間、認証情報を前記電子デバイスにおいて受信する手段と、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する手段と、
を備える電子デバイス。
【請求項７６】
ディスプレイ、１つ以上の短距離通信無線機、及びストアドバリュー口座を含む電子ウォレットアプリケーションを有する電子デバイスにおいて、
前記ディスプレイ上で、前記ストアドバリュー口座の利用可能なクレジットのインジケーションを表示することと、
前記１つ以上の短距離通信無線機を使用して、前記ストアドバリュー口座の認証情報を前記電子デバイスとは別個の非接触取引端末に転送することと、
前記１つ以上の短距離通信無線機を使用して前記非接触取引端末に転送された前記ストアドバリュー口座の前記認証情報を使用して実行される前記非接触取引端末との取引に基づいて、前記利用可能なクレジットの前記インジケーションの表示を前記非接触取引端末への認証情報の前記転送に対応する前記取引のインジケーションの表示に置き換えることと、
を含む方法。
【請求項７７】
前記ストアドバリュー口座は、ストアドバリュートランジット口座である、請求項７６に記載の方法。
【請求項７８】
前記ディスプレイ上で、前記ストアドバリュー口座の前記利用可能なクレジットの前記インジケーションを表示することは、
前記ディスプレイ上の第１の位置において、前記ストアドバリュー口座の前記利用可能なクレジットの前記インジケーションを表示することを含み、
前記利用可能なクレジットの前記インジケーションの表示を前記非接触取引端末への認証情報の前記転送に対応する前記取引の前記インジケーションの表示に置き換えることは、
前記ディスプレイ上の第２の位置において、前記利用可能なクレジットの前記インジケーションを表示することであって、前記第２の位置は、前記第１の位置とは異なる、ことと、
前記ディスプレイ上の前記第１の位置において、前記非接触取引端末への認証情報の前記転送に対応する前記取引の前記インジケーションを表示することと、
を含む、請求項７６又は７７に記載の方法。
【請求項７９】
前記利用可能なクレジットの前記インジケーションの表示を前記非接触取引端末への認証情報の前記転送に対応する前記取引の前記インジケーションの表示に置き換えることは、
前記ディスプレイ上で第１の方向に、前記利用可能なクレジットの前記インジケーションを第１の位置から前記第１の位置とは異なる第２の位置にスライドさせることと、
前記ディスプレイ上に前記第１の方向で、前記非接触取引端末への認証情報の前記転送に対応する前記取引の前記インジケーションをスライドさせることと、
を同時に含む、請求項７６から７８のいずれか一項に記載の方法。
【請求項８０】
前記ストアドバリュー口座の前記認証情報を前記非接触取引端末に転送したことに応じて、前記ディスプレイ上で、
前記利用可能なクレジットの前記インジケーションと、
前記非接触取引端末への認証情報の前記転送に対応する前記取引の前記インジケーションと、
前記非接触取引端末への前記ストアドバリュー口座の認証情報の前記転送が完了したことのインジケーションと、
を同時に表示することを含む、請求項７６から７９のいずれか一項に記載の方法。
【請求項８１】
前記ストアドバリュー口座の前記認証情報を使用して前記取引が実行されたとの判定は、前記ストアドバリュー口座の前記利用可能なクレジットが変更されたことを検出することを含む、請求項７６から８０のいずれか一項に記載の方法。
【請求項８２】
前記利用可能なクレジットの前記インジケーションの表示を前記非接触取引端末への認証情報の前記転送に対応する前記取引の前記インジケーションの表示に置き換えることは、前記ストアドバリュー口座の前記利用可能なクレジットが変更されたことを検出したことに応じている、請求項７６から８１のいずれか一項に記載の方法。
【請求項８３】
認証情報の前記転送を反映するように前記利用可能なクレジットの前記インジケーションを更新することを含む、請求項７６から８２のいずれか一項に記載の方法。
【請求項８４】
前記ディスプレイ上で、前記利用可能なクレジットの前記インジケーション及び認証情報の前記転送に対応する前記取引の前記インジケーションと共に前記ストアドバリュー口座のグラフィカル描写を同時に表示することを含む、請求項７６から８３のいずれか一項に記載の方法。
【請求項８５】
前記１つ以上の短距離通信無線機を使用して、前記ストアドバリュー口座の認証情報を前記非接触取引端末に転送する前に、かつ前記利用可能なクレジットの前記インジケーションの表示を認証情報の前記転送に対応する前記取引の前記インジケーションの表示に置き換える前に、
前記ストアドバリュー口座の認証情報を前記非接触取引端末に転送するための認証を要求するインジケーションを提示することと、
認証情報を受信することと、
を含み、前記ストアドバリュー口座の認証情報を前記非接触取引端末に転送することは、前記認証情報が取引を承認するために有効とされる登録された認証情報と一致するとの判定に従っている、請求項７６から８４のいずれか一項に記載の方法。
【請求項８６】
前記１つ以上の短距離通信無線機を使用して、前記ストアドバリュー口座の認証情報を前記非接触取引端末に転送したことに続いて、前記ディスプレイ上で、取引の履歴を表示することを含み、取引の前記履歴は、トランジットトリップの１つ以上の表現を含む、請求項７６から８５のいずれか一項に記載の方法。
【請求項８７】
前記表示された取引の履歴は、トランジットプランによってカバーされているものとして示されるトランジットトリップの１つ以上の表現を含む、請求項８６に記載の方法。
【請求項８８】
前記表示された取引の履歴は、進行しているトランジットトリップの１つ以上の表現を含み、進行しているトランジットトリップの前記１つ以上の表現は、前記１つ以上のトランジットトリップが進行していることを示す表示された状態インジケーションを含む、請求項８６又は８７に記載の方法。
【請求項８９】
進行しているトランジットトリップのインジケーションは、取引の前記履歴のリストの最上部にあり、前記方法は、
進行しているトランジットトリップの前記インジケーションを含む取引の前記履歴を取引の前記履歴の前記リストの前記最上部において表示したことに続いて、前記１つ以上の短距離通信無線機を使用して、前記ストアドバリュー口座の認証情報を非トランジット取引のために第２の非接触取引端末に転送することと、
進行しているトランジットトリップの前記インジケーションの前記表示を取引の前記履歴の前記リストにおいて移動させ、前記非トランジット取引のインジケーションを進行している前記トランジットトリップの前記インジケーションによって前に占有されていた位置において表示することと、
前記１つ以上の短距離通信無線機を使用して、前記トリップを終了させるために前記ストアドバリュー口座の認証情報を進行している前記トランジットトリップのために第３の非接触取引端末に転送することと、
前記ストアドバリュー口座の認証情報を進行している前記トランジットトリップのために前記第３の非接触取引端末に転送したことに応じて、
進行していた前記トランジットトリップの前記インジケーションの前記表示を取引の前記履歴の前記リストの前記最上部に移動させることに対応するために前記非トランジット取引の前記インジケーションの前記表示を移動させることと、
を更に含む、請求項８８に記載の方法。
【請求項９０】
デバイス状態ユーザインタフェースを表示する要求を受信することと、
前記デバイス状態ユーザインタフェースを表示する前記要求を受信したことに応じて、前記デバイス状態ユーザインタフェースを表示することであって、
前記デバイスが進行しているトランジットトリップのために前記ストアドバリュー口座を使用しているとの判定に従って、前記進行しているトランジットトリップのために前記トランジット口座の前記使用に関する情報を前記デバイス状態ユーザインタフェースに表示することと、
前記デバイスが進行しているトランジットトリップのために前記ストアドバリュー口座を使用していないとの判定に従って、トランジットトリップのために前記トランジット口座に関する情報を表示することなく前記デバイス状態ユーザインタフェースを表示することと、
を含む、ことと、
を含む、請求項７６から８９のいずれか一項に記載の方法。
【請求項９１】
進行しているトランジットトリップのために前記ストアドバリュー口座を使用する間、前記ストアドバリュー口座の前記認証情報を前記非接触取引端末に転送したことに従って、前記ストアドバリュー口座がトランジットシステムに使用されていることに従って、かつ前記電子デバイスがロック状態にあることに従って、
前記ディスプレイのロックスクリーン上で、前記ストアドバリュー口座のインジケーションを表示することを含む、請求項７６から８９のいずれか一項に記載の方法。
【請求項９２】
前記ストアドバリュー口座の前記インジケーションのアクティブ化を検出することと、
前記ストアドバリュー口座の前記インジケーションのアクティブ化を検出したことに応じて、前記ストアドバリュー口座が使用された最近の取引に関する情報を含む前記ストアドバリュー口座のためのカード詳細ビューを表示することと、
を含む、請求項８９から９１のいずれか一項に記載の方法。
【請求項９３】
前記ストアドバリュー口座の前記インジケーションのアクティブ化を検出することと、
前記ストアドバリュー口座の前記インジケーションのアクティブ化を検出したことに応じて、仮想搭乗パスを表示することと、
を含み、前記仮想搭乗パスは、前記ストアドバリュー口座と関連付けられた前記進行しているトランジットトリップに関する１つ以上の詳細を含む、請求項８９から９１のいずれか一項に記載の方法。
【請求項９４】
ディスプレイ、１つ以上の短距離通信無線機、及びストアドバリュー口座を含む電子ウォレットアプリケーションを有する電子デバイスの１つ以上のプロセッサによって実行されるように構成された１つ以上のプログラムを記憶したコンピュータ可読記憶媒体であって、前記１つ以上のプログラムは、請求項７６から９３のいずれか一項に記載の方法を実行する命令を含む、コンピュータ可読記憶媒体。
【請求項９５】
ディスプレイと、
１つ以上の短距離通信無線機と、
ストアドバリュー口座を含む電子ウォレットアプリケーションと、
１つ以上のプロセッサと、
前記１つ以上のプロセッサによって実行されるように構成された１つ以上のプログラムを記憶したメモリと、
を備え、前記１つ以上のプログラムは、請求項７６から９３のいずれか一項に記載の方法を実行する命令を含む、電子デバイス。
【請求項９６】
ディスプレイと、
１つ以上の短距離通信無線機と、
ストアドバリュー口座を含む電子ウォレットアプリケーションと、
請求項７６から９３のいずれか一項に記載の方法を実行するための手段と、
を備える電子デバイス。
【請求項９７】
ディスプレイ、１つ以上の短距離通信無線機、及びストアドバリュー口座を含む電子ウォレットアプリケーション有する電子デバイスの１つ以上のプロセッサによって実行されるように構成された１つ以上のプログラムを記憶した非一時的コンピュータ可読記憶媒体であって、前記１つ以上のプログラムは、
前記ディスプレイ上で、前記ストアドバリュー口座の利用可能なクレジットのインジケーションを表示し、
前記１つ以上の短距離通信無線機を使用して、前記ストアドバリュー口座の認証情報を前記電子デバイスとは別個の非接触取引端末に転送し、
前記１つ以上の短距離通信無線機を使用して前記非接触取引端末に転送された前記ストアドバリュー口座の前記認証情報を使用して実行される前記非接触取引端末との取引に基づいて、前記利用可能なクレジットの前記インジケーションの表示を前記非接触取引端末への認証情報の前記転送に対応する前記取引のインジケーションの表示に置き換える、
命令を含む、非一時的コンピュータ可読記憶媒体。
【請求項９８】
ディスプレイと、
１つ以上の短距離通信無線機と、
ストアドバリュー口座を含む電子ウォレットアプリケーションと、
１つ以上のプロセッサと、
前記１つ以上のプロセッサによって実行されるように構成された１つ以上のプログラムを記憶したメモリと、
を備え、前記１つ以上のプログラムは、
前記ディスプレイ上で、前記ストアドバリュー口座の利用可能なクレジットのインジケーションを表示し、
前記１つ以上の短距離通信無線機を使用して、前記ストアドバリュー口座の認証情報を前記電子デバイスとは別個の非接触取引端末に転送し、
前記１つ以上の短距離通信無線機を使用して前記非接触取引端末に転送された前記ストアドバリュー口座の前記認証情報を使用して実行される前記非接触取引端末との取引に基づいて、前記利用可能なクレジットの前記インジケーションの表示を前記非接触取引端末への認証情報の前記転送に対応する前記取引のインジケーションの表示に置き換える、
命令を含む、電子デバイス。
【請求項９９】
ディスプレイと、
１つ以上の短距離通信無線機と、
ストアドバリュー口座を含む電子ウォレットアプリケーションと、
前記ディスプレイ上で、前記ストアドバリュー口座の利用可能なクレジットのインジケーションを表示する手段と、
前記１つ以上の短距離通信無線機を使用して、前記ストアドバリュー口座の認証情報を前記電子デバイスとは別個の非接触取引端末に転送する手段と、
前記１つ以上の短距離通信無線機を使用して前記非接触取引端末に転送された前記ストアドバリュー口座の前記認証情報を使用して実行される前記非接触取引端末との取引に基づいて、前記利用可能なクレジットの前記インジケーションの表示を前記非接触取引端末への認証情報の前記転送に対応する前記取引のインジケーションの表示に置き換える手段と、
を備える電子デバイス。
【請求項１００】
１つ以上の短距離通信無線機及び第１の口座を含む口座情報アプリケーションを有する電子デバイスにおいて、
前記１つ以上の短距離通信無線機によって、無線信号を検出することと、
前記無線信号が第１のタイプの要求に対応するとの判定に従って、認証をチェックすることなく前記第１の口座に対応する情報を送信することと、
前記無線信号が第２のタイプの要求に対応するとの判定に従って、前記無線信号に対応する取引を進める前に認証をチェックすることと、
を含む方法。
【請求項１０１】
前記第１のタイプの要求は、口座情報の送信が認証なしに自動的に利用可能とすることが事前に承認されたタイプの要求であり、
前記第２のタイプの要求は、口座情報の送信が認証なしに自動的に利用可能とすることが事前に承認されていないタイプの要求である、請求項１００に記載の方法。
【請求項１０２】
前記第１の口座は、ストアドバリュー口座である、請求項１００又は１０１に記載の方法。
【請求項１０３】
認証をチェックすることなく前記第１の口座に対応する情報を送信することは、前記１つ以上の短距離通信無線機によって、前記無線信号を検出したことに続いてユーザ入力を必要とすることなく前記第１の口座に対応する前記情報を送信することを含む、請求項１００から１０２のいずれか一項に記載の方法。
【請求項１０４】
前記口座情報アプリケーションは、前記第１の口座とは異なる第２の口座を含む、請求項１００から１０３のいずれか一項に記載の方法。
【請求項１０５】
認証をチェックすることは、
認証を要求するインジケーションを提示することと、
認証情報を受信することと、
前記認証情報が取引を承認するために有効とされる登録された認証情報と一致するとの判定に従って、前記取引を進めることと、
を含む、請求項１００から１０４のいずれか一項に記載の方法。
【請求項１０６】
前記取引を進めることは、
前記第１の口座に対応する情報を送信することを含む、請求項１０５に記載の方法。
【請求項１０７】
前記取引を進めることは、
前記第１の口座とは異なる第２の口座に対応する情報を送信することを含む、請求項１０５に記載の方法。
【請求項１０８】
前記無線信号が前記第１のタイプの要求に対応するとの前記判定に従って、
認証を要求するいずれのインジケーションを提示することも見合わせることを更に含む、請求項１００から１０７のいずれか一項に記載の方法。
【請求項１０９】
前記第１の口座は、前記口座情報アプリケーションによって記憶された複数のトランジット口座のうちの１つであり、前記口座情報アプリケーションは、トランジット口座でない１つ以上の追加的な口座を記憶し、前記方法は、
前記１つ以上の短距離通信無線機によって、前記無線信号を検出する前に、
認証をチェックすることなく前記第１の口座を使用のために利用可能とする口座として選択するユーザ入力を受信することと、
認証をチェックすることなく前記第１の口座を使用のために利用可能とする口座として選択するユーザ入力を受信したことに応じて、認証をチェックすることなく前記第１の口座を使用のために利用可能とするように指定することと、
を更に含む、請求項１００から１０８のいずれか一項に記載の方法。
【請求項１１０】
前記第１の口座は、識別口座である、請求項１００から１０９のいずれか一項に記載の方法。
【請求項１１１】
前記電子デバイスは、前記無線信号を検出する前にロック状態にあり、認証をチェックすることなく前記第１の口座に対応する情報を送信する間に前記ロック状態に留まり続ける、請求項１００から１１０のいずれか一項に記載の方法。
【請求項１１２】
前記第１の口座に対応する前記情報は、前記第１の口座の口座番号を含む、請求項１００から１１１のいずれか一項に記載の方法。
【請求項１１３】
前記第１の口座は、ストアドバリュー口座であり、前記第１の口座に対応する前記情報は、前記第１の口座からの資産を含む、請求項１００から１１２のいずれか一項に記載の方法。
【請求項１１４】
前記第１の口座は、支払い口座であり、前記第１の口座に対応する前記情報は、前記第１の口座の支払い口座情報を含む、請求項１００から１１２のいずれか一項に記載の方法。
【請求項１１５】
前記第１の口座は、トランジットコミュータ口座であり、前記第１の口座に対応する前記情報は、前記第１の口座のトランジットパス情報を含む、請求項１００から１１２のいずれか一項に記載の方法。
【請求項１１６】
前記第１の口座は、ストアドバリュー口座であり、前記第１の口座に対応する前記情報は、前記第１の口座の口座番号を含み、前記方法は、
前記１つ以上の短距離通信無線機によって、資産の額についての要求を含む第２の無線信号を検出することと、
前記第２の無線信号が前記第１のタイプの要求に対応するとの判定に従って、認証をチェックすることなく前記第１の口座からの資産を送信することと、
を更に含む、請求項１００から１１１のいずれか一項に記載の方法。
【請求項１１７】
前記第１の口座に対応する前記情報は、前記第１の口座の口座番号を含み、前記方法は、
前記１つ以上の短距離通信無線機によって、資産の額についての要求を含む第２の無線信号を検出することと、
前記第２の無線信号が前記第１のタイプの要求に対応するとの判定に従って、
前記資産の要求された額が事前に承認された取引額を超えないとの判定に従って、認証をチェックすることなく前記第１の口座からの資産を送信することと、
前記資産の要求された額が前記事前に承認された取引額を超えるとの判定に従って、
前記資産の要求された額が予想されるコストに対応しないことを示すフィードバックを生成することと、
前記取引を進めるために認証をチェックすることと、
更に含む、請求項１００から１１１のいずれか一項に記載の方法。
【請求項１１８】
前記第２の無線信号が前記第１のタイプの要求に対応するとの前記判定に従って、
前記資産の要求された額が前記事前に承認された取引額を超えるとの前記判定に従って、
第２の認証情報を受信することと、
前記第２の認証情報が取引を承認するために有効とされる登録された認証情報と一致するとの判定に従って、前記取引を進めることと、
前記第２の認証情報が取引を承認するために有効とされる登録された認証情報と一致しないとの判定に従って、前記取引を進めることを見合わせることと、
を更に含む、請求項１１７に記載の方法。
【請求項１１９】
前記無線信号が前記第１のタイプの要求に対応するとの前記判定は、前記無線信号が前記電子デバイスによって検出されたときの時間に対応する前記電子デバイスのコンテキスト情報に基づいている、請求項１００から１１８のいずれか一項に記載の方法。
【請求項１２０】
前記無線信号が前記第１のタイプの要求に対応するとの前記判定は、１つ以上のコンテキスト条件のセットが満たされたとの判定を含み、前記１つ以上のコンテキスト条件の第１のコンテキスト条件は、前記無線信号の内容が予め定められた値を含むときに満たされる、請求項１００から１１９のいずれか一項に記載の方法。
【請求項１２１】
前記無線信号が前記第１のタイプの要求に対応するとの前記判定は、１つ以上のコンテキスト条件のセットが満たされたとの判定を含み、前記１つ以上のコンテキスト条件の第２のコンテキスト条件は、前記無線信号が前記電子デバイスによって検出されたときの時間に対応する前記電子デバイスの物理的位置が予め定められた位置に対応するときに満たされる、請求項１００から１２０のいずれか一項に記載の方法。
【請求項１２２】
前記無線信号が前記第１のタイプの要求に対応するとの前記判定は、１つ以上のコンテキスト条件のセットが満たされたとの判定を含み、前記１つ以上のコンテキスト条件の第３のコンテキスト条件は、前記電子デバイスが前記無線信号とは異なる１つ以上の無線信号の範囲内にあるときに満たされる、請求項１００から１２１のいずれか一項に記載の方法。
【請求項１２３】
前記無線信号が前記第１のタイプの要求に対応するとの前記判定は、１つ以上のコンテキスト条件のセットが満たされたとの判定を含み、前記１つ以上のコンテキスト条件の第４のコンテキスト条件は、前記無線信号が資産閾値を超えない資産の額についての要求を含むときに満たされる、請求項１００から１２２のいずれか一項に記載の方法。
【請求項１２４】
前記無線信号が前記第１のタイプの要求に対応するとの前記判定は、１つ以上のロック解除条件のセットが満たされたとの判定を含み、前記１つ以上のロック解除条件のセットの第１のロック解除条件は、前記電子デバイスが前のある時間内にロック解除されたときに満たされる、請求項１００から１２３のいずれか一項に記載の方法。
【請求項１２５】
前記無線信号が前記第１のタイプの要求に対応するとの前記判定は、１つ以上のロック解除条件のセットが満たされたとの判定を含み、前記１つ以上のロック解除条件のセットの第２のロック解除条件は、前記電子デバイスが、前記無線信号が検出される日の予め定められた日時の後にロック解除されたときに満たされる、請求項１００から１２４のいずれか一項に記載の方法。
【請求項１２６】
前記無線信号が前記第１のタイプの要求に対応するとの前記判定は、１つ以上のロック解除条件のセットが満たされたとの判定を含み、前記１つ以上のロック解除条件のセットの第３のロック解除条件は、前記電子デバイスが再起動の後にロック解除されたときに満たされる、請求項１００から１２５のいずれか一項に記載の方法。
【請求項１２７】
１つ以上の短距離通信無線機及び第１の口座を含む口座情報アプリケーションを有する電子デバイスの１つ以上のプロセッサによって実行されるように構成された１つ以上のプログラムを記憶したコンピュータ可読記憶媒体であって、前記１つ以上のプログラムは、請求項１００から１２６のいずれか一項に記載の方法を実行する命令を含む、コンピュータ可読記憶媒体。
【請求項１２８】
１つ以上の短距離通信無線機と、
第１の口座を含む口座情報アプリケーションと、
１つ以上のプロセッサと、
前記１つ以上のプロセッサによって実行されるように構成された１つ以上のプログラムを記憶したメモリと、
を備え、前記１つ以上のプログラムは、請求項１００から１２６のいずれか一項に記載の方法を実行する命令を含む、電子デバイス。
【請求項１２９】
１つ以上の短距離通信無線機と、
第１の口座を含む口座情報アプリケーションと、
請求項１００から１２６のいずれか一項に記載の方法を実行するための手段と、
を備える電子デバイス。
【請求項１３０】
１つ以上の短距離通信無線機及び第１の口座を含む口座情報アプリケーションを有する電子デバイスの１つ以上のプロセッサによって実行されるように構成された１つ以上のプログラムを記憶した非一時的コンピュータ可読記憶媒体であって、前記１つ以上のプログラムは、
前記１つ以上の短距離通信無線機によって、無線信号を検出し、
前記無線信号が第１のタイプの要求に対応するとの判定に従って、認証をチェックすることなく前記第１の口座に対応する情報を送信し、
前記無線信号が第２のタイプの要求に対応するとの判定に従って、前記無線信号に対応する取引を進める前に認証をチェックする、
命令を含む、非一時的コンピュータ可読記憶媒体。
【請求項１３１】
１つ以上の短距離通信無線機と、
第１の口座を含む口座情報アプリケーションと、
１つ以上のプロセッサと、
１つ以上のプロセッサによって実行されるように構成された１つ以上のプログラムを記憶したメモリと、
を備え、前記１つ以上のプログラムは、
前記１つ以上の短距離通信無線機によって、無線信号を検出し、
前記無線信号が第１のタイプの要求に対応するとの判定に従って、認証をチェックすることなく前記第１の口座に対応する情報を送信し、
前記無線信号が第２のタイプの要求に対応するとの判定に従って、前記無線信号に対応する取引を進める前に認証をチェックする、
命令を含む、電子デバイス。
【請求項１３２】
１つ以上の短距離通信無線機と、
第１の口座を含む口座情報アプリケーションと、
前記１つ以上の短距離通信無線機によって、無線信号を検出する手段と、
前記無線信号が第１のタイプの要求に対応するとの判定に従って、認証をチェックすることなく前記第１の口座に対応する情報を送信する手段と、
前記無線信号が第２のタイプの要求に対応するとの判定に従って、前記無線信号に対応する取引を進める前に認証をチェックする手段と、
を備える電子デバイス。
【請求項１３３】
ディスプレイ及び１つ以上の入力デバイスを有する電子デバイスにおいて、
前記ディスプレイ上で、ユーザ口座と関連付けられた複数のデバイスの表現を表示することであって、前記複数のデバイスの前記表現は、第１のデバイスの第１の表現及び第２のデバイスの第２の表現を含み、前記第１のデバイスは、取引口座と関連付けられ、前記第２のデバイスは、前記取引口座と関連付けられない、ことと、
前記１つ以上の入力デバイスを介して、前記第２のデバイスの前記表示された表現に対応する選択を受信することと、
前記第２のデバイスの前記表示された表現に対応する前記選択を受信したことに従って、
前記取引口座を前記第２のデバイスと関連付けさせることと、
前記取引口座を前記第１のデバイスから関連付けロック解除させることと、
を含む方法。
【請求項１３４】
前記第１のデバイスは、前記取引口座を前記第２のデバイスと関連付けさせ、前記第１のデバイスから関連付けロック解除させた前記電子デバイスである、請求項１３３に記載の方法。
【請求項１３５】
前記第２のデバイスは、前記取引口座を前記第２のデバイスと関連付けさせ、前記第１のデバイスから関連付けロック解除させた前記電子デバイスである、請求項１３３に記載の方法。
【請求項１３６】
前記取引口座は、支払い口座である、請求項１３３から１３５のいずれか一項に記載の方法。
【請求項１３７】
前記取引口座は、トランジット口座である、請求項１３３から１３５のいずれか一項に記載の方法。
【請求項１３８】
前記取引口座は、ストアドバリュー口座である、請求項１３３から１３７のいずれか一項に記載の方法。
【請求項１３９】
前記取引口座は、ストアドバリュー口座であり、
前記複数のデバイスの前記表現を表示する前に、アクティブ化可能な追加−価値オプション及びアクティブ化可能な転送−口座オプションと共に前記口座の表現を同時に表示することと、
前記転送−口座オプションのアクティブ化を受信することと、
を更に含み、
前記ユーザ口座と関連付けられた前記複数のデバイスの前記表現を表示することは、前記転送−口座オプションのアクティブ化を受信したことに応じている、請求項１３３から１３８のいずれか一項に記載の方法。
【請求項１４０】
前記取引口座を前記複数のデバイスのうちの２つ以上のデバイスにおいて使用のために利用可能とする口座として指定するユーザ入力を受信することを更に含む、請求項１３３から１３９のいずれか一項に記載の方法。
【請求項１４１】
前記電子デバイスは、前記第２のデバイスであり、
前記複数のデバイスの第３のデバイスを前記取引口座が使用のために利用可能とするデバイスとして指定するユーザ入力を受信することと、
前記取引口座を前記第２のデバイスと関連付けさせたことに続いて、かつ前記取引口座を前記第１のデバイスから関連付けロック解除させたことに続いて、
前記取引口座の支払い認証情報についての要求を前記電子デバイスとは異なる前記第３のデバイスから受信することと、
前記第３のデバイスが、前記取引口座が使用のために利用可能とするデバイスとして指定されているとの判定に従って、前記取引口座の支払い認証情報を前記第２のデバイスから前記第３のデバイスに送信することと、
を更に含む、請求項１３３から１４０のいずれか一項に記載の方法。
【請求項１４２】
時間条件が満たされたとの判定に従って、
前記取引口座を前記第２のデバイスから関連付けロック解除させることと、
前記取引口座を前記第１のデバイスと関連付けさせることと、
を更に含む、請求項１３３から１４１のいずれか一項に記載の方法。
【請求項１４３】
前記取引口座を前記第２のデバイスと関連付けさせることは、前記取引口座を前記第２のデバイスにおいて最大支払い額に制限することを含む、請求項１３３から１４２のいずれか一項に記載の方法。
【請求項１４４】
前記取引口座を前記第２のデバイスと関連付けさせることは、前記第１のデバイスから、前記第２のデバイスにおいて行われることになる提案される支払いのためのそれぞれの事前承認を必要とするように、前記取引口座を前記第２のデバイスにおいて制限することを含む、請求項１３３から１４３のいずれか一項に記載の方法。
【請求項１４５】
前記ユーザ口座と関連付けられた前記複数のデバイスの前記表現は、前記電子デバイスと同一のユーザ口座の下のサービスにログインされるデバイスの表現を含む、請求項１３３から１４４のいずれか一項に記載の方法。
【請求項１４６】
前記ユーザ口座と関連付けられた前記複数のデバイスの前記表現は、前記電子デバイスが前記サービスにログインされる前記ユーザ口座と関連付けられたそれぞれのユーザ口座を使用してサービスにログインされるデバイスの表現を含む、請求項１３３から１４５のいずれか一項に記載の方法。
【請求項１４７】
前記取引口座を前記第２のデバイスと関連付けさせたことに続いて、かつ前記取引口座を前記第１のデバイスから関連付けロック解除させたことに続いて、
前記ディスプレイ上で、前記複数のデバイスの表現を表示することであって、前記第１のデバイスは、前記取引口座と関連付けられず、前記第２のデバイスは、前記取引口座と関連付けられる、ことと、
前記１つ以上の入力デバイスを介して、前記第１のデバイスに対応するそれぞれの選択を受信することと、
前記第１のデバイスに対応する前記それぞれの選択を受信したことに従って、
前記取引口座を前記第２のデバイスから関連付けロック解除させることと、
前記取引口座を前記第１のデバイスと関連付けさせることと、
を更に含む、請求項１３３から１４６のいずれか一項に記載の方法。
【請求項１４８】
ディスプレイ及び１つ以上の入力デバイスを有する電子デバイスの１つ以上のプロセッサによって実行されるように構成された１つ以上のプログラムを記憶したコンピュータ可読記憶媒体であって、前記１つ以上のプログラムは、請求項１３３から１４７のいずれか一項に記載の方法を実行する命令を含む、コンピュータ可読記憶媒体。
【請求項１４９】
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、請求項１３３から１４７のいずれか一項に記載の方法を実行する命令を含む、電子デバイス。
【請求項１５０】
ディスプレイと、
１つ以上の入力デバイスと、
請求項１３３から１４７のいずれか一項に記載の方法を実行するための手段と、
を備える電子デバイス。
【請求項１５１】
ディスプレイ及び１つ以上の入力デバイス有する電子デバイスの１つ以上のプロセッサによって実行されるように構成された１つ以上のプログラムを記憶した非一時的コンピュータ可読記憶媒体であって、前記１つ以上のプログラムは、
前記ディスプレイ上で、ユーザ口座と関連付けられた複数のデバイスの表現であって、前記複数のデバイスの前記表現は、第１のデバイスの第１の表現及び第２のデバイスの第２の表現を含み、前記第１のデバイスは、取引口座と関連付けられ、前記第２のデバイスは、前記取引口座と関連付けられない、複数のデバイスの表現を表示し、
前記１つ以上の入力デバイスを介して、前記第２のデバイスの前記表示された表現に対応する選択を受信し、
前記第２のデバイスの前記表示された表現に対応する前記選択を受信したことに従って、
前記取引口座を前記第２のデバイスと関連付けさせ、
前記取引口座を前記第１のデバイスから関連付けロック解除させる、
命令を含む、非一時的コンピュータ可読記憶媒体。
【請求項１５２】
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、
前記ディスプレイ上で、ユーザ口座と関連付けられた複数のデバイスの表現であって、前記複数のデバイスの前記表現は、第１のデバイスの第１の表現及び第２のデバイスの第２の表現を含み、前記第１のデバイスは、取引口座と関連付けられ、前記第２のデバイスは、前記取引口座と関連付けられない、複数のデバイスの表現を表示し、
前記１つ以上の入力デバイスを介して、前記第２のデバイスの前記表示された表現に対応する選択を受信し、
前記第２のデバイスの前記表示された表現に対応する前記選択を受信したことに従って、
前記取引口座を前記第２のデバイスと関連付けさせ、
前記取引口座を前記第１のデバイスから関連付けロック解除させる、
命令を含む、電子デバイス。
【請求項１５３】
ディスプレイと、
１つ以上の入力デバイスと、
前記ディスプレイ上で、ユーザ口座と関連付けられた複数のデバイスの表現を表示する手段であって、前記複数のデバイスの前記表現は、第１のデバイスの第１の表現及び第２のデバイスの第２の表現を含み、前記第１のデバイスは、取引口座と関連付けられ、前記第２のデバイスは、前記取引口座と関連付けられない、手段と、
前記１つ以上の入力デバイスを介して、前記第２のデバイスの前記表示された表現に対応する選択を受信する手段と、
前記第２のデバイスの前記表示された表現に対応する前記選択を受信したことに従って、
前記取引口座を前記第２のデバイスと関連付けさせ、
前記取引口座を前記第１のデバイスから関連付けロック解除させる、手段と、
を備える電子デバイス。
【請求項１５４】
電子ウォレットアプリケーションを有する電子デバイスにおいて、
ストアドバリュー口座を使用して支払いを行うための１つ以上の支払い基準のセットが満たされたことを検出することと、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能でないとの判定に従って、前記電子デバイスとは異なる第２のデバイスからの前記ストアドバリュー口座の支払い認証情報を要求することと、
前記第２のデバイスからの前記ストアドバリュー口座の前記支払い認証情報を要求したことに続いて、前記ストアドバリュー口座の前記支払い認証情報が前記第２のデバイスにおいて利用可能であるときに、前記ストアドバリュー口座の支払い認証情報を前記電子デバイスにおいて前記第２のデバイスから受信することと、
を含む方法。
【請求項１５５】
前記ストアドバリュー口座の前記支払い認証情報は、短距離無線ネットワークを通じてデバイスツーデバイス通信を使用して前記電子デバイスにおいて前記第２のデバイスから受信される、請求項１５４に記載の方法。
【請求項１５６】
前記１つ以上の支払い基準のセットの第１の支払い基準は、前記電子デバイスが支払いについての要求を受信するときに満たされる、請求項１５４又は１５５に記載の方法。
【請求項１５７】
前記電子デバイスは、１つ以上の短距離通信無線機を含み、前記１つ以上の支払い基準のセットの第２の支払い基準は、前記電子デバイスが前記１つ以上の短距離通信無線機を使用して場を検出するときに満たされる、請求項１５４から１５６のいずれか一項に記載の方法。
【請求項１５８】
前記１つ以上の支払い基準のセットの第３の支払い基準は、前記電子デバイスが、支払いが要求されるであろうことを示すコンテキストを検出するときに満たされる、請求項１５４から１５７のいずれか一項に記載の方法。
【請求項１５９】
前記１つ以上の支払い基準のセットの第４の支払い基準は、前記電子デバイスが前記ストアドバリュー口座に対応するオプションのアクティブ化を検出するときに満たされる、請求項１５４から１５８のいずれか一項に記載の方法。
【請求項１６０】
前記１つ以上の支払い基準のセットの第５の支払い基準は、前記電子デバイスが、前記ストアドバリュー口座が前記電子デバイスにおいて利用可能とするように指定されたと判定するときに満たされる、請求項１５４から１５９のいずれか一項に記載の方法。
【請求項１６１】
前記ストアドバリュー口座は、第１のタイプの口座であり、前記１つ以上の支払い基準のセットの第６の支払い基準は、前記電子デバイスが前記第１のタイプの口座を使用して支払いについての要求を受信するときに満たされる、請求項１５４から１６０のいずれか一項に記載の方法。
【請求項１６２】
前記第２のデバイスからの前記ストアドバリュー口座の支払い認証情報を要求することは、要求を前記第２のデバイスに送信することを含み、前記要求は、前記ストアドバリュー口座を識別する、請求項１５４から１６１のいずれか一項に記載の方法。
【請求項１６３】
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能であるとの判定に従って、前記ストアドバリュー口座を使用して前記支払いを進めることを更に含む、請求項１５４から１６２のいずれか一項に記載の方法。
【請求項１６４】
前記ストアドバリュー口座を使用して前記支払いを行うための前記１つ以上の支払い基準のセットが満たされたことを検出したことに応じて、前記ストアドバリュー口座の支払い認証情報が前記電子デバイスの前記電子ウォレットアプリケーションにおいて利用可能でないとの前記判定に従って、かつ前記ストアドバリュー口座の支払い認証情報を受信しないことに従って、
前記ストアドバリュー口座を使用して前記支払いを進めることを見合わせることと、
前記ストアドバリュー口座が前記支払いで使用のために利用可能でないことを示す通知を前記ユーザに提示することと、
を更に含む、請求項１５４から１６３のいずれか一項に記載の方法。
【請求項１６５】
前記ストアドバリュー口座の支払い認証情報を前記電子デバイスにおいて前記第２のデバイスから受信したことに続いて、
前記支払いを行うために資産を前記ストアドバリュー口座から取引端末に転送することと、
資産を前記ストアドバリュー口座から前記取引端末に転送したことに応じて、前記ストアドバリュー口座の支払い認証情報を前記電子デバイスから前記第２のデバイスに送信することと、
を含む、請求項１５４から１６４のいずれか一項に記載の方法。
【請求項１６６】
前記ストアドバリュー口座の支払い認証情報を前記電子デバイスにおいて前記第２のデバイスから受信したことに続いて、
前記支払いを行うために資産を前記ストアドバリュー口座から取引端末に転送することと、
資産を前記ストアドバリュー口座から前記取引端末に転送したことに応じて、前記ストアドバリュー口座の支払い認証情報を前記電子デバイスから前記第２のデバイスに送信することを見合わせることと、
を含む、請求項１５４から１６４のいずれか一項に記載の方法。
【請求項１６７】
前記ストアドバリュー口座の支払い認証情報を前記電子デバイスにおいて前記第２のデバイスから受信したことに続いて、
前記第２のデバイスから前記ストアドバリュー口座の支払い認証情報についての要求を受信することと、
前記ストアドバリュー口座の支払い認証情報の前記要求を受信したことに応じて、前記ストアドバリュー口座の支払い認証情報を前記電子デバイスから前記第２のデバイスに送信することと、
を含む、請求項１５４から１６４のいずれか一項に記載の方法。
【請求項１６８】
前記ストアドバリュー口座の支払い認証情報を前記電子デバイスにおいて前記第２のデバイスから受信したことに続いて、
予め定められたスケジュールイベント条件が満たされるかを判定することと、
前記予め定められたスケジュールイベント条件が満たされるとの判定に従って、前記ストアドバリュー口座の支払い認証情報を前記電子デバイスから前記第２のデバイスに送信することと、
を含む、請求項１５４から１６４のいずれか一項に記載の方法。
【請求項１６９】
前記電子デバイスは、前記ストアドバリュー口座の支払い認証情報を前記第２のデバイスから受信するために第１の通信プロトコルを使用し、前記電子デバイスは、取引端末への前記支払いを行うために前記第１の通信プロトコルとは異なる第２の通信プロトコルを使用する、請求項１５４から１６８のいずれか一項に記載の方法。
【請求項１７０】
前記電子デバイスは、１つ以上の無線機ユニットを含み、前記電子デバイスは、前記ストアドバリュー口座の支払い認証情報を前記第２のデバイスから受信するために前記電子デバイスの前記１つ以上の無線機の第１のセットを使用し、前記電子デバイスは、取引端末への前記支払いを行うために前記１つ以上の無線機の前記第１のセットとは異なる前記１つ以上の無線機の第２のセットを使用する、請求項１５４から１６９のいずれか一項に記載の方法。
【請求項１７１】
前記ストアドバリュー口座の支払い認証情報を前記電子デバイスにおいて前記第２のデバイスから受信したことに続いて、
前記ストアドバリュー口座の支払い認証情報を使用して支払いを行うための認証を要求するインジケーションを提示することと、
認証情報を受信することと、
前記認証情報が取引を承認するために有効とされる登録された認証情報と一致するとの判定に従って、前記支払いを行うために資産を前記ストアドバリュー口座から取引端末に転送することと、
を含む、請求項１５４から１７０のいずれか一項に記載の方法。
【請求項１７２】
電子ウォレットアプリケーションを有する電子デバイスの１つ以上のプロセッサによって実行されるように構成された１つ以上のプログラムを記憶したコンピュータ可読記憶媒体であって、前記１つ以上のプログラムは、請求項１５４から１７１のいずれか一項に記載の方法を実行する命令を含む、コンピュータ可読記憶媒体。
【請求項１７３】
電子ウォレットアプリケーションと、
１つ以上のプロセッサと、
前記１つ以上のプロセッサによって実行されるように構成された１つ以上のプログラムを記憶したメモリと、
を備え、前記１つ以上のプログラムは、請求項１５４から１７１のいずれか一項に記載の方法を実行する命令を含む、電子デバイス。
【請求項１７４】
電子ウォレットアプリケーションと、
請求項１５４から１７１のいずれか一項に記載の方法を実行するための手段と、
を備える電子デバイス。
【請求項１７５】
電子ウォレットアプリケーション有する電子デバイスの１つ以上のプロセッサによって実行されるように構成された１つ以上のプログラムを記憶した非一時的コンピュータ可読記憶媒体であって、前記１つ以上のプログラムは、
ストアドバリュー口座を使用して支払いを行うための１つ以上の支払い基準のセットが満たされたことを検出し、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能でないとの判定に従って、前記電子デバイスとは異なる第２のデバイスからの前記ストアドバリュー口座の支払い認証情報を要求し、
前記第２のデバイスからの前記ストアドバリュー口座の前記支払い認証情報を要求したことに続いて、前記ストアドバリュー口座の前記支払い認証情報が前記第２のデバイスにおいて利用可能であるときに、前記ストアドバリュー口座の支払い認証情報を前記電子デバイスにおいて前記第２のデバイスから受信する、
命令を含む、非一時的コンピュータ可読記憶媒体。
【請求項１７６】
電子ウォレットアプリケーションと、
１つ以上のプロセッサと、
前記１つ以上のプロセッサによって実行されるように構成された１つ以上のプログラムを記憶したメモリと、
を備え、前記１つ以上のプログラムは、
ストアドバリュー口座を使用して支払いを行うための１つ以上の支払い基準のセットが満たされたことを検出し、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能でないとの判定に従って、前記電子デバイスとは異なる第２のデバイスからの前記ストアドバリュー口座の支払い認証情報を要求し、
前記第２のデバイスからの前記ストアドバリュー口座の前記支払い認証情報を要求したことに続いて、前記ストアドバリュー口座の前記支払い認証情報が前記第２のデバイスにおいて利用可能であるときに、前記ストアドバリュー口座の支払い認証情報を前記電子デバイスにおいて前記第２のデバイスから受信する、
命令を含む、電子デバイス。
【請求項１７７】
電子ウォレットアプリケーションと、
ストアドバリュー口座を使用して支払いを行うための１つ以上の支払い基準のセットが満たされたことを検出する手段と、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能でないとの判定に従って、前記電子デバイスとは異なる第２のデバイスからの前記ストアドバリュー口座の支払い認証情報を要求する手段と、
前前記第２のデバイスからの前記ストアドバリュー口座の前記支払い認証情報を要求したことに続いて、記ストアドバリュー口座の前記支払い認証情報が前記第２のデバイスにおいて利用可能であるときに、前記ストアドバリュー口座の支払い認証情報を前記電子デバイスにおいて前記第２のデバイスから受信する手段と、
を備える電子デバイス。
【請求項１７８】
１つ以上の入力デバイスユニットと、
１つ以上の短距離通信無線機ユニットと、
前記１つ以上の入力デバイスユニット及び前記１つ以上の短距離通信無線機ユニットに結合された処理ユニットと、
を備え、前記処理ユニットは、
前記１つ以上の短距離通信無線機ユニットによって、カードであって、前記カードは、記憶された価値を有する、カードのカード口座番号を受信し、
前記カードの所有権を検証するための検証情報を要求し、
前記１つ以上の入力デバイスユニットを介して、前記カードの所有権を検証するための検証情報を含む前記電子デバイスのユーザからの入力を受信し、
前記検証情報を前記検証情報と別個に受信される前記カードに関する別個の情報と比較することによって前記カードの所有権を検証し、
所有権の検証が成功しているとの判定に従って、
価値の転送のための価値の転送動作を実行するプロンプトを生成し、
前記価値の転送動作と共に、前記記憶された価値のうちの少なくともいくつかを前記カードから前記電子デバイスに記憶された仮想カードに転送する、
ように構成されている、電子デバイス。
【請求項１７９】
前記検証情報は、前記カード上に示されない情報である、請求項請求項１７８に記載の電子デバイス。
【請求項１８０】
前記カードは、ストアドバリューカードである、請求項１７８又は１７９に記載の電子デバイス。
【請求項１８１】
前記処理ユニットは、
前記価値の転送が成功していないとの判定に従って、
前記価値の転送のための前記価値の転送動作を実行するための第２のプロンプトを生成するように更に構成されている、請求項１７８から１８０のいずれか一項に記載の電子デバイス。
【請求項１８２】
前記処理ユニットは、
所有権の検証が成功していないとの判定に従って、
所有権の検証が成功しなかったことを示すフィードバックを生成するように更に構成されている、請求項１７８から１８１のいずれか一項に記載の電子デバイス。
【請求項１８３】
前記カードが登録されているとの判定に従って、
前記カードの所有権を検証するための検証情報を要求することは、前記カード上に示されない情報を要求することを含み、
前記カードが登録されていないとの判定に従って、
前記カードの所有権を検証するための検証情報を要求することは、前記カード上に示される情報を要求することを含む、請求項１７８から１８２のいずれか一項に記載の電子デバイス。
【請求項１８４】
前記処理ユニットは、
前記カードが登録されていないとの判定に従って、かつ前記カードの所有権を検証する前に、
前記カードの所有権を検証するための検証情報を要求することの一部として、前記カードのユーザにより提供される口座番号を要求し、
前記カードの所有権を検証するための検証情報を含む前記電子デバイスの前記ユーザからの入力を受信することの一部として、前記カードの前記ユーザにより提供される口座番号を受信し、
前記検証情報を別個の情報と比較することによって前記カードの所有権を検証することの一部として、前記ユーザにより提供される口座番号を前記カード口座番号と比較する、
ように更に構成されており、前記別個の情報は、前記カードの前記受信されたカード口座番号を含む、請求項１７８から１８３のいずれか一項に記載の電子デバイス。
【請求項１８５】
前記電子デバイスは、前記１つ以上の入力デバイスユニットを介して、前記カードの所有権を検証するための検証情報を含む前記電子デバイスの前記ユーザからの入力を受信する前に、前記カードの前記カード口座番号を提示しない、請求項１７８から１８４のいずれか一項に記載の電子デバイス。
【請求項１８６】
前記処理ユニットは、
前記カードが登録されているとの判定に従って、
前記カードの前記カード口座番号を送信し、
前記別個の情報を受信する、
ように更に構成されている、請求項１７８から１８５のいずれか一項に記載の電子デバイス。
【請求項１８７】
前記処理ユニットは、
前記カードのユーザにより提供される口座番号を受信することを見合わせるように更に構成されている、請求項１７８から１８６のいずれか一項に記載の電子デバイス。
【請求項１８８】
前記電子デバイスは、ディスプレイユニットを含み、前記処理ユニットは、
前記記憶された価値のうちの少なくともいくつかを前記カードから前記電子デバイスに記憶された前記仮想カードに転送したことに続いて、
前記ディスプレイユニット上で、前記仮想カードのトランジットプラン情報の表示を有効にするように更に構成されており、前記トランジットプラン情報は、前記転送された前記記憶された価値のうちの少なくともいくつかに基づいている、請求項１７８から１８７のいずれか一項に記載の電子デバイス。
【請求項１８９】
前記電子デバイスは、ディスプレイユニットを含み、前記処理ユニットは、
前記記憶された価値のうちの少なくともいくつかを前記カードから前記電子デバイスに記憶された前記仮想カードに転送したことに続いて、
前記ディスプレイユニット上で、前記仮想カードの残高、前記仮想カードに登録された口座のユーザ名、及び前記仮想カードのトランジットプラン情報のうちの１つ以上の表示を有効にするように更に構成されている、請求項１７８から１８８のいずれか一項に記載の電子デバイス。
【請求項１９０】
前記記憶された価値のうちの少なくともいくつかを前記カードから前記電子デバイスに記憶された前記仮想カードに転送することは、
前記記憶された価値を前記カードから除去することと、
前記カードを非アクティブ化する要求をサーバに送信することと、
を含む、請求項１７８から１８９のいずれか一項に記載の電子デバイス。
【請求項１９１】
前記処理ユニットは、
前記電子デバイスが別のリンクされたトランジット口座を有さないとの判定に従って、認証をチェックすることなく前記仮想カードの口座を使用のために利用可能とするように指定し、
前記電子デバイスが１つ以上の他のリンクされたトランジット口座を有するとの判定に従って、認証をチェックすることなく前記仮想カードの前記口座を使用のために利用可能とするように指定することを見合わせる、
ように更に構成されている、請求項１７８から１９０のいずれか一項に記載の電子デバイス。
【請求項１９２】
前記処理ユニットは、
前記電子デバイスが別のリンクされたトランジット口座を有さないとの判定に従って、
認証をチェックすることなく口座を使用のために利用可能としない要望を示すユーザ入力を受信したことに従って、認証をチェックすることなく前記仮想カードの前記口座を使用のために利用可能とするように指定することを見合わせるように更に構成されている、請求項１７８から１９１のいずれか一項に記載の電子デバイス。
【請求項１９３】
前記処理ユニットは、
認証をチェックすることなく口座を使用のために利用可能としない要望を示すユーザ入力を受信し、
認証をチェックすることなく口座を使用のために利用可能としない前記要望を示す前記ユーザ入力を受信したことに応じて、認証をチェックすることなく前記仮想カードの口座を使用のために利用可能としないように指定する、
ように更に構成されている、請求項１７８から１９２のいずれか一項に記載の電子デバイス。
【請求項１９４】
前記処理ユニットは、
認証をチェックすることなく使用のために利用可能とする口座を選択するユーザ入力を受信し、
認証をチェックすることなく使用のために利用可能とする前記口座を選択する前記ユーザ入力を受信したことに応じて、認証をチェックすることなく前記選択された口座を使用のために利用可能とするように指定する、
ように更に構成されている、請求項１７８から１９３のいずれか一項に記載の電子デバイス。
【請求項１９５】
前記カードの前記カード口座番号を受信する前に、かつ前記カードの所有権を検証する前に、前記仮想カードは、前記デバイスに記憶される、請求項１７８から１９４のいずれか一項に記載の電子デバイス。
【請求項１９６】
前記電子デバイスは、ディスプレイユニットを含み、前記処理ユニットは、
前記記憶された価値のうちの少なくともいくつかを前記カードから前記電子デバイスに記憶された前記仮想カードに転送したことに続いて、
前記ディスプレイユニット上で、前記仮想カードの記憶された価値の表示を有効にするように更に構成されている、請求項１７８から１９５のいずれか一項に記載の電子デバイス。
【請求項１９７】
ディスプレイユニットと、
１つ以上の入力デバイスユニットと、
１つ以上の短距離通信無線機ユニットと、
前記ディスプレイユニット、前記１つ以上の短距離通信無線機ユニット、及び前記１つ以上の入力デバイスユニットに結合された処理ユニットと、
を備え、前記処理ユニットは、
ストアドバリューカードであって、前記ストアドバリューカードは、記憶された価値を有する、ストアドバリューカードの所有権を検証するための検証情報を要求し、
前記１つ以上の入力デバイスユニットを介して、前記カードの所有権を検証するための検証情報であって、前記検証情報は、前記カード上に示されない情報を含む、検証情報を含む前記電子デバイスのユーザからの入力を受信し、
前記電子デバイスの前記ディスプレイユニット上で、前記電子デバイスを前記ストアドバリューカードの通信範囲内に配置するプロンプトの表示を有効にし、
前記１つ以上の短距離通信無線機ユニットによって、識別情報を前記ストアドバリューカードから受信し、
前記検証情報を前記識別情報と比較することによって前記ストアドバリューカードの所有権を検証し、
所有権の検証が成功しているとの判定に従って、
前記記憶された価値のうちの少なくともいくつかを前記ストアドバリューカードから前記電子デバイスに記憶された仮想カードに転送する、
ように構成されている、電子デバイス。
【請求項１９８】
前記処理ユニットは、
所有権の検証が成功していないとの判定に従って、
所有権の検証が成功しなかったことのインジケーションを示すフィードバックを生成し、
前記ストアドバリューカードの所有権を検証するための検証情報を要求する、
ように更に構成されている、請求項１９７に記載の電子デバイス。
【請求項１９９】
前記記憶された価値のうちの少なくともいくつかを前記ストアドバリューカードから前記電子デバイスに記憶された前記仮想カードに転送することは、
前記記憶された価値を前記ストアドバリューカードから除去することと、
前記ストアドバリューカードを非アクティブ化する要求をサーバに送信することと、
を含む、請求項１９７又は１９８に記載の電子デバイス。
【請求項２００】
前記ストアドバリューカードは、ストアドバリュートランジットカードである、請求項１９７から１９９のいずれか一項に記載の電子デバイス。
【請求項２０１】
前記仮想カードは、トランジット仮想カードである、請求項１９７から２００のいずれか一項に記載の電子デバイス。
【請求項２０２】
前記仮想カードは、ストアドバリュー仮想カードである、請求項１９７から２０１のいずれか一項に記載の電子デバイス。
【請求項２０３】
前記検証情報は、前記ストアドバリューカードのカード口座番号である、請求項１９７から２０２のいずれか一項に記載の電子デバイス。
【請求項２０４】
前記電子デバイスは、前記１つ以上の入力デバイスユニットを介して、前記カードの所有権を検証するための検証情報を含む前記電子デバイスの前記ユーザからの入力を受信する前に、前記ストアドバリューカードの前記カード口座番号を提示しない、請求項１９７から２０３のいずれか一項に記載の電子デバイス。
【請求項２０５】
前記処理ユニットは、
前記記憶された価値のうちの少なくともいくつかを前記ストアドバリューカードから前記電子デバイスに記憶された前記仮想カードに転送したことに続いて、
前記ディスプレイユニット上で、前記仮想カードの記憶された価値の表示を有効にするように更に構成されている、請求項１９７から２０４のいずれか一項に記載の電子デバイス。
【請求項２０６】
前記処理ユニットは、
前記記憶された価値のうちの少なくともいくつかを前記ストアドバリューカードから前記電子デバイスに記憶された仮想カードに転送したことに続いて、
前記仮想カードのトランジットプラン情報の表示を有効にするように更に構成されており、前記トランジットプラン情報は、前記転送された前記記憶された価値のうちの少なくともいくつかに基づいている、請求項１９７から２０５のいずれか一項に記載の電子デバイス。
【請求項２０７】
前記処理ユニットは、
前記記憶された価値のうちの少なくともいくつかを前記ストアドバリューカードから前記電子デバイスに記憶された仮想カードに転送したことに続いて、
前記仮想カードの残高、前記仮想カードに登録された口座のユーザ名、及び前記仮想カードのトランジットプラン情報のうちの１つ以上の表示を有効にするように更に構成されている、請求項１９７から２０６のいずれか一項に記載の電子デバイス。
【請求項２０８】
前記検証情報は、前記ストアドバリューカードの登録されたユーザに個人的な情報である、請求項１９７から２０７のいずれか一項に記載の電子デバイス。
【請求項２０９】
前記処理ユニットは、
前記電子デバイスが別のリンクされたトランジット口座を有さないとの判定に従って、認証をチェックすることなく前記仮想カードの口座を使用のために利用可能とするように指定し、
前記電子デバイスが１つ以上の他のリンクされたトランジット口座を有するとの判定に従って、認証をチェックすることなく前記仮想カードの前記口座を使用のために利用可能とするように指定することを見合わせる、
ように更に構成されている、請求項１９７から２０８のいずれか一項に記載の電子デバイス。
【請求項２１０】
前記処理ユニットは、
前記電子デバイスが別のリンクされたトランジット口座を有さないとの判定に従って、
認証をチェックすることなく口座を使用のために利用可能としない要望を示すユーザ入力を受信したことに従って、認証をチェックすることなく前記仮想カードの前記口座を使用のために利用可能とするように指定することを見合わせるように更に構成されている、請求項１９７から２０９のいずれか一項に記載の電子デバイス。
【請求項２１１】
前記処理ユニットは、
認証をチェックすることなく口座を使用のために利用可能としない要望を示すユーザ入力を受信し、
認証をチェックすることなく口座を使用のために利用可能としない前記要望を示す前記ユーザ入力を受信したことに応じて、認証をチェックすることなく前記仮想カードの口座を使用のために利用可能としないように指定する、
ように更に構成されている、請求項１９７から２１０のいずれか一項に記載の電子デバイス。
【請求項２１２】
前記処理ユニットは、
認証をチェックすることなく使用のために利用可能とする口座を選択するユーザ入力を受信し、
認証をチェックすることなく使用のために利用可能とする前記口座を選択する前記ユーザ入力を受信したことに応じて、認証をチェックすることなく前記選択された口座を使用のために利用可能とするように指定する、
ように更に構成されている、請求項１９７から２１１のいずれか一項に記載の電子デバイス。
【請求項２１３】
前記カードの前記カード口座番号を受信する前に、かつ前記カードの所有権を検証する前に、前記仮想カードは、前記電子デバイスに記憶される、請求項１９７から２１２のいずれか一項に記載の電子デバイス。
【請求項２１４】
ディスプレイユニットと、
１つ以上の入力デバイスユニットと、
前記ディスプレイユニット及び前記１つ以上の入力デバイスユニットに結合された処理ユニットと、
を備え、前記処理ユニットは、
前記ディスプレイユニット上で、アクティブ化可能な追加−価値オプションを含むストアドバリュー口座であって、前記電子デバイスは、前記ストアドバリュー口座及び支払い口座を含む電子ウォレットアプリケーションを有する、ストアドバリュー口座の表現の表示を有効にし、
前記ストアドバリュー口座の前記表現の表示を有効にする間、前記１つ以上の入力デバイスユニットを介して、前記追加−価値オプションのアクティブ化を検出し、
前記１つ以上の入力デバイスユニットを介して、前記電子ウォレットアプリケーションの前記支払い口座を使用して価値を前記ストアドバリュー口座に追加するための積立−口  座オプションのアクティブ化を検出し、
資産を前記支払い口座から前記ストアドバリュー口座に追加するための提案される取引の表示を有効にする間、認証情報を前記電子デバイスにおいて受信し、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する、
ように構成されている、電子デバイス。
【請求項２１５】
前記処理ユニットは、
前記認証情報を受信したことに応じて、かつ前記認証情報が前記支払い口座を使用して支払い取引を実行するための登録された認証情報と一致しないとの判定に従って、前記支払い口座を使用して価値を前記ストアドバリュー口座に追加することを見合わせるように更に構成されている、請求項２１４に記載の電子デバイス。
【請求項２１６】
前記処理ユニットは、
前記認証情報を受信する前に、価値を前記支払い口座から前記ストアドバリュー口座に追加するための承認を生成するプロンプトを生成するように更に構成されている、請求項２１４又は２１５に記載の電子デバイス。
【請求項２１７】
ストアドバリュー口座の前記表現は、前記ストアドバリュー口座の現在の残高を含む、請求項２１４から２１６のいずれか一項に記載の電子デバイス。
【請求項２１８】
前記処理ユニットは、
前記支払い口座を使用して価値を前記ストアドバリュー口座に追加したことに続いて、前記ストアドバリュー口座に追加された前記価値を反映するように前記ストアドバリュー口座の前記現在の残高の表示を更新するように更に構成されている、請求項２１７に記載の電子デバイス。
【請求項２１９】
前記処理ユニットは、
前記ディスプレイユニット上で、アクティブ化可能な追加−価値オプションを含まない第２の支払い口座の表現の表示を有効にするように更に構成されている、請求項２１４から２１８のいずれか一項に記載の電子デバイス。
【請求項２２０】
前記処理ユニットは、
前記ディスプレイユニット上で、前記支払い口座を使用して価値を前記ストアドバリュー口座に追加するユーザ入力のためのユーザインタフェースであって、価値を追加するユーザ入力のための前記ユーザインタフェースは、
仮想数字キーパッドと、
１つ以上の提案額と、
前記ストアドバリュー口座の前記現在の残高と、
を同時に含む、ユーザ入力のためのユーザインタフェースの表示を有効にし、
前記支払い口座を使用して価値を前記ストアドバリュー口座に追加するための額の入力を前記仮想数字キーパッドにおいて受信し、
前記入力を前記仮想数字キーパッドにおいて受信したことに応じて、前記仮想数字キーパッドにおける前記受信された入力に基づいて、前記１つ以上の提案額の表示を更新する、
ように更に構成されている、請求項２１４から２１９のいずれか一項に記載の電子デバイス。
【請求項２２１】
前記仮想数字キーパッドにおける前記受信された入力は、前記支払い口座を使用して価値を前記ストアドバリュー口座に追加するための最大の許容可能な額を超える額に対応し、
前記仮想数字キーパッドにおける前記受信された入力に基づいて、前記１つ以上の提案額の表示を更新することは、前記最大の許容可能な額を反映するように前記１つ以上の提案額のうちの１つの表示を更新することを含む、請求項２２０に記載の電子デバイス。
【請求項２２２】
前記１つ以上の提案額のうちの少なくとも１つは、前記支払い口座を使用して価値を前記ストアドバリュー口座に追加するために使用された前の額に基づいている、請求項２２０又は２２１に記載の電子デバイス。
【請求項２２３】
前記１つ以上の提案額のうちの少なくとも１つは、当月の当日に基づいている、請求項２２０から２２２のいずれか一項に記載の電子デバイス。
【請求項２２４】
前記支払い口座を使用して価値を前記ストアドバリュー口座に追加するユーザ入力のための前記ユーザインタフェースは、前記ストアドバリュー口座に対応するカードのグラフィカル描写を更に同時に含み、
前記仮想数字キーパッドにおける前記受信された入力は、前記支払い口座を使用して価値を前記ストアドバリュー口座に追加するための最大の許容可能な額を超える額に対応し、
前記処理ユニットは、
前記入力を前記仮想数字キーパッドにおいて受信したことに応じて、ある期間の間に振動させるために前記ストアドバリュー口座に対応する前記カードの前記グラフィカル描写をアニメーション化するように更に構成されている、請求項２２０から２２３のいずれか一項に記載の電子デバイス。
【請求項２２５】
前記処理ユニットは、
価値を前記ストアドバリュー口座に追加するために選択された額のユーザ入力を受信し、
前記選択された額のユーザ入力を受信したことに応じて、前記ディスプレイユニット上で、認証を要求するユーザインタフェースの表示を有効にする、
ように更に構成されている、請求項２１４から２２４のいずれか一項に記載の電子デバイス。
【請求項２２６】
前記ストアドバリュー口座は、トランジット口座である、請求項２１４から２２５のいずれか一項に記載の電子デバイス。
【請求項２２７】
前記ストアドバリュー口座は、ギフトカード口座である、請求項２１４から２２６のいずれか一項に記載の電子デバイス。
【請求項２２８】
前記支払い口座を使用して価値を前記ストアドバリュー口座に追加することは、前記支払い口座を使用して価値を前記ストアドバリュー口座に追加するための繰り返し発生する取引の一部である、請求項２１４から２２７のいずれか一項に記載の電子デバイス。
【請求項２２９】
前記処理ユニットは、
前記ストアドバリュー口座の現在の残高が最小の残高通知レベルを下回ることを検出し、
前記ストアドバリュー口座の前記現在の残高が前記最小の残高通知レベルを下回ることを検出したことに応じて、前記ストアドバリュー口座の前記現在の残高が前記最小の残高通知レベルを下回ることの通知を生成する、
ように更に構成されている、請求項２１４から２２８のいずれか一項に記載の電子デバイス。
【請求項２３０】
前記処理ユニットは、
前記通知をアクティブ化するユーザ入力を受信し、
前記通知をアクティブ化する前記ユーザ入力を受信したことに応じて、前記ディスプレイユニット上で、前記支払い口座を使用して価値を前記ストアドバリュー口座に追加するユーザ入力のための前記ユーザインタフェースの表示を有効にする、
ように更に構成されている、請求項２２９に記載の電子デバイス。
【請求項２３１】
前記ストアドバリュー口座は、トランジット口座であり、
前記ストアドバリュー口座の前記表現は、
前記トランジット口座と関連付けられたトランジットプランのインジケーションと、
前記トランジットプランの有効日のインジケーションと、
を含む、請求項２１４から２２６及び２２８から２３０のいずれか一項に記載の電子デバイス。
【請求項２３２】
前記ストアドバリュー口座は、トランジット口座であり、前記処理ユニットは、
前記ディスプレイユニット上で、前記支払い口座を使用して前記トランジット口座に積み立てるためのユーザインタフェースの表示を有効にするように更に構成されており、前記トランジット口座に積み立てるための前記ユーザインタフェースは、
１つ以上の提案額と、
推薦されるトランジットプランの開始日及び終了日と、
を同時に含む、請求項２１４から２２６及び２２８から２３１のいずれか一項に記載の電子デバイス。
【請求項２３３】
前記ストアドバリュー口座は、トランジット口座であり、前記処理ユニットは、
前記ストアドバリュー口座のトランジットプランが更新期日であるとの判定に従って、前記ストアドバリュー口座の前記トランジットプランが更新期日であることを示す通知を生成するように更に構成されている、請求項２１４から２２６及び２２８から２３２のいずれか一項に記載の電子デバイス。
【請求項２３４】
前記ストアドバリュー口座は、トランジット口座であり、前記処理ユニットは、
トランジット駅への近接性を検出し、
１つ以上のコンテキスト要因に基づいて予想される目的地を判定し、
前記ストアドバリュー口座が前記トランジット駅から前記予想される目的地に旅行するための十分な資産を有しないとの判定に従って、前記ストアドバリュー口座が前記トランジット駅から前記予想される目的地に旅行するための十分な資産を有しないとの通知を生成する、
ように更に構成されており、
前記アクティブ化可能な追加−価値オプションを含む前記ストアドバリュー口座の前記表現の表示を有効にすることは、前記ストアドバリュー口座が十分な資産を有しないとの前記通知のアクティブ化を検出したことに応じている、請求項２１４から２２６及び２２８から２３３のいずれか一項に記載の電子デバイス。
【請求項２３５】
ディスプレイユニットと、
１つ以上の短距離通信無線機ユニットと、
ストアドバリュー口座を含む電子ウォレットアプリケーションユニットと、
前記ディスプレイユニット、前記１つ以上の短距離通信無線機ユニット、及びストアドバリュー口座を含む前記電子ウォレットアプリケーションユニットに結合された処理ユニットと、
を備え、前記処理ユニットは、
前記ディスプレイユニット上で、前記ストアドバリュー口座の利用可能なクレジットのインジケーションの表示を有効にし、
前記１つ以上の短距離通信無線機ユニットを使用して、前記ストアドバリュー口座の認証情報を前記電子デバイスとは別個の非接触取引端末に転送し、
前記１つ以上の短距離通信無線機ユニットを使用して前記非接触取引端末に転送された前記ストアドバリュー口座の前記認証情報を使用して実行される前記非接触取引端末との取引に基づいて、前記利用可能なクレジットの前記インジケーションの表示を前記非接触取引端末への認証情報の前記転送に対応する前記取引のインジケーションの表示に置き換える、
ように構成されている、電子デバイス。
【請求項２３６】
前記ストアドバリュー口座は、ストアドバリュートランジット口座である、請求項２３５に記載の電子デバイス。
【請求項２３７】
前記ディスプレイユニット上で、前記ストアドバリュー口座の前記利用可能なクレジットの前記インジケーションの表示を有効にすることは、
前記ディスプレイユニット上の第１の位置において、前記ストアドバリュー口座の前記利用可能なクレジットの前記インジケーションの表示を有効にすることを含み、
前記利用可能なクレジットの前記インジケーションの表示を前記非接触取引端末への認証情報の前記転送に対応する前記取引の前記インジケーションの表示に置き換えることは、
前記ディスプレイユニット上の第２の位置において、前記利用可能なクレジットの前記インジケーションの表示を有効にすることであって、前記第２の位置は、前記第１の位置とは異なる、ことと、
前記ディスプレイユニット上の前記第１の位置において、前記非接触取引端末への認証情報の前記転送に対応する前記取引の前記インジケーションの表示を有効にすることと、
を含む、請求項２３５又は２３６に記載の電子デバイス。
【請求項２３８】
前記利用可能なクレジットの前記インジケーションの表示を前記非接触取引端末への認証情報の前記転送に対応する前記取引の前記インジケーションの表示に置き換えることは、
前記ディスプレイユニット上で第１の方向に、前記利用可能なクレジットの前記インジケーションを第１の位置から前記第１の位置とは異なる第２の位置にスライドさせることと、
前記ディスプレイユニット上に前記第１の方向で、前記非接触取引端末への認証情報の前記転送に対応する前記取引の前記インジケーションをスライドさせることと、
を同時に含む、請求項２３５から２３７のいずれか一項に記載の電子デバイス。
【請求項２３９】
前記処理ユニットは、
前記ストアドバリュー口座の前記認証情報を前記非接触取引端末に転送したことに応じて、前記ディスプレイユニット上で、
前記利用可能なクレジットの前記インジケーションと、
前記非接触取引端末への認証情報の前記転送に対応する前記取引の前記インジケーションと、
前記非接触取引端末への前記ストアドバリュー口座の認証情報の前記転送が完了したことのインジケーションと、
の表示を同時に有効にするように更に構成されている、請求項２３５から２３８のいずれか一項に記載の電子デバイス。
【請求項２４０】
前記ストアドバリュー口座の前記認証情報を使用して前記取引が実行されたとの判定は、前記ストアドバリュー口座の前記利用可能なクレジットが変更されたことを検出することを含む、請求項２３５から２３９のいずれか一項に記載の電子デバイス。
【請求項２４１】
前記利用可能なクレジットの前記インジケーションの表示を前記非接触取引端末への認証情報の前記転送に対応する前記取引の前記インジケーションの表示に置き換えることは、前記ストアドバリュー口座の前記利用可能なクレジットが変更されたことを検出したことに応じている、請求項２３５から２４０のいずれか一項に記載の電子デバイス。
【請求項２４２】
前記処理ユニットは、
認証情報の前記転送を反映するように前記利用可能なクレジットの前記インジケーションを更新するように更に構成されている、請求項２３５から２４１のいずれか一項に記載の電子デバイス。
【請求項２４３】
前記処理ユニットは、
前記ディスプレイユニット上で、前記利用可能なクレジットの前記インジケーション及び認証情報の前記転送に対応する前記取引の前記インジケーションと共に前記ストアドバリュー口座のグラフィカル描写の表示を同時に有効にするように更に構成されている、請求項２３５から２４２のいずれか一項に記載の電子デバイス。
【請求項２４４】
前記処理ユニットは、
前記１つ以上の短距離通信無線機ユニットを使用して、前記ストアドバリュー口座の認証情報を前記非接触取引端末に転送する前に、かつ前記利用可能なクレジットの前記インジケーションの表示を認証情報の前記転送に対応する前記取引の前記インジケーションの表示に置き換える前に、
前記ストアドバリュー口座の認証情報を前記非接触取引端末に転送するための認証を要求するインジケーションを提示し、
認証情報を受信する、
ように更に構成されており、
前記ストアドバリュー口座の認証情報を前記非接触取引端末に転送することは、前記認証情報が取引を承認するために有効とされる登録された認証情報と一致するとの判定に従っている、請求項２３５から２４３のいずれか一項に記載の電子デバイス。
【請求項２４５】
前記処理ユニットは、
前記１つ以上の短距離通信無線機ユニットを使用して、前記ストアドバリュー口座の認証情報を前記非接触取引端末に転送したことに続いて、前記ディスプレイユニット上で、取引の履歴の表示を有効にするように更に構成されており、取引の前記履歴は、トランジットトリップの１つ以上の表現を含む、請求項２３５から２４４のいずれか一項に記載の電子デバイス。
【請求項２４６】
前記表示された取引の履歴は、トランジットプランによってカバーされているものとして示されるトランジットトリップの１つ以上の表現を含む、請求項２４５に記載の電子デバイス。
【請求項２４７】
前記表示された取引の履歴は、進行しているトランジットトリップの１つ以上の表現を含み、進行しているトランジットトリップの前記１つ以上の表現は、前記１つ以上のトランジットトリップが進行していることを示す表示された状態インジケーションを含む、請求項２４５又は２４６に記載の電子デバイス。
【請求項２４８】
進行しているトランジットトリップのインジケーションは、取引の前記履歴のリストの最上部にあり、前記処理ユニットは、
進行しているトランジットトリップの前記インジケーションを含む取引の前記履歴を前記取引の表示を履歴の前記リストの前記最上部において有効にしたことに続いて、前記１つ以上の短距離通信無線機ユニットを使用して、前記ストアドバリュー口座の認証情報を非トランジット取引のために第２の非接触取引端末に転送し、
進行しているトランジットトリップの前記インジケーションの前記表示を取引の前記履歴の前記リストにおいて移動させ、前記非トランジット取引のインジケーションの表示を進行している前記トランジットトリップの前記インジケーションによって前に占有されていた位置において有効にし、
前記１つ以上の短距離通信無線機ユニットを使用して、前記トリップを終了させるために前記ストアドバリュー口座の認証情報を進行している前記トランジットトリップのために第３の非接触取引端末に転送し、
前記ストアドバリュー口座の認証情報を進行している前記トランジットトリップのために前記第３の非接触取引端末に転送したことに応じて、
進行していた前記トランジットトリップの前記インジケーションの前記表示を取引の前記履歴の前記リストの前記最上部に移動させることに対応するために前記非トランジット取引の前記インジケーションの前記表示を移動させる、
ように更に構成されている、請求項２４７に記載の電子デバイス。
【請求項２４９】
前記処理ユニットは、
デバイス状態ユーザインタフェースを表示する要求を受信し、
前記デバイス状態ユーザインタフェースを表示する前記要求を受信したことに応じて、前記デバイス状態ユーザインタフェースの表示を有効にする、
ように更に構成されており、前記デバイス状態ユーザインタフェースの表示を有効にすることは、
前記デバイスが進行しているトランジットトリップのために前記ストアドバリュー口座を使用しているとの判定に従って、前記進行しているトランジットトリップのために前記トランジット口座の前記使用に関する情報の表示を前記デバイス状態ユーザインタフェースにおいて有効にすることと、
前記デバイスが進行しているトランジットトリップのために前記ストアドバリュー口座を使用していないとの判定に従って、トランジットトリップのために前記トランジット口座に関する情報を表示することなく前記デバイス状態ユーザインタフェースの表示を有効にすることと、
を含む、請求項２３５から２４８のいずれか一項に記載の電子デバイス。
【請求項２５０】
前記処理ユニットは、
進行しているトランジットトリップのために前記ストアドバリュー口座を使用する間、前記ストアドバリュー口座の前記認証情報を前記非接触取引端末に転送したことに従って、前記ストアドバリュー口座がトランジットシステムに使用されていることに従って、かつ前記電子デバイスがロック状態にあることに従って、
前記ディスプレイユニットのロックスクリーン上で、前記ストアドバリュー口座のインジケーションの表示を有効にするように更に構成されている、請求項２３５から２４８のいずれか一項に記載の電子デバイス。
【請求項２５１】
前記処理ユニットは、
前記ストアドバリュー口座の前記インジケーションのアクティブ化を検出し、
前記ストアドバリュー口座の前記インジケーションのアクティブ化を検出したことに応じて、前記ストアドバリュー口座が使用された最近の取引に関する情報を含む前記ストアドバリュー口座のためのカード詳細ビューの表示を有効にする、
ように更に構成されている、請求項２４８から２５０のいずれか一項に記載の電子デバイス。
【請求項２５２】
前記処理ユニットは、
前記ストアドバリュー口座の前記インジケーションのアクティブ化を検出し、
前記ストアドバリュー口座の前記インジケーションのアクティブ化を検出したことに応じて、仮想搭乗パスの表示を有効にする、
ように更に構成されており、前記仮想搭乗パスは、前記ストアドバリュー口座と関連付けられた前記進行しているトランジットトリップに関する１つ以上の詳細を含む、請求項２４８から２５０のいずれか一項に記載の電子デバイス。
【請求項２５３】
１つ以上の短距離通信無線機ユニットと、
第１の口座を含む口座情報アプリケーションユニットと、
前記１つ以上の短距離通信ユニット及び第１の口座を含む前記口座情報アプリケーションユニットに結合された処理ユニットと、
を備え、前記処理ユニットは、
前記１つ以上の短距離通信無線機ユニットによって、無線信号を検出し、
前記無線信号が第１のタイプの要求に対応するとの判定に従って、認証をチェックすることなく前記第１の口座に対応する情報を送信し、
前記無線信号が第２のタイプの要求に対応するとの判定に従って、前記無線信号に対応する取引を進める前に認証をチェックする、
ように構成されている、電子デバイス。
【請求項２５４】
前記第１のタイプの要求は、口座情報の送信が認証なしに自動的に利用可能とすることが事前に承認されたタイプの要求であり、
前記第２のタイプの要求は、口座情報の送信が認証なしに自動的に利用可能とすることが事前に承認されていないタイプの要求である、請求項２５３に記載の電子デバイス。
【請求項２５５】
前記第１の口座は、ストアドバリュー口座である、請求項２５３又は２５４に記載の電子デバイス。
【請求項２５６】
認証をチェックすることなく前記第１の口座に対応する情報を送信することは、前記１つ以上の短距離通信無線機ユニットによって、前記無線信号を検出したことに続いてユーザ入力を必要とすることなく前記第１の口座に対応する前記情報を送信することを含む、請求項２５３から２５５のいずれか一項に記載の電子デバイス。
【請求項２５７】
前記口座情報アプリケーションユニットは、前記第１の口座とは異なる第２の口座を含む、請求項２５３から２５６のいずれか一項に記載の電子デバイス。
【請求項２５８】
認証をチェックすることは、
認証を要求するインジケーションを提示することと、
認証情報を受信することと、
前記認証情報が取引を承認するために有効とされる登録された認証情報と一致するとの判定に従って、前記取引を進めることと、
を含む、請求項２５３から２５７のいずれか一項に記載の電子デバイス。
【請求項２５９】
前記取引を進めることは、
前記第１の口座に対応する情報を送信することを含む、請求項２５８に記載の電子デバイス。
【請求項２６０】
前記取引を進めることは、
前記第１の口座とは異なる第２の口座に対応する情報を送信することを含む、請求項２５８に記載の電子デバイス。
【請求項２６１】
前記処理ユニットは、
前記無線信号が前記第１のタイプの要求に対応するとの前記判定に従って、
認証を要求するいずれのインジケーションを提示することを見合わせるように更に構成されている、請求項２５３から２６０のいずれか一項に記載の電子デバイス。
【請求項２６２】
前記第１の口座は、前記口座情報アプリケーションによって記憶された複数のトランジット口座のうちの１つであり、前記口座情報アプリケーションは、トランジット口座でない１つ以上の追加的な口座を記憶し、前記処理ユニットは、
前記１つ以上の短距離通信無線機ユニットによって、前記無線信号を検出する前に、
認証をチェックすることなく前記第１の口座を使用のために利用可能とする口座として選択するユーザ入力を受信し、
認証をチェックすることなく前記第１の口座を使用のために利用可能とする口座として選択するユーザ入力を受信したことに応じて、認証をチェックすることなく前記第１の口座を使用のために利用可能とするように指定する、
ように更に構成されている、請求項２５３から２６１のいずれか一項に記載の電子デバイス。
【請求項２６３】
前記第１の口座は、識別口座である、請求項２５３から２６２のいずれか一項に記載の電子デバイス。
【請求項２６４】
前記電子デバイスは、前記無線信号を検出する前にロック状態にあり、認証をチェックすることなく前記第１の口座に対応する情報を送信する間に前記ロック状態に留まり続ける、請求項２５３から２６３のいずれか一項に記載の電子デバイス。
【請求項２６５】
前記第１の口座に対応する前記情報は、前記第１の口座の口座番号を含む、請求項２５３から２６４のいずれか一項に記載の電子デバイス。
【請求項２６６】
前記第１の口座は、ストアドバリュー口座であり、前記第１の口座に対応する前記情報は、前記第１の口座からの資産を含む、請求項２５３から２６５のいずれか一項に記載の電子デバイス。
【請求項２６７】
前記第１の口座は、支払い口座であり、前記第１の口座に対応する前記情報は、前記第１の口座の支払い口座情報を含む、請求項２５３から２６５のいずれか一項に記載の電子デバイス。
【請求項２６８】
前記第１の口座は、トランジットコミュータ口座であり、前記第１の口座に対応する前記情報は、前記第１の口座のトランジットパス情報を含む、請求項２５３から２６５のいずれか一項に記載の電子デバイス。
【請求項２６９】
前記第１の口座は、ストアドバリュー口座であり、前記第１の口座に対応する前記情報は、前記第１の口座の口座番号を含み、前記処理ユニットは、
前記１つ以上の短距離通信無線機ユニットによって、資産の額についての要求を含む第２の無線信号を検出し、
前記第２の無線信号が前記第１のタイプの要求に対応するとの判定に従って、認証をチェックすることなく前記第１の口座からの資産を送信する、
ように更に構成されている、請求項２５３から２６４のいずれか一項に記載の電子デバイス。
【請求項２７０】
前記第１の口座に対応する前記情報は、前記第１の口座の口座番号を含み、前記処理ユニットは、
前記１つ以上の短距離通信無線機ユニットによって、資産の額についての要求を含む第２の無線信号を検出し、
前記第２の無線信号が前記第１のタイプの要求に対応するとの判定に従って、
前記資産の要求された額が事前に承認された取引額を超えないとの判定に従って、認証をチェックすることなく前記第１の口座からの資産を送信し、
前記資産の要求された額が前記事前に承認された取引額を超えるとの判定に従って、
前記資産の要求された額が予想されるコストに対応しないことを示すフィードバックを生成し、
前記取引を進めるために認証をチェックする、
ように更に構成されている、請求項２５３から２６４のいずれか一項に記載の電子デバイス。
【請求項２７１】
前記処理ユニットは、
前記第２の無線信号が前記第１のタイプの要求に対応するとの前記判定に従って、
前記資産の要求された額が前記事前に承認された取引額を超えるとの前記判定に従って、
第２の認証情報を受信し、
前記第２の認証情報が取引を承認するために有効とされる登録された認証情報と一致するとの判定に従って、前記取引を進め、
前記第２の認証情報が取引を承認するために有効とされる登録された認証情報と一致しないとの判定に従って、前記取引を進めることを見合わせる、
ように更に構成されている、請求項２７０に記載の電子デバイス。
【請求項２７２】
前記無線信号が前記第１のタイプの要求に対応するとの前記判定は、前記無線信号が前記電子デバイスによって検出されたときの時間に対応する前記電子デバイスのコンテキスト情報に基づいている、請求項２５３から２７１のいずれか一項に記載の電子デバイス。
【請求項２７３】
前記無線信号が前記第１のタイプの要求に対応するとの前記判定は、１つ以上のコンテキスト条件のセットが満たされたとの判定を含み、前記１つ以上のコンテキスト条件の第１のコンテキスト条件は、前記無線信号の内容が予め定められた値を含むときに満たされる、請求項２５３から２７２のいずれか一項に記載の電子デバイス。
【請求項２７４】
前記無線信号が前記第１のタイプの要求に対応するとの前記判定は、１つ以上のコンテキスト条件のセットが満たされたとの判定を含み、前記１つ以上のコンテキスト条件の第２のコンテキスト条件は、前記無線信号が前記電子デバイスによって検出されたときの時間に対応する前記電子デバイスの物理的位置が予め定められた位置に対応するときに満たされる、請求項２５３から２７３のいずれか一項に記載の電子デバイス。
【請求項２７５】
前記無線信号が前記第１のタイプの要求に対応するとの前記判定は、１つ以上のコンテキスト条件のセットが満たされたとの判定を含み、前記１つ以上のコンテキスト条件の第３のコンテキスト条件は、前記電子デバイスが前記無線信号とは異なる１つ以上の無線信号の範囲内にあるときに満たされる、請求項２５３から２７４のいずれか一項に記載の電子デバイス。
【請求項２７６】
前記無線信号が前記第１のタイプの要求に対応するとの前記判定は、１つ以上のコンテキスト条件のセットが満たされたとの判定を含み、前記１つ以上のコンテキスト条件の第４のコンテキスト条件は、前記無線信号が資産閾値を超えない資産の額についての要求を含むときに満たされる、請求項２５３から２７５のいずれか一項に記載の電子デバイス。
【請求項２７７】
前記無線信号が前記第１のタイプの要求に対応するとの前記判定は、１つ以上のロック解除条件のセットが満たされたとの判定を含み、前記１つ以上のロック解除条件のセットの第１のロック解除条件は、前記電子デバイスが前の時間内にロック解除されたときに満たされる、請求項２５３から２７６のいずれか一項に記載の電子デバイス。
【請求項２７８】
前記無線信号が前記第１のタイプの要求に対応するとの前記判定は、１つ以上のロック解除条件のセットが満たされたとの判定を含み、前記１つ以上のロック解除条件のセットの第２のロック解除条件は、前記電子デバイスが、前記無線信号が検出される日の予め定められた日時の後にロック解除されたときに満たされる、請求項２５３から２７７のいずれか一項に記載の電子デバイス。
【請求項２７９】
前記無線信号が前記第１のタイプの要求に対応するとの前記判定は、１つ以上のロック解除条件のセットが満たされたとの判定を含み、前記１つ以上のロック解除条件のセットの第３のロック解除条件は、前記電子デバイスが再起動の後にロック解除されたときに満たされる、請求項２５３から２７８のいずれか一項に記載の電子デバイス。
【請求項２８０】
ディスプレイユニットと、
１つ以上の入力デバイスユニットと、
前記ディスプレイユニット及び前記１つ以上の入力デバイスユニットに結合された処理ユニットと、
を備え、前記処理ユニットは、
前記ディスプレイユニット上で、ユーザ口座と関連付けられた複数のデバイスの表現であって、前記複数のデバイスの前記表現は、第１のデバイスの第１の表現及び第２のデバイスの第２の表現を含み、前記第１のデバイスは、取引口座と関連付けられ、前記第２のデバイスは、前記取引口座と関連付けられない、複数のデバイスの表現の表示を有効にし、
前記１つ以上の入力デバイスユニットを介して、前記第２のデバイスの前記表示された表現に対応する選択を受信し、
前記第２のデバイスの前記表示された表現に対応する前記選択を受信したことに従って、
前記取引口座を前記第２のデバイスと関連付けさせ、
前記取引口座を前記第１のデバイスから関連付けロック解除させる、
ように構成されている、電子デバイス。
【請求項２８１】
前記第１のデバイスは、前記取引口座を前記第２のデバイスと関連付けさせ、前記第１のデバイスから関連付けロック解除させた前記電子デバイスである、請求項２８０に記載の電子デバイス。
【請求項２８２】
前記第２のデバイスは、前記取引口座を前記第２のデバイスと関連付けさせ、前記第１のデバイスから関連付けロック解除させた前記電子デバイスである、請求項２８０に記載の電子デバイス。
【請求項２８３】
前記取引口座は、支払い口座である、請求項２８０から２８２のいずれか一項に記載の電子デバイス。
【請求項２８４】
前記取引口座は、トランジット口座である、請求項２８０から２８２のいずれか一項に記載の電子デバイス。
【請求項２８５】
前記取引口座は、ストアドバリュー口座である、請求項２８０から２８４のいずれか一項に記載の電子デバイス。
【請求項２８６】
前記取引口座は、ストアドバリュー口座であり、前記処理ユニットは、
前記複数のデバイスの前記表現の表示を有効にする前に、アクティブ化可能な追加−価値オプション及びアクティブ化可能な転送−口座オプションと共に前記口座の表現の表示を同時に有効にし、
前記転送−口座オプションのアクティブ化を受信する、
ように更に構成されており、
前記ユーザ口座と関連付けられた前記複数のデバイスの前記表現の表示を有効にすることは、前記転送−口座オプションのアクティブ化を受信したことに応じている、請求項２８０から２８５のいずれか一項に記載の電子デバイス。
【請求項２８７】
前記処理ユニットは、
前記取引口座を前記複数のデバイスのうちの２つ以上のデバイスにおいて使用のために利用可能とする口座として指定するユーザ入力を受信するように更に構成されている、請求項２８０から２８６のいずれか一項に記載の電子デバイス。
【請求項２８８】
前記電子デバイスは、第２のデバイスであり、前記処理ユニットは、
前記複数のデバイスの第３のデバイスを前記取引口座が使用のために利用可能なデバイスとして指定するユーザ入力を受信し、
前記取引口座を前記第２のデバイスと関連付ロック解除けさせたことに続いて、かつ前記取引口座を前記第１のデバイスから関連付けさせたことに続いて、
前記取引口座の支払い認証情報についての要求を前記電子デバイスとは異なる前記第３のデバイスから受信し、
前記第３のデバイスが、前記取引口座が使用のために利用可能とするデバイスとして指定されているとの判定に従って、前記取引口座の支払い認証情報を前記第２のデバイスから前記第３のデバイスに送信する、
ように更に構成されている、請求項２８０から２８７のいずれか一項に記載の電子デバイス。
【請求項２８９】
前記処理ユニットは、
時間条件が満たされたとの判定に従って、
前記取引口座を前記第２のデバイスから関連付けロック解除させ、
前記取引口座を前記第１のデバイスと関連付けさせる、
ように更に構成されている、請求項２８０から２８８のいずれか一項に記載の電子デバイス。
【請求項２９０】
前記取引口座を前記第２のデバイスと関連付けさせることは、前記取引口座を前記第２のデバイスにおいて最大支払い額に制限することを含む、請求項２８０から２８９のいずれか一項に記載の電子デバイス。
【請求項２９１】
前記取引口座を前記第２のデバイスと関連付けさせることは、前記第１のデバイスから、前記第２のデバイスにおいて行われることになる提案される支払いのためのそれぞれの事前承認を必要とするように、前記取引口座を前記第２のデバイスにおいて制限することを含む、請求項２８０から２９０のいずれか一項に記載の電子デバイス。
【請求項２９２】
前記ユーザ口座と関連付けられた前記複数のデバイスの前記表現は、前記電子デバイスと同一のユーザ口座の下のサービスにログインされるデバイスの表現を含む、請求項２８０から２９１のいずれか一項に記載の電子デバイス。
【請求項２９３】
前記ユーザ口座と関連付けられた前記複数のデバイスの前記表現は、前記電子デバイスが前記サービスにログインされる前記ユーザ口座と関連付けられたそれぞれのユーザ口座を使用してサービスにログインされるデバイスの表現を含む、請求項２８０から２９２のいずれか一項に記載の電子デバイス。
【請求項２９４】
前記処理ユニットは、
前記取引口座を前記第２のデバイスと関連付けさせたことに続いて、かつ前記取引口座を前記第１のデバイスから関連付けロック解除させたことに続いて、
前記ディスプレイユニット上で、前記複数のデバイスであって、前記第１のデバイスは、前記取引口座と関連付けられず、前記第２のデバイスは、前記取引口座と関連付けられる、前記複数のデバイスの表現の表示を有効にし、
前記１つ以上の入力デバイスユニットを介して、前記第１のデバイスに対応するそれぞれの選択を受信し、
前記第１のデバイスに対応する前記それぞれの選択を受信したことに従って、
前記取引口座を前記第２のデバイスから関連付けロック解除させ、
前記取引口座を前記第１のデバイスと関連付けさせる、
ように更に構成されている、請求項２８０から２９３のいずれか一項に記載の電子デバイス。
【請求項２９５】
電子ウォレットアプリケーションユニットと、
処理ユニットと、
を備え、前記処理ユニットは、
ストアドバリュー口座を使用して支払いを行うための１つ以上の支払い基準のセットが満たされたことを検出し、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能でないとの判定に従って、前記電子デバイスとは異なる第２のデバイスからの前記ストアドバリュー口座の支払い認証情報を要求し、
前記第２のデバイスからの前記ストアドバリュー口座の前記支払い認証情報を要求したことに続いて、前記ストアドバリュー口座の前記支払い認証情報が前記第２のデバイスにおいて利用可能であるときに、前記ストアドバリュー口座の支払い認証情報を前記電子デバイスにおいて前記第２のデバイスから受信する、
ように構成されている、電子デバイス。
【請求項２９６】
前記ストアドバリュー口座の前記支払い認証情報は、短距離無線ネットワークを通じてデバイスツーデバイス通信を使用して前記電子デバイスにおいて前記第２のデバイスから受信される、請求項２９５に記載の電子デバイス。
【請求項２９７】
前記１つ以上の支払い基準のセットの第１の支払い基準は、前記電子デバイスが支払いについての要求を受信するときに満たされる、請求項２９５又は２９６に記載の電子デバイス。
【請求項２９８】
前記電子デバイスは、１つ以上の短距離通信無線機ユニットを含み、前記１つ以上の支払い基準のセットの第２の支払い基準は、前記電子デバイスが前記１つ以上の短距離通信無線機ユニットを使用して場を検出するときに満たされる、請求項２９５から２９７のいずれか一項に記載の電子デバイス。
【請求項２９９】
前記１つ以上の支払い基準のセットの第３の支払い基準は、前記電子デバイスが、支払いが要求されるであろうことを示すコンテキストを検出するときに満たされる、請求項２９５から２９８のいずれか一項に記載の電子デバイス。
【請求項３００】
前記１つ以上の支払い基準のセットの第４の支払い基準は、前記電子デバイスが前記ストアドバリュー口座に対応するオプションのアクティブ化を検出するときに満たされる、請求項２９５から２９９のいずれか一項に記載の電子デバイス。
【請求項３０１】
前記１つ以上の支払い基準のセットの第５の支払い基準は、前記電子デバイスが、前記ストアドバリュー口座が前記電子デバイスにおいて利用可能とするように指定されたと判定するときに満たされる、請求項２９５から３００のいずれか一項に記載の電子デバイス。
【請求項３０２】
前記ストアドバリュー口座は、第１のタイプの口座であり、前記１つ以上の支払い基準のセットの第６の支払い基準は、前記電子デバイスが前記第１のタイプの口座を使用して支払いについての要求を受信するときに満たされる、請求項２９５から３０１のいずれか一項に記載の電子デバイス。
【請求項３０３】
前記第２のデバイスからの前記ストアドバリュー口座の支払い認証情報を要求することは、要求を前記第２のデバイスに送信することを含み、前記要求は、前記ストアドバリュー口座を識別する、請求項２９５から３０２のいずれか一項に記載の電子デバイス。
【請求項３０４】
前記処理ユニットは、
前記ストアドバリュー口座を使用して前記支払いを行うための前記１つ以上の支払い基準のセットが満たされたことを検出したことに応じて、かつ前記ストアドバリュー口座の支払い認証情報が前記電子デバイスの前記電子ウォレットアプリケーションにおいて利用可能であるとの判定に従って、前記ストアドバリュー口座を使用して前記支払いを進めるように更に構成されている、請求項２９５から３０３のいずれか一項に記載の電子デバイス。
【請求項３０５】
前記処理ユニットは、
前記ストアドバリュー口座を使用して前記支払いを行うための前記１つ以上の支払い基準のセットが満たされたことを検出したことに応じて、前記ストアドバリュー口座の支払い認証情報が前記電子デバイスの前記電子ウォレットアプリケーションにおいて利用可能でないとの前記判定に従って、かつ前記ストアドバリュー口座の支払い認証情報を受信しないことに従って、
前記ストアドバリュー口座を使用して前記支払いを進むことを見合わせ、
前記ストアドバリュー口座が前記支払いで使用のために利用可能でないことを示す通知を前記ユーザに提示する、
ように更に構成されている、請求項２９５から３０４のいずれか一項に記載の電子デバイス。
【請求項３０６】
前記処理ユニットは、
前記ストアドバリュー口座の支払い認証情報を前記電子デバイスにおいて前記第２のデバイスから受信したことに続いて、
前記支払いを行うために資産を前記ストアドバリュー口座から取引端末に転送し、
資産を前記ストアドバリュー口座から前記取引端末に転送したことに応じて、前記ストアドバリュー口座の支払い認証情報を前記電子デバイスから前記第２のデバイスに送信する、
ように更に構成されている、請求項２９５から３０５のいずれか一項に記載の電子デバイス。
【請求項３０７】
前記処理ユニットは、
前記ストアドバリュー口座の支払い認証情報を前記電子デバイスにおいて前記第２のデバイスから受信したことに続いて、
前記支払いを行うために資産を前記ストアドバリュー口座から取引端末に転送し、
資産を前記ストアドバリュー口座から前記取引端末に転送したことに応じて、前記ストアドバリュー口座の支払い認証情報を前記電子デバイスから前記第２のデバイスに送信することを見合わせる、
ように更に構成されている、請求項２９５から３０５のいずれか一項に記載の電子デバイス。
【請求項３０８】
前記処理ユニットは、
前記ストアドバリュー口座の支払い認証情報を前記電子デバイスにおいて前記第２のデバイスから受信したことに続いて、
前記第２のデバイスから、前記ストアドバリュー口座の支払い認証情報についての要求を受信し、
前記ストアドバリュー口座の支払い認証情報の前記要求を受信したことに応じて、前記ストアドバリュー口座の支払い認証情報を前記電子デバイスから前記第２のデバイスに送信する、
ように更に構成されている、請求項２９５から３０５のいずれか一項に記載の電子デバイス。
【請求項３０９】
前記ストアドバリュー口座の支払い認証情報を前記電子デバイスにおいて前記第２のデバイスから受信したことに続いて、
予め定められたスケジュールイベント条件が満たされるかを判定することと、
前記予め定められたスケジュールイベント条件が満たされるとの判定に従って、前記ストアドバリュー口座の支払い認証情報を前記電子デバイスから前記第２のデバイスに送信することと、
を備える、請求項２９５から３０５のいずれか一項に記載の電子デバイス。
【請求項３１０】
前記電子デバイスは、前記ストアドバリュー口座の支払い認証情報を前記第２のデバイスから受信するために第１の通信プロトコルを使用し、前記電子デバイスは、取引端末への前記支払いを行うために前記第１の通信プロトコルとは異なる第２の通信プロトコルを使用する、請求項２９５から３０９のいずれか一項に記載の電子デバイス。
【請求項３１１】
前記電子デバイスは、１つ以上の無線機ユニットを含み、前記電子デバイスは、前記ストアドバリュー口座の支払い認証情報を前記第２のデバイスから受信するために前記電子デバイスの前記１つ以上の無線機ユニットの第１のセットを使用し、前記電子デバイスは、取引端末への前記支払いを行うために前記１つ以上の無線機ユニットの前記第１のセットとは異なる前記１つ以上の無線機ユニットの第２のセットを使用する、請求項２９５から３１０のいずれか一項に記載の電子デバイス。
【請求項３１２】
前記処理ユニットは、
前記ストアドバリュー口座の支払い認証情報を前記電子デバイスにおいて前記第２のデバイスから受信したことに続いて、
前記ストアドバリュー口座の支払い認証情報を使用して、支払いを行うための認証を要求するインジケーションを提示し、
認証情報を受信し、
前記認証情報が取引を承認するために有効とされる登録された認証情報と一致するとの判定に従って、前記支払いを行うために資産を前記ストアドバリュー口座から取引端末に転送する、
ように更に構成されている、請求項２９５から３１１のいずれか一項に記載の電子デバイス。
【請求項３１３】
前記電子デバイスは、セキュア要素を含み、前記記憶された価値のうちの少なくともいくつかを前記カードから前記電子デバイスに記憶された前記仮想カードに転送することは、前記電子デバイスの前記セキュア要素に、前記仮想カードの前記記憶された価値にアクセスするための情報を記憶することを含む、請求項１から１９のいずれか一項に記載の方法。
【請求項３１４】
前記電子デバイスは、セキュア要素を含み、前記記憶された価値のうちの少なくともいくつかを前記ストアドバリューカードから前記電子デバイスに記憶された前記仮想カードに転送することは、前記電子デバイスの前記セキュア要素に、前記仮想カードの前記記憶された価値にアクセスするための情報を記憶することを含む、請求項２６から４２のいずれか一項に記載の方法。
【請求項３１５】
前記電子デバイスは、セキュア要素を含み、前記支払い口座を使用して価値を前記ストアドバリュー口座に追加することは、前記電子デバイスの前記セキュア要素に、前記ストアドバリュー口座の前記記憶された価値にアクセスするための情報を記憶することを含む、請求項４９から６９のいずれか一項に記載の方法。
【請求項３１６】
前記電子デバイスは、セキュア要素を含み、前記ストアドバリュー口座の認証情報を前記非接触取引端末に転送することは、前記電子デバイスの前記セキュア要素から、前記ストアドバリュー口座の前記認証情報にアクセスするための情報を解放することを含む、請求項７６から９３のいずれか一項に記載の方法。
【請求項３１７】
前記電子デバイスは、セキュア要素を含み、認証をチェックすることなく前記第１の口座に対応する情報を送信することは、前記電子デバイスの前記セキュア要素から、前記第１の口座に対応する前記情報にアクセスするための情報を解放することを含む、請求項１００から１２６のいずれか一項に記載の方法。
【請求項３１８】
前記取引口座を前記第２のデバイスと関連付けさせることは、前記第２のデバイスに、前記取引口座の価値を取り出すための情報を前記第２のデバイスのセキュア要素に記憶させることを含み、前記取引口座を前記第１のデバイスから関連付けロック解除させることは、前記第１のデバイスに、前記取引口座の価値を取り出すための情報を前記第１のデバイスのセキュア要素に記憶させないことを含む、請求項１３３から１４７のいずれか一項に記載の方法。
【請求項３１９】
前記電子デバイスは、セキュア要素を含み、前記方法は、
前記ストアドバリュー口座の前記支払い認証情報を前記電子デバイスにおいて受信したことに続いて、前記電子デバイスの前記セキュア要素に、前記ストアドバリュー口座の価値にアクセスするための情報を記憶することを更に含む請求項１５４から１７１のいずれか一項に記載の方法。
【発明の詳細な説明】
【技術分野】
【０００１】
［関連出願の相互参照］
本出願は、全ての目的のためにその全体が参照により以下に組み込まれる、２０１６年９月６日に出願され、「ＵＳＥＲ  ＩＮＴＥＲＦＡＣＥＳ  ＦＯＲ  ＳＴＯＲＥＤ−ＶＡＬＵＥ  ＡＣＣＯＵＮＴＳ」と題する、米国特許仮出願第６２／３８４，０４３号に対する優先権を主張する。
【０００２】
本出願は、その内容が参照により以下に組み込まれる、２０１３年１２月６日に出願され、「ＰＲＯＶＩＳＩＯＮＩＮＧ  ＡＮＤ  ＡＵＴＨＥＮＴＩＣＡＴＩＮＧ  ＣＲＥＤＥＮＴＩＡＬＳ  ＯＮ  ＡＮ  ＥＬＥＣＴＲＯＮＩＣ  ＤＥＶＩＣＥ」と題する米国仮特許出願第６１／９１２，７２７号、及び２０１４年５月２９日に出願され、「ＭＥＴＨＯＤＳ  ＦＯＲ  ＭＡＮＡＧＩＮＧ  ＰＡＹＭＥＮＴ  ＡＰＰＬＥＴＳ  ＯＮ  Ａ  ＳＥＣＵＲＥ  ＥＬＥＭＥＮＴ  ＴＯ  ＣＯＮＤＵＣＴ  ＭＯＢＩＬＥ  ＰＡＹＭＥＮＴ  ＴＲＡＮＳＡＣＴＩＯＮＳ」と題する米国仮特許出願第６２／００４，８３７」に関する。
【０００３】
［技術分野］
本開示は概して、コンピュータユーザインタフェースに関し、より詳細には、取引及び口座を管理する技術に関する。
【背景技術】
【０００４】
取引及び口座を管理する電子デバイスの使用が近年は著しく増大している。取引を管理する例示的な技術は、情報の取引に参加することを含む。口座を管理する例示的な技術は、スマートフォンデバイスの口座を追加及び除去することを含む。
【発明の概要】
【０００５】
しかしながら、電子デバイスを使用して取引及び口座を管理するいくつかの技術は概して、煩わしくかつ不十分である。例えば、いくつかの既存の技術は、複数のキー押圧又はキーストロークを含むことがある、複雑かつ時間を要するユーザインタフェースを使用する。他の例では、取引に参加するいくつかの既存の技術は、ユーザが口座を指定する入力を提供すること、デバイスをロック解除すること、又は取引の間の認証を提供することを必要とする。既存の技術では、必要以上の時間が必要とし、ユーザの時間やデバイスの電力を浪費する。この後者の考慮事項は、バッテリ動作デバイスにおいては特に重要である。
【０００６】
したがって、本技術は、口座及び取引を管理するより高速なより効率的な方法及びインタフェースを有する電子デバイスを提供する。かかる方法及びインタフェースは任意選択的に、口座及び取引を管理する他の方法を補完し、又は置き換える。かかる方法及びインタフェースは、ユーザの認識的負担を低減し、より効率的なヒューマンマシンインタフェースを生成する。バッテリ動作式のデバイスの場合には、かかる方法及びインタフェースは、電力を節約し、充電間隔が増すことになる。更に、かかる方法及びインタフェースは、スマートフォン及びスマートウォッチなどの電子デバイスにおいて必要とされる入力の数を低減する。
【０００７】
一部の実施形態に従って、１つ以上の入力デバイス及び１つ以上の短距離通信無線機を有する電子デバイスにおいて実行される方法が説明される。方法は、１つ以上の短距離通信無線機によって、カードのカード口座番号を受信することであって、カードは、記憶された価値を有する、ことと、カードの所有権を検証するための検証情報を要求することと、１つ以上の入力デバイスを介して、カードの所有権を検証するための検証情報を含む電子デバイスのユーザからの入力を受信することと、検証情報を検証情報と別個に受信されるカードに関する別個の情報と比較することによってカードの所有権を検証することと、所有権の検証が成功しているとの判定に従って、価値の転送のための価値の転送動作を実行するプロンプトを生成することと、価値の転送動作と共に、記憶された価値のうちの少なくともいくつかをカードから電子デバイスに記憶された仮想カードに転送することと、を含む。
【０００８】
一部の実施形態に従って、非一時的コンピュータ可読記憶媒体が説明される。非一時的コンピュータ可読記憶媒体は、１つ以上の入力デバイス及び１つ以上の短距離通信無線機を有する電子デバイスの１つ以上のプロセッサによって実行されるように構成された１つ以上のプログラムを記憶し、１つ以上のプログラムは、１つ以上の短距離通信無線機によって、カードであって、カードは、記憶された価値を有する、カードのカード口座番号を受信し、カードの所有権を検証するための検証情報を要求し、１つ以上の入力デバイスを介して、カードの所有権を検証するための検証情報を含む電子デバイスのユーザからの入力を受信し、検証情報を検証情報と別個に受信されるカードに関する別個の情報と比較することによってカードの所有権を検証し、所有権の検証が成功しているとの判定に従って、価値の転送のための価値の転送動作を実行するプロンプトを生成し、価値の転送動作と共に、記憶された価値のうちの少なくともいくつかをカードから電子デバイスに記憶された仮想カードに転送する、命令を含む。
【０００９】
一部の実施形態に従って、一時的コンピュータ可読記憶媒体が説明される。一時的コンピュータ可読記憶媒体は、１つ以上の入力デバイス及び１つ以上の短距離通信無線機を有する電子デバイスの１つ以上のプロセッサによって実行されるように構成された１つ以上のプログラムを記憶し、１つ以上のプログラムは、１つ以上の短距離通信無線機によって、カードであって、カードは、記憶された価値を有する、カードのカード口座番号を受信し、カードの所有権を検証するための検証情報を要求し、１つ以上の入力デバイスを介して、カードの所有権を検証するための検証情報を含む電子デバイスのユーザからの入力を受信し、検証情報を検証情報と別個に受信されるカードに関する別個の情報と比較することによってカードの所有権を検証し、所有権の検証が成功しているとの判定に従って、価値の転送のための価値の転送動作を実行するプロンプトを生成し、価値の転送動作と共に、記憶された価値のうちの少なくともいくつかをカードから電子デバイスに記憶された仮想カードに転送する、命令を含む。
【００１０】
一部の実施形態に従って、電子デバイスが説明される。電子デバイスは、１つ以上の入力デバイスと、１つ以上の短距離通信無線機と、１つ以上のプロセッサと、１つ以上のプロセッサによって実行されるように構成された１つ以上のプログラムを記憶したメモリと、を備え、１つ以上のプログラムは、１つ以上の短距離通信無線機によって、カードであって、カードは、記憶された価値を有する、カードのカード口座番号を受信し、カードの所有権を検証するための検証情報を要求し、１つ以上の入力デバイスを介して、カードの所有権を検証するための検証情報を含む電子デバイスのユーザからの入力を受信し、検証情報を検証情報と別個に受信されるカードに関する別個の情報と比較することによってカードの所有権を検証し、所有権の検証が成功しているとの判定に従って、価値の転送のための価値の転送動作を実行するプロンプトを生成し、価値の転送動作と共に、記憶された価値のうちの少なくともいくつかをカードから電子デバイスに記憶された仮想カードに転送する、命令を含む。
【００１１】
一部の実施形態に従って、電子デバイスが説明される。電子デバイスは、１つ以上の入力デバイスと、１つ以上の短距離通信無線機と、１つ以上の短距離通信無線機によって、カードのカード口座番号を受信する手段であって、カードは、記憶された価値を有する、手段と、カードの所有権を検証するための検証情報を要求する手段と、１つ以上の入力デバイスを介して、カードの所有権を検証するための検証情報を含む電子デバイスのユーザからの入力を受信する手段と、検証情報を検証情報と別個に受信されるカードに関する別個の情報と比較することによってカードの所有権を検証する手段と、所有権の検証が成功しているとの判定に従って、価値の転送のための価値の転送動作を実行するプロンプトを生成し、価値の転送動作と共に、記憶された価値のうちの少なくともいくつかをカードから電子デバイスに記憶された仮想カードに転送する、手段と、を備える。
【００１２】
一部の実施形態に従って、ディスプレイ、１つ以上の入力デバイス、及び１つ以上の短距離通信無線機を有する電子デバイスにおいて実行される方法が説明される。方法は、ストアドバリューカードの所有権を検証するための検証情報を要求することであって、ストアドバリューカードは、記憶された価値を有する、ことと、１つ以上の入力デバイスを介して、カードの所有権を検証するための検証情報を含む電子デバイスのユーザからの入力を受信することであって、検証情報は、カード上に示されない情報を含む、ことと、電子デバイスのディスプレイ上で、電子デバイスをストアドバリューカードの通信範囲内に配置するプロンプトを表示することと、１つ以上の短距離通信無線機によって、識別情報をストアドバリューカードから受信することと、検証情報を識別情報と比較することによってストアドバリューカードの所有権を検証することと、所有権の検証が成功しているとの判定に従って、記憶された価値のうちの少なくともいくつかをストアドバリューカードから電子デバイスに記憶された仮想カードに転送することと、を含む。
【００１３】
一部の実施形態に従って、非一時的コンピュータ可読記憶媒体が説明される。非一時的コンピュータ可読記憶媒体は、ディスプレイ、１つ以上の短距離通信無線機、及び１つ以上の入力デバイス有する電子デバイスの１つ以上のプロセッサによって実行されるように構成された１つ以上のプログラムを記憶し、１つ以上のプログラムは、ストアドバリューカードであって、ストアドバリューカードは、記憶された価値を有する、ストアドバリューカードの所有権を検証するための検証情報を要求し１つ以上の入力デバイスを介して、カードの所有権を検証するための検証情報であって、検証情報は、カード上に示されない情報を含む、検証情報を含む電子デバイスのユーザからの入力を受信し、電子デバイスのディスプレイ上で、電子デバイスをストアドバリューカードの通信範囲内に配置するプロンプトを表示し、１つ以上の短距離通信無線機によって、識別情報をストアドバリューカードから受信し、検証情報を識別情報と比較することによってストアドバリューカードの所有権を検証し、所有権の検証が成功しているとの判定に従って、記憶された価値のうちの少なくともいくつかをストアドバリューカードから電子デバイスに記憶された仮想カードに転送する、命令を含む。
【００１４】
一部の実施形態に従って、一時的コンピュータ可読記憶媒体が説明される。一時的コンピュータ可読記憶媒体は、ディスプレイ、１つ以上の短距離通信無線機、及び１つ以上の入力デバイス有する電子デバイスの１つ以上のプロセッサによって実行されるように構成された１つ以上のプログラムを記憶し、１つ以上のプログラムは、ストアドバリューカードであって、ストアドバリューカードは、記憶された価値を有する、ストアドバリューカードの所有権を検証するための検証情報を要求し、１つ以上の入力デバイスを介して、カードの所有権を検証するための検証情報であって、検証情報は、カード上に示されない情報を含む、検証情報を含む電子デバイスのユーザからの入力を受信し、電子デバイスのディスプレイ上で、電子デバイスをストアドバリューカードの通信範囲内に配置するプロンプトを表示し、１つ以上の短距離通信無線機によって、識別情報をストアドバリューカードから受信し、検証情報を識別情報と比較することによってストアドバリューカードの所有権を検証し、所有権の検証が成功しているとの判定に従って、記憶された価値のうちの少なくともいくつかをストアドバリューカードから電子デバイスに記憶された仮想カードに転送する、命令を含む。
【００１５】
一部の実施形態に従って、電子デバイスが説明される。電子デバイスは、ディスプレイと、１つ以上の短距離通信無線機と、１つ以上の入力デバイスと、１つ以上のプロセッサと、１つ以上のプロセッサによって実行されるように構成された１つ以上のプログラムを記憶したメモリと、を備え、１つ以上のプログラムは、ストアドバリューカードであって、ストアドバリューカードは、記憶された価値を有する、ストアドバリューカードの所有権を検証するための検証情報を要求し、１つ以上の入力デバイスを介して、カードの所有権を検証するための検証情報であって、検証情報は、カード上に示されない情報を含む、検証情報を含む電子デバイスのユーザからの入力を受信し電子デバイスのディスプレイ上で、電子デバイスをストアドバリューカードの通信範囲内に配置するプロンプトを表示し、１つ以上の短距離通信無線機によって、識別情報をストアドバリューカードから受信し、検証情報を識別情報と比較することによってストアドバリューカードの所有権を検証し、所有権の検証が成功しているとの判定に従って、記憶された価値のうちの少なくともいくつかをストアドバリューカードから電子デバイスに記憶された仮想カードに転送する、命令を含む。
【００１６】
一部の実施形態に従って、電子デバイスが説明される。電子デバイスは、ディスプレイと、１つ以上の短距離通信無線機と、１つ以上の入力デバイスと、ストアドバリューカードの所有権を検証するための検証情報を要求する手段であって、ストアドバリューカードは、記憶された価値を有する、手段と、１つ以上の入力デバイスを介して、カードの所有権を検証するための検証情報を含む電子デバイスのユーザからの入力を受信する手段であって、検証情報は、カード上に示されない情報を含む、手段と、電子デバイスのディスプレイ上で、電子デバイスをストアドバリューカードの通信範囲内に配置するプロンプトを表示する手段と、１つ以上の短距離通信無線機によって、識別情報をストアドバリューカードから受信する手段と、検証情報を識別情報と比較することによってストアドバリューカードの所有権を検証する手段と、所有権の検証が成功しているとの判定に従って、記憶された価値のうちの少なくともいくつかをストアドバリューカードから電子デバイスに記憶された仮想カードに転送する手段と、を備える。
【００１７】
一部の実施形態に従って、ディスプレイ及び１つ以上の入力デバイスを有する電子デバイスにおいて実行される方法が説明される。方法は、ディスプレイ上で、アクティブ化可能な追加−価値オプションを含むストアドバリュー口座の表現を表示することであって、電子デバイスは、ストアドバリュー口座及び支払い口座を含む電子ウォレットアプリケーションを有する、ことと、ストアドバリュー口座の表現を表示する間、１つ以上の入力デバイスを介して、追加−価値オプションのアクティブ化を検出することと、１つ以上の入力デバイスを介して、電子ウォレットアプリケーションの支払い口座を使用して価値をストアドバリュー口座に追加するための積立−口座オプションのアクティブ化を検出することと、資産を支払い口座からストアドバリュー口座に追加するための提案される取引を表示する間、認証情報を電子デバイスにおいて受信することと、認証情報を受信したことに応じて、かつ認証情報が支払い口座を使用して支払い取引を実行するための登録された認証情報と一致するとの判定に従って、支払い口座を使用して価値をストアドバリュー口座に追加することと、を含む。
【００１８】
一部の実施形態に従って、非一時的コンピュータ可読記憶媒体が説明される。非一時的コンピュータ可読記憶媒体は、ディスプレイ及び１つ以上の入力デバイス有する電子デバイスの１つ以上のプロセッサによって実行されるように構成された１つ以上のプログラムを記憶し、１つ以上のプログラムは、ディスプレイ上で、アクティブ化可能な追加−価値オプションであって、電子デバイスは、ストアドバリュー口座及び支払い口座を含む電子ウォレットアプリケーションを有する、ストアドバリュー口座の表現を表示し、ストアドバリュー口座の表現を表示する間、１つ以上の入力デバイスを介して、追加−価値オプションのアクティブ化を検出し、１つ以上の入力デバイスを介して、電子ウォレットアプリケーションの支払い口座を使用して価値をストアドバリュー口座に追加するための積立−口座オプションのアクティブ化を検出し、資産を支払い口座からストアドバリュー口座に追加するための提案される取引を表示する間、認証情報を電子デバイスにおいて受信し、認証情報を受信したことに応じて、かつ認証情報が支払い口座を使用して支払い取引を実行するための登録された認証情報と一致するとの判定に従って、支払い口座を使用して価値をストアドバリュー口座に追加する、命令を含む。
【００１９】
一部の実施形態に従って、一時的コンピュータ可読記憶媒体が説明される。一時的コンピュータ可読記憶媒体は、ディスプレイ及び１つ以上の入力デバイス有する電子デバイスの１つ以上のプロセッサによって実行されるように構成された１つ以上のプログラムを記憶し、１つ以上のプログラムは、ディスプレイ上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現を表示し、ストアドバリュー口座の表現を表示する間、１つ以上の入力デバイスを介して、追加−価値オプションのアクティブ化を検出し、１つ以上の入力デバイスを介して、電子ウォレットアプリケーションの支払い口座を使用して価値をストアドバリュー口座に追加するための積立−口座オプションのアクティブ化を検出し、資産を支払い口座からストアドバリュー口座に追加するための提案される取引を表示する間、認証情報を電子デバイスにおいて受信し、認証情報を受信したことに応じて、かつ認証情報が支払い口座を使用して支払い取引を実行するための登録された認証情報と一致するとの判定に従って、支払い口座を使用して価値をストアドバリュー口座に追加する、命令を含む。
【００２０】
一部の実施形態に従って、電子デバイスが説明される。電子デバイスは、ディスプレイと、１つ以上の入力デバイスと、１つ以上のプロセッサと、１つ以上のプロセッサによって実行されるように構成された１つ以上のプログラムを記憶したメモリと、を備え、１つ以上のプログラムは、ディスプレイ上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現を表示し、ストアドバリュー口座の表現を表示する間、１つ以上の入力デバイスを介して、追加−価値オプションのアクティブ化を検出し、１つ以上の入力デバイスを介して、電子ウォレットアプリケーションの支払い口座を使用して価値をストアドバリュー口座に追加するための積立−口座オプションのアクティブ化を検出し、資産を支払い口座からストアドバリュー口座に追加するための提案される取引を表示する間、認証情報を電子デバイスにおいて受信し、認証情報を受信したことに応じて、かつ認証情報が支払い口座を使用して支払い取引を実行するための登録された認証情報と一致するとの判定に従って、支払い口座を使用して価値をストアドバリュー口座に追加する、取引を含む。
【００２１】
一部の実施形態に従って、電子デバイスが説明される。電子デバイスは、ディスプレイと、１つ以上の入力デバイスと、ディスプレイ上で、アクティブ化可能な追加−価値オプションを含むストアドバリュー口座の表現を表示する手段であって、電子デバイスは、ストアドバリュー口座及び支払い口座を含む電子ウォレットアプリケーションを有する、手段と、ストアドバリュー口座の表現を表示する間、１つ以上の入力デバイスを介して、追加−価値オプションのアクティブ化を検出する手段と、１つ以上の入力デバイスを介して、電子ウォレットアプリケーションの支払い口座を使用して価値をストアドバリュー口座に追加するための積立−口座オプションのアクティブ化を検出する手段と、資産を支払い口座からストアドバリュー口座に追加するための提案される取引を表示する間、認証情報を電子デバイスにおいて受信する手段と、認証情報を受信したことに応じて、かつ認証情報が支払い口座を使用して支払い取引を実行するための登録された認証情報と一致するとの判定に従って、支払い口座を使用して価値をストアドバリュー口座に追加する手段と、を備える。
【００２２】
一部の実施形態に従って、ディスプレイ、１つ以上の短距離通信無線機、及びストアドバリュー口座を含む電子ウォレットアプリケーションを有する電子デバイスにおいて実行される方法が説明される。方法は、ディスプレイ上で、ストアドバリュー口座の利用可能なクレジットのインジケーションを表示することと、１つ以上の短距離通信無線機を使用して、ストアドバリュー口座の認証情報を電子デバイスとは別個の非接触取引端末に転送することと、１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換えることと、を含む。
【００２３】
一部の実施形態に従って、非一時的コンピュータ可読記憶媒体が説明される。非一時的コンピュータ可読記憶媒体は、ディスプレイ、１つ以上の短距離通信無線機、及びストアドバリュー口座を含む電子ウォレットアプリケーション有する電子デバイスの１つ以上のプロセッサによって実行されるように構成された１つ以上のプログラムを記憶し、１つ以上のプログラムは、ディスプレイ上で、ストアドバリュー口座の利用可能なクレジットのインジケーションを表示し、１つ以上の短距離通信無線機を使用して、ストアドバリュー口座の認証情報を電子デバイスとは別個の非接触取引端末に転送し、１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、命令を含む。
【００２４】
一部の実施形態に従って、一時的コンピュータ可読記憶媒体が説明される。一時的コンピュータ可読記憶媒体は、ディスプレイ、１つ以上の短距離通信無線機、及びストアドバリュー口座を含む電子ウォレットアプリケーション有する電子デバイスの１つ以上のプロセッサによって実行されるように構成された１つ以上のプログラムを記憶し、１つ以上のプログラムは、ディスプレイ上で、ストアドバリュー口座の利用可能なクレジットのインジケーションを表示し、１つ以上の短距離通信無線機を使用して、ストアドバリュー口座の認証情報を電子デバイスとは別個の非接触取引端末に転送し、１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、命令を含む。
【００２５】
一部の実施形態に従って、電子デバイスが説明される。電子デバイスは、ディスプレイと、１つ以上の短距離通信無線機と、ストアドバリュー口座を含む電子ウォレットアプリケーションと、１つ以上のプロセッサと、１つ以上のプロセッサによって実行されるように構成された１つ以上のプログラムを記憶したメモリと、を備え、１つ以上のプログラムは、ディスプレイ上で、ストアドバリュー口座の利用可能なクレジットのインジケーションを表示し、１つ以上の短距離通信無線機を使用して、ストアドバリュー口座の認証情報を電子デバイスとは別個の非接触取引端末に転送し、１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、命令を含む。
【００２６】
一部の実施形態に従って、電子デバイスが説明される。電子デバイスは、ディスプレイと、１つ以上の短距離通信無線機と、ストアドバリュー口座を含む電子ウォレットアプリケーションと、ディスプレイ上で、ストアドバリュー口座の利用可能なクレジットのインジケーションを表示する手段と、１つ以上の短距離通信無線機を使用して、ストアドバリュー口座の認証情報を電子デバイスとは別個の非接触取引端末に転送する手段と、１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える手段と、を備える。
【００２７】
一部の実施形態に従って、１つ以上の短距離通信無線機及び第１の口座を含む口座情報アプリケーションを有する電子デバイスにおいて実行される方法が説明される。方法は、１つ以上の短距離通信無線機によって、無線信号を検出することと、無線信号が第１のタイプの要求に対応するとの判定に従って、認証をチェックすることなく第１の口座に対応する情報を送信することと、無線信号が第２のタイプの要求に対応するとの判定に従って、無線信号に対応する取引を進める前に認証をチェックすることと、を含む。
【００２８】
一部の実施形態に従って、非一時的コンピュータ可読記憶媒体が説明される。非一時的コンピュータ可読記憶媒体は、１つ以上の短距離通信無線機及び第１の口座を含む口座情報アプリケーションを有する電子デバイスの１つ以上のプロセッサによって実行されるように構成された１つ以上のプログラムを記憶し、１つ以上のプログラムは、１つ以上の短距離通信無線機によって、無線信号を検出し、無線信号が第１のタイプの要求に対応するとの判定に従って、認証をチェックすることなく第１の口座に対応する情報を送信し、無線信号が第２のタイプの要求に対応するとの判定に従って、無線信号に対応する取引を進める前に認証をチェックする、命令を含む。
【００２９】
一部の実施形態に従って、一時的コンピュータ可読記憶媒体が説明される。一時的コンピュータ可読記憶媒体は、１つ以上の短距離通信無線機及び第１の口座を含む口座情報アプリケーションを有する電子デバイスの１つ以上のプロセッサによって実行されるように構成された１つ以上のプログラムを記憶し、１つ以上のプログラムは、１つ以上の短距離通信無線機によって、無線信号を検出し、無線信号が第１のタイプの要求に対応するとの判定に従って、認証をチェックすることなく第１の口座に対応する情報を送信し、無線信号が第２のタイプの要求に対応するとの判定に従って、無線信号に対応する取引を進める前に認証をチェックする、命令を含む。
【００３０】
一部の実施形態に従って、電子デバイスが説明される。電子デバイスは、１つ以上の短距離通信無線機と、第１の口座を含む口座情報アプリケーションと、１つ以上のプロセッサと、１つ以上のプロセッサによって実行されるように構成された１つ以上のプログラムを記憶したメモリと、を備え、１つ以上のプログラムは、１つ以上の短距離通信無線機によって、無線信号を検出し、無線信号が第１のタイプの要求に対応するとの判定に従って、認証をチェックすることなく第１の口座に対応する情報を送信し、無線信号が第２のタイプの要求に対応するとの判定に従って、無線信号に対応する取引を進める前に認証をチェックする、命令を含む。
【００３１】
一部の実施形態に従って、電子デバイスが説明される。電子デバイスは、１つ以上の短距離通信無線機と、第１の口座を含む口座情報アプリケーションと、１つ以上の短距離通信無線機によって、無線信号を検出する手段と、無線信号が第１のタイプの要求に対応するとの判定に従って、認証をチェックすることなく第１の口座に対応する情報を送信する手段と、無線信号が第２のタイプの要求に対応するとの判定に従って、無線信号に対応する取引を進める前に認証をチェックする手段と、を備える。
【００３２】
一部の実施形態に従って、ディスプレイ及び１つ以上の入力デバイスを有する電子デバイスにおいて実行される方法が説明される。方法は、ディスプレイ上で、ユーザ口座と関連付けられた複数のデバイスの表現を表示することであって、複数のデバイスの表現は、第１のデバイスの第１の表現及び第２のデバイスの第２の表現を含み、第１のデバイスは、取引口座と関連付けられ、第２のデバイスは、取引口座と関連付けられない、ことと、１つ以上の入力デバイスを介して、第２のデバイスの表示された表現に対応する選択を受信することと、第２のデバイスの表示された表現に対応する選択を受信したことに従って、取引口座を第２のデバイスと関連付けさせる、取引口座を第１のデバイスから関連付けロック解除させることと、を含む。
【００３３】
一部の実施形態に従って、非一時的コンピュータ可読記憶媒体が説明される。非一時的コンピュータ可読記憶媒体は、ディスプレイ及び１つ以上の入力デバイス有する電子デバイスの１つ以上のプロセッサによって実行されるように構成された１つ以上のプログラムを記憶し、１つ以上のプログラムは、ディスプレイ上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現を表示し１つ以上の入力デバイスを介して、第２のデバイスの表示された表現に対応する選択を受信し、第２のデバイスの表示された表現に対応する選択を受信したことに従って、取引口座を第２のデバイスと関連付けさせ、取引口座を第１のデバイスから関連付けロック解除させる、命令を含む。
【００３４】
一部の実施形態に従って、一時的コンピュータ可読記憶媒体が説明される。一時的コンピュータ可読記憶媒体は、ディスプレイ及び１つ以上の入力デバイス有する電子デバイスの１つ以上のプロセッサによって実行されるように構成された１つ以上のプログラムを記憶し、１つ以上のプログラムは、ディスプレイ上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現を表示し、１つ以上の入力デバイスを介して、第２のデバイスの表示された表現に対応する選択を受信し、第２のデバイスの表示された表現に対応する選択を受信したことに従って、取引口座を第２のデバイスと関連付けさせ、取引口座を第１のデバイスから関連付けロック解除させる、命令を含む。
【００３５】
一部の実施形態に従って、電子デバイスが説明される。電子デバイスは、ディスプレイと、１つ以上の入力デバイスと、１つ以上のプロセッサと、１つ以上のプロセッサによって実行されるように構成された１つ以上のプログラムを記憶したメモリと、を備え、１つ以上のプログラムは、ディスプレイ上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けさせ、第２のデバイスは、取引口座と関連付けさせない、複数のデバイスの表現を表示し１つ以上の入力デバイスを介して、第２のデバイスの表示された表現に対応する選択を受信し、第２のデバイスの表示された表現に対応する選択を受信したことに従って、取引口座を第２のデバイスと関連付けさせ、取引口座を第１のデバイスから関連付けロック解除させる、命令を含む。
【００３６】
一部の実施形態に従って、電子デバイスが説明される。電子デバイスは、ディスプレイと、１つ以上の入力デバイスと、ディスプレイ上で、ユーザ口座と関連付けられた複数のデバイスの表現を表示する手段であって、複数のデバイスの表現は、第１のデバイスの第１の表現及び第２のデバイスの第２の表現を含み、第１のデバイスは、取引口座と関連付けられ、第２のデバイスは、取引口座と関連付けらない、手段と、１つ以上の入力デバイスを介して、第２のデバイスの表示された表現に対応する選択を受信する手段と、第２のデバイスの表示された表現に対応する選択を受信したことに従って、取引口座を第２のデバイスと関連付けさせ、取引口座を第１のデバイスから関連付けロック解除させる、手段と、を備える。
【００３７】
一部の実施形態に従って、電子ウォレットアプリケーションを有する電子デバイスにおいて実行される方法が説明される。方法は、ストアドバリュー口座を使用して支払いを行うための１つ以上の支払い基準のセットが満たされたことを検出することと、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求することと、第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信することと、を含む。
【００３８】
一部の実施形態に従って、非一時的コンピュータ可読記憶媒体が説明される。非一時的コンピュータ可読記憶媒体は、電子ウォレットアプリケーション有する電子デバイスの１つ以上のプロセッサによって実行されるように構成された１つ以上のプログラムを記憶し、１つ以上のプログラムは、ストアドバリュー口座を使用して支払いを行うための１つ以上の支払い基準のセットが満たされたことを検出し、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、命令を含む。
【００３９】
一部の実施形態に従って、一時的コンピュータ可読記憶媒体が説明される。一時的コンピュータ可読記憶媒体は、電子ウォレットアプリケーション有する電子デバイスの１つ以上のプロセッサによって実行されるように構成された１つ以上のプログラムを記憶し、１つ以上のプログラムは、ストアドバリュー口座を使用して支払いを行うための１つ以上の支払い基準のセットが満たされたことを検出し、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、命令を含む。
【００４０】
一部の実施形態に従って、電子デバイスが説明される。電子デバイスは、電子ウォレットアプリケーションと、１つ以上のプロセッサと、１つ以上のプロセッサによって実行されるように構成された１つ以上のプログラムを記憶したメモリと、を備え、１つ以上のプログラムは、ストアドバリュー口座を使用して支払いを行うための１つ以上の支払い基準のセットが満たされたことを検出し、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、命令を含む。
【００４１】
一部の実施形態に従って、電子デバイスが説明される。電子デバイスは、電子ウォレットアプリケーションと、ストアドバリュー口座を使用して支払いを行うための１つ以上の支払い基準のセットが満たされたことを検出する手段と、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求する手段と、前第２のデバイスからのストアドバリュー口座の支払い認証情報を要求したことに続いて、記ストアドバリュー口座の支払い認証情報が第２のデバイスにおいて利用可能であるときに、ストアドバリュー口座の支払い認証情報を電子デバイスにおいて第２のデバイスから受信する手段と、を備える。
【００４２】
一部の実施形態に従って、電子デバイスが説明される。電子デバイスは、１つ以上の入力デバイスユニットと、１つ以上の短距離通信無線機ユニットと、１つ以上の入力デバイスユニット及び１つ以上の短距離通信無線機ユニットに結合された処理ユニットと、を備え、処理ユニットは、１つ以上の短距離通信無線機ユニットによって、カードのであって、カードは、記憶された価値を有する、カードのカード口座番号を受信し、カードの所有権を検証するための検証情報を要求し、１つ以上の入力デバイスユニットを介して、カードの所有権を検証するための検証情報を含む電子デバイスのユーザからの入力を受信し、検証情報を検証情報と別個に受信されるカードに関する別個の情報と比較することによってカードの所有権を検証し、所有権の検証が成功しているとの判定に従って、価値の転送のための価値の転送動作を実行するプロンプトを生成し、価値の転送動作と共に、記憶された価値のうちの少なくともいくつかをカードから電子デバイスに記憶された仮想カードに転送する、ように構成されている。
【００４３】
一部の実施形態に従って、電子デバイスが説明される。電子デバイスは、ディスプレイユニットと、１つ以上の入力デバイスユニットと、１つ以上の短距離通信無線機ユニットと、ディスプレイユニット、１つ以上の短距離通信無線機ユニット、及び１つ以上の入力デバイスユニットに結合された処理ユニットと、を備え、処理ユニットは、ストアドバリューカードであって、ストアドバリューカードは、記憶された価値を有する、ストアドバリューカードの所有権を検証するための検証情報を要求し、１つ以上の入力デバイスユニットを介して、カードの所有権を検証するための検証情報であって、検証情報は、カード上に示されない情報を含む、検証情報を含む電子デバイスのユーザからの入力を受信し電子デバイスのディスプレイユニット上で、電子デバイスをストアドバリューカードの通信範囲内に配置するプロンプトの表示を有効にし、１つ以上の短距離通信無線機ユニットによって、識別情報をストアドバリューカードから受信し、検証情報を識別情報と比較することによってストアドバリューカードの所有権を検証し、所有権の検証が成功しているとの判定に従って、記憶された価値のうちの少なくともいくつかをストアドバリューカードから電子デバイスに記憶された仮想カードに転送する、ように構成されている。
【００４４】
一部の実施形態に従って、電子デバイスが説明される。電子デバイスは、ディスプレイユニットと、１つ以上の入力デバイスユニットと、ディスプレイユニット及び１つ以上の入力デバイスユニットに結合された処理ユニットと、を備え、処理ユニットは、ディスプレイユニット上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現の表示を有効にし、ストアドバリュー口座の表現の表示を有効にする間、１つ以上の入力デバイスユニットを介して、追加−価値オプションのアクティブ化を検出し、１つ以上の入力デバイスユニットを介して、電子ウォレットアプリケーションの支払い口座を使用して価値をストアドバリュー口座に追加するための積立−口座オプションのアクティブ化を検出し、資産を支払い口座からストアドバリュー口座に追加するための提案される取引の表示を有効にする間、認証情報を電子デバイスにおいて受信し、認証情報を受信したことに応じて、かつ認証情報が支払い口座を使用して支払い取引を実行するための登録された認証情報と一致するとの判定に従って、支払い口座を使用して価値をストアドバリュー口座に追加する、ように構成されている。
【００４５】
一部の実施形態に従って、電子デバイスが説明される。電子デバイスは、ディスプレイユニットと、１つ以上の短距離通信無線機ユニットと、ストアドバリュー口座を含む電子ウォレットアプリケーションユニットと、ディスプレイユニット、１つ以上の短距離通信無線機ユニット、及びストアドバリュー口座を含む電子ウォレットアプリケーションユニットに結合された処理ユニットと、を備え、処理ユニットは、ディスプレイユニット上で、ストアドバリュー口座の利用可能なクレジットのインジケーションの表示を有効にし、１つ以上の短距離通信無線機ユニットを使用して、ストアドバリュー口座の認証情報を電子デバイスとは別個の非接触取引端末に転送し、１つ以上の短距離通信無線機ユニットを使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、ように構成されている。
【００４６】
一部の実施形態に従って、電子デバイスが説明される。電子デバイスは、１つ以上の短距離通信無線機ユニットと、第１の口座を含む口座情報アプリケーションユニットと、１つ以上の短距離通信ユニット及び第１の口座を含む口座情報アプリケーションユニットに結合された処理ユニットと、を備え、処理ユニットは、１つ以上の短距離通信無線機ユニットによって、無線信号を検出し、無線信号が第１のタイプの要求に対応するとの判定に従って、認証をチェックすることなく第１の口座に対応する情報を送信し、無線信号が第２のタイプの要求に対応するとの判定に従って、無線信号に対応する取引を進める前に認証をチェックする、ように構成されている。
【００４７】
一部の実施形態に従って、電子デバイスが説明される。電子デバイスは、ディスプレイユニットと、１つ以上の入力デバイスユニットと、ディスプレイユニット及び１つ以上の入力デバイスユニットに結合された処理ユニットと、を備え、処理ユニットは、ディスプレイユニット上で、ユーザ口座と関連付けられた複数のデバイスの表現の表示であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現の表示を有効にし、１つ以上の入力デバイスユニットを介して、第２のデバイスの表示された表現に対応する選択を受信し、第２のデバイスの表示された表現に対応する選択を受信したことに従って、取引口座を第２のデバイスと関連付けさせ、取引口座を第１のデバイスから関連付けロック解除させる、ように構成されている。
【００４８】
一部の実施形態に従って、電子デバイスが説明される。電子デバイスは、電子ウォレットアプリケーションユニットと、処理ユニットと、を備え、処理ユニットは、ストアドバリュー口座を使用して支払いを行うための１つ以上の支払い基準のセットが満たされたことを検出し、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、ように構成されている。
【００４９】
これらの機能を実行する実行可能命令は、任意選択的に、非一時的コンピュータ可読記憶媒体又は１つ以上のプロセッサによって実行されるように構成された他のコンピュータプログラム製品に含まれる。これらの機能を実行する実行可能命令は、任意選択的に、一時的コンピュータ可読記憶媒体又は１つ以上のプロセッサによって実行されるように構成された他のコンピュータプログラム製品に含まれる。
【００５０】
よって、取引を管理するより高速なデバイス、より効率的な方法、及びインタフェースが提供され、それによって、そのようなデバイスでの有効性、効率性、及びユーザ満足が高まる。かかる方法及びインタフェースは、取引を管理する他の方法を補完し、又は置き換えることができる。
【図面の簡単な説明】
【００５１】
説明される様々な実施形態を良好に理解するため、以下の図面と併せて、以下の「発明を実施するための形態」を参照されたい。ここで、類似の参照番号は、それらの図にわたって、対応する部分を指す。
【００５２】
【図１Ａ】一部の実施形態に係る、タッチ感知ディスプレイを有するポータブル多機能デバイスを示すブロック図である。
【００５３】
【図１Ｂ】一部の実施形態に係る、イベント処理のための例示的な構成要素を示すブロック図である。
【００５４】
【図２】一部の実施形態に係る、タッチスクリーンを有するポータブル多機能デバイスを示す図である。
【００５５】
【図３】一部の実施形態に係る、ディスプレイ及びタッチ感知面を有する例示的な多機能デバイスのブロック図である。
【００５６】
【図４Ａ】一部の実施形態に係る、ポータブル多機能デバイス上のアプリケーションメニューに関する例示的なユーザインタフェースを示す図である。
【００５７】
【図４Ｂ】一部の実施形態に係る、ディスプレイとは別個のタッチ感知面を有する多機能デバイスに関する例示的なユーザインタフェースを示す図である。
【００５８】
【図５Ａ】一部の実施形態に係る、パーソナル電子デバイスを示す。
【００５９】
【図５Ｂ】一部の実施形態に係る、パーソナル電子デバイスを示すブロック図である。
【００６０】
【図５Ｃ】一部の実施形態に係る、タッチ感知ディスプレイと強度センサとを有するパーソナル電子デバイスの例示的なコンポーネントを示す図である。
【図５Ｄ】一部の実施形態に係る、タッチ感知ディスプレイと強度センサとを有するパーソナル電子デバイスの例示的なコンポーネントを示す図である。
【００６１】
【図５Ｅ】一部の実施形態に係る、パーソナル電子デバイスの例示的なコンポーネント及びユーザインタフェースを示す図である。
【図５Ｆ】一部の実施形態に係る、パーソナル電子デバイスの例示的なコンポーネント及びユーザインタフェースを示す図である。
【図５Ｇ】一部の実施形態に係る、パーソナル電子デバイスの例示的なコンポーネント及びユーザインタフェースを示す図である。
【図５Ｈ】一部の実施形態に係る、パーソナル電子デバイスの例示的なコンポーネント及びユーザインタフェースを示す図である。
【００６２】
【図６】一部の実施形態に係る、１つ以上の通信チャネルを介して接続された例示的なデバイスを示す。
【００６３】
【図７Ａ】一部の実施形態に係る、電子デバイス上でカードをプロビジョニングするための例示的なユーザインタフェースを示す。
【図７Ｂ】一部の実施形態に係る、電子デバイス上でカードをプロビジョニングするための例示的なユーザインタフェースを示す。
【図７Ｃ】一部の実施形態に係る、電子デバイス上でカードをプロビジョニングするための例示的なユーザインタフェースを示す。
【図７Ｄ】一部の実施形態に係る、電子デバイス上でカードをプロビジョニングするための例示的なユーザインタフェースを示す。
【図７Ｅ】一部の実施形態に係る、電子デバイス上でカードをプロビジョニングするための例示的なユーザインタフェースを示す。
【図７Ｆ】一部の実施形態に係る、電子デバイス上でカードをプロビジョニングするための例示的なユーザインタフェースを示す。
【図７Ｇ】一部の実施形態に係る、電子デバイス上でカードをプロビジョニングするための例示的なユーザインタフェースを示す。
【図７Ｈ】一部の実施形態に係る、電子デバイス上でカードをプロビジョニングするための例示的なユーザインタフェースを示す。
【図７Ｉ】一部の実施形態に係る、電子デバイス上でカードをプロビジョニングするための例示的なユーザインタフェースを示す。
【図７Ｊ】一部の実施形態に係る、電子デバイス上でカードをプロビジョニングするための例示的なユーザインタフェースを示す。
【図７Ｋ】一部の実施形態に係る、電子デバイス上でカードをプロビジョニングするための例示的なユーザインタフェースを示す。
【図７Ｌ】一部の実施形態に係る、電子デバイス上でカードをプロビジョニングするための例示的なユーザインタフェースを示す。
【図７Ｍ】一部の実施形態に係る、電子デバイス上でカードをプロビジョニングするための例示的なユーザインタフェースを示す。
【図７Ｎ】一部の実施形態に係る、電子デバイス上でカードをプロビジョニングするための例示的なユーザインタフェースを示す。
【図７Ｏ】一部の実施形態に係る、電子デバイス上でカードをプロビジョニングするための例示的なユーザインタフェースを示す。
【図７Ｐ】一部の実施形態に係る、電子デバイス上でカードをプロビジョニングするための例示的なユーザインタフェースを示す。
【００６４】
【図８Ａ】一部の実施形態に係る、電子デバイス上でカードをプロビジョニングする方法を示すフローチャートである。
【図８Ｂ】一部の実施形態に係る、電子デバイス上でカードをプロビジョニングする方法を示すフローチャートである。
【００６５】
【図９Ａ】一部の実施形態に係る、電子デバイス上でカードをプロビジョニングするための例示的なユーザインタフェースを示す。
【図９Ｂ】一部の実施形態に係る、電子デバイス上でカードをプロビジョニングするための例示的なユーザインタフェースを示す。
【図９Ｃ】一部の実施形態に係る、電子デバイス上でカードをプロビジョニングするための例示的なユーザインタフェースを示す。
【図９Ｄ】一部の実施形態に係る、電子デバイス上でカードをプロビジョニングするための例示的なユーザインタフェースを示す。
【図９Ｅ】一部の実施形態に係る、電子デバイス上でカードをプロビジョニングするための例示的なユーザインタフェースを示す。
【図９Ｆ】一部の実施形態に係る、電子デバイス上でカードをプロビジョニングするための例示的なユーザインタフェースを示す。
【図９Ｇ】一部の実施形態に係る、電子デバイス上でカードをプロビジョニングするための例示的なユーザインタフェースを示す。
【図９Ｈ】一部の実施形態に係る、電子デバイス上でカードをプロビジョニングするための例示的なユーザインタフェースを示す。
【図９Ｉ】一部の実施形態に係る、電子デバイス上でカードをプロビジョニングするための例示的なユーザインタフェースを示す。
【図９Ｊ】一部の実施形態に係る、電子デバイス上でカードをプロビジョニングするための例示的なユーザインタフェースを示す。
【図９Ｋ】一部の実施形態に係る、電子デバイス上でカードをプロビジョニングするための例示的なユーザインタフェースを示す。
【図９Ｌ】一部の実施形態に係る、電子デバイス上でカードをプロビジョニングするための例示的なユーザインタフェースを示す。
【図９Ｍ】一部の実施形態に係る、電子デバイス上でカードをプロビジョニングするための例示的なユーザインタフェースを示す。
【図９Ｎ】一部の実施形態に係る、電子デバイス上でカードをプロビジョニングするための例示的なユーザインタフェースを示す。
【００６６】
【図１０】一部の実施形態に係る、電子デバイス上でカードをプロビジョニングする方法を示すフローチャートである。
【００６７】
【図１１Ａ】一部の実施形態に係る、電子デバイス上でプロビジョニングされたストアドバリュー口座に価値を追加するための例示的なユーザインタフェースを示す。
【図１１Ｂ】一部の実施形態に係る、電子デバイス上でプロビジョニングされたストアドバリュー口座に価値を追加するための例示的なユーザインタフェースを示す。
【図１１Ｃ】一部の実施形態に係る、電子デバイス上でプロビジョニングされたストアドバリュー口座に価値を追加するための例示的なユーザインタフェースを示す。
【図１１Ｄ】一部の実施形態に係る、電子デバイス上でプロビジョニングされたストアドバリュー口座に価値を追加するための例示的なユーザインタフェースを示す。
【図１１Ｅ】一部の実施形態に係る、電子デバイス上でプロビジョニングされたストアドバリュー口座に価値を追加するための例示的なユーザインタフェースを示す。
【図１１Ｆ】一部の実施形態に係る、電子デバイス上でプロビジョニングされたストアドバリュー口座に価値を追加するための例示的なユーザインタフェースを示す。
【図１１Ｇ】一部の実施形態に係る、電子デバイス上でプロビジョニングされたストアドバリュー口座に価値を追加するための例示的なユーザインタフェースを示す。
【図１１Ｈ】一部の実施形態に係る、電子デバイス上でプロビジョニングされたストアドバリュー口座に価値を追加するための例示的なユーザインタフェースを示す。
【図１１Ｉ】一部の実施形態に係る、電子デバイス上でプロビジョニングされたストアドバリュー口座に価値を追加するための例示的なユーザインタフェースを示す。
【図１１Ｊ】一部の実施形態に係る、電子デバイス上でプロビジョニングされたストアドバリュー口座に価値を追加するための例示的なユーザインタフェースを示す。
【図１１Ｋ】一部の実施形態に係る、電子デバイス上でプロビジョニングされたストアドバリュー口座に価値を追加するための例示的なユーザインタフェースを示す。
【図１１Ｌ】一部の実施形態に係る、電子デバイス上でプロビジョニングされたストアドバリュー口座に価値を追加するための例示的なユーザインタフェースを示す。
【図１１Ｍ】一部の実施形態に係る、電子デバイス上でプロビジョニングされたストアドバリュー口座に価値を追加するための例示的なユーザインタフェースを示す。
【図１１Ｎ】一部の実施形態に係る、電子デバイス上でプロビジョニングされたストアドバリュー口座に価値を追加するための例示的なユーザインタフェースを示す。
【００６８】
【図１２Ａ】一部の実施形態に係る、電子デバイス上でプロビジョニングされたストアドバリュー口座に価値を追加する方法を示すフローチャートである。
【図１２Ｂ】一部の実施形態に係る、電子デバイス上でプロビジョニングされたストアドバリュー口座に価値を追加する方法を示すフローチャートである。
【００６９】
【図１３Ａ】ストアドバリュー口座の認証情報を端末に転送するための例示的なユーザインタフェースを示す。
【図１３Ｂ】ストアドバリュー口座の認証情報を端末に転送するための例示的なユーザインタフェースを示す。
【図１３Ｃ】ストアドバリュー口座の認証情報を端末に転送するための例示的なユーザインタフェースを示す。
【図１３Ｄ】ストアドバリュー口座の認証情報を端末に転送するための例示的なユーザインタフェースを示す。
【図１３Ｅ】ストアドバリュー口座の認証情報を端末に転送するための例示的なユーザインタフェースを示す。
【図１３Ｆ】ストアドバリュー口座の認証情報を端末に転送するための例示的なユーザインタフェースを示す。
【図１３Ｇ】ストアドバリュー口座の認証情報を端末に転送するための例示的なユーザインタフェースを示す。
【図１３Ｈ】ストアドバリュー口座の認証情報を端末に転送するための例示的なユーザインタフェースを示す。
【図１３Ｉ】ストアドバリュー口座の認証情報を端末に転送するための例示的なユーザインタフェースを示す。
【図１３Ｊ】ストアドバリュー口座の認証情報を端末に転送するための例示的なユーザインタフェースを示す。
【図１３Ｋ】ストアドバリュー口座の認証情報を端末に転送するための例示的なユーザインタフェースを示す。
【図１３Ｌ】ストアドバリュー口座の認証情報を端末に転送するための例示的なユーザインタフェースを示す。
【図１３Ｍ】ストアドバリュー口座の認証情報を端末に転送するための例示的なユーザインタフェースを示す。
【図１３Ｎ】ストアドバリュー口座の認証情報を端末に転送するための例示的なユーザインタフェースを示す。
【００７０】
【図１４Ａ】一部の実施形態に係る、ストアドバリュー口座の認証情報を端末に転送する方法を示すフローチャートである。
【図１４Ｂ】一部の実施形態に係る、ストアドバリュー口座の認証情報を端末に転送する方法を示すフローチャートである。
【００７１】
【図１５Ａ】一部の実施形態に係る、認証をチェックすることなく口座を使用のために利用可能とさせるための例示的なユーザインタフェースを示す。
【図１５Ｂ】一部の実施形態に係る、認証をチェックすることなく口座を使用のために利用可能とさせるための例示的なユーザインタフェースを示す。
【図１５Ｃ】一部の実施形態に係る、認証をチェックすることなく口座を使用のために利用可能とさせるための例示的なユーザインタフェースを示す。
【図１５Ｄ】一部の実施形態に係る、認証をチェックすることなく口座を使用のために利用可能とさせるための例示的なユーザインタフェースを示す。
【図１５Ｅ】一部の実施形態に係る、認証をチェックすることなく口座を使用のために利用可能とさせるための例示的なユーザインタフェースを示す。
【図１５Ｆ】一部の実施形態に係る、認証をチェックすることなく口座を使用のために利用可能とさせるための例示的なユーザインタフェースを示す。
【図１５Ｇ】一部の実施形態に係る、認証をチェックすることなく口座を使用のために利用可能とさせるための例示的なユーザインタフェースを示す。
【図１５Ｈ】一部の実施形態に係る、認証をチェックすることなく口座を使用のために利用可能とさせるための例示的なユーザインタフェースを示す。
【図１５Ｉ】一部の実施形態に係る、認証をチェックすることなく口座を使用のために利用可能とさせるための例示的なユーザインタフェースを示す。
【図１５Ｊ】一部の実施形態に係る、認証をチェックすることなく口座を使用のために利用可能とさせるための例示的なユーザインタフェースを示す。
【図１５Ｋ】一部の実施形態に係る、認証をチェックすることなく口座を使用のために利用可能とさせるための例示的なユーザインタフェースを示す。
【図１５Ｌ】一部の実施形態に係る、認証をチェックすることなく口座を使用のために利用可能とさせるための例示的なユーザインタフェースを示す。
【図１５Ｍ】一部の実施形態に係る、認証をチェックすることなく口座を使用のために利用可能とさせるための例示的なユーザインタフェースを示す。
【００７２】
【図１６Ａ】一部の実施形態に係る、認証をチェックすることなく口座を使用のために利用可能とさせる方法を示すフローチャートである。
【図１６Ｂ】一部の実施形態に係る、認証をチェックすることなく口座を使用のために利用可能とさせる方法を示すフローチャートである。
【００７３】
【図１７Ａ】一部の実施形態に係る、１つのデバイスから別のデバイスに取引口座を移動させるための例示的なユーザインタフェースを示す。
【図１７Ｂ】一部の実施形態に係る、１つのデバイスから別のデバイスに取引口座を移動させるための例示的なユーザインタフェースを示す。
【図１７Ｃ】一部の実施形態に係る、１つのデバイスから別のデバイスに取引口座を移動させるための例示的なユーザインタフェースを示す。
【図１７Ｄ】一部の実施形態に係る、１つのデバイスから別のデバイスに取引口座を移動させるための例示的なユーザインタフェースを示す。
【図１７Ｅ】一部の実施形態に係る、１つのデバイスから別のデバイスに取引口座を移動させるための例示的なユーザインタフェースを示す。
【図１７Ｆ】一部の実施形態に係る、１つのデバイスから別のデバイスに取引口座を移動させるための例示的なユーザインタフェースを示す。
【図１７Ｇ】一部の実施形態に係る、１つのデバイスから別のデバイスに取引口座を移動させるための例示的なユーザインタフェースを示す。
【図１７Ｈ】一部の実施形態に係る、１つのデバイスから別のデバイスに取引口座を移動させるための例示的なユーザインタフェースを示す。
【００７４】
【図１８】一部の実施形態に係る、１つのデバイスから別のデバイスに取引口座を移動させる方法を示すフローチャートである。
【００７５】
【図１９Ａ】一部の実施形態に係る、複数のデバイスのうちの１つ以上のデバイスにおいて使用のために利用可能な口座のための例示的なユーザインタフェースを示す。
【図１９Ｂ】一部の実施形態に係る、複数のデバイスのうちの１つ以上のデバイスにおいて使用のために利用可能な口座のための例示的なユーザインタフェースを示す。
【図１９Ｃ】一部の実施形態に係る、複数のデバイスのうちの１つ以上のデバイスにおいて使用のために利用可能な口座のための例示的なユーザインタフェースを示す。
【図１９Ｄ】一部の実施形態に係る、複数のデバイスのうちの１つ以上のデバイスにおいて使用のために利用可能な口座のための例示的なユーザインタフェースを示す。
【図１９Ｅ】一部の実施形態に係る、複数のデバイスのうちの１つ以上のデバイスにおいて使用のために利用可能な口座のための例示的なユーザインタフェースを示す。
【図１９Ｆ】一部の実施形態に係る、複数のデバイスのうちの１つ以上のデバイスにおいて使用のために利用可能な口座のための例示的なユーザインタフェースを示す。
【図１９Ｇ】一部の実施形態に係る、複数のデバイスのうちの１つ以上のデバイスにおいて使用のために利用可能な口座のための例示的なユーザインタフェースを示す。
【図１９Ｈ】一部の実施形態に係る、複数のデバイスのうちの１つ以上のデバイスにおいて使用のために利用可能な口座のための例示的なユーザインタフェースを示す。
【００７６】
【図２０Ａ】一部の実施形態に係る、複数のデバイスのうちの１つ以上のデバイスにおいて使用のために利用可能な口座を管理する方法を示すフローチャートである。
【図２０Ｂ】一部の実施形態に係る、複数のデバイスのうちの１つ以上のデバイスにおいて使用のために利用可能な口座を管理する方法を示すフローチャートである。
【００７７】
【図２１】一部の実施形態に係る、機能的ブロック図を示す。
【図２２】一部の実施形態に係る、機能的ブロック図を示す。
【図２３】一部の実施形態に係る、機能的ブロック図を示す。
【図２４】一部の実施形態に係る、機能的ブロック図を示す。
【図２５】一部の実施形態に係る、機能的ブロック図を示す。
【図２６】一部の実施形態に係る、機能的ブロック図を示す。
【図２７】一部の実施形態に係る、機能的ブロック図を示す。
【発明を実施するための形態】
【００７８】
以下の説明では、例示的な方法、パラメータなどが記載される。しかし、かかる説明は、本開示の範囲に対する制限として意図するものではなく、例示的実施形態の説明として提供されることを認識されたい。
【００７９】
口座及び取引を管理する効率的な方法及びインタフェースを提供する電子デバイスに対する必要性が存在する。かかる技術は、取引にアクセスするユーザの認識的負担を低減することができ、それによって生産性を高める。更には、そのような技法は、本来冗長なユーザ入力に対して浪費される、プロセッサ及びバッテリの電力を低減することができる。
【００８０】
以下では、図１Ａ〜１Ｂ、図２、図３、図４Ａ〜４Ｂ、及び図５Ａ〜５Ｈは、口座及び取引を管理する技術を実行する例示的なデバイスの説明を提供する。図６は、一部の実施形態に係る、１つ以上の通信チャネルを介して接続された例示的なデバイスを示す。図７Ａ〜７Ｐは、一部の実施形態に係る、電子デバイス上でカードをプロビジョニングするための例示的なユーザインタフェースを示す。図８Ａ〜８Ｂは、一部の実施形態に係る、電子デバイス上でカードをプロビジョニングする方法を示すフローチャートである。図７Ａ〜７Ｐにおけるユーザインタフェースは、図８Ａ〜８Ｂにおけるプロセスを含む、以下で説明されるプロセスを示すために使用される。図９Ａ〜９Ｎは、一部の実施形態に係る、電子デバイス上でカードをプロビジョニングするための例示的なユーザインタフェースを示す。図１０は、一部の実施形態に係る、電子デバイス上でカードをプロビジョニングする方法を示すフローチャートである。図９Ａ〜９Ｎにおけるユーザインタフェースは、図１０におけるプロセスを含む、以下で説明されるプロセスを示すために使用される。図１１Ａ〜１１Ｎは、一部の実施形態に係る、電子デバイス上でプロビジョニングされたストアドバリュー口座に価値を追加するための例示的なユーザインタフェースを示す。図１２Ａ〜１２Ｂは、一部の実施形態に係る、電子デバイス上でプロビジョニングされたストアドバリュー口座に価値を追加する方法を示すフローチャートである。図１１Ａ〜１１Ｎにおけるユーザインタフェースは、図１２Ａ〜１２Ｂにおけるプロセスを含む、以下で説明されるプロセスを示すために使用される。図１３Ａ〜１３Ｎは、ストアドバリュー口座の認証情報を端末に転送するための例示的なユーザインタフェースを示す。図１４Ａ〜１４Ｂは、ストアドバリュー口座の認証情報を端末に転送する方法を示すフローチャートである。図１３Ａ〜１３Ｎにおけるユーザインタフェースは、図１４Ａ〜１４Ｂにおけるプロセスを含む、以下で説明されるプロセスを示すために使用される。図１５Ａ〜１５Ｍは、一部の実施形態に係る、認証をチェックすることなく口座を使用のために利用可能とさせるための例示的なユーザインタフェースを示す。図１６Ａ〜１６Ｂは、一部の実施形態に係る、認証をチェックすることなく口座を使用のために利用可能とさせる方法を示すフローチャートである。図１５Ａ〜１５Ｍにおけるユーザインタフェースは、図１６Ａ〜１６Ｂにおけるプロセスを含む、以下で説明されるプロセスを示すために使用される。図１７Ａ〜１７Ｈは、一部の実施形態に係る、１つのデバイスから別のデバイスに取引口座を移動させるための例示的なユーザインタフェースを示す。図１８は、一部の実施形態に係る、１つのデバイスから別のデバイスに取引口座を移動させる方法を示すフローチャートである。図１７Ａ〜１７Ｈにおけるユーザインタフェースは、図１８におけるプロセスを含む、以下で説明されるプロセスを示すために使用される。図１９Ａ〜１９Ｈは、一部の実施形態に係る、複数のデバイスのうちの１つ以上のデバイスにおいて使用のために利用可能な口座のための例示的なユーザインタフェースを示す。図２０Ａ〜２０Ｂは、一部の実施形態に係る、複数のデバイスのうちの１つ以上のデバイスにおいて使用のために利用可能な口座を管理する方法を示すフローチャートである。図１９Ａ〜１９Ｈにおけるユーザインタフェースは、図２０Ａ〜２０Ｂにおけるプロセスを含む、以下で説明されるプロセスを示すために使用される。図２１〜２７は、一部の実施形態に係る、機能的ブロック図を示す。
【００８１】
以下の説明では、様々な要素を説明するために「第１」、「第２」などの用語を使用するが、これらの要素はこれらの用語によって限定されるべきでない。これらの用語は、ある要素を別の要素と区別するためにのみ使用される。例えば、種々の説明される実施形態の範囲から逸脱することなく、第１のタッチは第２のタッチと呼ばれてもよく、同様に、第２のタッチは第１のタッチと呼ばれてもよい。第１のタッチと第２のタッチは共にタッチであるが、同じタッチでない。
【００８２】
本明細書で説明される様々な実施形態の説明で使用される用語は、特定の実施形態を説明することのみを目的とするものであって、限定することを意図するものでない。説明される様々な実施形態の説明及び添付の特許請求の範囲で使用されるとき、単数形「ａ」、「ａｎ」、及び「ｔｈｅ」は、文脈がそうでないことを明確に示さない限り、複数形もまた含むことが意図される。本明細書で使用されるときに、用語「ａｎｄ（及び）／ｏｒ（又は）」が、関連する列挙された項目のうちの１つ以上の全ての可能な任意の組み合わせを指し、かつこれを含むことをもまた理解されたい。用語「ｉｎｃｌｕｄｅｓ（含む）、「ｉｎｃｌｕｄｉｎｇ（含む）」、「ｃｏｍｐｒｉｓｅｓ（含む）」及び／又は「ｃｏｍｐｒｉｓｉｎｇ（含む）」は、本明細書で使用されるとき、述べられた特徴、整数、ステップ、動作、要素、及び／又は構成要素の存在を指定するが、１つ以上の他の特徴、整数、ステップ、動作、要素、構成要素、及び／又はそれらの群、の存在又は追加を除外しないことが更に理解されるであろう。
【００８３】
任意選択的に、用語「ｉｆ（〜場合に）」は、文脈に応じて「ｗｈｅｎ（〜時に）」、「ｕｐｏｎ（〜すると）」、「ｉｎ  ｒｅｓｐｏｎｓｅ  ｔｏ  ｄｅｔｅｒｍｉｎｉｎｇ（〜という判定に応じて）」、又は「ｉｎ  ｒｅｓｐｏｎｓｅ  ｔｏ  ｄｅｔｅｃｔｉｎｇ（〜を検出したことに応じて）」を意味すると解釈される。同様に、語句「ｉｆ  ｉｔ  ｉｓ  ｄｅｔｅｒｍｉｎｅｄ（〜と判定される場合には）」又は「ｉｆ（ａ  ｓｔａｔｅｄ  ｃｏｎｄｉｔｉｏｎ  ｏｒ  ｅｖｅｎｔ）ｉｓ  ｄｅｔｅｃｔｅｄ（（記述される条件又はイベント）が検出される場合には）」は、任意選択的に、文脈に応じて「ｕｐｏｎ  ｄｅｔｅｒｍｉｎｉｎｇ（〜と判定されると）」、又は「ｉｎ  ｒｅｓｐｏｎｓｅ  ｔｏ  ｄｅｔｅｒｍｉｎｉｎｇ（〜との判定に応じて）」、又は「ｕｐｏｎ  ｄｅｔｅｃｔｉｎｇ（ｔｈｅ  ｓｔａｔｅｄ  ｃｏｎｄｉｔｉｏｎ  ｏｒ  ｅｖｅｎｔ）（（記述される条件又はイベント）が検出されると）」、又は「ｉｎ  ｒｅｓｐｏｎｓｅ  ｔｏ  ｄｅｔｅｃｔｉｎｇ（ｔｈｅ  ｓｔａｔｅｄ  ｃｏｎｄｉｔｉｏｎ  ｏｒ  ｅｖｅｎｔ）（（記述される条件又はイベント）の検出に応じて）」を意味するものと解釈される。
【００８４】
電子デバイス、かかるデバイスのためのユーザインタフェース、及びかかるデバイスを使用するための関連するプロセスの実施形態が説明される。一部の実施形態では、このデバイスは、ＰＤＡ機能及び／又は音楽プレーヤ機能などの、他の機能も含む、モバイル電話機などのポータブル通信デバイスである。ポータブル多機能デバイスの例示的な実施形態は、限定することなく、Ｃｕｐｅｒｔｉｎｏ、ＣａｌｉｆｏｒｎｉａのＡｐｐｌｅ  Ｉｎｃ．からのｉＰｈｏｎｅ（登録商標）、ｉＰｏｄ  Ｔｏｕｃｈ（登録商標）、及びｉＰａｄ（登録商標）デバイスを含む。タッチ感知面（例えば、タッチスクリーンディスプレイ及び／又はタッチパッド）を備えたラップトップ又はタブレットコンピュータなどの他のポータブル電子デバイスも、任意選択的に、使用される。また、一部の実施形態では、本デバイスはポータブル通信デバイスではなく、タッチ感知面（例えば、タッチスクリーンディスプレイ及び／又はタッチパッド）を備えるデスクトップコンピュータであることを理解されたい。
【００８５】
以下の検討では、ディスプレイ及びタッチ感知面を備えた電子デバイスについて説明する。しかしながら、この電子デバイスは、任意選択的に、物理キーボード、マウス及び／又はジョイスティックなどの、１つ以上の他の物理ユーザインタフェースデバイスを備えることを理解されたい。
【００８６】
デバイスは、一般的に、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽再生アプリケーション及び／又はデジタルビデオ再生アプリケーションのうちの１つ以上などの様々なアプリケーションをサポートする。
【００８７】
本デバイス上で実行される様々なアプリケーションは、タッチ感知面などの、少なくとも１つの共通の物理ユーザインタフェースデバイスを、任意選択的に使用する。タッチ感知面の１つ以上の機能、並びにデバイス上に表示される対応する情報は、アプリケーションごとに、及び／又は対応するアプリケーション内で、任意選択的に、調節及び／又は変更される。このように、デバイスの共通の物理アーキテクチャ（タッチ感知面などの）は、ユーザにとって直観的かつ透過的なユーザインタフェースを有する様々なアプリケーションを、任意選択的にサポートする。
【００８８】
次に、タッチ感知ディスプレイを備えるポータブルデバイスの実施形態に注意を向ける。図１Ａは、一部の実施形態に係る、タッチ感知ディスプレイシステム１１２を備えたポータブル多機能デバイス１００を示すブロック図である。タッチ感知ディスプレイ１１２は、便宜上「タッチスクリーン」と呼ばれる場合があり、「タッチ感知ディスプレイシステム」として、知られる場合又は呼ばれる場合もある。デバイス１００は、メモリ１０２（任意選択的に、１つ以上のコンピュータ可読記憶媒体を含む）と、メモリコントローラ１２２と、１つ以上の処理ユニット（ＣＰＵ）１２０と、周辺機器インタフェース１１８と、ＲＦ回路１０８と、オーディオ回路１１０と、スピーカ１１１と、マイクロフォン１１３と、入出力（Ｉ／Ｏ）サブシステム１０６と、他の入力制御デバイス１１６と、外部ポート１２４と、を含む。デバイス１００は、１つ以上の光センサ１６４を任意選択的に含む。デバイス１００は、デバイス１００（例えば、デバイス１００のタッチ感知ディスプレイシステム１１２などのタッチ感知面）上の接触の強度を検出するための、１つ以上の接触強度センサ１６５を任意選択的に含む。デバイス１００は、デバイス１００上に触知出力を生成する（例えば、デバイス１００のタッチ感知ディスプレイシステム１１２又はデバイス３００のタッチパッド３５５などの、タッチ感知面上に触知出力を生成する）ための、１つ以上の触知出力生成器１６７を任意選択的に含む。これらの構成要素は、１つ以上の通信バス又は信号ライン１０３を介して任意選択的に通信する。
【００８９】
本明細書及び特許請求の範囲で使用されるとき、タッチ感知面上の接触の「強度」という用語は、タッチ感知面上の接触（例えば、指接触）の力又は圧力（単位面積当りの力）、あるいはタッチ感知面上の接触の力又は圧力の代替物（代用物）を指す。接触の強度は、少なくとも４つの別個の値を含み、より典型的には、何百もの異なる値（例えば、少なくとも２５６）を含む、値の範囲を有する。接触の強度は任意選択的に、種々のアプローチ及び種々のセンサ又はセンサの組み合わせを使用して判定される（又は測定される）。例えば、タッチ感知面の下にあり又は隣接する１つ以上の力センサは任意選択的に、タッチ感知面上の種々のポイントにおいて力を測定するために使用される。一部の実施態様では、複数の力センサからの力の測定値は、接触の推定される力を判定するために組み合わされる（例えば、加重平均）。同様に、スタイラスの感圧性先端部を任意選択的に使用して、タッチ感知面上のスタイラスの圧力を判定する。あるいは、タッチ感知面上で検出される接触領域のサイズ及び／若しくはその変化、接触に近接するタッチ感知面の電気容量及び／若しくはその変化、並びに／又は、接触に近接するタッチ感知面の抵抗及び／若しくはその変化が、タッチ感知面上の接触の力又は圧力の代替物として、任意選択的に用いられる。一部の実施態様では、接触の力又は圧力に対する代替物の測定値は、強度閾値を上回ったか（例えば、代替物の測定値に対応する単位で説明される強度閾値）を判定するために直接使用される。一部の実施態様では、接触の力又は圧力に対する代替物の測定値は、推定される力又は圧力に変換され、推定される力又は圧力は、強度閾値を上回ったか（例えば、強度閾値は圧力の単位で測定される圧力閾値である）を判定するために使用される。接触の強度をユーザ入力の属性として使用することにより、アフォーダンスを（例えば、タッチ感知ディスプレイ上に）表示するための、及び／又は、ユーザ入力を（例えば、タッチ感知ディスプレイ、タッチ感知面、又はノブ若しくはボタンなどの物理的／機械的制御部を介して）受けるための、面積が制限されている、低減されたサイズのデバイス上で、他の場合であればユーザによってアクセスすることが不可能であり得る、追加的なデバイス機能への、ユーザのアクセスが可能になる。
【００９０】
明細書及び特許請求の範囲で使用されるように、用語「触知出力」は、タッチをユーザが感知することによりユーザによって検出されるデバイスの前の位置に対するデバイスの物理的変位、デバイスの別の構成要素（例えば、筐体）に対するデバイスの構成要素（例えば、タッチ感知面）の物理的変位、又は多数のデバイスの中心に対する構成要素の変位を指す。例えば、デバイス又はデバイスの構成要素が、タッチに敏感なユーザの表面（例えば、ユーザの手の指、手のひら、又は他の部分）に接触している状況において、物理的変位によって生成された触知出力は、デバイス又はデバイスの構成要素の物理的特性の認識された変化に相当する触感として、ユーザによって解釈される。例えば、タッチ感知面（例えば、タッチ感知ディスプレイ又はトラックパッド）の移動は、ユーザによって、物理アクチュエータボタンの「ダウンクリック」又は「アップクリック」として任意選択的に解釈される。いくつかの場合、ユーザの動作により物理的に押圧された（例えば、変位された）タッチ感知面と関連付けられた物理アクチュエータボタンの移動がないときでさえ、ユーザは「ダウンクリック」又は「アップクリック」などの触感を感じるであろう。別の実施例として、タッチ感知面の移動は、タッチ感知面の平滑度に変化がない場合であっても、ユーザによって、そのタッチ感知面の「粗さ」として、任意選択的に解釈又は感知される。ユーザによるタッチのかかる解釈は、ユーザの個人的な感覚認知に左右されるものではあるが、大多数のユーザに共通するタッチの感覚認知が多数存在する。したがって、触知出力がユーザの特定の知覚（例えば、「アップクリック」、「ダウンクリック」、「粗さ」）に対応するものとして説明されるとき、他に言及されない限り、生成される触知出力は、典型的な（又は平均的な）ユーザに対する説明される知覚を生成するデバイス又はその構成要素の物理的変位に対応する。
【００９１】
デバイス１００は、ポータブル多機能デバイスの一実施例に過ぎず、デバイス１００は、示されるものよりも多いか又は少ない構成要素を任意選択的に有するか、２つ以上の構成要素を任意選択的に組合せるか、又は構成要素の異なる構成若しくは配置を任意選択的に有することを理解されたい。図１Ａに示される様々な構成要素は、１つ以上の信号処理回路及び／又は特定用途向け集積回路を含む、ハードウェア、ソフトウェア、又はハードウェア及びソフトウェアの双方の組み合わせの形態で実装される。
【００９２】
メモリ１０２は任意選択的に高速ランダムアクセスメモリを含み、また任意選択的に、１つ以上の磁気ディスク記憶デバイス、フラッシュメモリデバイス、又は他の不揮発性ソリッドステートメモリデバイスなどの、不揮発性メモリも含む。メモリコントローラ１２２は任意選択的に、デバイス１００の他の構成要素によるメモリ１０２へのアクセスを制御する。
【００９３】
周辺機器インタフェース１１８は、デバイスの入力及び出力周辺機器をＣＰＵ１２０及びメモリ１０２に結合するために使用されてもよい。１つ以上のプロセッサ１２０は、デバイス１００のための様々な機能を実行するため並びにデータを処理するために、メモリ１０２に記憶された様々なソフトウェアプログラム及び／若しくは命令セットを動作させる、又は実行する。一部の実施形態では、周辺機器インタフェース１１８、ＣＰＵ１２０及びメモリコントローラ１２２は、任意選択的に、チップ１０４などの単一チップ上に実装される。一部の他の実施形態において、これらは、個別のチップ上に、任意選択的に実装される。
【００９４】
ＲＦ（無線周波数）回路１０８は、電磁信号とも呼ばれるＲＦ信号を送受信する。ＲＦ回路１０８は、電気信号を電磁気信号に／から変換し、電磁気信号を介して通信ネットワーク及び他の通信デバイスと通信する。ＲＦ回路１０８は、アンテナシステム、ＲＦ送受信機、１つ以上の増幅器、同調器、１つ以上の発振器、デジタル信号プロセッサ、ＣＯＤＥＣチップセット、加入者識別モジュール（ＳＩＭ）カード、メモリなどを含むがこれらに限定されない、これらの機能を実行するための周知の回路を、任意選択的に含んでいる。ＲＦ回路１０８は任意選択的に、携帯電話ネットワーク、無線ローカルエリアネットワーク（ＬＡＮ）及び／又はメトロポリタンエリアネットワーク（ＭＡＮ）など、ワールドワイドウェブ（ＷＷＷ）とも呼ばれるインターネット、イントラネット、及び／又は無線ネットワークと通信し、無線通信によって他のデバイスと通信する。ＲＦ回路１０８は、近距離通信無線などによる近距離無線通信（ＮＦＣ）フィールドを検出するための周知の回路を任意選択的に含む。無線通信は、複数の通信規格、通信プロトコル、及び通信技術のうちのいずれかを、任意選択的に使用し、それらの通信規格、通信プロトコル、及び通信技術としては、移動通信用のグローバルシステム（Global System for Mobile Communications、ＧＳＭ（登録商標））、拡張データＧＳＭ環境（Enhanced Data GSM Environment、ＥＤＧＥ）、高速ダウンリンクパケット接続（high-speed downlink packet access、ＨＳＤＰＡ）、高速アップリンクパケット接続（high-speed uplink packet access、ＨＳＵＰＡ）、Ｅｖｏｌｕｔｉｏｎ，Ｄａｔａ−Ｏｎｌｙ（ＥＶ−ＤＯ）、ＨＳＰＡ、ＨＳＰＡ＋、２重セルＨＳＰＡ（Dual-Cell HSPA、ＤＣ−ＨＳＰＤＡ）、ロングタームエボリューション（long term evolution、ＬＴＥ）、近距離無線通信（near field communication、ＮＦＣ）、広帯域符号分割多元接続（wideband code division multiple access、Ｗ−ＣＤＭＡ）、符号分割多元接続（code division multiple access、ＣＤＭＡ）、時分割多元接続（time division multiple access、ＴＤＭＡ）、Ｂｌｕｅｔｏｏｔｈ（登録商標）、Ｂｌｕｅｔｏｏｔｈ  Ｌｏｗ  Ｅｎｅｒｇｙ（ＢＴＬＥ）、Ｗｉｒｅｌｅｓｓ  Ｆｉｄｅｌｉｔｙ（Ｗｉ−Ｆｉ）（登録商標）（例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、及び／又はＩＥＥＥ  ８０２．１１ａｃ）、ボイスオーバーインターネットプロトコル（voice over Internet Protocol、ＶｏＩＰ）、Ｗｉ−ＭＡＸ、電子メール用のプロトコル（例えば、インターネットメッセージアクセスプロトコル（Internet message access protocol、ＩＭＡＰ）及び／又はポストオフィスプロトコル（post office protocol、ＰＯＰ））、インスタントメッセージング（例えば、拡張可能メッセージング及びプレゼンスプロトコル（extensible messaging and presence protocol、ＸＭＰＰ）、インスタントメッセージング及びプレゼンス利用拡張向けセッション開始プロトコル（Session Initiation Protocol for Instant Messaging and Presence Leveraging Extensions、ＳＩＭＰＬＥ）、インスタントメッセージング及びプレゼンスサービス（Instant Messaging and Presence Service、ＩＭＰＳ））、及び／又はショートメッセージサービス（Short Message Service、ＳＭＳ）、あるいは本文書の出願日���在までに未だ開発されていない通信プロトコルを含めた任意の他の好適な通信プロトコルが挙げられるが、これらに限定されない。
【００９５】
オーディオ回路１１０、スピーカ１１１、及びマイクロフォン１１３は、ユーザとデバイス１００との間のオーディオインタフェースを提供する。オーディオ回路１１０は、オーディオデータを周辺機器インタフェース１１８から受信し、オーディオデータを電気信号に変換し、電気信号をスピーカ１１１に送信する。スピーカ１１１は、電気信号を人間の可聴音波に変換する。オーディオ回路１１０はまた、マイクロフォン１１３によって変換された電気信号を音波から受信する。オーディオ回路１１０は、電気信号をオーディオデータに変換し、このオーディオデータを処理のために周辺機器インタフェース１１８に送信する。オーディオデータは任意選択的に、周辺機器インタフェース１１８によって、メモリ１０２及び／又はＲＦ回路１０８から取り出され、メモリ１０２及び／又はＲＦ回路１０８に送信される。一部の実施形態では、オーディオ回路１１０はヘッドセットジャック（例えば、図２の２１２）を更に備える。ヘッドセットジャックは、オーディオ回路１１０と、出力専用ヘッドホン又は出力（例えば、片耳又は両耳用のヘッドホン）及び入力（例えば、マイクロフォン）の双方を有するヘッドセットなどの、取り外し可能なオーディオ入出力周辺機器と、の間のインタフェースを提供する。
【００９６】
Ｉ／Ｏサブシステム１０６は、周辺機器インタフェース１１８に、タッチスクリーン１１２及び他の入力制御デバイス１１６などのデバイス１００の入出力周辺機器を接続する。Ｉ／Ｏサブシステム１０６は、任意選択的に、ディスプレイコントローラ１５６、光センサコントローラ１５８、強度センサコントローラ１５９、触覚フィードバックコントローラ１６１、及び他の入力若しくは制御デバイスのための１つ以上の入力コントローラ１６０を含む。１つ以上の入力コントローラ１６０は、他の入力制御デバイス１１６との間で、電気信号を受信／送信する。他の入力制御デバイス１１６は、任意選択的に、物理ボタン（例えば、プッシュボタン、ロッカボタンなど）、ダイヤル、スライダスイッチ、ジョイスティック、クリックホイールなどを含む。一部の代替的実施形態では、入力コントローラ（単数又は複数）１６０は、任意選択的に、キーボード、赤外線ポート、ＵＳＢポート及びマウスなどのポインタデバイスのうちのいずれかに接続される（又は、いずれにも接続されない）。１つ以上のボタン（例えば、図２の２０８）は、任意選択的に、スピーカ１１１及び／又はマイクロフォン１１３の音量調節のための、アップ／ダウンボタンを含む。１つ以上のボタンは、任意選択的に、プッシュボタン（例えば、図２の２０６）を含む。
【００９７】
プッシュボタンの即時的な押圧は、その全体を参照することによって以下に組み込まれる２００５年１２月２３日に出願された、米国特許出願第１１／３２２，５４９号「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」、米国特許第７，６５７，８４９号で説明されるように、任意選択的にタッチスクリーン１１２のロックを解放し、又は任意選択的にデバイスをロック解除するためにタッチスクリーン上でジェスチャを使用するプロセスを開始する。プッシュボタン（例えば、２０６）をより長く押圧することにより、任意選択的にデバイス１００の電源をオンオフする。ボタンのうちの１つ以上の機能は、任意選択的に、ユーザカスタマイズ可能である。タッチスクリーン１１２は、仮想又はソフトボタン、及び１つ以上のソフトキーボードを実現するために用いられる。
【００９８】
タッチ感知ディスプレイ１１２は、デバイスとユーザとの間の入力インタフェース及び出力インタフェースを提供する。ディスプレイコントローラ１５６は、電気信号をタッチスクリーン１１２から／に受信及び／又は送信する。タッチスクリーン１１２は、ユーザに視覚出力を表示する。視覚出力は、グラフィック、テキスト、アイコン、ビデオ、及びこれらの任意の組み合わせ（総称して「グラフィック」と称する）を、任意選択的に含む。一部の実施形態では、任意選択的に、視覚出力の一部又は全てはユーザインタフェースオブジェクトに対応する。
【００９９】
タッチスクリーン１１２は、触覚及び／又は触感の接触に基づくユーザからの入力を受け付けるタッチ感知面、センサ、若しくはセンサのセットを有している。タッチスクリーン１１２及びディスプレイコントローラ１５６（メモリ１０２内のいずれかの関連するモジュール及び／又は命令のセットと共に）タッチスクリーン１１２上の接触（及び接触のいずれかの移動又は中断）を検出し、検出された接触を、タッチスクリーン１１２上で表示されるユーザインタフェースオブジェクト（例えば、１つ以上のソフトキー、アイコン、ウェブページ、又は画像）との対話に変換する。例示的な実施形態では、タッチスクリーン１１２とユーザとの間の接触点は、ユーザの指に対応する。
【０１００】
タッチスクリーン１１２は任意選択的に、ＬＣＤ（液晶ディスプレイ）技術、ＬＰＤ（発光ポリマディスプレイ）技術、又はＬＥＤ（発光ダイオード）技術を使用するが、他の実施形態では他のディスプレイ技術が使用される。タッチスクリーン１１２及びディスプレイコントローラ１５６は、静電容量技術、抵抗性技術、赤外線技術、及び表面音波技術、並びに、タッチ画面１１２との１つ以上の接触点を判定するための他の近接センサアレイ又は他の要素を含むが、これらに限定されない、現在公知の若しくは後日に開発される複数のタッチ感知技術のうちのいずれかを使用して、接触及び任意の動作又はその中断を、任意選択的に検出する。例示的な実施形態では、Ｃａｌｉｆｏｒｎｉａ州ＣｕｐｅｒｔｉｎｏのＡｐｐｌｅ  Ｉｎｃ．によるｉＰｈｏｎｅ（登録商標）及びｉＰｏｄ  Ｔｏｕｃｈ（登録商標）において見られるような、投影型相互静電容量感知技術が使用されている。
【０１０１】
タッチスクリーン１１２の一部の実施形態におけるタッチ感知ディスプレイは、任意選択的に、以下の米国特許、第６，３２３，８４６号（Ｗｅｓｔｅｒｍａｎら）、第６，５７０，５５７号（Ｗｅｓｔｅｒｍａｎら）、及び／又は第６，６７７，９３２号（Ｗｅｓｔｅｒｍａｎ）、及び／又は米国特許出願公開第２００２／００１５０２４（Ａ１）号に記載されているマルチタッチ感知タッチパッドに類似する。これらの文献は、それぞれその全体が本明細書において参照により組み込まれている。ただし、タッチスクリーン１１２はデバイス１００からの視覚出力を表示するのに対して、タッチ感知タッチパッドは視覚出力を提供しない。
【０１０２】
タッチスクリーン１１２の一部の実施形態におけるタッチ感知ディスプレイは、以下の出願で説明されている。（１）２００６年５月２日出願の米国特許出願第１１／３８１，３１３号、「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日出願の同第１０／８４０，８６２号、「Ｍｕｌｔｉｐｏｉｎｔ  Ｔｏｕｃｈｓｃｒｅｅｎ」、（３）２００４年７月３０日出願の同第１０／９０３，９６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日出願の同第１１／０４８，２６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日出願の同第１１／０３８，５９０号、「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日出願の同第１１／２２８，７５８号、「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日出願の同第１１／２２８，７００号、「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日出願の同第１１／２２８，７３７号、「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、及び（９）２００６年３月３日出願の同第１１／３６７，７４９号、「Ｍｕｌｔｉ−Ｆｕｎｃｔｉｏｎａｌ  Ｈａｎｄ−Ｈｅｌｄ  Ｄｅｖｉｃｅ」。これらの出願の全ては、全体が参照により本明細書に組み込まれる。
【０１０３】
タッチスクリーン１１２は、任意選択的に、１００ｄｐｉを超えるビデオ解像度を有する。一部の実施形態では、タッチスクリーンは約１６０ｄｐｉのビデオ解像度を有する。ユーザは、スタイラス、指などの任意の好適な物体又は付属器を使用して、タッチスクリーン１１２と任意選択的に接触する。一部の実施形態では、ユーザインタフェースは、主として指に基づく接触及びジェスチャによって機能するように設計され、タッチスクリーン上の指の接触面積が広いことにより、スタイラスに基づく入力よりも精度が低いことがある。一部の実施形態では、デバイスは、指に基づく粗い入力を正確なポインタ／カーソル位置又はユーザの望むアクションを実行するためのコマンドに変換する。
【０１０４】
一部の実施形態では、タッチ画面に加えて、デバイス１００は、特定の機能をアクティブ化又は非アクティブ化させるためのタッチパッド（図示せず）を、任意選択的に含む。一部の実施形態では、タッチパッドは、タッチスクリーンとは異なり、視覚出力を表示しない、デバイスのタッチ感知領域である。タッチパッドは、任意選択的に、タッチスクリーン１１２とは別個のタッチ感知面、又はタッチスクリーンによって形成されたタッチ感知面の拡張である。
【０１０５】
デバイス１００はまた、様々な構成要素に電力を供給するための電力システム１６２も含む。電力システム１６２は、任意選択的に、電力管理システム、１つ以上の電源（例えば、バッテリ、交流（ＡＣ））、再充電システム、停電検出回路、電力コンバータ又はインバータ、電力状態インジケータ（例えば、発光ダイオード（ＬＥＤ））、並びにポータブルデバイス内での電力の生成、管理、及び分配と関連付けられた任意の他の構成要素を含む。
【０１０６】
デバイス１００はまた、１つ以上の光センサ１６４を任意選択的に含む。図１Ａは、Ｉ／Ｏサブシステム１０６内の光センサコントローラ１５８に接続された光センサを示す。光センサ１６４は、電荷結合デバイス（ＣＣＤ）又は相補的金属酸化物半導体（ＣＭＯＳ）フォトトランジスタを、任意選択的に含む。光センサ１６４は、１つ以上のレンズを通して投影された、環境からの光を受光し、その光を、画像を表現するデータに変換する。撮像モジュール１４３（カメラモジュールとも称する）と併用して、光センサ１６４は、静止画像又はビデオを任意選択的に捕捉する。一部の実施形態では、タッチスクリーンディスプレイを静止画像及び／又は映像取得のためのビューファインダとして有効化するように、光センサは、デバイスの前面のタッチスクリーンディスプレイ１１２の反対側である、デバイス１００の背面に配置されている。一部の実施形態では、任意選択的に、ユーザが他のテレビ会議参加者をタッチスクリーンディスプレイ上で見るのと同時に、そのユーザの画像をテレビ会議のために得るように、デバイスの前面に光センサが配置されている。一部の実施形態では、光センサ１６４の位置は、ユーザによって（例えば、デバイス筐体内のレンズ及びセンサを回転させることによって）変更することができ、それにより、テレビ会議並びに静止画像及び／又はビデオ画像の取得の双方のために、単一の光センサ１６４を、タッチスクリーンディスプレイと共に使用する。
【０１０７】
デバイス１００はまた、１つ以上の接触強度センサ１６５も任意選択的に含む。図１Ａは、Ｉ／Ｏサブシステム１０６内の強度センサコントローラ１５９に接続された接触強度センサを示す。接触強度センサ１６５は、１つ以上のピエゾ抵抗歪ゲージ、電気容量式力センサ、電気力センサ、圧電力センサ、光学力センサ、容量式タッチ感知面、又は他の強度センサ（例えば、タッチ感知面上の接触の力（又は圧力）を測定するために使用するセンサ）を、任意選択的に含む。接触強度センサ１６５は、環境から接触強度情報（例えば、圧力情報又は圧力情報の代用物）を受信する。一部の実施形態では、少なくとも１つの接触強度センサが、タッチ感知面（例えば、タッチ感知ディスプレイシステム１１２）と共にコロケートされているか、又は、それに近接している。一部の実施形態において、少なくとも１つの接触強度センサが、デバイス１００の前面に配置されたタッチスクリーンディスプレイ１１２の反対側である、デバイス１００の背面に配置されている。
【０１０８】
デバイス１００はまた、１つ以上の近接センサ１６６をも任意選択的に含む。図１Ａは、周辺機器インタフェース１１８と接続された近接センサ１６６を示す。あるいは、近接センサ１６６は、任意選択的に、Ｉ／Ｏサブシステム１０６内の入力コントローラ１６０に接続される。近接センサ１６６は、任意選択的に、米国特許出願第１１／２４１，８３９号、「Ｐｒｏｘｉｍｉｔｙ  Ｄｅｔｅｃｔｏｒ  Ｉｎ  Ｈａｎｄｈｅｌｄ  Ｄｅｖｉｃｅ」、同第１１／２４０，７８８号、「Ｐｒｏｘｉｍｉｔｙ  Ｄｅｔｅｃｔｏｒ  Ｉｎ  Ｈａｎｄｈｅｌｄ  Ｄｅｖｉｃｅ」、同第１１／６２０，７０２号、「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、同第１１／５８６，８６２号、「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び、同第１１／６３８，２５１号、「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」で説明されるように機能するものであり、これらの出願は、全体が参照により本明細書に組み込まれる。一部の実施形態において、多機能デバイスがユーザの耳の近くに配置されている場合（例えば、ユーザが電話通話を行っている場合）、近接センサがオフになり、タッチスクリーン１１２が無効になる。
【０１０９】
デバイス１００はまた、任意選択的に、１つ以上の触知出力生成器１６７を含む。図１Ａは、Ｉ／Ｏサブシステム１０６内の触覚フィードバックコントローラ１６１に連結された触知出力生成器を示す。触知出力生成器１６７は、スピーカ又は他のオーディオ構成要素などの１つ以上の電気音響デバイス、及び／又はモータ、ソレノイド、電気活性ポリマー、圧電アクチュエータ、静電アクチュエータ、若しくは他の触知出力生成構成要素（例えば、デバイス上で電気信号を触知出力に変換する構成要素）などの、エネルギーを直線運動に変換する電気機械デバイスを、任意選択的に含む。接触強度センサ１６５は、触覚フィードバックモジュール１３３から触覚フィードバック生成命令を受信し、デバイス１００のユーザが感知できる触知出力をデバイス１００上で生成する。一部の実施形態において、少なくとも１つの触知出力生成器は、タッチ感知面（例えば、タッチ感知ディスプレイシステム１１２）に配置されているか、又はそれに近接しており、任意選択的に、タッチ感知面を垂直方向（例えば、デバイス１００の表面の内／外）に、又は横方向（例えば、デバイス１００の表面と同じ平面内の前後）に動かすことによって、触知出力を生成する。一部の実施形態において、少なくとも１つの触知出力生成器センサが、デバイス１００の前面に配置されたタッチスクリーンディスプレイ１１２の反対側である、デバイス１００の背面に配置されている。
【０１１０】
デバイス１００はまた、１つ以上の加速度計１６８をも任意選択的に含む。図１Ａは、周辺機器インタフェース１１８に接続された加速度計１６８を示す。あるいは、加速度計１６８は、Ｉ／Ｏサブシステム１０６内の入力コントローラ１６０に任意選択的に、接続される。加速度計１６８は、任意選択的に、米国特許出願公開第２００５０１９００５９号、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」、及び同第２００６００１７６９２号、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」で説明されるように機能するものであり、これらの文献の双方は、全体が参照により本明細書に組み込まれる。一部の実施形態では、情報は、１つ以上の加速度計から受信したデータの分析に基づいて、縦長表示又は横長表示でタッチスクリーンディスプレイ上に表示される。デバイス１００は、加速度計（単数又は複数）１６８に加えて、磁気計（図示せず）並びにデバイス１００の位置及び向き（例えば、縦長又は横長）に関する情報を取得するためのＧＰＳ（又はＧＬＯＮＡＳＳ又は他のグローバルナビゲーションシステム）受信部（図示せず）を、任意選択的に含む。
【０１１１】
一部の実施形態において、メモリ１０２に記憶されたソフトウェア構成要素は、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（ＧＰＳ）モジュール（又は命令セット）１３５、及びアプリケーション（又は命令セット）１３６を含む。更に、一部の実施形態において、図１Ａ及び図３に示すように、メモリ１０２（図１Ａ）又はメモリ３７０（図３）は、デバイス／グローバル内部状態１５７を記憶する。デバイス／グローバル内部状態１５７は、以下の１つ以上を含む：現在アクティブ状態のアプリケーションがある場合、どのアプリケーションがアクティブかを示す、アクティブアプリケーション状態、どのアプリケーション、ビュー、又は他の情報がタッチスクリーンディスプレイ１１２の様々な領域を占領しているかを示す、表示状態、デバイスの種々のセンサ及び入力制御デバイス１１６から取得される情報を含むセンサ状態、並びにデバイス位置及び／又は姿勢に関する位置情報。
【０１１２】
オペレーティングシステム１２６（例えば、Ｄａｒｗｉｎ、ＲＴＸＣ、ＬＩＮＵＸ、ＵＮＩＸ（登録商標）、ＯＳ  Ｘ、ｉＯＳ、ＷＩＮＤＯＷＳ（登録商標）、又はＶｘＷｏｒｋｓなどの組み込みオペレーティングシステム）は、汎用システムタスク（例えば、メモリ管理、記憶装置制御、電力管理など）を制御及び管理する種々のソフトウェア構成要素及び／又はドライバを含み、種々のハードウェア構成要素とソフトウェア構成要素との間の通信を促進する。
【０１１３】
通信モジュール１２８は、１つ以上の外部ポート１２４を介して他のデバイスとの通信を容易にし、ＲＦ回路１０８及び／又は外部ポート１２４が受信したデータを処理するための様々なソフトウェア構成要素を含む。外部ポート１２４（例えば、ユニバーサルシリアルバス（ＵＳＢ）、ＦＩＲＥＷＩＲＥ（登録商標）など）は、直接的に、又はネットワーク（例えば、インターネット、無線ＬＡＮなど）を通して間接的に、他のデバイスに接続するように適応している。一部の実施形態では、外部ポートは、ｉＰｏｄ（登録商標）（Ａｐｐｌｅ  Ｉｎｃ．の商標）デバイス上で使用される３０ピンコネクタと同じか、若しくは同様のマルチピン（例えば、３０ピン）コネクタ、及び／又は互換性のあるマルチピン（例えば、３０ピン）コネクタである。
【０１１４】
接触／動きモジュール１３０は、任意選択的に、（ディスプレイコントローラ１５６と連携して）タッチスクリーン１１２及び他のタッチ感知デバイス（例えば、タッチパッド又は物理クリックホイール）との接触を検出する。接触／動きモジュール１３０は、接触が生じたか否かを判定すること（例えば、指を下ろすイベントを検出すること）、接触の強度（例えば、接触の力若しくは圧力、又は、接触の力若しくは圧力の代替物）を判定すること、接触の移動が存在するか否かを判定し、タッチ感知面を横断する移動を追跡すること（例えば、指をドラッグする１つ以上のイベントを検出すること）、及び接触が停止したか否かを判定すること（例えば、指を上げるイベント又は接触の中断を検出すること）などの、接触の検出に関する様々な動作を実行するための、様々なソフトウェア構成要素を含む。接触／動きモジュール１３０は、タッチ感知面から接触データを受信する。一連の接触データにより表される接触点の移動を判定することは、接触点の速さ（大きさ）、速度（大きさ及び方向）、及び／又は加速度（大きさ及び／又は方向の変化）を判定することを任意選択的に含む。これらの動作は、任意選択的に、単一の接触（例えば、１本の指の接触）又は複数の同時接触（例えば、「マルチタッチ」／複数の指の接触）に適用される。一部の実施形態では、接触／動きモジュール１３０及びディスプレイコントローラ１５６は、タッチパッド上の接触を検出する。
【０１１５】
一部の実施形態において、接触／動きモジュール１３０は、ユーザによって動作が実行されたか否かを判定するための（例えば、ユーザがアイコン上で「クリック」したか否かを判定するための）、１つ以上の強度閾値のセットを使用する。一部の実施形態において、少なくとも強度閾値のサブセットが、ソフトウェアパラメータに従って判定される（例えば、強度閾値は、特定の物理アクチュエータのアクティブ化閾値によって判定されず、デバイス１００の物理ハードウェアを変更することなく調整し得る）。例えば、トラックパッド又はタッチスクリーンディスプレイのマウス「クリック」閾値は、トラックパッド又はタッチスクリーンディスプレイのハードウェアを変更することなく広範囲の既定の閾値のうちのいずれかに設定し得る。更に、一部の実装では、デバイスのユーザには、（例えば、個々の強度閾値を調整することにより、及び／又は、システムレベルのクリック「強度」パラメータにより、一度に複数の強度閾値を調整することによって）強度閾値のセットのうちの１つ以上を調整するためのソフトウェア設定が提供される。
【０１１６】
接触／動きモジュール１３０は任意選択的に、ユーザによるジェスチャ入力を検出する。タッチ感知面上の異なるジェスチャは、異なる接触パターン（例えば、異なる動き、タイミング、及び／又は検出される接触の強度）を有する。したがって、ジェスチャは、特定の接触パターンを検出することによって、任意選択的に検出される。例えば、指のタップジェスチャを検出することは、（例えば、アイコンの位置での）指を下ろすイベントを検出し、続いてその指を下ろすイベントと同じ位置（又は、実質的に同じ位置）で指を上げる（リフトオフ）イベントを検出することを含む。別の実施例として、タッチ感知面上での指のスワイプジェスチャを検出することは、指を下ろすイベントを検出し、続いて、１つ以上の、指をドラッグするイベントを検出し、その後、続いて指を上げる（リフトオフ）イベントを検出することを含む。
【０１１７】
グラフィックモジュール１３２は、表示されるグラフィックの視覚効果（例えば、輝度、透明度、彩度、コントラスト、又は他の視覚特性）を変更するための構成要素を含めた、タッチスクリーン１１２又は他のディスプレイ上にグラフィックをレンダリングして表示するための、様々な既知のソフトウェア構成要素を含む。本明細書にて使用されるとき、用語「グラフィック」は、ユーザに対して表示することができる任意のオブジェクトを含み、これらのオブジェクトとしては、テキスト、ウェブページ、アイコン（ソフトキーを含むユーザインタフェースオブジェクトなど）、デジタル画像、ビデオ、アニメーションなどが挙げられるが、これらに限定されない。
【０１１８】
一部の実施形態では、グラフィックモジュール１３２は、使用されるグラフィックを表すデータを記憶する。各グラフィックには、対応するコードが、任意選択的に割り当てられる。グラフィックモジュール１３２は、アプリケーションなどから、必要に応じて、座標データ及び他のグラフィック特性データと共に、表示されることになるグラフィックを指定する１つ以上のコードを受信し、次にディスプレイコントローラ１５６に出力する画面の画像データを生成する。
【０１１９】
触覚フィードバックモジュール１３３は、デバイス１００とのユーザ対話に応じて、デバイス１００上の１つ以上の場所で触知出力を生成するために、触知出力生成器（単数又は複数）１６７によって使用される命令を生成するための、様々なソフトウェア構成要素を含む。
【０１２０】
テキスト入力モジュール１３４は、任意選択的に、グラフィックモジュール１３２の構成要素であり、様々なアプリケーション（例えば、連絡先１３７、電子メール１４０、ＩＭ１４１、ブラウザ１４７、及びテキスト入力を必要とする任意の他のアプリケーション）でテキストを入力するための、ソフトキーボードを提供する。
【０１２１】
ＧＰＳモジュール１３５は、デバイスの位置を判定し、この情報を、様々なアプリケーションでの使用のために提供する（例えば、位置に基づいての電話での使用のために電話１３８へ、写真／ビデオメタデータとしてカメラ１４３へ、及び、気象ウィジェット、ローカルイエローページウィジェット、及び地図／ナビゲーションウィジェットなどの、位置に基づくサービスを提供するアプリケーションへ）。
【０１２２】
アプリケーション１３６は任意選択的に以下のモジュール（又は、命令のセット）、又はそれらの部分集合若しくは上位集合を含む。
連絡先モジュール１３７（ときには、アドレス帳又は連絡先リストとも呼ぶ）、
電話モジュール１３８、
ビデオ会議モジュール１３９、
電子メールクライアントモジュール１４０、
インスタントメッセージ（ＩＭ）モジュール１４１、
トレーニングサポートモジュール１４２、
静止画像及び／又はビデオ画像用のカメラモジュール１４３、
画像管理モジュール１４４、
ビデオ再生モジュール、
音楽再生モジュール、
ブラウザモジュール１４７、
カレンダモジュール１４８、
気象ウィジェット１４９−１、株価ウィジェット１４９−２、計算機ウィジェット１４９−３、アラーム時計ウィジェット１４９−４、辞書ウィジェット１４９−５、及びユーザによって取得された他のウィジェット、並びにユーザ作成ウィジェット１４９−６のうちの１つ以上を任意選択的に含む、ウィジェットモジュール１４９、
ユーザ作成ウィジェット１４９−６を作成するためのウィジェット作成モジュール１５０、
検索モジュール１５１、
ビデオ再生モジュール及び音楽再生モジュールを統合した、ビデオ及び音楽再生モジュール１５２、
メモモジュール１５３、
地図モジュール１５４、及び／又は
オンラインビデオモジュール１５５。
【０１２３】
任意選択的にメモリ１０２内に記憶される他のアプリケーション１３６の例としては、他のワードプロセッシングアプリケーション、他の画像編集アプリケーション、描画アプリケーション、プレゼンテーションアプリケーション、ＪＡＶＡ（登録商標）対応アプリケーション、暗号化、デジタル著作権管理、音声認識、及び音声複製が挙げられる。
【０１２４】
タッチスクリーン１１２、ディスプレイコントローラ１５６、接触モジュール１３０、グラフィックモジュール１３２、及びテキスト入力モジュール１３４と共に、連絡先モジュール１３７は、（例えば、メモリ１０２又はメモリ３７０内の連絡先モジュール１３７のアプリケーション内部状態１９２に記憶される）アドレスブック又は連絡先リストを管理するために任意選択的に用いられ、それには、アドレスブックに名前（単数又は複数）を加えること、アドレス帳から名称（単数又は複数）を削除すること、電話番号（単数又は複数）、メールアドレス（単数又は複数）、住所（単数又は複数）、又は他の情報を名称と関連付けること、画像を名称と関連付けること、名称を分類して並べ替えること、電話番号又は電子メールアドレスを提供して、電話１３８、ビデオ会議モジュール１３９、電子メール１４０、若しくはＩＭ１４１による通信を開始する及び／又は容易にすること、などが含まれる。
【０１２５】
ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２、及びテキスト入力モジュール１３４と連携して、電話モジュール１３８は、任意選択的に、電話番号に対応する一連の文字を入力し、連絡先モジュール１３７内の１つ以上の電話番号にアクセスし、入力された電話番号を修正し、対応する電話番号をダイヤルし、会話を行い、そして、会話が完了した際に接続を切るか又は電話を切るために、使用する。上述のように、無線通信は、複数の通信規格、プロトコル、及び技術のうちのいずれかを任意選択的に使用する。
【０１２６】
ＲＦ回路１０８、オーディオ回路１１０、スピーカ１１１、マイクロフォン１１３、タッチスクリーン１１２、ディスプレイコントローラ１５６、光センサ１６４、光センサコントローラ１５８、接触／動きモジュール１３０、グラフィックモジュール１３２、テキスト入力モジュール１３４、連絡先モジュール１３７、及び電話モジュール１３８と連携して、テレビ会議モジュール１３９は、ユーザの命令に従って、ユーザと１人以上の他の参加者との間のテレビ会議を開始し、遂行し、終了するための、実行可能な命令を含む。
【０１２７】
ＲＦ回路１０８、タッチスクリーン１１２、ディスプレイコントローラ１５６、接触／動きモジュール１３０、グラフィックモジュール１３２、及びテキスト入力モジュール１３４と連携して、電子メールクライアントモジュール１４０は、ユーザの命令に応じて、電子メールを作成し、送信し、受信し、管理する、実行可能な命令を含む。画像管理モジュール１４４と連携して、電子メールクライアントモジュール１４０により、カメラモジュール１４３で撮影した静止画像又はビデオ画像を添付した電子メールを作成して送信することが非常に容易になる。
【０１２８】
ＲＦ回路１０８、タッチスクリーン１１２、ディスプレイコントローラ１５６、接触／動きモジュール１３０、グラフィックモジュール１３２、及びテキスト入力モジュール１３４と連携して、インスタントメッセージングモジュール１４１は、インスタントメッセージに対応する文字列を入力したり、入力済みの文字を修正したり、（例えば、電話ベースのインスタントメッセージのためのショートメッセージサービス（ＳＭＳ）若しくはマルチメディアメッセージサービス（ＭＭＳ）プロトコルを使用して、又はインターネットベースのインスタントメッセージのためのＸＭＰＰ、ＳＩＭＰＬＥ、若しくはＩＭＰＳを使用して）対応するインスタントメッセージを送信したり、インスタントメッセージを受信したり、及び受信したインスタントメッセージを閲覧したりする、実行可能な命令を含む。一部の実施形態では、送信及び／又は受信されるインスタントメッセージは、任意選択的に、ＭＭＳ及び／又は拡張メッセージングサービス（Ｅｎｈａｎｃｅｄ  Ｍｅｓｓａｇｉｎｇ  Ｓｅｒｖｉｃｅ、ＥＭＳ）でサポートされるような、グラフィック、写真、オーディオファイル、ビデオファイル、及び／又は他の添付ファイルを含む。本明細書で使用するとき、「インスタントメッセージング」とは、電話ベースのメッセージ（例えば、ＳＭＳ又はＭＭＳを使用して送信されるメッセージ）及びインターネットベースのメッセージ（例えば、ＸＭＰＰ、ＳＩＭＰＬＥ、又はＩＭＰＳを使用して送信されるメッセージ）の双方を示す。
【０１２９】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４、及び音楽再生モジュールと連携して、トレーニングサポートモジュール１４２は、次のための実行可能な命令を含む：（例えば、時間、距離、及び／又はカロリー消費目標を有する）トレーニングを作成することと、トレーニングセンサ（スポーツデバイス）と通信することと、トレーニングセンサデータを受信することと、トレーニングをモニタするために使用されるセンサを較正し、トレーニングのための音楽を選択し、再生することと、トレーニングデータを表示し、記憶し、送信すること。
【０１３０】
タッチスクリーン１１２、ディスプレイコントローラ１５６、光センサ（単数又は複数）１６４、光センサコントローラ１５８、接触／動きモジュール１３０、グラフィックモジュール１３２、及び画像管理モジュール１４４と連携して、カメラモジュール１４３は、静止画像又は（ビデオストリームを含む）ビデオをキャプチャしてメモリ１０２にそれらを記憶する、静止画像又はビデオの特性を変更する、又はメモリ１０２から静止画像若しくはビデオを削除する、実行可能な命令を含む。
【０１３１】
タッチスクリーン１１２、ディスプレイコントローラ１５６、接触／動きモジュール１３０、グラフィックモジュール１３２、テキスト入力モジュール１３４、及びカメラモジュール１４３と連携して、画像管理モジュール１４４は、静止画像及び／又はビデオ画像を配置する、修正し（例えば、編集し）又は別の方法で操作する、ラベルを付け、削除する、（例えば、デジタルスライドショー又はアルバムにおいて）提示する、及び記憶したりする、実行可能な命令を含む。
【０１３２】
ＲＦ回路１０８、タッチスクリーン１１２、ディスプレイコントローラ１５６、接触／動きモジュール１３０、グラフィックモジュール１３２、及び、テキスト入力モジュール１３４と連携して、ブラウザモジュール１４７は、ウェブページ又はそれらの一部、並びにウェブページにリンクされた添付及び他のファイルを検索し、リンク付けし、受信し、表示することを含むユーザの命令に従い、インターネットを閲覧するための実行可能な命令を含む。
【０１３３】
ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０、及びブラウザモジュール１４７と連携して、カレンダモジュール１４８は、ユーザの命令に従い、カレンダ及びカレンダと関連付けられたデータ（例えば、カレンダ項目、ｔｏ  ｄｏリストなど）を作成し、表示し、変更し、記憶する実行可能な命令を含む。
【０１３４】
ＲＦ回路１０８、タッチ画面１１２、ディスプレイコントローラ１５６、接触／動きモジュール１３０、グラフィックモジュール１３２、テキスト入力モジュール１３４、及びブラウザモジュール１４７と併せて、ウィジェットモジュール１４９は、ユーザによって任意選択的にダウンロードされて使用されるミニアプリケーション（例えば、気象ウィジェット１４９−１、株価ウィジェット１４９−２、計算機ウィジェット１４９−３、アラーム時計ウィジェット１４９−４、及び辞書ウィジェット１４９−５）、又はユーザによって作成されるミニアプリケーション（例えば、ユーザ作成ウィジェット１４９−６）である。一部の実施形態では、ウィジェットは、ＨＴＭＬ（ハイパーテキストマークアップ言語）ファイル、ＣＳＳ（カスケーディングスタイルシート）ファイル、及びＪａｖａＳｃｒｉｐｔ（登録商標）ファイルを含む。一部の実施形態において、ウィジェットは、ＸＭＬ（拡張可能マークアップ言語）ファイル及びＪａｖａＳｃｒｉｐｔ（登録商標）ファイル（例えば、Ｙａｈｏｏ！（登録商標）ウィジェット）を含む。
【０１３５】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と連携して、ウィジェット作成モジュール１５０は、任意選択的に、ウィジェットを作成する（例えば、ウェブページのユーザ指定箇所をウィジェットに変える）ために、ユーザによって使用する。
【０１３６】
タッチスクリーン１１２、ディスプレイコントローラ１５６、接触／動きモジュール１３０、グラフィックモジュール１３２、及びテキスト入力モジュール１３４と連携して、検索モジュール１５１は、ユーザの命令に従い、１つ以上の検索基準（例えば、１つ以上のユーザ指定の検索語句）と一致する、メモリ１０２内のテキスト、音楽、音、画像、ビデオ、及び／又は他のファイルを検索するための、実行可能な命令を含む。
【０１３７】
タッチスクリーン１１２、ディスプレイコントローラ１５６、接触／動きモジュール１３０、グラフィックモジュール１３２、オーディオ回路１１０、スピーカ１１１、ＲＦ回路１０８、及びブラウザモジュール１４７と連携して、ビデオ及び音楽再生モジュール１５２は、ＭＰ３又はＡＡＣファイルなどの１つ以上のファイル形式で記憶された録音済みの音楽及び他のサウンドファイルをユーザがダウンロード及び再生できるようにする実行可能な命令、並びにビデオを（タッチスクリーン１１２上又は外部ポート１２４を介して接続された外部のディスプレイ上に）表示、提示、又は別の方法で再生する実行可能な命令を含む。一部の実施形態において、デバイス１００は、任意選択的に、ｉＰｏｄ（Ａｐｐｌｅ  Ｉｎｃ．の商標）などのＭＰ３プレーヤの機能を備える。
【０１３８】
タッチスクリーン１１２、ディスプレイコントローラ１５６、接触／動きモジュール１３０、グラフィックモジュール１３２、及びテキスト入力モジュール１３４と連携して、メモモジュール１５３は、ユーザの命令に従って、メモ、ｔｏ  ｄｏリストなどを作成及び管理する実行可能な命令を含む。
【０１３９】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、及びブラウザモジュール１４７と連携して、地図モジュール１５４は、任意選択的に、ユーザの命令に従い、地図及び地図と関連付けられたデータ（例えば、運転方向、特定の位置又はその近くの店舗及びその他の見所のデータ、並びに他の位置ベースのデータ）を受信し、表示し、変更し、及び記憶するために、使用する。
【０１４０】
タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０、及びブラウザモジュール１４７と連携して、オンラインビデオモジュール１５５は、ユーザがＨ．２６４などの１つ以上のファイル形式のオンラインビデオにアクセスし、閲覧し、（例えば、ストリーミング及び／又はダウンロードにより）受信し、（例えば、タッチスクリーン上で又は外部ポート１２４を介して接続された外部のディスプレイ上で）再生し、特定のオンラインビデオへのリンクを含む電子メールを送信し、別の方法で管理することが可能になる命令を含む。一部の実施形態では、特定のオンラインビデオへのリンクを送信するために、電子メールクライアントモジュール１４０ではなく、インスタントメッセージングモジュール１４１が使用される。オンラインビデオアプリケーションの追加の説明は、２００７年６月２０日に出願された米国特許仮出願第６０／９３６，５６２号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」、及び２００７年１２月３１日に出願された米国特許出願第１１／９６８，０６７号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」に見出すことができ、これらの出願の内容はその全体が本明細書において参照により組み込まれている。
【０１４１】
上記で特定されたモジュール及びアプリケーションのそれぞれは、１つ以上の上記の機能を実行する実行可能な命令セット及び本出願に記載の方法（例えば、コンピュータにより実行される方法及び本明細書に記載の他の情報処理方法）に対応する。これらのモジュール（例えば、命令セット）は、別個のソフトウェアプログラム、手順、又はモジュールとして実装される必要はなく、それゆえ、様々な実施形態では、任意選択的に、これらのモジュールの様々な部分集合を組み合わせるか、又は他の方式で再編成する。例えば、ビデオ再生モジュールは、任意選択的に、音楽再生モジュールと組み合わせて、単一のモジュール（例えば、図１Ａのビデオ及び音楽再生モジュール１５２）とする。一部の実施形態では、メモリ１０２は、任意選択的に、上述の識別されたモジュール及びデータ構造のサブセットを記憶する。更に、メモリ１０２は、任意選択的に、上述されていない追加的なモジュール及びデータ構造を記憶する。
【０１４２】
一部の実施形態では、デバイス１００は、デバイス上の機能の所定のセットの動作が排他的にタッチスクリーン及び／又はタッチパッドを介して実行されるデバイスである。デバイス１００の動作のための主要入力制御デバイスとしてタッチスクリーン及び／又はタッチパッドを使用することにより、デバイス１００上の物理的な入力制御デバイス（プッシュボタン、ダイヤル、など）の数を、任意選択的に低減する。
【０１４３】
排他的にタッチスクリーン及び／又はタッチパッドを介して実行される、所定の機能のセットは、任意選択的に、ユーザインタフェース間のナビゲーションを含む。一部の実施形態では、タッチパッドは、ユーザによってタッチされると、デバイス１００上に表示される任意のユーザインタフェースから、メインメニュー、ホームメニュー、又はルートメニューへデバイス１００をナビゲートする。かかる実施形態では、「メニューボタン」はタッチパッドを使用して実装される。いくつかの他の実施形態では、メニューボタンは、タッチパッドの代わりに、物理プッシュボタン又は他の物理入力制御デバイスである。
【０１４４】
図１Ｂは、一部の実施形態に係る、イベント処理のための例示的な構成要素を示すブロック図である。一部の実施形態では、メモリ１０２（図１Ａ）又はメモリ３７０（図３）は、イベントソート部１７０（例えば、オペレーティングシステム１２６内）及び対応するアプリケーション１３６−１（例えば、上述のアプリケーション１３７〜１５１、１５５、３８０〜３９０のうちのいずれか）を含む。
【０１４５】
イベントソート部１７０は、イベント情報を受信し、イベント情報が配信されるアプリケーション１３６−１及びアプリケーション１３６−１のアプリケーションビュー１９１を決定する。イベントソート部１７０は、イベントモニタ１７１及びイベントディスパッチャモジュール１７４を含む。一部の実施形態において、アプリケーション１３６−１は、アプリケーションがアクティブ又は実行中のとき、タッチ感知ディスプレイ１１２上に表示される現在のアプリケーションビュー（単数又は複数）を示す、アプリケーション内部状態１９２を含む。一部の実施形態では、デバイス／グローバル内部状態１５７は、いずれのアプリケーション（単数又は複数）が現在アクティブであるかを判定するために、イベントソート部１７０によって使用され、アプリケーション内部状態１９２は、イベント情報が配信されるアプリケーションビュー１９１を決定するために、イベントソート部１７０によって使用される。
【０１４６】
一部の実施形態では、アプリケーション内部状態１９２は、アプリケーション１３６−１が実行を再開する際に使用される再開情報、アプリケーション１３６−１によって情報が表示されているか又は表示の準備が整っていることを示すユーザインタフェース状態情報、ユーザがアプリケーション１３６−１の以前の状態又はビューに戻ることを可能にするための状態待ち行列、及びユーザが以前に行ったアクションのリドゥ／アンドゥ待ち行列、のうちの１つ以上などの追加的な情報を含む。
【０１４７】
イベントモニタ１７１は、周辺機器インタフェース１１８からイベント情報を受信する。イベント情報は、サブイベント（例えば、マルチタッチジェスチャの一部としての、タッチ感知ディスプレイ１１２上でのユーザのタッチ）についての情報を含む。周辺機器インタフェース１１８は、Ｉ／Ｏサブシステム１０６、又は近接センサ１６６、加速度計（単数又は複数）１６８、及び／若しくは（オーディオ回路１１０を介する）マイクロフォン１１３などのセンサから受信する情報を送信する。周辺機器インタフェース１１８がＩ／Ｏサブシステム１０６から受信する情報には、タッチ感知ディスプレイ１１２又はタッチ感知面からの情報が含まれる。
【０１４８】
一部の実施形態では、イベントモニタ１７１は、所定の間隔で周辺機器インタフェース１１８に要求を送信する。これに応じて、周辺機器インタフェース１１８はイベント情報を送信する。他の実施形態では、周辺機器インタフェース１１８は、重要なイベント（例えば、所定のノイズ閾値を上回り、かつ／又は所定の持続時間を超えた入力を受けること）が存在する場合にのみ、イベント情報を送信する。
【０１４９】
一部の実施形態では、イベントソート部１７０はまた、ヒットビュー判定モジュール１７２及び／又はアクティブイベント認識部判定モジュール１７３も含む。
【０１５０】
ヒットビュー判定モジュール１７２は、タッチ感知ディスプレイ１１２が２つ以上のビューを表示する場合に、サブイベントが１つ以上のビュー内のいずれの場所で発生したかを判定するための、ソフトウェア手順を提供する。ビューは、制御部及びユーザがディスプレイ上で見ることが可能な他の要素で構成されている。
【０１５１】
アプリケーションと関連付けられたユーザインタフェースの別の態様は、本明細書では、アプリケーションビュー又はユーザインタフェースウィンドウと呼ばれる場合があるビューのセットであり、それらの中に情報が表示され、タッチベースのジェスチャが行われる。タッチが検出される（それぞれのアプリケーションの）アプリケーションビューは、アプリケーションのプログラム階層又はビュー階層内のプログラムレベルに任意選択的に、対応する。例えば、タッチが検出される最低レベルのビューは、任意選択的に、ヒットビューと呼ばれ、適切な入力として認識されるイベントのセットは、任意選択的に、少なくとも部分的に、タッチベースのジェスチャを開始する最初のタッチのヒットビューに基づいて判定される。
【０１５２】
ヒットビュー判定モジュール１７２は、タッチベースのジェスチャのサブイベントと関連付けられた情報を受信する。アプリケーションが、階層として編成された複数のビューを有する場合、ヒットビュー判定モジュール１７２は、そのサブイベントを処理すべき階層内の最下位のビューとしての、ヒットビューを特定する。ほとんどの状況では、ヒットビューは、最初のサブイベント（例えば、イベント又は潜在的なイベントを形成するサブイベントのシーケンスにおける最初のサブイベント）が発生する最下位レベルのビューである。ヒットビューがヒットビュー判定モジュール１７２によって特定されると、ヒットビューは、典型的には、それがヒットビューとして特定された、同じタッチ又は入力ソースに関連する全てのサブイベントを受信する。
【０１５３】
アクティブイベント認識部判定モジュール１７３は、ビュー階層内のどのビュー（単数又は複数）がサブイベントの特定のシーケンスを受信すべきかを判定する。一部の実施形態では、アクティブイベント認識部判定モジュール１７３は、ヒットビューのみがサブイベントの特定のシーケンスを受信すべきであると判定する。他の実施形態では、アクティブイベント認識部判定モジュール１７３は、サブイベントの物理的位置を含む全てのビューはアクティブに関わっているビューであると判定し、したがって、全てのアクティブに関わっているビューは、サブイベントの特定のシーケンスを受信すべきであると判定する。他の実施形態では、タッチサブイベントがある特定のビューと関連付けられた領域に完全に限定されたとしても、階層の上位のビューは、依然としてアクティブに関わっているビューとして留まる。
【０１５４】
イベントディスパッチャモジュール１７４は、イベント情報をイベント認識部（例えば、イベント認識部１８０）に送信する。アクティブイベント認識部判定モジュール１７３を含む実施形態において、イベントディスパッチャモジュール１７４は、アクティブイベント認識部判定モジュール１７３により判定されたイベント認識部にイベント情報を配信する。一部の実施形態では、イベントディスパッチャモジュール１７４は、対応するイベント受信部１８２により取得されるイベント情報をイベント待ち行列に記憶する。
【０１５５】
一部の実施形態では、オペレーティングシステム１２６は、イベントソート部１７０を含む。あるいは、アプリケーション１３６−１はイベントソート部１７０を含む。更に他の実施形態では、イベントソート部１７０は、独立型のモジュール、又は接触／動きモジュール１３０などの、メモリ１０２に記憶された別のモジュールの一部である。
【０１５６】
一部の実施形態では、アプリケーション１３６−１は、各々がアプリケーションのユーザインタフェースの各ビュー内で発生するタッチイベントを処理する命令を含む、複数のイベント処理部１９０及び１つ以上のアプリケーションビュー１９１を備えている。アプリケーション１３６−１の各アプリケーションビュー１９１は、１つ以上のイベント認識部１８０を含む。通常は、それぞれのアプリケーションビュー１９１に複数のイベント認識部１８０が含まれる。他の実施形態では、イベント認識部１８０のうちの１つ以上は、ユーザインタフェースキット（図示せず）又はアプリケーション１３６−１が方法及び他の特性を継承する上位レベルのオブジェクトなどの、別個のモジュールの一部である。一部の実施形態では、それぞれのイベント処理部１９０は、データ更新部１７６、オブジェクト更新部１７７、ＧＵＩ更新部１７８、及び／又はイベントソート部１７０から受信したイベントデータ１７９、のうちの１つ以上を含む。イベント処理部１９０は、アプリケーション内部状態１９２を更新するために、データ更新部１７６、オブジェクト更新部１７７、又はＧＵＩ更新部１７８を任意選択的に、利用若しくは呼び出す。あるいは、アプリケーションビュー１９１のうちの１つ以上は、１つ以上の対応するイベント処理部１９０を含んでいる。また、一部の実施形態では、データ更新部１７６、オブジェクト更新部１７７、及びＧＵＩ更新部１７８のうちの１つ以上は、対応するアプリケーションビュー１９１に含まれる。
【０１５７】
各イベント認識部１８０は、イベントソート部１７０からイベント情報（例えば、イベントデータ１７９）を受信して、そのイベント情報からイベントを識別する。イベント認識部１８０は、イベント受信部１８２及びイベント比較部１８４を含む。一部の実施形態ではでは、イベント認識部１８０は更に、メタデータ１８３及びイベント配信命令１８８（任意選択的に、サブイベント配信命令を含む）の少なくともサブセットを含む。
【０１５８】
イベント受信部１８２は、イベントソート部１７０からイベント情報を受信する。このイベント情報には、サブイベントについての情報、例えば、タッチ又はタッチの動きについての情報が含まれる。サブイベントによっては、イベント情報はまた、サブイベントの位置などの追加的な情報も含む。サブイベントが、タッチの動きに関わるとき、イベント情報は、サブイベントの速度及び方向を任意選択的に、更に含む。一部の実施形態では、イベントは、１つの向きから別の向きへの（例えば、縦向きから横向きへの、又はその逆の）デバイスの回転を含み、そのイベント情報は、デバイスの現在の向き（デバイスの姿勢とも呼ばれる）についての対応する情報を含む。
【０１５９】
イベント比較部１８４は、イベント情報を既定のイベント又はサブイベントの定義と比較し、その比較により、イベント若しくはサブイベントを判定、又はイベント若しくはサブイベントの状態を判定若しくは更新する。一部の実施形態において、イベント比較部１８４は、イベント定義１８６を含む。イベント定義１８６は、例えば、イベント１（１８７−１）、イベント２（１８７−２）などの、イベントの定義（例えば、サブイベントの既定のシーケンス）を含む。一部の実施形態において、イベント（１８７）内のサブイベントは、例えば、タッチ開始、タッチ終了、タッチの移動、タッチの中止、及び複数のタッチを含む。ある実施例では、イベント１（１８７−１）の定義は、表示されたオブジェクト上のダブルタップである。このダブルタップは、例えば、所定の段階に関する表示オブジェクト上での第１のタッチ（タッチの開始）、所定の段階に関する第１のリフトオフ（タッチの終了）、所定の段階に関する表示オブジェクト上での第２のタッチ（タッチの開始）、及び所定の段階に関する第２のリフトオフ（タッチの終了）を含む。別の実施例では、イベント２（１８７−２）の定義は、表示されたオブジェクト上のドラッグ操作である。このドラッグ操作は、例えば、所定の段階に関する表示オブジェクト上でのタッチ（又は、接触）、タッチ感知ディスプレイ１１２を横断するタッチの移動、及びタッチのリフトオフ（タッチの終了）を含む。一部の実施形態では、イベントはまた、１つ以上の関連付けられたイベント処理部１９０に関する情報も含む。
【０１６０】
一部の実施形態では、イベント定義１８７は、それぞれのユーザインタフェースオブジェクトに関するイベントの定義を含む。一部の実施形態では、イベント比較部１８４は、どのユーザインタフェースオブジェクトがサブイベントと関連付けられているのかを判定するヒットテストを実行する。例えば、３つのユーザインタフェースオブジェクトがタッチ感知ディスプレイ１１２に表示されるアプリケーションビューにおいて、タッチ感知ディスプレイ１１２上でタッチが検出されると、イベント比較部１８４は、３つのユーザインタフェースオブジェクトのうちのどれがタッチ（サブイベント）と関連付けられているかを判定するためのヒットテストを行う。表示された各オブジェクトが、対応するイベント処理部１９０と関連付けられている場合、イベント比較部は、ヒットテストの結果を使用して、どのイベント処理部１９０をアクティブ化すべきかを判定する。例えば、イベント比較部１８４は、サブイベント及びヒットテストのトリガとなるオブジェクトと関連付けられたイベント処理部を選択する。
【０１６１】
一部の実施形態において、それぞれのイベント１８７の定義は、サブイベントのシーケンスが、イベント認識部のイベントタイプに対応するか対応しないかが判定されるまで、イベント情報の配信を遅延させる、遅延作用も含む。
【０１６２】
それぞれのイベント認識部１８０が、一連のサブイベントがイベント定義１８６のイベントのいずれとも一致しないと判断した場合、それぞれのイベント認識部１８０は、イベント不可能、イベント失敗、又はイベント終了の状態に移行し、その後は、タッチベースのジェスチャの次のサブイベントを無視する。この状況では、ヒットビューに関してアクティブのまま留まる他のイベント認識部があれば、進行中のタッチに基づくジェスチャのサブイベントを、引き続き追跡及び処理する。
【０１６３】
一部の実施形態において、それぞれのイベント認識部１８０は、構成変更可能なプロパティと、フラグと、及び／又はイベント配信システムがアクティブに関わっているイベント認識部にどのようにサブイベント配信を実行するかについて示すリストと、を有するメタデータ１８３を含む。一部の実施形態では、メタデータ１８３は、構成可能なプロパティと、フラグと、及び／又はイベント認識部が互いにどのように対話し得るか又は対話が可能になるかについて示すリストと、を含む。一部の実施形態では、メタデータ１８３は、構成変更可能なプロパティと、フラグと、及び／又はサブイベントがビュー階層又はプログラム階層内の様々なレベルに配信されるか否かを示すリストと、を含む。
【０１６４】
一部の実施形態では、それぞれのイベント認識部１８０は、イベントの１つ以上の特定のサブイベントが認識されたときに、イベントと関連付けられたイベント処理部１９０をアクティブ化する。一部の実施形態では、それぞれのイベント認識部１８０は、イベントと関連付けられたイベント情報をイベント処理部１９０に配信する。イベント処理部１９０をアクティブ化することは、対応するヒットビューにサブイベントを送信（及び送信を延期する）することとは異なる。一部の実施形態では、イベント認識部１８０は、認識されたイベントと関連付けられたフラグをスローし、フラグと関連付けられたイベント処理部１９０は、フラグをキャッチし、所定のプロセスを実行する。
【０１６５】
一部の実施形態では、イベント配信命令１８８は、イベント処理部をアクティブ化することなくサブイベントに関するイベント情報を配信するサブイベント配信命令を含む。その代わりに、サブイベント配信命令は、一連のサブイベントと関連付けられたイベント処理部又はアクティブに関わっているビューに、イベント情報を配信する。一連のサブイベント又はアクティブに関わっているビューと関連付けられたイベント処理部は、イベント情報を受信し、所定のプロセスを実行する。
【０１６６】
一部の実施形態では、データ更新部１７６は、アプリケーション１３６−１で使用されるデータを作成及び更新する。例えば、データ更新部１７６は、連絡先モジュール１３７で使用される電話番号を更新したり、ビデオ再生モジュールで使用されるビデオファイルを記憶したりする。一部の実施形態において、オブジェクト更新部１７７は、アプリケーション１３６−１で使用されるオブジェクトを作成及び更新する。例えば、オブジェクト更新部１７７は、新たなユーザインタフェースオブジェクトを作成するか、又はユーザインタフェースオブジェクトの位置を更新する。ＧＵＩ更新部１７８は、ＧＵＩを更新する。例えば、ＧＵＩ更新部１７８は、表示情報を準備し、タッチ感知ディスプレイ上に表示するため、表示情報をグラフィックモジュール１３２に送信する。
【０１６７】
一部の実施形態では、イベント処理部（単数又は複数）１９０は、データ更新部１７６、オブジェクト更新部１７７、及びＧＵＩ更新部１７８を含むか、又はそれらにアクセスすることができる。一部の実施形態では、データ更新部１７６、オブジェクト更新部１７７、及びＧＵＩ更新部１７８は、それぞれのアプリケーション１３６−１又はアプリケーションビュー１９１の単一モジュールに含まれる。他の実施形態では、それらは、２つ以上のソフトウェアモジュールに含まれる。
【０１６８】
タッチ感知ディスプレイ上のユーザのタッチのイベント処理に関する前述の説明はまた、入力デバイスを用いて多機能デバイス１００を動作させるための他の形態のユーザ入力にも適用されるが、その全てがタッチスクリーン上で開始されるわけでないことを理解されたい。例えば、単一又は複数のキーボードの押圧又は保持に任意選択的に合わせたマウスの移動及びマウスボタンの押圧、タッチパッド上でのタップ、ドラッグ、スクロールなどの接触移動、ペンスタイラス入力、デバイスの移動、口頭による命令検出された眼球運動、バイオメトリック入力、及び／又はこれらの任意の組み合わせが、認識対象のイベントを定義するサブイベントに対応する入力として任意選択的に利用される。
【０１６９】
図２は、一部の実施形態に係る、タッチスクリーン１１２を有するポータブル多機能デバイス１００を示す。タッチスクリーンは、ユーザインタフェース（ＵＩ）２００内に１つ以上のグラフィックを、任意選択的に表示する。本実施形態、並びに後述する他の実施形態において、ユーザは、例えば、１本以上の指２０２（図には、正確な縮尺率では描かれていない）又は１つ以上のスタイラス２０３（図には、正確な縮尺率では描かれていない）を用いて、グラフィック上でジェスチャを行うことにより、グラフィックのうちの１つ以上を選択することができる。一部の実施形態において、ユーザが１つ以上のグラフィックとの接触を断った際に、その１つ以上のグラフィックの選択が生じる。一部の実施形態では、ジェスチャは、１回以上のタップ、１回以上のスワイプ（左から右へ、右から左へ、上方向へ及び／又は下方向へ）、及び／又は、デバイス１００と接触した指のローリング（右から左へ、左から右へ、上方向へ及び／又は下方向へ）を任意選択的に含む。いくつかの実装又は状況では、グラフィックとの不測の接触は、そのグラフィックを選択するものでない。例えば、選択に対応するジェスチャがタップである場合、アプリケーションアイコンの上をスイープするスワイプジェスチャは、対応するアプリケーションを任意選択的に選択しない。
【０１７０】
デバイス１００はまた、「ホーム」又はメニューボタン２０４などの、１つ以上の物理ボタンも任意選択的に含む。前述のように、メニューボタン２０４は、デバイス１００上で任意選択的に、実行するアプリケーションのセット内の任意のアプリケーション１３６へのナビゲーションに任意選択的に、使用される。あるいは、一部の実施形態では、メニューボタンは、タッチスクリーン１１２に表示されたＧＵＩにおけるソフトキーとして実装されている。
【０１７１】
一部の実施形態において、デバイス１００は、タッチスクリーン１１２、メニューボタン２０４、デバイスへの電源をオン／オフしてデバイスをロックするためのプッシュボタン２０６、音量調整ボタン（単数又は複数）２０８、加入者識別モジュール（ＳＩＭ）カードスロット２１０、ヘッドセットジャック２１２、及びドッキング／充電用外部ポート１２４を含む。プッシュボタン２０６は、ボタンを押し下げて、既定の時間にわたってボタンを押し下げた状態で保持することによってデバイス上の電源をオン／オフし、ボタンを押し下げて、既定時間が経過する前にボタンを解放することによってデバイスをロックし、及び／又は、デバイスのロックをロック解除し、若しくはロックロック解除プロセスを開始する。代替実施形態では、デバイス１００はまた、マイクロフォン１１３を通して、一部の機能をアクティブ化又は非アクティブ化するための口頭入力を受ける。デバイス１００はまた、タッチスクリーン１１２上の接触の強度を検出するための１つ以上の接触強度センサ１６５、及び／又は、デバイス１００のユーザに対する触知出力を生成するための１つ以上の触知出力生成器１６７も、任意選択的に含む。
【０１７２】
図３は、一部の実施形態に係る、ディスプレイ及びタッチ感知面を備える例示的な多機能デバイスのブロック図である。デバイス３００は、ポータブル型である必要はない。一部の実施形態において、デバイス３００は、ラップトップコンピュータ、デスクトップコンピュータ、タブレットコンピュータ、マルチメディア再生デバイス、ナビゲーションデバイス、教育的デバイス（子供の学習玩具など）、ゲームシステム、又は制御デバイス（例えば、家庭用又は業務用コントローラ）である。デバイス３００は、典型的には、１つ以上の処理ユニット（ＣＰＵ）３１０、１つ以上のネットワーク若しくは他の通信インタフェース３６０、メモリ３７０、及びこれらの構成要素を相互接続するための１つ以上の通信バス３２０を含む。通信バス３２０は、システム構成要素間の通信を相互接続及び制御する回路（チップセットと呼ばれることがある）を、任意選択的に含む。デバイス３００は、典型的にはタッチスクリーンディスプレイであるディスプレイ３４０を備える入出力（Ｉ／Ｏ）インタフェース３３０を含む。Ｉ／Ｏインタフェース３３０はまた、キーボード及び／又はマウス（又は他のポインティングデバイス）３５０、並びにタッチパッド３５５、デバイス３００上に触知出力を生成するための（例えば、図１Ａを参照して上述した触知出力生成器１６７（単数又は複数）と同様の）触知出力生成器３５７、センサ３５９（例えば、光センサ、加速度センサ、近接センサ、タッチ感知センサ、及び／又は図１Ａを参照して上述した接触強度センサ（単数又は複数）１６５と同様の接触強度センサ）も、任意選択的に含む。メモリ３７０は、ＤＲＡＭ、ＳＲＡＭ、ＤＤＲ  ＲＡＭ、又は他のランダムアクセスソリッドステートメモリデバイスなどの、高速ランダムアクセスメモリを含み、また任意選択的に、１つ以上の磁気ディスク記憶デバイス、光ディスク記憶デバイス、フラッシュメモリデバイス、又は他の不揮発性ソリッドステート記憶デバイスなどの、不揮発性メモリを含む。メモリ３７０は、ＣＰＵ（単数又は複数）３１０からリモートにする１つ以上の記憶デバイスを任意選択的に含む。一部の実施形態では、メモリ３７０は、ポータブル多機能デバイス１００（図１Ａ）のメモリ１０２に記憶されたプログラム、モジュール、及びデータ構造、又はそれらの部分集合に類似する、プログラム、モジュール、及びデータ構造を記憶する。更に、メモリ３７０は、ポータブル多機能デバイス１００のメモリ１０２に存在しない追加的なプログラム、モジュール、及びデータ構造を、任意選択的に記憶する。例えば、デバイス３００のメモリ３７０は、描画モジュール３８０、プレゼンテーションモジュール３８２、ワードプロセッシングモジュール３８４、ウェブサイト作成モジュール３８６、ディスクオーサリングモジュール３８８、及び／又はスプレッドシートモジュール３９０を任意選択的に記憶するが、ポータブル多機能デバイス１００（図１Ａ）のメモリ１０２はこれらのモジュールを任意選択的に記憶しない。
【０１７３】
上記で特定された図３の要素のそれぞれは任意選択的に、前述のメモリデバイスのうち１つ以上に記憶される。上記で特定されたモジュールのうちのそれぞれは、上述した機能を実行する命令セットに対応する。上記で特定されたモジュール又はプログラム（例えば、命令セット）は、任意選択的に、別個のソフトウェアプログラム、手順、又はモジュールとして実装される必要はなく、それゆえ、様々な実施形態では、これらのモジュールの様々なサブセットを組み合わせるか、又は他の方式で再編成する。一部の実施形態において、メモリ３７０は、上述の識別されたモジュール及びデータ構造のサブセットを任意選択的に記憶する。更に、メモリ３７０は、上述されていない追加的なモジュール及びデータ構造を、任意選択的に記憶する。
【０１７４】
次に、例えば、任意選択的に、ポータブル多機能デバイス１００上に実装するユーザインタフェースの実施形態に注意を向ける。
【０１７５】
図４Ａは、一部の実施形態に係る、ポータブル多機能デバイス１００上のアプリケーションのメニューに関する例示的なユーザインタフェースを示す。同様のユーザインタフェースがデバイス３００上に、任意選択的に、実装される。一部の実施形態では、ユーザインタフェース４００は、以下の要素、又はそれらの部分集合若しくは上位集合を含む。
●セルラー及びＷｉ−Ｆｉ信号などの無線通信（単数又は複数）のための信号強度インジケータ（単数又は複数）４０２、
●時間４０４、
●Ｂｌｕｅｔｏｏｔｈ（登録商標）インジケータ４０５、
●バッテリ状態インジケータ４０６、
●下記などの、頻繁に利用されるアプリケーション用のアイコンを有するトレー４０８、
○不在着信又は音声メールメッセージの数のインジケータ４１４を任意選択的に含む、「電話」とラベル付けされる、電話モジュール１３８用のアイコン４１６、
○未読電子メールの数のインジケータ４１０を任意選択的に含む、「メール」とラベル付けされた、電子メールクライアントモジュール１４０用のアイコン４１８、
○「ブラウザ」とラベル付けされる、ブラウザモジュール１４７用のアイコン４２０、並びに
○「ｉＰｏｄ」とラベル付けされる、ｉＰｏｄ（Ａｐｐｌｅ  Ｉｎｃ．の商標）モジュール１５２とも呼ばれるビデオ及び音楽再生モジュール１５２用のアイコン４２２、並びに
●下記などの、その他のアプリケーション用のアイコン、
○「メッセージ」とラベル付けされる、ＩＭモジュール１４１用のアイコン４２４、
○「カレンダ」とラベル付けされる、カレンダモジュール１４８用のアイコン４２６、
○「写真」とラベル付けされる、画像管理モジュール１４４用のアイコン４２８、
○「カメラ」とラベル付けされる、カメラモジュール１４３用のアイコン４３０、
○「オンラインビデオ」とラベル付けされる、オンラインビデオモジュール１５５用のアイコン４３２、
○「株価」とラベル付けされる、株価ウィジェット１４９−２用のアイコン４３４、
○「マップ」とラベル付けされる、地図モジュール１５４用のアイコン４３６、
○「気象」とラベル付けされる、気象ウィジェット１４９−１用のアイコン４３８、
○「時計」とラベル付けされる、アラーム時計ウィジェット１４９−４用のアイコン４４０、
○「トレーニングサポート」とラベル付けされる、トレーニングサポートモジュール１４２用のアイコン４４２、
○「メモ」とラベル付けされる、メモモジュール１５３用のアイコン４４４、並びに
○デバイス１００及びその様々なアプリケーション１３６に関する設定へのアクセスを提供する、「設定」とラベル付けされた、設定アプリケーション若しくはモジュール用のアイコン４４６。
【０１７６】
図４Ａに示されるアイコンのラベルは、単なる例示であることに留意されたい。例えば、ビデオ及び音楽再生モジュール１５２用のアイコン４２２は、「音楽」又は「音楽プレーヤ」とラベル付けされる。他のラベルが、様々なアプリケーションアイコンのために、任意選択的に使用される。一部の実施形態では、それぞれのアプリケーションアイコンに関するラベルは、それぞれのアプリケーションアイコンに対応するアプリケーションの名前を含む。一部の実施形態では、特定のアプリケーションアイコンのラベルは、特定のアプリケーションアイコンに対応するアプリケーションの名称とは異なる。
【０１７７】
図４Ｂは、ディスプレイ４５０（例えば、タッチスクリーンディスプレイ１１２）とは別個のタッチ感知面４５１（例えば、図３のタブレット又はタッチパッド３５５）を備えるデバイス（例えば、図３のデバイス３００）上の、例示的なユーザインタフェースを示す。デバイス３００はまた、タッチ感知面４５１上の接触の強度を検出するための１つ以上の接触強度センサ（例えば、センサ３５９のうちの１つ以上）、及び／又はデバイス３００のユーザに対する触知出力を生成するための１つ以上の触知出力生成器３５７を任意選択的に含む。
【０１７８】
以下の実施例のうちのいくつかはタッチスクリーンディスプレイ１１２上での入力（タッチ感知面とディスプレイとが組み合わされている場合）を参照して説明されるが、一部の実施形態では、デバイスは、図４Ｂに示されるように、ディスプレイとは別個のタッチ感知面上での入力を検出する。一部の実施形態では、このタッチ感知面（例えば、図４Ｂの４５１）は、ディスプレイ（例えば、４５０）上の主軸（例えば、図４Ｂの４５３）に対応する主軸（例えば、図４Ｂの４５２）を有する。これらの実施形態によれば、デバイスは、タッチ感知面４５１との接触（例えば、図４Ｂの４６０及び４６２）を、ディスプレイ上のそれぞれの場所に対応する場所（例えば、図４Ｂでは、４６０は４６８に対応し、４６２は４７０に対応する）にて検出する。このように、タッチ感知面がディスプレイとは別個のものである場合、タッチ感知面（例えば、図４Ｂの４５１）上でデバイスによって検出されたユーザ入力（例えば、接触４６０及び４６２、並びにそれらの移動）が、多機能デバイスのディスプレイ（例えば、図４Ｂでの４５０）上のユーザインタフェースを操作するために、デバイスによって使用される。同様の方法が、本明細書に記載の他のユーザインタフェースに任意選択的に使用されることを理解されたい。
【０１７９】
加えて、以下の説明は、主に指入力（例えば、指の接触、指のタップジェスチャ、指のスワイプジェスチャ）を参照して説明されるが、一部の実施形態では、それらの指入力のうちの１つ以上は、別の入力デバイスからの入力（例えば、マウスに基づく入力又はスタイラス入力）で置き換えられることを理解されたい。例えば、スワイプジェスチャは、任意選択的に、（例えば、接触の代わりに）マウスクリックと置換され、その後、（例えば、接触の移動の代わりに）スワイプの経路に沿ってカーソルの移動が行われる。別の例として、タップジェスチャは、（例えば、接触の検出に続いて接触の検出を停止する代わりに）カーソルがタップジェスチャの位置上に配置されている間、任意選択的に、マウスクリックで置換される。同様に、複数のユーザ入力が同時に検出されるとき、複数のコンピュータマウスが同時に、任意選択的に用いられているか、又はマウスと指接触が任意選択的に同時に用いられていることが理解されよう。
【０１８０】
図５Ａは、例示的なパーソナル電子デバイス５００を示す。デバイス５００は、本体５０２を含む。一部の実施形態では、デバイス５００は、デバイス１００及び３００（例えば、図１Ａ〜図４Ｂ）に関して記載した特徴のいくつか又は全てを含み得る。一部の実施形態では、デバイス５００は、タッチ感知ディスプレイスクリーン５０４、以後、タッチスクリーン５０４を有する。タッチスクリーン５０４の代わりに、又はそれに追加して、デバイス５００は、ディスプレイ及びタッチ感知面を有する。デバイス１００及びデバイス３００と同様に、一部の実施形態では、タッチスクリーン５０４（又はタッチ感知面）は、任意選択的に、加えられている接触（例えば、タッチ）の強度を検出するための１つ以上の強度センサを有する。タッチスクリーン５０４（又は、タッチ感知面）の１つ以上の強度センサは、タッチの強度を表現する出力データを提供することができる。デバイス５００のユーザインタフェースは、タッチの強度に基づきタッチに応じてもよく、これは、異なる強度のタッチは、デバイス５００上で異なるユーザインタフェース動作を呼び出し得ることを意味する。
【０１８１】
タッチ強度を検出して処理するための例示的な技術は、例えば、関連出願である、２０１３年５月８日に出願され、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」と題された国際特許出願第ＰＣＴ／ＵＳ２０１３／０４００６１号（国際公開第２０１３／１６９８４９号として公開）、及び２０１３年１１月１１日に出願され、「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」と題された同第ＰＣＴ／ＵＳ２０１３／０６９４８３号（国際公開第２０１４／１０５２７６号として公開）に見られ、これらの文献のそれぞれは、全体が参照により本明細書に組み込まれる。
【０１８２】
一部の実施形態では、デバイス５００は、１つ以上の入力機構５０６及び入力機構５０８を有する。入力機構５０６及び５０８は、含まれる場合には、物理的なものとすることができる。物理入力機構の例としては、プッシュボタン及び回転可能機構が挙げられる。一部の実施形態では、デバイス５００は、１つ以上のアタッチメント機構を有する。かかるアタッチメント機構は、含まれる場合には、例えば、デバイス５００を、帽子、アイウェア、イヤリング、ネックレス、シャツ、ジャケット、ブレスレット、腕時計バンド、チェーン、ズボン、ベルト、靴、財布、バックパックなどに、取り付けることを可能にする。これらのアタッチメント機構は、ユーザによってデバイス５００が着用されることを可能にし得る。
【０１８３】
図５Ｂは、例示的なパーソナル電子デバイス５００を示す。一部の実施形態では、デバイス５００は、図１Ａ、図１Ｂ及び図３に関して記載した構成要素のいくつか又は全てを含むことができる。デバイス５００は、Ｉ／Ｏ部５１４を１つ以上のコンピュータプロセッサ５１６及びメモリ５１８に動作可能に接続するバス５１２を有する。Ｉ／Ｏ部５１４は、ディスプレイ５０４に接続することができ、ディスプレイ５０４は、タッチ感知構成要素５２２と、任意選択的に、強度センサ５２４（例えば、接触強度センサ）と、を有し得る。更に、Ｉ／Ｏ部５１４は、Ｗｉ−Ｆｉ、Ｂｌｕｅｔｏｏｔｈ（登録商標）、近距離通信（ＮＦＣ）、セルラー及び／又は他の無線通信技術を使用して、アプリケーション及びオペレーティングシステムのデータを受信するための通信ユニット５３０に接続し得る。デバイス５００は、入力機構５０６及び／又は入力機構５０８を含むことができる。入力機構５０６は、任意選択的に、例えば、回転可能入力デバイス、又は押下可能かつ回転可能な入力デバイスである。入力機構５０８は、任意選択的に、一部の実施例では、ボタンである。
【０１８４】
入力機構５０８は、任意選択的に、一部の実施例では、マイクロフォンである。パーソナル電子デバイス５００は、任意選択的に、ＧＰＳセンサ５３２、加速度計５３４、方向センサ５４０（例えば、コンパス）、ジャイロスコープ５３６、動きセンサ５３８及び／又はこれらの組み合わせなどの、様々なセンサを含むものであり、それらの全ては、Ｉ／Ｏ部５１４に動作可能に接続できる。
【０１８５】
パーソナル電子デバイス５００のメモリ５１８は、コンピュータ実行可能命令を記憶するための１つ以上の非一時的コンピュータ可読記憶媒体を含むことができ、それらの命令は、１つ以上のコンピュータプロセッサ５１６によって実行されると、例えば、コンピュータプロセッサに、処理８００、１０００、１２００、１４００、１６００、１８００、及び２０００を含む、以下に説明する技術を実行させることができる。パーソナル電子デバイス５００は、図５Ｂの構成要素及び構成に限定されるものではなく、他の構成要素又は追加的構成要素を、複数の構成で含み得る。
【０１８６】
本明細書で使用する場合、用語「アフォーダンス」は、任意選択的に、デバイス１００、３００及び／又は５００（図１Ａ〜Ｂ、図３、及び図５Ａ〜Ｈ）のディスプレイスクリーン上に表示されるユーザ対話式のグラフィカルユーザインタフェースオブジェクトを指す。例えば、画像（例えば、アイコン）、ボタン及びテキスト（例えば、ハイパーリンク）はそれぞれ、任意選択的に、アフォーダンスを構成する。
【０１８７】
本明細書にて使用されるとき、用語「フォーカスセレクタ」とは、ユーザが対話しているユーザインタフェースの現在の部分を示す入力要素を指す。カーソル又は他の位置マーカを含む一部の実装において、タッチ感知面（例えば、図３のタッチパッド３５５、又は図４Ｂのタッチ感知面４５１）上で入力（例えば、押圧入力）が検出されたときに、カーソルが特定のユーザインタフェース要素（例えば、ボタン、ウィンドウ、スライダ、又は他のユーザインタフェース要素）の上にあるとき、カーソルは「フォーカスセレクタ」として機能し、特定のユーザインタフェース要素が、検出された入力に従って調整される。タッチスクリーンディスプレイ上のユーザインタフェース要素との直接的な対話を可能にする、タッチスクリーンディスプレイ（例えば、図１Ａでのタッチ感知ディスプレイシステム１１２、又は図４Ａでのタッチスクリーン１１２）を含む一部の実装では、タッチスクリーン上で検出される接触が「フォーカスセレクタ」としての役割を果たすことにより、入力（例えば、接触による押圧入力）が、タッチスクリーンディスプレイ上の特定のユーザインタフェース要素（例えば、ボタン、ウィンドウ、スライダ、又は他のユーザインタフェース要素）の場所で検出されると、その特定のユーザインタフェース要素が、検出された入力に従って調節される。いくつかの実装では、（例えば、タブキー又は矢印キーを使ってフォーカスを１つのボタンから別のボタンに移動させることにより）タッチスクリーンディスプレイ上の対応するカーソルの移動又は接触の移動なしに、フォーカスが、ユーザインタフェースの１つの領域からユーザインタフェースの別の領域に移動される。これらの実装では、フォーカスセレクタは、ユーザインタフェースの異なる領域間でのフォーカスの移動に従って移動する。フォーカスセレクタが採用する具体的な形態とは関わりなく、フォーカスセレクタは、全般的に、ユーザが意図するユーザインタフェースとの対話を（例えば、ユーザが対話することを意図しているユーザインタフェース要素をデバイスに示すことによって）通信するようにユーザによって制御されるユーザインタフェース要素（又は、タッチスクリーンディスプレイ上での接触）である。例えば、タッチ感知面（例えば、タッチパッド又はタッチスクリーン）上で押圧入力が検出される間の、対応のボタンの上のフォーカスセレクタ（例えば、カーソル、接触、又は選択ボックス）の場所は、その対応のボタンを（そのデバイスのディスプレイ上に示される他のユーザインタフェース要素ではなく）アクティブ化することをユーザが意図していることを示すものである。
【０１８８】
本明細書及び特許請求の範囲で使用されるように、接触の「特性強度」という用語は、接触の１つ以上の強度に基づく、その接触の特性を指す。一部の実施形態では、特性強度は複数の強度サンプルに基づく。特性強度は、任意選択的に、所定の数の強度サンプル、又は所定のイベント（例えば、接触を検出した後、接触のリフトオフを検出する前、接触の移動の開始を検出する前若しくは後、接触の終了を検出する前、接触の強度の増加を検出する前若しくは後、及び／又は接触の強度の減少を検出する前若しくは後）に対して所定の時間期間（例えば、０．０５、０．１、０．２、０．５、１、２、５、１０秒）内に収集された強度サンプルのセットに基づく。接触の特性強度は、任意選択的に、接触の強度の最大値、接触の強度の平均値（mean value）、接触の強度の平均値（average value）、接触の強度の上位１０％値、接触の強度の最大値の半分の値、接触の強度の最大値の９０％の値など、のうちの１つ以上に基づく。一部の実施形態では、特性強度を判定するために、接触の期間が使用される（例えば、特性強度が経時的な接触の強度の平均であるとき）。一部の実施形態では、動作がユーザによって実行されたか否かを判定するために、特性強度を１つ以上の強度閾値のセットと比較する。例えば、１つ以上の強度閾値のセットは、任意選択的に、第１の強度閾値及び第２の強度閾値を含む。この実施例では、第１の閾値を越えない特性強度を有する接触の結果として第１の動作が実行され、第１の強度閾値を越え、第２の強度閾値を越えない特性強度を有する接触の結果として第２の動作が実行され、第２の閾値を越える特性強度を有する接触の結果として第３の動作が実行される。一部の実施形態では、特性強度と１つ以上の閾値との間の比較が、第１の動作又は第２の動作のいずれを実行するかを判定するために使用されるのではなく、１つ以上の動作を実行するか否か（例えば、各動作を実行するのか、又は各動作の実行を見合わせるのか）を判定するために使用される。
【０１８９】
図５Ｃは、複数の強度センサ５２４Ａ〜５２４Ｄによる、タッチ感知ディスプレイスクリーン５０４上での複数の接触５５２Ａ〜５５２Ｅの検出を示す。図５Ｃは、追加的に、強度単位に関して、強度センサ５２４Ａ〜５２４Ｄの現在の強度測定値を示す強度図を含む。この例では、強度センサ５２４Ａ及び５２４Ｄの強度測定値は、それぞれ、９強度単位であり、強度センサ５２４Ｂ及び５２４Ｃの強度測定値は、それぞれ、７強度単位である。一部の実装では、合計の強度は、複数の強度センサ５２４Ａ〜５２４Ｄの強度測定値の和であり、この例では、３２強度単位である。一部の実施形態では、各接触には、合計の強度の一部分である、それぞれの強度が割り当てられる。図５Ｄは、力の中心５５４からの接触５５２Ａ〜５５２Ｅの距離に基づく、接触５５２Ａ〜５５２Ｅへの合計の強度の割り当てを示す。この例では、接触５５２Ａ、５５２Ｂ及び５５２Ｅのそれぞれに、合計の強度のうちの８強度単位の接触の強度が割り当てられ、接触５５２Ｃ及び５５２Ｄのそれぞれに、合計の強度のうちの４強度単位の接触の強度が割り当てられる。より一般的には、一部の実装では、各接触ｊは、所定の数学関数Ｉｊ＝Ａ・（Ｄｊ／ΣＤｉ）に従って、合計の強度Ａの一部分である、それぞれの強度Ｉｊが割り当てられ、ここで、Ｄｊは、力の中心からそれぞれの接触ｊまでの距離であり、ΣＤｉは、力の中心から全てのそれぞれ接触（例えば、ｉ＝１から最後まで）までの距離の和である。図５Ｃ〜図５Ｄを参照して説明した動作は、デバイス１００、３００又は５００と類似又は同一の電子デバイスを使用して行うことができる。一部の実施形態では、接触の特性強度は、接触の１つ以上の強度に基づく。一部の実施形態では、強度センサを使用して、単一の特性強度（例えば、単一の接触の単一の特性強度）を判定する。強度図は、表示されるユーザインタフェースの一部分でないが、読み手を支援するために、図５Ｃ〜図５Ｄに含まれていることに留意されたい。
【０１９０】
一部の実施形態では、特性強度を判定する目的で、ジェスチャの一部が特定される。例えば、タッチ感知面は、任意選択的に、接触の強度が増加する、開始位置から遷移して終了位置まで達する連続的なスワイプ接触を受け取る。この実施例では、終了位置における接触の特性強度は、任意選択的に、連続的なスワイプ接触全体ではなく、そのスワイプ接触の一部分のみ（例えば、終了位置におけるスワイプ接触の部分のみ）に基づく。一部の実施形態では、任意選択的に、接触の特性強度を判定する前に、平滑化アルゴリズムをそのスワイプ接触の強度に適用する。例えば、平滑化アルゴリズムは、任意選択的に、非荷重移動平均平滑化アルゴリズム、三角平滑化アルゴリズム、中央値フィルタ平滑化アルゴリズム、及び／又は指数平滑化アルゴリズム、のうちの１つ以上を含む。一部の状況では、これらの平滑化アルゴリズムは、特性強度を判定する目的で、スワイプ接触の強度の小幅な上昇又は低下を除外する。
【０１９１】
タッチ感知面上の接触の強度は、任意選択的に、接触検出強度閾値、軽い押圧強度閾値、深い押圧強度閾値、及び／又は１つ以上の他の強度閾値などの１つ以上の強度閾値に対して特徴付けする。一部の実施形態では、軽い押圧強度閾値は、物理マウスのボタン又はトラックパッドのクリックに典型的と関連付けられた動作を、デバイスが実行することになる強度に相当する。一部の実施形態では、深い押圧強度閾値は、物理マウスのボタン又はトラックパッドのクリックに典型的と関連付けられた動作とは異なる動作を、デバイスが実行することになる強度に相当する。一部の実施形態では、軽い押圧強度閾値を下回る（例えば、かつ、それを下回ると接触がもはや検出されないわずかな接触検出強度閾値を上回る）特性強度で接触が検出される場合、デバイスは、軽い押圧強度閾値又は深い押圧強度閾値と関連付けられた動作を実行することなく、タッチ感知面上の接触の移動に従って、フォーカスセレクタを移動させる。全般的には、特に明記しない限り、これらの強度閾値は、ユーザインタフェース図の異なるセットの間で一貫している。
【０１９２】
軽い押圧強度閾値を下回る強度から、軽い押圧強度閾値と深い押圧強度閾値との間の強度への接触の特性強度の増大は、「軽い押圧」入力と呼ばれる場合がある。深い押圧強度閾値を下回る強度から、深い押圧強度閾値を上回る強度への接触の特性強度の増大は、「深い押圧」入力と呼ばれる場合がある。接触検出強度閾値を下回る強度から、接触検出強度閾値と軽い押圧強度閾値との間の強度への接触の特性強度の増大は、タッチ面上の接触の検出と呼ばれる場合がある。接触検出強度閾値を上回る強度から、接触検出強度閾値を下回る強度への接触の特性強度の減少は、タッチ面からの接触のリフトオフの検出と呼ばれる場合がある。一部の実施形態では、接触検出強度閾値はゼロである。一部の実施形態では、接触検出強度閾値はゼロを上回る。
【０１９３】
本明細書で説明する一部の実施形態では、１つ以上の動作は、それぞれの押圧入力を含むジェスチャの検出に応じて、又はそれぞれの接触（又は、複数の接触）で実行されるそれぞれの押圧入力の検出に応じて実行され、それぞれの押圧入力は、少なくとも部分的に、押圧入力強度閾値を上回る接触（又は、複数の接触）の強度の増大の検出に基づいて検出される。一部の実施形態では、それぞれの動作は、押圧入力強度閾値を上回る、対応する接触の強度の増大（例えば、対応する押圧入力の「ダウンストローク」）の検出に応じて実行される。一部の実施形態では、押圧入力は、押圧入力強度閾値を上回る、対応する接触の強度の増大、及び後続の、押圧入力強度閾値を下回る接触の強度の減少を含み、対応する動作は、その後続の押圧入力閾値を下回る対応する接触の強度の減少（例えば、対応する押圧入力の「アップストローク」）を検出したことに応じて、実行される。
【０１９４】
図５Ｅ〜図５Ｈは、図５Ｅの軽い押圧強度閾値（例えば、「ＩＴＬ」）未満の強度から図５Ｈの深い押圧強度閾値（例えば、「ＩＴＤ」）を上回る強度に至る、接触５６２の強度の増加に対応する押圧入力を含む、ジェスチャの検出を示す。接触５６２で実行されるジェスチャは、タッチ感知面５６０上で検出され、カーソル５７６は、Ａｐｐ  ２に対応するアプリケーションアイコン５７２Ｂを通じて、事前定義された領域５７４に表示されるアプリケーションアイコン５７２Ａ〜５７２Ｄを含む表示されるユーザインタフェース５７０上で表示される。一部の実施形態では、ジェスチャは、タッチ感知ディスプレイ５０４上で検出される。強度センサは、タッチ感知面５６０上における接触の強度を検出する。デバイスは、接触５６２の強度が、深い押圧強度閾値（例えば、「ＩＴＤ」）を上回ってピークに達したことを判定する。接触５６２は、タッチ感知面５６０上で維持されている。ジェスチャの検出に応じて、かつジェスチャ中の、深い押圧強度閾値（例えば、「ＩＴＤ」）を上回る強度を有する接触５６２に応じて、図５Ｆ〜図５Ｈに示すように、アプリ２に関して最近開いた文書の縮小表現５７８Ａ〜５７８Ｃ（例えば、サムネイル）を表示する。一部の実施形態では、１つ以上の強度閾値と比較される、強度は、接触の特性強度である。接触５６２の強度図は、表示されるユーザインタフェースの一部分でないが、読み手のために、図５Ｅ〜図５Ｈに含まれていることに留意されたい。
【０１９５】
一部の実施形態では、表現５７８Ａ〜５７８Ｃの表示は、アニメーションを含む。例えば、表現５７８Ａは、最初、図５Ｆに示すように、アプリケーションアイコン５７２Ｂの近くに表示されている。アニメーションが進行するにつれて、図５Ｇに示すように、表現５７８Ａは上方へ移動し、アプリケーションアイコン５７２Ｂの近くに表現５７８Ｂが表示される。次いで、図５Ｈに示すように、表現５７８Ａが上方へ移動し、表現５７８Ａに向けて表現５７８Ｂが上方へ移動し、アプリケーションアイコン５７２Ｂの近くに表現５７８Ｃが表示される。表現５７８Ａ〜５７８Ｃは、アイコン５７２Ｂの上方にアレイを形成する。一部の実施形態では、アニメーションは、図５Ｆ〜図５Ｇに示すように、接触５６２の強度に応じて進行し、ここで、接触５６２の強度が深い押圧強度閾値（例えば、「ＩＴＤ」）に向けて増加するにつれて、表現５７８Ａ〜５７８Ｃが現れ、そして上方へ移動する。一部の実施形態では、アニメーションの進行が基づいている強度は、接触の特性強度である。図５Ｅ〜図５Ｈを参照して説明した動作は、デバイス１００、３００又は５００と類似又は同一の電子デバイスを使用して行うことができる。
【０１９６】
一部の実施形態では、デバイスは、「ジッタ」と呼ばれる場合がある不測の入力を回避するために強度ヒステリシスを採用し、デバイスは、押圧入力強度閾値との所定の関連性を有するヒステリシス強度閾値を定義又は選択する（例えば、ヒステリシス強度閾値は、押圧入力強度閾値よりもＸ強度単位低いか、又は、ヒステリシス強度閾値は、押圧入力強度閾値の７５％、９０％、若しくは何らかの妥当な比率である）。したがって、一部の実施形態では、押圧入力は、押圧入力強度閾値を上回る対応する接触の強度の増大、及び後続の、押圧入力強度閾値に対応するヒステリシス強度閾値を下回る接触の強度の減少を含み、対応する動作は、そのヒステリシス強度閾値を下回る、後続の対応する接触の強度の減少（例えば、対応する押圧入力の「アップストローク」）を検出したことに応じて、実行される。同様に、一部の実施形態では、押圧入力は、ヒステリシス強度閾値における強度又はそれを下回る強度から押圧入力強度閾値における強度又はそれを上回る強度への接触の強度における増大、及び任意選択的に、ヒステリシス強度における強度又はそれを下回る強度への接触の強度における後続の減少をデバイスが検出したときのみ検出され、それぞれの動作は、押圧入力（例えば、状況に応じて、接触の強度における増大又は接触の強度における減少）を検出したことに応じて実行される。
【０１９７】
説明を容易にするために、押圧入力強度閾値と関連付けられた押圧入力に応じて、又は押圧入力を含むジェスチャに応じて実行される操作の説明は任意選択的に、押圧入力強度閾値を上回る接触の強度における増大、ヒステリシス強度閾値を下回る強度から押圧入力強度閾値を上回る強度への接触の強度における増大、押圧入力強度閾値を下回る接触の強度における減少、及び／又は押圧入力強度閾値に対応するヒステリシス強度閾値を下回る接触の強度における減少のうちのいずれかを検出したことに応じてトリガされる。更に加えて、押圧入力強度閾値を下回る接触の強度の減少を検出したことに応じて動作が実行されるとして説明される実施例では、その動作は、押圧入力強度閾値に対応し、かつそれよりも低いヒステリシス強度閾値を下回る、接触の強度の減少を検出したことに応じて任意選択的に実行される。
【０１９８】
図６は、一部の実施形態に係る、取引に参加するために１つ以上の通信チャネルを介して接続された例示的なデバイスを示す。１つ以上の例示的な電子デバイス（例えば、デバイス１００、３００、及び５００）は任意選択的に、入力（例えば、特定のユーザ入力、ＮＦＣ場）を検出し、任意選択的に、支払い情報を送信する（例えば、ＮＦＣを使用して）ように構成されている。１つ以上の電子デバイスは任意選択的に、ＮＦＣハードウェアを含み、ＮＦＣ対応であるように構成されている。
【０１９９】
電子デバイス（例えば、デバイス１００、３００、及び５００）は任意選択的に、１つ以上の支払い口座の各々と関連付けられた支払い口座情報を記憶するように構成されている。支払い口座情報は例えば、人又は会社の名前、請求先住所、ログイン、パスワード、口座番号、有効日、セキュリティコード、電話番号、支払い口座と関連付けられた銀行（例えば、発行銀行）、及びカードネットワーク識別子のうちの１つ以上を含む。一部の実施例では、支払い口座情報は、支払いカードの写真（例えば、デバイスによって撮られ及び／又はデバイスにおいて受信される）などの画像を含む。一部の実施例では、電子デバイスは、少なくともいくつかの支払い口座情報を含むユーザ入力を受信する（例えば、ユーザが入力したクレジット、デビット、口座、又はギフトカード番号、及び有効日を受信する）。一部の実施例では、電子デバイスは、少なくともいくつかの支払い口座情報を画像（例えば、デバイスのカメラセンサによって捕捉される支払いカードの）から検出する。一部の実施例では、電子デバイスは、少なくともいくつかの支払い口座情報を別のデバイス（例えば、別のユーザデバイス又はサーバ）から受信する。一部の実施例では、電子デバイスは、支払い口座情報を、ユーザのための口座又はユーザデバイスが前に購入し、又は支払い口座データを識別した別のサービス（例えば、音声及び／又はビデオファイルをレンタルし、又は売るためのアプリケーション）と関連付けられたサーバから受信する。
【０２００】
一部の実施形態では、支払い口座は、電子デバイス（例えば、デバイス１００、３００、及び５００）に追加され、それによって、支払い口座情報が電子デバイスに安全に記憶される。一部の実施例では、ユーザがかかるプロセスを開始した後、電子デバイスは、支払い口座についての情報を取引調整サーバに送信し、取引調整サーバは、次いで、情報の妥当性を保証するために口座についての支払いネットワークによって動作されるサーバ（例えば、支払いサーバ）と通信する。電子デバイスは任意選択的に、電子デバイスが口座についての支払い情報をセキュア要素上でプログラミングすることを可能にするサーバからスクリプトを受信するように構成されている。
【０２０１】
一部の実施形態では、電子デバイス１００、３００、及び５００の間の通信は、取引（例えば、全体的な又は特定の取引）を促進する。例えば、第１の電子デバイス（例えば、１００）は、プロビジョニング又は管理デバイスとして役立ち、新たな又は更新された支払い口座データの通知（例えば、新たな口座についての情報、既存の口座についての更新された情報、及び／又は既存の口座に関連するアラート）を第２の電子デバイス（例えば、５００）に送信することができる。別の例では、第１の電子デバイス（例えば、１００）は、データを第２の選択デバイスに送信することができ、データは、第１の電子デバイスにおいて促進される支払い取引に関する情報を反映する。情報は任意選択的に、支払い額、使用された口座、購入の時間、及びデフォルトの口座が変更されたかのうちの１つ以上を含む。第２のデバイス（例えば、５００）は任意選択的に、デフォルトの支払い口座を更新するために（例えば、学習アルゴリズム又は明確なユーザ入力に基づいて）かかる情報を使用する。
【０２０２】
電子デバイス（例えば、１００、３００、５００）は、様々なネットワークのうちのいずれかを通じて相互に通信するように構成されている。例えば、デバイスは、Ｂｌｕｅｔｏｏｔｈ（登録商標）接続６０８（例えば、従来のＢｌｕｅｔｏｏｔｈ（登録商標）接続若しくはＢｌｕｅｔｏｏｔｈ（登録商標）低エネルギー接続を含む）を使用して、又はＷｉＦｉネットワーク６０６を使用して通信する。ユーザデバイスの間の通信は任意選択的に、デバイスにわたって情報を不適切に共有する可能性を低減するように条件付けられる。例えば、支払い情報に関連する通信は、通信デバイスがペアとされ（例えば、明確なユーザ対話を介して相互と関連付けられる）又は同一のユーザ口座と関連付けられることを必要とする。
【０２０３】
一部の実施形態では、電子デバイス（例えば、１００、３００、５００）は、任意選択的にＮＦＣ対応であるポイントオブセール（ＰＯＳ）支払い端末６００と通信するために使用される。通信は任意選択的に、様々な通信チャネル及び／又は技術を使用して行われる。一部の実施例では、電子デバイス（例えば、１００、３００、５００）は、ＮＦＣチャネル６１０を使用して支払い端末６００と通信する。一部の実施例では、支払い端末６００は、ピアツーピアＮＦＣモードを使用して電子デバイス（例えば、１００、３００、５００）と通信する。電子デバイス（例えば、１００、３００、５００）は任意選択的に、支払い口座（例えば、デフォルトの口座又は特定の取引のために選択される口座）についての支払い情報を含む信号を支払い端末６００に送信するように構成されている。
【０２０４】
一部の実施形態では、取引を進めることは、支払い口座などの口座についての支払い情報を含む信号を送信することを含む。一部の実施形態では、取引を進めることは、ＮＦＣ対応非接触支払いカードなどの非接触支払いカードとして応答するように電子デバイス（例えば、１００、３００、５００）を再構成すること、次いでＮＦＣを介して支払い端末６００などに口座の認証情報を送信することを含む。一部の実施形態では、ＮＦＣを介して口座の認証情報を送信したことに続いて、電子デバイスは、非接触支払いカードとして応答しないように再構成する（例えば、再度ＮＦＣを介して非接触支払いカードとして応答するように再構成されている前に承認を必要とする）。
【０２０５】
一部の実施形態では、信号の生成及び／又は送信は、電子デバイス（例えば、１００、３００、５００）におけるセキュア要素によって制御される。セキュア要素は任意選択的に、支払い情報を解放する前に特定のユーザ入力を必要とする。例えば、セキュア要素は任意選択的に、電子デバイスが身に付けられている検出、ボタン押圧の検出、暗証番号の入力の検出、タッチの検出、１つ以上のオプション選択の検出（例えば、アプリケーションと対話する間に受信される）、指紋の署名の検出、音声若しくは音声コマンドの検出、及び／又はジェスチャ若しくは移動（例えば、回転若しくは加速度）の検出を必要とする。一部の実施例では、別のデバイス（例えば、支払い端末６００）との通信チャネル（例えば、ＮＦＣ通信チャネル）が入力の検出からの定義された期間内に確立される場合、セキュア要素は、他のデバイス（例えば、支払い端末６００）に送信されることになる支払い情報を解放する。一部の実施例では、セキュア要素は、セキュア情報の解放を制御するハードウェア構成要素である。一部の実施例では、セキュア要素は、セキュア情報の解放を制御するソフトウェア構成要素である。
【０２０６】
一部の実施形態では、取引の参加に関連するプロトコルは、例えば、デバイスタイプに依存する。例えば、支払い情報を生成及び／又は送信するための条件は、ウェアラブルデバイス（例えば、デバイス５００）及び電話（例えば、デバイス１００）に対して異なることがある。例えば、ウェアラブルデバイスについての生成及び／又は送信条件は、ボタンが押圧されたこと（例えば、セキュリティ検証の後）を検出することを含み、電話についての対応する条件は、ボタンの押下を必要とせずに、代わりにアプリケーションとの特定の対話の検出を必要とする。一部の実施例では、支払い情報を送信及び／又は解放するための条件は、複数のデバイスの各々の上で特定の入力を受信することを含む。例えば、支払い情報の解放は任意選択的に、デバイス（例えば、デバイス１００）における指紋及び／又は暗証番号の検出、並びに別のデバイス（例えば、デバイス５００）上での機械的入力（例えば、ボタンの押圧）の検出を必要とする。
【０２０７】
支払い端末６００は任意選択的に、支払いが承認されるかを判定するために信号を生成して支払いサーバ６０４に送信するために支払い情報を使用する。支払いサーバ６０４は任意選択的に、支払い口座と関連付けられた支払い情報を受信し、提案される購入が承認されるかを判定するように構成されたいずれかのデバイス又はシステムを含む。一部の実施例では、支払いサーバ６０４は、発行銀行のサーバを含む。支払い端末６００は、支払いサーバ６０４と直接、又は１つ以上の他のデバイス若しくはシステム（例えば、取得銀行のサーバ及び／若しくはカードネットワークのサーバ）を介して間接的に通信する。
【０２０８】
支払いサーバ６０４は任意選択的に、ユーザ口座のデータベース（例えば、６０２）の中からユーザ口座を識別するために支払い情報のうちの少なくともいくつかを使用する。例えば、各ユーザ口座は支払い情報を含む。口座は任意選択的に、ＰＯＳ通信からの情報に一致する特定の支払い情報を有する口座を特定することによって特定される。一部の実施例では、支払いは、提供される支払い情報が一致しないとき（例えば、有効日がクレジット、デビット、若しくはギフトカード番号に対応しない）、又はＰＯＳ通信からの情報に一致する支払い情報を含む口座がないときに拒否される。
【０２０９】
一部の実施形態では、ユーザ口座についてのデータは更に、１つ以上の制限（例えば、信用限度）、現在若しくは前の残高、前の取引日、位置及び／若しくは額、口座の状態（例えば、有効若しくは凍結）、並びに／又は承認命令を識別する。一部の実施例では、支払いサーバ（例えば、６０４）は、支払いを承認するかを判定するためにかかるデータを使用する。例えば、支払いサーバは、現在の残高に追加される購入額が口座限度を超えることになるとき、口座が凍結されるとき、前の取引額が閾値を超えるとき、又は前の取引回数若しくは頻度が閾値を超えるときに支払いを拒否する。
【０２１０】
一部の実施形態では、支払いサーバ６０４は、提案される購入が承認又は拒否されるかについてのインジケーションでＰＯＳ支払い端末６００に応答する。一部の実施例では、ＰＯＳ支払い端末６００は、結果を識別するために信号を電子デバイス（例えば、１００、３００、５００）に送信する。例えば、ＰＯＳ支払い端末６００は、購入が承認されるときに（例えば、ユーザデバイス上の取引アプリケーションを管理する取引調整サーバを介して）受領書を電子デバイス（例えば、１００、３００、５００）に送信する。いくつかの例では、ＰＯＳ支払い端末６００は、結果を示す出力（例えば、視覚又は音声出力）を提示する。支払いは、承認プロセスの一部としてマーチャントに送信されてもよく、又は後に送信されてもよい。
【０２１１】
一部の実施形態では、電子デバイス（例えば、１００、３００、５００）は、ＰＯＳ支払い端末６００の関与なしに完了される取引に参加する。例えば、機械的入力が受信されたことを検出すると、電子デバイス（例えば、１００、３００、５００）におけるセキュア要素は、電子デバイス上のアプリケーションが情報にアクセスすることを可能にするように（及び、例えば、アプリケーションと関連付けられサーバに情報を送信することを可能にするように）支払い情報を解放する。
【０２１２】
一部の実施形態では、電子デバイス（例えば、１００、３００、５００）は、ロック状態又はロック解除状態にある。ロック状態では、電子デバイスは、電源が起動し、かつ動作しているが、ユーザ入力に応じて事前定義されたセットの動作を実行することが防止される。事前定義されたセットの動作は、ユーザインタフェースの間のナビゲーション、事前定義された機能のセットのアクティブ化又は非アクティブ化、及び特定のアプリケーションのアクティブ化又は非アクティブ化を含んでもよい。ロック状態は、電子デバイスのいくつかの機能の意図していない若しくは承認されていない使用、又は電子デバイス上のいくつかの機能のアクティブ化若しくは非アクティブ化を防止するために使用されてもよい。ロック解除状態では、電子デバイス１００は、電源が起動し、かつ動作しており、ロック状態にある間は実行することができない事前定義されたセットの動作の少なくとも一部を実行することが防止されない。
【０２１３】
デバイスがロック状態にあるとき、デバイスはロックされることになると考えられる。一部の実施形態では、ロック状態にあるデバイスは、デバイスをロック解除状態に遷移させる試みに対応する入力又はデバイスの電源を停止させることに対応する入力を含む、制限されたユーザ入力のセットに応答することができる。
【０２１４】
一部の実施例では、セキュア要素は、データ又はアルゴリズムを安全に記憶するように構成されたハードウェア構成要素（例えば、セキュアマイクロコントローラチップ）である。一部の実施例では、セキュア要素は、支払い情報（例えば、口座番号及び／又は取引に特有な動的なセキュリティコード）を提供する（又は解放する）。一部の実施例では、セキュア要素は、ユーザ認証など（例えば、指紋認証、暗証番号認証、デバイスがロック解除状態にあるとき、及び任意選択的に、認証情報をデバイスに提供することによってデバイスがロック解除されてからデバイスが継続的にユーザの手首の上にある間にハードウェアボタンの二重押圧を検出すること、ユーザの手首の上のデバイスの継続的な存在は、デバイスがユーザの皮膚と接触していることを定期的にチェックすることによって判定される）の承認をデバイスが受信したことに応じて支払い情報を提供する（又は解放する）。例えば、デバイスは、デバイスの指紋センサ（例えば、ボタンに統合された指紋センサ）において指紋を検出する。デバイスは、指紋が登録された指紋と一致するかを判定する。指紋が登録された指紋と一致するとの判定に従って、セキュア要素は、支払い情報を提供する（又は解放する）。指紋が登録された指紋と一致しないとの判定に従って、セキュア要素は、支払い情報を提供（又は解放）することを見合わせる。
【０２１５】
ここで、ポータブル多機能デバイス１００、デバイス３００又はデバイス５００などの電子デバイス上で実施されるユーザインタフェース（「ＵＩ」）及び関連するプロセスの実施形態に注意を向ける。
【０２１６】
図７Ａ〜７Ｐは、一部の実施形態に係る、１つ以上の入力デバイス及び１つ以上の短距離通信無線機（例えば、ＮＦＣ無線機）を有する電子デバイス（例えば、１００）上でカードをプロビジョニングするための例示的なユーザインタフェースを示す。それらの図におけるユーザインタフェースは、図８Ａ〜８Ｂにおけるプロセスを含む、以下で説明されるプロセスを示すために使用される。
【０２１７】
一部の実施形態に従って、ユーザは、ストアドバリューカードへのアクセスを有し、価値をストアドバリューカードから電子デバイスに記憶された仮想カードに転送することを望む。価値の転送を実行する前に、電子デバイスは、ユーザがストアドバリューカードの正当な所有者であることを確認することを支援する検証手順を使用する。一部の実施例では、電子デバイス通信は、ストアドバリューカードの口座番号又はストアドバリューカードに記憶された現在の価値などのストアドバリューカードに関する情報を受信するためにストアドバリューカードと通信する（例えば、ＮＦＣを使用した）。電子デバイスはまた、ストアドバリューカードに関する情報を別個に受信する（例えば、ＮＦＣを使用せずに、表示されたキーボードを介してユーザから）。電子デバイスは、それらの２つの情報に基づいて所有権を検証する。所有権が検証される場合、電子デバイスは、記憶された価値をストアドバリューカードから電子デバイスの仮想カードに転送する。一部の実施例では、かかる技術は、ストアドバリューカードの正当な所有者のためのセキュリティを提供することを支援し、電子デバイスのユーザが他の個人のストアドバリューカードから資産が転送されるのを防止する。
【０２１８】
図７Ａは、一部の実施形態に係る、電子デバイス１００のためのユーザインタフェースを示す。一部の実施例では、電子デバイス１００は、前にプロビジョニングされた口座（例えば、支払い口座）のインジケーションを含むアフォーダンス（例えば、７０２Ａ）を表示する。この実施例では、アフォーダンス（例えば、７０２Ａ）は、Ａｍｅｒｉｃａｎ  Ｅｘｐｒｅｓｓ（登録商標）の口座に対応する。一部の実施例では、電子デバイス１００はまた、追加的な前にプロビジョニングされた口座（例えば、支払い口座）のインジケーションを含むアフォーダンス（例えば、７０２Ｂ）を表示する。この実施例では、アフォーダンス（例えば、７０２Ｂ）は、Ａｍｅｒｉｃａｎ  Ｅｘｐｒｅｓｓの口座とは異なるＭａｓｔｅｒＣａｒｄ（登録商標）の口座に対応する。電子デバイス１００が、前にプロビジョニングされた口座のインジケーションを含むアフォーダンス（例えば、７０２Ａ）又は追加的な前にプロビジョニングされた口座のインジケーションを含むアフォーダンス（例えば、７０２Ｂ）のアクティブ化を、例えば、それぞれのアフォーダンスに対応する位置において、電子デバイスのタッチ感知面上でタッチ入力を検出することによって検出するとき、電子デバイスは、それぞれの口座に対応する情報を表示する。
【０２１９】
一部の実施形態では、電子デバイス１００は、アクティブ化されるとき、図１５Ａ〜１５Ｍに関連して説明されるように、認証をチェックすることなく使用のために利用可能とする口座のユーザ選択のためのユーザインタフェースを電子デバイスに表示させるアフォーダンス（例えば、７０２Ｄ）を表示する。
【０２２０】
一部の実施形態では、電子デバイス１００は、ユーザにエクスプレストランジットカードを停止させる（turn off）オプションを提供する選択アフォーダンス（例えば、７０４）を表示する。例えば、エクスプレストランジットカードを停止させることによって、電子デバイス１００上でプロビジョニングされた口座はエクスプレストランジットカードとして指定されない。一部の実施形態では、電子デバイス１００は、図１５Ａ〜１５Ｍに関連して説明されるように、認証をチェックすることなく口座を使用のために利用可能としない要望を示すユーザ入力を受信する（例えば、選択アフォーダンス７０４に関して示されるように、認証をチェックすることなく使用のための「口座なし」オプションを選択するユーザ入力を受信することによって、選択アフォーダンスを「オフ」の位置に移動させることによって）。認証をチェックすることなく口座を使用のために利用可能としない要望を示すユーザ入力を受信したことに応じて、電子デバイス１００は、認証をチェックすることなく仮想カードの口座（又は電子デバイスの全ての口座）を使用のために利用可能としないように指定する。よって、電子デバイス１００は、ユーザにエクスプレストランジットモードを無効にする（又は有効にする）オプションを提供し（例えば、選択アフォーダンス７０４を使用して）、エクスプレストランジットモードによって、認証を必要とすることなく特定の取引において資産が送信される。一部の実施形態では、エクスプレストランジット機能が有効にされるとき（例えば、選択アフォーダンス７０４を「オン」の位置に移動させることによって）、電子デバイス１００は、エクスプレストランジット口座として指定された口座へのより高速なアクセスを提供する。一部の実施形態では、エクスプレストランジット機能が無効にされるとき（例えば、選択アフォーダンス７０４を「オフ」の位置に移動させることによって）、電子デバイス１００は、電子デバイス上でプロビジョニングされた口座のための追加のセキュリティを提供する。
【０２２１】
一部の実施形態では、電子デバイス１００は、電子デバイス１００上で口座をプロビジョニングするための（又は電子デバイス１００とは異なるデバイス上で口座をプロビジョニングするための）アフォーダンス（例えば、７０２Ｃ）を表示する。電子デバイスは、電子デバイス１００上で口座をプロビジョニングするためのアフォーダンス（例えば、７０２Ｃ）のアクティブ化を検出する。電子デバイス１００上で口座をプロビジョニングするためのアフォーダンス（例えば、７０２Ｃ）のアクティブ化を検出したことに応じて、電子デバイスは、図７Ｂに示されるように、２つの（又はそれよりも多い）タイプの口座（例えば、ストアドバリュー口座及びストアドバリュー口座でない口座）の間から選択するためのユーザインタフェースを表示する。よって、一部の実施形態では、電子デバイス１００は、非ストアドバリュー口座をプロビジョニングするためのアフォーダンス（例えば、７０６Ａ）及びストアドバリュー口座をプロビジョニングするためのアフォーダンス（例えば、７０６Ｂ）を表示する。一部の実施形態では、ストアドバリュー口座は、それぞれの口座と関連付けられた資産又はデータ（バイナリコードデータの形式にある）がストアドバリュー口座と関連付けられたストアドバリューカードに物理的に記憶された口座である。一部の実施例では、ストアドバリューカードは、閉ループストアドバリューカードである。一部の実施例では、ストアドバリューカードは、トランジットカード（例えばストアドバリュートランジットカード）である。一部の実施例では、ストアドバリュートランジット口座は、トランジットプラン（又はトランジットパス）情報を記憶する。一部の実施例では、トランジットプランは、月次又は週次のトランジットプランである。一部の実施例では、ストアドバリュートランジット口座は、電子マネーを記憶する。一部の実施例では、電子デバイス１００は、ＮＦＣを使用して、かつＩＰネットワーク又はインターネット接続にアクセスすることなく、資産をプロビジョニングされたストアドバリュートランジット口座から送信することができ、それは、電力を節約し、ＩＰネットワーク又はインターネット接続が利用可能でないときでさえ、資産がストアドバリュートランジット口座から送信されることを可能にする。
【０２２２】
一部の実施形態では、図７Ｂに示されるように、ストアドバリュー口座をプロビジョニングするためのアフォーダンス（例えば、７０６Ｂ）のアクティブ化を検出したことに応じて、電子デバイス１００は、図７Ｃに示されるように、電子デバイスのディスプレイ上で、ユーザが電子デバイス１００を記憶された価値を有するカードの通信範囲内（例えば、１つ以上の短距離通信無線機の）に配置するプロンプト（例えば、７０８Ａ、７０８Ｂ）を表示する。例えば、プロンプト（例えば、７０８Ａ、７０８Ｂ）は、電子デバイス１００をストアドバリューカード上に配置することをユーザに命令し、それによって、電子デバイスの背面（例えば、ディスプレイとは反対の電子デバイスの側面）がストアドバリューカードに最も近くなる。代わりに、又は加えて、電子デバイス１００は、スピーカ、触覚振動、又はユーザを促すのに適切な他の技術を介してプロンプトを提供する。
【０２２３】
図７Ｄに示されるように、電子デバイス１００がカードの通信範囲内にあると、電子デバイス１００は、カードから、１つ以上の短距離通信無線機（例えば、ＮＦＣ無線機）によって、カード（例えば、７１０）のカード口座番号を受信し、カードは、記憶された価値（例えば、図７Ｋに示される７２８Ｄ、０よりも大きい記憶された価値）を有する。例えば、カード（例えば、７１０）は、ストアドバリューカード、ＮＦＣ読取可能ストアドバリューカード、ストアドバリュートランジットカード、又はストアドバリューギフトカードである。一部の実施例では、カード（例えば、７１０）のカード口座番号は、ＮＦＣを使用して電子デバイス１００によってカードから受信される。一部の実施形態では、電子デバイス１００は、カードと通信している間は、電子デバイスがカード（例えば、７１０）のカード口座番号を受信していることのインジケーション（例えば、７１２）を提示する。一部の実施形態では、カード口座番号は、英数字を含む。一部の実施形態では、カード口座番号は、数字を含むが、英字は含まない。
【０２２４】
電子デバイス１００は、カード（例えば、７１０）の所有権を検証するための検証情報（例えば、カード（例えば、７１０）のカード番号、カードのカード口座番号、又はカードに登録されたユーザの誕生日）を要求する（例えば、ユーザから）。例えば、電子デバイス１００は、ユーザがカード（例えば、７１０）のカード番号を入力することを要求する。一部の実施形態では、電子デバイス１００は、カード（例えば、７１０）のカード口座番号を受信したことに続いて検証情報を要求する。
【０２２５】
一部の実施形態では、図７Ｅ〜７Ｆに示されるように、電子デバイス１００は、カード（例えば、７１０）のカード口座番号などの検証情報を提供することをユーザに要求するインジケーション（例えば、７１４Ａ）を表示する。一部の実施形態では、電子デバイス１００は、ユーザがカード（例えば、７１０）を物理的に所持（又は制御）していることを確認するための検証情報（例えば、７１４Ｃ）を使用する。図７Ｅに示されるように、電子デバイス１００は、ユーザが仮想キーパッド（例えば、７１６）を使用してカード口座番号をフィールド（例えば、７１４Ｂ）に入力する要求（例えば、７１４Ａ）を表示する。図７Ｆに示されるように、電子デバイス１００は、１つ以上の入力デバイスを介して、カード（例えば、７１０）の所有権を検証するための検証情報（例えば、７１４Ｃ）を含むデバイスのユーザからの入力を受信する（例えば、１つ以上の短距離通信無線機によってではなく）。
【０２２６】
一部の実施形態では、検証情報（例えば、７１４Ｃ）は、カード（例えば、７１０）上に示されない情報である。例えば、電子デバイス１００によって要求され、ユーザによって入力される検証情報（例えば、７１４Ｃ）は、カード（例えば、７１０）上に表示されない。一部の実施形態では、カード（例えば、７１０）が登録されているとの判定に従って、要求された（かつ受信された）検証情報は、カード上に示されない情報である。よって、一部の実施例では、検証は、単にカード（例えば、７１０）を所持していることによってでは可能ではなく、ユーザは、カードに対応するいくつかの追加的な情報を有する必要がある。一部の実施形態では、検証情報（例えば、７１４Ｃ）は、カードに現在記憶されている資産の額などのカード（例えば、７１０）の記憶された価値である（又はそれを含む）。一部の実施例では、カード（例えば、７１０）の記憶された価値の少なくともいくつか（又は全て）は、カード（例えば、７１０）から電子デバイス１００上でプロビジョニングされた仮想カードに転送されてもよい。
【０２２７】
一部の実施形態では、図７Ｇ〜７Ｈに示されるように、電子デバイス１００は、カード所持者の誕生日などの検証情報を提供することをユーザに要求するインジケーション（例えば、７２０Ａ）を表示する。一部の実施形態では、電子デバイス１００は、ユーザがカード（例えば、７１０）を物理的に所持（又は制御）していることを確認するための検証情報（例えば、７２０Ｃ）を使用する。図７Ｇに示されるように、電子デバイス１００は、ユーザが仮想キーパッド（例えば、７１６）を使用して誕生日（例えば、７２０Ｃ）をフィールド（例えば、７２０Ｂ）に入力する要求（例えば、７２０Ａ）を表示する。図７Ｈに示されるように、電子デバイス１００は、１つ以上の入力デバイスを介して、カード（例えば、７１０）の所有権を検証するための検証情報（例えば、７２０Ｃ）を含む電子デバイスのユーザからの入力を受信する（例えば、１つ以上の短距離通信無線機によってではなく）。一部の実施形態では、図７Ｇ〜７Ｈのユーザインタフェースは、図７Ｅ〜７Ｆのユーザインタフェースへの代替手段である。一部の実施形態では、図７Ｇ〜７Ｈのユーザインタフェースは、図７Ｅ〜７Ｆのユーザインタフェースとの組み合わせで使用される。
【０２２８】
一部の実施形態では、検証情報（例えば、７２０Ｃ）はカード（例えば、７１０）上に示されない情報である。例えば、電子デバイス１００によって要求され、ユーザによって入力される検証情報（例えば、７２０Ｃ）は、カード（例えば、７１０）上に表示されない。一部の実施形態では、カード（例えば、７１０）が登録されているとの判定に従って、要求された（かつ受信された）検証情報は、カード上に示されない情報である。よって、一部の実施例では、検証は、単にカード（例えば、７１０）を所持していることによってでは可能ではなく、ユーザは、カードに対応するいくつかの追加的な情報を有する必要がある。一部の実施形態では、検証情報（例えば、７２０Ｃ）は、カード（例えば、７１０）の記憶された価値である（又はそれを含む）。一部の実施例では、カード（例えば、７１０）の記憶された価値の少なくともいくつか（又は全て）は、カードから電子デバイス１００上でプロビジョニングされた仮想カードに転送されてもよい。
【０２２９】
図７Ｉに示されるように、電子デバイス１００は、検証情報（例えば、７１４Ｃ、７２０Ｃ）とカードのユーザのカードと関連付けられた別個の情報（例えば、カードのカード口座番号、カードの登録されたユーザの誕生日）との比較に基づいてカード（例えば、７１０）の所有権を検証する。カード（例えば、７１０）に関する別個の情報は、検証情報（例えば、７１４Ｃ、７２０Ｃ）とは別個に受信される。例えば、別個の情報は、サーバ、サービス、データベースから、又はカード（例えば、７１０）自体から受信される。一部の実施形態では、検証情報（例えば、７１４Ｃ、７２０Ｃ）とカードのユーザのカード（例えば、７１０）と関連付けられた別個の情報との比較は、リモートサーバにおいて実行され、結果は、リモートサーバから電子デバイス１００に送信される。一部の実施形態では、検証情報（例えば、７１４Ｃ、７２０Ｃ）とカードのユーザのカード（例えば、７０１）と関連付けられた別個の情報との比較は、電子デバイス１００において実行される。一部の実施形態では、電子デバイス１００は、検証情報（例えば、７１４Ｃ、７２０Ｃ）が受信されたことのインジケーション（例えば、７２４Ａ）を表示する。一部の実施形態では、電子デバイス１００は、所有権の検証が実行されていることのインジケーション（例えば、７２４Ｂ）を表示する。
【０２３０】
一部の実施形態では、電子デバイス１００は、カード口座番号をサーバ、サービス、又はデータベースに送信し（ネットワーク又はインターネット接続を介して）、サーバ、サービス、又はデータベースから、カード（例えば、７１０）の登録状態に関する応答を受信する。一部の実施形態では、これは、ユーザから検証情報（例えば、７１４Ｃ、７２０Ｃ）を要求する前に行われる。一部の実施形態では、これは、カード（例えば、７１０）の所有権を検証するためのユーザからの入力を受信する前に行われる。一部の実施形態では、電子デバイス１００は、サーバ、サービス、又はデータベースから受信されたカード（例えば、７１０）の登録状態に関する応答に基づいて、カードが登録されているか否か（例えば、サーバ、サービス、又はデータベースに）を判定する。よって、一部の実施形態では、電子デバイス１００は、「登録モード」で動作し（例えば、サーバ、サービス、又はデータベースから受信されたカードが登録されていることを示す応答に基づいて）、一部の実施形態では、電子デバイス１００は、「匿名モード」で動作する（例えば、サーバ、サービス、又はデータベースから受信されたカードが登録されていないことを示す応答に基づいて）。一部の実施例では、カードは、サーバ、サービス、又はデータベースがカードを特定のユーザ又はエンティティに対して登録したときに登録される。一部の実施例では、カードは、サーバ、サービス、又はデータベースがカードを特定のユーザ又はエンティティと関連付けるときに登録される。
【０２３１】
一部の実施形態では、カード（例えば、７１０）が登録されている（例えば、「登録モード」）との判定に従って、電子デバイス１００は、カード上に示されない情報（例えば、カードに登録されたユーザの誕生日）を要求することを含む、カード（例えば、７１０）の所有権を検証するための検証情報を要求する（例えば、ユーザから）。一部の実施形態では、電子デバイス１００は、カード（例えば、７１０）上に示される検証情報を要求することを見合わせる。一部の実施形態では、要求される検証情報は、カード（例えば、７１０）上に示されない情報である。
【０２３２】
一部の実施形態では、カード（例えば、７１０）が登録されている（例えば、「登録モード」）との判定に従って、電子デバイス１００は、カードのカード口座番号を送信し（例えば、サーバ、サービス、又はデータベースに）、別個の情報を受信する（例えば、サーバ、サービス、又はデータベースから）。一部の実施例では、別個の情報は、カード（例えば、７１０）の登録されたユーザに個人的な情報を含み、カードのカード口座番号を含まない。例えば、別個の情報は、ユーザの誕生日、ユーザのメールアドレス、及び／又はユーザの母親の旧姓を含む。カード（例えば、７１０）が登録されるユーザに個人的な情報を要求することによって、より高いレベルのセキュリティが登録されたカードに対して達成される。一部の実施形態では、１つ以上の短距離通信無線機によって、カード（例えば、７１０）のカード口座番号を受信したことに続いて、かつ１つ以上の短距離通信無線機によって、記憶された価値のうちの少なくともいくつか（又は全て）をカード（例えば、７１０）から電子デバイス１００に記憶された仮想カードに転送する前に、電子デバイスは、カードの所有権を検証することの一部として、カード（例えば、７１０）のユーザにより提供される口座番号を受信することを見合わせる。よって、電子デバイスは、検証のための別個の情報を使用することによって、カード（例えば、７１０）が入ったユーザのポケット又は財布にＮＦＣリーダを通すことによってユーザのカードがデジタル的に盗難されることを回避することを支援する。
【０２３３】
一部の実施形態では、カード（例えば、７１０）が登録されていない（例えば、「匿名モード」）との判定に従って、電子デバイス１００は、カード上に示される情報を含むカードの所有権を検証するための検証情報（例えば、７１４Ｃ、７２０Ｃ、カードのカード番号、カードのカード口座番号）を要求する（例えば、ユーザから）。一部の実施形態では、電子デバイス１００は、カード（例えば、７１０）上に示されない検証情報を要求することを見合わせる。よって、一部の実施例では、電子デバイス１００は、カード（例えば、７１０）が登録されているか、又は登録されていないかに基づいて異なる情報を要求することができ、カードの登録されたユーザに個人的な情報を要求することによってより高いレベルのセキュリティが登録されたカードに対して達成される。
【０２３４】
一部の実施形態では、カード（例えば、７１０）が登録されていない（例えば、「匿名モード」）との判定に従って、かつカードの所有権を検証する前に、電子デバイス１００は、カードの所有権を検証するための検証情報を要求することの一部として、カードのユーザにより提供される口座番号を要求する。一部の実施例では、電子デバイス１００は、カード（例えば、７１０）のユーザにより提供される口座番号を、１つ以上の短距離通信無線機からではなく、電子デバイスのユーザからの入力（例えば、タッチスクリーンキーボード入力を使用した）として受信する。カード（例えば、７１０）のユーザにより提供される口座番号は、カードの所有権を検証するための検証情報を含む。一部の実施例では、電子デバイス１００は、検証情報を別個の情報と比較することによって、カード（例えば、７１０）の所有権を検証することの一部として、ユーザにより提供される口座番号をカード口座番号と比較し、別個の情報は、カードの受信されたカード口座番号を含む。一部の実施例では、カードが登録されている（例えば、「登録モード」）との判定に従って、電子デバイス１００は、カードの所有権を確認するための検証情報のユーザからの入力を受信することの一部として、カード（例えば、７１０）のユーザにより提供される口座番号を要求（又は受信）しない。
【０２３５】
一部の実施形態では、カードが登録されていない（例えば、「匿名モード」）との判定に従って、電子デバイス１００は、１つ以上の入力デバイスを介して、カードの所有権を検証するための検証情報を含む電子デバイスのユーザからの入力を受信する前に、カード（例えば、７１０）のカード口座番号を提示しない（例えば、電子デバイスのいずれのディスプレイ上に表示しない）。一部の実施形態では、カード（例えば、７１０）が登録されていない（例えば、「匿名モード」）との判定に従って、電子デバイス１００は、カードの所有権を検証する前に、カードのカード口座番号を提示しない（例えば、電子デバイスのいずれのディスプレイ上に表示しない）。よって、一部の実施例では、ユーザは、電子デバイス１００を通じること以外の方法を通じてカード番号（又はカード７１０と関連付けられた口座番号）へのアクセスを有する必要がある。例えば、ユーザは、カード（例えば、７１０）の受領書若しくは送り状に印刷されたカード番号（若しくは、カードと関連付けられた口座番号）又はカードに印刷されたカード番号に基づいて、カード番号（又はカードと関連付けられた口座番号）を電子デバイス１００に提供することができる（例えば、表示された仮想キーボードを介して入力されるテキストを提供することによって）。一部の実施形態では、カード（例えば、７１０）が登録されている（例えば、「登録モード」）との判定に従って、電子デバイス１００は、１つ以上の入力デバイスを介して、カードの所有権を検証するための検証情報を含むユーザからの入力を受信する前に、カードのカード口座番号を提示する（電子デバイスのディスプレイ上で表示することによって）。
【０２３６】
一部の実施形態では、図７Ｊに示されるように、所有権の検証が成功していないとの判定に従って、電子デバイス１００は、ユーザが所有権の検証が成功しなかったことを示す（例えば、インジケーション７２６Ａ）フィードバック（例えば、ディスプレイ上に表示される視覚フィードバック、デバイスによって生成される音声及び／又は触覚出力）を表示及び／又は生成する。一部の実施例では、検証情報が成功していないとの判定は、ユーザから受信される検証情報（例えば、７１４Ｃ、７２０Ｃ）が別個の情報と一致していない場合に行われる。一部の実施形態では、所有権の検証が成功していないとの判定に従って、電子デバイス１００は、価値の転送のための価値の転送動作を実行する（例えば、ユーザによって）プロンプトを提供することを見合わせ（例えば、ディスプレイ上に表示される視覚フィードバック、デバイスによって生成される音声及び／又は触覚出力などのフィードバックを生成することを見合わせる）、記憶された価値のいずれもカード（例えば、７１０）から電子デバイスに記憶された仮想カードに転送することを見合わせる。一部の実施形態では、図７Ｊに示されるように、所有権の検証が成功していないとの判定に従って、電子デバイス１００は、カード（例えば、７１０）の所有権を検証するための検証情報（例えば、カードのカード番号、カードのカード口座番号、カードに登録されたユーザの誕生日）を再度要求する（例えば、７２６Ｂ）（例えば、ユーザから）。よって、電子デバイス１００は、ユーザに所有権の検証が成功しなかったことを通知する。
【０２３７】
一部の実施形態では、図７Ｋに示されるように、所有権の検証が成功しているとの判定に従って、電子デバイス１００は、成功した検証の完了のインジケーション（例えば、７２８Ａ、７２８Ｂ）を提示する（例えば、電子デバイスのディスプレイ上で）。一部の実施形態では、電子デバイス１００は、検証されたカード（例えば、７１０）と関連付けられた１つ以上の情報項目（例えば、７２８Ｃ〜７２８Ｅ）の１つ以上のインジケーションを提示する。一部の実施例では、電子デバイス１００は、カード（例えば、７１０）と関連付けられたユーザの名前のインジケーション（例えば、７２８Ｃ）を提示する。一部の実施例では、電子デバイス１００は、カード（例えば、７１０）の現在の残高のインジケーション（例えば、７２８Ｄ）を提示する。一部の実施例では、電子デバイス１００は、カード（例えば、７１０）と関連付けられたトランジットプラン（又はトランジットパス）情報のインジケーション（例えば、７２８Ｅ）を提示する。
【０２３８】
一部の実施形態では、電子デバイス１００は、カードから電子デバイスに記憶された仮想カードに転送されることになるカード（例えば、７１０）の記憶された価値の額のインジケーションを含むアフォーダンス又は入力フィールド（例えば、７２８Ｆ）を表示する。一部の実施例では、電子デバイスは、カード（例えば、７１０）から電子デバイスに記憶された仮想カードに転送されることになるカードの記憶された価値の額のユーザ入力（例えば、入力フィールド７２８Ｆへの）を受信する。一部の実施形態では、アフォーダンス（例えば、７２８Ｆ）は、アクティブ化されるとき、電子デバイスに、ストアドバリューカード（例えば、７１０）から電子デバイス１００に記憶された仮想カードに転送されることになる額のユーザ選択のためのユーザインタフェースを表示させる。例えば、図７Ｌに示されるように、ユーザは、カード（例えば、７１０）の記憶された価値の全額をカードから電子デバイス１００上の仮想カードに転送することを選択することができる。
【０２３９】
一部の実施形態では、電子デバイス１００は、図７Ｌに示されるように、価値を転送するプロセスを開始するためにユーザ選択によってアクティブ化することができるアフォーダンス（例えば、７２８Ｇ）を表示する。アフォーダンス（例えば、７２８Ｇ）は、アクティブ化されるとき、価値をカード（例えば、７１０）から電子デバイス１００上の仮想カードに転送するプロセスを開始する。一部の実施形態では、転送されることになる価値の額が選択される（例えば、アフォーダンス７２８Ｆを使用して）前にはアフォーダンス（例えば、７２８Ｇ）をアクティブ化することができない。一部の実施形態では、電子デバイスが転送価値を受信したとき（例えば、入力フィールド７２８Ｆを使用して）、アフォーダンス（例えば、７２８Ｇ）をアクティブ化することは、カード（例えば、７１０）上で利用可能な全残高を転送するプロセスを開始する。一部の実施形態では、アフォーダンス（例えば、７２８Ｇ）は、カード（例えば、７１０）上で利用可能な全残高を転送するプロセスを開始する（例えば、転送価値がフィールド７２８Ｆに入力されなかったときでさえ）。
【０２４０】
図７Ｍに示されるように、所有権の検証が成功しているとの判定に従って（かつ一部の実施形態では、図７Ｌに示されるように、価値の転送を開始するためにアフォーダンス（例えば、７２８Ｇ）のユーザ選択を受信したことに応じて）、電子デバイス１００は、ユーザが価値の転送のための価値の転送動作を実行する（例えば、ユーザによって）ことを促すフィードバック（例えば、ディスプレイ上に表示される視覚フィードバック、デバイスによって生成される音声及び／又は触覚出力）（例えば、７０８Ｂ、７３０）を表示及び／又は生成する。一部の実施例では、プロンプト又はフィードバック（例えば、７０８Ｂ、７３０）は、カード（例えば、７１０）との電子デバイス１００の長期の接触を要求し、又は電子デバイスがカード（例えば、７１０）に近接して配置されることを要求する。一部の実施例では、電子デバイス１００は、ユーザから受信される検証情報（７１４Ｃ、７２０Ｃ）が別個の情報と一致する（例えば、適合する）場合、所有権の検証が成功していると判定する。図７Ｎに示されるように、価値の転送動作と共に（及び／又は価値の転送動作を実行するプロンプトを提供する（若しくは、フィードバックを生成する）ことに続いて、電子デバイス１００は、記憶された価値の少なくともいくつか（又は全て）をカード（例えば、７１０）から電子デバイスに記憶された仮想カードに転送する（例えば、１つ以上の短距離通信無線機によって）。一部の実施形態では、仮想カードは、電子デバイス１００の口座情報アプリケーション（例えば、電子ウォレット）に記憶される。一部の実施形態では、転送の間、電子デバイス１００は、記憶された価値の少なくともいくつか（又は全て）がカード（例えば、７１０）から電子デバイスの上の仮想カードに転送されていることを示す（例えば、インジケーション７３２Ａ）（例えば、ユーザへの）フィードバック（例えば、ディスプレイ上に表示される視覚フィードバック、デバイスによって生成される音声及び／又は触覚出力）、並びに転送プロセスが進行している間に電子デバイスのカードへの長期接触又は近接性を維持するためのインジケーション（例えば、７０８Ｂ、７３２Ｂ）（例えば、ユーザへの）を表示及び／又は生成する。
【０２４１】
一部の実施形態では、カード（例えば、７１０）のカード口座番号を受信する前に、かつカードの所有権を検証する前に、仮想カードは、電子デバイス１００（例えば、電子デバイスの口座情報アプリケーション）に記憶される。一部の実施形態では、電子デバイス１００は、電子デバイスに記憶され、いずれの価値又は資産を含まないテンプレート仮想カード（例えば、「ブランク」仮想カード）を含む。一部の実施例では、電子デバイス１００は、記憶された価値の少なくともいくつかの（又は全て）をカード（例えば、７１０）からテンプレート仮想カードに転送する。よって、一部の実施例では、カード（例えば、７１０）と関連付けられた機能及び／又は価値をテンプレート仮想カードに移動させることができるので、電子デバイス１００を新たな仮想カードで構成する必要がない。新たな仮想カードがプロビジョニング処理又は転送動作の間に作成される必要がないので、テンプレート仮想カードは、資産をストアドバリューカード（例えば、７１０）から電子デバイス１００に転送するプロセスを加速化する。
【０２４２】
一部の実施形態では、記憶された価値の少なくともいくつか（又は全て）をカード（例えば、７１０）から電子デバイス１００に記憶された仮想カードに転送することが成功したことに続いて、仮想カードは、記憶された価値の少なくともいくつか（又は全て）を含み、カード（例えば、７１０）は、記憶された価値の少なくともいくつか（又は全て）を含まない。一部の実施形態では、記憶された価値の少なくともいくつか（又は全て）をカード（例えば、７１０）から電子デバイス１００に記憶された仮想カードに転送することは、記憶された価値をカードから除去することと、カードを非アクティブ化する（例えば、カードを破棄し、カードを動作不能にする）要求をカードと関連付けられたサーバ、サービス、又はデータベースに送信する（例えば、ネットワーク又はインターネット接続を介して）ことと、を含む。例えば、カード（例えば、７１０）からの記憶された価値の全てが除去され、カードが動作不能になる。よって、一部の実施形態では、物理カード（例えば、７１０）の機能及び／又は価値は、それら全体が電子デバイス１００に記憶された仮想カードに移動され、それによって物理カードが仮想カードに置き換わる。
【０２４３】
一部の実施形態では、図７Ｐに示されるように、記憶された価値の少なくともいくつか（又は全て）をカード（例えば、７１０）から電子デバイス１００に記憶された仮想カードに転送することが成功したことに続いて、電子デバイスは、ストアドバリューカードに対応する仮想カードの表現を表示する。一部の実施形態では、ストアドバリューカードに対応する仮想カードの表現は、仮想カードのタイプのインジケーション（例えば、７３６Ａ）を含む。一部の実施形態では、ストアドバリューカードに対応する仮想カードの表現は、仮想カードのグラフィカル描写（例えば、７３６Ｂ）を含む。仮想カードのタイプのインジケーション（例えば、７３６Ａ）及びグラフィカル描写（例えば、７３６Ｂ）によって、ユーザは、仮想カードを電子デバイス１００上でプロビジョニングされた異なるカードから区別することが可能になり、一部の実施例では、仮想カードのタイプのインジケーション及びグラフィカル描写が同時に表示される。
【０２４４】
一部の実施形態では、電子デバイス１００上でプロビジョニングされたストアドバリューカードに対応する仮想カードの表現は、複数の選択可能アフォーダンス（例えば、７４０Ａ、７４０Ｂ、７４０Ｃ）を含むメニュー（例えば、７４０）を含む。一部の実施例では、メニュー（例えば、７４０）は、情報アフォーダンス（例えば、７４０Ａ）を含む。一部の実施例では、メニュー（例えば、７４０）は、取引アフォーダンス（例えば、７４０Ｂ）を含む。一部の実施例では、メニュー（例えば、７４０）は、デバイスアフォーダンス（例えば、７４０Ｃ）を含む。一部の実施形態では（例えば、図７Ｐに示されるように、情報アフォーダンス（例えば、７４０Ａ）のユーザ選択に応じて）、仮想カードの表現は、プロビジョニングされたカード（例えば、７１０）に対応する仮想カードに関する１つ以上の情報項目（例えば、７３６Ｃ〜７３６Ｅ）を個々に、又は同時に表示する。一部の実施例では、電子デバイス１００は、仮想カードに登録された口座のユーザ名（例えば、７３６Ｃ）を表示する。一部の実施例では、電子デバイス１００は、仮想カードの資産の残高（例えば、７３６Ｄ）（例えば、仮想カードに記憶された資産の額）を表示する。一部の実施例では、電子デバイス１００は、仮想カードのトランジットパス情報（例えば、７３６Ｅ）（例えば、月次のパス、１０回の乗車（10-ride）のパスなど）を表示する。仮想カードに関する１つ以上の情報項目（例えば、７３６Ｃ〜Ｅ）を表示することによって、電子デバイス１００は、プロビジョニングされたカード（例えば、７１０）に対応する仮想カードの詳細に関する情報を含むフィードバック（例えば、デバイスによって生成される視覚、音声、及び／又は触覚出力）を表示及び／又は生成する。
【０２４５】
一部の実施形態では、記憶された価値の少なくともいくつか（又は全て）をカード（例えば、７１０）から電子デバイス１００に記憶された仮想カードに転送することが成功したことに続いて、電子デバイスは、仮想カードの記憶された価値（例えば、７３６Ｄ）を表示する。一部の実施例では、電子デバイス１００の電子ウォレットアプリケーションが同一のタイプの複数の仮想カード（又は口座）（例えば、複数のトランジットカード）を含む場合、複数の仮想カードの各々の価値は、目立つように表示される。この改善されたフィードバックは、ユーザに、電子デバイスに記憶された（又は電子デバイスによってアクセス可能な）複数の仮想カードとそれらの対応する記憶された価値との間で区別する能力を提供することによって、電子デバイスの操作性を高める。
【０２４６】
一部の実施形態では、図７Ｏに示されるように、価値の転送が成功していないとの判定に従って、電子デバイス１００は、価値の転送が成功しなかったことのフィードバック（例えば、デバイスによって生成される視覚、音声、及び／又は触覚出力）（例えば、インジケーション７３４Ａ）を表示及び／又は生成する（例えば、ユーザに）。一部の実施形態では、電子デバイス１００は、価値の転送のための価値の転送動作を実行すること（例えば、ユーザによって）を繰り返す第２のプロンプト（例えば、第１のプロンプト７３０とは異なる７３４Ｂ）を介してフィードバック（例えば、デバイスによって生成される視覚、音声、及び／又は触覚出力）を表示及び／又は生成する。一部の実施例では、第２のプロンプトは、電子デバイスとのユーザ対話を促す視覚、音声、及び／又は触覚フィードバックを含む。
【０２４７】
一部の実施形態では、記憶された価値の少なくともいくつか（又は全て）をカード（例えば、７１０）から電子デバイス１００に記憶された仮想カードに転送したことに続いて、かつ電子デバイスが別のリンクされたトランジット口座を有さない（例えば、新たにプロビジョニングされるトランジット口座が初期（最初の）トランジット口座及び／又は電子デバイスにリンクされた現在アクティブなトランジット口座のみである）との判定に従って、電子デバイスは、認証をチェックすることなく仮想カードの口座を使用のために利用可能とするように指定する（デフォルトでインジケーションし、又はユーザが指定することを促す）。一部の実施例では、仮想カードが電子デバイス１００のプロビジョニングされたトランジット口座のみに対応する場合、電子デバイス１００は、図１５Ａ〜１５Ｍに関連して説明されるように、仮想カードが電子デバイスの口座情報アプリケーションのトランジット口座のみであるとの判定に基づいて、仮想カードをエクスプレストランジットカードとするように指定する。一部の実施形態では、エクスプレストランジットカード（例えば、支払いを行い、又は認証情報を送信するための）を使用することは、図１５Ａ〜１５Ｍに関連して説明されるように、特定の状況（例えば、検出された無線信号が例えば、取引端末からの要求又はトランジット口座からの資産についての要求に対応する取引）では認証をチェックすることを必要としない。よって、仮想カードをエクスプレストランジットカードとして指定することは、必要とされるユーザ入力の数を低減し、それによって、技術をより効率的にし、かつバッテリ電力を節約する。トランジット取引はまた、トランジット接続をするのに急いでいるユーザ（又は他の乗客）での混雑したトランジット駅では頻繁に行われる。最も正確かつ信頼できる認証でさえ、正当なユーザが適切に認証されない（例えば、ユーザの指紋が正確に識別されず、又はユーザが誤ったパスワード、暗証番号、若しくはパターンを入力することを理由に）誤った否定結果のいくらかの可能性が常に存在する。特定の取引のためのユーザ承認の代わりに、取引端末の識別をトランジット取引端末として確立する（例えば、取引端末信号又は他のコンテキスト情報によって確立される）ことによってセキュリティが提供されるエクスプレストランジット取引モデルを使用することは、ユーザ（又は他の乗客）がデバイスとのトランジット取引を行う間に認証の誤った否定結果によって不便となる可能性を低減する。
【０２４８】
一部の実施形態では、記憶された価値の少なくともいくつか（又は全て）をカード（例えば、７１０）から電子デバイス１００に記憶された仮想カードに転送したことに続いて、かつ電子デバイスが１つ以上の他のリンクされたトランジット口座を有しているとの判定に従って、電子デバイス１００は、認証をチェックすることなく仮想カードの口座を使用のために利用可能とするように指定することを見合わせる（又はユーザが指定することを促すことを見合わせる）。一部の実施形態では、仮想カードがプロビジョニングされたトランジット口座のみに対応しない場合、電子デバイス１００は、認証をチェックすることなく仮想カードの口座を使用のために利用可能としないように指定する（又はユーザが指定することを促す）。よって、一部の実施例では、電子デバイス１００は、仮想カードが口座情報アプリケーションのトランジット口座のみでないとの判定に基づいて、仮想カードをエクスプレストランジットカードとするように指定しない。
【０２４９】
一部の実施形態では、記憶された価値の少なくともいくつか（又は全て）をカード（例えば、７１０）から電子デバイス１００に記憶された仮想カードに転送したことに続いて、かつ電子デバイスが別のリンクされたトランジット口座を有しているとの判定に従って、更に、認証をチェックすることなく口座を使用のために利用可能としない要望を示すユーザ入力（例えば、口座情報アプリケーションの前のエクスプレストランジットカードを除去し、又は前の口座をエクスプレストランジットカードとして追加することを拒否するユーザ入力）を受信したことに従って、電子デバイスは、認証をチェックすることなく仮想カードの口座を使用のために利用可能とするように指定することを見合わせる（又はユーザが指定することを促すことを見合わせる）。一部の実施例では、電子デバイス１００は、認証をチェックすることなく仮想カードの口座を使用のために利用可能としないように指定する（又はユーザが指定することを促す）。よって、一部の実施例では、電子デバイス１００は、仮想カードが口座情報アプリケーションのトランジット口座のみでないとの判定に基づいて、仮想カードをエクスプレストランジットカードとするように指定せず、それによって、仮想カードをエクスプレストランジットカードとするように指定し、又は指定することを見合わせる際のユーザの優先度に適合する。
【０２５０】
図８Ａ〜８Ｂは、一部の実施形態に係る、電子デバイス上でカードをプロビジョニングする方法を示すフローチャートである。方法８００は、１つ以上の入力デバイス、１つ以上の短距離通信無線機、及び任意選択的に、ディスプレイを有するデバイス（例えば、１００、３００、５００）において実行される。方法８００におけるいくつかの動作は任意選択的に組み合わされ、いくつかの動作の順序は任意選択的に変更され、いくつかの動作は任意選択的に省略される。
【０２５１】
以下で説明されるように、方法８００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０２５２】
ブロック８０２において、電子デバイスは、１つ以上の短距離通信無線機（例えば、１つ以上のＮＦＣ無線機）によって、カード（例えば、７１０）（例えば、ストアドバリューカード、ＮＦＣ読取可能ストアドバリューカード、ストアドバリュートランジットカード、ストアドバリューギフトカード）のカード口座番号を受信し（例えば、ＮＦＣを介してカードから）、カード（例えば、７１０）は、記憶された価値（例えば、７２８Ｄ、０よりも大きい記憶された価値）を有する。一部の実施例では、カードのカード口座番号は、ＮＦＣを使用してカードから受信される。
【０２５３】
一部の実施形態に従って、ブロック８０４において、カードは、ストアドバリューカード（例えば、資産及び／又はデータがバイナリコードデータの形式で物理的にカードに記憶された）である。例えば、ストアドバリューカードは、閉ループストアドバリューカードである。一部の実施例では、カードは、トランジットカード（例えばストアドバリュートランジットカード）である。一部の実施例では、ストアドバリュートランジット口座は、トランジットプラン（又はトランジットパス）情報を記憶する。一部の実施例では、トランジットプランは、月次又は週次のトランジットプランである。一部の実施例では、ストアドバリュートランジット口座は、電子マネーを記憶する。
【０２５４】
ブロック８０６において、電子デバイスは、カード（例えば、７１０）の所有権を検証するための検証情報（例えば、カードのカード番号、カードのカード口座番号、カードに登録されたユーザの誕生日）を要求する（例えば、ユーザから）。一部の実施例では、電子デバイスは、検証情報を提供することをユーザに要求するインジケーション（例えば、７１４Ａ、７２０Ａ）を表示する。一部の実施例では、電子デバイスは、ユーザがカード（例えば、７１０）を物理的に所持（又は制御）していることを確認するための検証情報（例えば、７１４Ｃ、７２０Ｃ）を使用する。ユーザがカードを物理的に所持していることを確認するために電子デバイスが検証情報を受信及び使用することによって、電子的盗難及び詐欺を検出及び阻止する電子デバイスの能力が高まる。
【０２５５】
一部の実施形態に従って、検証情報（例えば、７１４Ｃ、７２０Ｃ）はカード（例えば、７１０）上に示されない情報である。例えば、ユーザによって入力される検証情報（例えば、７１４Ｃ、７２０Ｃ）は、カード（例えば、７１０）上に表示されない。一部の実施例では、カードが登録されている（例えば、「登録モード」）との判定に従って、要求された（かつ受信された）検証情報は、カード上に示されない情報である。よって、一部の実施例では、検証は、単にカードを所持していることによってでは可能でない。むしろ、ユーザは、カードに対応するいくつかの追加的な情報を有する必要がある。一部の実施例では、検証情報は、カードの記憶された価値である（又はそれを含む）。かかる実施例では、カードへのアクセスを有し、カードの現在の記憶された価値を知るユーザは、記憶された価値の少なくともいくつか（又は全て）をカード（例えば、７１０）から電子デバイス１００に記憶された仮想カードに転送することができる。
【０２５６】
一部の実施形態に従って、ブロック８０８において、カードが登録されている（例えば、サーバ、サービス、又はデータベースに）（例えば、「登録モード」）との判定に従って、ブロック８１０において、カード（例えば、７１０）の所有権を検証するための検証情報（例えば、７１４Ｃ、７２０Ｃ）（例えば、カードに登録されたユーザの誕生日）を要求することは（例えば、ユーザから）は、カード上に示されない情報を要求することを含む。一部の実施例では、電子デバイスは、カード上に示される情報を要求することを見合わせる。カードが登録されているかを判定することによって、電子デバイスは、カードが登録されているか否かの判定に基づいて、特定の検証情報を要求することができ、それによって、登録されたカードのための追加的なセキュリティ手段を含めることによってデバイスの操作性を高める。
【０２５７】
一部の実施形態に従って、ブロック８１２において、カード（例えば、７１０）が登録されていない（例えば、「匿名モード」）との判定に従って、ブロック８１４において、カードの所有権を検証するための検証情報（例えば、７１４Ｃ、７２０Ｃ、カードのカード番号、カードのカード口座番号）を要求することは、カード（例えば、７１０）上に示される情報を要求することを含む。一部の実施例では、電子デバイスは、カード上に示されない情報を要求することを見合わせる。よって、電子デバイスは、カードが登録されているか否かに基づいて、異なる情報を要求することができる。例えば、カードの登録されたユーザに個人的な情報を要求することによって、登録されたカードに対してより高いレベルのセキュリティを達成することができる。カードが登録されているかを判定することによって、電子デバイスは、カードが登録されているか否かの判定に基づいて特定の検証情報を要求することができ、それによって、ユーザが登録されていないカードについて有していない情報についての要求を表示しないことによってデバイスの操作性を高め、それによって、必要とされるユーザ入力の数を低減する。
【０２５８】
一部の実施形態に従って、（例えば、カードが登録されていない（例えば、「匿名モード」）との判定に従って））電子デバイスは、１つ以上の入力デバイスを介して、カード（例えば、７１０）の所有権を検証するための検証情報（例えば、７１４Ｃ、７２０Ｃ）を含む電子デバイスのユーザからの入力を受信する前に、カードのカード口座番号を提示しない（例えば、電子デバイスのディスプレイ上で）。一部の実施例では、電子デバイスは、カードの所有権を検証する前にカードのカード口座番号を提示しない。よって、ユーザは、電子デバイス以外の方法を通じてカード（又は口座）番号へのアクセスを有する必要がある。例えば、ユーザは、カードの受領書若しくは送り状に印刷されているカード番号に基づいて、又はカードに印刷されているカード番号に基づいて、カード番号を提示することができる。一部の実施例では、カードが登録されている（例えば、「登録モード」）との判定に従って、電子デバイスは、１つ以上の入力デバイスを介して、カードの所有権を検証するための検証情報を含む電子デバイスのユーザからの入力を受信する前に、カードのカード口座番号を提示する（電子デバイスのディスプレイ上で表示する）。カードが登録されているかを判定することによって、電子デバイスは、カードが登録されているか否かの判定に基づいて、特定の検証情報を要求することができ、それによって、登録されていないカードについての不必要な要求を表示しないことによってデバイスの操作性を高め、登録されたカードのための追加的なセキュリティを提供する。
【０２５９】
一部の実施例では、電子デバイスは、カードが登録されているかを判定する（例えば、サーバ、サービス、又はデータベースに）。一部の実施形態に従って、カード（例えば、７１０）が登録されていない（例えば、「匿名モード」）との判定に従って、かつカードの所有権を検証する前に、電子デバイスは、カードの所有権を検証するための検証情報（例えば、７１４Ｃ、７２０Ｃ）を受信することの一部として、カード（例えば、７１０）のユーザにより提供される口座番号を要求し、カードの所有権を検証するための検証情報（例えば、７１４Ｃ、７２０Ｃ）を含む電子デバイスのユーザからの入力を受信する（例えば、１つ以上の短距離通信無線機によってではなく）ことの一部として、カード（例えば、７１０）のユーザにより提供される口座番号を受信し、検証情報を別個の情報と比較することによってカード（例えば、７１０）の所有権を検証することの一部として、ユーザにより提供される口座番号をカード口座番号と比較し、別個の情報は、カードの受信されたカード口座番号を含む。一部の実施例では、カードが登録されている（例えば、「登録モード」）との判定に従って、カードの所有権を検証するための検証情報を要求することは、カードのユーザにより提供される口座番号を要求（又は受信）する（例えば、カードの所有権を検証するための検証情報を含むデバイスのユーザからの入力を受信することの一部として）ことを含まない。
【０２６０】
ブロック８１６において、電子デバイスは、１つ以上の入力デバイスを介して、カード（例えば、７１０）の所有権を検証するための検証情報（例えば、７１４Ｃ、７２０Ｃ）を含む電子デバイスのユーザからの入力を受信する（例えば、１つ以上の短距離通信無線機によってではなく、仮想キーボード入力を介して）。一部の実施例では、（例えば、検証情報を要求する前に、及び／又はカードの所有権を検証するためのデバイスのユーザからの入力を受信する前に）電子デバイス１００は、カード口座番号をサーバに送信し、サーバから、カードの登録状態に関する応答を受信する。一部の実施例では、電子デバイスは、カードが登録されているかを判定する（例えば、サーバ、サービス、又はデータベースに）。
【０２６１】
一部の実施形態に従って、（例えば、検証情報を要求する前に、カードの所有権を検証するためのデバイスのユーザからの入力を受信する前に）カードが登録されている（例えば、「登録モード」）との判定に従って、電子デバイスは、カード（例えば、７１０）のカード口座番号を送信し（例えば、サーバ）に）、別個の情報を受信する（例えば、サーバから）。一部の実施例では、別個の情報は、カードの登録されたユーザに個人的な情報（例えば、カードのカード口座番号ではなく、ユーザの誕生日、ユーザのメールアドレス、ユーザの母親の旧姓）を含む。よって、カードの登録されたユーザに個人的な情報を要求することによって、登録されたカードに対してより高いレベルのセキュリティを達成することができる。
【０２６２】
一部の実施形態に従って、電子デバイスは、カードのユーザにより提供される口座番号を受信することを見合わせる（例えば、１つ以上の短距離通信無線機によって、カードのカード口座番号を受信したことに続いて、かつ１つ以上の短距離通信無線機によって、記憶された価値の少なくともいくつか（又は全て）をカードからデバイスに記憶された仮想カードに転送する前に）（例えば、カードの所有権を検証することの一部として）。
【０２６３】
一部の実施形態に従って、カード（例えば、７１０）のカード口座番号を受信する前に、かつカードの所有権を検証する前に、仮想カードは、電子デバイスに記憶される（例えば、口座情報アプリケーションに）。一部の実施例では、電子デバイスは、いずれの価値又は資産を有さない「ブランク」仮想カードを含む。電子デバイスは、記憶された価値の少なくともいくつか（又は全て）をカードからブランク仮想カードに転送する。よって、既存の仮想カードに積み立てる（funded）ことができるので、新たな仮想カードで電子デバイスを構成する必要がない。デバイス上で新たなカードを生成するのではなく既存の仮想カードに積み立てることによって、電子デバイスは、資産を仮想カードに転送する前に仮想カードを作成する必要がない。一部の実施例では、これは、資産を電子デバイスに転送するプロセスを加速化することによって、デバイスの操作性を高める。
【０２６４】
ブロック８１８において、電子デバイスは、検証情報（例えば、７１４Ｃ、７２０Ｃ）を検証情報（例えば、７１４Ｃ、７２０Ｃ）とは別個に受信されるカード（例えば、７１０）に関する別個の情報（例えば、カードのカード口座番号、カードの登録されたユーザの誕生日）（例えば、サーバから又はカードから受信される別個の情報）と比較することによってカードの所有権を検証する。
【０２６５】
ブロック８２０において、所有権の検証が成功しているとの判定に従って（例えば、ユーザから受信される検証情報（７１４Ｃ、７２０Ｃ）が別個の情報と一致する場合）、ブロック８２２において、電子デバイスは、価値の転送のための価値の転送動作（例えば、カードとの長期接触又は近接性）を実行するプロンプト（例えば、７０８Ｂ、７３０）を表示及び／又は生成する（例えば、デバイスによって生成される視覚、音声、及び／又は触覚出力）。一部の実施例では、プロンプトは、電子デバイスとのユーザ対話を促す視覚、音声、及び／又は触覚フィードバックを含む。よって、電子デバイスは、プロンプトを生成することによって、ユーザに所有権の検証が成功したことを通知し、それによって、ユーザが価値の転送動作を実行することを促す。
【０２６６】
ブロック８２０において、所有権の検証が成功しているとの判定に従って、かつブロック８２４において、価値の転送動作と共に（又は価値の転送動作を実行するプロンプトを生成したことに続いて）、電子デバイス１００は、記憶された価値の少なくともいくつか（又は全て）をカード（例えば、７１０）から電子デバイスに記憶された（例えば、デバイスの口座情報アプリケーションに記憶された）仮想カードに転送する（例えば、１つ以上のＮＦＣ無線機などの１つ以上の短距離通信無線機によって）。一部の実施例では、電子デバイスはセキュア要素を含み、記憶された価値の少なくともいくつかをカードから電子デバイスに記憶された仮想カードに転送することは、電子デバイスのセキュア要素に、仮想カードの記憶された価値にアクセスするための情報を記憶することを含む。したがって、検証された所有権に基づいて価値を電子デバイスに記憶された仮想カードに転送することによって、電子デバイスの操作性は、承認されたカードからの資産に基づいてデバイスをプロビジョニングすることを防止することによって高まる。一部の実施例では、記憶された価値の少なくともいくつか（又は全て）をカード（例えば、７１０）からデバイスに記憶された仮想カードに転送したことに続いて、仮想カードは、少なくともいくつかの（又は全ての）記憶された価値を含み、カード（例えば、７１０）は、少なくともいくつかの（又は全ての）記憶された価値を含まない。
【０２６７】
一部の実施形態に従って、価値の転送が成功していないとの判定に従って、電子デバイスは、価値の転送のための価値の転送動作（例えば、カードとの長期接触又は近接性）を実行する（例えば、ユーザによって）第２のプロンプト（例えば、７３４Ｂ、第１のプロンプト７３０とは異なる）を表示及び／又は生成する（例えば、デバイスによって生成される視覚、音声、及び／又は触覚出力）。一部の実施例では、電子デバイスは、価値の転送が成功しなかったことのインジケーションをユーザに提示する。一部の実施例では、電子デバイスは、価値の転送動作（例えば、カードとの長期接触又は近接性）を実行する別のプロンプトをユーザに提示する。よって、ユーザは、価値の転送が成功しなかったことを警告される。一部の実施例では、第２のプロンプトは、電子デバイスとのユーザ対話を促す視覚、音声、及び／又は触覚フィードバックを含む。よって、電子デバイスは、第２のプロンプトを生成することによって、ユーザに、価値の転送が成功しなかったと電子デバイスが判定したことを通知し、それによって、ユーザが価値の転送動作を再度実行することを促す。
【０２６８】
一部の実施形態に従って、ブロック８２６において、所有権の検証が成功していないとの判定に従って（例えば、ユーザから受信される検証情報が別個の情報と一致しない場合）、ブロック８２８において、電子デバイス１００は、所有権の検証が成功しなかったことを示す（例えば、インジケーション７２６Ａ）フィードバック（例えば、デバイスによって生成される視覚、音声、及び／又は触覚出力）を表示及び／又は生成する。一部の実施例では、所有権の検証が成功していないとの判定に従って、電子デバイスは、価値の転送のための価値の転送動作を実行する（例えば、ユーザによって）プロンプト（例えば、デバイスによって生成される視覚、音声、及び／又は触覚出力）を生成することを見合わせ、記憶された価値のいずれもカードからデバイスに記憶された仮想カードに転送することを見合わせる。一部の実施例では、所有権の検証が成功していないとの判定に従って、電子デバイスは、カードの所有権を検証するための検証情報（例えば、カードのカード番号、カードのカード口座番号、カードに登録されたユーザの誕生日）を再度要求する（例えば、ユーザから）。よって、ユーザは、所有権の検証が成功しなかったことを認識するようになる。よって、電子デバイスは、フィードバックを生成することによって、ユーザに、所有権の検証が成功しなかったと電子デバイスが判定したことを通知し、それによって、ユーザが所有権を検証するための情報を提供することを再度促す。
【０２６９】
一部の実施形態に従って、記憶された価値の少なくともいくつか（又は全て）をカード（例えば、７１０）から電子デバイスに記憶された仮想カードに転送したことに続いて、電子デバイスは、ディスプレイ上で、仮想カードの記憶された価値（例えば、７２８Ｄ）を表示する。例えば、電子デバイスの電子ウォレットアプリケーションが同一のタイプの複数の仮想カード（又は口座）を含むとき、仮想カードの価値は、ユーザが複数の仮想カードの間で区別することを支援するために目立つように表示される。仮想カードの記憶された価値（例えば、７２８Ｄ）を表示することによって、電子デバイスは、ユーザにどの程度の価値が仮想カードに記憶されるかについて通知する。この改善されたフィードバックは、ユーザに、電子デバイスに記憶された（又は電子デバイスによってアクセス可能な）複数の仮想カードとそれらの対応する記憶された価値との間で区別する能力を提供することによって、電子デバイスの操作性を高める。
【０２７０】
一部の実施形態に従って、記憶された価値の少なくともいくつか（又は全て）をカード（例えば、７１０）から電子デバイスに記憶された仮想カードに転送したことに続いて、電子デバイスは、ディスプレイ上で、仮想カードのトランジットプラン情報（例えば、月次のパス、１０回の乗車のパスなど）（例えば、７２８Ｅ）を表示し、トランジットプラン情報は、転送された記憶された価値の少なくともいくつか（又は全て）に基づいている。よって、ユーザは、仮想カードのトランジットプランに関して通知されるようになる。この改善されたフィードバックは、ユーザに、どの仮想カードがデバイスに記憶されているか、及びもしある場合、仮想カードがどのトランジットプラン情報を含むかなど、電子デバイスの状態を通知する。
【０２７１】
一部の実施形態に従って、記憶された価値の少なくともいくつか（又は全て）をカード（例えば、７１０）から電子デバイスに記憶された仮想カードに転送したことに続いて、電子デバイスは、ディスプレイ上で、仮想カードの残高（例えば、７３６Ｄ）、仮想カードに登録されたの口座のユーザ名（例えば、７３６Ｃ）、及び仮想カードのトランジットプラン情報（例えば、月次のパス、１０回の乗車のパスなど）（例えば、７３６Ｅ）のうちの１つ以上を表示する（例えば、同時に）。よって、ユーザは、仮想カードの詳細を通知される。
【０２７２】
一部の実施形態に従って、記憶された価値の少なくともいくつか（又は全て）をカードから電子デバイスに記憶された仮想カードに転送することは、記憶された価値をカードから除去することと、カードを非アクティブ化する（例えば、カードを破棄し、カードを動作不能にする）要求をサーバに送信することと、を含む。例えば、電子デバイスは、全ての価値をカードから除去し、カードを動作不能にする。よって、一部の実施例では、カードの完全な機能及び／又は価値は、仮想カードに移動され、物理カードが仮想カードに置き換わる。一部の実施例では、カードからの記憶された価値のいくつかの又は全てが仮想カードに転送されるとき、価値を仮想カードから取り出すための情報は、情報をセキュア要素から取り出す適切に処理された支払い取引なしに記憶された価値にアクセスすることができないことを保証するためにセキュア要素に記憶される。
【０２７３】
一部の実施形態に従って、（例えば、記憶された価値の少なくともいくつか（又は全て）をカードから記憶された仮想カードに転送したことに続いて）電子デバイスが別のリンクされたトランジット口座を有していないとの判定に従って（例えば、新たにプロビジョニングされるトランジット口座が初期（最初の）プロビジョニングされたトランジット口座及び／又は電子デバイスにリンクされた現在アクティブなトランジット口座のみである）、電子デバイスは、認証をチェックすることなく仮想カードの口座を使用のために利用可能とするように指定する（デフォルトで指定し、又はユーザが指定することを促す）。一部の実施例では、取引に参加するために仮想カードの口座を使用することは、情報（例えば、取引情報、支払い情報）を電子デバイスのセキュア要素から解放することを含む。よって、電子デバイスは、仮想カードをエクスプレストランジットカードとするように指定し（仮想カードが口座情報アプリケーションのトランジット口座のみであるとの判定に基づいて）、エクスプレストランジットカードは、検出される無線信号が第１のタイプの要求（例えば、取引端末からの要求、トランジット口座からの資産についての要求）に対応する取引のために認証をチェックすることの内で電子デバイスが使用することができるものである。一部の実施形態に従って、電子デバイスが１つ以上の他のリンクされたトランジット口座を有しているとの判定に従って、電子デバイスは、認証をチェックすることなく仮想カードの口座を使用のために利用可能とするように指定することを見合わせる（又はユーザが指定することを促すことを見合わせる）（及び／又は認証をチェックすることなく仮想カードの口座を使用のために利用可能としないように指定する）。よって、電子デバイスは、仮想カードをエクスプレストランジットカードにするように指定しない（仮想カードが口座情報アプリケーションのトランジット口座のみでないとの判定に基づいて）。トランジット取引は、トランジット接続をするのに急いでいるユーザ（又は他の乗客）での混雑したトランジット駅では頻繁に行われる。最もど正確かつ信頼できる認証でさえ、正当なユーザが適切に認証されない（例えば、ユーザの指紋が正確に識別されず、又はユーザが誤ったパスワード、暗証番号、若しくはパターンを入力することを理由に）誤った否定結果のいくらかの可能性が常に存在する。特定の取引のためのユーザ承認の代わりに、取引端末の識別をトランジット取引端末として確立する（例えば、取引端末信号又は他のコンテキスト情報によって確立される）ことによってセキュリティが提供されるエクスプレストランジット取引モデルを使用することは、ユーザ（又は他の乗客）がデバイスとのトランジット取引を行う間に認証の誤った否定結果によって不便となる可能性を低減する。
【０２７４】
一部の実施形態に従って（例えば、記憶された価値の少なくともいくつか（又は全て）をカードから記憶された仮想カードに転送したことに続いて）、電子デバイスが別のリンクされたトランジット口座を有していないとの判定に従って（例えば、新たにプロビジョニングされるトランジット口座が初期（最初の）プロビジョニングされたトランジット口座及び／又は電子デバイスにリンクされた現在アクティブなトランジット口座のみである）、かつ認証をチェックすることなく口座を使用のために利用可能としない要望を示すユーザ入力（例えば、口座情報アプリケーションの前のエクスプレストランジットカードを除去し、又は前の口座をエクスプレストランジットカードとして追加することを拒否するユーザ入力）を受信したことに従って、電子デバイスは、認証をチェックすることなく仮想カードの口座を使用のために利用可能とするように指定することを見合わせる（又はユーザが指定することを促すことを見合わせる）（及び／又は認証をチェックすることなく仮想カードの口座を使用のために利用可能としないように指定する）。よって、電子デバイスは、仮想カードをエクスプレストランジットカードにするように指定しない（仮想カードが口座情報アプリケーションのトランジット口座のみでないとの判定に基づいて）。一部の実施例では、認証をチェックすることなく口座を使用のために利用可能としない要望を示すユーザ入力を受信しないことに従って、又は認証をチェックすることなく口座を使用のために利用可能とする要望を示すユーザ入力を受信したことに従って、電子デバイスは、認証をチェックすることなく使用のために利用可能とする仮想カードの口座を選択する。よって、電子デバイスは、仮想カードをエクスプレストランジットカードとするように指定し、エクスプレストランジットカードは、検出される無線信号が第１のタイプの要求（例えば、取引端末からの要求、トランジット口座からの資産についての要求）に対応する取引のために認証をチェックすることなく電子デバイスが使用することができるものである。したがって、電子デバイスは、仮想カードをエクスプレストランジットカードとして指定する際のユーザの優先度に適合する。
【０２７５】
一部の実施形態に従って、電子デバイスは、認証をチェックすることなく口座を使用のために利用可能としない要望を示すユーザ入力を受信し（例えば、図１５Ｄに関連して説明されるように、認証をチェックすることなく使用のための「口座なし」オプションを選択するユーザ入力を受信することによって）、認証をチェックすることなく口座を使用のために利用可能としない要望を示すユーザ入力を受信したことに応じて、認証をチェックすることなく仮想カード（又は全ての仮想カード）の口座を使用のために利用可能としないように指定する。よって、電子デバイスは、ユーザに、それによって認証を必要とすることなく特定の取引で資産が送信されるエクスプレストランジットモードを無効化するオプションを提供する。一部の実施例では、これは、電子デバイス上で口座の追加的なセキュリティを提供する。
【０２７６】
一部の実施形態に従って、電子デバイスは、認証をチェックすることなく使用のために利用可能とする口座を選択する（例えば、口座情報アプリケーションの複数の口座の中から仮想カードに対応する口座）ユーザ入力を受信し、かつ認証をチェックすることなく使用のために利用可能とする口座を選択するユーザ入力を受信したことに応じて、図１５Ａ〜１５Ｍに関連して説明されるように、認証をチェックすることなく選択された口座（例えば、口座情報アプリケーションの）を使用のために利用可能とするように指定する。よって、電子デバイスによって、ユーザは、エクスプレストランジット口座として使用するための好ましい口座を選択することが可能になる。一部の実施例では、エクスプレストランジット口座は、特定の状況では認証をチェックすることを必要とはせず、よって、必要とされるユーザ入力の数を低減し、それによって、技術をより効率的にし、かつバッテリ電力を節約する。
【０２７７】
方法８００（例えば、図８Ａ〜８Ｂ）に関して上記説明されたプロセスの詳細はまた、以下に説明される方法と同様の方式においても適用可能であることに留意されたい。例えば、方法１０００、１２００、１４００、１６００、１８００、及び２０００は任意選択的に、方法８００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明されるストアドバリュー口座に資産を追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０２７８】
図９Ａ〜９Ｎは、一部の実施形態に従った、ディスプレイ、１つ以上の短距離通信無線機（例えば、１つ以上のＮＦＣ無線機）、及び１つ以上の入力デバイスを有する、電子デバイス（例えば、１００）上でカードをプロビジョニングするための例示的なユーザインタフェースを示す。それらの図におけるユーザインタフェースは、図１０におけるプロセスを含む、以下に説明されるプロセスを示すために使用される。
【０２７９】
一部の実施形態に従って、ユーザは、ストアドバリューカードへのアクセスを有し、価値をストアドバリューカードから電子デバイスに記憶された仮想カードに転送することを望む。価値の転送を実行する前に、電子デバイスは、ユーザがストアドバリューカードの正当な所有者であることを確認することを支援する検証手順を使用する。一部の実施例では、電子デバイスは、検証情報をユーザから（例えば、ＮＦＣを使用するのではなく、表示されたキーボードを介してユーザから）受信する。電子デバイスは、ストアドバリューカードの口座番号又はストアドバリューカードに記憶された現在の価値などの識別情報をストアドバリューカードから受信する（例えば、ＮＦＣを介して）。電子デバイスは、それらの２つの情報に基づいて所有権を検証する。所有権が検証される場合、電子デバイスは、記憶された価値をストアドバリューカードから電子デバイスの仮想カードに転送する（例えば、ＮＦＣを使用して）。一部の実施例では、かかる技術は、ストアドバリューカードの正当な所有者のためのセキュリティを提供することを支援し、電子デバイスのユーザが資産を他の個人のストアドバリューカードから転送することを防止する。
【０２８０】
図９Ａは、一部の実施形態に従った、電子デバイス１００のためのユーザインタフェースを示す。一部の実施例では、電子デバイス１００は、前にプロビジョニングされた口座（例えば、支払い口座）のインジケーションを含むアフォーダンス（例えば、９０２Ａ）を表示する。この実施例では、アフォーダンス（例えば、９０２Ａ）は、Ａｍｅｒｉｃａｎ  Ｅｘｐｒｅｓｓ口座に対応する。一部の実施例では、電子デバイス１００はまた、追加的な前にプロビジョニングされた口座（例えば、別個の支払い口座）のインジケーションを含むアフォーダンス（例えば、９０２Ｂ）を表示する。この実施例では、アフォーダンス（例えば、９０２Ｂ）は、Ａｍｅｒｉｃａｎ  Ｅｘｐｒｅｓｓ口座とは異なるＭａｓｔｅｒＣａｒｄ口座に対応する。電子デバイス１００が前にプロビジョニングされた口座のインジケーションを含むアフォーダンス（例えば、９０２Ａ）又は追加的な前にプロビジョニングされた口座のインジケーションを含むアフォーダンス（例えば、９０２Ｂ）のアクティブ化を検出するとき、例えば、それぞれのアフォーダンスに対応する位置において、電子デバイスのタッチ感知面上でタッチ入力を検出することによって、電子デバイスは、それぞれの口座に対応する情報（例えば、残高、前の取引詳細）を表示する。
【０２８１】
一部の実施形態では、電子デバイス１００は、図１５Ａ〜１５Ｍに関連して説明されるように、アクティブ化されるとき、電子デバイスに、認証をチェックすることなく使用のために利用可能とする口座のユーザ選択のためのユーザインタフェースを表示させる、アフォーダンス（例えば、９０２Ｄ）を表示する。
【０２８２】
一部の実施形態では、電子デバイス１００は、ユーザにエクスプレストランジットカードを停止させるオプションを提供する選択アフォーダンス（例えば、９０４）を表示する。例えば、エクスプレストランジットカードを停止させることによって、電子デバイス１００上でプロビジョニングされた口座がエクスプレストランジットカードとして指定されない。一部の実施形態では、電子デバイス１００は、図１５Ａ〜１５Ｍに関連して説明されるように、認証をチェックすることなく口座を使用のために利用可能としない要望を示すユーザ入力を受信する（例えば、選択アフォーダンス９０４に関して示されるように、選択アフォーダンスを「オフ」の位置に移動させることによって、認証をチェックすることなく使用のための「口座なし」オプションを選択するユーザ入力を受信することによって）。認証をチェックすることなく口座を使用のために利用可能としない要望を示すユーザ入力を受信したことに応じて、電子デバイス１００は、認証をチェックすることなく仮想カードの口座（又は電子デバイス１００の全ての口座）を使用のために利用可能としないように指定する。よって、電子デバイス１００は、ユーザにエクスプレストランジットモードを無効にする（又は有効にする）オプションを提供し（例えば、選択アフォーダンス９０４を使用して）、そのモードによって認証を必要とすることなく資産が特定の取引において送信される。一部の実施形態では、エクスプレストランジット機能が有効にされるとき（例えば、選択アフォーダンス９０４を「オン」の位置に移動させることによって）、電子デバイス１００は、エクスプレストランジット口座として指定された口座へのより高速かつ便利なアクセスを提供する。一部の実施形態では、エクスプレストランジット機能が無効にされるとき（例えば、選択アフォーダンス９０４を「オフ」の位置に移動させることによって）、電子デバイス１００は、電子デバイス上でプロビジョニングされた口座のための追加のセキュリティを提供する。
【０２８３】
一部の実施形態では、電子デバイス１００は、電子デバイス上で（又は電子デバイスとは異なるデバイス上で）口座を仮想カードにプロビジョニングするためのアフォーダンス（例えば、９０２Ｃ）を表示する。一部の実施形態では、仮想カードは、トランジット仮想カードである。一部の実施例では、トランジット仮想カードは、トランジットプラン（又はトランジットパス）情報を記憶する。一部の実施例では、トランジットプランは、月次又は週次のトランジットプランである。一部の実施例では、トランジット仮想カードは、電子マネーを記憶する。一部の実施形態では、仮想カードは、ストアドバリュー仮想カードである。一部の実施例では、ストアドバリュー仮想カードは、電子マネーを記憶する。よって、一部の実施例では、電子デバイス１００は、ユーザにトランジットシステムへのアクセスを提供するために仮想カードを使用する能力をユーザに提供する。
【０２８４】
一部の実施形態では、図９Ａに示されるように、電子デバイスは、電子デバイス１００上で口座をプロビジョニングするためのアフォーダンス（例えば、９０２Ｃ）のアクティブ化を検出する。電子デバイス１００上で口座をプロビジョニングするためのアフォーダンス（例えば、９０２Ｃ）のアクティブ化を検出したことに応じて、電子デバイスは、図９Ｂに示されるように、２つのタイプの口座（例えば、ストアドバリュー口座及びストアドバリュー口座でない口座）の間から選択するためのユーザインタフェースを表示する。よって、一部の実施形態では、電子デバイス１００は、非ストアドバリュー口座をプロビジョニングするためのアフォーダンス（例えば、９０６Ａ）及びストアドバリュー口座をプロビジョニングするためのアフォーダンス（例えば、９０６Ｂ）を表示する（例えば、同時に）。一部の実施形態では、ストアドバリュー口座は、それぞれの口座と関連付けられた資産又はデータ（バイナリコードデータの形式にある）がストアドバリュー口座と関連付けられたストアドバリューカードに物理的に記憶された口座である。よって、ストアドバリューカードは、記憶された価値を有する。一部の実施例では、ストアドバリューカードは、閉ループストアドバリューカードである。一部の実施例では、ストアドバリューカードは、トランジットカード（例えばストアドバリュートランジットカード）である。一部の実施例では、ストアドバリュートランジット口座は、トランジットプラン（又はトランジットパス）情報を記憶する。一部の実施例では、トランジットプランは、月次又は週次のトランジットプランである。一部の実施例では、ストアドバリュートランジット口座は、電子マネーを記憶する。一部の実施例では、電子デバイス１００は、ＮＦＣを使用して、かつＩＰネットワーク又はインターネット接続にアクセスすることなく、資産をストアドバリュートランジット口座から送信することができ、それは、電力を節約し、ＩＰネットワーク又はインターネット接続が利用可能でないときでさえ、資産がストアドバリュートランジット口座から転送されることを可能にする。
【０２８５】
一部の実施形態では、図９Ｂに示されるように、電子デバイス１００は、ストアドバリュー口座をプロビジョニングするためのアフォーダンス（例えば、９０６Ｂ）のアクティブ化を検出する。図９Ｃ〜９Ｆは、一部の実施形態に係る、検証情報を促し、及び受信するためのユーザインタフェース（例えば、アフォーダンス９０６Ｂのアクティブ化を検出したことに応じて表示される）。図９Ｃ〜９Ｆに示されるように、電子デバイス１００は、ストアドバリューカードの所有権を検証するための検証情報（例えば、９１４Ａ〜９１４Ｂ、９２０Ａ、９２０Ｂ）を要求し（例えば、電子デバイスのディスプレイ上でプロンプトを表示することによって）、１つ以上の入力デバイスを介して、カードの所有権を検証するための検証情報（例えば、９１４Ｃ、９２０Ｃ）を含む検証情報を含むユーザからの入力を受信し、検証情報を含むユーザからの入力は、電子デバイスの１つ以上の短距離通信無線機によって受信されず、検証情報は、ストアドバリューカード上に示されない情報を含む。一部の実施例では、ストアドバリューカードと関連付けられた資産及び／又はデータは、バイナリコードデータの形式でカードに物理的に記憶される。一部の実施例では、ストアドバリューカードは、ＮＦＣ読取可能ストアドバリューカードである。一部の実施例では、ストアドバリューカードは、ストアドバリュートランジットカードである。一部の実施例では、ストアドバリューカードは、ストアドバリューギフトカードである。
【０２８６】
図９Ｃ及び図９Ｅに示されるように、電子デバイス１００は、ストアドバリューカードの所有権を検証するための検証情報（例えば、９１４Ａ〜９１４Ｂ、９２０Ａ〜９２０Ｂ）を要求する（例えば、電子デバイスのディスプレイ上でプロンプトを表示することによって）。一部の実施形態では、検証情報は、ストアドバリューカード（例えば、９１０）のカード番号（例えば、９１４Ｃ）である（又はそれを含む）。一部の実施形態では、検証情報は、ストアドバリューカードの登録されたユーザに個人的な情報である（例えば、９２０Ｃ）（又はそれを含む）。一部の実施例では、検証情報は、非口座番号識別子である。一部の実施例では、検証情報は、ストアドバリューカードの登録されたユーザの誕生日（例えば、９２０Ｃ）を含む。一部の実施例では、検証情報は、ストアドバリューカードの登録されたユーザのメールアドレスを含む。よって、一部の実施例では、電子デバイス１００は、検証のための個人情報を要求することによって追加的なセキュリティを提供する。一部の実施形態では、検証情報は、ストアドバリューカードの記憶された価値である（又はそれを含む）。よって、一部の実施例では、ストアドバリューカードの現在の記憶された価値を知り、カードへのアクセスを有するユーザは、記憶された価値の少なくともいくつか（又は全て）をストアドバリューカードから電子デバイス１００に記憶された仮想カードに転送することができる。
【０２８７】
図９Ｄ及び図９Ｆに示されるように、電子デバイス１００は、１つ以上の入力デバイス（例えば、仮想キーパッド９１６）を介して、カードの所有権を検証するための検証情報（例えば、９１４Ｃ、９２０Ｃ）を含むユーザからの入力を受信し、検証情報を含むユーザからの入力は、電子デバイスの１つ以上の短距離通信無線機によって受信されず、検証情報は、ストアドバリューカード（例えば、９１０）上に示されない情報を含む。一部の実施例では、検証情報（例えば、９１４Ｃ、９２０Ｃ）は、１つ以上の短距離通信無線機とは異なる電子デバイス１００の第１の入力デバイス（例えば、タッチ感知面、マイクロフォン）を介して受信される。
【０２８８】
一部の実施形態では、電子デバイス１００は、１つ以上の入力デバイスを介して、カードの所有権を検証するための検証情報（例えば、９１４Ｃ、９２０Ｃ）を含むデバイスのユーザからの入力を受信する前に、ストアドバリューカードのカード口座番号を提示しない（例えば、電子デバイスのディスプレイ上で）。よって、一部の実施例では、ユーザは、電子デバイス１００以外の方法を通じてカード（又は口座）番号へのアクセスを有する必要がある。例えば、ユーザは、カードの受領書若しくは送り状に印刷されているカード番号に基づいて、又はカード（例えば、９１０）に印刷されているカード番号に基づいて、カード番号を電子デバイス１００に提供することができる。一部の実施例では、カードが登録されている（例えば、登録モード）との判定に従って、電子デバイスは、１つ以上の入力デバイスを介して、カードの所有権を検証するための検証情報を含むデバイスのユーザからの入力を受信する前に、カードのカード口座番号を提示する（例えば、電子デバイスのディスプレイ上で）。
【０２８９】
図９Ｇに示されるように、電子デバイス１００は、電子デバイスのディスプレイ上で、ユーザが電子デバイスをストアドバリューカードの通信範囲内に（例えば、１つ以上の短距離通信無線機の範囲内に）配置するプロンプト（例えば、９０８、９３０）を表示する。例えば、電子デバイス１００は、電子デバイス１００をストアドバリューカード（例えば、９１０）上に配置することをユーザに命令するプロンプト（例えば、９０８、９３０）を表示し、それによって、電子デバイスの背面（例えば、ディスプレイとは反対の電子デバイスの側面）がストアドバリューカードに最も近くなる。
【０２９０】
図９Ｈに示されるように、ストアドバリューカード（例えば、９１０）が電子デバイス１００の１つ以上の短距離通信無線機の範囲内に配置されている（例えば、図９Ｈに示されるように、カード９１０が電子デバイスの背後に配置される）ことに応じて、電子デバイス１００は、１つ以上の短距離通信無線機（例えば、ＮＦＣ無線機）によって、識別情報（例えば、ストアドバリューカードのカード番号、誕生日、メールアドレス）をストアドバリューカードから受信する。一部の実施形態では、電子デバイス１００は、識別情報がストアドバリューカード（例えば、９１０）から受信されていることのインジケーション（例えば、９１２）を提示する（例えば、ユーザに）。一部の実施例では、受信された識別情報は、ストアドバリューカード（例えば、９１０）のカード番号である。一部の実施例では、受信された識別情報は、ストアドバリューカード（例えば、９１０）の登録されたユーザの誕生日である。一部の実施例では、受信された識別情報は、ストアドバリューカード（例えば、９１０）の登録されたユーザのメールアドレスである。一部の実施形態では、電子デバイス１００は、電子デバイスが識別情報をストアドバリューカード（例えば、９１０）から受信していることを示す（例えば、インジケーション９１２）（例えば、ユーザに）フィードバックを表示及び／又は生成する（例えば、デバイスによって生成される視覚、音声、及び／又は触覚出力）。例えば、電子デバイス１００は、１つ以上の短距離通信無線機（例えば、ＮＦＣ無線機）を介して、識別情報についてストアドバリューカード（例えば、９１０）を検査する。一部の実施例では、図９Ｇに示されるように、電子デバイス１００をストアドバリューカード（例えば、９１０）の通信範囲内に配置するプロンプト（例えば、９０８、９３０）は、図９Ｄ及び図９Ｆに示されるように、検証情報を受信したことに続いて生成される。
【０２９１】
図９Ｉに示されるように、識別情報を受信した後、電子デバイス１００は、検証情報（例えば、９１４Ｃ、９２０Ｃ、ユーザによって入力される）をストアドバリューカードから受信された識別情報と比較することによって、ストアドバリューカード（例えば、９１０）の所有権を検証する。一部の実施形態では、電子デバイス１００は、識別情報がストアドバリューカード（例えば、９１０）から受信されたことのインジケーション（例えば、９２４Ａ）を提示する（例えば、ユーザに）。一部の実施形態では、電子デバイス１００は、ストアドバリューカード（例えば、９１０）の所有権が電子デバイスによって検証されていることのインジケーション（例えば、９２４Ｂ）を提示する（例えば、ユーザに）。一部の実施形態では、識別情報を受信した後、電子デバイス１００は、識別情報をリモートサーバに送信する。リモートサーバは、ストアドバリューカード（例えば、９１０）の所有権を検証し（例えば、検証情報（例えば、９１４Ｃ、９２０Ｃ、ユーザによって入力される）をストアドバリューカードから受信された識別情報と比較することによって）、リモートサーバは、所有権の検証が成功したかについて（例えば、価値が相互に一致し、又は対応する）のインジケーションを電子デバイスに送信する。よって、所有権の判定／検証を、電子デバイス又はリモートデバイスにおいて実行することができる。
【０２９２】
一部の実施形態では、図９Ｊに示されるように、所有権の検証が成功していないとの判定に従って、電子デバイス１００は、所有権の検証が成功しなかったことを示す（例えば、インジケーション９２０Ｄ）フィードバック（例えば、デバイスによって生成される視覚、音声、及び／又は触覚出力）を表示及び／又は生成する。よって、一部の実施例では、電子デバイス１００は、ユーザに検証情報が不正確であるかを通知する。例えば、所有権の検証が成功しなかったとの判定は、ユーザから受信された検証情報（例えば、９１４Ｃ、９２０Ｃ）が識別情報に対応（又は一致）しない場合に行われる。一部の実施例では、所有権の検証が成功していないとの判定に従って、電子デバイス１００は、ストアドバリューカード（例えば、９１０）の所有権を検証するための検証情報（例えば、ストアドバリューカードのカード番号、誕生日、メールアドレス）を再度要求する（例えば、ユーザから）。例えば、電子デバイス１００は、電子デバイスのディスプレイ上で、検証情報を再度入力することをユーザに示すプロンプト（例えば、９２０Ａ、９２０Ｂ）を表示する。
【０２９３】
一部の実施形態では、図９Ｋに示されるように、所有権の検証が成功しているとの判定に従って、電子デバイス１００は、成功した検証の完了のインジケーション（例えば、９２８Ａ、９２８Ｂ）を提示する（例えば、電子デバイスのディスプレイ上で）。例えば、所有権の検証は、検証情報が識別情報に対応する（又は一致する）場合に成功する。一部の実施例では、検証情報は、非口座番号識別子（例えば、誕生日）であり、識別情報は、口座番号である。よって、一部の実施例では、電子デバイス１００は、口座番号に対応する口座の非口座番号識別子（例えば、誕生日）を取り出す（例えば、リモートサーバから）ために識別情報を使用する。取り出された非口座番号識別子が検証情報と一致する場合、検証情報が、識別情報に対応すると考えられ、検証が成功する。
【０２９４】
一部の実施形態では、所有権の検証が成功しているとの判定に従って、電子デバイス１００は、検証されたカード（例えば、９１０）と関連付けられた１つ以上の情報項目（例えば、９２８Ｃ〜９２８Ｅ）の１つ以上のインジケーションを提示する（例えば、表示する）。一部の実施例では、電子デバイス１００は、カード（例えば、９１０）と関連付けられたユーザ（例えば、９２８Ｃ）の名前のインジケーションを提示する（例えば、表示する）。一部の実施例では、電子デバイス１００は、カード（例えば、９１０）の現在の残高（例えば、９２８Ｄ）のインジケーションを提示する（例えば、表示する）。一部の実施例では、電子デバイス１００は、カード（例えば、９１０）と関連付けられたトランジットプラン（又はトランジットパス）情報（例えば、９２８Ｅ）のインジケーションを提示する（例えば、表示する）。
【０２９５】
一部の実施形態では、所有権の検証が成功しているとの判定に従って、電子デバイス１００は、カードから電子デバイス１００に記憶された仮想カードに転送されることになるカード（例えば、９１０）の記憶された価値の額のインジケーションを含むアフォーダンス又は入力フィールド（例えば、９２８Ｆ）を表示する。一部の実施例では、電子デバイスは、カード（例えば、９１０）から電子デバイスに記憶された仮想カードに転送されることになるカードの記憶された価値の額のユーザ入力（例えば、入力フィールド９２８Ｆへの）を受信する。一部の実施形態では、アフォーダンス（例えば、９２８Ｇ）は、アクティブ化されるとき、電子デバイスに、ストアドバリューカード（例えば、９１０）から電子デバイス１００に記憶された仮想カードに転送されることになる額のユーザ選択のためのユーザインタフェースを表示させる。例えば、ユーザは、カード（例えば、９１０）の記憶された価値の全額をカードから電子デバイス１００上の仮想カードに転送することを選択することができる。
【０２９６】
一部の実施形態では、所有権の検証が成功しているとの判定に従って、電子デバイス１００は、価値を転送するプロセスを開始するようユーザ入力によってアクティブ化することができるアフォーダンス（例えば、９２８Ｇ）を表示する。アフォーダンス（例えば、９２８Ｇ）は、アクティブ化されるとき、価値をカード（例えば、９１０）から電子デバイス上の仮想カードに転送するプロセスを開始する。一部の実施形態では、価値を転送するプロセスを開始するためのアフォーダンス（例えば、９２８Ｇ）は、転送されることになる価値の額が選択／受信される（例えば、入力フィールド９２８Ｆへの）前にはアクティブ化することができない。一部の実施形態では、転送価値が選択される場合（例えば、アフォーダンス９２８Ｆで）、アフォーダンス（例えば、９２８Ｆ）をアクティブ化することは、カード（例えば、９１０）上の利用可能な全残高を転送するプロセスを開始する。一部の実施形態では、アフォーダンス（例えば、９２８Ｇ）は、カード（例えば、９１０）上の利用可能な全残高を転送するプロセスを開始する。
【０２９７】
図９Ｌに示されるように、電子デバイス１００は、記憶された価値の少なくともいくつか（又は全て）をカード（例えば、９１０）から電子デバイスに記憶された仮想カードに転送する（例えば、１つ以上の短距離通信無線機によって）。一部の実施形態では、仮想カードは、電子デバイス１００の口座情報アプリケーション（例えば、電子ウォレット）に記憶される。一部の実施形態では、転送の間、電子デバイス１００は、ストアドバリューカード（例えば、９１０）からの記憶された価値の少なくともいくつか（又は全て）が電子デバイス上の仮想カードに転送されていることを示し（例えば、インジケーション９３２Ａ）（例えば、ユーザに）、転送が進行している間の電子デバイス１００のストアドバリューカード（例えば、９１０）への長期接触又は近接性を維持することを示す（例えば、インジケーション９０８、９３２Ｂ）（例えば、ユーザに）フィードバック（例えば、デバイスによって生成される視覚、音声、及び／又は触覚出力）を表示及び／又は生成する。
【０２９８】
一部の実施形態では、記憶された価値の少なくともいくつか（又は全て）をストアドバリューカード（例えば、９１０）から電子デバイス１００に記憶された仮想カードに転送することが成功したことに続いて、仮想カードは、記憶された価値の少なくともいくつか（又は全て）を含み、ストアドバリューカード（例えば、９１０）は、記憶された価値の少なくともいくつか（又は全て）を含まない。一部の実施形態では、記憶された価値の少なくともいくつか（又は全て）をストアドバリューカード（例えば、９１０）から電子デバイス１００に記憶された仮想カードに転送することは、記憶された価値をストアドバリューカード（例えば、９１０）から除去することと、ストアドバリューカードを非アクティブ化する（例えば、カードを破棄し、カードを動作不能にする）する要求をカード（例えば、９１０）と関連付けられたサーバ、サービス、又はデータベースに送信すること（例えば、ネットワーク又はインターネット接続を介して）ことと、を含む。例えば、ストアドバリューカード（例えば、９１０）からの記憶された価値の全てが除去され、ストアドバリューカード（例えば、９１０）が続いて動作不能にされる。よって、一部の実施形態では、物理カード（例えば、９１０）の機能及び／又は価値は、それらの全体が電子デバイス１００に記憶された仮想カードに移動され、それによって、物理カード（例えば、９１０）が仮想カードに置き換わる。
【０２９９】
一部の実施形態では、ストアドバリューカード（例えば、９１０）のカード口座番号を受信する前に、かつカードの所有権を検証する前に（及び／又はカードの所有権の検証のインジケーションを受信する前に）、仮想カードは、電子デバイス１００（例えば、電子デバイス１００の口座情報アプリケーション）に記憶される（例えば、テンプレート仮想カードとして）。一部の実施形態では、電子デバイス１００は、電子デバイス上に既に存在し、いずれの価値又は資産を含まないテンプレート仮想カード（例えば、「ブランク」仮想カード）を含む。一部の実施例では、電子デバイス１００は、記憶された価値の少なくともいくつか（又は全て）をストアドバリューカード（例えば、９１０）からテンプレート仮想カードに転送する。よって、一部の実施例では、カード（例えば、９１０）の機能及び／又は価値をテンプレート仮想カードに移動することができるので、新たな仮想カードで電子デバイス１００を構成する必要がない。新たな仮想カードがプロビジョニング処理又は転送動作の間に作成される必要がないので、テンプレート仮想カードの使用は、資産をストアドバリューカード（例えば、９１０）から電子デバイス１００に転送するプロセスを加速化する。
【０３００】
一部の実施形態では、図９Ｍに示されるように、価値の転送が成功していないとの判定に従って、電子デバイス１００は、価値の転送が成功しなかったことを示す（例えば、インジケーション９３４Ａ）（例えば、ユーザに）フィードバック（例えば、デバイスによって生成される視覚、音声、及び／又は触覚出力）を表示及び／又は生成する。一部の実施形態では、電子デバイス１００は、価値の転送のための価値の転送動作を実行することを繰り返す（例えば、ユーザによって）第２のプロンプト（例えば、９３４Ｂ、第１のプロンプト９３０とは異なる）を表示及び／又は生成する。一部の実施例では、第２のプロンプトは、電子デバイスとのユーザ対話を促す視覚、音声、及び／又は触覚フィードバックを含む。
【０３０１】
一部の実施形態では、図９Ｎに示されるように、記憶された価値の少なくともいくつかの（又は全て）をカード（例えば、９１０）から電子デバイス１００に記憶された仮想カードに転送することが成功したことに続いて、電子デバイスは、ストアドバリューカードに対応する仮想カードの表現を表示する。一部の実施形態では、ストアドバリューカードに対応する仮想カードの表現は、仮想カードのタイプのインジケーション（例えば、９３６Ａ）を含む。一部の実施形態では、ストアドバリューカードに対応する仮想カードの表現は、仮想カードのグラフィカル描写（例えば、９３６Ｂ）を含む。仮想カードのタイプのインジケーション（例えば、９３６Ａ）及びグラフィカル描写（例えば、９３６Ｂ）によって、ユーザが仮想カードを電子デバイス１００上でプロビジョニングされた異なるカードから区別することが可能になる。
【０３０２】
一部の実施形態では、電子デバイス１００上でプロビジョニングされたストアドバリューカードに対応する仮想カードの表現は、複数の選択可能アフォーダンス（例えば、９４０Ａ、９４０Ｂ、９４０Ｃ）を含むメニュー（例えば、９４０）を含む。一部の実施例では、メニュー（例えば、９４０）は、情報アフォーダンス（例えば、９４０Ａ）を含む。一部の実施例では、メニュー（例えば、９４０）は、取引アフォーダンス（例えば、９４０Ｂ）を含む。一部の実施例では、メニュー（例えば、９４０）は、デバイスアフォーダンス（例えば、９４０Ｃ）を含む。一部の実施形態では（例えば、図９Ｎに示されるように、情報アフォーダンス（例えば、９４０Ａ）のユーザ選択に応じて）、仮想カードの表現は、プロビジョニングされたカード（例えば、９１０）に対応する仮想カードに関する１つ以上の情報項目（例えば、９３６Ｃ〜９３６Ｅ）を個々に又は同時に表示することができる。一部の実施例では、電子デバイス１００は、仮想カードに登録された口座のユーザ名（例えば、９３６Ｃ）を表示する。一部の実施例では、電子デバイス１００は、仮想カード上の資産の残高（例えば、９３６Ｄ）を表示する。一部の実施例では、電子デバイス１００は、仮想カードのトランジットパス情報（例えば、９３６Ｅ）（例えば、月次のパス、１０回の乗車のパスなど）を表示する。電子デバイス１００のが、ユーザの知覚に対して、プロビジョニングされたカード（例えば、９１０）に対応する仮想カードの詳細に関する情報（例えば、デバイスによって生成される視覚、音声、及び／又は触覚出力）を生成することの１つの例は、ディスプレイ上で、仮想カードの詳細に関する情報を表示することである。
【０３０３】
一部の実施形態では、記憶された価値の少なくともいくつか（又は全て）をストアドバリューカード（例えば、９１０）から電子デバイス１００に記憶された仮想カードに転送することが成功したことに続いて、電子デバイスは、ストアドバリューカードに対応する仮想カードの記憶された価値（例えば、９３６Ｄ）を表示する。例えば、電子デバイス１００の電子ウォレットアプリケーションが同一のタイプの複数の仮想カード（又は口座）（例えば、複数のトランジットカード）を含む場合、複数の仮想カードの各々の価値は、目立つように表示される。この改善されたフィードバックは、ユーザに、電子デバイスに記憶された（又は電子デバイスによってアクセス可能な）複数の仮想カードとそれらの対応する記憶された価値との間で区別する能力を提供することによって、電子デバイスの操作性を高める。
【０３０４】
一部の実施形態では、記憶された価値の少なくともいくつか（又は全て）をストアドバリューカード（例えば、９１０）から電子デバイス１００に記憶された仮想カードに転送したことに続いて、かつ電子デバイスが別のリンクされたトランジット口座を有さないとの判定に従って（例えば、新たにプロビジョニングされるトランジット口座が初期（最初の）プロビジョニングされたトランジット口座及び／又は電子デバイスにリンクされた現在アクティブなトランジット口座のみである）、電子デバイスは、認証をチェックすることなく仮想カードの口座を使用のために利用可能とするように指定する（デフォルトで指定し、又はユーザが指定することを促す）。例えば、仮想カードが初期（最初の）プロビジョニングされたトランジット口座に対応する場合、仮想カードは、プロビジョニングされたトランジット口座のみに対応し、よって現在アクティブなトランジット口座のみである。一部の実施例では、仮想カードがプロビジョニングされたトランジット口座のみに対応する場合、電子デバイス１００は、仮想カードが電子デバイスの口座情報アプリケーションのトランジット口座のみに対応するとの判定に基づいて、仮想カードをエクスプレストランジットカードとするように指定する。一部の実施形態では、エクスプレストランジットカード（例えば、支払いを行い、又は認証情報を送信するための）を使用することは、図１５Ａ〜１５Ｍに関連して説明されるように、特定の状況（例えば、検出された無線信号が、例えば、取引端末からの要求又はトランジット口座からの資産についての要求に対応する取引）では認証をチェックすることを必要としない。よって、仮想カードをエクスプレストランジットカードとして指定することは、必要とされるユーザ入力の数を低減し、それによって、技術をより効率的にし、かつバッテリ電力を節約する。
【０３０５】
一部の実施形態では、記憶された価値の少なくともいくつかをストアドバリューカード（例えば、９１０）から電子デバイス１００に記憶された仮想カードに転送する（又は全てを転送する）ことに続いて、かつ仮想カードが電子デバイスの口座情報アプリケーション（例えば、電子ウォレット）上でプロビジョニングされたトランジット口座のみに対応しないとの判定に従って、電子デバイスは、認証をチェックすることなく仮想カードの口座を使用のために利用可能とするように指定することを見合わせる（又はユーザが指定することを促すことを見合わせる）。例えば、仮想カードが初期（最初の）プロビジョニングされたトランジット口座に対応しない場合、仮想カードは、プロビジョニングされたトランジット口座のみに対応せず、よって現在アクティブなトランジット口座のみでない。一部の実施例では、仮想カードがプロビジョニングされたトランジット口座のみに対応しない場合、電子デバイス１００は、認証をチェックすることなく仮想カードの口座を使用のために利用可能としないように指定する（又はユーザが指定するよう促す）。よって、一部の実施例では、電子デバイス１００は、仮想カードが口座情報アプリケーションのトランジット口座のみでないとの判定に基づいて、仮想カードをエクスプレストランジットカードとするように指定しない。
【０３０６】
一部の実施形態では、記憶された価値の少なくともいくつかをストアドバリューカード（例えば、９１０）から電子デバイス１００に記憶された仮想カードに転送する（又は全てを転送する）ことに続いて、かつ電子デバイスが別のリンクされたトランジット口座を有さない（例えば、新たにプロビジョニングされるトランジット口座が初期（最初の）プロビジョニングされたトランジット口座及び／又は電子デバイスにリンクされた現在アクティブなトランジット口座のみである）との判定に従って、更に認証をチェックすることなく口座を使用のために利用可能としない要望を示すユーザ入力（例えば、口座情報アプリケーションの前のエクスプレストランジットカードを除去し、又は前の口座をエクスプレストランジットカードとして追加することを拒否するユーザ入力）を受信したことに従って、電子デバイスは、認証をチェックすることなく仮想カードの口座を使用のために利用可能とするように指定することを見合わせる（又はユーザが指定することを促すことを見合わせる）。一部の実施例では、電子デバイス１００は、認証をチェックすることなく仮想カードの口座を使用のために利用可能としないように指定する（又はユーザが指定することを促す）。よって、一部の実施例では、電子デバイス１００は、仮想カードが口座情報アプリケーションのトランジット口座のみでないとの判定に基づいて、仮想カードをエクスプレストランジットカードとするように指定しない。よって、一部の実施形態では、電子デバイス１００は、仮想カードをエクスプレストランジットカードとするように指定し、又は指定することを見合わせる際のユーザの優先度に適合する。トランジット取引はまた、トランジット接続をするのに急いでいるユーザ（又は他の乗客）での混雑したトランジット駅では頻繁に行われる。最も正確かつ信頼できる認証でさえ、正当なユーザが適切に認証されない（例えば、ユーザの指紋が正確に識別されず、又はユーザが誤ったパスワード、暗証番号、若しくはパターンを入力することを理由に）誤った否定結果のいくらかの可能性が常に存在する。特定の取引のためのユーザ承認の代わりに、取引端末の識別をトランジット取引端末として確立する（例えば、取引端末信号又は他のコンテキスト情報によって確立される）ことによってセキュリティが提供されるエクスプレストランジット取引モデルを使用することは、ユーザ（又は他の乗客）がデバイスとのトランジット取引を行う間に認証の誤った否定結果によって不便となる可能性を低減する。
【０３０７】
図１０は、一部の実施形態に従った、電子デバイス上で口座をプロビジョニングする方法を示すフローチャートである。方法１０００は、ディスプレイ、１つ以上の入力デバイス、及び１つ以上の短距離通信無線機を有するデバイス（例えば、１００、３００、５００）において実行される。方法１０００におけるいくつかの動作は任意選択的に組み合わされ、いくつかの動作の順序は任意選択的に変更され、いくつかの動作は任意選択的に省略される。
【０３０８】
以下で説明されるように、方法１０００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０３０９】
ブロック１００２において、電子デバイスは、ストアドバリューカード（例えば、９１０）（例えば、資産及び／又はデータがバイナリコードデータの形式でカードに記憶された、ＮＦＣ読取可能ストアドバリューカード、ストアドバリュートランジットカード、ストアドバリューギフトカード）の所有権を検証するための検証情報（例えば、９１４Ａ〜９１４Ｂ、９２０Ａ〜９２０Ｂ）（例えば、ストアドバリューカードのカード番号、誕生日、メールアドレス）を要求し（例えば、電子デバイスのディスプレイ上でプロンプトを表示することによって）、ストアドバリューカードは、記憶された価値を有する。例えば、検証情報は、ストアドバリューカードの所有権を確認するために使用される。したがって、所有権を検証することによって、電子デバイスの操作性は、承認されていないカードからの資産に基づいてデバイスをプロビジョニングすることを防止することによって高まる。
【０３１０】
一部の実施形態に従って、ストアドバリューカード（例えば、９１０）は、ストアドバリュートランジットカードである。一部の実施例では、ストアドバリュートランジットカードは、トランジットプラン（又はトランジットパス）情報を記憶する。一部の実施例では、トランジットプランは、月次又は週次のトランジットプランである。一部の実施例では、ストアドバリュートランジットカードは、電子マネーを記憶する。よって、一部の実施例では、電子デバイスは、ユーザにトランジットシステムへのアクセスを提供するために使用することができる口座をプロビジョニングする能力をユーザに提供する。
【０３１１】
一部の実施形態に従って、仮想カードは、トランジット仮想カードである。一部の実施例では、トランジット仮想カードは、トランジットプラン（又はトランジットパス）情報を記憶する。一部の実施例では、トランジットプランは、月次又は週次のトランジットプランである。一部の実施例では、トランジット仮想カードは、電子マネーを記憶する。一部の実施形態に従って、仮想カードは、ストアドバリュー仮想カードである。一部の実施例では、ストアドバリュー仮想カードは、電子マネーを記憶する。よって、一部の実施例では、電子デバイスは、ユーザにトランジットシステムへのアクセス提供するために仮想カードを使用する能力をユーザに提供する。
【０３１２】
一部の実施形態に従って、検証情報は、ストアドバリューカード（例えば、９１０）のカード口座番号である。一部の実施例では、検証情報は、ストアドバリューカードの記憶された価値である（又はそれを含む）。よって、一部の実施例では、カードの現在の記憶された価値を知るユーザは、記憶された価値の少なくともいくつか（又は全て）をカードからデバイスに記憶された仮想カードに転送することが可能である。
【０３１３】
一部の実施形態に従って、検証情報（例えば、９２０Ｃ）は、ストアドバリューカードの登録されたユーザに個人的な情報である。一部の実施例では、検証情報は、非口座番号識別子（例えば、誕生日）である。一部の実施例では、検証情報は、ストアドバリューカードの登録されたユーザの誕生日である。一部の実施例では、検証情報は、ストアドバリューカードの登録されたユーザのメールアドレスである。よって、一部の実施例では、電子デバイスは、検証のための個人情報を要求することによって、追加的なセキュリティを提供する。したがって、ユーザに個人的な情報を使用して所有権を検証することによって、電子デバイスの操作性は、承認されていないカードからの資産に基づいてデバイスをプロビジョニングすることを防止するために高められたレベルのセキュリティを提供することによって高まる。
【０３１４】
ブロック１００４において、電子デバイスは、１つ以上の入力デバイスを介して、カード（例えば、９１０）の所有権を検証するための検証情報（例えば、９１４Ｃ、９２０Ｃ）を含む電子デバイスのユーザからの入力を受信し（例えば、１つ以上の短距離通信無線機によってではなく）、検証情報は、カード上に示されない情報を含む。一部の実施例では、検証情報は、１つ以上の短距離通信無線機とは異なる電子デバイスの第１の入力デバイス（例えば、タッチ感知面、マイクロフォン）を介して受信される。
【０３１５】
一部の実施形態に従って、電子デバイスは、１つ以上の入力デバイスを介して、カードの所有権を検証するための検証情報（例えば、９１４Ｃ、９２０Ｃ）を含む電子デバイスのユーザからの入力を受信する前に、ストアドバリューカード（例えば、９１０）のカード口座番号を提示しない（例えば、電子デバイスのディスプレイ上で）。よって、ユーザは、電子デバイスを通じて以外の方法を通じてカード（又は口座）番号へのアクセスを有する必要がある。例えば、ユーザは、カードの受領書若しくは送り状に印刷されているカード番号に基づいて、又はカードに印刷されているカード番号に基づいて、カード番号を提示することができる。一部の実施例では、カードが登録されている（例えば、「登録モード」）との判定に従って、電子デバイスは、１つ以上の入力デバイスを介して、カードの所有権を検証するための検証情報を含むデバイスのユーザからの入力を受信する前に、カードのカード口座番号を提示する（例えば、電子デバイスのディスプレイ上で）。
【０３１６】
ブロック１００６において、電子デバイスは、電子デバイスのディスプレイ上で、電子デバイスをストアドバリューカード（例えば、９１０）の通信範囲内（例えば、１つ以上の短距離通信無線機の）に配置するプロンプト（例えば、９０８、９３０）を表示する。例えば、電子デバイスは、電子デバイスをストアドバリューカード上に配置することをユーザに命令するプロンプトを表示し、それによって、電子デバイスの背面（例えば、ディスプレイとは反対の電子デバイスの側面）がストアドバリューカードに最も近くなる。一部の実施例では、デバイスを通信範囲内に配置するプロンプトは、識別情報を受信したことに続いて提供される。よって、電子デバイスは、プロンプトを表示することによって、ユーザに、電子デバイスがストアドバリューカードと通信することを試みていることを通知し、それによって、ユーザが電子デバイスをストアドバリューカードの近く又はその上に配置することを促す。
【０３１７】
ブロック１００８において、電子デバイスは、１つ以上の短距離通信無線機（例えば、ＮＦＣ無線機ｌ）によって、識別情報（例えば、ストアドバリューカードのカード番号、誕生日、メールアドレス）をストアドバリューカード（例えば、９１０）から受信する。例えば、電子デバイスは、識別情報についてストアドバリューカードを検索する。
【０３１８】
ブロック１０１０において、電子デバイスは、検証情報（例えば、９１４Ｃ、９２０Ｃ）を識別情報と比較することによってストアドバリューカード（例えば、９１０）の所有権を検証する。よって、電子デバイスは、ストアドバリューカードの所有権を検証することによって、個人が所有しないカードから資産が電子的に盗難されることを防止することによって、追加的な安全を提供する。一部の実施形態に従って、カード（例えば、９１０）のカード口座番号を受信する前に、かつカードの所有権を検証する前に、仮想カードは、電子デバイスに記憶される（例えば、口座情報アプリケーションに）。一部の実施例では、電子デバイスは、いずれの価値（例えば、資産）を有しない「ブランク」仮想カードを含む。電子デバイスは、記憶された価値の少なくともいくつか（又は全て）をカードから「ブランク」仮想カードに転送する。よって、既存の仮想カードに積み立てることができるので、新たな仮想カードで電子デバイスを構成する必要がない。一部の実施例では、これは、資産を電子デバイスに転送するプロセスを加速化する。
【０３１９】
ブロック１０１２において、所有権の検証が成功している（例えば、検証情報が識別情報に対応する（又は一致する））との判定に従って、ブロック１０１４において、電子デバイスは、記憶された価値の少なくともいくつか（又は全て）をストアドバリューカード（例えば、９１０）から電子デバイスに記憶された仮想カードに転送する（例えば、電子デバイスの電子ウォレットアプリケーションに記憶された口座を転送する）。一部の実施例では、電子デバイスは、セキュア要素を含み、記憶された価値の少なくともいくつかをストアドバリューカードから電子デバイスに記憶された仮想カードに転送することは、電子デバイスのセキュア要素に、仮想カードの記憶された価値にアクセスするための情報を記憶することを含む。一部の実施例では、カードからの記憶された価値のいくつか又は全てが仮想カードに転送されるとき、価値を仮想カードから取り出すための情報は、情報をセキュア要素から取り出す適切に処理された支払い取引なしに、記憶された価値にアクセスすることができないことを保証するためにセキュア要素に記憶される。したがって、価値を電子デバイスに記憶された仮想カードに転送することによって、デバイスが仮想カードに記憶された新たに転送された資産を使用して取引に参加することが可能になるので、デバイスの電子デバイスの操作性が高まる。一部の実施例では、検証情報は、非口座番号識別子（例えば、誕生日）であり、識別情報は、口座番号である。電子デバイスは、口座番号に対応する口座の非口座番号識別子（例えば、誕生日）を取り出すために（例えば、リモートサーバから）識別情報を使用する。取り出された非口座番号識別子が識別情報に一致する場合、検証情報は、識別情報に対応すると考えられ、検証が成功する。
【０３２０】
一部の実施形態に従って、記憶された価値の少なくともいくつか（又は全て）をストアドバリューカード（例えば、９１０）から電子デバイスに記憶された仮想カードに転送することは、記憶された価値をストアドバリューカード（例えば、９１０）から除去し、ストアドバリューカード（例えば、９１０）を非アクティブ化する（例えば、カードを破棄し、カードを動作不能にする）要求をサーバに送信することを含む。例えば、電子デバイスは、全ての価値をストアドバリューカードから除去し、カードを動作不能にする。よって、一部の実施例では、ストアドバリューカードの完全な機能及び／又は価値は、仮想カードに移動され、物理カードが仮想カードに置き換わる。
【０３２１】
一部の実施形態に従って、ブロック１０１６において、所有権の検証が成功していない（例えば、検証情報が識別情報に対応（又は一致）しない（例えば、所有権の検証が成功しない））との判定に従って、電子デバイスは、ブロック１０１８において、所有権の検証が成功しなかったことを示す（例えば、インジケーション９２０Ｄ）（例えば、電子デバイスのディスプレイ上で通知を表示することによって）フィードバック（例えば、デバイスによって生成される視覚、音声、及び／又は触覚出力）を表示及び／又は生成し、ブロック１０２０において、ストアドバリューカード（例えば、９１０）の所有権を検証するための検証情報（例えば、ストアドバリューカードのカード番号、誕生日、メールアドレス）を（再度）要求する（例えば、ユーザから）（例えば、電子デバイスのディスプレイ上でプロンプトを表示することによって）。よって、一部の実施例では、電子デバイスは、ユーザに検証情報が不正確であるかを通知する。よって、電子デバイスは、フィードバックを生成することによって、ユーザに、電子デバイスが所有権の検証が成功しなかったと判定したことを通知し、それによって、ユーザが所有権を再度検証するために情報を提供することを促す。
【０３２２】
一部の実施形態に従って、記憶された価値の少なくともいくつかをストアドバリューカード（例えば、９１０）から電子デバイスに記憶された仮想カードに転送したことに続いて、電子デバイスは、ディスプレイ上で、仮想カードの記憶された価値を表示する。例えば、電子デバイスの電子ウォレットアプリケーションが同一のタイプの複数の仮想カード（又は口座）を含む場合、仮想カードの価値は、ユーザが複数の仮想カードの間で区別することを支援するために目立つように表示される。よって、電子デバイスは、ユーザに仮想カードの記憶された価値を通知する。この改善されたフィードバックは、ユーザに、電子デバイスに記憶された（又は電子デバイスによってアクセス可能な）複数の仮想カードとそれらの対応する記憶された価値との間で区別する能力を提供することによって、電子デバイスの操作性を高める。
【０３２３】
一部の実施形態に従って、記憶された価値の少なくともいくつか（又は全て）をストアドバリューカード（例えば、９１０）から電子デバイスに記憶された仮想カードに転送したことに続いて、電子デバイスは、仮想カードのトランジットプラン情報（例えば、月次のパス、１０回の乗車のパスなど）を表示し、トランジットプラン情報は、転送された記憶された価値の少なくともいくつか（又は全て）に基づいている。よって、電子デバイスは、ユーザに仮想カードの詳細について通知する。この改善されたフィードバックは、どの仮想カードがデバイスに記憶されるか、もしある場合、仮想カードがどのトランジットプラン情報を含むかなど、ユーザに電子デバイスの状態を通知する。
【０３２４】
一部の実施形態に従って、記憶された価値の少なくともいくつか（又は全て）をストアドバリューカード（例えば、９１０）から電子デバイスに記憶された仮想カードに転送したことに続いて、電子デバイスは、仮想カードの残高（例えば、９３６Ｄ）、仮想カードに登録された口座のユーザ名（例えば、９３６Ｃ）、及び仮想カードのトランジットプラン情報（例えば、月次パス、１０回の乗車のパスなど）（例えば、９３６Ｅ）のうちの１つ以上を表示する（例えば、同時に）。よって、電子デバイスはユーザに仮想カードの詳細について通知する。
【０３２５】
一部の実施形態に従って、（例えば、記憶された価値の少なくともいくつか（又は全て）をカードから記憶された仮想カードに転送したことに続いて）電子デバイスが別のリンクされたトランジット口座を有していない（例えば、新たにプロビジョニングされるトランジット口座が初期（最初の）プロビジョニングされたトランジット口座及び／又は電子デバイスにリンクされた現在アクティブなトランジット口座のみである）との判定に従って、電子デバイスは、認証をチェックすることなく仮想カードの口座を使用のために利用可能とするように指定する。一部の実施例では、取引に参加するために仮想カードの口座を使用することは、情報（例えば、取引情報、支払い情報）を電子デバイスのセキュア要素から解放することを含む。よって、電子デバイスは、仮想カードをエクスプレストランジットカードとするように指定し（仮想カードが口座情報アプリケーションのトランジット口座のみであるとの判定に基づいて）、エクスプレストランジットカードは、検出される無線信号が第１のタイプの要求（例えば、取引端末からの要求、トランジット口座からの資産についての要求）に対応する取引のために認証をチェックすることなく電子デバイスが使用することができるものである。よって、認証をチェックすることなく仮想カードを使用のために利用可能とするよう自動的に指定することによって、電子デバイスの操作性は、仮想カードを使用して取引操作を実行するために必要な入力の数を低減することによって高まる。一部の実施形態に従って、電子デバイスが１つ以上の他のリンクされたトランジット口座を有するとの判定に従って、電子デバイスは、認証をチェックすることなく仮想カードの口座を使用のために利用可能とするように指定することを見合わせる（又はユーザが指定することを促すことを見合わせる）（及び／又は認証をチェックすることなく仮想カードの口座を使用のために利用可能としないように指定する）。よって、電子デバイスは、仮想カードをエクスプレストランジットカードとするように指定しない（仮想カードが口座情報アプリケーションのトランジット口座のみでないとの判定に基づいて）。
【０３２６】
一部の実施形態に従って（例えば、記憶された価値の少なくともいくつか（又は全て）をカードから記憶された仮想カードに転送したことに続いて）電子デバイスが別のリンクされたトランジット口座を有していない（例えば、新たにプロビジョニングされるトランジット口座が初期（最初の）プロビジョニングされたトランジット口座及び／又は電子デバイスにリンクされた現在アクティブなトランジット口座のみである）との判定に従って、更に認証をチェックすることなく口座を使用のために利用可能としない要望を示すユーザ入力（例えば、口座情報アプリケーションの前のエクスプレストランジットカードを除去するユーザ入力）を受信したことに従って、電子デバイスは、認証をチェックすることなく仮想カードの口座を使用のために利用可能とするように指定することを見合わせる（及び／又は認証をチェックすることなく仮想カードの口座を使用のために利用可能としないように指定する）。よって、電子デバイスは、仮想カードをエクスプレストランジットカードとするように指定しない（仮想カードが口座情報アプリケーションのトランジット口座のみでないとの判定に基づいて）。一部の実施例では、認証をチェックすることなく口座を使用のために利用可能としない要望を示すユーザ入力を受信しないことに従って、又は認証をチェックすることなく口座を使用のために利用可能とする要望を示すユーザ入力を受信したことに従って、電子デバイスは、認証をチェックすることなく使用のために利用可能とする仮想カードの口座を選択する。よって、電子デバイスは、仮想カードをエクスプレストランジットカードとするように指定し、エクスプレストランジットカードは、検出される無線信号が第１のタイプの要求（例えば、取引端末からの要求、トランジット口座からの資産についての要求）に対応する取引のために認証をチェックすることなく電子デバイスが使用することができるものである。
【０３２７】
一部の実施形態に従って、電子デバイスは、認証をチェックすることなく口座を使用のために利用可能としない要望を示すユーザ入力を受信し（例えば、認証をチェックすることなく使用のための「口座なし」オプションを選択するユーザ入力を受信することによって）、かつ認証をチェックすることなく口座を使用のために利用可能としない要望を示すユーザ入力を受信したことに応じて、認証をチェックすることなく仮想カードの口座を使用のために利用可能としないように指定する。よって、ユーザは、エクスプレストランジットカードのための機能を無効にすることができる。
【０３２８】
一部の実施形態に従って、電子デバイスは、認証をチェックすることなく使用のために利用可能とする口座を選択する（例えば、口座情報アプリケーションの複数の口座の中から仮想カードに対応する口座）ユーザ入力を受信し、認証をチェックすることなく使用のために利用可能とする口座を選択するユーザ入力を受信したことに応じて、図１５Ａ〜１５Ｍに関連して説明されるように、認証をチェックすることなく選択された口座（例えば、口座情報アプリケーションの）を使用のために利用可能とするように指定する。よって、ユーザは、選択された口座をエクスプレストランジットカードとするべきことを指定することができる。
方法１０００に関して上記説明された処理（例えば、図１０）の詳細はまた、上記及び以下で説明される方法にも、類似の方式で適用可能であることに留意されたい。例えば、方法８００、１２００、１４００、１６００、１８００、及び２０００は任意選択的に、方法１０００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明される資産をストアドバリュー口座に追加するために使用されてもよい。別の実施例について、積立口座は、方法１８００及び２０００に関して議論されるように、異なるデバイスに又は異なるデバイスから移動されてもよい。簡潔にするために、これらの詳細は、以下では繰り返さない。
【０３２９】
図１１Ａ〜１１Ｎは、一部の実施形態に係る、ディスプレイ及び１つ以上の入力デバイスを有する電子デバイス（例えば、１００）上でプロビジョニングされたストアドバリュー口座に価値を追加するための例示的なユーザインタフェースを示す。これらの図のユーザインタフェースは、図１２Ａ〜１２Ｂのプロセスを含めた、以下で説明されるプロセスを示すために使用される。
【０３３０】
一部の実施形態に従って、ユーザは、価値を電子デバイスのストアドバリュー口座に追加することを望む。例えば、ユーザは、資産を電子デバイスにも記憶された支払い口座（例えば、リボルビングクレジット口座）から引き落とすプロセスを開始し、資産をストアドバリュー口座（例えば、トランジット口座）に転送する。一部の実施例では、ユーザは、取引に参加するために（例えば、ＮＦＣを使用してトランジットのための支払いをするために）ストアドバリュー口座の資産を別個に使用することができ、別個の取引に参加するために（例えば、ＮＦＣを使用して小売りの購入ための支払いをするために）支払い口座を使用することができる。
【０３３１】
図１１Ａは、例示的な電子デバイス１００を示す。電子デバイス１００は、ストアドバリュー口座及び支払い口座を含む電子ウォレットアプリケーションを有する。電子デバイス１００は、電子デバイスのディスプレイ上で、アクティブ化可能な追加−価値オプションを含むストアドバリュー口座の表現を表示する。図１１Ａ〜図１１Ｂは、一部の実施形態に係る、電子デバイス１００のディスプレイ上に表示されるストアドバリュー口座の表現を示す。一部の実施形態では、ストアドバリュー口座は、支払い口座である。一部の実施例では、支払い口座は、リボルビングクレジット口座又はデビット口座に対応する。一部の実施形態では、ストアドバリュー口座は、トランジット口座である。一部の実施例では、トランジット口座は、トランジットプラン（又はトランジットパス）情報を記憶する。一部の実施例では、トランジットプランは、月次又は週次のトランジットプランである。一部の実施例では、ストアドバリュー口座の資産は、バイナリコードデータの形式で電子デバイス１００に物理的に記憶される。一部の実施例では、ストアドバリュー口座は、閉ループストアドバリュー口座である。一部の実施例では、ストアドバリュー口座は、電子マネーを記憶する。一部の実施形態では、図１１Ａに示されるように、ストアドバリュー口座の表現は、ストアドバリュー口座のグラフィカル描写（例えば、１１４２Ａ）を含む。ストアドバリュー口座のグラフィカル描写（例えば、１１４２Ａ）によって、ユーザは、ストアドバリュー口座を電子デバイス１００上でプロビジョニングされた異なる口座から区別することが可能になる。一部の実施形態では、ストアドバリュー口座の表現は、ストアドバリュー口座の利用可能なクレジット（例えば、利用可能な資産）のインジケーション（例えば、１１４２Ｂ）を含む。
【０３３２】
一部の実施形態では、ストアドバリュー口座の表現は、複数の選択可能アフォーダンス（例えば、１１４０Ａ、１１４０Ｂ、１１４０Ｃ）を含むメニュー（例えば、１１４０）を含む。一部の実施例では、メニュー（例えば、１１４０）は、情報アフォーダンス（例えば、１１４０Ａ）を含む。一部の実施例では、メニュー（例えば、１１４０）は、取引アフォーダンス（例えば、１１４０Ｂ）を含む。一部の実施例では、メニュー（例えば、１１４０）は、デバイスアフォーダンス（例えば、１１４０Ｃ）を含む。一部の実施形態では（例えば、図１１Ａに示されるように、情報アフォーダンス（例えば、１１４０Ａ）のユーザ選択に応じて）、ストアドバリュー口座の表現は、転送−口座オプション（例えば、１１４６Ａ）を表示する。よって、一部の実施例では、図１７Ｃ〜１７Ｈに関連して説明されるように、電子デバイス１００は、ユーザに口座を１つのデバイスから別のデバイスに移動させるオプションを提供する。
【０３３３】
一部の実施形態では（例えば、図１１Ａに示されるように、情報アフォーダンス（例えば、１１４０Ａ）のユーザ選択に応じて）、ストアドバリュー口座の表現は、複数のデバイス（例えば、ユーザ口座と関連付けられた）のうちの１つ以上のデバイスの、ストアドバリュー口座が現在存在するデバイスのインジケーション（例えば、１１４４）、ストアドバリュー口座の機能及び／又はデータ（例えば、現在の残高、トランジットパス情報）、通知を有効又は無効にするための選択アフォーダンス（例えば、１１４８Ａ）、図１５Ａ〜１５Ｍに関連して説明されるように、認証をチェックすることなくストアドバリュー口座を使用のために利用可能とすることを有効又は無効にするための選択アフォーダンス（例えば、１１４８Ｂ）、ストアドバリュー口座を２つ以上のデバイス（例えば、ユーザの口座と関連付けられた）において行われる取引に対する使用のために利用可能とするように指定し又は指定しないための選択アフォーダンス（例えば、１１４８Ｃ）を表示するが、ストアドバリュー口座の支払い認証情報は、図１９Ａ〜１９Ｈに関連して説明されるように、２つ以上のデバイスのうちの１つのみに一度に記憶される（ストアドバリュー口座であるストアドバリュー口座の制限）。
【０３３４】
一部の実施形態では、電子デバイス１００は、ストアドバリュー口座と関連付けられた取引に関する通知を受信し、又は受信しない要望を示すユーザ入力を受信する（例えば、選択アフォーダンス１１４８Ａに関して示されるように、選択アフォーダンスを「オン」又は「オフ」の位置に移動させることによって）。一部の実施形態では、電子デバイス１００は、図１５Ａ〜１５Ｍに関連して説明されるように、認証をチェックすることなくストアドバリュー口座を使用のために利用可能とする要望を示すユーザ入力を受信する（例えば、選択アフォーダンス１１４８Ｂに関して示されるように、選択アフォーダンスを「オフ」の位置に移動させることによって）。よって、電子デバイス１００は、ユーザに、ストアドバリュー口座をエクスプレストランジット口座として指定し又は指定しない（例えば、選択アフォーダンス１１４８Ｂを使用して）オプションを提供し、それによって、資産が認証を必要とすることなく特定の取引において送信される。一部の実施形態では、ストアドバリュー口座がエクスプレストランジット口座として指定されるとき（例えば、選択アフォーダンス１１４８Ｂを「オン」の位置に移動させることによって）、電子デバイス１００は、ストアドバリュー口座へのより高速なアクセスを提供する。一部の実施形態では、ストアドバリュー口座がエクスプレストランジット口座として指定されないとき（例えば、選択アフォーダンス１１４８Ｂを「オフ」の位置に移動させることによって）、電子デバイス１００は、電子デバイス上でプロビジョニングされた口座のための追加のセキュリティを提供する。一部の実施形態では、電子デバイス１００は、ストアドバリュー口座を複数のデバイス（例えば、ユーザの口座と関連付けられた）のうちの２つ以上のデバイスにおいて使用のために利用可能とする口座として指定するユーザ入力を受信する（例えば、選択アフォーダンス１１４８Ｃに関して示されるように、選択アフォーダンスを「オン」又は「オフ」の位置に移動させる入力を受信することによって）。一部の実施例では、ストアドバリュー口座は、２つ以上のデバイス（例えば、ユーザの口座と関連付けられた）において行われる取引に対する使用のために利用可能とするように指定されるが、ストアドバリュー口座の認証情報は、図１９Ａ〜１９Ｈに関連して説明されるように、２つ以上のデバイスのうちの１つのみに一度に記憶される（例えば、ストアドバリュー口座であるストアドバリュー口座の制限）。よって、一部の実施例では、電子デバイス１００は、ユーザがストアドバリュー口座を電子デバイスにおいて利用可能とするように指定したときにストアドバリュー口座の認証情報を要求する。
【０３３５】
一部の実施形態では、電子デバイス１００は、電子デバイスのディスプレイ上で、アクティブ化可能な追加−価値オプションを含まない第２の支払い口座の表現を表示する。一部の実施例では、第２の支払いは、ストアドバリュー口座でなく、電子デバイス１００において積み立てられることができない。一部の実施例では、第２の支払い口座の表現は、支払い口座（例えば、リボルビングクレジット口座）の現在の残高（例えば、保有される資金）を含み、ストアドバリュー口座の表現は、ストアドバリュー口座の現在の残高（例えば、利用可能な資産）を含む。
【０３３６】
一部の実施形態では、ストアドバリュー口座がトランジット口座であるとの判定に従って、ストアドバリュー口座の表現は、トランジット口座と関連付けられたトランジットプラン（例えば、週次又は月次のトランジットプラン）のインジケーションを含む。一部の実施例では、ストアドバリュー口座の表現は、トランジット口座と関連付けられたトランジットプランのインジケーションを含み、またトランジットプランの有効日のインジケーションを含む。また、ユーザが、予め定められた期間（例えば、１月）についてのプランを更新するオプションを選択する場合、新たな有効日は、有効日が現在の有効日から少なくとも１月分を新たな有効日に延長されることを示すように表示される。よって、一部の実施例では、電子デバイス１００は、ユーザに、トランジット口座と関連付けられたトランジットプラン及びトランジットプランの有効日を通知し、それによって、ユーザは、ストアドバリュー口座に積み立て、又はそうでない場合、ストアドバリュー口座との取引を実行するためのより情報に基づく決断（informed decision）を行うことが可能になる。
【０３３７】
一部の実施形態では、支払い口座の支払い口座番号は、電子デバイス１００に対して一意である。一部の実施形態では、支払い口座を使用して支払いを行うことは、支払い口座のための支払いカードの物理的な存在を検証することなく承認されてもよい（例えば、支払いカードに印刷されたＣＶＶを入力することによって）。一部の実施例では、この技術は、電子デバイス１００のディスプレイ上で、支払い口座の支払い口座番号を表示することなく実行される。一部の実施例では、取引に使用されることになる支払い口座の支払い口座番号は、ユーザによって提供されない。すなわち、支払い口座番号は、前に入力されておらず、又はそうでない場合、ユーザによって提供されていない。
【０３３８】
一部の実施例では、電子デバイス１００は、セキュア要素を含む。セキュア要素は、データ又はアルゴリズムを安全に記憶するように構成されたハードウェア構成要素（例えば、セキュアマイクロコントローラチップ）である。一部の実施例では、セキュア要素は、支払い口座に対応する支払い情報（例えば、支払い口座番号及び／又は取引に特有な動的セキュリティコード）を提供（又は解放）する。一部の実施例では、セキュア要素は、電子デバイス１００がデバイスについての認証情報を含むユーザ認証など（支払い口座についての識別情報とは反対に）、承認を受信したことに応じて、支払い情報を提供（又は解放）する。一部の実施例では、ユーザ認証は、指紋認証を使用して実行される。例えば、電子デバイス１００は、電子デバイスの指紋センサ（例えば、ボタンに統合された指紋センサ）において指紋を検出する。次いで、電子デバイス１００は、検出された指紋が電子デバイス上の登録された指紋と一致するかを判定する。指紋が登録された指紋と一致するとの判定に従って、セキュア要素は、支払い口座についての支払い情報を提供（又は解放）する。指紋が電子デバイス上の登録された指紋と一致しないとの判定に従って、セキュア要素は、支払い口座についての支払い情報を提供（又は解放）することを見合わせる。一部の実施例では、ユーザ認証は、暗証番号認証を使用することによって、又は電子デバイスがロック解除状態にあるときに電子デバイス１００上のハードウェアボタンの二重押圧（例えば、ユーザによる）を検出することによって実行される。一部の実施例では、電子デバイス１００がユーザの手首の上にある場合、ユーザ認証は、電子デバイスがユーザと直接接触していること（例えば、ユーザの皮膚と直接接触している）を検出することによって実行される。一部の実施例では、セキュア要素によって提供される各支払い情報は、アルゴリズムに基づいて生成される。一部の実施例では、セキュア要素によって提供される各支払い情報は一意である。
【０３３９】
図１１Ａに示されるように、ストアドバリュー口座の表現は、アクティブ化されるとき、図１１Ｃ〜１１Ｇに関連して説明されたユーザインタフェースを表示させる、アクティブ化可能な追加−価値オプション（例えば、１１４６Ｂ）を表示する（例えば、情報アフォーダンス（例えば、１１４０Ａ）のユーザ選択に応じて）。図１１Ｂに示されるように、ストアドバリュー口座の表現を表示する間、電子デバイス１００は、１つ以上の入力デバイスを介して、追加−価値オプション（例えば、１１４６Ｂ、追加−価値アフォーダンス）のアクティブ化（例えば、ユーザによる）を検出する。一部の実施形態では、図１１Ｃによって示されるように、追加−価値オプション（例えば、１１４６Ｂ）のアクティブ化を受信したことに応じて、電子デバイス１００は、電子デバイスのディスプレイ上で、ユーザが支払い口座を使用して価値をストアドバリュー口座に追加する（例えば、積み立てる）ユーザ入力のためのユーザインタフェースを表示する。一部の実施形態では、価値のユーザ入力のためのユーザインタフェースは、積立−口座オプション（例えば、１１４２Ｄ、積立−口座アフォーダンス）を含む。
【０３４０】
一部の実施形態では、電子デバイス１００は、ストアドバリュー口座の現在の残高が最小の残高通知レベルを下回ることを検出する。ストアドバリュー口座の現在の残高が最小の残高通知レベルを下回ることを検出したことに応じて、電子デバイス１００は、ストアドバリュー口座の現在の残高が最小の残高通知レベルを下回ることの通知を表示及び／又は生成する（例えば、電子デバイスのロックスクリーンなどで表示する）。よって、一部の実施例では、電子デバイス１００は、ユーザに、ストアドバリュー口座で利用可能な資産が最小の残高通知レベルを下回るときを通知する。一部の実施例では、最小の残高通知レベルは、ユーザによって事前定義される。一部の実施形態では、電子デバイス１００がストアドバリュー口座の現在の残高が最小の残高通知レベルを下回ることを示す通知をアクティブ化するユーザ入力を受信する場合、電子デバイスは、電子デバイスのディスプレイ上で、支払い口座を使用して価値をストアドバリュー口座に追加する（例えば、積み立てる）ユーザ入力のためのユーザインタフェースを表示する。任意選択的に、電子デバイスは、ユーザに、価値をストアドバリュー口座に追加するための支払い口座の間で切り替えるオプションを提供する。
【０３４１】
一部の実施形態では、図１１Ｃに示されるように、価値を追加するユーザ入力のためのユーザインタフェースは、仮想数字キーパッド（例えば、１１５０）、仮想数字キーパッド（例えば、１１５０）の上に表示される１つ以上の提案額（例えば、１１５０Ａ、１１５０Ｂ、１１５０Ｃ）、及びストアドバリュー口座の現在の残高（例えば、１１４２Ｂ）を同時に含む。例えば、図１１Ｃに示される実施形態では、提案額は、＄１０（１１５０Ａ）、＄２５（１１５０Ｂ）、及び＄５０（１１５０Ｃ）である。一部の実施形態では、価値を追加するユーザ入力のためのユーザインタフェースはまた、ストアドバリューカードの現在の残高（例えば、１１４２Ｂ）に追加されることになる額（例えば、１１４２Ｃ、積み立てられることになる額）のインジケーションを同時に含む。例えば、ユーザが仮想数字キーパッド（例えば、１１５０）に追加されることになる所望の額を入力する前に、追加されることになる額は、＄０（例えば、ゼロドル）（例えば、１１４２Ｃ）として提示される。
【０３４２】
一部の実施形態では、ストアドバリュー口座がトランジット口座である場合、電子デバイス１００は、電子デバイスのディスプレイ上で、支払い口座を使用してトランジット口座に積み立てるためのユーザインタフェースを表示する（例えば、追加−価値オプション１１４６Ｂのアクティブ化を検出したことに応じて）。一部の実施形態では、トランジット口座に積み立てるためのユーザインタフェースは、１つ以上の提案額（例えば、トランジット口座の利用可能な残高に追加するための）、並びにトランジット口座についての推薦されるトランジットプランの開始日及び終了日を同時に含む。一部の実施例では、トランジット口座に積み立てるためのユーザインタフェースは、ストアドバリュー口座の現在の残高の表示を含まない。一部の実施例では、電子デバイス１００は、支払い口座を使用して資産をストアドバリュー口座に追加するための推薦されるトランジットプランを選択する入力を受信する。一部の実施形態では、推薦されるトランジットプランを選択する入力を受信し、トランジットプランの選択が完了した（例えば、積立−価値オプション１１４２Ｄのアクティブ化を検出する）ことのインジケーションを受信したことに従って、電子デバイス１００は、資産を支払い口座からストアドバリュー口座に追加するための提案される取引（例えば、推薦されるトランジットプラン）を表示する。一部の実施例では、支払い口座を使用して資産をストアドバリュー口座に追加するための提案される取引を含むユーザインタフェースは、支払いを承認するための認証についての要求（例えば、生体認証、指紋認証、暗証番号認証ついての要求）を含む。
【０３４３】
一部の実施形態では、ストアドバリュー口座がトランジット口座である場合、ストアドバリュー口座のトランジットプランが更新期日であるとの判定に従って、電子デバイス１００は、トランジット口座のトランジットプランが更新期日であることを示す（例えば、デバイスによって生成される視覚、音声、及び／又は触覚出力）通知（例えば、電子デバイスのロックスクリーン上の表示）を表示（例えば、ディスプレイ上で）及び／又は生成する。一部の実施例では、トランジットプランが更新期日であることを示す通知のアクティブ化（例えば、ユーザによる）によって、電子デバイス１００に、支払い口座を使用してトランジット口座に積み立てるためのユーザインタフェースを表示させる。それをする際、電子デバイス１００は、ユーザにトランジットプランを更新する必要性を通知する。一部の実施例では、通知のアクティブ化によって、図１１Ｃ〜１１Ｍに関連して説明されるように、価値をストアドバリューカードに追加するオプションを有する追加−価値ユーザインタフェース（例えば、価値を追加するユーザ入力のためのユーザインタフェース）が表示される。
【０３４４】
一部の実施形態では、ストアドバリュー口座がトランジット口座である場合、電子デバイス１００は、トランジット駅への電子デバイスの近接性を検出する（例えば、電子デバイスのＧＰＳからの現在の位置情報を使用して）。一部の実施例では、電子デバイス１００は更に（又は代わりに）、１つ以上のコンテキスト要因に基づいて予想される目的地（例えば、ユーザの）を判定する。例えば、コンテキスト要因は、日時、週日、旅行履歴、最近要求され又は受信された方向、及び／又は最近アクセスされた物理アドレスを含む。一部の実施例では、ストアドバリュー口座がトランジット駅から予想される目的地に旅行するための十分な資産を有しないとの判定に従って（例えば、トランジット駅から予想される目的地に旅行するための判定されるコストに基づいて）、電子デバイス１００は、ストアドバリュー口座（例えば、トランジット口座）がトランジット駅から予想される目的地に旅行するための十分な資産を有しないことのユーザに対する通知を表示及び／又は生成する（例えば、デバイスによって生成される視覚、音声、及び／又は触覚出力）（例えば、電子デバイス１００のディスプレイ上で表示する）。一部の実施例では、ストアドバリュー口座がトランジット駅から予想される目的地に旅行するための十分な資産を有しないことを示す通知のアクティブ化（例えば、ユーザによる）は、電子デバイス１００に、図１１Ａ〜１１Ｂに関連して説明されるように、アクティブ化可能な追加−価値オプション（例えば、１１４６Ｂ）を含むストアドバリュー口座の表現を表示させる。よって、一部の実施例では、電子デバイス１００は、ユーザに、ストアドバリュー口座がトランジット駅から予想される目的地に旅行するための十分な資産を有しないときを通知し、それは、ユーザがストアドバリュー口座を使用して旅行のための支払いを見越して資産をストアドバリュー口座に追加することを許可する。一部の実施例では、ユーザに、ストアドバリュー口座がトランジット駅から予想される目的地に旅行するための十分な資産を有しないことを通知したことに続いて、図１１Ｃ〜１１Ｇに関連して説明されるように、価値をストアドバリュー口座に追加するユーザ入力のためのユーザインタフェースが表示される。一部の実施例では、価値を追加するユーザ入力のためのユーザインタフェースは、ユーザに、ストアドバリュー口座がトランジット駅から予想される目的地に旅行するための十分な資産を有しないことを通知するために表示される。一部の実施例では、ストアドバリュー口座がトランジット駅から予想される目的地に旅行するための十分な資産を有する判定に従って、電子デバイス１００は、ストアドバリュー口座がトランジット駅から予想される目的地に旅行するための十分な資産を有しないことの通知を生成することを見合わせる。
【０３４５】
一部の実施形態では、図１１Ｄ〜１１Ｅに示されるように、電子デバイス１００は、支払い口座を使用して価値をストアドバリュー口座に追加する（例えば、積み立てる）ための額の仮想数字キーパッド（例えば、１１５０）における入力（例えば、ユーザから）を受信する。一部の実施形態では、支払い口座を使用して価値をストアドバリュー口座に追加するための額の仮想数字キーパッド（例えば、１１５０）における入力を受信したことに応じて、電子デバイス１００は、仮想数字キーパッドにおいて受信された入力に基づいて１つ以上の提案額（例えば、１１５０Ａ、１１５０Ｂ、１１５０Ｃ）の表示を更新する。例えば、ユーザが追加されることになる所望の価値の一桁目として「２」入力したことに応じて、図１１Ｄに示されるように、提案額（例えば、１１５０Ａ、１１５０Ｂ、１１５０Ｃ）は、＄１０、＄２５、及び＄５０から＄２（アフォーダンス１１５０Ａ）、＄２０（アフォーダンス１１５０Ｂ）、及び＄２００（アフォーダンス１１５０Ｃ）に変わる。よって、図１１Ｅに示されるように、ユーザは代替として、ストアドバリュー口座の現在の残高（例えば、１１４２Ｂ）に追加されることになる＄２０．００の額を入力するために（例えば、１１４２Ｃにおいて）、その後に３つの「０」が続く「２」を入力する２つの選択を行う代わりに、＄２０の提案額を選択する（アフォーダンス１１５０Ｂを選択することによって）。一部の実施例では、仮想数字キーパッド（例えば、１１５０）における入力を受信したことに応じて、電子デバイス１００は、入力された価値がストアドバリュー口座に追加される場合の推定される残高を示すために現在額（例えば、１１４２Ｂ）の表示を更新する。一部の実施例では、仮想数字キーパッド（例えば、１１５０）における入力を受信し、追加する額のユーザ選択が完了したことのインジケーションを受信する（例えば、「資産」アフォーダンス１１４２Ｄを受信する）ことに従って、電子デバイス１００は、電子デバイスのディスプレイ上で、資産を支払い口座からストアドバリュー口座に追加するための提案される取引を表示する。
【０３４６】
一部の実施形態では、１つ以上の提案額（例えば、１１５０Ａ、１１５０Ｂ、１１５０Ｃ）のうちの少なくとも１つは、支払い口座を使用して価値をストアドバリュー口座に追加するために使用された前の額（例えば、ユーザによる前の取引における）に基づいている。一部の実施例では、１つ以上の提案額（例えば、１１５０Ａ、１１５０Ｂ、１１５０Ｃ）のうちの少なくとも１つは、ストアドバリュー口座に積み立てる前の活動、ストアドバリュー口座を使用した前の支払い活動、ストアドバリュー口座を使用して行われた前のトランジットトリップ、及び／又は予想される将来のトランジットトリップのうちの１つ以上に基づいている。これは、ユーザに、価値をストアドバリュー口座に追加するための関連する提案額を提供する。
【０３４７】
一部の実施形態では、１つ以上の提案額（例えば、１１５０Ａ、１１５０Ｂ、１１５０Ｃ）のうちの少なくとも１つは、当月の当日に基づいている。例えば、ユーザが一般的に各月（又は数月前の月）の最初に最大の許容可能な額をストアドバリュー口座に追加する場合、１つ以上の提案額のうちの１つは、最大の許容可能な額を反映する。これは、ユーザに、価値を口座に追加する額についての関連する提案を提供する。同様に、月の当日が、トランジットパスが購入される期限である月の日又はそれに近い日である場合、提案額のうちの１つは任意選択的に、トランジットパスのコストに等しい額である。
【０３４８】
一部の実施形態では、図１１Ｆに示されるように、仮想数字キーパッド（例えば、１１５０）において受信された入力が、支払い口座を使用して価値をストアドバリュー口座に追加するための最大の許容可能な額（例えば、＄１００）を超える額（＄２，０００）に対応する場合、電子デバイス１００は、１つ以上の提案額（例えば、１１５０Ａ、１１５０Ｂ、１１５０Ｃ）の表示を更新する。一部の実施例では、１つ以上の提案額（例えば、１１５０Ａ、１１５０Ｂ、１１５０Ｃ）の表示は、１つの追加−価値取引においてストアドバリュー口座に追加されることが可能になる最大の許容可能な額（例えば、＄１００）を反映するように更新される。例えば、最大の許容可能な額が１００（例えば、ドル）であり、かつユーザが２，０００（例えば、ドル）の価値を入力する場合、提案額（例えば、図１１Ｆに示される提案額アフォーダンス１１５０Ｃ）のうちの１つは、１００（例えば、ドル）を示すように更新される。これは、ユーザに、最大の許容可能な額の前の知識を有することなく最大の許容可能な額でストアドバリュー口座に積み立てる迅速なオプションを提供する。一部の実施例では、最大の許容可能な額を反映することに加え（又はその代わりに）、１つ以上の提案額（例えば、１１５０Ａ、１１５０Ｂ、１１５０Ｃ）のうちの１つは、それが最大額であることのインジケーションを反映するように更新される。例えば、図１１Ｆにおける提案額アフォーダンス１１５０Ｃは、数字的な金額の価値の代わりに「最大額」（又は同等のもの）を示すように更新される。
【０３４９】
一部の実施形態では、支払い口座を使用して価値をストアドバリュー口座に追加するユーザ入力のためのユーザインタフェースは、ストアドバリュー口座に対応するカードのグラフィカル描写（例えば、１１４２Ａ）を同時に含む。一部の実施形態では、仮想数字キーパッド（例えば、１１５０）における受信された入力が支払い口座を使用して価値をストアドバリュー口座に追加するための最大の許容可能な額を超える額に対応する場合、仮想数字キーパッドにおける入力を受信したことに応じて、電子デバイス１００は、ストアドバリュー口座に対応するカードのグラフィカル描写（例えば、１１４２Ａ）をアニメーション化し（animate）、それによって、カードのグラフィカル描写が特定の期間の間に振動又は移動する（例えば、横から横へ）。このようにして、電子デバイス１００は、ユーザに、入力として受信された額が最大の許容可能な額を超えることを通知する。一部の実施例では、特定の期間の間に振動するカードのグラフィカル描写（例えば、１１４２Ａ）は、パスワード又は暗証番号が不正確に入力されたことを示すために電子デバイス１００において使用されるアニメーションと同様である（又は同一である）。
【０３５０】
図１１Ｇに示されるように、電子デバイス１００は、１つ以上の入力デバイスを介して、電子ウォレットアプリケーションの支払い口座を使用して価値をストアドバリュー口座に追加するための積立−口座オプション（例えば、１１４２Ｄ、積立−口座アフォーダンス）のアクティブ化を検出する。積立−口座オプション（例えば、１１４２Ｄ）のアクティブ化を検出したことに応じて、電子デバイス１００は、電子デバイスのディスプレイ上で、認証（例えば、生体認証、指紋認証、暗証番号認証）を要求するユーザインタフェースを表示する。一部の実施例では、認証を要求するユーザインタフェースは、資産を支払い口座からストアドバリュー口座に追加するための提案される取引を含む。一部の実施形態では、認証を要求するユーザインタフェースは、価値を追加するユーザ入力のためのユーザインタフェースの追加−価値アプリケーションとは異なる電子ウォレットアプリケーションの取引ユーザインタフェースであり、ストアドバリュー口座の表現は、追加−価値アプリケーションにおいて表示される。一部の実施形態では、認証を要求するユーザインタフェースは、価値を追加するユーザ入力のためのユーザインタフェースの最上部（その全て又はその一部）に表示される。
【０３５１】
一部の実施形態では、図１１Ｈに示されるように、認証（例えば、生体認証、指紋認証、暗証番号認証）を要求する（例えば、ユーザから）ユーザインタフェース（例えば、１１５２）は、価値を追加するユーザ入力のためのユーザインタフェースの追加−価値アプリケーションとは異なる電子ウォレットアプリケーションのユーザインタフェースシートに対応する。一部の実施形態では、認証を要求するユーザインタフェースに対応するユーザインタフェースシートは、価値を追加するユーザ入力のためのユーザインタフェースの最上部に表示され、電子デバイス１００の表示の一部（又は全て）をカバーする。一部の実施形態では、認証を要求するユーザインタフェースに対応するユーザインタフェースシートは、電子デバイス１００のディスプレイ上へと、ディスプレイの端（例えば、底部）から移動される。例えば、ユーザインタフェースシートは、ディスプレイの底からディスプレイの中心まで上にシフトさせることによって電子デバイス１００のディスプレイ上のビューにスライドする。一部の実施形態では、ユーザインタフェースシートは、追加−価値アプリケーションとは異なる電子ウォレットアプリケーションの取引ユーザインタフェースに対応し、ストアドバリュー口座の表現は、追加−価値アプリケーションにおいて表示される。
【０３５２】
一部の実施形態では、図１１Ｉに示されるように、認証情報を受信する前に（例えば、ユーザから）、電子デバイス１００は、ユーザが価値を支払い口座からストアドバリュー口座に追加するための承認を提供するためのプロンプト（例えば、１１５２Ｆ）を含む、認証（例えば、生体認証、指紋認証、暗証番号認証）を要求するユーザインタフェース（例えば、１１５２）を表示する。一部の実施例では、電子デバイス１００は、ユーザが音声を介して価値を支払い口座からストアドバリュー口座に追加するための承認を提供することを促す。よって、電子デバイス１００は、ユーザに承認が必要とされていることを通知し、一部の実施例では、ユーザが取引を承認するためにどのタイプの情報（例えば、暗証番号、指紋）を提供するかを促す。一部の実施例では、認証（例えば、生体認証、指紋認証、暗証番号認証）を要求するユーザインタフェース（例えば、１１５２）はまた、積み立てられることになるカード（例えば、１１５２Ａ）、支払い額（例えば、１１５２Ｂ）、支払い口座（例えば、１１５２Ｃ）、ユーザと関連付けられた連絡先情報（例えば、１１５２Ｄ）、積み立てられることになるカードのマーチャントの名前（例えば、１１５２Ｅ）、及び税額を同時に表示する。
【０３５３】
図１１Ｊに示されるように、資産を支払い口座からストアドバリュー口座に追加するための提案される取引（例えば、ユーザからの認証を要求するユーザインタフェース１１５２）を表示する間、電子デバイス１００は、認証情報を受信する（例えば、ユーザから）。一部の実施例では、認証情報は、電子デバイス１００の指紋リーダを使用して受信され、よって、認証情報は、指紋情報である。一部の実施例では、更に又は代わりに、認証情報は、指紋リーダ以外の電子デバイス１００の１つ以上の入力デバイスを使用して受信される（例えば、認証情報は、暗証番号情報又は電子デバイスのハードウェアボタンの二重押圧である）。
【０３５４】
一部の実施形態では、図１１Ｋに示されるように、認証情報を受信したことに応じて、かつ認証情報が支払い口座を使用して支払い取引を実行するための登録された認証情報と一致しないとの判定に従って、電子デバイス１００は、支払い口座を使用して価値をストアドバリュー口座に追加することを見合わせる。よって、電子デバイス１００は、認証情報が登録された認証情報と一致しないときにストアドバリュー口座に積み立てないことによって、追加的なセキュリティを提供する。加えて、一部の実施形態では、認証を要求するユーザインタフェース（例えば、１１５２）は、認証が成功しなかったことのインジケーション（例えば、１１５２Ｇ）を表示する。加えて、一部の実施形態では、認証を要求するユーザインタフェース（例えば、１１５２）は、認証情報を再度提供することをユーザに命令するインジケーション（例えば、１１５２Ｈ）を表示する。
【０３５５】
図１１Ｌに示されるように、認証情報を受信したことに応じて、かつ認証情報が支払い口座を使用して支払い取引を実行するための登録された認証情報と一致するとの判定に従って、電子デバイス１００は、支払い口座を使用して価値をストアドバリュー口座に追加する。一部の実施形態では、認証を要求するユーザインタフェース（例えば、１１５２）は、受信された認証情報が承認され、よって、認証が成功したことのインジケーション（例えば、１１５２Ｉ）を提供する。
【０３５６】
一部の実施形態では、支払い口座を使用して価値をストアドバリュー口座に追加する（例えば、積み立てる）ことは、支払い口座を使用して価値をストアドバリュー口座に追加するための繰り返し発生する取引の一部である。例えば、価値をストアドバリューカードに追加するための承認を受信する前に、電子デバイス１００は、繰り返しで（例えば、月次、週次、日次で）価値をストアドバリューカードに追加させるオプションのアクティブ化を受信する。よって、ユーザは、ストアドバリュー口座についての繰り返し発生する積立をスケジュールすることができる。
【０３５７】
一部の実施形態では、図１１Ｌ〜１１Ｍに示されるように、支払い口座を使用して価値をストアドバリュー口座に追加したことに続いて、電子デバイス１００は、ストアドバリュー口座に新たに追加される価値を反映するようにストアドバリュー口座の現在の残高（例えば、１１４２Ｂ、１１５４Ｂ）の表示を更新する。よって、電子デバイス１００は、ユーザに、ストアドバリュー口座の更新された現在の残高（例えば、１１４２Ｂ、１１５４Ｂ）を通知し、それによって、ユーザが後続の取引（例えば、後続の取引での支払いのための、追加的な価値をストアドバリュー口座に追加するための）においてストアドバリュー口座を使用することに関する情報に基づく決断を行うことを支援する。
【０３５８】
一部の実施形態では、図１１Ｍに示されるように、支払い口座を使用して価値をストアドバリュー口座に追加したことに続いて、認証を要求するユーザインタフェース（例えば、１１５２）は、電子デバイス１００のディスプレイ上で表示されない。代わりに、一部の実施例では、電子デバイス１００は、価値がストアドバリュー口座に追加され、よって積立が完了したことのインジケーション（例えば、１１５６）を提示する。更に、一部の実施例では、電子デバイス１００は、それぞれの完了した積立取引によってストアドバリュー口座に追加された追加の価値のインジケーション（例えば、１１５４Ａ）を表示する。よって、ユーザは、ストアドバリュー口座の積立が完了したことを確信され、また、ストアドバリュー口座における資産に追加された資産の額を思い起こされる。
【０３５９】
一部の実施形態では、図１１Ｎに示されるように、支払い口座を使用して価値をストアドバリュー口座に追加したことに続いて、電子デバイス１００は、図１１Ａに関連して説明されたストアドバリュー口座の表現など、ストアドバリュー口座の表現を再度表示する。一部の実施形態では、積立取引に続くストアドバリュー口座の表現は、ストアドバリュー口座の更新された残高のインジケーション（例えば、１１４２Ｂ）を含む。
【０３６０】
図１２Ａ〜１２Ｂは、価値を電子デバイス上でプロビジョニングされたストアドバリュー口座に追加する方法を示すフローチャートである。一部の実施形態に従って、方法１２００は、ディスプレイ及び１つ以上の入力デバイスを有するデバイス（例えば、１００、３００、５００）において実行される。方法１２００におけるいくつかの動作は任意選択的に組み合わされ、いくつかの動作の順序は任意選択的に変更され、いくつかの動作は任意選択的に省略される。
【０３６１】
以下で説明されるように、方法１２００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０３６２】
ブロック１２０２において、電子デバイス（例えば、１００）は、ディスプレイ上で、アクティブ化可能な追加−価値オプション（例えば、１１４６Ｂ）を含むストアドバリュー口座の表現を表示し、電子デバイスは、ストアドバリュー口座（例えば、資産及び／又はデータがバイナリコードデータの形式でデバイスに物理的に記憶された、ストアドバリュートランジット口座、閉ループストアドバリュー口座）及び支払い口座（例えば、ストアドバリュー口座とは異なる口座、ストアドバリュー口座でない口座、クレジット口座にリンクされた口座）を含む電子ウォレットアプリケーションを有する。
【０３６３】
一部の実施例では、支払い口座の支払い口座番号は、電子デバイスに対して一意である。一部の実施例では、支払い口座のための支払いカードの物理的な存在を検証することなく支払い口座を使用した支払いを承認することができる（例えば、支払いカードに印刷されたＣＶＶを入力することによって）。一部の実施例では、この技術は、電子デバイスのディスプレイ上で、支払い口座の支払い口座番号を表示することなく実行される。一部の実施例では、取引に使用されることになる支払い口座の支払い口座番号は、ユーザによって提供されない（例えば、支払い口座番号が前に入力されず、又はそうでない場合、ユーザによって提供されていない）。
【０３６４】
一部の実施例では、電子デバイスは、セキュア要素を含む。セキュア要素は、データ又はアルゴリズムを安全に記憶するように構成されたハードウェア構成要素（例えば、セキュアマイクロコントローラチップ）である。一部の実施例では、セキュア要素は、支払い口座に対応する支払い情報（例えば、支払い口座番号及び／又は取引に特有な動的セキュリティコード）を提供（又は解放）する。一部の実施例では、セキュア要素は、デバイスについての認証情報を含むユーザ認証（例えば、指紋認証、暗証番号認証、デバイスがユーザの皮膚に接触していることを検出することによってなど、デバイスがロック解除状態にあるときに、及び任意選択的に、デバイスがユーザの手首の上にある間にハードウェアボタンの二重押圧を検出することなど）など、デバイスが承認を受信したことに応じて、支払い情報を提供する（又は解放する）。例えば、デバイスは、デバイスの指紋センサ（例えば、ボタンに統合された指紋センサ）において指紋を検出する。デバイスは、指紋が登録された指紋と一致するかを判定する。指紋が登録された指紋と一致するとの判定に従って、セキュア要素は、支払い口座又はストアドバリュー口座についての支払い情報を提供（又は解放）する。指紋が登録された指紋と一致しないとの判定に従って、セキュア要素は、支払い口座又はストアドバリュー口座についての支払い情報を提供（又は解放）することを見合わせる。一部の実施例では、セキュア要素によって提供される各支払い情報は、アルゴリズムに基づいて生成される。一部の実施例では、セキュア要素によって提供される各支払い情報は一意である。
【０３６５】
一部の実施形態に従って、ストアドバリュー口座は、トランジット口座である。よって、一部の実施例では、電子デバイスは、ユーザに、トランジットシステムにアクセスするために使用することができる口座に積み立てるオプションを提供する。
【０３６６】
一部の実施形態に従って、ストアドバリュー口座は、ギフトカード口座である。よって、一部の実施例では、電子デバイスは、ユーザに、特定のマーチャントとの取引に使用することができる電子デバイスに記憶されたギフトカード口座に積み立てるオプションを提供する。
【０３６７】
一部の実施形態に従って、ストアドバリュー口座の表現は、ストアドバリュー口座の現在の残高（例えば、１１４２Ｂ）（例えば、利用可能な資産）を含む。よって、ストアドバリュー口座のアクティブ化可能な追加−価値オプション（例えば、１１４６Ｂ）及び現在の残高（例えば、１１４２Ｂ）は同時に表示され、ユーザに現在の残高及び現在の残高に追加する機構を提供する。一部の実施例では、ストアドバリュー口座は、電子マネーを記憶する。
【０３６８】
一部の実施形態に従って、電子デバイス（例えば、１００）は、ディスプレイ上で、アクティブ化可能な追加−価値オプションを含まない第２の支払い口座の表現を表示する。一部の実施例では、電子デバイスの第２の支払い口座は、ストアドバリュー口座でなく、よって、電子デバイスにおいて積み立てることができない。一部の実施例では、第２の支払い口座の表現は、支払い口座（例えば、リボルビングクレジット口座）についての現在の残高（例えば、保有される資金）を含み、ストアドバリュー口座の表現は、ストアドバリュー口座についての現在の残高（例えば、利用可能な資産）を含む。
【０３６９】
一部の実施形態に従って、ストアドバリュー口座は、トランジット口座であり、ストアドバリュー口座の表現は、トランジット口座と関連付けられたトランジットプラン（例えば、週次、月次のトランジットプラン）のインジケーション（例えば、図９Ｎの９３６Ｅに関連して説明されるような）、及びトランジットプランの有効日のインジケーションを含む。また、ユーザが、予め定められた期間（例えば、１月）の間にプランを更新するオプションを選択する場合、新たな有効日は、有効日が現在の有効日から少なくとも１月分を新たな有効日に延長されることを示すように表示される。よって、一部の実施例では、電子デバイスは、ユーザに、トランジット口座と関連付けられたトランジットプラン及びトランジットプランの有効日を通知する。したがって、ユーザは、ストアドバリュー口座に積み立て、又はそうでない場合、ストアドバリュー口座を使用するためのより情報に基づく決断を行うことができる。
【０３７０】
一部の実施形態に従って、ストアドバリュー口座は、トランジット口座であり、電子デバイスは、ディスプレイ上で、支払い口座を使用してトランジット口座に積み立てるためのユーザインタフェースを表示し（例えば、追加−価値オプション（例えば、１１４６Ｂ）のアクティブ化を検出したことに応じて）、トランジット口座に積み立てるためのユーザインタフェースは、１つ以上の提案額（例えば、１１５０Ａ、１１５０Ｂ、１１５０Ｃ）並びに推薦されるトランジットプランの開始日及び終了日を同時に含む。一部の実施例では、トランジット口座に積み立てるためのユーザインタフェースは、ストアドバリュー口座の現在の残高の表示を含まない。一部の実施例では、電子デバイスは、支払い口座を使用して資産をストアドバリュー口座に追加する（例えば、積み立てる）ための推薦されるトランジットプランを選択する入力を受信する。一部の実施形態では、推薦されるトランジットプランを選択する入力を受信し、トランジットプランの選択が完了したことのインジケーションを受信する（例えば、積立−価値オプション１１４２Ｄのアクティブ化を検出する）ことに従って、電子デバイスは、資産を支払い口座からストアドバリュー口座に追加するための提案される取引（例えば、推薦されるトランジットプラン）を表示する。一部の実施例では、支払い口座を使用して資産をストアドバリュー口座に追加するための提案される取引を含むユーザインタフェースは、支払いを承認するための認証についての要求（例えば、生体認証、指紋認証、暗証番号認証ついての要求）を含む。
【０３７１】
一部の実施形態に従って、ストアドバリュー口座は、トランジット口座であり、ストアドバリュー口座のトランジットプランが更新期日であるとの判定に従って、電子デバイスは、ストアドバリュー口座のトランジットプランが更新期日であることを示す通知（例えば、デバイスによって生成される視覚、音声、及び／又は触覚出力）を表示及び／又は生成する。一部の実施例では、ストアドバリュー口座のトランジットプランが更新期日であることを示す通知のアクティブ化によって、電子デバイスに、支払い口座を使用してトランジット口座に積み立てるためのユーザインタフェースを表示させる。よって、電子デバイスは、ユーザにトランジットプランを更新する必要性を通知する。一部の実施例では、通知の選択は、図１１Ｃ〜１１Ｍに関連して説明されるように、価値をストアドバリューカードに追加するオプションを有する追加−価値ユーザインタフェースを表示するオプションを提供する。
【０３７２】
一部の実施形態に従って、ストアドバリュー口座は、トランジット口座であり、電子デバイスは、トランジット駅への近接性を検出し（例えば、ＧＰＳを介して現在位置を使用して）、１つ以上のコンテキスト要因（例えば、日時、週日、旅行履歴、最近要求され若しくは受信された方向、及び／又は最近アクセスされた物理アドレス）に基づいて、（例えば、トランジット駅から予想される目的地に旅行するための判定されるコストに基づいて）、予想される目的地を判定し、ストアドバリュー口座がトランジット駅から予想される目的地に旅行するための十分な資産を有しないとの判定に従って、ストアドバリュー口座がトランジット駅から予想される目的地に旅行するための十分な資産を有しないとの通知を表示及び／又は生成する。
【０３７３】
一部の実施形態に従って、アクティブ化可能な追加−価値オプション（例えば、１１４６Ｂ）を含むストアドバリュー口座の表現を表示することは、ストアドバリュー口座が十分な資産を有しないとの通知のアクティブ化を検出したことに応じている。一部の実施例では、ストアドバリュー口座がトランジット駅から予想される目的地に旅行するための十分な資産を有するとの判定に従って（例えば、トランジット駅から予想される目的地に旅行するための判定されるコストに基づいて）、電子デバイスは、ストアドバリュー口座がトランジット駅から予想される目的地に旅行するための十分な資産を有しないことの通知を生成することを見合わせる。よって、一部の実施例では、電子デバイスは、ユーザに、ストアドバリュー口座がトランジット駅から予想される目的地に旅行するための十分な資産を有しないときを通知し、それは、ユーザがストアドバリュー口座を使用して旅行のための支払いを見越して資産をストアドバリュー口座に追加することを許可する。一部の実施例では、ユーザに、ストアドバリュー口座がトランジット駅から予想される目的地に旅行するための十分な資産を有しないことを通知したことに続いて、価値をストアドバリュー口座に追加するユーザ入力のためのユーザインタフェースが表示される（例えば、ユーザに通知する通知のユーザアクティブ化に応じて）。一部の実施例では、価値をストアドバリュー口座に追加するユーザ入力のためのユーザインタフェース（例えば、図１１Ｃに示されるような）は、ユーザに、ストアドバリュー口座がトランジット駅から予想される目的地に旅行するための十分な資産を有しないことを通知するために表示される。
【０３７４】
ブロック１２０４において、ストアドバリュー口座の表現を表示する間、電子デバイスは、１つ以上の入力デバイスを介して、追加−価値オプション（例えば、１１４６Ｂ）（例えば、追加−価値アフォーダンス）のアクティブ化を検出する。一部の実施形態に従って、電子デバイスは、ディスプレイ上で、支払い口座（図１１Ｃなどに示されるように）を使用して価値をストアドバリュー口座に追加する（例えば、積み立てる）ユーザ入力のためのユーザインタフェースを表示し（例えば、追加−価値オプション（例えば、１１４６Ｂ）のアクティブ化を検出したことに応じて）、価値を追加するユーザ入力のためのユーザインタフェースは、仮想数字キーパッド（例えば、１１５０）、１つ以上の提案額（例えば、１１５０Ａ、１１５０Ｂ、１１５０Ｃ）（例えば、キーパッドの上の＄１０、＄２５、＄５０）、及びストアドバリュー口座の現在の残高（例えば、１１４２Ｂ）を同時に含む。一部の実施形態に従って、電子デバイスは、支払い口座を使用して価値をストアドバリュー口座に追加する（例えば、積み立てる）ための額の仮想数字キーパッド（例えば、１１５０）における入力を受信し、仮想数字キーパッド（例えば、１１５０）における入力を受信したことに応じて、仮想数字キーパッドにおける入力に基づいて１つ以上の提案額（例えば、１１５０Ａ、１１５０Ｂ、１１５０Ｃ）の表示を更新する。例えば、ユーザが２を入力すると、提案額が＄１０、２５、及び＄５０（図１１Ｃにあるように）から＄２、＄２０、及び＄２００（図１１Ｄにあるように）にそれぞれ変わる。一部の実施例では、数字キーパッドにおける入力を受信したことに応じて、電子デバイスは、推定される残高、入力された価値がストアドバリュー口座の利用可能な残高に追加される場合（例えば、現在の残高に追加されることになる額を追加する）の推定される残高を示すために現在額の表示を更新する。一部の実施例では、数字キーパッドにおける入力を受信し、数字キーパッドにおける入力が完了したこと（例えば、積立−口座オプション１１４２Ｄのアクティブ化）のインジケーションを受信したことに従って、電子デバイスは、資産を支払い口座からストアドバリュー口座に追加するための提案される取引を表示する。
【０３７５】
一部の実施形態に従って、仮想数字キーパッド（例えば、１１５０）における受信された入力は、支払い口座を使用して価値をストアドバリュー口座に追加するための最大の許容可能な額を超える額に対応し、仮想数字キーパッド（例えば、１１５０）において受信された入力に基づいて１つ以上の提案額（例えば、１１５０Ａ、１１５０Ｂ、１１５０Ｃ）の表示を更新することは、最大の許容可能な額を反映するように１つ以上の提案額（例えば、１１５０Ａ、１１５０Ｂ、１１５０Ｃ）のうちの１つの表示を更新することを含む。例えば、最大額が２５０（例えば、ドル）であり、ユーザが３００の価値を入力する場合、提案額のうちの１つは、２５０に更新される。よって、最大額を超えたことを検出し、最大額へのアクセスを提供することによって、電子デバイスは、ユーザに、最大の許容可能な額の前の知識を有することなく最大の許容可能な額に追加する即時的なオプションを提供する。一部の実施例では、最大の許容可能な額を反映することに加え（又はそれに代わって）、１つ以上の提案額のうちの１つは、それが最大であることのインジケーションを反映する（例えば、「最大（Maximum）」を示すように更新される）ように更新される。
【０３７６】
一部の実施形態に従って、１つ以上の提案額（例えば、１１５０Ａ、１１５０Ｂ、１１５０Ｃ）のうちの少なくとも１つは、支払い口座を使用して価値をストアドバリュー口座に追加する（例えば、積み立てる）ために使用された前の額（例えば、前の取引における）に基づいている。一部の実施例では、１つ以上の提案額のうちの少なくとも１つは、ストアドバリュー口座に積み立てる、前の活動、ストアドバリュー口座を使用した、前の支払い活動、ストアドバリュー口座を使用して行われた、前のトランジットトリップ、及び予想される将来のトランジットトリップのうちの１つ以上に基づいている。よって、ユーザに前の額に基づいた提案額を提供することによって、電子デバイスは、ユーザに価値を口座に追加するための額についての関連する提案を提供し、それによって、必要とされるユーザ入力の数を低減し、それは、デバイスの動作の効率性を改善する。
【０３７７】
一部の実施形態に従って、１つ以上の提案額（例えば、１１５０Ａ、１１５０Ｂ、１１５０Ｃ）のうちの少なくとも１つは、当月の当日に基づいている。例えば、ユーザが一般的に各月（又は数月前の月）の最初に最大の許容可能な額をストアドバリュー口座に追加する場合、次いで、１つ以上の提案額のうちの１つは、月の最初のときに最大の許容可能な額を反映する。これは、ユーザに価値を口座に追加するための額についての関連する提案を提供する。同様に、月の当日が、トランジットパスが購入される期限である月の日又はそれに近い日である場合、提案額のうちの１つは任意選択的に、トランジットパスのコストに等しい額である。よって、ユーザに当日に基づいた提案額を提供することによって、電子デバイスは、ユーザに、価値を口座に追加するための額についての関連する提案を提供し、それによって、必要とされるユーザ入力の数を低減し、それは、デバイスの動作の効率性を改善する。
【０３７８】
一部の実施形態に従って、支払い口座を使用して価値をストアドバリュー口座に追加する（例えば、積み立てる）ユーザ入力のためのユーザインタフェースは、ストアドバリュー口座に対応するカードのグラフィカル描写（例えば、１１４２Ａ）を更に同時に含み、仮想数字キーパッド（例えば、１１５０）における受信された入力は、支払い口座を使用して価値をストアドバリュー口座に追加するための最大の許容可能な額を超える額に対応し、仮想数字キーパッド（例えば、１１５０）における入力を受信したことに応じて、電子デバイスは、ある期間の間に振動させるように（例えば、横から横へ）ストアドバリュー口座に対応するカードのグラフィカル描写（例えば、１１４２Ａ）をアニメーション化する。よって、一部の実施例では、電子デバイスは、ユーザに、入力として受信された額が最大の許容可能な額を超えることを通知する。一部の実施例では、ある期間の間に振動するカードのグラフィカル描写は、パスワード又は暗証番号が不正確に入力されたことを示すためにデバイスにおいて使用されるアニメーションと同様である。
【０３７９】
一部の実施形態に従って、電子デバイスは、価値をストアドバリュー口座に追加する（例えば、積み立てる）ための選択された額（例えば、１１４２Ｃ）（例えば、価値をストアドバリュー口座に追加する（例えば、積み立てる）ための額、１つ以上の提案額のうちの提案額）のユーザ入力を受信し、選択された額（例えば、１１４２Ｃ）のユーザ入力を受信したことに応じて（及び、例えば、電子デバイスにおいて認証情報を受信する前に）、電子デバイス（例えば、１００）は、ディスプレイ上で、認証（例えば、生体認証、指紋認証、暗証番号認証）を要求するユーザインタフェース（例えば、１１５２）（例えば、追加−価値アプリケーションとは異なる電子ウォレットアプリケーションの、ストアドバリュー口座の表現が追加−価値アプリケーションで表示される）を表示する。一部の実施例では、認証を要求するユーザインタフェースはまた、資産を支払い口座からストアドバリュー口座に追加するための提案される取引を含む。
【０３８０】
ブロック１２０６において、電子デバイスは、１つ以上の入力デバイスを介して、電子ウォレットアプリケーションの支払い口座を使用して価値をストアドバリュー口座に追加する積立−口座オプション（例えば、１１４２Ｄ）（例えば積立−口座アフォーダンス）のアクティブ化を検出する。
【０３８１】
ブロック１２０８において、資産を支払い口座からストアドバリュー口座に追加するための提案される取引を表示する間、ブロック１２１２において、電子デバイスは、認証情報（例えば、指紋承認、暗証番号承認、電子デバイスの機械的ボタンの二重押圧）を電子デバイスにおいて受信する（例えば、電子デバイスの指紋リーダを使用して、１つ以上の入力デバイスを使用して）。
【０３８２】
一部の実施形態に従って、ブロック１２１０において、認証情報を受信する前に、電子デバイスは、価値を支払い口座からストアドバリュー口座に追加するための承認を提供するプロンプト（例えば、１１５２Ｆ）（例えば、ユーザへの）を表示及び／又は生成する（例えば、デバイスによって生成される視覚、音声、及び／又は触覚出力）。よって、電子デバイスは、ユーザに承認が必要とされていることを通知し、一部の実施例では、ユーザが取引を承認するためにどの情報（例えば、暗証番号、指紋）を提供するかを促す。
【０３８３】
ブロック１２１４において、認証情報を受信したことに応じて、かつブロック１２１６において、認証情報が支払い口座を使用して支払い取引を実行するための登録された認証情報を一致するとの判定に従って、ブロック１２１８において、電子デバイスは、支払い口座を使用して価値をストアドバリュー口座に追加する（例えば、積み立てる）。一部の実施例では、電子デバイスは、セキュア要素を含み、支払い口座を使用して価値をストアドバリュー口座に追加することは、電子デバイスのセキュア要素に、ストアドバリュー口座の記憶された価値にアクセスするための情報を記憶することを含む。一部の実施例では、価値がストアドバリュー口座に追加されるとき、価値をストアドバリュー口座から取り出すための情報は、情報をセキュア要素から取り出す適切に処理された支払い取引なしに記憶された価値にアクセスすることができないことを保証するために電子デバイスのセキュア要素に記憶される。有効な認証をチェックすることによって、デバイスの操作性は、ストアドバリュー口座に積み立てるための追加的なセキュリティを提供することによって高まり、それは、承認されていない取引を防止することを支援する。
【０３８４】
一部の実施形態に従って、支払い口座を使用して価値をストアドバリュー口座に追加する（例えば、積み立てる）ことに続いて、電子デバイスは、ストアドバリュー口座（１１５４Ｂ）に追加される価値を反映するようにストアドバリュー口座の現在の残高（例えば、１１４２Ｂ）の表示を更新する。よって、電子デバイスは、ユーザに、ストアドバリュー口座の更新された現在の残高について通知する。これは、ユーザがストアドバリュー口座の使用に関する（例えば、後続の取引における支払いのための口座を使用し、追加的な価値をストアドバリュー口座に追加するために）情報に基づく決断を行うことを支援する。よって、電子デバイスは、ユーザに、ストアドバリュー口座の更新された現在の残高について通知することによって、ユーザに利用可能な現在の残高を通知し、それによって、所望の場合、ユーザが追加的な資産を追加することを促す。
【０３８５】
一部の実施形態に従って、ブロック１２２０において、認証情報が支払い口座を使用して支払い取引を実行するための登録された認証情報を一致しないとの判定に従って、ブロック１２２２において、電子デバイスは、支払い口座を使用して価値をストアドバリュー口座に追加することを見合わせる（例えば、積み立てることを見合わせる）。よって、電子デバイスは、認証情報が登録された認証情報と一致しないときにストアドバリュー口座に積み立てないことによって、追加的なセキュリティを提供する。有効な認証をチェックすることによって、デバイスの操作性は、ストアドバリュー口座に積み立てるための追加的なセキュリティを提供することによって高まり、それは、承認されていない取引を防止することを支援する。
【０３８６】
一部の実施形態に従って、支払い口座を使用して価値をストアドバリュー口座に追加する（例えば、積み立てる）ことは、支払い口座を使用して価値をストアドバリュー口座に追加するための繰り返し発生する取引の一部である。例えば、価値をストアドバリューカードに追加するための承認を受信する前に、電子デバイスは、繰り返しで（例えば、月次、週次、日次で）価値をストアドバリューカードに追加させるオプションのアクティブ化を受信する。よって、ユーザは、ストアドバリュー口座についての繰り返し発生する積立をスケジュールすることができる。
【０３８７】
一部の実施形態に従って、電子デバイスは、ストアドバリュー口座の現在の残高が最小残高（例えば、ユーザにより定義された最小残高）通知レベルを下回ることを検出し、ストアドバリュー口座の現在の残高が最小の残高通知レベルを下回ることを検出したことに応じて、ストアドバリュー口座の現在の残高が最小の残高通知レベルを下回ることの通知を表示（例えば、電子デバイスのディスプレイ上で）及び／又は生成する（例えば、デバイスによって生成される視覚、音声、及び／又は触覚出力）。よって、一部の実施例では、電子デバイスは、ユーザに、ストアドバリュー口座で利用可能な資産が最小の残高通知レベルを下回るときを通知する。
【０３８８】
一部の実施形態に従って、電子デバイスは、通知をアクティブ化するユーザ入力を受信し、通知をアクティブ化するユーザ入力を受信したことに応じて、ディスプレイ上で、支払い口座を使用して価値をストアドバリュー口座に追加する（例えば、積み立てる）ユーザ入力のためのユーザインタフェースを表示する。任意選択的に、電子デバイスは、ユーザに、価値をストアドバリュー口座に追加するための支払い口座の間で切り替えるオプションを提供する。
【０３８９】
方法１２００に関して上記説明された処理（例えば、図１２Ａ〜１２Ｂ）の詳細はまた、上記及び以下で説明される方法にも、同様の方式で適用可能であることに留意されたい。例えば、方法８００、１０００、１４００、１６００、１８００、及び２０００は任意選択的に、方法１２００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明される資産をストアドバリュー口座に追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０３９０】
図１３Ａ〜１３Ｎは、一部の実施形態に係る、ディスプレイ、１つ以上の短距離通信無線機（例えば、ＮＦＣ無線機）、及びストアドバリュー口座（例えば、ストアドバリュートランジット口座、ストアドバリューギフトカード）を含む電子ウォレットアプリケーションを有する電子デバイス（例えば、１００）を使用してストアドバリュー口座の認証情報を端末に転送するための例示的なユーザインタフェースを示す。これらの図のユーザインタフェースは、図１４Ａ〜１４Ｂのプロセスを含めた、以下で説明されるプロセスを例示するために使用される。
【０３９１】
一部の実施例では、電子デバイス１００上でプロビジョニングされたストアドバリュー口座は、ストアドバリュートランジット口座である。電子デバイス１００上でプロビジョニングされたストアドバリュー口座は、電子デバイスの外部の非接触取引端末において支払いを行うために使用されてもよい。電子デバイス１００は、１つ以上の短距離通信無線機（例えば、ＮＦＣ無線機）を使用して電子デバイス上で非接触取引端末と通信する。一部の実施例では、ストアドバリュートランジット口座は、トランジットプラン（又はトランジットパス）情報を記憶する。一部の実施例では、トランジットプランは、月次又は週次のトランジットプランである。一部の実施例では、ストアドバリュートランジット口座は、電子マネーを記憶する。よって、一部の実施例では、電子デバイス１００は、ユーザに、トランジットシステムに関連するストアドバリュー口座に関する詳細を提供する。更に、一部の実施例では、電子デバイス１００は、ユーザに、ストアドバリュー口座を使用したトランジットシステムへのアクセスを提供する。
【０３９２】
図１３Ａ〜１３Ｂに示されるように、電子デバイス１００は、電子デバイスのディスプレイ上で、ストアドバリュー口座の利用可能なクレジットのインジケーション（例えば、１３５８Ｂ）を表示する。一部の実施例では、ストアドバリュー口座の利用可能なクレジットは、バイナリコードデータの形式で電子デバイス１００に物理的に記憶された記憶された価値（例えば、資産）である。一部の実施例では、利用可能なクレジットは、バイナリコードデータの形式で電子デバイス１００に物理的に記憶されたコミュータプラン（例えば、トランジットプラン）である。一部の実施形態では、図１３Ａに示されるように、電子デバイス１００は、電子デバイスのディスプレイ上で、利用可能なクレジットのインジケーション（例えば、１３５８Ｂ）を有するストアドバリュー口座のグラフィカル描写（例えば、１３５８Ａ）を同時に表示する。よって、ユーザは、利用可能なクレジットが対応するストアドバリュー口座を迅速かつ容易に識別することができる。これは特に、電子デバイスが複数の口座を含む（例えば、電子デバイスの電子ウォレットアプリケーションに）ときにユーザにとって有用である。
【０３９３】
一部の実施形態では、電子デバイス１００は、ストアドバリュー口座の認証情報を非接触取引端末に転送するための認証（例えば、生体認証、指紋認証、暗証番号認証）を要求する。一部の実施例では、電子デバイスは、ストアドバリュー口座の認証情報を非接触取引端末に転送する前、かつ利用可能なクレジットのインジケーション（例えば、１３５８Ｂ）の表示を非接触取引端末への認証情報の転送に対応する取引のインジケーションの表示に置き換える前に認証を要求する。一部の実施例では、ストアドバリュー口座の認証情報を転送することは、記憶された価値の資産をストアドバリュー口座から転送することに対応する。一部の実施例では、ストアドバリュー口座の認証情報を転送することは、ストアドバリュー口座の口座番号を非接触通信端末に送信することに対応する。一部の実施形態では、電子デバイス１００は、図１３Ａによって示されるように、ストアドバリュー口座の認証情報を非接触取引端末に転送するための認証を要求するインジケーション（例えば、１３５８Ｃ）を提示することによって、ストアドバリュー口座の認証情報を非接触取引端末に転送するための認証を要求する。一部の実施例では、認証を要求するインジケーションは、電子デバイス１００のディスプレイ上に表示される情報の一部である。一部の実施例では、認証を要求するインジケーションは、電子デバイス１００のスピーカにおいて再生される音声である。一部の実施例では、認証を要求するインジケーションは、電子デバイス１００において生じる触覚振動である。
【０３９４】
一部の実施形態では、認証を要求したことに続いて、電子デバイス１００は、認証情報をユーザから受信する（例えば、指紋を検出し、又は暗証番号の入力を検出する）。例えば、図１３Ａに示されるように、認証を要求するインジケーション（例えば、１３５８Ｃ）が生体（例えば、指紋）認証を要求する場合、図１３Ｂに示されるように、ユーザは、ユーザの生体情報を提供するために電子デバイス１００の指紋リーダにタッチすることによって要求された生体認証を提供することができる。よって、この実施例では、電子デバイスは、生体情報に基づいている認証情報を受信する。一部の実施形態では、電子デバイス１００は、受信された認証情報が取引を承認するために有効とされる登録された認証情報（例えば、登録された生体情報、登録された指紋、登録された暗証番号）と一致するとの判定に従って、ストアドバリュー口座の認証情報を非接触取引端末に転送する（例えば、ＮＦＣを使用して、電子デバイスの１つ以上の無線機を介して）。
【０３９５】
一部の実施形態では、認証情報が取引を承認するために有効とされる登録された認証情報と一致しないとの判定に従って、電子デバイス１００は、ストアドバリュー口座の認証情報を非接触取引端末に転送することを見合わせる（例えば、ＮＦＣを介して送信することを見合わせる）。よって、一部の実施例では、電子デバイス１００は、転送を許可する前に承認をチェックすることによってストアドバリュー口座の認証情報を非接触取引端末に転送するための追加的なセキュリティを提供する。
【０３９６】
一部の実施形態では、図１３Ｃに示されるように、認証情報が取引を承認するために有効とされる登録された認証情報と一致するとの判定に従って、電子デバイス１００は、電子デバイスのディスプレイ上で、利用可能なクレジット（例えば、利用可能な資産）のインジケーション（例えば、１３５８Ｂ）及び電子デバイスを非接触取引端末の近くに配置することによって取引を進めることをユーザに要求するインジケーション（例えば、１３５８Ｄ）と共に、ストアドバリュー口座のグラフィカル描写（例えば、１３５８Ａ）を同時に表示する。よって、ユーザは、認証が成功したことこと、及び電子デバイス１００が非接触取引端末との取引に使用される準備ができたことを認識するようになる。一部の実施形態では、電子デバイス１００は、ディスプレイの第１の位置（例えば、１３６０Ａ）において利用可能なクレジットのインジケーション（例えば、１３５８Ｂ）を表示する。一部の実施形態では、電子デバイス１００は、ディスプレイの第２の位置（例えば、１３６０Ｂ）において利用可能なクレジットのインジケーション（又は額のいずれのインジケーション）を表示しない。
【０３９７】
図１３Ｄに示されるように、ユーザが電子デバイス１００を電子デバイスとは別個の非接触取引端末（例えば、１３９０Ａ）の近くに配置するとき（例えば、電子デバイスを非接触取引端末１３９０Ａの場の中に配置する）、電子デバイスは、１つ以上の短距離通信無線機（例えば、ＮＦＣ無線機）を使用して、ストアドバリュー口座の認証情報を非接触取引端末に転送（例えば、送信）する。一部の実施例では、ストアドバリュー口座の認証情報を転送することは、記憶された価値の資産をストアドバリュー口座から転送することに対応する。一部の実施例では、ストアドバリュー口座の認証情報を転送することは、ストアドバリュー口座の口座番号を非接触通信端末に送信することに対応する。
【０３９８】
一部の実施形態では、ストアドバリュー口座の認証情報を使用して非接触取引端末（例えば、１３９０Ａ）との取引が実行されたと判定することは、ストアドバリュー口座の利用可能なクレジットが変更されたことを検出することを含む。よって、一部の実施例では、電子デバイス１００は、ストアドバリュー口座の利用可能なクレジット（例えば、利用可能な資産）を監視することによって（例えば、ストアドバリュー口座の利用可能な資産が低減した）、取引を検出する。一部の実施例では、ストアドバリュー口座の認証情報を使用して取引が実行されたと判定することは、トランジットパス認証情報が送信された（例えば、非接触取引端末１３９０Ａに）ことを検出することを含む。
【０３９９】
１つ以上の短距離通信無線機を使用して非接触取引端末に転送されたストアドバリュー口座の認証情報を使用して実行された非接触取引端末（例えば、１３９０Ａ）との取引に基づいて、電子デバイス１００は、利用可能なクレジットのインジケーション（例えば、１３５８Ｂ）の表示を非接触取引端末への認証情報の転送に対応する取引のインジケーションの表示に置き換える。例えば、非接触取引端末への認証情報の転送に対応する取引は、使用されるコミュータプランである。別の実施例について、非接触取引端末への認証情報の転送に対応する取引は、直近の取引のコストである。別の実施例について、非接触取引端末への認証情報の転送に対応する取引は、進行しているトリップのインジケーション（trip in progress indication）である。
【０４００】
図１３Ｅ〜１３Ｇは、利用可能なクレジット（例えば、利用可能な資産）のインジケーション（例えば、１３５８Ｂ）の表示を非接触取引端末（例えば、１３９０Ａ）への認証情報の転送に対応する取引のインジケーション（例えば、１３５８Ｅ）の表示に置き換える電子デバイス１００の例示的なユーザインタフェースを示す。一部の実施形態では、認証情報を非接触取引端末に転送する前に、ストアドバリュー口座の利用可能なクレジット（例えば、記憶された価値又はコミュータプラン）のインジケーション（例えば、１３５８Ｂ）は、電子デバイス１００のディスプレイの第１の位置（例えば、１３６０Ａ）において表示される（図１３Ｃに示されるように）。一部の実施形態では、図１３Ｇによって示されるように、電子デバイス１００は、電子デバイスのディスプレイの第１の位置（例えば、１３６０Ａ）における利用可能なクレジットのインジケーション（例えば、１３５８Ｂ）の表示を、非接触取引端末（例えば、１３９０Ａ）への認証情報の転送に対応する取引のインジケーション（例えば、１３５８Ｅ）の表示に置き換え、ディスプレイの第２の位置（例えば、１３６０Ｂ）における利用可能なクレジットのインジケーション（例えば、１３５８Ｂ）を表示する。利用可能なクレジットのインジケーション（例えば、１３５８Ｂ）をディスプレイの第１の位置（例えば、１３６０Ａ）における取引のインジケーション（例えば、１３５８Ｅ）に置き換えることによって、電子デバイス１００は、ユーザに、ストアドバリュー口座の認証情報を使用して非接触取引端末との取引が実行されたことを通知する。更に、一部の実施形態では、図１３Ｅ〜１３Ｇに示される実施形態のように、電子デバイス１００は、電子デバイスのディスプレイ上で、利用可能なクレジットのインジケーション（例えば、１３５８Ｂ）及び認証情報の転送に対応する取引のインジケーション（例えば、１３５８Ｅ）と共にストアドバリュー口座のグラフィカル描写（例えば、１３５８Ａ）を同時に表示する。これによって、ユーザは、利用可能なクレジットが対応するストアドバリュー口座を迅速かつ容易に識別することが可能になる。これは特に、電子デバイス１００が、例えば、電子デバイスの電子ウォレットアプリケーション内で複数の口座を含むときにユーザにとって有用である。
【０４０１】
一部の実施形態では、利用可能なクレジットのインジケーション（例えば、１３５８Ｂ）の表示を電子デバイス１００のディスプレイの第１の位置（例えば、１３６０Ａ）における非接触取引端末（例えば、１３９０Ａ）への認証情報の転送に対応する取引のインジケーション（例えば、１３５８Ｅ）の表示に置き換えることは、ストアドバリュー口座の利用可能なクレジットが変更されたことを検出したことに応じている。よって、電子デバイス１００は、ユーザに、ストアドバリュー口座の利用可能なクレジットが変更されたことを検出した後の取引を通知する。
【０４０２】
一部の実施形態では、図１３Ｅ〜１３Ｇに示されるように、電子デバイス１００は、同時に、電子デバイスのディスプレイ上で第１の方向に（例えば、水平に右に、水平に左に）、利用可能なクレジットのインジケーション（例えば、１３５８Ｂ）を第１の位置（例えば、１３６０Ａ）から第１の位置とは異なる第２の位置（例えば、１３６０Ｂ）にスライドさせ（例えば、直接線形経路を介して）、電子デバイスのディスプレイ上に（例えば、ディスプレイの外からディスプレイ上に）第１の方向で（例えば、右に、左に）、取引のインジケーション（例えば、１３５８Ｅ）を第１の位置（例えば、１３６０Ａ）にスライドさせる（例えば、直接線形経路を介して）ことによって、利用可能なクレジットのインジケーション（例えば、１３５８Ｂ）の表示をディスプレイの第１の位置（例えば、１３６０Ａ）における非接触取引端末（例えば、１３９０）への認証情報の転送に対応する取引のインジケーション（例えば、１３５８Ｅ）の表示に置き換える。利用可能なクレジットのインジケーション（例えば、１３５８Ｂ）及び取引のインジケーション（例えば、１３５８Ｅ）をスライドさせることによって、電子デバイス１００は、ユーザに、ストアドバリュー口座の認証情報を使用して非接触取引端末（例えば、１３９０Ａ）との取引が実行されたことを通知する。更に、一部の実施例では、ユーザは、関連情報について電子デバイス１００のディスプレイ上の同一の位置を見ることができる。例えば、利用可能なクレジットのインジケーション（例えば、１３５８Ｂ）は、ある位置において表示され、それに続いて、利用可能なクレジットのインジケーションは、同一の位置において取引のインジケーション（例えば、１３５８Ｅ）の表示のための空間を設けるためにスライドする。
【０４０３】
一部の実施形態では、図１３Ｇに示されるように、ストアドバリュー口座の認証情報を非接触取引端末（例えば、１３９０Ａ）に転送した後、電子デバイス１００は、電子デバイスのディスプレイ上で、利用可能なクレジットのインジケーション（例えば、１３５８Ｂ）、非接触取引端末への認証情報の転送に対応する取引のインジケーション（例えば、１３５８Ｅ）、及び非接触取引端末へのストアドバリュー口座の認証情報の転送が完了したことのインジケーション（例えば、１３５６、「完了」、「支払い完了！」）を同時に表示する。よって、電子デバイス１００は、ユーザに、口座上の利用可能なクレジット（例えば、利用可能な資産）、取引のインジケーション（例えば、取引のために支払われる額又は転送される額）、及び取引が完了したことを同時に通知する。一部の実施例では、利用可能なクレジットのインジケーション（例えば、１３５８Ｂ）は、ディスプレイの第２の位置（例えば、１３６０Ｂ）において提示される。一部の実施例では、非接触取引端末（例えば、１３９０Ａ）への認証情報の転送に対応する取引のインジケーション（例えば、１３５８Ｅ）は、ディスプレイの第１の位置（例えば、１３６０Ａ）において表示される。一部の実施例では、非接触取引端末（例えば、１３９０Ａ）への認証情報の転送に対応する取引のインジケーション（例えば、１３５８Ｅ）は、認証情報の転送に対応する額（例えば、「＄８．００」）を含む。
【０４０４】
一部の実施形態では、図１３Ｆ〜１３Ｇにも示されるように、電子デバイス１００は、認証情報の転送の後にストアドバリュー口座上で利用可能なクレジットを反映するように利用可能なクレジット（例えば、利用可能な資産）のインジケーション（例えば、１３５８Ｂ）を更新する（例えば、＄５０．００から＄４２．００に変更する）。一部の実施形態では、電子デバイス１００は、図１３Ｅ〜１３Ｇに関連して説明されるように、利用可能なクレジットのインジケーション（例えば、１３５８Ｂ）の表示を取引のインジケーション（例えば、１３５８Ｅ）の表示に置き換える間、利用可能なクレジットのインジケーション（例えば、１３５８Ｂ）を更新する。一部の実施例では、更新されていない利用可能なクレジットは、更新された利用可能なクレジットに変わる。一部の実施例では、更新されていない利用可能なクレジットがフェードアウトし、更新された利用可能なクレジットがフェードインする。一部の実施例では、更新されていない利用可能なクレジットは、更新された利用可能なクレジットをスピンし、顕示するために停止する模倣機械式リール（simulated mechanical reels）を使用してスロットマシンに類似した方式で更新される。よって、電子デバイス１００は、ユーザにストアドバリュー口座の更新された利用可能なクレジットについて通知する。
【０４０５】
図１３Ｈ〜１３Ｉは、一部の実施形態に従って、電子デバイス１００上でストアドバリュー口座を使用して実行される取引の履歴の表現を表示するユーザインタフェースを示す。一部の実施形態では、図１３Ｈに示されるように、非接触取引端末（例えば、１３９０Ａ）へのストアドバリュー口座の認証情報の転送に続いて、電子デバイス１００は、電子デバイス１００上でストアドバリュー口座を使用して実行される取引の履歴の表現を表示する。一部の実施形態では、取引の履歴の表現は、複数の選択可能アフォーダンス（例えば、１３４０Ａ、１３４０Ｂ、１３４０Ｃ）を含むメニュー（例えば、１３４０）を含む。一部の実施例では、メニュー（例えば、１３４０）は、情報アフォーダンス（例えば、１３４０Ａ）を含む。一部の実施例では、メニュー（例えば、１３４０）は、取引アフォーダンス（例えば、１３４０Ｂ）を含む。一部の実施例では、メニュー（例えば、１３４０）は、デバイスアフォーダンス（例えば、１３４０Ｃ）を含む。
【０４０６】
一部の実施形態では（例えば、図１３Ｈに示されるように、取引アフォーダンス１３４０Ｂが選択されるとき）、取引の履歴の表現は、トランジットトリップ（例えば、１３６２Ａ、１３６２Ｂ、１３６２Ｃ）の１つ以上の表現を表示する。一部の実施例では、電子デバイス１００は、トランジットトリップ（例えば、１３６２Ａ、１３６２Ｂ、１３６２Ｃ）のうちの１つ以上の第１のトリップの認証情報の転送に対応する取引のインジケーション（例えば、１３６２Ｂ）を表示する。一部の実施例では、電子デバイス１００はまた、第１のトリップの認証情報の転送に対応する詳細（例えば、ゾーン２からゾーン３への旅行）を同時に表示する。一部の実施例では、電子デバイス１００は、取引のインジケーション及び複数のトランジットトリップに対応するトリップの詳細を同時に表示する。一部の実施例では、電子デバイス１００は、トランジットトリップの履歴の表示を要求するユーザ入力を受信したことに応じて、トランジットトリップの履歴を表示する。よって、一部の実施例では、電子デバイス１００は、ユーザに取引の履歴的ビューを提供する。
【０４０７】
一部の実施形態では、取引（例えば、ストアドバリュー口座の）の履歴の表示された表現は、トランジットプラン又はトランジットパス（例えば、１３６２Ｃ）によってカバーされているものとして示されるトランジットトリップ（例えば、１３６２Ａ、１３６２Ｂ、１３６２Ｃ）の１つ以上の表現を含む。一部の実施例では、トランジットトリップの表示され履歴（例えば、１３６２Ａ、１３６２Ｂ、１３６２Ｃ）はまた、コストが月次又は週次のトランジットプランに含まれるのではなくトリップごと計算されるトランジットトリップなど、トランジットプラン又はトランジットパス（例えば、１３６２Ｂ）によってカバーされているものとして示されないトランジットトリップの１つ以上の表現を含む。よって、一部の実施例では、電子デバイス１００は、トランジットプランによってカバーされる取引の履歴的ビューをユーザに提供し、それによって、ユーザは、トランジットプランによってカバーされるトランジットトリップ及びカバーされないトランジットトリップの中で区別することが可能になる。
【０４０８】
一部の実施形態では、取引（例えば、ストアドバリュー口座の）の履歴の表示された表現は、進行しているトランジットトリップ（例えば、１３６２Ａ、１３６２Ｂ、１３６２Ｃ）の１つ以上の表現、及び進行しているとして示される進行しているトランジットトリップ（例えば、１３６２Ａ）の１つ以上の表現を含む。例えば、進行しているトランジットトリップは、ユーザが目的地に到達し、目的地においてトランジットシステムを出る（例えば、トランジットシステムを「タグオフする（tag off）」）まではトリップの価値が計算されない途中の（en-route）トリップである。よって、一部の実施例では、電子デバイス１００は、ユーザに現在進行している取引のビューを提供する。
【０４０９】
一部の実施形態では、進行しているトランジットトリップのインジケーション（例えば、１３６２Ａ）は、取引（例えば、ストアドバリュー口座の）の履歴のリスト（例えば、１３６２Ａ、１３６２Ｂ、１３６２Ｃ）の最上部にある。一部の実施形態では、取引の履歴のリストの最上部における進行しているトランジットトリップのインジケーション（例えば、１３６２Ａ）を含む取引の履歴のリスト（例えば、１３６２Ａ、１３６２Ｂ、１３６２Ｃ）を表示したことに続いて、電子デバイス１００は、１つ以上の短距離通信無線機を使用して、ストアドバリュー口座の認証情報を非トランジット取引のために第２の非接触取引端末に転送する。例えば、電子デバイス１００は、非トランジット取引のために、記憶された価値の資産をストアドバリュー口座から転送し、又はストアドバリュー口座の口座番号を第２の非接触取引端末に送信する。次いで、一部の実施形態では、図１３Ｉに示されるように、電子デバイス１００は、取引（例えば、ストアドバリュー口座の）履歴のリスト（例えば、１３６２Ａ、１３６２Ｂ、１３６２Ｃ）における進行しているトランジットトリップのインジケーション（例えば、１３６２Ａ）の表示を移動させ（例えば、下にシフトさせる）、進行しているトランジットトリップのインジケーション（例えば、１３６２Ａ）によって前に占有された位置における非トランジット取引のインジケーション（例えば、１３６２Ｄ）を表示する。よって、例えば、電子デバイス１００は、図１３Ｉに示されるように、非トランジット取引のインジケーション（例えば、１３６２Ｄ）を取引の履歴のリスト（例えば、１３６２Ａ、１３６２Ｂ、１３６２Ｃ）の最上部に表示する。
【０４１０】
図１３Ｊ〜１３Ｋは、一部の実施形態に係る、電子デバイスが「タグオンされている（tagged on」）（例えば、ストアドバリュー口座がトランジットシステムに入力及び使用されているが、トランジットシステムを出るように使用されていない（例えば、トリップが進行している）間、電子デバイス１００のロックスクリーン上で、ストアドバリュー口座（トランジット口座であるストアドバリュー口座など）を表示するための例示的なユーザインタフェースを示す。一部の実施形態では、ストアドバリュー口座の認証情報をトランジットシステム（例えば、電子デバイス１００がトランジットシステムに「タグオンしている」）の非接触取引端末（例えば、１３９０Ａ）に転送したことに従って、ストアドバリュー口座は、進行しているトランジットトリップについてタグオン状態であるものとして電子デバイスによってマーク付けされる。一部の実施形態では、ストアドバリュー口座がトランジットシステムで使用されている（例えば、トランジットシステムにタグオンされている）ことに従って、かつ電子デバイス１００がロック状態にあることに従って、電子デバイスは、電子デバイスのディスプレイ上のロックスクリーン上で（例えば、図１３Ｊに示されるように）、ストアドバリュー口座（又はストアドバリュー口座と関連付けられた進行しているトリップの）のインジケーション（例えば、１３６４）を表示する。一部の実施例では、ストアドバリュー口座がタグオンされていない（例えば、ストアドバリュー口座がタグオフされた後）ことに従って、かつ電子デバイス１００がロック状態にあることに従って、電子デバイスは、電子デバイスのディスプレイ上のロックスクリーン上で、ストアドバリュー口座のインジケーション（例えば、１３６４）を表示することを見合わせる。
【０４１１】
一部の実施形態では、図１３Ｋに示されるように、ユーザは、電子デバイスのロックスクリーン上に表示されるストアドバリュー口座（又はストアドバリュー口座と関連付けられた進行しているトリップの）のインジケーション（例えば、１３６４）をアクティブ化することによって（例えば、選択することによって、特定の方向にスワイプすることによって）、電子デバイス１００上のストアドバリュー口座にアクセスすることができる。よって、電子デバイス１００は、ユーザに、電子デバイスがロック状態にあるときのストアドバリュー口座への迅速なアクセスを提供する。一部の実施形態では、電子デバイス１００の電子ウォレットアプリケーションからの他の項目は、他の項目がコンテキストに関連するときに電子デバイスのロックスクリーン上で表示される。例えば、トランジット口座であるストアドバリュー口座は、ユーザがトランジットシステムにタグオンするためにトランジット口座を使用しているときにコンテキストに関連するものと判定される。
【０４１２】
一部の実施形態では、図１３Ｌに示されるように、図１３Ｊ〜１３Ｋに示されるストアドバリュー口座のインジケーション（例えば、１３６４）のアクティブ化を検出したことに応じて、電子デバイス１００は、仮想搭乗パスを表示する。一部の実施形態では、仮想搭乗パスは、電子デバイス１００の電子ウォレットアプリケーションの一部として表示される。一部の実施形態では、仮想搭乗パスは、ストアドバリュー口座と関連付けられた進行しているトランジットトリップに関する１つ以上の詳細を含む。一部の実施例では、進行しているトランジットトリップに関する１つ以上の詳細は、進行しているトランジットに使用されるストアドバリュー口座のグラフィカル描写（例えば、１３５８Ａ）を含む。一部の実施例では、進行しているトランジットトリップに関する１つ以上の詳細は、進行しているトランジットに使用されるストアドバリュー口座の利用可能なクレジットのインジケーション（例えば、１３６６Ａ）を含む。一部の実施例では、進行しているトランジットトリップに関する１つ以上の詳細は、進行しているトランジットに使用されるストアドバリュー口座がトランジットシステムにタグオンされた時間のインジケーション（例えば、１３６６）を含む。
【０４１３】
一部の実施形態では、進行しているトランジットトリップに関する１つ以上の詳細は、電子デバイス１００がトランジットシステムを「タグオフされている」ときに支払いのための承認を得るために認証（例えば、生体認証、指紋認証、暗証番号認証）についての要求（例えば、１３６６Ｃ）を含む。一部の実施形態では、トランジットシステムをタグオフするために（例えば、進行しているトランジットトリップを終了させるために）、電子デバイス１００は、図１３Ｍに示されるように、１つ以上の短距離通信無線機（例えば、ＮＦＣ無線機）を使用して、ストアドバリュー口座の認証情報をトランジットトリップのために第３の非接触取引端末（例えば、１３９０Ｂ）に転送（例えば、送信）する。一部の実施形態では、仮想搭乗パスは、ストアドバリュー口座が「タグオフ」されると削除され、それは、トランジットトリップが完了したこと（例えば、トランジットトリップがもう進行していない）ことを示す。一部の実施形態では、仮想搭乗パスは、ストアドバリュー口座が「タグオフ」されると非アクティブ、完了、又は失効されるものとして識別され、それは、トランジットトリップが完了したこと（例えば、トランジットトリップがもう進行していない）ことを示す。よって、電子デバイス１００は、ユーザに、電子デバイスがロック状態にあるときのストアドバリュー口座への迅速なアクセスを提供する（例えば、ストアドバリュー口座のインジケーション１３６４のアクティブ化を検出することによって）。
【０４１４】
一部の実施形態では、電子デバイスは、デバイス状態ユーザインタフェース（例えば、ロックスクリーン、通知センタ、制御センタ、又は他の状態ユーザインタフェース）を表示する要求を受信する。デバイス状態ユーザインタフェースを表示する要求を受信したことに応じて、デバイス状態ユーザインタフェースを表示し、それは、デバイスが進行しているトランジットトリップのためにストアドバリュー口座を使用しているとの判定に従って（例えば、トランジット口座を使用してトランジットシステムに入り、トランジットシステムを出ていないこと、又はトランジットシステム上で最近チケットを購入したことに基づいて）、デバイス状態ユーザインタフェースにおいて進行しているトランジットトリップのためにトランジット口座の使用に関する情報を表示することと、デバイスが進行しているトランジットトリップのためにストアドバリュー口座を使用していないとの判定に従って、トランジットトリップのためにトランジット口座に関する情報を表示することなくデバイス状態ユーザインタフェースを表示することと、を含む。
【０４１５】
一部の実施形態では、ストアドバリュー口座のインジケーション（例えば、１３６４）のアクティブ化を検出したことに応じて、電子デバイス１００は、図１３Ｎに示されるように、かつ図１３Ｈ〜１３Ｉに関連して説明されるように、ストアドバリュー口座が使用された最近の取引に関する情報を含むストアドバリュー口座のカード詳細ビューを表示する。一部の実施形態では、ストアドバリュー口座のカード詳細ビューは、電子デバイスがトランジットシステムを「タグオフ」した後に表示される（例えば、図１３Ｍに示されるように）。
【０４１６】
一部の実施形態では、図１３Ｎに示されるように、ストアドバリュー口座の認証情報を進行中であるトランジットトリップのために第３の非接触取引端末（例えば、１３９０Ｂ）に転送したことに応じて（例えば、トランジットトリップのために最終的な支払いを行ったことに応じて）、電子デバイス１００は、進行していたトランジットトリップのインジケーション（例えば、１３６２Ａ）の表示を取引の履歴のリスト（例えば、１３６２Ａ〜１３６２Ｄ）の最上部に移動させることに対応するために非トランジット取引のインジケーション（例えば、１３６２Ｄ）の表示を移動させる（例えば、下にシフトさせる）。一部の実施例では、進行していたトランジットトリップのインジケーション（例えば、１３６２Ａ）の表示は、完了したトリップのコストを反映するように更新される。よって、一部の実施例では、電子デバイス１００は、ユーザに経時的に表示される取引の履歴的なビューを提供し、それによって、ユーザは、ストアドバリュー口座が前の取引においてどのように使用されているかをより容易に参照及び理解することが可能になる。
【０４１７】
図１４Ａ〜１４Ｂは、一部の実施形態に係る、ストアドバリュー口座の認証情報を端末に転送する方法を示すフローチャートである。方法１４００は、ディスプレイ、１つ以上の短距離通信無線機、及び電子ウォレットアプリケーションを有する電子デバイス（例えば、１００、３００、５００）において実行される。方法１４００におけるいくつかの動作は任意選択的に組み合わされ、いくつかの動作の順序は任意選択的に変更され、いくつかの動作は任意選択的に省略される。
【０４１８】
以下で説明されるように、方法１４００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０４１９】
ブロック１４０２において、電子デバイスは、ディスプレイ上で、ストアドバリュー口座（例えば、資産及び／又はデータがバイナリコードデータの形式で電子デバイスに物理的に記憶された）の利用可能なクレジット（例えば、記憶された価値又はコミュータプラン）のインジケーション（例えば、１３５８Ｂ）を表示する。
【０４２０】
一部の実施形態に従って、ストアドバリュー口座は、ストアドバリュートランジット口座である。一部の実施例では、価値をストアドバリュー口座から取り出すための情報は、情報をセキュア要素から取り出す適切に処理された支払い取引なしに記憶された価値にアクセスすることができないことを保証するために電子デバイスのセキュア要素に記憶される。一部の実施例では、ストアドバリュートランジット口座は、トランジットプラン（又はトランジットパス）情報を記憶する。一部の実施例では、トランジットプランは、月次又は週次のトランジットプランである。一部の実施例では、ストアドバリュートランジット口座は、電子マネーを記憶する。よって、一部の実施例では、電子デバイスは、ユーザにトランジットシステムに関連するストアドバリュー口座に関する詳細を提供する。加えて、一部の実施例では、電子デバイスは、ユーザにストアドバリュー口座を使用したトランジットシステムへのアクセスを提供する。
【０４２１】
ブロック１４１２において、電子デバイスは、１つ以上の短距離通信無線機を使用して、ストアドバリュー口座の認証情報を電子デバイスとは別個の非接触取引端末（例えば、１３９０Ａ）に転送する（例えば、記憶された価値の資産をストアドバリュー口座から転送し、ストアドバリュー口座の口座番号を送信する）。代わりに、又は加えて、電子デバイスは、取引を検出する。一部の実施例では、電子デバイスは、セキュア要素を含み、ストアドバリュー口座の認証情報を非接触取引端末に転送することは、電子デバイスのセキュア要素から、ストアドバリュー口座の認証情報にアクセスするための情報を解放することを含む。例えば、電子デバイスは、ストアドバリュー口座の残高が変更された（例えば、減少した）と判定する。一部の実施例では、取引に参加するためにストアドバリュー口座を使用することは、電子デバイスのセキュア要素から情報（例えば、取引情報、支払い情報）を解放することを含む。
【０４２２】
一部の実施形態に従って、ストアドバリュー口座の認証情報を非接触取引端末（例えば、１３９０Ａ）に転送したことに応じて（及び／又は取引を検出したことに応じて）、電子デバイスは、ディスプレイ上で、利用可能なクレジットのインジケーション（例えば、１３５８Ｂ）、非接触取引端末（例えば、１３９０Ａ）への認証情報の転送に対応する取引のインジケーション（例えば、１３５８Ｅ）、及びストアドバリュー口座の認証情報を非接触取引端末（例えば、１３９０Ａ）に転送することが完了したことのインジケーション（例えば、１３５６）（例えば、「支払い完了！」）を同時に表示する。よって、電子デバイスは、ユーザに、口座上の利用可能なクレジット、取引のインジケーション（例えば、取引のために支払われる／転送される額）、及び取引が完了したことのインジケーションを同時に通知する。よって、電子デバイスは、利用可能なクレジットのインジケーション及び取引のインジケーションを同時に表示することによって、ユーザに電子デバイスが取引を自動的に検出したことを通知する。
【０４２３】
一部の実施形態に従って、ストアドバリュー口座の認証情報を使用して取引が実行されたとの判定は、ストアドバリュー口座の利用可能なクレジットが変更されたことを検出することを含む。よって、一部の実施例では、電子デバイスは、ストアドバリュー口座の利用可能なクレジットを監視することによって取引を検出する。一部の実施例では、ストアドバリュー口座の認証情報を使用して取引が実行されたとの判定は、トランジットパスの認証情報が送信された（例えば、非接触取引端末に）ことを検出することを含む。
【０４２４】
一部の実施形態に従って、電子デバイスは、デバイス状態ユーザインタフェース（例えば、ロックスクリーン、通知センタ、制御センタ、又は他の状態ユーザインタフェース）を表示する要求を受信する。デバイス状態ユーザインタフェースを表示する要求を受信したことに応じて、デバイス状態ユーザインタフェースを表示し、それは、デバイスが進行しているトランジットトリップのためにストアドバリュー口座を使用しているとの判定に従って（例えば、トランジット口座を使用してトランジットシステムに入り、トランジットシステムを出ていないこと、又はトランジットシステム上で最近チケットを購入したことに基づいて）、デバイス状態ユーザインタフェースにおいて進行しているトランジットトリップのためにトランジット口座の使用に関する情報を表示することと、デバイスが進行しているトランジットトリップのためにストアドバリュー口座を使用していないとの判定に従って、トランジットトリップのためにトランジット口座に関する情報を表示することなくデバイス状態ユーザインタフェースを表示することと、を含む。よって、電子デバイスは、進行しているトランジットトリップのためにトランジット口座に関する情報を表示することによって、デバイスの状態（トランジット口座がトランジットトリップのために現在使用されているか否か）をユーザに通信する。
【０４２５】
一部の実施形態に従って、ストアドバリュー口座の認証情報を非接触取引端末（例えば、１３９０Ａ）に転送したことに従って、ストアドバリュー口座がトランジットシステムに使用されていることに従って（例えば、ストアドバリュー口座がトランジットに入るために使用されているが、トランジットシステムを出るために使用されていないとき）、かつ電子デバイスがロック状態にあることに従って、進行しているトランジットトリップのためにストアドバリュー口座を使用する（例えば、ストアドバリュー口座がトランジットに入るために使用されているが、トランジットシステムを出るために使用されていないときなど、トランジットシステムで使用される）間、電子デバイスは、ディスプレイのロックスクリーン上で、ストアドバリュー口座の（又はストアドバリュー口座と関連付けられた進行しているトリップの）インジケーション（例えば、１３６４）を表示する。一部の実施例では、ストアドバリュー口座がタグオンされていない（例えば、ストアドバリュー口座がタグオフされた後）ことに従って、かつ電子デバイスがロック状態にあることに従って、電子デバイスは、ディスプレイのロックスクリーン上で、ストアドバリュー口座のインジケーションを表示することを見合わせる。よって、電子デバイスは、ユーザに、電子デバイスがロックされているときにストアドバリュー口座への迅速なアクセスを提供する（例えば、ストアドバリュー口座のインジケーションのアクティブ化を検出することを通じて）。一部の実施形態では、ウォレットアプリケーションからの他の項目は、それらがコンテキストに関連するときにロックスクリーン上で表示され、トランジットカードは、ユーザがカードを使用していたときにコンテキストに関連するものと判定される。
【０４２６】
一部の実施形態に従って、電子デバイスは、ストアドバリュー口座のインジケーション（例えば、１３６４）のアクティブ化を検出し、ストアドバリュー口座のインジケーション（例えば、１３６４）のアクティブ化を検出したことに応じて、ストアドバリュー口座が使用された最近の取引（例えば、１３６４Ａ〜１３６２Ｄ）に関する情報（並びに、任意選択的に、トランジットトリップ及び／又はストアドバリュー口座における価値の残高に関する情報）を含むストアドバリュー口座についてのカード詳細ビューを表示する。
【０４２７】
一部の実施形態に従って、電子デバイスは、ストアドバリュー口座のインジケーション（例えば、１３６４）のアクティブ化を検出し、ストアドバリュー口座のインジケーション（例えば、１３６４）のアクティブ化を検出したことに応じて、仮想搭乗パス（例えば、電子デバイスの電子ウォレットにおける）を表示し、仮想搭乗パスは、ストアドバリュー口座と関連付けられた進行しているトランジットトリップに関する１つ以上の詳細（例えば、１３６６Ａ、１３６６Ｂ）を含む。一部の実施例では、仮想搭乗パスは、ストアドバリュー口座がタグオフされると削除され、それは、トランジットトリップが完了したこと（例えば、もう進行していない）を示す。よって、電子デバイスは、ユーザに、電子デバイスがロックされているときのストアドバリュー口座への迅速なアクセスを提供する（例えば、ストアドバリュー口座のインジケーションのアクティブ化を検出することを通じて）。
【０４２８】
ブロック１４１４において、電子デバイスは、１つ以上の短距離通信無線機を使用して非接触取引端末に転送されたストアドバリュー口座の認証情報を使用して実行された非接触取引端末（例えば、１３９０Ａ）との取引に基づいて、利用可能なクレジットのインジケーション（例えば、１３５８Ｂ）の表示を非接触取引端末への認証情報の転送に対応する取引のインジケーション（例えば、１３５８Ｅ）（例えば、使用されるコミュータプラン、最後の取引のコスト、進行しているトリップのインジケーション）の表示に置き換える。電子デバイスは、ユーザに、利用可能なクレジットのインジケーションの表示を、取引が実行されるときの取引のインジケーションの表示に自動的に置き換えることによって、かつ更なるユーザ入力を必要とすることなく、取引が実行されたことを示す。
【０４２９】
一部の実施形態に従って、ブロック１４０２において、ディスプレイ上で、ストアドバリュー口座の利用可能なクレジット（例えば、記憶された価値又はコミュータプラン）のインジケーション（例えば、１３５８Ｂ）を表示することは、ブロック１４０４において、ディスプレイ上の第１の位置（例えば、１３６０Ａ）において、ストアドバリュー口座の利用可能なクレジット（例えば、記憶された価値又はコミュータプラン）のインジケーション（例えば、１３５８Ｂ）を表示することを含む。一部の実施形態に従って、ブロック１４１４において、利用可能なクレジットのインジケーション（例えば、１３５８Ｂ）の表示を非接触取引端末（例えば、１３９０Ａ）への認証情報の転送に対応する取引のインジケーション（例えば、１３５８Ｅ）の表示に置き換えることは、ブロック１４１６において、ディスプレイ上の第２の位置（１３６０Ｂ）において、利用可能なクレジットのインジケーション（例えば、１３５８Ｂ）を表示することを含み、第２の位置は、第１の位置（例えば、１３６０Ａ）とは異なる、ことと、ブロック１４１８において、ディスプレイ上の第１の位置（例えば、１３６０Ａ）において、非接触取引端末（例えば、１３９０Ａ）への認証情報の転送に対応する取引のインジケーション（例えば、１３５８Ｅ）を表示することと、を含む。よって、利用可能なクレジットのインジケーションを取引のインジケーションに置き換えることによって、電子デバイスは、ユーザに、ストアドバリュー口座の認証情報を使用して非接触取引端末との取引が実行されたことを通知する。
【０４３０】
一部の実施形態に従って、ブロック１４１４において、利用可能なクレジットのインジケーション（例えば、１３５８Ｂ）の表示を非接触取引端末（例えば、１３９０Ａ）への認証情報の転送に対応する取引のインジケーション（例えば、１３６５８Ｅ）の表示に置き換えることは、ブロック１４２０において、同時に、ブロック１４２２において、ディスプレイ上で第１の方向に（例えば、水平に右に、水平に左に）、利用可能なクレジットのインジケーション（例えば、１３５８Ｂ）を第１の位置（例えば、１３６０Ａ）から第１の位置とは異なる第２の位置（例えば、１３６０Ｂ）にスライドさせ（例えば、直接線形経路を介して）、ブロック１４２４において、ディスプレイ上に（例えば、ディスプレイの外からディスプレイ上に）第１の方向で（例えば、右に、左に）、非接触取引端末（例えば、１３９０Ａ）への認証情報の転送に対応する取引のインジケーション（例えば、１３５８Ｅ）をスライドさせる（例えば、直接線形経路を介して）ことを含む。よって、利用可能なクレジットのインジケーション及び取引のインジケーションをスライドさせることによって、電子デバイスは、ユーザに、ストアドバリュー口座の認証情報を使用して非接触取引端末との取引が実行されたことを示す。更に、一部の実施例では、ユーザは、関連情報についてディスプレイ上の同一の位置を見ることができる。例えば、利用可能なクレジットは、ある位置に表示され、次いで、利用可能なクレジットは、同一の位置において取引のインジケーションの表示のための空間を設けるためにスライドする（例えば、取引の後は取引のインジケーションが利用可能なクレジットよりも関連することを理由に）。
【０４３１】
一部の実施形態に従って、利用可能なクレジットのインジケーション（例えば、１３５８Ｂ）の表示を非接触取引端末（例えば、１３９０Ａ）への認証情報の転送に対応する取引のインジケーション（例えば、１３５８Ｅ）の表示に置き換えることは、ストアドバリュー口座の利用可能なクレジットが変更されたことを検出したことに応じている。
【０４３２】
一部の実施形態に従って、電子デバイスは、認証情報の転送を反映するように利用可能なクレジットのインジケーション（例えば、１３５８Ｂ）を更新する（例えば、利用可能なクレジットのインジケーションの表示を取引のインジケーションの表示に置き換える間）。一部の実施例では、更新されていない利用可能なクレジットは、更新された利用可能なクレジットに変容する。一部の実施例では、更新されていない利用可能なクレジットがフェードアウトし、更新された利用可能なクレジットがフェードインする。一部の実施例では、更新されていない利用可能なクレジットは、更新された利用可能なクレジットをスピンし、顕示するために停止する模倣機械式リールを使用してスロットマシンに類似した方式で更新される。よって、電子デバイスは、ユーザに口座の更新された利用可能なクレジットについて通知する。
【０４３３】
一部の実施形態に従って、ブロック１４１２において、１つ以上の短距離通信無線機を使用して、ストアドバリュー口座から認証情報を非接触取引端末に転送する（例えば、記憶された価値の資産をストアドバリュー口座から転送し、ストアドバリュー口座の口座番号を送信する）前に、かつブロック１４１４において、利用可能なクレジットのインジケーション（例えば、１３５８Ｂ）の表示を認証情報の転送に対応する取引のインジケーション（例えば、１３５８Ｅ）の表示に置き換える前に、電子デバイスは、ブロック１４０６において、ストアドバリュー口座の認証情報を非接触取引端末（例えば、１３９０Ａ）に転送するための認証（例えば、生体認証、指紋認証、暗証番号認証）を要求するインジケーションを提示し（例えば、電子デバイスのディスプレイ上で通知を表示し、電子デバイスのスピーカにおいて音声を再生し、電子デバイスにおいて触覚出力を生じさせる）、ブロック１４０８において、認証情報を受信し（例えば、認証についての要求に応じて）（例えば、指紋を検出し、暗証番号の入力を検出する）、ブロック１４１０において、ストアドバリュー口座の認証情報を非接触取引端末（例えば、１３９０Ａ）に転送すること（例えば、近接場通信を使用して、ＮＦＣを使用して）は、認証情報が取引を承認するために有効とされる登録された認証情報（例えば、登録された生体情報、登録された指紋、登録された暗証番号）と一致するとの判定に従っている。
【０４３４】
一部の実施形態では、認証情報が取引を承認するために有効とされる登録された認証情報と一致しないとの判定に従って、電子デバイスは、ストアドバリュー口座の認証情報を非接触取引端末に転送することを見合わせる。よって、一部の実施例では、電子デバイスは、転送の前に承認をチェックすることによって、ストアドバリュー口座の認証情報を非接触取引端末に転送するための追加的なセキュリティを提供する。よって、電子デバイスの操作性は、認証情報を取引端末に転送する前に有効な認証をチェックすることによって、資産の承認されていない使用を防止することを支援するための追加のセキュリティを提供することによって高まる。
【０４３５】
一部の実施形態に従って、電子デバイスは、ディスプレイ上で、利用可能なクレジットのインジケーション（例えば、１３５８Ｂ）及び認証情報の転送に対応する取引のインジケーション（例えば、１３５８Ｅ）と共にストアドバリュー口座のグラフィカル描写（例えば、１３５８Ａ）を同時に表示する。よって、ユーザは、利用可能なクレジットが対応するストアドバリュー口座を迅速かつ容易に識別することができる。これは特に、電子デバイスが複数の口座を含む（例えば、電子デバイスの電子ウォレットアプリケーションに）ときにユーザにとって有用である。
【０４３６】
一部の実施形態に従って、１つ以上の短距離通信無線機を使用して、ストアドバリュー口座の認証情報を非接触取引端末（例えば、１３９０Ａ）に転送する（例えば、記憶された価値の資産をストアドバリュー口座から転送し、ストアドバリュー口座の口座番号を送信する）ことに続いて、電子デバイスは、ディスプレイ上で取引の履歴を表示し、取引の履歴は、トランジットトリップ（例えば、１３６２Ａ、１３６２Ｂ、１３６２Ｃ）の１つ以上の（又は複数の）表現を含む。一部の実施例では、電子デバイスは、１つ以上の（又は複数の）トランジットトリップの第１のトリップの認証情報の転送に対応する取引のインジケーションを表示する。一部の実施例では、電子デバイスはまた、第１のトリップの認証情報の転送に対応する詳細（例えば、ゾーン２からゾーン３への旅行）を同時に表示する。一部の実施例では、電子デバイスは、取引のインジケーション及び複数のトランジットトリップに対応するトリップの詳細を同時に表示する。一部の実施例では、電子デバイスは、トランジットトリップの履歴の表示を要求するユーザ入力を受信したことに応じてトランジットトリップの履歴を表示する。よって、一部の実施例では、電子デバイスは、取引の履歴的なビューをユーザに提供する。
【０４３７】
一部の実施形態に従って、取引（例えば、ストアドバリュー口座の）の表示された履歴は、トランジットプラン（又はトランジットパス）（例えば、１３６２Ｃ）によってカバーされているものとして示されるトランジットトリップの１つ以上の表現を含む。一部の実施例では、トランジットトリップの表示された履歴はまた、コストが月次又は週次のトランジットプランに含まれるのではなくトリップごとに計算されるトランジットトリップなど、トランジットプラン（又はトランジットパス）によってカバーされているものとして示されないトランジットトリップのうちの１つ以上の表現を含む。よって、一部の実施例では、電子デバイスは、トランジットプランによってカバーされる取引の履歴的ビューをユーザに提供し、それによって、ユーザは、トランジットプランによってカバーされるトランジットトリップ及びカバーされないトランジットトリップの表現の中で区別することが可能になる。
【０４３８】
一部の実施形態に従って、取引（例えば、ストアドバリュー口座の）の表示された履歴は、進行しているトランジットトリップの１つ以上の表現を含み、進行しているトランジットトリップの１つ以上の表現は、１つ以上のトランジットトリップが進行している（例えば、ユーザがそれらの目的地に到達し、タグオフするまではその価値が計算されない途中のトリップ）ことを示す（例えば、１３６２Ａ）表示された状態のインジケーションを含む。よって、一部の実施例では、電子デバイスは、ユーザに進行している取引のビューを提供する。
【０４３９】
一部の実施形態に従って、進行しているトランジットトリップのインジケーション（例えば、１３６２Ａ）は、取引（例えば、ストアドバリュー口座の）の履歴のリストの最上部にあり、取引の履歴のリストの最上部における進行しているトランジットトリップのインジケーション（例えば、１３６２Ａ）を含む取引（例えば、ストアドバリュー口座の）の履歴を表示したことに続いて、電子デバイスは、１つ以上の短距離通信無線機を使用して、ストアドバリュー口座の認証情報を非トランジット取引のために第２の非接触取引端末に転送する（例えば、記憶された価値の資産をストアドバリュー口座から転送し、ストアドバリュー口座の口座番号を送信する）。一部の実施形態に従って、電子デバイスは、取引（例えば、ストアドバリュー口座の）の履歴のリストにおける進行しているトランジットトリップのインジケーション（例えば、１３６２Ａ）の表示を移動させ（例えば、下にシフトさせる）、進行しているトランジットトリップのインジケーションによって前に占有された位置における非トランジット取引のインジケーション（例えば、１３６２Ｄ）を表示する（例えば、非トランジット取引を取引の履歴のリストの最上部に表示する）。一部の実施形態に従って、電子デバイスは、１つ以上の短距離通信無線機を使用して、（例えば、タグオフするために）トリップを終了させるために、ストアドバリュー口座の認証情報を進行しているトランジットトリップのために第３の非接触取引端末（例えば、１３９０Ｂ）に転送する（例えば、記憶された価値の資産をストアドバリュー口座から転送し、ストアドバリュー口座の口座番号を送信する）。一部の実施形態に従って、ストアドバリュー口座の認証情報を進行しているトランジットトリップのために第３の非接触取引端末（例えば、１３９０Ｂ）（例えば、トランジットトリップのために最後の支払いを行う）に転送したことに応じて、電子デバイスは、進行していたトランジットトリップのインジケーション（例えば、１３６２Ａ）の表示を取引の履歴のリストの最上部に移動させることに対応するために非トランジット取引のインジケーション（例えば、１３６２Ｄ）の表示を移動させる（例えば、下にシフトさせる）。一部の実施例では、進行していたトランジットトリップのインジケーションの表示はまた、完了したトリップのコストを反映するように更新される。よって、一部の実施例では、電子デバイスは、経時的に表示されるに取引の履歴的なビューを提供し、それによって、ユーザは、ストアドバリュー口座がどのように前に使用されたかをより良好に理解することが可能になる。
【０４４０】
方法１４００に関して上記説明された処理（図１４Ａ〜１４Ｂ）の詳細はまた、上記及び以下で説明される方法にも、同様の方式で適用可能であることに留意されたい。例えば、方法８００、１０００、１２００、１６００、１８００、及び２０００は任意選択的に、方法１４００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明される資産をストアドバリュー口座に追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０４４１】
図１５Ａ〜１５Ｍは、一部の実施形態に係る、１つ以上の短距離通信無線機（例えば、ＮＦＣ無線機）及び第１の口座（例えば、エクスプレストランジット口座）を含む口座情報アプリケーションを有する電子デバイス（例えば、１００）を使用して認証をチェックすることなく口座を使用のために利用可能とさせるための例示的なユーザインタフェースを示す。これらの図のユーザインタフェースは、図１６Ａ〜１６Ｂのプロセスを含めた、以下で説明されるプロセスを例示するために使用される。
【０４４２】
一部の実施形態に従って、ユーザは、特定の状況下で、認証をチェックすることなく取引に使用することができる特定の口座を指定している。例えば、ユーザは、電子デバイスの特定のトランジット口座を指定することができ、それによって、端末が資産を要求した後に電子デバイスが指紋の承認を提供することをユーザに必要とすることなく、資産が要求されるときにトランジット口座からの資産が端末に提供される。これによって、ユーザは、より少ないユーザ入力で取引に迅速に参加する（例えば、支払いを行い、トランジット口座に対応する情報を送信する）ために電子デバイスを使用することが可能になる。
【０４４３】
一部の実施例では、電子デバイス１００の口座情報アプリケーションの第１の口座は、ストアドバリュー口座である。一部の実施例では、第１の口座の資産は、バイナリコードデータの形式で電子デバイス１００に物理的に記憶される。一部の実施例では、第１の口座は、閉ループストアドバリュー口座である。一部の実施例では、ストアドバリュー口座は、電子マネーを記憶する。よって、例えば、電子デバイス１００は、ＮＦＣを使用して（かつＩＰネットワーク又はインターネット接続を使用することなく）、第１の口座に対応する情報（例えば、口座番号又は資産）を送信することができる（例えば、取引端末に）。
【０４４４】
一部の実施形態では、電子デバイス１００の口座情報アプリケーションの第１の口座は、識別口座である。一部の実施例では、第１の口座は、ユーザ識別口座である。一部の実施例では、第１の口座は、個人識別口座である。一部の実施例では、第１の口座は、政府発行個人識別口座である。一部の実施例では、第１の口座は、政府発行運転免許口座である。一部の実施例では、第１の口座は、政府発行パスポート口座である。一部の実施例では、第１の口座は、会社識別口座又は学校識別口座である。一部の実施例では、電子デバイス１００は、単一の識別口座のみを記憶するように構成されている。一部の実施例では、電子デバイス１００は、支払い情報を送信するのではなく、識別口座の識別情報を送信するために第１の口座を使用する。
【０４４５】
一部の実施形態では、電子デバイス１００の口座情報アプリケーションの第１の口座は、エクスプレストランジット口座である。一部の実施形態では、口座情報アプリケーションは、第１の口座とは異なる第２の口座を含む。例えば、第１の口座は、エクスプレストランジット口座であり、第２の口座は、エクスプレストランジット口座でない。一部の実施形態では、第１の口座及び第２の口座は、異なる口座タイプである。例えば、第１のタイプの要求は、第１の口座（又は第１の口座のタイプ）に対応し、第２のタイプの要求は、第２の口座（又は第２の口座のタイプ）に対応する。一部の実施形態では、第１の口座は、エクスプレストランジット口座として指定され、第２の口座は、エクスプレストランジット口座として指定されない。一部の実施形態では、第１の口座は、トランジット口座であり、第２の口座は、支払い口座である。一部の実施形態では、第１の口座は、ストアドバリュー口座であり、第２の口座は、ストアドバリュー口座でない。一部の実施形態では、第１の口座及び第２の口座は、同一の口座タイプの口座である。一部の実施形態では、電子デバイス１００は、ユーザのパーソナル電子デバイスであり、パーソナル電子デバイスに記憶された（及び、例えば、口座情報アプリケーションによってアクセス可能な）ユーザに特有のプライベート情報へのアクセスを提供するように構成されており、プライベート情報は、複数の異なる口座との取引（支払いなど）を承認するための情報を含む。一部の実施例では、複数の口座によって、ユーザは、種々の取引のための口座の間で選択することが可能になる。
【０４４６】
図１５Ａは、一部の実施形態に係る、ユーザに電子デバイスをロック解除する行動を通知するインジケーション（例えば、１５６８）を有する電子デバイス１００のロックスクリーンためのユーザインタフェースを示す。一部の実施形態では、電子デバイス１００は、ジェスチャを検出したことに応じてロック解除する。一部の実施形態では、電子デバイス１００は、電子デバイスをロック解除するように有効にされた認証情報に対応する認証情報（例えば、指紋センサによって検出される指紋情報、（仮想）キーボードにおいて受信されるパスワード）を受信したことに応じてロック解除する。
【０４４７】
一部の実施形態では、ユーザが電子デバイス１００をロック解除したことに応じて（又はそれに続いて）（例えば、図１５Ａに示されるように、電子デバイスが電子デバイスのロックスクリーンなど、デバイスのタッチ感知面上のスライド入力を検出することによって）、電子デバイスは、図１５Ｂに示されるように、１つ以上のアフォーダンス（例えば、１５０２Ａ〜１５０２Ｄ、１５０４）を有するユーザインタフェースを表示する。１つ以上のアフォーダンス（例えば、１５０２Ａ〜１５０２Ｄ、１５０４）は、電子デバイス１００の口座情報アプリケーションの１つ以上の口座（例えば、１５０２Ａ〜１５０２Ｂ）の表現を含む。
【０４４８】
一部の実施例では、電子デバイス１００は、前にプロビジョニングされた口座（例えば、支払い口座）のインジケーションを含むアフォーダンス（例えば、１５０２Ａ）を表示する。この実施例では、アフォーダンス（例えば、１５０２Ａ）は、Ａｍｅｒｉｃａｎ  Ｅｘｐｒｅｓｓ口座に対応する。一部の実施例では、電子デバイス１００はまた、追加的な前にプロビジョニングされた口座（例えば、別の支払い口座）のインジケーションを含むアフォーダンス（例えば、１５０２Ｂ）を表示する。この実施例では、アフォーダンス（例えば、１５０２Ｂ）は、Ａｍｅｒｉｃａｎ  Ｅｘｐｒｅｓｓ口座とは異なるＭａｓｔｅｒＣａｒｄ口座に対応する。電子デバイス１００が、例えば、それぞれのアフォーダンスに対応する位置において、電子デバイスのタッチ感知面上でタッチ入力を検出することによって、前にプロビジョニングされた口座のインジケーションを含むアフォーダンス（例えば、１５０２Ａ）又は追加的な前にプロビジョニングされた口座のインジケーションを含むアフォーダンス（例えば、１５０２Ｂ）のアクティブ化を検出するとき、電子デバイスは、それぞれの口座に対応する情報を表示する。一部の実施形態では、電子デバイス１００は、電子デバイス１００上で口座をプロビジョニングするための（又は電子デバイス１００とは異なる別のデバイスのための）アフォーダンス（例えば、１５０２Ｃ）を表示する。
【０４４９】
一部の実施形態では、電子デバイス１００は、ストアドバリュー口座である追加的な前にプロビジョニングされた口座のインジケーションを含むアフォーダンス（例えば、１５０２Ｅ）を表示する。一部の実施例では、記憶された価値の行動は、トランジット口座である。一部の実施形態では、電子デバイス１００は、図１５Ｄ〜１５Ｆに関連して説明されるように、アクティブ化されるとき、電子デバイスに、認証をチェックすることなく使用のために利用可能とする口座のユーザ選択のためのユーザインタフェースを表示させる、あフォーダンス（例えば、１５０２Ｄ）を表示する。よって、電子デバイス１００によって、ユーザは、エクスプレストランジット口座をして使用のために好ましい口座を選択することが可能になる。
【０４５０】
一部の実施形態では、電子デバイス１００は、ユーザにエクスプレストランジットカードを停止させるオプションを提供する選択アフォーダンス（例えば、１５０４）を表示する。例えば、エクスプレストランジットカードを停止させることによって、電子デバイス１００上でプロビジョニングされた口座がエクスプレストランジットカードとして指定されない。一部の実施形態では、電子デバイス１００は、認証をチェックすることなく口座を使用のために利用可能としない要望を示すユーザ入力を受信する（例えば、認証をチェックすることなく使用のための「口座なし」オプションを選択するユーザ入力を受信することによって、選択アフォーダンス１５０４に関して示されるように、選択アフォーダンスを「オフ」の位置に移動させることによって）。認証をチェックすることなく口座を使用のために利用可能としない要望を示すユーザ入力を受信したことに応じて、電子デバイス１００は、認証をチェックすることなく仮想カードの口座（又は電子デバイス１００の全ての口座）を使用のために利用可能としないように指定する。よって、電子デバイス１００は、ユーザにエクスプレストランジットモードを無効にする（又は有効にする）オプションを提供し（例えば、選択アフォーダンス１５０４を使用して）、そのモードによって認証を必要とすることなく資産が特定の取引において送信される。一部の実施形態では、エクスプレストランジット機能が有効にされるとき（例えば、選択アフォーダンス１５０４を「オン」の位置に移動させることによって）、電子デバイス１００は、エクスプレストランジット口座として指定された口座へのより高速なアクセスを提供する。一部の実施形態では、エクスプレストランジット機能が無効にされるとき（例えば、選択アフォーダンス１５０４を「オフ」の位置に移動させることによって）、電子デバイス１００は、電子デバイス上でプロビジョニングされた口座のための追加のセキュリティを提供する。
【０４５１】
一部の実施形態では、図１５Ｃに示されるように、電子デバイス１００は、図１５Ｄ〜１５Ｆで示され、かつそれに関連して説明されるように、アクティブ化されるとき、電子デバイスに、認証をチェックすることなく使用のために利用可能とする口座のユーザ選択のためのユーザインタフェースを表示させる、アフォーダンス（例えば、１５０２Ｄ）をアクティブ化する入力（例えば、ユーザから）を検出する。一部の実施形態では、認証をチェックすることなく使用のために利用可能とする口座のユーザ選択のためのユーザインタフェースは、複数の口座の各々についてのユーザ選択可能表現（例えば、１５７０Ａ〜１５７０Ｄ）によって表される、トランジット口座でない（例えば、支払い口座、ロイヤリティ口座）１つ以上の追加的な口座を含む、口座情報アプリケーションによって記憶された（又はそれによってアクセス可能な）複数の口座の表現を含む。一部の実施形態では、認証をチェックすることなく使用のために利用可能とする口座のユーザ選択のためのユーザインタフェースはまた、図１５Ｄに示されるように、認証をチェックすることなくユーザによって選択された複数の口座のいずれも使用のために利用可能とするように指定しないユーザ選択可能表現（例えば、１５７０Ｅ）を含む。一部の実施形態では、第１の口座は、口座情報アプリケーションによって記憶された（又はそれによってアクセス可能な）複数のトランジット口座のうちの１つである（例えば、ユーザ選択可能インジケーション１５７０Ｃによって表される）。
【０４５２】
一部の実施形態では、図１５Ｅに示されるように、１つ以上の短距離通信無線機によって、無線信号を検出する前に（例えば、支払い口座に関する情報が要求されることを示す取引端末から）、電子デバイス１００は、認証をチェックすることなく第１の口座（例えば、複数のトランジット口座の中からの）を使用のために利用可能とする口座として選択するために第１の口座の表現（例えば、１５７０Ｃ）上のユーザ入力を受信する。よって、一部の実施例では、電子デバイス１００は、認証をチェックすることなく（例えば、非接触取引端末からの無線信号を検出した後、かつ情報を非接触取引端末に送信する前に認証をチェックすることなく）非接触取引端末との取引に使用することができるエクスプレストランジット口座とする第１の口座の表現（例えば、１５７０Ｃ）のユーザ選択を受信する。
【０４５３】
一部の実施形態では、図１５Ｆに示されるように、認証をチェックすることなく第１の口座の表現（例えば、１５７０Ｃ）を使用のために利用可能とする口座として選択するユーザ入力を受信したことに応じて、電子デバイス１００は、認証をチェックすることなく第１の口座を使用のために利用可能とする口座として指定する。よって、電子デバイス１００は、ユーザが、どのトランジットカードがエクスプレストランジットカードとして指定されるべきかを指定することを許可し、エクスプレストランジットカードは、次いで、非接触取引端末からの要求又はトランジット口座からの資産についての要求などの第１のタイプの要求に検出された無線信号が対応する取引を実行するときに認証をチェックすることなく使用されてもよい。一部の実施例では、電子デバイスの１つのカードのみが、エクスプレストランジットカードとして一度に識別されてもよい。一部の実施例では、電子デバイスの複数のカードは、エクスプレストランジットカードとして同時に識別されてもよい。
【０４５４】
図１５Ｇにおいて、電子デバイスは、ロック状態にある。よって、電子デバイスのいくつかの機能は、電子デバイスがロック解除されるまではアクセスすることができない。
【０４５５】
図１５Ｈに示されるように（及び、例えば、ロック状態に留まる間）、電子デバイス１００は、１つ以上の短距離通信無線機によって無線信号を検出する。一部の実施形態では、無線信号は、図１３Ｄ〜１３Ｍに関連して説明されるように、トランジットシステムにアクセスする（又は離れる（depart））ために使用される非接触取引端末（例えば、１５９０）から受信される。一部の実施形態では、検出された無線信号は、電子デバイス１００からの支払い口座に関する情報を要求する。一部の実施形態では、検出された無線信号は、取引端末（例えば、１５９０、電子デバイス１００とは別個の非接触取引端末）からのものである。
【０４５６】
検出された無線信号（例えば、取引端末１５９０からの）が第１のタイプの要求（例えば、取引端末１５９０からの要求、トランジット口座からの資産についての要求）に対応するとの判定に従って（又はそれに応じて）（例えば、検出された無線信号の内容に基づいて）、電子デバイス１００は、認証をチェックすることなく第１の口座に対応する情報（例えば、口座番号、資産）を送信する（例えば、取引端末に）。よって、一部の実施例では、電子デバイス１００は、電子デバイスがロック状態に留まる間でさえ、無線信号を検出したことに続いて、指紋認証又は暗証番号認証などのユーザからの認証情報を受信することなく第１の口座に対応する情報を送信する（例えば、取引端末１５９０に）。一部の実施例では、これによって、取引端末（例えば、１５９０）への電子デバイス１００の第１の口座に対応する情報の送信が、更に迅速に、かつデバイスをロック解除し又は認証を提供することをユーザに必要とすることなく行われることが可能になる。一部の実施形態では、この第１のタイプの要求は、「エクスプレストランジット」要求と呼ばれてもよい。
【０４５７】
一部の実施形態では、第１のタイプの要求（例えば、「エクスプレストランジット」要求）は、口座情報の送信が認証なしに（例えば、ユーザによる生体又は暗証番号認証なしに）自動的に利用可能とすることが事前に承認されている（例えば、無線信号を検出する前）タイプの要求である。一部の実施形態では、認証をチェックすることなく第１の口座に対応する情報（例えば、支払い情報、口座番号、資産）を送信することは、電子デバイスが電子デバイス１００の１つ以上の短距離通信無線機によって無線信号を検出したことに続いてユーザ入力を必要とする（又は受信する）ことなく、第１の口座に対応する情報を送信することを含む。一部の実施形態では、無線信号を検出したことに続いてユーザ入力を必要としないことによって、電子デバイス１００は、認証情報（例えば、指紋認証又は暗証番号認証）を要求する必要なく、よって、それをユーザから受信しない。一部の実施形態では、無線信号を検出したことに続いてユーザ入力を必要としないために、電子デバイス１００は、一般的には支払い取引に使用される認証ルーチンをバイパスする。一部の実施例では、これは、ユーザからの必要とされ、電子デバイスによって受信される入力の数を低減し、それによって、取引プロセスを加速化し、電子デバイスの電力消費を低減する。
【０４５８】
一部の実施形態では、第１の口座に対応する情報は、第１の口座（例えば、トランジット口座、ストアドバリュートランジット口座）の口座番号（例えば、一意な口座番号）を含む。一部の実施例では、電子デバイス１００は、例えば、図１３Ｄに関連して説明されるように、ユーザがトランジット搭乗領域に入る（例えば、トランジットシステムにタグオンする）ことを可能にするように口座番号を取引端末（例えば、第１のトランジット駅における）に送信する。一部の実施例では、電子デバイス１００は続いて、例えば、図１３Ｍに関連して説明されるように、ユーザがトランジット到着領域を出る（例えば、トランジットシステムをタグオフする）ことを可能にするように口座番号を第２の取引端末（例えば、第２のトランジット駅における）に送信する。よって、トランジットシステムは、ユーザの入口及び出口駅を判定し、入口及び出口のトランジット駅と関連付けられたトランジット価格に従って第１の口座に課金することができる（例えば、旅行される駅の距離又は数に基づいて）。一部の実施例では、電子デバイス１００は、ユーザがトランジット到着領域を出る（例えば、トランジットシステムをタグオフする）ことを可能にするように資産（口座番号の代わりに）を第２の取引端末（例えば、第２のトランジット駅における）に送信する。よって、トランジットシステムは、ユーザの入口及び出口駅を判定し、電子デバイス１００は、第１の口座を使用して対応する支払いを実行することができる。
【０４５９】
一部の実施例では、第１の口座は、ストアドバリュー口座であり、第１の口座に対応する情報は、第１の口座からの資産（例えば、ドル、円、ユーロ、フラン、元、クローネなどの電子マネー又は通貨）を含む。一部の実施例では、電子デバイス１００は、ユーザがトランジット到着領域を出る（例えば、トランジット駅を出る）ことを可能にするように資産を取引端末（例えば、トランジット駅における）に送信（例えば、転送）する。よって、一部の実施例では、電子デバイス１００は、ＮＦＣを使用して、かつＩＰネットワーク又はインターネット接続を使用することなく資産を送信し、それは、電力を節約し、ＩＰネットワーク又はインターネット接続が利用可能でないときでさえ取引を行うことを可能にする。一部の実施形態では、第１の口座は、支払い口座（例えば、リボルビングクレジット口座、デビット口座）であり、第１の口座に対応する情報は、第１の口座の支払い口座情報（例えば、口座番号、クレジットカード番号）を含む。一部の実施例では、電子デバイス１００は、ユーザが到着領域（又は駅）を出ることを可能にするように支払い口座情報を取引端末（例えば、トランジット駅における）に送信する。一部の実施例では、取引端末は、資産を対応する口座から取り出すために支払い口座情報を使用する。一部の実施例では、第１の口座は、トランジットコミュータ口座（例えば、月次の無制限トランジットパス、１０回の乗車のパス）であり、第１の口座に対応する情報は、第１の口座のトランジットパス情報（例えば、口座番号）を含む。一部の実施例では、電子デバイス１００は、ユーザがトランジット領域（又は駅）に入り（例えば、トランジットシステムにタグオンする）、又はそこを出る（例えば、トランジットシステムをタグオフする）ことを可能にするようにトランジットトークンを取引端末（例えば、トランジット駅における）に送信する。一部の実施例では、第１の口座は、例えば、取引端末に転送されるトランジットパスを記憶したストアドバリュートランジット口座である。よって、一部の実施例では、電子デバイス１００は、ユーザにトランジット（例えば、バス、電車、鉄道、フェリー）ネットワークへのアクセスを提供するように有効にされる。
【０４６０】
一部の実施形態では、無線信号が第１のタイプの要求に対応するとの判定は、位置、他の無線信号の検出、日時、又は電子デバイス１００の移動の方向など、無線信号が電子デバイスによって検出されたときの時間に対応する電子デバイスのコンテキスト情報に基づいている。一部の実施形態では、信号が第１のタイプの要求に対応するとの判定は、端末（例えば、電子デバイス１００とは別個の）から受信される無線信号の内容、無線信号とは異なる１つ以上の無線信号（例えば、１つ以上のｉＢｅａｃｏｎｓ（商標）若しくは短距離通信位置／近接ビーコンなど、端末の近くに配置された１つ以上のビーコン）の検出、及び／又は位置情報（例えば、ＧＰＳ若しくは特定の位置にある電子デバイスに対応する他の位置情報）のうちの１つ以上に基づいている。一部の実施例では、位置情報は、トランジット位置（例えば、地下鉄駅）に対応する。一部の実施形態では、電子デバイス１００は、ユーザ信号が第１のタイプの要求に対応すると判定するために発見的問題解決を使用する。一部の実施形態では、判定は、電子デバイスが、トランジット駅及び鉄道駅など、公共交通機関と関連付けられた物理的位置にあると判定することを含む。一部の実施例では、信号が第１のタイプの要求に対応するとの判定は、鉄道駅のプラットフォームに向かうなど、電子デバイス１００が物理的位置に向かっていると判定することを含む。よって、電子デバイス１００は、要求が第１のタイプの要求であると判定するために種々の技術（単独で又は組み合わせてのいずれかで）を使用することができる。
【０４６１】
一部の実施形態では、無線信号が第１のタイプの要求に対応するとの判定は、１つ以上のコンテキスト条件のセットが満たされたとの判定を含む。一部の実施例では、１つ以上のコンテキスト条件のセットの第１のコンテキスト条件は、無線信号（例えば、取引端末からの）の内容が予め定められた値（例えば、「００３」コード）を含む場合に満たされる。一部の実施例では、１つ以上のコンテキスト条件のセットの第２のコンテキスト条件は、電子デバイス１００の現在の物理的位置（例えば、ＧＰＳ及び／又は１つ以上のｉＢｅａｃｏｎｓ（商標）を使用して判定される）が、例えば、トランジット駅などの予め定められた位置に対応する場合に満たされる。よって、電子デバイス１００は、要求が第１のタイプの要求であると判定するために現在位置を使用することができる（単独で又は他の技術との組み合わせのいずれかで）。一部の実施例では、１つ以上のコンテキスト条件のセットの第３のコンテキスト条件は、電子デバイス１００が無線信号とは異なる１つ以上の無線信号（例えば、１つ以上のｉＢｅａｃｏｎｓ（商標）又は短距離通信位置／近接ビーコンなどの端末の近くに配置された１つ以上のビーコン）の範囲内、又はそれへの特定の近接内にある場合に満たされる。よって、この技術によって（単独で又は他の技術との組み合わせのいずれかで）、電子デバイス１００は、要求が第１のタイプの要求であると判定することが可能になる。１つ以上のコンテキスト条件のセットの上記説明されたコンテキスト条件によって、例えば、電子デバイス１００は、より正確に、要求が第１のタイプの要求であると判定することが可能になる。
【０４６２】
一部の実施形態では１つ以上のコンテキスト条件のセットの第４のコンテキスト条件は、無線信号が資産閾値を超えない資産の額についての要求を含む場合に満たされる。一部の実施例では、資産閾値は、取引ごとの最大額である。一部の実施例では、資産閾値は、資産の額であり、それによって、資産の要求される額を送信することによって、第１の口座から又は１つ以上の口座からなどの資産の全ての送信が日ごとの最大の額を超えないようになる。一部の実施例では、資産閾値は、ユーザによって選択される（例えば、設定され、事前に構成されている）額である。一部の実施形態では、資産の額についての要求が資産閾値を超える場合、電子デバイス１００は、処理する前に認証をチェックする。これによって、電子デバイス１００は、ユーザからの承認を受信することなくユーザによって指定された額を超える支払いを行うことを回避することが可能になる。
【０４６３】
一部の実施形態では、図１５Ｉに示されるように、検出された無線信号（例えば、取引端末１５９０からの）が第１のタイプの要求（例えば、取引端末１５９０からの要求、トランジット口座からの資産についての要求）に対応するとの判定に従って、かつ認証をチェックすることなく第１の口座に対応する情報（例えば、口座番号、資産）を送信した（例えば、取引端末に）後に、電子デバイス１００は、取引が完了したこと（例えば、認証をチェックすることなく）を示すユーザインタフェースを提示する。一部の実施例では、取引が完了したことを示すユーザインタフェースは、取引を完了するために使用される口座（例えば、第１の口座）のグラフィカル描写（例えば、１５７２Ａ）を含む。一部の実施例では、取引が完了したことを示すユーザインタフェースは、取引を完了するために使用される口座（例えば、第１の口座）の利用可能な残高のインジケーション（例えば、１５７２Ｂ）を含む。一部の実施例では、取引が完了したことを示すユーザインタフェースは、取引額のインジケーション（例えば、１５７２Ｃ）を含む。一部の実施例では、認証をチェックすることなく取引が完了したことを示すユーザインタフェースは、ユーザに取引が完了したことを通知するグラフィカル描写（例えば、１５５６）を含む。
【０４６４】
一部の実施形態では、図１５Ｉに示されるように、電子デバイス１００は、認証（例えば、指紋認証又は暗証番号認証）を要求するいずれのインジケーションを提示（又は生成）しない（例えば、図１５Ｇにおけるロック状態に移行することに続いて、かつ第１の口座に対応する情報（例えば、口座番号、資産）を送信する（例えば、取引端末に）前に）。例えば、デバイスがエクスプレストランジット取引を行っているとき、電子デバイス１００は、認証を要求する通知を電子デバイスのディスプレイ上で表示せず、認証についての要求を示す音声を電子デバイスのスピーカにおいて再生せず、認証についての要求を示す触覚振動を電子デバイスにおいて生じさせない。このようにして、電子デバイス１００は、いずれの認証を要求するインジケーションを生成しないことによってバッテリ電力を節約する。
【０４６５】
一部の実施形態では、電子デバイス１００は、ロック状態又はロック解除状態にある。ロック状態では、電子デバイス１００は、電源が起動され、動作可能であるが、ユーザ入力に応じて事前定義されたセットの動作を実行することが防止される。事前定義されたセットの動作は、ユーザインタフェースの間のナビゲーション、事前定義されたセットの機能のアクティブ化又は非アクティブ化、及び特定のアプリケーションのアクティブ化又は非アクティブ化を含んでもよい。ロック状態は、電子デバイス１００のいくつかの機能の意図していない若しくは承認されていない使用、又は電子デバイスのいくつかの機能（例えば、機密個人情報へのアクセス並びにデバイスからコンテンツを除去し、及び／若しくはアプリケーションを削除するための設定）のアクティブ化若しくは非アクティブ化を防止するために使用されてもよい。ロック解除状態では、電子デバイス１００は、電源が起動され、動作可能であるが、ロック状態にある間は実行することができない事前定義されたセットの動作の少なくとも一部を実行することが防止されない。電子デバイス１００がロック状態にあるとき、デバイスがロックされていると考えられる。電子デバイス１００がロック解除状態にあるとき、デバイスがロック解除されていると考えられる。一部の実施形態では、ロック状態にある電子デバイス１００は、デバイスをロック解除状態に遷移させる試みに対応する入力又はデバイスの電源を停止することに対応する入力を含む、制限されたセットのユーザ入力に応じてもよい。
【０４６６】
一部の実施形態では、電子デバイス１００は、無線信号を検出する前にロック状態にあり、認証をチェックすることなく第１の口座に対応する情報（例えば、口座番号、資産）を送信する（例えば、取引端末１５９０に）間はロック状態に留まり続ける。よって、電子デバイス１００は、第１の口座に対応する情報を送信する（例えば、取引端末１５９０に）ために電子デバイスをロック解除することをユーザに必要としない。これによって、他の利点の中で、他の技術よりも効率的に情報を送信することが可能になり、必要とされるユーザ入力を少なくすると共に、電子デバイス１００のユーザの識別子を検証するために認証情報を処理する際のいずれの遅延（例えば、検出された指紋を記憶された指紋情報と比較する際の遅延、又は入力されたパスワード若しくは暗証番号を記憶されたパスワード若しくは暗証番号と比較する際の遅延）を除去する。一部の実施例では、電子デバイス１００は、取引を進める間はロック状態に留まる。よって、例えば、取引は、電子デバイス１００の他の機能へのユーザのアクセスを不必要に提供することなく進行することができ、それによって、追加のセキュリティを維持する。更に、例えば、電子デバイス１００をロック解除するためのユーザ入力が取引を進めるために必要とされないので、取引がユーザからのより少ない入力で進行することができる。
【０４６７】
一部の実施形態では、無線信号が第１のタイプの要求に対応するとの判定は、１つ以上のロック解除条件のセットが満たされたの判定を含む。一部の実施例では、１つ以上のロック解除条件のセットの第１のロック解除条件は、電子デバイス１００が、特定の前の時間内に、図１５Ａに示されるロック状態からロック解除された場合（例えば、少なくとも一度は）に満たされる。例えば、第１のロック解除条件は、電子デバイス１００が２４時間以内に少なくとも一度はロック解除された場合（第１の口座に対応する情報（例えば、口座番号、資産）を送信する前、又は無線信号を検出する前に）に満たされる。別の実施例について、第１のロック解除条件は、電子デバイス１００が５時間以内に少なくとも一度はロック解除された場合に満たされる。一部の実施例では、１つ以上のロック解除条件のセットの第２のロック解除条件は、電子デバイス１００が、無線信号が検出された日の予め定められた時間の後にロック解除された場合（例えば、当日の間に少なくとも一度は）に満たされる。例えば、第２のロック解除条件は、電子デバイス１００が当日の間の特定の時間又は時間範囲において（及び無線信号が第１のタイプの要求に対応するとの判定の前）ロック解除された場合の当日の間に満たされる。別の実施例について、第２のロック解除条件は、電子デバイス１００が当日の間のいずれかの時に（及び無線信号が第１のタイプの要求に対応するとの判定の前）ロック解除された場合の当日の間に満たされる。よって、この実施例では、第２のロック解除条件は、ユーザがその日の朝に電子デバイス１００を一度ロック解除した後で全日の間に満たされており、かつ満足されている。しかしながら、この実施例では、第２のロック解除条件は、次の日の深夜の後には満足されず、ユーザは、次の日の間のいずれかの時に電子デバイス１００を再度ロック解除する必要がある。一部の実施例では、１つ以上のロック解除条件のセットの第３のロック解除条件は、電子デバイス１００が電子デバイスの再起動（例えば、リブート）の後にロック解除された場合（例えば、当日の間に少なくとも一度は）に満たされる。例えば、第３のロック解除条件は、電子デバイス１００が、電子デバイスの直近の再起動（例えば、リブート）に続いてロック解除された場合（例えば、当日の間に少なくとも一度は）に満たされる。よって、この実施例では、第３のロック解除条件は、ユーザが再起動に続いてデバイスをロック解除しない限り電子デバイス１００が再起動した後は満たされない。１つ以上のロック解除条件のセットに関して説明された実施形態及び実施例は、特定の前の時間内に、承認されたユーザ（例えば、電子デバイスの所有者）がデバイスを保持していることを電子デバイス１００が確認することによって、セキュリティの手段を提供する。
【０４６８】
図１５Ｊ〜１５Ｌは、一部の実施形態に係る、取引を進める前に認証をチェックする電子デバイス１００を示す。検出された無線信号が第２のタイプの要求に対応するとの判定に従って（又はそれに応じて）（例えば、検出された無線信号の内容に基づいて）、電子デバイスは、無線信号に対応する取引を進める前に認証をチェックする。第２のタイプの要求は、第１のタイプの要求とは異なる要求である。一部の実施例では、これは、第２のタイプの要求に対応する取引のための追加的なセキュリティを提供する。この第２のタイプの要求は、「非エクスプレストランジット」要求と呼ばれてもよい。
【０４６９】
一部の実施形態では、第２のタイプの要求は、口座情報の送信が認証なしに自動的に利用可能とすることが事前に承認されていないタイプの要求である。一部の実施例では、電子デバイス１００は、異なる信号タイプの間で（第１のタイプの要求と第２のタイプの要求との間で）区別し、適切なとき、認証をチェックすることなく第１の口座に対応する情報（例えば、口座番号、資産）を自動的に送信する（例えば、取引端末１５９０に）。よって、ユーザからの必要とされる入力が少なくなり、それによって、ユーザは、公共トランジットシステムで大いに使用されるものなど、高速の支払い取引システムの入力送信端末において支払いを進め、支払いを行うときの遅延を経験することが少なくなることが可能になる。
【０４７０】
図１５Ｊ〜１５Ｋは、一部の実施形態に係る、検出された無線信号が第２のタイプに対応する場合にユーザ認証を要求するための例示的なユーザインタフェースを示す。一部の実施形態では、図１５Ｊに示されるように、電子デバイス１００は、口座情報の送信が認証なしに自動的に利用可能とすることが事前に承認されていない第２のタイプの要求に対応する口座のグラフィカル描写（例えば、１５７４Ａ）、第２のタイプの要求に対応する口座の利用可能な残高又はどの口座情報の送信が認証なしに自動的に利用可能とすることが事前に承認されていないかのインジケーション（例えば、１５７４Ｂ）、及び認証（例えば、指紋認証若しくは暗証番号認証）を要求するインジケーション（例えば、１５７４Ｃ）を提示する。例えば、電子デバイス１００は、認証を要求するインジケーションを提示するために、電子デバイスのディスプレイ上で通知を表示し、又は電子デバイスのスピーカにおいて音声を再生する。
【０４７１】
一部の実施形態では、要求が第２のタイプの要求であるとの判定に従って、電子デバイス１００は、図１５Ｋに示されるように、認証情報を受信する（例えば、指紋を検出し又はユーザからの暗証番号の入力を検出する）（例えば、認証についての要求に応じて）。一部の実施形態では、認証情報（例えば、ユーザから受信された）が取引を承認するために有効とされる登録された認証情報（例えば、登録された指紋、登録された暗証番号）と一致するとの判定に従って、電子デバイス１００は、図１５Ｌに示されるように、取引を進めるために電子デバイス１００を取引端末の近くに配置するインジケーション（例えば、１５７４Ｄ）を提示する。電子デバイス１００は、電子デバイスが取引端末の通信範囲内に配置されるときに取引を進める。
【０４７２】
一部の実施形態では、認証情報が取引を承認するために有効とされる登録された認証情報（例えば、登録された指紋、登録された暗証番号）と一致するとの判定に従って、電子デバイス１００は、取引を進める。一部の実施形態では、電子デバイス１００は、例えば、第１の口座に対応する情報（例えば、口座番号、資産）を取引端末に送信することによって、第１の口座を使用して取引を進める。一部の実施形態では、電子デバイス１００は、口座番号又は資産など、第２の口座に対応する情報を使用して取引を進める（例えば、口座番号又は資産など、第２の口座に対応する情報を取引端末に送信する）。一部の実施形態では、認証情報が取引を承認するために有効とされる登録された認証情報と一致しないとの判定に従って、電子デバイス１００は、取引を進めることを見合わせる（例えば、口座番号又は資産など、第１の口座、第２の口座又はいずれかの他の口座に対応する情報を取引端末に送信することを見合わせる）。よって、特定の状況下で、ユーザにより提供される情報は、追加的なレベルのセキュリティを提供するために（例えば、承認されたユーザが動作を実行していることを確認するためなど）登録された認証情報に対してチェックされる。
【０４７３】
一部の実施形態では、電子デバイス１００は、第１の口座に対応する情報（例えば、口座番号、資産）を送信する（例えば、取引端末に）ことによって取引を進める。よって、同一の口座は、コンテキストに応じて、エクスプレストランジット取引（認証なしの）及び通常の支払い取引（指紋認証又は暗証番号認証などの認証での）の両方に対して使用されてもよい。例えば、コンテキストは、信号が第１のタイプの要求又は第２のタイプの要求に対応する信号であるかである。よって、電子デバイス１００によって、同一の口座について、信号が第１のタイプの要求に対応する場合よりも高速な情報の送信が可能になり、要求が第２のタイプの要求に対応する場合に追加的なセキュリティを提供する。
【０４７４】
一部の実施形態では、電子デバイス１００は、第１の口座を使用して第２の通信（支払いのための）（例えば、第２の取引端末との）を実行する必要がある。例えば、第２の取引端末との支払いのための第２の通信は、ユーザが目的地のトランジット駅を出るときに必要とされる。一部の実施形態では、第２の通信に使用される第１の口座は、ストアドバリュー口座であり、第１の口座に対応する情報は、第１の口座（例えば、トランジット口座、ストアドバリュートランジット口座）の口座番号（例えば、一意な口座番号）を含む。一部の実施形態では、電子デバイス１００は、１つ以上の短距離通信無線機によって、資産の額についての要求を含む第２の無線信号を検出する（例えば、（第１の）無線信号を検出したことに続いて）。一部の実施形態では、検出された第２の無線信号は、第２の取引端末（例えば、電子デバイス１００とは別個の第２の非接触取引端末）からのものである。一部の実施形態では、検出された第２の無線信号が第１のタイプの要求に対応するとの判定に従って（又はそれに応じて）（例えば、検出された第２の無線信号の内容に基づいて）、電子デバイス１００は、認証をチェックすることなく資産を第１の口座から送信する（例えば、第２の取引端末に）。例えば、電子デバイス１００は、第２の無線信号を検出したことに続いて認証情報を受信することなく資産を第１の口座から第２の取引端末に送信し、それによって、資産の送信がより迅速に行われることが可能になる。よって、電子デバイス１００は、情報を取引端末に提供し、続いてユーザがトランジット到着領域（例えば、目的地のトランジット駅における）を出ることを可能にするために資産を第２の取引端末（例えば、目的地のトランジット駅における）に提供する。一部の実施例では、検出された第２の無線信号が第３のタイプの要求（第１のタイプの要求とは異なる）に対応するとの判定に従って（又はそれに応じて）（例えば、検出された第２の無線信号の内容に基づいて）、電子デバイス１００は、第２の無線信号に対応する取引を進める前に認証をチェックする。
【０４７５】
一部の実施形態では、第１の口座に対応する情報は、第１の口座（例えば、トランジット口座、ストアドバリュートランジット口座）の口座番号（例えば、一意な口座番号）を含む。一部の実施形態では、電子デバイス１００は、１つ以上の短距離通信無線機によって、資産の額についての要求を含む第２の無線信号を検出する（例えば、無線信号を検出したことに続いて）。一部の実施例では、検出された第２の無線信号は、第２の取引端末からのものである。一部の実施形態では、資産の額についての要求を含む第２の無線信号を検出したことに続いて、電子デバイス１００は、予想されるコストを判定する。例えば、予想されるコストは、無線信号を検出したことに応じて検出されるトランジット入口位置（transit entry location）及び第２の無線信号を検出したことに応じて検出されるトランジット出口位置（transit exit location）に基づいている。一部の実施形態では、第２の無線信号が第１のタイプの要求に対応するとの判定に従って（又はそれに応じて）（例えば、第２の無線信号の内容に基づいて）、かつ資産の要求された額が事前に承認された取引額を超えない（例えば、資産の要求された額が予想されるコストに対応し、又は資産の要求された額が予想されるコスト以下である）との判定に従って、電子デバイス１００は、認証をチェックすることなく資産を第１の口座からに送信する（例えば、取引端末に）（例えば、第２の取引端末に）。加えて、一部の実施形態では、更に資産の要求された額が事前に承認された取引額を超える（例えば、資産の要求された額が予想されるコストに対応せず、又は資産の要求された額が予想されるコストよりも大きい）との判定に従って、電子デバイス１００は、資産の要求された額が予想されるコストに対応しないとのインジケーションをユーザに表示及び／又は生成する（例えば、デバイスによって生成される視覚、音声、及び／又は触覚出力）。例えば、電子デバイス１００は、電子デバイスのディスプレイ上で通知を表示することによって、電子デバイスにおいて触覚アラートを実行することによって、又は電子デバイスにおいて音声を再生することによってインジケーションを提供する。更に、一部の実施例では、電子デバイス１００は、第２の認証情報をユーザから要求する。更に、一部の実施例では、電子デバイス１００は、例えば、資産の要求された額が予想されるコストに対応しないとのインジケーションを生成したことに続いて、第２の無線信号を検出したことに続いて、又は資産の要求された額が事前に承認された取引額を超えるとの判定に応じて、取引を進めるために認証をチェックする（例えば、第２の取引端末に、資産の要求された額に基づいて資産を第１の口座から送信することによって）。よって、資産の要求された額が予想されるコストに対応しないとき、電子デバイス１００は、ユーザが認証を提供しない限り資産を送信することを見合わせる（例えば、第２の取引端末に）。一部の実施例では、認証をチェックすることは、認証を要求するユーザへの音声、視覚、又は触覚プロンプトを含む。一部の実施例では、認証をチェックすることは、指紋又はパスワードなどのユーザからのユーザ入力を受信することを含む。これによって、例えば��電子デバイス１００は、ユーザ認可を受信することなく資産の予想される額を送信することを回避することが可能になる。
【０４７６】
一部の実施形態では、第２の無線信号が第１のタイプの要求に対応するとの判定に従って（又はそれに応じて）（例えば、検出された第２の無線信号の内容に基づいて）、かつ資産の要求された額が事前に承認された取引額を超える（例えば、資産の要求された額が予想されるコストに対応せず、又は資産の要求された額が予想されるコストよりも大きい）との判定に従って、電子デバイス１００は、第２の認証情報を受信する（例えば、認証についての要求に応じて）。更に、一部の実施形態では、第２の認証情報が取引を承認するために有効とされる登録された認証情報と一致するとの判定に従って、電子デバイス１００は取引を進める。更に、一部の実施形態では、第２の認証情報が取引を承認するために有効とされる登録された認証情報と一致しないとの判定に従って、電子デバイス１００は、取引を進めることを見合わせる。
【０４７７】
一部の実施形態では、図１５Ｍに示されるように、第１の口座に対応する情報（例えば、口座番号、資産）を送信した後（例えば、取引端末に）、電子デバイス１００は、電子デバイスのディスプレイ上で、利用可能なクレジット（例えば、利用可能な資産）のインジケーション（例えば、１５７４Ｂ）、第１の口座に対応する情報（例えば、口座番号、資産）の送信（例えば、取引端末への）に対応する取引のインジケーション（例えば、１５７４Ｅ）、及び第１の口座に対応する情報（例えば、口座番号、資産）の送信（例えば、取引端末への）が完了したことのインジケーション（例えば、１５５６、「完了」、「支払い完了！」を同時に表示する。よって、電子デバイス１００は、ユーザに、口座の利用可能なクレジット、取引のインジケーション（例えば、取引のために支払われる額又は転送される額）、及び取引が完了したことのインジケーションを同時に通知する。
【０４７８】
図１６Ａ〜１６Ｂは、一部の実施形態に係る、認証をチェックすることなく口座を使用のために利用可能とさせる方法を示すフローチャートである。方法１６００は、１つ以上の短距離通信無線機及び第１の口座を含む口座情報アプリケーションを有するデバイス（例えば、１００、３００、５００）において実行される。方法１６００におけるいくつかの動作は任意選択的に組み合わされ、いくつかの動作の順序は任意選択的に変更され、いくつかの動作は任意選択的に省略される。
【０４７９】
以下で説明されるように、方法１６００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０４８０】
一部の実施形態に従って、ブロック１６０２において、第１の口座（例えば、１５７２Ａ）は、ストアドバリュー口座（例えば、第１の口座の資産がバイナリコードデータの形式で電子デバイスに物理的に記憶された）である。一部の実施例では、第１の口座は、閉ループストアドバリュー口座である。一部の実施例では、ストアドバリュー口座は、電子マネーを記憶し、結果として、電子デバイスは、ネットワーク又はインターネット接続なしに第１の口座に対応する情報（例えば、口座番号、資産）を送信する（例えば、取引端末に）。一部の実施形態に従って、第１の口座（例えば、１５７２Ａ）は、識別口座である。一部の実施例では、第１の口座は、ユーザ識別口座、個人識別口座、会社識別口座、学校識別口座、会社識別口座、学校識別口座、政府発行個人識別口座、政府発行運転免許識別口座、及び政府発行パスポート識別口座などである。一部の実施例では、電子デバイスは、単一の識別口座を記憶する（最大で）ように構成されている。一部の実施例では、電子デバイスは、支払い情報ではなく、識別口座の識別情報を送信するために第１の口座を使用する。一部の実施例では、価値／データを第１の口座から取り出すための情報は、情報をセキュア要素から取り出す適切に処理された取引なしに記憶された価値／データにアクセスすることができないことを保証するために電子デバイスのセキュア要素に記憶される。
【０４８１】
一部の実施形態に従って、ブロック１６０４において、口座情報アプリケーションは、第１の口座（例えば、１５７２Ａ）（例えば、エクスプレストランジット口座）とは異なる第２の口座（例えば、エクスプレストランジット口座でない）を含む。一部の実施形態では、第１の口座及び第２の口座は、異なる口座タイプの口座である。例えば、第１のタイプの要求は、第１の口座に（又は第１の口座のタイプに）に対応し、第２のタイプの要求は、第２の口座に（又は第２の口座のタイプに）に対応する。一部の実施形態では、第１の口座は、エクスプレストランジット口座として指定され、第２の口座は、エクスプレストランジット口座として指定されない。一部の実施形態では、第１の口座は、トランジット口座であり、第２の口座は、支払い口座である。一部の実施形態では、第１の口座は、ストアドバリュー口座であり、第２の口座は、ストアドバリュー口座でない。一部の実施形態では、第１の口座及び第２の口座は、同一の口座タイプの口座である。一部の実施形態では、電子デバイスは、ユーザのパーソナル電子デバイスであり、パーソナル電子デバイスに記憶された（及び、例えば、口座情報アプリケーションによってアクセス可能な）ユーザに特有のプライベート情報（例えば、支払い情報）へのアクセスを提供するように構成されており、プライベート情報は、複数の異なる口座との取引（支払いなど）を承認するための情報を含む。一部の実施例では、複数の口座によって、ユーザは、種々の取引のために口座の間で選択することが可能になる。一部の実施例では、価値／データを第２の口座から取り出すための情報は、情報をセキュア要素から取り出す適切に処理された取引なしに記憶された価値／データにアクセスすることができないことを保証するために電子デバイスのセキュア要素に記憶される。
【０４８２】
ブロック１６０８において、電子デバイスは、１つ以上の短距離通信無線機によって、無線信号（例えば、支払い口座に関する情報が要求されることを示す信号）を検出する。一部の実施形態では、検出された無線信号は、取引端末（例えば、電子デバイスとは別個の非接触取引端末）からのものである。一部の実施形態では、検出された無線信号は、電子デバイスが取引端末の通信範囲内にある間に検出されるＮＦＣ信号である。
【０４８３】
一部の実施形態に従って、第１の口座は、口座情報アプリケーションによって記憶された（又はそれによってアクセス可能な）複数のトランジット口座のうちの１つであり、口座情報アプリケーションは、トランジット口座でない１つ以上の追加的な口座（例えば、支払い口座、ロイヤリティ口座）を記憶し、１つ以上の短距離通信無線機によって、無線信号を検出する前に、電子デバイスは、認証をチェックすることなく第１の口座（例えば、１５７２Ａ）を使用のために利用可能とする口座として選択する（例えば、複数のトランジット口座の中から）ユーザ入力を受信する。例えば、電子デバイスは、複数のトランジット口座（第１の口座を含む）の表現を表示し、認証をチェックすることなく取引端末との取引に使用することができるエクスプレストランジット口座とする第１の口座の表現のユーザ選択を受信する（例えば、無線信号を検出した後、かつ情報を送信する前）。一部の実施形態に従って、認証をチェックすることなく第１の口座（例えば、１５７２Ａ）を使用のために利用可能とする口座として選択するユーザ入力を受信したことに応じて、電子デバイスは、認証をチェックすることなく第１の口座を使用のために利用可能とするように指定する。よって、デバイスは、ユーザが、どのトランジットカードがエクスプレストランジットカードとして指定されるべきかを指定することを許可し、エクスプレストランジットカードは、検出された無線信号が第１のタイプの要求に対応する取引について認証をチェックすることなく電子デバイスが使用することができるものである。一部の実施例では、１つのカードのみが一度にエクスプレストランジットカードとして識別されてもよい（ユーザは設定ユーザインタフェースを介して異なるカードを選択する機会を提供されるが）。トランジット取引はまた、トランジット接続をするのに急いでいるユーザ（又は他の乗客）での混雑したトランジット駅では頻繁に行われる。最も正確かつ信頼できる認証でさえ、正当なユーザが適切に認証されない（例えば、ユーザの指紋が正確に識別されず、又はユーザが誤ったパスワード、暗証番号、若しくはパターンを入力することを理由に）誤った否定結果のある程度の可能性が常に存在する。特定の取引のためのユーザ承認の代わりに、取引端末の識別子をトランジット取引端末として確立する（例えば、取引端末信号又は他のコンテキスト情報によって確立される）ことによってセキュリティが提供されるエクスプレストランジット取引モデルを使用することは、ユーザ（又は他の乗客）がデバイスとのトランジット取引を行う間に認証の誤った否定結果によって不便となる可能性を低減する。
【０４８４】
ブロック１６１０において、無線信号が第１のタイプの要求（例えば、取引端末からの要求、トランジット口座からの資産についての要求）に対応するとの判定（例えば、無線信号の内容に基づく判定）に従って（及び／又はそれに応じて）、ブロック１６１６において、電子デバイスは、認証をチェックすることなく（例えば、指紋認証を受信することなく、かつ暗証番号認証を受信することなく）、第１の口座（例えば、１５７２Ａ）に対応する情報（例えば、口座番号、資産）を送信する（例えば、取引端末に）。一部の実施例では、電子デバイスは、セキュア要素を含み、認証をチェックすることなく第１の口座に対応する情報を送信することは、電子デバイスのセキュア要素から、第１の口座に対応する情報にアクセスするための情報を解放することを含む。一部の実施例では、取引に参加するために第１の口座を使用することは、情報（例えば、取引情報、支払い情報）を電子デバイスのセキュア要素から解放することを含む。例えば、電子デバイスは、無線信号を検出したことに続いて認証情報を受信することなく、第１の口座に対応する情報を取引端末に送信する。一部の実施例では、これによって、情報の送信がより迅速に行われることが可能になる。この第１のタイプの要求は、エクスプレストランジット要求と呼ばれてもよい。トランジット取引はまた、トランジット接続をするのに急いでいるユーザ（又は他の乗客）での混雑したトランジット駅では頻繁に行われる。最も正確かつ信頼できる認証でさえ、正当なユーザが適切に認証されない（例えば、ユーザの指紋が正確に識別されず、又はユーザが誤ったパスワード、暗証番号、若しくはパターンを入力することを理由に）誤った否定知結果のいくらかの可能性が常に存在する。特定の取引のためのユーザ承認の代わりに、取引端末の識別子をトランジット取引端末として確立する（例えば、取引端末信号又は他のコンテキスト情報によって確立される）ことによってセキュリティが提供されるエクスプレストランジット取引モデルを使用することは、ユーザ（又は他の乗客）がデバイスとのトランジット取引を行う間に認証の誤った否定結果によって不便となる可能性を低減する。
【０４８５】
一部の実施形態に従って、認証をチェックすることなく第１の口座（例えば、１５７２Ａ）に対応する情報（例えば、口座番号、資産）を送信することは、１つ以上の短距離通信無線機によって、無線信号を検出したことに続いてユーザ入力を必要と（又は受信）することなく第１の口座に対応する情報を送信することを含む。一部の実施形態では、無線信号を検出したことに続いてユーザ入力を必要としないことは、認証情報（例えば、指紋認証又は暗証番号認証）を要求しないことかつ受信しないことを含む。一部の実施形態では、これは、支払い取引に一般的に使用される認証ルーチンを完全にバイパスすることによって達成される。一部の実施例では、これは、ユーザからの必要とされる入力の数を低減し、送信プロセスを加速化する。認証ステップをバイパスすることは、時間を節約し、取引が失敗した認証によってうまくいかない可能性を除去し、それによって、取引の速度及び信頼性を高め、それは特に、ビジーなトランジット駅に入るときに実行されるトランジット取引に重要である。
【０４８６】
一部の実施形態に従って、無線信号が第１のタイプの要求（例えば、取引端末からの要求、トランジット口座からの資産についての要求）に対応するとの判定（例えば、無線信号の内容に基づく判定）に従って、電子デバイスは、認証（例えば、指紋認証又は暗証番号認証）を要求するいずれのインジケーション（例えば、１５７４Ｃ）を提示することを見合わせる。例えば、デバイスがエクスプレストランジット取引を行っているとき、デバイスは、認証を要求する通知を電子デバイスのディスプレイ上で表示せず、認証についての要求を示す音声を電子デバイスのスピーカにおいて再生せず、認証についての要求を示す触覚振動を電子デバイスにおいて生じさせない。よって、デバイスは、認証を要求するいずれのインジケーションを提供しないことによってバッテリ電力を節約する。
【０４８７】
一部の実施形態では、電子デバイスは、ロック状態又はロック解除状態にある。ロック状態では、電子デバイスは、電源が起動され、動作可能であるが、ユーザ入力に応じて事前定義されたセットの動作を実行することが防止される。事前定義されたセットの動作は、ユーザインタフェースの間のナビゲーション、事前定義されたセットの機能のアクティブ化又は非アクティブ化、及び特定のアプリケーションのアクティブ化又は非アクティブ化を含んでもよい。ロック状態は、電子デバイスのいくつかの機能の意図していない若しくは承認されていない使用、又は電子デバイスのいくつかの機能（例えば、機密個人情報へのアクセス並びにデバイスからコンテンツを除去し、及び／若しくはアプリケーションを削除するための設定）のアクティブ化若しくは非アクティブ化を防止するために使用されてもよい。ロック解除状態では、電子デバイスは、電源が起動され、動作可能であるが、ロック状態にある間は実行することができない事前定義されたセットの動作の少なくとも一部を実行することが防止されない。デバイスがロック状態にあるとき、デバイスがロックされていると考えられる。デバイスがロック解除状態にあるとき、デバイスがロック解除されていると考えられる。一部の実施形態では、ロック状態にあるデバイスは、デバイスをロック解除状態に遷移させる試みに対応する入力又はデバイスの電源を停止することに対応する入力を含む、制限されたセットのユーザ入力に応じてもよい。
【０４８８】
一部の実施形態に従って、ブロック１６０６において、電子デバイスは、無線信号を検出する前にロック状態にあり、認証をチェックすることなく第１の口座に対応する情報（例えば、口座番号、資産）を送信する（例えば、取引端末に）間はロック状態に留まり続ける。よって、電子デバイスは、第１の口座に対応する情報を送信するためにデバイスをロック解除することをユーザに必要としない。これは、他の利点の中で、いくつかの他の技術よりも情報を送信するための効率的なプロセスを提供し、必要とされるユーザ入力を少なくすると共に、デバイスのユーザの識別子を検証するために認証情報を処理する際のいずれの遅延（例えば、検出された指紋を記憶された指紋情報と比較する際の遅延又は入力されたパスワード若しくは暗証番号を記憶されたパスワード若しくは暗証番号と比較する際の遅延）を除去する。一部の実施例では、電子デバイスは、取引を処理する間はロック状態に留まる。これによって、例えば、技術は、電子デバイスのいくつかの機能へのユーザのアクセスを不必要に提供することな動作することが可能になり、それによって、追加のセキュリティを提供する。よって、電子デバイスがロック解除されることを必要とすることなく、電子デバイスは、必要とされるユーザ入力を少なくし（例えば、デバイスをロック解除するための入力が必要とされない）、それによって、タスクを完了するのに要する時間を低減し、かつバッテリ電力を節約する。
【０４８９】
一部の実施形態に従って、第１の口座（例えば、１５７２Ａ）に対応する情報は、第１の口座（例えば、トランジット口座、ストアドバリュートランジット口座）の口座番号（例えば、一意な口座番号）を含む。一部の実施例では、電子デバイスは、ユーザがトランジット搭乗領域に入る（例えば、タグオンする）ことを可能にするように口座番号を取引端末（例えば、第１のトランジット駅における）に送信する。一部の実施例では、電子デバイスは続いて、ユーザがトランジット到着領域を出る（例えば、タグオフする）ことを可能にするように口座番号を第２の取引端末（例えば、第２のトランジット駅における）に送信する。よって、トランジットシステムは、ユーザの入口及び出口駅を判定し、入口及び出口のトランジット駅に従って（例えば、旅行される距離に基づいて）ユーザの第１の口座に課金することができる。一部の実施例では、電子デバイスは続いて、ユーザがトランジット到着領域を出る（例えば、タグオフする）ことを可能にするように資産（口座番号でない）を第２の取引端末（例えば、第２のトランジット駅における）に送信する。よって、トランジットシステムは、ユーザのための入口及び出口駅を判定し、電子デバイスは、第１の口座を使用して対応する支払いを行うことができる。
【０４９０】
一部の実施形態に従って、第１の口座（例えば、１５７２Ａ）は、ストアドバリュー口座であり、第１の口座に対応する情報は、第１の口座からの資産（例えば、ドル、円、ユーロ、フラン、元、クローネなどの電子マネー又は通貨）を含む。一部の実施例では、電子デバイスは、ユーザがトランジット到着領域（又は駅）を出ることを可能にするように資産を取引端末（例えば、トランジット駅における）に送信（例えば、転送）する。よって、一部の実施例では、電子デバイスは、ＮＦＣを使用して、かつＩＰネットワーク又はインターネット接続を使用することなく資産を送信することができ、それは、電力を節約し、ＩＰネットワーク又はインターネット接続が利用可能でないときでさえ機能が作用することを可能にする。
【０４９１】
一部の実施形態では、第１の口座（例えば、１５７２Ａ）は、支払い口座（例えば、リボルビングクレジット口座、デビット口座）であり、第１の口座に対応する情報は、第１の口座の支払い口座情報（例えば、口座番号、クレジットカード番号）を含む。一部の実施例では、電子デバイスは、ユーザがトランジット到着領域（又は駅）を出ることを可能にするように支払い口座情報を取引端末（例えば、トランジット駅における）に送信する。一部の実施例では、取引端末は、資産を対応する口座から取り出すために支払い口座情報を使用する。
【０４９２】
一部の実施形態に従って、第１の口座（例えば、１５７２Ａ）は、トランジットコミュータ口座（例えば、月次の無制限トランジットパス、１０回の乗車のパス）であり、第１の口座に対応する情報は、第１の口座のトランジットパス情報（例えば、口座番号）を含む。一部の実施例では、電子デバイスは、ユーザがトランジット領域（又は駅）に入り（例えば、タグオンする）、又はそこを出る（例えば、タグオフする）ことを可能にするようにトランジットトークンを取引端末（例えば、トランジット駅における）に送信する。一部の実施例では、第１の口座は、例えば、取引端末に転送されるトランジットパスを記憶したストアドバリュートランジット口座である。よって、一部の実施例では、電子デバイスは、ユーザにトランジット（例えば、バス、電車、鉄道、フェリー）ネットワークへのアクセスを提供するように有効にされる。
【０４９３】
一部の実施形態に従って、第１の口座（例えば、１５７２Ａ）は、ストアドバリュー口座であり、第１の口座に対応する情報は、第１の口座（例えば、トランジット口座、ストアドバリュートランジット口座）の口座番号（例えば、一意な口座番号）を含み、電子デバイスは、１つ以上の短距離通信無線機によって、資産の額についての要求を含む第２の無線信号を検出する（例えば、無線信号を検出したことに続いて）。一部の実施形態では、検出された第２の無線信号は、第２の取引端末（例えば、電子デバイスとは別個の第２の非接触取引端末）からのものである。一部の実施形態に従って、第２の無線信号が第１のタイプの要求（例えば、取引端末からの要求、トランジット口座からの資産についての要求）に対応するとの判定（例えば、第２の無線信号の内容に基づく判定）に従って（又はそれに応じて）、電子デバイスは、認証をチェックすることなく（例えば、指紋認証を受信することなく、かつ暗証番号認証を受信することなく）、資産（資産の額に基づく）を第１の口座からを送信する（例えば、第２の取引端末に）。例えば、電子デバイスは、第２の無線信号を検出したことに続いて、認証情報を受信することなく資産を第１の口座から第２の取引端末に送信する。一部の実施例では、これによって、資産の送信がより迅速に行われることが可能になる。よって、電子デバイスは、情報を取引端末に提供し、続いてユーザがトランジット到着領域を出ることを可能にするように資産を第２の取引端末（例えば、第２のトランジット駅における）に提供する。一部の実施例では、第２の無線信号が第３のタイプの要求（第１のタイプの要求とは異なる）に対応するとの判定（例えば、第２の無線信号の内容に基づく判定）に従って（又はそれに応じて）、電子デバイスは、第２の無線信号に対応する取引を進める前に認証をチェックする。
【０４９４】
一部の実施形態に従って、第１の口座に対応する情報は、第１の口座（例えば、トランジット口座、ストアドバリュートランジット口座）の口座番号（例えば、一意な口座番号）を含み、電子デバイスは、１つ以上の短距離通信無線機によって、資産の額についての要求を含む第２の無線信号を検出する（例えば、無線信号を検出したことに続いて）。一部の実施例では、検出された第２の無線信号は、第２の取引端末からのものである。一部の実施形態では、資産の額についての要求を含む第２の無線信号を検出したことに続いて、電子デバイスは、予想されるコストを判定する（例えば、無線信号を検出したことに応じて検出されるトランジット入口位置及び第２の無線信号を検出したことに応じて検出されるトランジット出口位置に基づいて）。一部の実施例では、電子デバイスは、トリップの開始位置及び終了位置に基づいて、トランジットトリップの予想されるコストを判定する。
【０４９５】
一部の実施形態に従って、第２の無線信号が第１のタイプの要求（取引端末からの要求、トランジット口座からの資産についての要求）に対応するとの判定（例えば、第２の無線信号の内容に基づく判定）に従って（又はそれに応じて）、かつ資産の要求された額が事前に承認された取引額を超えない（例えば、資産の要求された額が予想されるコストに対応する（例えば、資産の要求された額が予想されるコスト以下である））との判定に従って、電子デバイスは、認証をチェックすることなく（例えば、指紋認証を受信することなく、かつ暗証番号認証を受信することなく）資産（資産の額に基づく）を第１の口座からに送信する（例えば、取引端末に）（例えば、第２の取引端末に）。一部の実施形態に従って、資産の要求された額が事前に承認された取引額を超える（例えば、資産の要求された額が予想されるコストに対応しない（例えば、資産の要求された額が予想されるコストよりも大きい））との判定に従って、電子デバイスは、資産の要求された額が予想されるコストに対応しないことを示すフィードバック（例えば、デバイスによって生成される視覚、音声、及び／又触覚出力）を表示及び／又は生成する（例えば、電子デバイスのディスプレイ上で通知を表示することによって、電子デバイスにおいて触覚アラートを実行することによって、電子デバイスにおいて音声を再生することによって）。一部の実施例では、電子デバイスは、第２の認証情報をユーザから要求する。
【０４９６】
一部の実施形態に従って、資産の要求された額が事前に承認された取引額を超えるとの判定に従って、電子デバイスはまた、取引を進める（例えば、資産（資産の要求された額に基づく）を第１の口座から送信する（例えば、第２の取引端末に）ために認証をチェックする（例えば、指紋認証又は暗証番号認証を受信する）（例えば、資産の要求された額が予想されるコストに対応しないとのインジケーションを提供したことに続いて、第２の無線信号を検出したことに続いて、資産の要求された額が事前に承認された取引額を超えるとの判定に応じて）。よって、資産の要求された額が予想されるコストに対応しないとき、電子デバイスは、ユーザが認証を提供しない限り資産を送信することを見合わせる（例えば、第２の取引端末に）。一部の実施例では、認証をチェックすることは、認証を要求するユーザへの音声、視覚、又は触覚プロンプトを含む。一部の実施例では、認証をチェックすることは、指紋又はパスワードなどのユーザからのユーザ入力を受信することを含む。これによって、例えば、電子デバイスは、ユーザ認可を受信することなく資産の予想される額を送信することを回避することが可能になる。
【０４９７】
一部の実施形態では、第２の無線信号が第１のタイプの要求（例えば、取引端末からの要求、取引口座からの資産についての要求）に対応するとの判定（例えば、第２の無線信号の内容に基づく判定）に従って（又はそれに応じて）、かつ資産の要求された額が事前に承認された取引額を超える（例えば、資産の要求された額が予想されるコストに対応しない（例えば、資産の要求された額が予想されるコストよりも大きい））との判定に従って、電子デバイスは、第２の認証情報を受信する（例えば、指紋を検出し、暗証番号の入力を検出する）（例えば、認証についての要求に応じて）。更に、一部の実施形態に従って、第２の認証情報が取引を承認するために有効とされる登録された認証情報（例えば、登録された指紋、登録された暗証番号）と一致するとの判定に従って、電子デバイスは、取引を進める。更に、一部の実施形態に従って、第２の認証情報が取引を承認するために有効とされる登録された認証情報と一致しないとの判定に従って、電子デバイスは、取引を進めることを見合わせる。
【０４９８】
一部の実施形態に従って、無線信号が第１のタイプの要求に対応するとの判定は、無線信号が電子デバイスによって検出されたときの時間に対応する電子デバイスのコンテキスト情報（例えば、位置、他の無線信号の検出、日時、又は移動の方向など）である。例えば、信号が第１のタイプの要求に対応するとの判定は、端末（例えば、電子デバイスとは別個の）から受信される無線信号の内容、無線信号とは異なる１つ以上の無線信号（例えば、１つ以上のｉＢｅａｃｏｎｓ（商標）若しくは短距離通信位置／近接ビーコンなど、端末の近くに配置された１つ以上のビーコン）、及び／又は位置情報（例えば、ＧＰＳ若しくはトランジット位置（例えば、ロンドンの地下鉄駅、サブウェイ駅）など、特定の位置にある電子デバイスに対応する他の位置情報）のうちの１つ以上に基づいている。例えば、電子デバイスは、ユーザ信号が第１のタイプの要求に対応すると判定するために発見的問題解決を使用する。一部の実施形態では、判定は、電子デバイスが、トランジット駅及び鉄道駅など、公共交通機関と関連付けられた物理的位置にあると判定することを含む。一部の実施例では、判定は、鉄道駅のプラットフォームに向かうなど、電子デバイスが物理的位置に向かっていると判定することを含む。よって、電子デバイスは、要求が第１のタイプの要求であると判定するために種々の技術（単独で又は組み合わせてのいずれかで）を使用することができる。これは、例えば、要求が第１のタイプの要求であることの追加の保証を提供する。
【０４９９】
一部の実施形態に従って、無線信号が第１のタイプの要求（例えば、取引端末１５９０からの要求、トランジット口座からの資産についての要求）に対応するとの判定（例えば、無線信号の内容に基づく判定）は、１つ以上のコンテキスト条件のセットが満たされたとの判定を含み、１つ以上のコンテキスト条件の第１のコンテキスト条件は、無線信号（例えば、取引端末１５９０からの）の内容が予め定められた値（例えば、「００３」コード）を含むときに満たされる。よって、電子デバイスは、要求が第１のタイプの要求であると判定するために種々の技術（単独で又は組み合わせてのいずれかで）を使用することができる。これは、例えば、要求が第１のタイプの要求であることの追加の保証を提供する。
【０５００】
一部の実施形態に従って、無線信号が第１のタイプの要求（例えば、取引端末からの要求、トランジット口座からの資産についての要求）に対応するとの判定（例えば、無線信号の内容に基づく判定）は、１つ以上のコンテキスト条件のセットが満たされたとの判定を含み、１つ以上のコンテキスト条件の第２のコンテキスト条件は、無線信号が電子デバイスによって検出されたときの時間に対応する電子デバイスの物理的位置（例えば、ＧＰＳ及び／又は１つ以上のｉＢｅａｃｏｎｓ（商標）を使用して判定される）が予め定められた位置（例えば、トランジット駅など）に対応するときに満たされる。よって、電子デバイスは、要求が第１のタイプの要求であると判定するために種々の技術（単独で又は組み合わせてのいずれかで）を使用することができる。これは、例えば、要求が第１のタイプの要求であることの追加の保証を提供する。
【０５０１】
一部の実施形態に従って、無線信号が第１のタイプの要求（例えば、取引端末からの要求、トランジット口座からの資産についての要求）に対応するとの判定（例えば、無線信号の内容に基づく判定）は、１つ以上のコンテキスト条件のセットが満たされたとの判定を含み、１つ以上のコンテキスト条件の第３のコンテキスト条件は、電子デバイスが無線信号とは異なる１つ以上の無線信号（例えば、１つ以上のｉＢｅａｃｏｎｓ（商標）又は短距離通信位置／近接ビーコンなど、端末の近くに配置される１つ以上のビーコン）の範囲内に（及び／又は近接して）あるときに満たされる。よって、一部の実施例では、電子デバイス、要求の第１のタイプの要求であると判定するためにこの技術を使用することができる（単独で又は他の技術との組み合わせのいずれかで）。これは、例えば、要求が第１のタイプの要求であることの追加の保証を提供する。
【０５０２】
一部の実施形態に従って、無線信号が第１のタイプの要求（例えば、取引端末からの要求、トランジット口座からの資産についての要求）に対応するとの判定（例えば、無線信号の内容に基づく判定）は、１つ以上のコンテキスト条件のセットが満たされたとの判定を含み、１つ以上のコンテキスト条件の第４のコンテキスト条件は、無線信号が、資産閾値を超えない資産の額についての要求を含む（例えば、資産の要求された額が取引ごとの最大額を超えず、第１の口座から、又は１つ以上の口座からなど、資産の要求された額を送信することが資産の全送信が日額ごとの最大額を超えることにならない）ときに満たされる。一部の実施例では、資産閾値は、ユーザ選択額である。例えば、資産の額についての要求が資産閾値を超える場合、電子デバイスは、進める前に認証をチェックする。よって、電子デバイスは、ユーザからの承認を受信することなくユーザによって指定された額を超える支払いを行うことを回避することができる。
【０５０３】
一部の実施形態に従って、無線信号が第１のタイプの要求に対応するとの判定は、１つ以上のロック解除条件のセットが満たされたとの判定を含み、１つ以上のロック解除条件のセットの第１のロック解除条件は、電子デバイスが、前の時間内（例えば、直近の２４時間以内に少なくとも一度、直近の４時間以内に少なくとも一度）にロック解除されたときに（例えば、少なくとも一度は）（例えば、暗証番号を入力するためのタッチスクリーン上のタッチ入力又は指紋を提供するための電子デバイスの指紋センサ上のタッチなど、電子デバイスの入力デバイスでのユーザ入力に基づいて、電子デバイスをロック解除するために指紋認証を受信し又はデバイスをロック解除するために暗証番号認証を受信する）満たされる。よって、電子デバイスは、承認されたユーザが電子デバイスを保有し、電子デバイスが認証をチェックする必要がないことの追加の保証を有し、それによって、必要とされるユーザ入力の数を低減し、かつバッテリ電力を節約する。
【０５０４】
一部の実施形態に従って、無線信号が第１のタイプの要求に対応するとの判定は、１つ以上のロック解除条件のセットが満たされたとの判定を含み、１つ以上のロック解除条件のセットの第２のロック解除条件は、電子デバイスが、無線信号が検出された日の予め定められた日時（例えば、当日の日時、深夜後の各日に少なくとも一度）の後にロック解除されたときに（例えば、当日に少なくとも一度は）（例えば、暗証番号を入力するためのタッチスクリーン上のタッチ入力又は指紋を提供するための電子デバイスの指紋センサ上のタッチなど、電子デバイスの入力デバイスでのユーザ入力に基づいて、電子デバイスをロック解除するために指紋認証を受信し又はデバイスをロック解除するために暗証番号認証を受信する）満たされる。一部の実施例では、第２のロック解除条件は、電子デバイスが当日の間のいずれかの時間にロック解除されたとき（及び無線信号が第１のタイプの要求に対応するとの判定の前に）の当日の間に満たされる。よって、第２のロック解除条件は、ユーザがその日の朝にデバイスを一度ロック解除した後、その日の間に満たされている。しかしながら、この実施例では、第２のロック解除条件は、深夜の後には満たされず、よってユーザは、デバイスを再度ロック解除する必要がある。よって、電子デバイスは、承認されたユーザが電子デバイスを保有し、電子デバイスが認証をチェックする必要がないことの追加の保証を有し、それによって、必要とされるユーザ入力の数を低減減し、かつバッテリ電力を節約する。
【０５０５】
一部の実施形態に従って、無線信号が第１のタイプの要求に対応するとの判定は、１つ以上のロック解除条件のセットが満たされたとの判定を含み、１つ以上のロック解除条件のセットの第３のロック解除条件は、電子デバイスが、起動後にロック解除されたときに（例えば、当日に少なくとも一度は）（例えば、暗証番号を入力するためのタッチスクリーン上のタッチ入力又は指紋を提供するための電子デバイスの指紋センサ上のタッチなど、電子デバイスの入力デバイスでのユーザ入力に基づいて、電子デバイスをロック解除するために指紋認証を受信し又はデバイスをロック解除するために暗証番号認証を受信する）満たされる。結果として、第３のロック解除条件は、直近のデバイスの再起動に続いてデバイスがロック解除されたときに満たされる。しかしながら、第３のロック解除条件は、ユーザがデバイスを再度ロック解除するまではデバイスが再起動した後に満たされない。よって、電子デバイスは、承認されたユーザが電子デバイスを保有し、電子デバイスが認証をチェックする必要がないことの追加の保証を有し、それによって、必要とされるユーザ入力の数を低減し、かつバッテリ電力を節約する。
【０５０６】
ブロック１６１８において、無線信号が第２のタイプの要求（第１のタイプの要求とは異なる）に対応するとの判定（例えば、無線信号の内容に基づく判定）に従って（又はそれに応じて）、ブロック１６２２において、電子デバイスは、無線信号に対応する取引を進める前に認証（例えば、１５７４Ｃ）をチェックする。よって、認証をチェックすることによって、電子デバイスは、第２のタイプの要求に対応する取引のための追加のセキュリティを提供し、それによって、詐欺的取引を回避することを支援する。この第２のタイプの要求は、非エクスプレストランジット要求と呼ばれてもよい。
【０５０７】
一部の実施形態に従って、ブロック１６１２において、第１のタイプの要求は、口座情報の送信が認証なしに（例えば、ユーザによる生体又は暗証番号認証なしに）自動的に利用可能とすることが事前に承認されている（例えば、無線信号を検出する前）タイプの要求であり、ブロック１６２０において、第２のタイプの要求は、口座情報の送信が認証なしに自動的に利用可能とすることが事前に承認されていないタイプの要求である。一部の実施例では、電子デバイスは、異なる信号タイプの間で区別し、適切なとき、認証をチェックすることなく第１の口座に対応する情報（例えば、口座番号、資産）を自動的に送信する（例えば、取引端末に）。これによって、技術は、必要とされるユーザからの入力をより少なくし、技術がより高速かつ効率的となることをもたらし、それによって、ユーザは、大いに使用される公共トランジットターミナルを進むなど、高速支払い取引シナリオを進むときの遅延を経験しなくなる。
【０５０８】
一部の実施形態に従って、認証をチェックすることは、認証（例えば、指紋認証又は暗証番号認証）を要求するインジケーション（例えば、１５７４Ｃ）を提示する（例えば、電子デバイスのディスプレイ上で通知を表示し、電子デバイスのスピーカにおいて音声を再生し、電子デバイスにおいて触覚振動を生じさせる）こと、認証情報を受信する（例えば、認証についての要求に応じて）（例えば、指紋を検出し暗証番号の入力を検出する）、及び認証情報が取引を承認するために有効とされる登録された認証情報（例えば、登録された指紋、登録された暗証番号）と一致するとの判定に従って、取引を進めることを含む。一部の実施形態では、技術は、第１の口座を使用して取引を進める（例えば、口座番号又は資産など、第１の口座に対応する情報を取引端末に送信する）。一部の実施形態では、技術は、口座番号又は資産など、第２の口座に対応する情報を使用して取引を進める（例えば、口座番号又は資産など、第２の口座に対応する情報を取引端末に送信する）。一部の実施形態では、認証情報が取引を承認するために有効とされる登録された認証情報と一致しないとの判定に従って、電子デバイスは、取引を進めることを見合わせる（口座番号又は資産など、第１の口座、第２の口座、又はいずれかの口座に対応する情報を取引端末に送信することを見合わせる）。よって、特定の状況下で、ユーザにより提供される情報は、追加的なレベルのセキュリティを提供するために（例えば、承認されたユーザが操作を実行していることを確認するためなど）登録された情報に対して検証される。
【０５０９】
一部の実施形態に従って、取引を進めることは、第１の口座（例えば、１５７２Ａ）に対応する情報（例えば、口座番号又は資産）を送信する（例えば、取引端末に）ことを含む。したがって、同一の口座は、コンテキストに応じて（例えば、第１のタイプの要求又は第２のタイプの要求に対応する信号に基づいて）、エクスプレストランジット取引（認証なしの）及び通常の支払い口座（指紋認証又は暗証番号認証などの認証での）の両方について使用されてもよい。したがって、電子デバイスは、同一の口座について、信号が第１のタイプの要求に対応するときにより高速な情報の送信を提供し、要求が第２のタイプの要求に対応するときに追加のセキュリティを更に提供する。
【０５１０】
一部の実施形態に従って、取引を進めることは、第１の口座とは異なる第２の口座に対応する情報（例えば、口座番号又は資産）を送信する（例えば、取引端末に）ことを含む。したがって、同一の口座は、コンテキストに応じて（例えば、第１のタイプの要求又は第２のタイプの要求に対応する信号に基づいて）、エクスプレストランジット取引（認証なしの）及び通常の支払い口座（指紋認証又は暗証番号認証などの認証での）の両方について使用されてもよい。したがって、電子デバイスは、信号が第１のタイプの要求に対応するときに第１の口座に対応する情報のより高速な送信を提供し、要求が第２のタイプの要求に対応するときにセキュリティを更に提供する。
【０５１１】
方法１６００に関して上記説明された処理（図１６Ａ〜１６Ｂ）の詳細はまた、上記及び以下で説明される方法にも、同様の方式で適用可能であることに留意されたい。例えば、方法８００、１０００、１２００、１４００、１８００、及び２０００は任意選択的に、方法１６００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明される資産をストアドバリュー口座に追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０５１２】
図１７Ａ〜１７Ｈは、一部の実施形態に係る、ディスプレイ及び１つ以上の入力デバイスを有する電子デバイス（例えば、１００）を使用して１つのデバイスから別のデバイスに取引口座を移動させるための例示的なユーザインタフェースを示す。それらの図におけるユーザインタフェースは、図１８におけるプロセスを含む、以下に説明されるプロセスを示すために使用される。
【０５１３】
一部の実施形態に従って、取引口座（ストアドバリュー口座など）は、いずれかの時に単一の電子デバイスのみに記憶されてもよい。図１７Ａ〜１７Ｈに対応する説明は、ユーザが取引口座を種々のデバイスの間で移動させるプロセスを開始する技術を提供する。これは、例えば、ユーザがユーザストアドバリュー口座をデバイス（スマートフォンなど）上で有するが、ユーザが異なるデバイス（スマートウォッチなど）を使用してストアドバリュー口座を使用した取引に参加することを望むときに有用である。ストアドバリュー口座をそれぞれのデバイスに移動させることによって、ユーザは、好ましいデバイスを使用して取引に参加することができる。これによって、例えば、それらのスマートウォッチを実行しているユーザは、ストアドバリュー口座をそれらのスマートフォンからそれらのスマートウォッチに転送し、実行しようとしているときにそれらのスマートフォンを家に残すことが可能になる。
【０５１４】
図１７Ａ〜１７Ｂは、一部の実施形態に係る、電子デバイス１００のディスプレイ上に表示される取引口座の表現を示す。一部の実施形態では、取引口座は、ストアドバリュー口座である。一部の実施形態では、図１７Ａに示されるように、取引口座の表現は、取引口座のグラフィカル描写（例えば、１７４２Ａ）を含む。取引口座のグラフィカル描写（例えば、１７４２Ａ）によって、ユーザは、電子デバイス１００上でプロビジョニングされた異なる口座から取引口座を区別することが可能になる。一部の実施形態では、取引口座の表現は、取引口座の利用可能なクレジット（例えば、利用可能な資産、コミュータプラン）のインジケーション（例えば、１７４２Ｂ）を含む。
【０５１５】
一部の実施例では、取引口座は、支払い口座である。一部の実施例では、支払い口座は、リボルビングクレジット口座又はデビット口座に対応する。一部の実施例では、図１７Ａに示されるように、取引口座は、トランジット口座である。一部の実施例では、トランジット口座は、トランジットプラン（又はトランジットパス）情報を記憶する。一部の実施例では、トランジットプランは、月次又は週次のトランジットプランである。一部の実施例では、取引口座は、ストアドバリュー口座である。例えば、資産は、バイナリコードデータの形式で電子デバイス１００に物理的に記憶される。一部の実施例では、取引口座は、閉ループストアドバリュー支払い口座である。一部の実施例では、ストアドバリュー口座は、電子マネーを記憶する。
【０５１６】
一部の実施形態では、ストアドバリュー口座の表現は、複数の選択可能アフォーダンス（例えば、１７４０Ａ、１７４０Ｂ、１７４０Ｃ）を含むメニュー（例えば、１７４０）を含む。一部の実施例では、メニュー（例えば、１７４０）は、情報アフォーダンス（例えば、１７４０Ａ）を含む。一部の実施例では、メニュー（例えば、１７４０）は、取引アフォーダンス（例えば、１７４０Ｂ）を含む。一部の実施例では、メニュー（例えば、１７４０）は、デバイスアフォーダンス（例えば、１７４０Ｃ）を含む。一部の実施例では、取引口座の表現は、アクティブ化可能な転送−口座オプション（例えば、１７４６Ａ）を含む。一部の実施形態では（例えば、図１７Ａに示されるように、情報アフォーダンス（例えば、１７４０Ａ）のユーザ選択に応じて）、取引口座の表現は、アクティブ化されるとき、図１１Ｃ〜１１Ｇに関連して説明されたユーザインタフェースを表示させるアクティブ化可能な追加−価値オプション（例えば、１７４６Ｂ）を表示する。よって、一部の実施例では、電子デバイス１００は、ユーザに、価値を取引口座に追加し、又は取引口座を別のデバイスに／から移動させるオプションを提供するユーザインタフェースを提示する。一部の実施形態では（例えば、図１７Ａに示されるように、情報アフォーダンス（例えば、１７４０Ａ）のユーザ選択に応じて）、取引口座の表現は、転送−口座オプション（例えば、１７４６Ｂ）を表示する。よって、一部の実施例では、電子デバイス１００は、ユーザに、口座を１つのデバイスから別のデバイスに移動させるオプションを提供する。
【０５１７】
一部の実施形態では（例えば、図１７Ａに示されるように、情報アフォーダンス（例えば、１７４０Ａ）のユーザ選択に応じて）、取引口座の表現は、ストアドバリュー口座が現在存在するデバイスのインジケーション（例えば、１７４４）、取引口座の機能及び／又はデータ（例えば、現在の残高、トランジットパス情報）、通知を有効又は無効にするための選択アフォーダンス（例えば、１７４８Ａ）図１５Ａ〜１５Ｍに関連して説明されるような、認証をチェックすることなく取引口座を使用のために利用可能とすることを有効又は無効にするための選択アフォーダンス（例えば、１７４８Ｂ）、並びに取引口座を２つ以上のデバイス（例えば、ユーザ口座と関連付けられた）において行われる取引に対する使用のために利用可能とするように指定又は指定しないための選択アフォーダンス（例えば、１７４８Ｃ）を含むが、取引口座の支払い認証情報は、図１９Ａ〜１９Ｈに関連して説明されるように、２つ以上のデバイスのうちの１つのみに一度に記憶される（例えば、ストアドバリュー口座である取引口座の制限）。
【０５１８】
一部の実施形態では、電子デバイス１００は、取引口座と関連付けられた取引に関する通知を受信し、又は受信しない要望を示すユーザ入力を受信する（例えば、選択アフォーダンス１７４８Ａに関して示されるように、選択アフォーダンスを「オン」又は「オフ」の位置に移動させることによって）。一部の実施形態では、電子デバイス１００は、図１５Ａ〜１５Ｍに関連して説明されるように、認証をチェックすることなく取引口座を使用のために利用可能とする要望を示すユーザ入力を受信する（例えば、選択アフォーダンス１７４８Ｂに関して示されるように、選択アフォーダンスを「オフ」の位置に移動させることによって）。よって、電子デバイス１００は、ユーザに、取引口座をエクスプレストランジット口座として指定し又は指定しない（例えば、選択アフォーダンス１７４８Ｂを使用して）オプションを提供し、それによって、資産が認証を必要とすることなく特定の取引において送信される。一部の実施形態では、取引口座がエクスプレストランジット口座として指定されるとき（例えば、選択アフォーダンス１７４８Ｂを「オン」の位置に移動させることによって）、電子デバイス１００は、ストアドバリュー口座へのより高速なアクセスを提供する。一部の実施形態では、ストアドバリュー口座がエクスプレストランジット口座として指定されないとき（例えば、選択アフォーダンス１７４８Ｂを「オフ」の位置に移動させることによって）、電子デバイス１００は、電子デバイス上でプロビジョニングされた口座のための追加のセキュリティを提供する。一部の実施形態では、電子デバイス１００は、複数のデバイス（例えば、ユーザ口座と関連付けられた）のうちの２つ以上のデバイスにおいて取引口座を使用のために利用可能とする口座として指定するユーザ入力を受信する（例えば、選択アフォーダンス１７４８Ｃに関連して説明されるように、選択アフォーダンスを「オン」又は「オフ」の位置に移動させることによって）。一部の実施例では、取引口座は、２つ以上のデバイスにおいて行われる取引に対する使用のために利用可能とするように指定されるが、取引口座の認証情報は、図１９Ａ〜１９Ｈに関連して説明されるように、２つ以上のデバイスのうちの１つのみに一度に記憶される（例えば、ストアドバリュー口座である取引口座の制限）。よって、一部の実施例では、電子デバイス１００は、ユーザが取引口座を電子デバイスにおいて利用可能とするように指定したときに取引口座の認証情報を要求する。
【０５１９】
一部の実施形態では、図１７Ｂに示されるように、電子デバイス１００は、転送−口座オプション（例えば、１７４６Ａ）のアクティブ化を受信する（例えば、ユーザから）。一部の実施形態では、複数のデバイスの表現は、図１７Ｃに示されるように、転送−口座オプション（例えば、１７４６Ａ）のアクティブ化を受信したことに応じて表示される。
【０５２０】
図１７Ｃに示されるように、電子デバイス１００は、電子デバイスのディスプレイ上で、ユーザ口座と関連付けられた複数のデバイス（例えば、電話１７７６Ａ、スマートウォッチ１７７６Ｂ、タブレット１７７６Ｃ）の表現を表示する。例えば、ユーザ口座と関連付けられた複数のデバイスは、電子デバイスと同一のユーザ口座の下のサービスにログインされるデバイス、及び任意選択的に、家族共有プランの一部である口座など、ユーザ口座にリンクされた口座と関連付けられたデバイスを含む。別の実施例について、ユーザ口座と関連付けられた複数のデバイスは、その中で支払い口座を移動させることができるデバイスを含む。複数のデバイスの表現は、第１のデバイス（例えば、電子デバイス１００、電話）の第１の表現（例えば、１７７６Ａ）及び第２のデバイスの第２の表現（例えば、１７７６Ｂ、１７７６Ｃ）を含み、第１のデバイスは、取引口座と関連付けられ、第２のデバイスは、取引口座と関連付けられない。図１７Ｃに示される例示的な実施形態では、電話（例えば、１７７６Ａによって表される）は、取引口座と関連付けられ（インジケーション１７４４によって図１７Ａ〜１７Ｂに示される）、スマートウォッチ（例えば、１７７６Ｂによって表される）及びタブレット（例えば、１７７６Ｃによって表される）は、取引口座と関連付けられない。よって、この実施形態では、電話は、第１のデバイスであり、スマートウォッチ又はタブレットは、第２のデバイスである。一部の実施例では、それぞれの取引口座は、第１のデバイス上でプロビジョニングされる。一部の実施例では、それぞれの取引口座は、第２のデバイス上でプロビジョニングされない。一部の実施例では、第１のデバイスはまた、リボルビングクレジット取引口座など、ストアドバリュー口座でない第２の取引口座と関連付けられる。一部の実施形態では、取引口座と関連付けられないデバイスの表現は、１７７６Ｂ及び１７７６Ｃなど、ユーザによって選択可能である。一部の実施形態では、取引口座と関連付けられたデバイスの表現は、１７７６Ａなど、ユーザによって選択可能でない。よって、図１７Ｃに示される例示的な実施形態では、電話の表現（例えば、１７７６Ａ）は、ユーザによって選択可能でなく、スマートウォッチの表現（例えば、１７７６Ｂ）及びタブレットの表現（例えば、１７７６Ｃ）は、ユーザによって選択可能である。
【０５２１】
一部の実施形態では、ユーザ口座と関連付けられた複数のデバイス（例えば、コンピュータ、電話、及びスマートウォッチ）の表現（例えば、１７７６Ａ、１７７６Ｂ、１７７６Ｃ）は、電子デバイス１００と同一のユーザ口座の下のサービスにログインされるデバイスの表現を含む。例えば、複数のデバイスがログインされるサービスは、デバイスの間でデータを同期するデータ同期サービス、デバイスが購入したコンテンツにアクセスすること承認するコンテンツ承認サービス、又は購入したアプリケーション及び音楽加入サービスなどの加入サービスを含む。一部の実施例では、ユーザ口座と関連付けられた複数のデバイスの表現は、電子デバイス１００と同一のユーザ口座の下のサービスにログインされないデバイスの表現を含まない。よって、一部の実施例では、電子デバイス１００は、例えば、ユーザの家族のメンバの口座以外のユーザ口座で使用するように構成されたデバイスの表現を表示する。
【０５２２】
一部の実施形態では、ユーザ口座と関連付けられた複数のデバイス（例えば、コンピュータ、電話、及びスマートウォッチ）の表現（例えば、１７７６Ａ、１７７６Ｂ、１７７６Ｃ）は、それによって電子デバイス１００がサービスにログインされるユーザ口座と関連付けられたそれぞれのユーザ口座を使用してサービスにログインされるデバイスの表現を含む。一部の実施例では、ユーザ口座と関連付けられた複数のデバイスの表現は、それによって電子デバイス１００がサービスにログインされるユーザ口座と関連付けられたそれぞれのユーザ口座を使用してサービスにログインされないデバイスの表現を含まない。よって、一部の実施例では、電子デバイス１００は、ユーザ口座、例えば、ユーザの家族のメンバの口座と関連付けられた口座で使用するように構成されたデバイスの表現を表示する。
【０５２３】
図１７Ｄに示されるように、電子デバイス１００は、１つ以上の入力デバイス（例えば、タッチ感知面）を介して、第２のデバイスの表示された表現に対応する選択（例えば、スマートウォッチの表現１７７６Ｂの選択）を受信する。一部の実施形態では、第２のデバイスは、取引口座と関連付けられない。
【０５２４】
図１７Ｅに示されるように、第２のデバイスの表示された表現（例えば、スマートウォッチの表現１７７６Ｂの）に対応する選択を受信したことに従って（又はそれに応じて）、電子デバイス１００は、取引口座を第２のデバイスと関連付けさせる（例えば、取引口座の情報を第２のデバイスに送信することによって）。例えば、電子デバイス１００は、第２のデバイスの表示された表現に対応する選択を受信したことに応じて又はそれに従って、第２のデバイス（例えば、１７７６Ｂによって表される）をそれぞれの取引口座と関連付ける。一部の実施例では、電子デバイス１００は、取引口座を第２のデバイス（例えば、１７７６Ｂによって表される）上でプロビジョニングされるようにする。一部の実施例では、電子デバイス１００によって、第２のデバイス（例えば、１７７６Ｂによって表される）は、取引口座を第２のデバイス上でプロビジョニングすることが可能になる。
【０５２５】
一部の実施形態では、取引口座を第２のデバイス（例えば、１７７６Ｂによって表される）と関連付けさせる（例えば、プロビジョニングし、プロビジョニングを有効にする）ことは、取引口座を第２のデバイスにおいて最大支払い額に制限することを含む。一部の実施例では、取引口座を第２のデバイス（例えば、１７７６Ｂによって表される）と関連付けさせることは、取引口座を使用して第２のデバイスを最大支払い額に制限することを含む。一部の実施形態では、取引口座を第２のデバイス（例えば、１７７６Ｂによって表される）と関連付けさせる（例えば、プロビジョニングし、プロビジョニングを有効にする）ことは、第１のデバイス（例えば、１７７６Ａによって表される電話、電子デバイス１００）から、第２のデバイスにおいて行われることになる提案される支払いのためのそれぞれの事前承認を必要とするように取引口座を第２のデバイスにおいて制限することを含む。一部の実施例では、電子デバイス１００は、第１のデバイス（例えば、１７７６Ｂによって表される）である。一部の実施例では、取引口座の表現は、第２のデバイス（例えば、１７７６Ｂによって表される）において利用可能であり、ユーザは、第２のデバイスにおいて取引口座を使用して支払いを行うことを要求することができる（例えば、支払いのために取引口座の表現を選択することによって）。一部の実施例では、第２のデバイス（例えば、１７７６Ｂによって表される）において取引口座を使用して支払いを行う要求に応じて、第２のデバイスは、取引口座を使用して支払いを行うための事前承認についての要求を送信する（例えば、電子デバイス１００に、又は第１のデバイス（例えば、１７７６Ａによって表される）に）。例えば、要求は、事前承認のための額を含む。
【０５２６】
一部の実施形態では、ユーザインタフェースは、事前承認についての要求を承認又は非承認するために電子デバイス１００（又は第１のデバイス（例えば、１７７６Ａによって表される））においてユーザに提示される。一部の実施形態では、電子デバイス１００（又は第１のデバイス（例えば、１７７６Ａによって表される））は、事前承認を承認又は非承認するユーザ入力に基づいて応答を送信する。一部の実施形態では、第２のデバイス（例えば、１７７６Ｂによって表される）において、承認を示す応答を受信したことに応じて、第２のデバイスは、取引口座に対応する支払い情報を送信し（例えば、非接触支払い端末に）、非承認を示す応答を受信したことに応じて、第２のデバイスは、取引口座に対応する支払い情報を送信することを見合わせる（例えば、非接触支払い端末に）。よって、電子デバイス１００によって、ユーザは、事前承認の条件で利用可能な取引口座を作成することが可能になる。これは特に、例えば、ユーザが、ユーザの家族のメンバが取引口座へのアクセスを有することを望む場合に有用でありつつ、個々の取引を承認する能力を維持する。
【０５２７】
また、図１７Ｅに示されるように、第２のデバイス（例えば、１７７６Ｂによって表される）の表示された表現に対応する選択を受信したことに従って（又はそれに応じて）、電子デバイス１００はまた、取引口座を第１のデバイス（例えば、１７７６Ａによって表される）から関連付けロック解除させる（例えば、プロビジョニングロック解除され、除去される）（例えば、取引口座の情報を第１のデバイスに送信することによって）。一部の実施例では、第１のデバイスは、電子デバイス１００である。一部の実施例では、第２のデバイスは、電子デバイスである。一部の実施例では、電子デバイスは、第１のデバイス及び第２のデバイスとは異なる第３のデバイスである。
【０５２８】
一部の実施形態では、第１のデバイスは、取引口座を第２のデバイスと関連付けさせ、第１のデバイスから関連付けロック解除させる、電子デバイス１００である。よって、一部の実施例では、電子デバイス１００によって、ユーザは、取引口座を電子デバイスから異なるデバイスに移動させることが可能になる（例えば、取引口座を電子デバイスから第２のデバイスにプッシュする）。一部の実施形態では、第２のデバイスは、取引口座を第２のデバイスと関連付けさせ、第１のデバイスから関連付けロック解除させる、電子デバイスである。よって、一部の実施例では、電子デバイス１００によって、ユーザは、取引口座を異なるデバイスから電子デバイスに移動させることが可能になる（例えば、取引口座を第１のデバイスから電子デバイスにプルする）。一部の実施例では、電子デバイス１００は、取引口座を第２のデバイスと関連付けさせ、第１のデバイスから関連付けロック解除させる第３のデバイスである。
【０５２９】
一部の実施形態では、時間条件が満たされたとの判定に従って、電子デバイス１００は、取引口座を第２のデバイスから関連付けロック解除させる（例えば、取引口座の情報を第２のデバイスに送信することによって）。例えば、時間条件は、ユーザ指定期間が満了するまで取引口座が第２のデバイス上に留まるユーザ指定期間であり、その時点で取引口座が第１のデバイスに戻される。一部の実施形態では、電子デバイス１００は、取引口座を第１のデバイスと関連付けさせる（例えば、取引口座の情報を第１のデバイスに送信することによって）。一部の実施例では、第１のデバイスは、電子デバイスである。一部の実施例では、第２のデバイスは、電子デバイス１００である。よって、一部の実施例では、電子デバイス１００は、取引口座を第２のデバイスから第１のデバイスに再度転送することができる。よって、電子デバイス１００によって、取引口座が特定の期間の間に使用のために利用可能とすることが可能になる。これは特に、例えば、ユーザが、家族のメンバが日、週、又は月であるがそれよりも長くない特定の時間の間に取引口座へのアクセスを有することを望む場合に有用である。一部の実施例では、取引口座を第２のデバイスと関連付けさせる（例えば、取引口座の情報を第２のデバイスに送信することによって）ことは、最大の期間の間に取引口座を第２のデバイスと関連付けられるように制限することを含む。
【０５３０】
図１７Ｆ〜１７Ｈは、一部の実施形態に係る、取引口座を第２のデバイス（例えば、１７７６Ｂによって表される）から第１のデバイス（例えば、１７７６Ａによって表される）に再度転送するための例示的なユーザインタフェースを示す。一部の実施形態では、図１７Ｆに示されるように、取引口座を第２のデバイス（例えば、１７７６Ｂによって表される）と関連付けさせる（例えば、取引口座の情報を第２のデバイスに送信することによって）ことに続いて、かつ取引口座を第１のデバイス（例えば、１７７６Ａによって表される）から関連付けロック解除させる（例えば、取引口座の情報を第１のデバイスに送信することによって）ことに続いて、電子デバイス１００は、電子デバイスのディスプレイ上で、複数のデバイス（例えば、コンピュータ、電話、及びスマートウォッチ）の表現を表示する。一部の実施形態では、図１７Ｆに示されるように、第１のデバイスの表現（例えば、１７７６Ａ）は、選択可能であり、かつ第１のデバイスが取引口座と関連付けられない（例えば、それぞれの取引口座が第１のデバイス上でプロビジョニングされない）ことを示し、第２のデバイスの表現（例えば、１７７６Ｂ）は、選択可能でなく、かつ第２のデバイスが取引口座と関連付けられる（例えば、それぞれの取引口座が第２のデバイス上でプロビジョニングされる）ことを示す。
【０５３１】
一部の実施形態では、図１７Ｇに示されるように、電子デバイス１００は、１つ以上の入力デバイスを介して、第１のデバイス（例えば、１７７６Ａによって表される）に対応するそれぞれの選択を受信する。
【０５３２】
図１７Ｈに示されるように、一部の実施形態では、第１のデバイス（例えば、１７７６Ａによって表される）に対応するそれぞれの選択を受信したことに従って（及び／又はそれに応じて）、電子デバイス１００は、取引口座を第２のデバイス（例えば、１７７６Ｂによって表される）から関連付けロック解除させる（例えば、取引口座の情報を第２のデバイスに送信することによって）。図１７Ｈに示されるように、一部の実施形態では、第１のデバイス（例えば、１７７６Ａによって表される）に対応するそれぞれの選択を受信したことに従って（及び／又はそれに応じて）、電子デバイス１００は、第１のデバイスに対応する選択を受信したことに応じて又はそれに従って、取引口座をそれぞれの取引口座を有する第１のデバイス（例えば、１７７６Ａによって表される）と関連付けさせる（例えば、取引口座の情報を第１のデバイスに送信することによって）。一部の実施例では、第１のデバイスは、電子デバイス１００である。一部の実施例では、第２のデバイスは、電子デバイス１００である。よって、一部の実施例では、電子デバイス１００は、口座を第１のデバイスから第２のデバイスに再度移動させることができる。
【０５３３】
一部の実施形態では、電子デバイス１００は、第２のデバイスであり、電子デバイスは、第２のデバイスとして、ユーザ口座と関連付けられた複数のデバイスの第３のデバイス（並びに／又は第１のデバイス、第２のデバイス、及び／若しくは第４のデバイスなど）を、取引口座が使用のために利用可能とするデバイスとして指定するユーザ入力を受信する。一部の実施形態では、取引口座を第２のデバイスと関連付けさせる（例えば、取引口座の情報を第２のデバイスに送信することによって）ことに続いて、かつ取引口座を第１のデバイスから関連付けロック解除させる（例えば、取引口座の情報を第１のデバイスに送信することによって）ことに続いて、電子デバイス１００は、取引口座の支払い認証情報についての要求を電子デバイス１００とは異なる第３のデバイス（例えば、タブレット）から受信する。一部の実施形態では、第３のデバイスが、取引口座が使用のために利用可能とするデバイスとして指定されているとの判定に従って、電子デバイスは、取引口座の支払い認証情報を第２のデバイスから第３のデバイスに送信する。よって、一部の実施例では、電子デバイス１００によって、ユーザは、取引口座が使用のために利用可能とされるべき１つ以上のデバイスを選択することが可能になり、それによって、ユーザがユーザ口座と関連付けられた複数のデバイスの１つのデバイスから別のデバイスに取引口座が移動されることを手動で要求する必要性を低減する。
【０５３４】
一部の実施例では、取引口座を第２のデバイスと関連付けさせることは、取引口座を使用して取引に参加するために第２のデバイスによって使用される支払い認証情報などの情報を第２のデバイスに送信することを含む。一部の実施例では、これは、ＰＡＮ、口座番号、又は口座有効日などの支払い口座情報を第２のデバイスに送信することを含む。一部の実施例では、取引口座を第２のデバイスと関連付けさせることは、取引口座を使用して取引に参加するために第２のデバイスによって記憶され（例えば、第２のデバイスのセキュア要素に）、第２のデバイスによって使用される支払い認証情報などの情報を第２のデバイスに送信することを第１のデバイスに命令することを含む。
【０５３５】
一部の実施例では、取引口座を第１のデバイスから関連付けロック解除させることは、第１のデバイスに、取引口座を使用して取引に参加するために使用される支払い認証情報などの情報を除去又は削除させることを含む。一部の実施例では、これは、ＰＡＮ、口座番号、又は口座有効日などの支払い情報を第１のデバイスから除去することを含む。一部の実施例では、取引口座を第１のデバイスから関連付けロック解除させることは、取引口座を使用して取引に参加するために使用される支払い認証情報などの情報を除去又は削除することを第１のデバイスに命令することを含む。
【０５３６】
図１８は、一部の実施形態に係る、取引口座を１つのデバイスから別のデバイスに移動させる方法を示すフローチャートである。一部の実施形態に従って、方法１８００は、ディスプレイ及び１つ以上の入力デバイスを有するデバイス（例えば、１００、３００、５００）において実行される。方法１８００におけるいくつかの動作は任意選択的に組み合わされ、いくつかの動作の順序は任意選択的に変更され、いくつかの動作は任意選択的に省略される。
【０５３７】
以下で説明されるように、方法１８００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０５３８】
ブロック１８０２において、電子デバイスは、ディスプレイ上で、ユーザ口座と関連付けられた複数のデバイス（例えば、コンピュータ、電話、及びスマートウォッチ）の表現（例えば、１７７６Ａ、１７７６Ｂ、１７７６Ｃ）を表示し（例えば、同一のユーザ口座の下のサービスにログインされる複数のデバイス、任意選択的に、家族共有プランの一部である口座などのユーザ口座にリンクされた口座と関連付けられたデバイス、その中で支払い口座を移動させることができるデバイス）、複数のデバイスの表現は、第１のデバイスの第１の表現（例えば、１７７６Ａ）及び第２のデバイスの第２の表現（例えば、１７７６ｂ）を含み、ブロック１８０４において、第１のデバイスは、取引口座（例えば、支払い取引口座又はトランジット取引口座）と関連付けられる。一部の実施例では、それぞれの取引口座は、第１のデバイス上でプロビジョニングされ、第２のデバイスは、取引口座と関連付けられない（例えば、それぞれの取引口座は、第２のデバイス上でプロビジョニングされない）。
【０５３９】
一部の実施形態に従って、ブロック１８０６において、取引口座は、ストアドバリュー口座（例えば、資産がバイナリコードデータの形式で電子デバイスに物理的に記憶された）である。一部の実施例では、取引口座は、閉ループストアドバリュー支払い口座である。一部の実施例では、ストアドバリュー口座は、電子マネーを記憶する。一部の実施例では、第１のデバイスはまた、リボルビングクレジット取引口座など、ストアドバリュー口座でない第２の取引口座と関連付けられる。一部の実施例では、価値／データを取引口座から取り出すための情報は、情報をセキュア要素から取り出す適切に処理された取引なしに価値にアクセスすることができないことを保証するために電子デバイスのセキュア要素に記憶される。
【０５４０】
一部の実施形態に従って、取引口座は、支払い口座である。一部の実施例では、取引口座は、電子マネーを記憶したストアドバリュー口座である。一部の実施例では、支払い口座は、リボルビングクレジット口座又はデビット口座に対応する。一部の実施形態に従って、取引口座は、トランジット口座である。一部の実施例では、トランジット口座は、ストアドバリュートランジット口座である。一部の実施例では、トランジット口座は、トランジットプラン（又はトランジットパス）情報を記憶する。一部の実施例では、トランジットプランは、月次又は週次のトランジットプランである。よって、一部の実施例では、電子デバイスは、ユーザにトランジットシステムへのアクセスを提供するために使用することができる口座を移動させるオプションをユーザに提供する。
【０５４１】
一部の実施形態に従って、取引口座は、ストアドバリュー口座であり、複数のデバイスの表現を表示する前に、電子デバイスは、アクティブ化可能な追加−価値オプション（例えば、１７４６Ｂ）及びアクティブ化可能な転送−口座オプション（例えば、１７４６Ａ）と共に口座（例えば、ストアドバリュー口座）の表現を同時に表示する（例えば、口座の表現の隣に、又はそうでない場合、口座の表現と視覚的にリンクして）。一部の実施形態に従って、電子デバイスは、転送−口座オプション（例えば、１７４６Ａ）のアクティブ化を受信し、ユーザ口座と関連付けられた複数のデバイス（例えば、コンピュータ、電話、及びスマートウォッチ）の表現（例えば、１７７６Ａ、１７７６Ｂ、１７７６Ｃ）を表示することは、転送−口座オプション（例えば、１７４６Ａ）のアクティブ化を受信したことに応じている。よって、一部の実施例では、電子デバイスは、ユーザオプションが価値を取引口座に追加し、又は取引口座を別のデバイスに若しくは別のデバイスから移動させることを可能にするユーザインタフェースを提供する。
【０５４２】
一部の実施形態に従って、ユーザ口座と関連付けられた複数のデバイス（例えば、コンピュータ、電話、及びスマートウォッチ）の表現（例えば、１７７６Ａ、１７７６Ｂ、１７７６Ｃ）は、電子デバイスと関連付けられたユーザ口座と同一のユーザ口座の下のサービス（例えば、デバイスの間でデータを同期するデータ同期サービス並びに／若しくはデバイスが購入したコンテンツにアクセスすること承認するコンテンツ承認サービス、又は購入したアプリケーション及び音楽加入サービスなどの加入サービス）にログインされるデバイスの表現を含む。一部の実施例では、ユーザ口座と関連付けられた複数のデバイスの表現は、電子デバイスと同一のユーザ口座の下のサービスにログインされないデバイスの表現を含まない。よって、一部の実施例では、電子デバイスは、ユーザの口座（例えば、家族のメンバの口座以外の）で使用するように構成されたデバイスの表現を表示する。
【０５４３】
一部の実施形態に従って、ユーザ口座と関連付けられた複数のデバイス（例えば、コンピュータ、電話、及びスマートウォッチ）の表現（例えば、１７７６Ａ、１７７６Ｂ、１７７６Ｃ）は、電子デバイスがサービスにログインされるユーザ口座と関連付けられたそれぞれのユーザ口座を使用してサービスにログインされるデバイスの表現を含む。一部の実施例では、ユーザ口座と関連付けられた複数のデバイス表現は、電子デバイスがサービスにログインされるユーザ口座と関連付けられたそれぞれのユーザ口座を使用してサービスにログインされないデバイスの表現を含まない。よって、一部の実施例では、電子デバイスは、ユーザの口座（例えば、家族のメンバの口座）と関連付けられた他の口座で使用するように構成されたデバイスの表現を表示する。
【０５４４】
ブロック１８０８において、電子デバイスは、１つ以上の入力デバイスを介して、第２のデバイスの表示された表現に対応する選択を受信する。
【０５４５】
ブロック１８１０において、第２のデバイスの表示された表現に対応する選択を受信したことに従って（及び／又はそれに応じて）、電子デバイスは、ブロック１８１６において、取引口座を第２のデバイスと関連付けさせ（例えば、第２のデバイス上でプロビジョニングし、第２のデバイス上でのプロビジョニングを有効にする）（例えば、情報を第２のデバイスに送信することによって）、ブロック１８１８において、取引口座を第１のデバイスから関連付けロック解除させる（例えば、プロビジョニングロック解除され、除去される）（例えば、情報を第１のデバイスに送信することによって）。一部の実施例では、取引口座を第２のデバイスと関連付けさせることは、第２のデバイスに、第２のデバイスのセキュア要素に取引口座の価値を取り出すための情報を記憶させることを含み、取引口座を第１のデバイスから関連付けロック解除させることは、第１のデバイスに、第１のデバイスのセキュア要素に取引口座の価値を取り出すための情報を記憶させないことを含む。例えば、電子デバイスは、第２のデバイスの表示された表現に対応する選択を受信したことに応じて又はそれに従って、第２のデバイスをそれぞれの支払い口座と関連付ける。一部の実施例では、第１のデバイスは、電子デバイスである。一部の実施例では、第２のデバイスは、電子デバイスである。一部の実施例では、電子デバイスは、第１のデバイス及び第２のデバイスとは異なる第３のデバイスである。よって、取引口座を２つのデバイスの間で移動させることによって、電子デバイスによって、ユーザは、どのデバイスが取引口座の認証情報を記憶することを制御することが可能になる。結果として、単一のストアドバリュー取引口座を、種々のデバイスにおいて使用することができる。
【０５４６】
一部の実施形態に従って、ブロック１８１２において、第１のデバイスは、取引口座を第２のデバイスと関連付けさせ、第１のデバイスから関連付けロック解除させた電子デバイスである。よって、一部の実施例では、電子デバイスによって、ユーザは、取引口座を電子デバイスから異なるデバイスに移動することが可能になる（取引口座を電子デバイスから第２のデバイスにプッシュする）。
【０５４７】
一部の実施形態に従って、ブロック１８１４において、第２のデバイスは、取引口座を第２のデバイスと関連付けさせ、第１のデバイスから関連付けロック解除させた電子デバイスである。よって、一部の実施例では、電子デバイスによって、ユーザは、取引口座を異なるデバイスから電子デバイスに移動することが可能になる（取引口座を第１のデバイスから電子デバイスにプルする）。一部の実施例では、電子デバイスは、取引口座を第２のデバイスと関連付けさせ、第１のデバイスから関連付けロック解除させる第３のデバイスである。一部の実施例では、取引口座を移動させることは、情報（例えば、取引情報、支払い情報）を電子デバイスのセキュア要素からロック解除又は削除）することを含む。
【０５４８】
一部の実施形態に従って、電子デバイスは、第２のデバイスであり、電子デバイスは、複数のデバイスの第３のデバイス（並びに／又は第１のデバイス及び／若しくは第２のデバイス）を、取引口座が使用のために利用可能とするデバイスとして指定するユーザ入力を受信する。一部の実施形態に従って、取引口座を第２のデバイスと関連付けさせる（例えば、プロビジョニングし、プロビジョニングを有効にする）（例えば、情報を第２のデバイスに送信することによって）ことに続いて、かつ取引口座を第１のデバイスから関連付けロック解除させる（例えば、プロビジョニングロック解除され、除去される）（例えば、情報を第１のデバイスに送信することによって）ことに続いて、電子デバイスは、取引口座の支払い認証情報についての要求を電子デバイスとは異なる第３のデバイス（例えば、電話などの電子デバイス）から受信し、第３のデバイスが、取引口座が使用のために利用可能とするデバイスとして指定されているとの判定に従って、取引口座の支払い認証情報を第２のデバイスから第３のデバイスに送信する。よって、一部の実施例では、電子デバイスによって、ユーザは、取引口座が使用のために利用可能されるべき１つ以上のデバイスを選択することが可能になる。一部の実施例では、これは、ユーザが、取引口座が１つのデバイスから別のデバイスに移動されることを手動で要求する必要性を低減する。
【０５４９】
一部の実施形態に従って、取引口座を第２のデバイスと関連付けさせる（例えば、プロビジョニングし、プロビジョニングを有効にする）（例えば、情報を第２のデバイスに送信することによって）ことは、取引口座を第２のデバイスにおいて最大支払い額に制限することを含む。一部の実施例では、取引口座を第２のデバイスと関連付けさせることは、取引口座を使用して第２のデバイスを最大支払い額に制限することを含む。よって、第２のデバイスを最大支払い額に制限することによって、電子デバイスは、コストがかかる取引に対して追加的なセキュリティを提供し、ユーザに取引口座の使用を通じての追加的な制御を提供する。
【０５５０】
一部の実施形態に従って、取引口座を第２のデバイスと関連付けさせる（例えば、プロビジョニングし、プロビジョニングを有効にする）（例えば、情報を第２のデバイスに送信することによって）ことは、第１のデバイス（又は電子デバイス）から、第２のデバイスにおいて行われることになる提案される支払いのためのそれぞれの事前承認を必要とするように取引口座を第２のデバイスにおいて制限することを含む。一部の実施例では、電子デバイスは、第１のデバイスである。一部の実施例では、取引口座の表現は、第２のデバイスにおいて利用可能であり、ユーザは、第２のデバイスにおいて取引口座を使用して支払いを行うことを要求することができる（例えば、支払いのための取引口座の表現を選択することによって）。一部の実施例では、第２のデバイスにおいて取引口座を使用して支払いを行う要求に応じて、第２のデバイスは、取引口座を使用して支払いを行うための事前承認についての要求を送信する（例えば、電子デバイスに、第１のデバイスに）。例えば、要求は、事前承認のための額を含む。ユーザインタフェースは、事前承認のための要求を承認又は非承認するために電子デバイスにおいて（又は第１のデバイスにおいて）ユーザに提示される。電子デバイス（又は第１のデバイス）は、事前承認を承認又は非承認するユーザ入力に基づいて応答を送信する。第２のデバイスにおいて、承認を示す応答を受信したことに従って、第２のデバイスは、取引口座に対応する支払い情報を送信し（例えば、非接触支払い端末に）、非承認を示す応答を受信したことに従って、第２のデバイスは、取引口座に対応する支払い情報を送信することを見合わせる（例えば、非接触支払い端末に）。よって、電子デバイスによって、ユーザは、事前承認の条件で利用可能な取引口座を作成することが可能になる。これは特に、例えば、ユーザが、家族のメンバが取引口座へのアクセスを有することを望むが、ユーザが個々の取引を承認しようとする場合に有用である。
【０５５１】
一部の実施形態に従って、取引口座を第２のデバイスと関連付けさせる（例えば、プロビジョニングし、プロビジョニングを有効にする）（例えば、情報を第２のデバイスに送信することによって）ことに続いて、かつ取引口座を第１のデバイスから関連付けロック解除させる（例えば、プロビジョニングロック解除され、除去される）（例えば、情報を第１のデバイスに送信することによって）ことに続いて、電子デバイスは、ディスプレイ上で、複数のデバイス（例えば、コンピュータ、電話、及びスマートウォッチ）の表現（例えば、１７７６Ａ、１７７６Ｂ、１７７６Ｃ）を表示し、第１のデバイスは、取引口座と関連付けられず（例えば、それぞれの支払い口座が第１のデバイス上でプロビジョニングされる）、第２のデバイスは、取引口座と関連付けられ（例えば、それぞれの支払い口座が第２のデバイス上でプロビジョニングされない）、１つ以上の入力デバイスを介して、第１のデバイスに対応する選択を受信する。一部の実施形態に従って、第１のデバイスに対応するそれぞれの選択を受信したことに従って（又はそれに応じて）、電子デバイスは、取引口座を第２のデバイスから関連付けロック解除させる（例えば、プロビジョニングロック解除され、除去される）（例えば、情報を第２のデバイスに送信することによって）。例えば、第２のデバイスをそれぞれの支払い口座と関連付けることは、第２のデバイスの表示された表現に対応する選択を受信することに応答し、又はそれに従っている。一部の実施形態に従って、第１のデバイスに対応するそれぞれの選択を受信したことに従って（又はそれに応じて）、電子デバイスはまた、取引口座を第１のデバイスと関連付けさせる（例えば、プロビジョニングされ、プロビジョニングを有効にする）（例えば、情報を第１のデバイスに送信することによって）。一部の実施例では、第１のデバイスは、電子デバイスである。一部の実施例では、第２のデバイスは、電子デバイスである。よって、一部の実施例では、電子デバイスは、口座を第２のデバイスから第１のデバイスに再度移動させることができる。
【０５５２】
一部の実施形態に従って、時間条件が満たされた（例えば、ある期間（第１のデバイスに戻る前にその間に取引口座が第２のデバイスに留まるべきユーザ指定期間など）が満了したこと、時間が到達したこと）との判定に従って、電子デバイスは、取引口座を第２のデバイスから関連付けロック解除させる（例えば、プロビジョニングロック解除され、除去される）（例えば、情報を第２のデバイスに送信することによって）。例えば、第２のデバイスは、第２のデバイスの表示された表現に対応する選択を受信したことに応じて又それに従って、それぞれの支払い口座と関連付けられる。一部の実施形態に従って、時間条件が満たされたとの判定に従って、電子デバイスはまた、取引口座を第１のデバイスと関連付けさせる（例えば、プロビジョニングされ、プロビジョニングを有効にする）（例えば、情報を第１のデバイスに送信することによって）。一部の実施例では、第１のデバイスは、電子デバイスである。一部の実施例では、第２のデバイスは、電子デバイスである。よって、一部の実施例では、電子デバイスは、口座を第２のデバイスから第１のデバイスに再度自動的に移動させる。よって、電子デバイスによって、ユーザは、特定の期間の間に取引口座を使用のために利用可能とさせることが可能になる。これは特に、例えば、ユーザが、家族のメンバが日、週、月、又は他の決定された期間であるが、それよりも長くない期間の間に取引口座へのアクセスを有することを望む場合に有用である。一部の実施例では、取引口座を第２のデバイスと関連付けさせる（例えば、プロビジョニングし、プロビジョニングを有効にする）（例えば、情報を第２のデバイスに送信することによって）ことは、最大の期間の間に取引口座を第２のデバイスと関連付けられるように制限することを含む。
【０５５３】
一部の実施例では、取引口座をデバイスと関連付けさせるために情報をデバイスに送信することは、口座情報（ＰＡＮ、口座番号など）をデバイスに送信する（例えば、デバイスのセキュア要素への記憶のために）ことを含む。一部の実施例では、取引口座をデバイスから関連付けロック解除させるために情報をデバイスに送信することは、デバイスからの関連付けロック解除のために取引口座を識別する命令（例えば、ＰＡＮ、口座番号などの口座情報をデバイスのセキュア要素から除去する命令）を送信することを含む。
【０５５４】
一部の実施形態に従って、電子デバイスは、取引口座を複数のデバイスのうちの２つ以上のデバイスにおいて使用のために利用可能とする口座として指定するユーザ入力を受信する。一部の実施例では、取引口座は、２つ以上のデバイスにおいて取引での使用のために利用可能とするように指定されるが、図１９Ａ〜１９Ｈに関連して説明されるように、取引口座の認証情報は、２つ以上のデバイスのうちの１つのみに一度に記憶される（例えば、ストアドバリュー口座である取引口座の制限として）。よって、一部の実施例では、電子デバイスは、ユーザが、取引口座が電子デバイスにおいて使用のために利用可能とされると指定したときに取引口座の認証情報を要求する。
【０５５５】
方法１８００（例えば、図１８）に関して上記説明されたプロセスの詳細はまた、以下に説明される方法と同様の方式においても適用可能であることに留意されたい。例えば、方法８００、１０００、１２００、１４００、１６００、及び２０００は任意選択的に、方法１８００に関連して上記説明された種々の方法の特徴のうちの１つ又は複数を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明される資産をストアドバリュー口座に追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０５５６】
図１９Ａ〜１９Ｈは、一部の実施形態に係る、電子デバイス（例えば、１００）を使用して複数のデバイスのうちの１つ以上のデバイスにおいて使用のために利用可能な口座のための例示的なユーザインタフェースを示す。それらの図におけるユーザインタフェースは、図２０Ａ〜２０Ｂにおけるプロセスを含む、以下で説明されるプロセスを示すために使用される。
【０５５７】
一部の実施形態に従って、ストアドバリュー口座は、１つの電子デバイスのみに（例えば、セキュア要素に）一度に記憶されてもよい。一部の実施例では、ユーザは、どの電子デバイスがストアドバリュー口座へのアクセスを有するべきかを指定する。次いで、電子デバイスは、必要があるときにユーザによって指定される種々のデバイスの間でストアドバリュー口座を移動させることを調整する。例えば、ストアドバリュー口座がユーザのスマートウォッチに記憶され、かつユーザがストアドバリュー口座を使用して取引（例えば、ＮＦＣ取引など）に参加するためにスマートフォンを使用することを試みるとき、スマートフォン及びスマートウォッチは、ストアドバリュー口座をスマートウォッチからスマートフォンに転送するために通信する（例えば、Ｂｌｕｅｔｏｏｔｈ（登録商標）を介して、ＮＦＣを介して）。結果として、ユーザは、ユーザがストアドバリュー口座を使用して取引に参加するためにそのデバイスを使用することを望むときにストアドバリュー口座が特定のデバイスに移動されることをユーザが手動で要求する必要なく、種々のデバイスを使用してストアドバリュー口座を使用することが可能である。
【０５５８】
図１９Ａ〜１９Ｂは、一部の実施形態に係る、電子デバイス１００のディスプレイ上で表示されるストアドバリュー口座（又は、より一般的には口座）の表現を示す。一部の実施形態では、ストアドバリュー口座は、支払い口座である。一部の実施例では、支払い口座は、リボルビングクレジット口座又はデビット口座に対応する。一部の実施形態では、ストアドバリュー口座は、トランジット口座である。一部の実施例では、トランジット口座は、トランジットプラン（又はトランジットパス）情報を記憶する。一部の実施例では、トランジットプランは、月次又は週次のトランジットプランである。一部の実施例では、ストアドバリュー口座の資産は、バイナリコードデータの形式で電子デバイス１００に物理的に記憶される。一部の実施例では、ストアドバリュー口座は、閉ループストアドバリュー口座である。一部の実施例では、ストアドバリュー口座は、電子マネーを記憶する。一部の実施形態では、図１９Ａに示されるように、ストアドバリュー口座の表現は、ストアドバリュー口座のグラフィカル描写（例えば、１９４２Ａ）を含む。ストアドバリュー口座のグラフィカル描写（例えば、１９４２Ａ）によって、ユーザは、ストアドバリュー口座を電子デバイス１００上でプロビジョニングされた異なる口座から区別することが可能になる。一部の実施形態では、ストアドバリュー口座の表現は、ストアドバリュー口座の利用可能なクレジット（例えば、利用可能な資産）のインジケーション（例えば、１９４２Ｂ）を含む。
【０５５９】
一部の実施形態では、ストアドバリュー口座の表現は、複数の選択可能アフォーダンス（例えば、１９４０Ａ、１９４０Ｂ、１９４０Ｃ）を含むメニュー（例えば、１９４０）を含む。一部の実施例では、メニュー（例えば、１９４０）は、情報アフォーダンス（例えば、１９４０Ａ）を含む。一部の実施例では、メニュー（例えば、１９４０）は、取引アフォーダンス（例えば、１９４０Ｂ）を含む。一部の実施例では、メニュー（例えば、１９４０）は、デバイスアフォーダンス（例えば、１９４０Ｃ）を含む。一部の実施形態では（例えば、図１９Ａに示されるように、情報アフォーダンス（例えば、１９４０Ａ）のユーザ選択に応じて）、ストアドバリュー口座の表現は、アクティブ化されるとき、図１１Ｃ〜１１Ｇに関連して説明されたユーザインタフェースを表示させるアクティブ化可能な追加−価値オプション（例えば、１９４６Ｂ）を表示する。よって、一部の実施例では、電子デバイス１００は、ユーザに、価値をストアドバリュー口座に追加し、又はストアドバリュー口座を別のデバイスに／から移動させるオプションを提供するユーザインタフェースを提示する。一部の実施形態では（例えば、図１９Ａに示されるように、情報アフォーダンス（例えば、１９４０Ａ）のユーザ選択に応じて）、ストアドバリュー口座の表現は、転送−口座オプション（例えば、１９４６Ｂ）を表示する。よって、一部の実施例では、電子デバイス１００は、図１７Ｃ〜１７Ｈに関連して説明されるように、ユーザに、口座を１つのデバイスから別のデバイスに移動させるオプションを提供する。
【０５６０】
一部の実施形態では（例えば、図１９Ａに示されるように、情報アフォーダンス（例えば、１９４０Ａ）のユーザ選択に応じて）、ストアドバリュー口座の表現は、ストアドバリュー口座が現在存在するデバイスのインジケーション（例えば、１９４４）、複数のデバイス（例えば、ユーザ口座と関連付けられた）のうちの１つ以上のデバイスのインジケーション（例えば、１９４４）、ストアドバリュー口座の機能及び／又はデータ（例えば、現在の残高、トランジットパス情報）、通知を有効又は無効にするための選択アフォーダンス（例えば、１９４８Ａ）、図１５Ａ〜１５Ｍに関連して説明されるように、認証をチェックすることなくストアドバリュー口座を使用のために利用可能とすることを有効又は無効にするための選択アフォーダンス（例えば、１９４８Ｂ）、並びにストアドバリュー口座を２つ以上のデバイス（例えば、ユーザ口座と関連付けられた）において行われる取引に対する使用のために利用可能とするように指定し、又は指定しないための選択アフォーダンス（例えば、１９４８Ｃ）を表示するが、ストアドバリュー口座の支払い認証情報は、２つ以上のデバイスのうちの１つのみに一度に記憶される（例えば、ストアドバリュー口座であるストアドバリュー口座の制限）。
【０５６１】
一部の実施形態では、電子デバイス１００は、ストアドバリュー口座と関連付けられた取引に関する通知を受信し、又は受信しない（例えば、選択アフォーダンス１９４８Ａに関して示されるように、選択アフォーダンスを「オン」又は「オフ」の位置に移動させることによって）要望を示すユーザ入力を受信する。一部の実施形態では、電子デバイス１００は、図１５Ａ〜１５Ｍに関連して説明されるように、認証をチェックすることなくストアドバリュー口座を使用のために利用可能とする（例えば、選択アフォーダンス１９４８Ｂに関して示されるように、選択アフォーダンスを「オフ」の位置に移動させることによって）要望を示すユーザ入力を受信する。よって、電子デバイス１００は、ユーザに、ストアドバリュー口座をエクスプレストランジット口座として指定し、又は指定しない（例えば、選択アフォーダンス１９４８Ｂを使用して）オプションを提供し、それによって認証を必要とすることなく資産が特定の取引において送信される。一部の実施形態では、ストアドバリュー口座がエクスプレストランジット口座として指定されるとき（例えば、選択アフォーダンス１９４８Ｂを「オン」の位置に移動させることによって）、電子デバイス１００は、ストアドバリュー口座へのより高速なアクセスを提供する。一部の実施形態では、ストアドバリュー口座がエクスプレストランジット口座として指定されないとき（例えば、選択アフォーダンス１９４８Ｂを「オフ」の位置に移動させることによって）、電子デバイス１００は、電子デバイス上でプロビジョニングされた口座のための追加のセキュリティを提供する。一部の実施形態では、電子デバイス１００は、ストアドバリュー口座を、複数のデバイス（例えば、ユーザ口座と関連付けられた）のうちの２つ以上のデバイスにおいて使用のために利用可能とするように指定する（例えば、選択アフォーダンス１９４８Ｃに関して示されるように、選択アフォーダンスを「オン」又は「オフ」の位置に移動させることによって）ユーザ入力を受信する。一部の実施例では、ストアドバリュー口座は、２つ以上のデバイス（例えば、ユーザ口座と関連付けられた）において行われる取引に対する使用のために利用可能とするように指定されるが、ストアドバリュー口座の認証情報は、図１９Ａ〜１９Ｈに関連して説明されるように、２つ以上のデバイスのうちの１つのみに一度に記憶される（例えば、ストアドバリュー口座であるストアドバリュー口座の制限）。よって、一部の実施例では、電子デバイス１００は、ユーザが電子デバイスにおいてストアドバリュー口座を利用可能とするように指定したときにストアドバリュー口座の認証情報を要求する。
【０５６２】
一部の実施形態では、図１９Ｂに示されるように、電子デバイス１００は、メニュー（１９４０）からのデバイスアフォーダンス（例えば、１９４０Ｃ）の選択を受信する（例えば、ユーザから）。デバイスアフォーダンス（例えば、１９４０Ｃ）の選択を検出したことに応じて、電子デバイス１００は、一部の実施形態に従って、図１９Ｃ〜１９Ｅに示される、１つ以上の利用可能なデバイスを支払いに利用可能であるとして指定するためのユーザインタフェースを提示する。
【０５６３】
図１９Ｃに示されるように、一部の実施形態では、メニュー（例えば、１９４０）からのデバイスアフォーダンス（例えば、１９４０Ｃ）の選択を受信したことに応じて、電子デバイス１００は、電子デバイスのディスプレイ上で、１つ以上の利用可能なデバイスの選択可能表現（例えば、１９８０Ａ、１９８０Ｂ、１９８０Ｃ）のリストを表示する。図１９Ｃの例示的な実施形態では、電子デバイスは、３つの利用可能なデバイスの選択可能表現（例えば、１９８０Ａ、１９８０Ｂ、１９８０Ｃ）のリストを表示する。第１の表現（例えば、１９８０Ａ）は、ユーザの電話の表現であり、第２の表現は、ユーザの時計の表現（例えば、１９８０Ｂ）であり、第３の表現は、ユーザのタブレットの表現（例えば、１９８０Ｃ）である。一部の実施形態では、１つ以上の利用可能なデバイスは、ユーザ口座と関連付けられた（例えば、ユーザ口座で使用するように構成された）デバイスである。一部の実施形態では、１つ以上の利用可能なデバイスは、ユーザの家族のメンバの口座など、ユーザ口座と関連付けられた他の口座のデバイスを含む。一部の実施形態では、ユーザがメニュー（例えば、１９４０）（図１９Ｂに示されるように）からデバイスアフォーダンス（例えば、１９４０Ｃ）を選択したことに応じて、電子デバイス１００は、ストアドバリュー口座のグラフィカル描写（例えば、１９４２Ａ）及びストアドバリュー口座の利用可能なクレジットのインジケーション（例えば、１９４２Ｂ）を表示する（又は表示することを続ける）。
【０５６４】
一部の実施形態では、図１９Ｃに示されるように、電子デバイス１００は、１つ以上の利用可能なデバイスが既に支払いに利用可能であるとして指定されていることを提示する。この実施形態では、電子デバイス１００は、時計の表現（例えば、１９８０Ｂ）が選択され、電話の表現（例えば、１９８０Ａ）及びタブレットの表現（例えば、１９８０Ｃ）が選択されないことを提示する（例えば、ディスプレイ上で表示する）。よって、この実施形態では、３つの利用可能なデバイス（電話、時計、及びタブレット）の時計のみが１９４２Ａによって表されるストアドバリュー口座を使用して支払いに現在利用可能である。一部の実施例では、１９４２Ａによって表されるストアドバリュー口座を使用して支払いに利用可能とされるデバイスはない。例えば、ユーザは、全ての利用可能なデバイスの表現を選択ロック解除することができる。一部の実施例では、１つのデバイスが支払いに利用可能とされる（図１９Ｃに示されるように）。一部の実施例では、１つよりも多いデバイスが１９４２Ａによって表されるストアドバリュー口座を使用して支払いに利用可能とされる。例えば、図１９Ｄに示される実施形態では、ユーザは、電話の表現（例えば、１９８０Ａ）を選択する。よって、３つの利用可能なデバイスのうちの２つのデバイス、電話及び時計は、１９４２Ａによって表されるストアドバリュー口座を使用して現在支払いに利用可能である。図１９Ｅに示されるように、電子デバイス１００は、ユーザに、電話の表現（例えば、１９８０Ａ）及び時計の表現（例えば、１９８０Ｂ）が現在選択され、１９４２Ａによって表されるストアドバリュー口座を使用して支払いに利用可能であることを提示する。
【０５６５】
図１９Ｃ〜１９Ｅに関連して説明されるように、一部の実施形態では、ユーザ利用可能なデバイスのうちの２つのデバイス（例えば、ユーザの電話及び時計）は、支払いに利用可能とされてもよい。一部の実施形態では、利用可能なデバイスは、電子デバイス１００を含む。この例示的な実施形態では、電子デバイス１００は、電話であり、第２のデバイスは、スマートウォッチである。他の例示的な実施形態では、電子デバイス１００は、スマートウォッチであってもよく、第２のデバイスは、電話であってもよい。他の例示的な実施形態では、電子デバイス１００は、電話であってもよく、第２のデバイスは、異なる電話であってもよい。他の例示的な実施形態では、デバイスの組み合わせは、図１９Ｃ〜１９Ｅに関連して説明されるように、ユーザによって支払いに利用可能とされるいずれかの利用可能なデバイスを含むことができる。
【０５６６】
電子デバイス１００（例えば、電話）は、ストアドバリュー口座を使用して支払いを行うための１つ以上の支払い基準のセットが満たされたことを検出する。一部の実施形態では、図１９Ｆに示されるように、１つ以上の支払い基準のセットの第１の支払い基準は、電子デバイスが支払いについての要求を受信する（例えば、ＮＦＣ無線機などの１つ以上の短距離通信無線機を介して）ときに満たされる。一部の実施例では、支払い要求は、ストアドバリュー口座を使用した支払いについての要求を含む。一部の実施例では、支払い要求は、電子デバイスにおいて利用可能な支払い認証情報が存在しないときに受信される。一部の実施例では、支払い要求は、図１９Ｆに示されるように、非接触取引端末から、例えば、トランジットシステムの入口（又は出口）ポイント（例えば、ターンスタイル）の非接触取引端末から受信される。
【０５６７】
一部の実施形態では、１つ以上の支払い基準のセットの第２の支払い基準は、電子デバイス１００が、１つ以上の短距離通信無線機（例えば、ＮＦＣ無線機）を使用して、場（例えば、非接触取引端末のＮＦＣ場など）を検出するときに満たされる。一部の実施例では、場は、支払いが要求されるであろうことを示す。一部の実施例では、場は、支払いが要求されることを示す。一部の実施例では、場は、支払いが特定のタイプの口座（例えば、ストアドバリュー口座のタイプと同一のタイプ）で要求されることを示す。一部の実施例では、場は、非接触取引端末（例えば、ＮＦＣ対応非接触取引端末）によって生成される。よって、一部の実施例では、電子デバイス１００は、電子デバイスが、支払が要求されるであろうことを予想するときに支払い認証情報を要求する。
【０５６８】
一部の実施形態では、１つ以上の支払い基準のセットの第３の支払い基準は、電子デバイス１００が、支払いが要求されるであろうことを示すコンテキストを検出するときに満たされる。一部の実施例では、コンテキストを検出することは、位置センサ（例えば、ＧＰＳセンサ）を使用して、電子デバイス１００が予め定められた位置（例えば、トランジット駅）にあることを検出することを含む。一部の実施例では、コンテキストを検出することは、電子デバイス１００が現在位置において前に支払いに使用された（例えば、ストアドバリュー口座を使用して）ことを検出することを含む。よって、一部の実施例では、電子デバイス１００は、電子デバイスが、支払が要求されるであろうことを予想するときに支払い認証情報を要求する。
【０５６９】
一部の実施形態では、１つ以上の支払い基準のセットの第４の支払い基準は、電子デバイス１００が、ストアドバリュー口座に対応するオプション（例えば、アフォーダンス）のアクティブ化を検出するときに満たされる。例えば、電子デバイス１００は、電子デバイスがロック状態にある間に、電子デバイスのロックスクリーン上でストアドバリュー口座に対応するアフォーダンスのアクティブ化を検出する。よって、一部の実施例では、電子デバイスは、ユーザ要求に基づいて支払い認証情報を要求する。
【０５７０】
一部の実施形態では、１つ以上の支払い基準のセットの第５の支払い基準は、図１９Ｅに示されるように、電子デバイス１００が、ストアドバリュー口座が電子デバイス（及び任意選択的に、第２のデバイス）において利用可能とするように指定されていると判定するときに満たされる。一部の実施例では、ストアドバリュー口座は、電子デバイス１００及び第２のデバイスの両方において取引での使用のために利用可能とするように指定されるが、ストアドバリュー口座の支払い認証情報は、１つのデバイスのみに一度に記憶される（例えば、ストアドバリュー口座の制限として）。
【０５７１】
一部の実施形態では、ストアドバリュー口座は、第１のタイプの口座であり、１つ以上の支払い基準のセットの第６の支払い基準は、電子デバイス１００が、第１のタイプの口座を使用した支払いについての要求を受信する（例えば、非接触取引端末から）ときに満たされる。一部の実施例では、第６の支払い基準は、要求が口座のタイプを使用した支払いについての要求を含むときに満たされ、ストアドバリュー口座は、要求されるタイプの口座である。例えば、電子デバイス１００は、特定のプライベートラベル口座で支払いについての要求を受信し、ストアドバリュー口座は、その特定のプライベートラベルの支払い口座である。
【０５７２】
ストアドバリュー口座を使用して支払いを行うための１つ以上の支払い基準のセットが満たされたことを検出したことに応じて（例えば、図１９Ｆに示されるように、電子デバイス１００は、１つ以上の短距離通信無線機を介して、支払いについての要求を非接触取引端末から受信する）、かつストアドバリュー口座の支払い認証情報が電子デバイス１００（例えば、電話）の電子ウォレットアプリケーションで利用可能でないとの判定に従って、任意選択的に、ストアドバリュー口座の支払い認証情報が第２のデバイス（例えば、スマートウォッチ）において利用可能であるとの判定に従って、電子デバイス（例えば、電話）は、電子デバイスとは異なる第２のデバイス（例えば、スマートウォッチ）からのストアドバリュー口座の支払い認証情報を要求する。一部の実施形態では、第２のデバイス（例えば、スマートウォッチ）からのストアドバリュー口座の支払い認証情報を要求することは、要求を第２のデバイスに送信することを含み、要求は、電子デバイスへの認証情報の転送について要求されているストアドバリューを識別する。
【０５７３】
第２のデバイス（例えば、スマートウォッチ）からのストアドバリュー口座の支払い認証情報を要求したことに続いて（及び／又はそれに応じて）、ストアドバリュー口座の支払い認証情報が第２のデバイスにおいて利用可能であるとき（例えば、その判定に従って）、電子デバイス１００は、ストアドバリュー口座の支払い認証情報を電子デバイスにおいて第２のデバイスから受信する。一部の実施形態では、ストアドバリュー口座の支払い認証情報は、短距離無線ネットワークを通じてデバイスツーデバイス（電子デバイスから第２のデバイスへの）通信を使用して、電子デバイスにおいて第２のデバイス（例えば、１９８０Ｂに対応する時計などの電子デバイス）から受信される。一部の実施例では、支払い認証情報は、ローカルＷｉＦｉネットワーク、ピアツーピアＷｉＦｉネットワーク、Ｂｌｕｅｔｏｏｔｈ（登録商標）接続、ＮＦＣ接続、又は短距離無線ネットワークを介して受信される。よって、一部の実施例では、電子デバイス１００及び第２のデバイスは、通信のために別個のサーバに依存する必要がない。
【０５７４】
一部の実施形態では、電子デバイス１００は、ストアドバリュー口座の支払い認証情報を第２のデバイスから受信するために第１の通信プロトコル（例えば、Ｂｌｕｅｔｏｏｔｈ（登録商標）プロトコル）を使用し、取引端末（例えば、非接触支払い端末、非接触取引端末）への支払いを行う（資産をストアドバリュー口座から転送し、資産を送信する）ために第１の通信プロトコルとは異なる第２の通信プロトコル（例えば、ＮＦＣプロトコル）を使用する。よって、一部の実施例では、電子デバイス１００及び第２のデバイスは、それぞれの行動を実行することに特有な（又は有利な若しくは最適化された）プロトコルを使用する。
【０５７５】
一部の実施形態では、電子デバイス１００は、ストアドバリュー口座の支払い認証情報を第２のデバイスから受信するために電子デバイスの１つ以上の無線機の第１のセット（例えば、Ｂｌｕｅｔｏｏｔｈ（登録商標）無線機）を使用し、取引端末（例えば、非接触支払い端末、非接触取引端末）への支払いを行う（例えば、資産をストアドバリュー口座から転送し、資産を送信する）ために、１つ以上の無線機の第１のセットとは子なる、１つ以上の無線機の第２のセット（例えば、ＮＦＣ無線機、１つ以上の短距離通信無線機）を使用する。よって、一部の実施例では、電子デバイス１００及び第２のデバイスは、それぞれの行動を実行することに特有な（又は有利な若しくは最適化された）種々のハードウェアを使用する。
【０５７６】
一部の実施形態では、ストアドバリュー口座の支払い認証情報を電子デバイス１００（例えば、電話）において第２のデバイス（例えば、スマートウォッチ）から受信したことに続いて、電子デバイス１００は、支払い認証情報を電子デバイス１００のセキュア要素に記憶する。
【０５７７】
一部の実施形態では、ストアドバリュー口座の支払い認証情報を電子デバイス１００（例えば、電話）において第２のデバイス（例えば、スマートウォッチ）から受信したことに続いて、電子デバイス１００は、ストアドバリュー口座の支払い認証情報を使用して支払いを行うための認証（例えば、生体認証、指紋認証、暗証番号認証）を要求するインジケーションを提示する（例えば、電子デバイスのディスプレイ上で通知を表示し、電子デバイスのスピーカにおいて音声を再生し、電子デバイスにおいて触覚振動を生じさせる）。一部の実施形態では、電子デバイス１００（例えば、電話）は、認証情報を受信する（例えば、指紋を検出し、暗証番号の入力を検出する）（例えば、認証についての要求に応じて）。一部の実施形態では、認証情報が取引を承認するために有効とされる登録された認証情報と一致するとの判定に従って、電子デバイス１００（例えば、電話）は、支払いを行うために資産（例えば、ストアドバリュー口座に記憶された資産の一部）をストアドバリュー口座から取引端末（例えば、非接触支払い端末、非接触取引端末）に転送する（例えば、ＮＦＣ無線機などの１つ以上の短距離通信無線機を使用して）。例えば、電子デバイス１００は、ストアドバリュー口座の支払い認証情報を使用して資産を取引端末に転送（又は送信）する。一部の実施例では、電子デバイス１００（例えば、電話）は、資産を取引端末に転送することによって支払いを行う。一部の実施例では、認証情報が取引を承認するために有効とされる登録された認証情報と一致しないとの判定に従って、電子デバイス１００（例えば、電話）は、ストアドバリュー口座の資産を取引端末（例えば、支払い端末、非接触支払い端末）に転送することを見合わせる。よって、電子デバイス１００は、認証を通じた追加的なセキュリティを提供する。
【０５７８】
一部の実施形態では、電子デバイス１００がストアドバリュー口座の支払い認証情報を第２のデバイスから受信したことに続いてなど、ストアドバリュー口座の支払い認証情報は、電子デバイス１００（例えば、電話）上で既に利用可能である。よって、一部の実施形態では、ストアドバリュー口座の支払い認証情報が電子デバイス上で既に利用可能であるので、電子デバイス１００は、支払いを行うために第２のデバイス（例えば、スマートウォッチ）からのストアドバリュー口座の支払い認証情報を要求する必要がない。例えば、一部の実施形態では、図１９Ｈに示されるように、電子デバイス１００は、ストアドバリュー口座の支払い認証情報（グラフィカル描写１９４２Ａによって表される）の支払い認証情報が電子デバイス（例えば、電話）上にある（例えば、その電子ウォレットアプリケーション上にある）ことのインジケーション（例えば、１９４４）を提示する。一部の実施形態では、ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能であるとの判定に従って（例えば、図１９Ｈに関連して説明される実施形態の場合と同様に）、電子デバイス１００は、電子デバイスの電子ウォレットアプリケーション上にあるストアドバリュー口座の支払い認証情報を使用して支払いを進め又は進める準備をする。一部の実施例では、ストアドバリュー口座を使用して支払いを進めることは、資産をストアドバリュー口座から取引端末（例えば、非接触支払い端末）に転送する（例えば、電子デバイスのセキュア要素に記憶されたストアドバリュー口座の支払い認証情報を使用して）ことを含む。一部の実施例では、ストアドバリュー口座の支払い認証情報が電子デバイス１００の電子ウォレットアプリケーションの一部として利用可能であるので、電子デバイスは、図１９Ｈに示される例示的な実施形態の場合と同様に、第２のデバイス（例えば、スマートウォッチ）からのストアドバリュー口座の支払い認証情報を要求することを見合わせる。
【０５７９】
一部の実施形態では、ストアドバリュー口座の支払い認証情報を電子デバイス１００（例えば、電話）において第２のデバイス（例えば、スマートウォッチ）から受信したことに続いて、電子デバイス１００は、図１９Ｇによって示されるように、支払いを行うために資産（例えば、ストアドバリュー口座に記憶された資産の一部）をストアドバリュー口座から取引端末（例えば、非接触取引端末、非接触支払い端末）に転送する（例えば、ＮＦＣ無線機などの１つ以上の短距離通信無線機を使用して）。例えば、資産を取引端末に転送（又は送信）することは、一部の実施例では、電子デバイスのセキュア要素に記憶されたストアドバリュー口座の支払い認証情報を使用する。一部の実施形態では、資産をストアドバリュー口座から取引端末に転送したことに応じて、電子デバイス１００は、ストアドバリュー口座の支払い認証情報を電子デバイス１００（例えば、電話）から第２のデバイス（例えば、スマートウォッチ）に再度送信（又は転送）する。一部の実施例では、ストアドバリュー口座の支払い認証情報を電子デバイス１００（例えば、電話）から第２のデバイス（例えば、スマートウォッチ）に送信（又は転送）することによって、支払い認証情報が、電子デバイスのセキュア要素に記憶されなくなるなど、電子デバイスにおいて利用可能とされなくなる（例えば、除去又は非アクティブ化される）。よって、一部の実施例では、電子デバイス１００（例えば、電話）は、電子デバイスが支払いのためにストアドバリュー口座を使用した後、ストアドバリュー口座の支払い認証情報を第２のデバイス（例えば、スマートウォッチ）に再度移動させ、それによって、第２のデバイスは、後続の支払い取引の支払い認証情報を使用することが可能になる。
【０５８０】
一部の実施形態では、ストアドバリュー口座の支払い認証情報を電子デバイス１００（例えば、電話）において第２のデバイス（例えば、スマートウォッチ）から受信したことに続いて、電子デバイス１００は、支払いを行うために資産（例えば、ストアドバリュー口座に記憶された資産の一部）をストアドバリュー口座から取引端末（例えば、非接触支払い端末、非接触取引端末）に転送する（例えば、ＮＦＣ無線機などの１つ以上の短距離通信無線機を使用して）。例えば、資産を取引端末に転送（又は送信）することは、ストアドバリュー口座の支払い認証情報を使用する。よって、例えば、電子デバイスは、資産を取引端末に転送することによって支払いを行う。一部の実施形態では、資産をストアドバリュー口座から取引端末に転送したことに応じて、電子デバイス１００は、ストアドバリュー口座の支払い認証情報を電子デバイス（例えば、電話）から第２のデバイス（例えば、スマートウォッチ）に送信することを見合わせる（又は転送することを見合わせる）。よって、一部の実施例では、電子デバイス１００は、ストアドバリュー口座の支払い認証情報を保持し、それによって、支払い認証情報を要求又は受信する必要なく、ストアドバリュー口座の支払い認証情報を使用して後の支払いを行うことができる。
【０５８１】
一部の実施形態では、ストアドバリュー口座の支払い認証情報を電子デバイス１００（例えば、電話）において第２のデバイス（例えば、スマートウォッチ）から受信したことに続いて、電子デバイス１００は、第２のデバイスから、ストアドバリュー口座の支払い認証情報についての要求を受信する。一部の実施形態では、ストアドバリュー口座の支払い認証情報の要求を受信したことに応じて、電子デバイス１００は、ストアドバリュー口座の支払い認証情報を電子デバイス（例えば、電話）から第２のデバイス（例えば、スマートウォッチ）に送信（又は転送）し、それによって、第２のデバイスは、支払い認証情報を第２のデバイスのセキュア要素に記憶する。一部の実施例では、ストアドバリュー口座の支払い認証情報を電子デバイス１００（例えば、電話）から第２のデバイス（例えば、スマートウォッチ）に送信（又は転送）することによって、ストアドバリュー口座の支払い認証情報が、例えば、ストアドバリュー口座を電子デバイスから関連付けロック解除させることによって、電子デバイスにおいて利用可能でなくさせる（例えば、除去又は非アクティブ化される）。
【０５８２】
一部の実施形態では、ストアドバリュー口座の支払い認証情報を電子デバイス１００（例えば、電話）において第２のデバイス（例えば、スマートウォッチ）から受信したことに続いて、電子デバイス１００は、予め定められたスケジュールイベント条件（例えば、週のある日、月のある日、日のある時間、日付、時刻、間隔）が満たされるかを判定する。一部の実施形態では、予め定められたスケジュールイベント条件が満たされているとの判定に従って、電子デバイス１００は、ストアドバリュー口座の支払い認証情報を電子デバイス（例えば、電話）から第２のデバイス（例えば、スマートウォッチ）に送信（又は転送）する。一部の実施例では、ストアドバリュー口座の支払い認証情報を電子デバイス１００（例えば、電話）から第２のデバイス（例えば、スマートウォッチ）に送信（又は転送）することによって、支払い認証情報が、電子デバイスのセキュア要素に記憶されなくなるなど、電子デバイスにおいて利用可能でなくなる（例えば、除去又は非アクティブ化される）。よって、電子デバイス１００は、例えば、スケジュールに合わせて支払い認証情報を第２のデバイスに再度送信する。一部の実施例では、予め定められたスケジュールイベント条件が満たされないとの判定に従って、ストアドバリュー口座のための支払い認証情報は、電子デバイスから第２のデバイスに送信（又は転送）されない。
【０５８３】
一部の実施形態では、ストアドバリュー口座の支払い認証情報は、電子デバイス１００において利用可能でなく、電子デバイスとは異なるデバイスから受信されない（又は受信することができない）。例えば、ストアドバリュー口座の支払い認証情報は、第２のデバイス（例えば、スマートウォッチ）において利用可能でない。別の実施例について、ストアドバリュー口座の支払い認証情報は、タイムアウト条件が満たされた後になって初めて（例えば、予め定められた時間が経過した後）第２のデバイスから受信される。よって、一部の実施形態では、ストアドバリュー口座を使用して支払いを行うための１つ以上の支払い基準のセットが満たされたことを検出したことに応じて、かつストアドバリュー口座の支払い認証情報が電子デバイス１００の電子ウォレットアプリケーションにおいて利用可能でないとの判定に従って、更にストアドバリュー口座の支払い認証情報を受信しない（例えば、予め定められた時間内に）ことに従って、電子デバイス１００は、ストアドバリュー口座を使用して（例えば、ストアドバリュー口座の支払い認証情報を使用して）支払いを進めることを見合わせる（又は進める準備を見合わせる）。更に、一部の実施形態では、電子デバイス１００は、ユーザに、ストアドバリュー口座が支払いを行うために使用のために利用可能でないことを示す通知を提示する（例えば、電子デバイスのディスプレイ上で表示し、電子デバイスのスピーカを介して音声を再生し、電子デバイスにおいて触覚振動を生じさせる）。よって、一部の実施例では、電子デバイス１００は、ユーザに、ストアドバリュー口座が電子デバイス及び第２のデバイスの両方において利用可能であるか否か、又はストアドバリュー口座の支払い認証情報が時宜を得て受信されるか否かを通知する。
【０５８４】
図２０Ａ〜２０Ｂは、一部の実施形態に係る、複数のデバイスのうちの１つ以上のデバイスにおいて使用のために利用可能である口座を管理する方法を示すフローチャートである。方法２０００は、電子ウォレットアプリケーション並びに任意選択的に、１つ以上の無線機（例えば、短距離無線機及び非短距離無線機）を有するデバイス（例えば、１００、３００、５００）において実行される。方法２０００におけるいくつかの動作は任意選択的に組み合わされ、いくつかの動作の順序は任意選択的に変更され、いくつかの動作は任意選択的に省略される。
【０５８５】
以下で説明されるように、方法２０００は、取引を管理する直感的な方法を提供する。方法は、取引を管理するユーザの認識的負担を低減し、それによって、より効率的なヒューマンマシンインタフェースを生成する。バッテリ動作式のコンピューティングデバイスの場合には、ユーザが取引をより高速かつより効率的に管理することを可能にすることにより、電力が節約され、バッテリ充電の間隔が増す。
【０５８６】
ブロック２００２において、電子デバイス（例えば、１００）は、ストアドバリュー口座（又はより一般的には口座）を使用して支払いを行うための１つ以上の支払い基準のセットが満たされたことを検出する。一部の実施例では、ストアドバリュー口座のための資産は、バイナリコードデータの形式で電子デバイス（例えば、１００）に物理的に記憶される。一部の実施例では、ストアドバリュー口座は、閉ループストアドバリュー口座である。
【０５８７】
一部の実施形態に従って、１つ以上の支払い基準のセットの第１の支払い基準は、電子デバイス（例えば、１００）が支払いについての要求（例えば、支払い端末１９９０から）を受信する（例えば、ＮＦＣ無線機などの１つ以上の短距離通信無線機を介して）ときに満たされる。一部の実施例では、支払い要求は、ストアドバリュー口座を使用した支払いについての要求を含む。一部の実施例では、支払い要求は、電子デバイス（例えば、１００）において利用可能な支払い認証情報が存在しないときに受信される。一部の実施例では、支払い要求は、非接触取引端末（例えば、１９９０）から受信される。
【０５８８】
一部の実施形態に従って、電子デバイス（例えば、１００）は、１つ以上の短距離通信無線機を含み、１つ以上の支払い基準のセットの第２の支払い基準は、電子デバイスが１つ以上の短距離通信無線機（例えば、ＮＦＣ無線機）を使用して場（例えば、非接触取引端末１９９０のＮＦＣ場など）を検出するときに満たされる。一部の実施例では、場は、支払いが要求されるであろうことを示す。一部の実施例では、場は、支払いが要求されることを示す。一部の実施例では、場は、支払いが特定のタイプの口座（例えば、ストアドバリュー口座のタイプと同一のタイプ）で要求されることを示す。一部の実施例では、場は、非接触取引端末（例えば、ＮＦＣ対応非接触取引端末１９９０）によって生成される。よって、一部の実施例では、電子デバイス（例えば、１００）は、電子デバイス（例えば、１００）が、支払が要求されるであろうことを予想するときに支払い認証情報を要求する。
【０５８９】
一部の実施形態に従って、１つ以上の支払い基準のセットの第３の支払い基準は、電子デバイスが、支払いが要求されるであろうことを示すコンテキストを検出するときに満たされる。一部の実施例では、コンテキストを検出することは、位置センサ（例えば、ＧＰＳセンサ）を使用して、デバイスが予め定められた位置（例えば、トランジット駅）にあることを検出することを含む。一部の実施例では、コンテキストを検出することは、１つ以上の無線信号（例えば、１つ以上のｉＢｅａｃｏｎｓ（商標）又は短距離通信位置／近接ビーコンなどの端末の近くに配置された１つ以上のビーコン）の検出を含む。一部の実施例では、コンテキストを検出することは、電子デバイスが現在位置において前に支払いに使用された（例えば、ストアドバリュー口座を使用して）ことを検出することを含む。よって、一部の実施例では、電子デバイスは、電子デバイスが、支払が要求されるであろうことを予想するときに支払い認証情報を要求する。
【０５９０】
一部の実施形態に従って、１つ以上の支払い基準のセットの第４の支払い基準は、電子デバイスが、ストアドバリュー口座に対応するオプション（例えば、アフォーダンス）のアクティブ化を検出するときに満たされる。例えば、電子デバイスは、電子デバイスがロック状態にある間に、電子デバイスのロックスクリーン上でストアドバリュー口座に対応するアフォーダンスのアクティブ化を検出する。よって、一部の実施例では、電子デバイスは、ユーザ要求に基づいて支払い認証情報を要求する。
【０５９１】
一部の実施形態に従って、１つ以上の支払い基準のセットの第５の支払い基準は、電子デバイスが、ストアドバリュー口座が電子デバイス（及び任意選択的に、第２のデバイス）において利用可能とするように指定されている（例えば、アフォーダンス１９８０Ａを介して）と判定するときに満たされる。一部の実施例では、ストアドバリュー口座は、電子デバイス（例えば、１００）及び第２のデバイス（例えば、アフォーダンス１９８０Ｂに対応する時計）の両方において取引での使用のために利用可能とするように指定されるが、ストアドバリュー口座の認証情報は、１つのデバイスのみに一度に記憶される（例えば、ストアドバリュー口座の制限として）。よって、一部の実施例では、電子デバイスは、ユーザが口座を電子デバイスにおいて利用可能とするように指定したときに取引口座の認証情報を要求する。
【０５９２】
一部の実施形態に従って、ストアドバリュー口座は、第１のタイプの口座であり、１つ以上の支払い基準のセットの第６の支払い基準は、電子デバイスが、第１のタイプの口座を使用した支払いについての要求を受信する（例えば、非接触取引端末１９９０から）ときに満たされる。一部の実施例では、第６の支払い基準は、要求が口座のタイプを使用した支払いについての要求を含むときに満たされ、ストアドバリュー口座は、要求されるタイプの口座である。例えば、電子デバイス（例えば、１００）は、特定のプライベートラベル口座で支払いについての要求を受信し、ストアドバリュー口座は、その特定のプライベートラベルの支払い口座である。
【０５９３】
ブロック２００４において、ストアドバリュー口座を使用して支払いを行うための１つ以上の支払い基準のセットが満たされたことを検出したことに応じて、ブロック２００６において、ストアドバリュー口座の支払い認証情報が電子デバイスの電子ウォレットアプリケーションにおいて利用可能でないとの判定（及び任意選択的に、ストアドバリュー口座の支払い認証情報が第２のデバイスにおいて利用可能であるとの判定）に従って、ブロック２００８において、電子デバイス（例えば、１００）は、電子デバイス（例えば、アフォーダンス１９８０Ａに対応する１００）とは異なる第２のデバイス（例えば、アフォーダンス１９８０Ｂに対応するスマートウォッチなどの第２の電子デバイス）からのストアドバリュー口座の支払い認証情報を要求する。よって、１つ以上の支払い基準のセットが満たされるときに支払い認証情報を要求することによって、電子デバイス（例えば、１００）は、電子デバイスが取引に参加する準備をし、それによって、必要とユーザ入力の数を低減し（例えば、ユーザがデバイスの間で移動されることになる支払い認証情報を手動で要求することと比較して）、デバイスに、支払い認証情報を使用して取引に参加する能力を提供することによってデバイスの操作性を高める。
【０５９４】
一部の実施形態に従って、ブロック２０１０において、第２のデバイス（例えば、スマートウォッチなどの第２の電子デバイス）からのストアドバリュー口座の支払い認証情報を要求することは、要求を第２のデバイスに送信することを含み、要求は、ストアドバリュー口座（例えば、ストアドバリュー口座の認証情報を電子デバイスに転送するために）を識別する。
【０５９５】
一部の実施形態に従って、ブロック２０１２において、ストアドバリュー口座を使用して支払いを行うための１つ以上の支払い基準のセットが満たされたことを検出したことに応じて、かつストアドバリュー口座の支払い認証情報が電子デバイス（例えば、１００）の電子ウォレットアプリケーショにおいて利用可能であるとの判定に従って、電子デバイスは、ストアドバリュー口座を使用して（例えば、ストアドバリュー口座の認証情報を使用して）支払いを進める（又は進める準備をする）。一部の実施例では、ストアドバリュー口座を使用して支払いを進めることは、資産（例えば、ストアドバリュー口座に記憶された資産の一部）をストアドバリュー口座から支払い端末（例えば、非接触支払い端末１９９０）に転送することを含む。一部の実施例では、ストアドバリュー口座の支払い認証情報が電子デバイス（例えば、１００）の電子ウォレットアプリケーションにおいて利用可能であるので、電子デバイス（例えば、１００）は、第２のデバイス（例えば、アフォーダンス１９８０Ｂに対応するスマートウォッチなどの第２の電子デバイス）からのストアドバリュー口座の支払い認証情報を要求することを見合わせる。
【０５９６】
一部の実施形態に従って、ストアドバリュー口座を使用して支払いを行うための１つ以上の支払い基準のセットが満たされたことを検出したことに応じて、かつストアドバリュー口座の支払い認証情報が電子デバイス（例えば、１００）の電子ウォレットアプリケーションにおいて利用可能でないとの判定に従って、更に、ストアドバリュー口座の支払い認証情報を受信しない（例えば、予め定められた時間内に）ことに従って（例えば、ストアドバリュー口座の支払い認証情報が第２のデバイスにおいて利用可能でないとき、ストアドバリュー口座の支払い認証情報が、タイムアウト条件が満たされた後になって初めて第２のデバイスから受信されるとき）、電子デバイス（例えば、１００）は、ストアドバリュー口座を使用して（例えば、ストアドバリュー口座の認証情報を使用して）支払いを進めることを見合わせ（又は支払いを進める準備を見合わせる）、ユーザに、ストアドバリュー口座が支払いでの（例えば、支払い取引での）の使用のために利用可能でないことを示す通知を提示する（例えば、ディスプレイ上で表示し、スピーカを介して音声を再生し、電子デバイスにおいて触覚振動を生じさせる）。よって、一部の実施例では、電子デバイス（例えば、１００）は、（１）ストアドバリュー口座が、電子デバイス及び第２のデバイスにおいて利用可能であるか否か、又は（２）ストアドバリュー口座の認証情報が時宜を得て受信されるかを検出し、ユーザに通知し、それによって、ユーザが取引に関して行動をとることを促す。
【０５９７】
ブロック２０１６において、ストアドバリュー口座の支払い認証情報が第２のデバイスにおいて利用可能であるときに（例えば、それに従って）第２のデバイスからのストアドバリュー口座の支払い認証情報を要求したことに続いて（又はそれに応じて）、ブロック２０１８において、電子デバイス（例えば、１００）は、ストアドバリュー口座の支払い認証情報を電子デバイス（例えば、電話）において第２のデバイス（例えば、スマートウォッチなどの第２の電子デバイス）から受信する。一部の実施例では、電子デバイスは、セキュア要素を含み、ストアドバリュー口座の支払い認証情報を電子デバイスにおいて受信したことに続いて、電子デバイスは、電子デバイスのセキュア要素に、ストアドバリュー口座の価値にアクセスするための情報を記憶する。一部の実施例では、支払い認証情報を受信するとき、価値／資産／データをストアドバリュー口座から取り出すための情報は、情報をセキュア要素から取り出す適切に処理された取引なしに価値／資産／データにアクセスすることができないことを保証するために電子デバイスのセキュア要素に記憶される。
【０５９８】
一部の実施形態に従って、ストアドバリュー口座の支払い認証情報は、短距離無線ネットワークを通じてデバイスツーデバイス（電子デバイスから第２のデバイスへなどの）通信を使用して、電子デバイス（例えば、１００、スマートフォン）において第２のデバイス（例えば、スマートウォッチなどの第２の電子デバイス）から受信される。一部の実施形態に従って、ストアドバリュー口座の支払い認証情報は、ローカルＷｉＦｉネットワーク、ピアツーピアＷｉＦｉネットワーク、Ｂｌｕｅｔｏｏｔｈ（登録商標）接続、ＮＦＣ接続、又は短距離無線ネットワークを使用して電子デバイスにおいて受信される。よって、一部の実施例では、電子デバイス及び第２のデバイスは、通信のために別個のサーバに依存しない。
【０５９９】
一部の実施形態に従って、ストアドバリュー口座の支払い認証情報を電子デバイス（例えば、電話）において第２のデバイス（例えば、スマートウォッチなどの第２の電子デバイス）から受信したことに続いて、電子デバイス（例えば、１００）は、支払いを行うために資産（例えば、ストアドバリュー口座に記憶された資産の一部）をストアドバリュー口座から取引端末（例えば、非接触取引端末、非接触支払い端末１９９０）に転送する（例えば、ＮＦＣ無線機などの１つ以上の短距離通信無線機を使用して）。例えば、資産を取引端末（例えば、１９９０）に転送（又は送信）することは、ストアドバリュー口座の支払い認証情報を使用する。例えば、電子デバイス（例えば、１００）は、資産を取引端末（例えば、１９９０）に転送することによって支払いを行う。一部の実施形態に従って、資産をストアドバリュー口座から取引端末に転送したことに応じて、電子デバイス（例えば、１００）は、ストアドバリュー口座の支払い認証情報を電子デバイスから第２のデバイスに再度送信（又は転送）する。一部の実施例では、ストアドバリュー口座の支払い認証情報を電子デバイス（例えば、１００）から第２のデバイスに送信（又は転送）することによって、支払い認証情報が電子デバイスにおいて利用可能でなくなる（例えば、除去又は非アクティブ化される）。よって、一部の実施例では、電子デバイス（例えば、１００）は、電子デバイスが支払いのためにストアドバリュー口座を使用した後、ストアドバリュー口座の支払い認証情報を第２のデバイスに再度移動させ、それによって、所望の場合、第２のデバイスが支払い認証情報を使用することが可能になる。一部の実施例では、資産をストアドバリュー口座から転送することは、情報（例えば、取引情報、支払い情報）を電子デバイスのセキュア要素から解放することを含む。
【０６００】
一部の実施形態に従って、ストアドバリュー口座の支払い認証情報を電子デバイス（例えば、１００、スマートフォン）において第２のデバイス（例えば、スマートウォッチなどの第２の電子デバイス）から受信したことに続いて、電子デバイス（例えば、１００）は、支払いを行うために資産（例えば、ストアドバリュー口座に記憶された資産の一部）をストアドバリュー口座から取引端末（例えば、１９９０、非接触支払い端末、非接触取引端末）に転送する（例えば、ＮＦＣ無線機などの１つ以上の短距離通信無線機を使用して）。例えば、資産を取引端末（例えば、１９９０）に転送（又は送信）することは、ストアドバリュー口座の支払い認証情報を使用する。別の実施例について、電子デバイス（例えば、１００）は、資産を取引端末（例えば、１９９０）に転送することによって支払いを行う。一部の実施形態に従って、資産をストアドバリュー口座から取引端末に転送したことに応じて、電子デバイスは、ストアドバリュー口座の支払い認証情報を電子デバイスから第２のデバイスに送信することを見合わせる（又は転送することを見合わせる）。よって、一部の実施例では、電子デバイス（例えば、１００）は、ストアドバリュー口座の支払い認証情報を保持し、それによって、認証情報を要求／受信する必要なく、ストアドバリュー口座の支払い認証情報を使用して後の支払いを行うことができる。
【０６０１】
一部の実施形態に従って、ストアドバリュー口座の支払い認証情報を電子デバイス（例えば、１００、電話）において第２のデバイス（例えば、スマートウォッチなどの第２の電子デバイス）から受信したことに続いて、ブロック２０２０において、電子デバイス（例えば、１００）は、第２のデバイスから、ストアドバリュー口座の支払い認証情報についての要求を受信し、ブロック２０２２において、ストアドバリュー口座の支払い認証情報の要求を受信したことに応じて、ブロック２０２４において、ストアドバリュー口座の支払い認証情報を電子デバイス（例えば、１００）から第２のデバイスに送信（又は転送）する。一部の実施例では、ストアドバリュー口座の支払い認証情報を電子デバイス（例えば、スマートウォッチ）から第２のデバイスに送信（又は転送）することによって、支払い認証情報が電子デバイスにおいて利用可能でなくなる（例えば、除去又は非アクティブ化される）。
【０６０２】
一部の実施形態に従って、ストアドバリュー口座の支払い認証情報を電子デバイス（例えば、１００、電話）において第２のデバイス（例えば、スマートウォッチなどの第２の電子デバイス）から受信したことに続いて、電子デバイス（例えば、１００）は、予め定められたスケジュールイベント条件（例えば、週のある日、月のある日、日のある時間、日付、時刻、間隔）が満たされるかを判定し、予め定められたスケジュールイベント条件が満たされているとの判定に従って、ストアドバリュー口座の支払い認証情報を電子デバイスから第２のデバイスに送信（又は転送）する。一部の実施例では、ストアドバリュー口座の支払い認証情報を電子デバイス（例えば、１００）から第２のデバイスに送信（又は転送）することによって、支払い認証情報が電子デバイスにおいて利用可能でなくなる（例えば、除去又は非アクティブ化される）。よって、電子デバイス（例えば、１００）は、スケジュールに合わせてなど、支払い認証情報を第２のデバイスに再度送信し、それによって、第２のデバイスは、第２のデバイスが支払い認証情報を要求することなく、支払い認証情報を使用して取引に参加することが可能になる。一部の実施例では、予め定められたスケジュールイベント条件が満たされないとの判定に従って、ストアドバリュー口座のための支払い認証情報は、電子デバイスから第２のデバイスに送信（又は転送）されない。
【０６０３】
一部の実施形態に従って、ストアドバリュー口座の支払い認証情報を電子デバイス（例えば、１００、電話）において第２のデバイス（例えば、スマートウォッチなどの第２の電子デバイス）から受信したことに続いて、電子デバイス（例えば、１００）は、ストアドバリュー口座の支払い認証情報を使用して支払いを行うための認証（例えば、生体認証、指紋認証、暗証番号認証）を要求するインジケーションを提示し（例えば、電子デバイスのディスプレイ上で通知を表示し、電子デバイスのスピーカにおいて音声を再生し、電子デバイスにおいて触覚振動を生じさせる）、認証情報を受信し（例えば、指紋を検出し、暗証番号の入力を検出する）（例えば、認証についての要求に応じて）、認証情報が取引を承認するために有効とされる登録された認証情報（例えば、登録された生体情報、登録された指紋、登録された暗証番号）と一致するとの判定に従って、支払いを行うために資産（例えば、ストアドバリュー口座に記憶された資産の一部）をストアドバリュー口座から取引端末（例えば、１９９０、非接触支払い端末、非接触取引端末）に転送する（例えば、ＮＦＣ無線機などの１つ以上の短距離通信無線機を使用して）。例えば、資産を取引端末（例えば、１９９０）に転送（又は送信）することは、ストアドバリュー口座の支払い認証情報を使用する。一部の実施例では、電子デバイス（例えば、１００）は、資産を取引端末（例えば、１９９０）に転送することによって支払いを行う。一部の実施例では、認証情報が取引を承認するために有効とされる登録された認証情報と一致しないとの判定に従って、電子デバイス（例えば、１００）は、ストアドバリュー口座の資産を取引端末（例えば、１９９０、支払い端末、非接触支払い端末）に転送することを見合わせる。よって、有効な認証をチェックすることによって、電子デバイスは、追加のセキュリティを提供し、承認されていない取引を防止することを支援する。
【０６０４】
一部の実施形態に従って、電子デバイス（例えば、１００）は、ストアドバリュー口座の支払い認証情報を第２のデバイスから受信するために第１の通信プロトコル（例えば、Ｂｌｕｅｔｏｏｔｈ（登録商標）プロトコル）を使用し、電子デバイス（例えば、１００）は、取引端末（例えば、非接触支払い端末、非接触取引端末）への支払いを行う（例えば、資産をストアドバリュー口座から転送する）ために第１の通信プロトコルとは異なる第２の通信プロトコル（例えば、ＮＦＣプロトコル）を使用する。よって、一部の実施例では、電子デバイス（例えば、１００）及び第２のデバイスは、それぞれの行動を実行することに特有な（又は有利な若しくは最適化された）プロトコルを使用し、それによって、デバイスの効率性及び操作性を高める。
【０６０５】
一部の実施形態に従って、電子デバイス（例えば、１００）は、１つ以上の無線機ユニットを含み、電子デバイス（例えば、１００）は、ストアドバリュー口座の支払い認証情報を第２のデバイスから受信するために電子デバイスの１つ以上の無線機の第１のセット（例えば、Ｂｌｕｅｔｏｏｔｈ（登録商標）無線機）を使用し、電子デバイス（例えば、１００）は、取引端末（例えば、非接触支払い端末、非接触取引端末）への支払いを行う（例えば、資産をストアドバリュー口座から転送する）ために１つ以上の無線機の第１のセットとは異なる１つ以上の無線機の第２のセット（例えば、ＮＦＣ無線機、１つ以上の短距離通信無線機）を使用する。よって、一部の実施例では、電子デバイス（例えば、１００）及び第２のデバイスは、それぞれの行動を実行することに特有な（又は有利な若しくは最適化された）ハードウェアを使用し、それによって、デバイスの効率性及び操作性を高める。
【０６０６】
方法２０００（例えば、図２０Ａ〜２０Ｂ）に関して上記説明されたプロセスの詳細はまた、以下に説明される方法と同様の方式においても適用可能であることに留意されたい。例えば、方法８００、１０００、１２００、１４００、１６００、及び１８００は任意選択的に、方法２０００に関連して上記説明された種々の方法の特徴のうちの１つ以上を含む。例えば、図７Ａのユーザインタフェースは、図９Ａ及び図１５Ｂのユーザインタフェースに対応してもよい。別の実施例について、方法８００及び１０００の技術を使用してプロビジョニングされた口座は、方法１２００、１４００、１６００、１８００、及び２０００に関連して説明される技術を実行するために使用されてもよい。別の実施例について、方法１２００の技術は、方法８００、１０００、１４００、１６００、１８００、及び２０００に関して説明されるストアドバリュー口座に資産を追加するために使用されてもよい。別の実施例について、積立口座は、方法１８００及び２０００に関して議論されるように、異なるデバイスに、又は異なるデバイスから移動されてもよい。簡潔にするために、これらの詳細は、以下では繰り返さない。
【０６０７】
一部の実施形態に従って、図２１は、種々の説明された実施形態の原理に従うように構成された電子デバイス２１００の例示的な機能的ブロック図を示す。一部の実施形態に従って、電子デバイス２１００の機能的ブロックは、上記説明された技術を実行するように構成されている。デバイス２１００の機能的ブロックは任意選択的に、種々の説明された実施例の原理を実行するためにハードウェア、ソフトウェア、又はハードウェア及びソフトウェアの組み合わせで実装される。図２１で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０６０８】
図２１に示されるように、電子デバイス２１００は、入力を受信するように構成された１つ以上の入力デバイスユニット２１０４、短距離通信を受信及び送信するように構成された１つ以上の短距離通信無線機ユニット２１０６、任意選択的に、グラフィックユーザインタフェースを表示するように構成されたディスプレイユニット２１０２、並びに１つ以上の入力デバイスユニット２１０４、１つ以上の短距離通信無線機ユニット２１０６、及び任意選択的に、ディスプレイユニット２１０２に結合された処理ユニット２１０８を含む。一部の実施形態では、処理ユニット２１０８は、受信ユニット２１１２、要求ユニット２１１４、検証ユニット２１１６、提供ユニット２１１８、転送ユニット２１２０、任意選択的に、表示可能化ユニット２１１０、比較ユニット２１２２、送信ユニット２１２４、指定ユニット２１２６、及び除去ユニット２１５２を含む。
【０６０９】
処理ユニット２１０８は、１つ以上の短距離通信無線機ユニット２１０６によって、カードであって、カードは、記憶された価値を有する、カードのカード口座番号を受信し（例えば、受信ユニット２１１２を使用して）、カードの所有権を検証するための検証情報を要求し（例えば、要求ユニット２１１４を使用して）、１つ以上の入力デバイスユニット２１０４を介して、カードの所有権を検証するための検証情報を含む電子デバイス２１００のユーザからの入力を受信し（例えば、受信ユニット２１１２を使用して）、検証情報を検証情報とは別個に受信されるカードに関する別個の情報と比較することによってカードの所有権を検証し（例えば、検証ユニット２１１６を使用して）、所有権の検証が成功しているとの判定に従って、価値の転送のための価値の転送動作を実行するプロンプトを生成し（例えば、提供ユニット２１１８を使用して）、記憶された価値の少なくともいくつかをカードから電子デバイス２１００に記憶された仮想カードに転送する（例えば、転送ユニット２１２０を使用して）ように構成されている。
【０６１０】
一部の実施形態に従って、検証情報は、カード上に示されない情報である。
【０６１１】
一部の実施形態に従って、カードは、ストアドバリューカードである。
【０６１２】
一部の実施形態に従って、処理ユニット２１０８は、価値の転送が成功していないとの判定に従って、価値の転送のための価値の転送動作を実行する第２のプロンプトを生成する（例えば、提供ユニット２１１８を使用して）ように更に構成されている。
【０６１３】
一部の実施形態に従って、処理ユニット２１０８は、所有権の検証が成功していないとの判定に従って、所有権の検証が成功しなかったことを示すフィードバックを生成する（例えば、提供ユニット２１１８を使用して）ように更に構成されている。
【０６１４】
一部の実施形態に従って、カードが登録されているとの判定に従って、カードの所有権を検証するための検証情報を要求する（例えば、要求ユニット２１１４を使用して）ことは、カード上に示されない情報を要求することを含み、カードが登録されていないとの判定に従って、カードの所有権を検証するための検証情報を要求する（例えば、要求ユニット２１１４を使用して）ことは、カード上に示される情報を要求することを含む。
【０６１５】
一部の実施形態に従って、処理ユニット２１０８は、カードが登録されていないとの判定に従って、かつカードの所有権を検証する前に、カードの所有権を検証するための検証情報を要求することの一部として、カードのユーザにより提供される口座番号を要求し（例えば、要求ユニット２１１４を使用して）、カードの所有権を検証するための検証情報を含む電子デバイス２１００のユーザからの入力を受信することの一部として、カードのユーザにより提供される口座番号を受信し（例えば、受信ユニット２１１２を使用して）、検証情報を別個の情報と比較することによってカードの所有権を検証することの一部として、ユーザにより提供される口座番号をカード口座番号と比較する（例えば、比較ユニット２１２２を使用して）ように更に構成されており、別個の情報は、カードの受信されたカード口座番号を含む。
【０６１６】
一部の実施形態に従って、電子デバイス２１００は、１つ以上の入力デバイスユニット２１０４を介して、カードの所有権を検証するための検証情報を含む電子デバイス２１００のユーザからの入力を受信する前に、カードのカード口座番号を提示しない。
【０６１７】
一部の実施形態に従って、処理ユニット２１０８は、カードが登録されているとの判定に従って、カードのカード口座番号を送信し（例えば、送信ユニット２１２４を使用して）、別個の情報を受信する（例えば、受信ユニット２１１２を使用して）ように更に構成されている。
【０６１８】
一部の実施形態に従って、処理ユニット２１０８は更に、カードのユーザにより提供される口座番号を受信することを見合わせる（例えば、受信ユニット２１１２を使用して）更に構成されている。
【０６１９】
一部の実施形態に従って、電子デバイス２１００は、ディスプレイユニット２１０２を含み、処理ユニット２１０８は、記憶された価値のうちの少なくともいくつかをカードから電子デバイス２１００に記憶された仮想カードに転送したことに続いて、ディスプレイユニット２１０２上で、仮想カードのトランジットプラン情報の表示を有効にする（例えば、表示可能化ユニット２１１０を使用して）ように更に構成されており、トランジットプラン情報は、転送された記憶された価値のうちの少なくともいくつかに基づいている。
【０６２０】
一部の実施形態に従って、電子デバイス２１００は、ディスプレイユニット２１０２を含み、処理ユニット２１０８は、記憶された価値のうちの少なくともいくつかをカードから電子デバイスに記憶された仮想カードに転送したことに続いて、ディスプレイユニット２１０２上で、仮想カードの残高、仮想カードに登録された口座のユーザ名、及び仮想カードのトランジットプラン情報のうちの１つ以上の表示を有効にする（例えば、表示可能化ユニット２１１０を使用して）ように更に構成されている。
【０６２１】
一部の実施形態に従って、記憶された価値のうちの少なくともいくつかをカードから電子デバイス２１００に記憶された仮想カードに転送する（例えば、転送ユニット２１２０を使用して）ことは、記憶された価値をカードから除去する（例えば、除去ユニット２１５２を使用して）ことと、カードを非アクティブ化する要求をサーバに送信する（例えば、送信ユニット２１２４を使用して）ことと、を含む。
【０６２２】
一部の実施形態に従って、処理ユニット２１０８は、電子デバイス２１００が別のリンクされたトランジット口座を有していないとの判定に従って、認証をチェックすることなく仮想カードの口座を使用のために利用可能とするように指定し（例えば、指定ユニット２１２６を使用して）、電子デバイス２１００が１つ以上の他のリンクされたトランジット口座を有しているとの判定に従って、認証をチェックすることなく仮想カードの口座を使用のために利用可能とするように指定することを見合わせる（例えば、指定ユニット２１２６を使用して）ように更に構成されている。
【０６２３】
一部の実施形態に従って、処理ユニット２１０８は更に、電子デバイス２１００が別のリンクされたトランジット口座を有していないとの判定に従って、認証をチェックすることなく口座を使用のために利用可能としない要望を示すユーザ入力を受信したことに従って、認証をチェックすることなく仮想カードの口座を使用のために利用可能とするように指定することを見合わせる（例えば、指定ユニット２１２６を使用して）ように更に構成されている。
【０６２４】
一部の実施形態に従って、処理ユニット２１０８は、認証をチェックすることなく口座を使用のために利用可能としない要望を示すユーザ入力を受信し（例えば、受信ユニット２１１２を使用して）、認証をチェックすることなく口座を使用のために利用可能としない要望を示すユーザ入力を受信したことに応じて、認証をチェックすることなく仮想カードの口座を使用のために利用可能としないように指定する（例えば、指定ユニット２１２６を使用して）ように更に構成されている。
【０６２５】
一部の実施形態に従って、処理ユニット２１０８は、認証をチェックすることなく使用のために利用可能とする口座を選択するユーザ入力を受信し（例えば、受信ユニット２１１２を使用して）、認証をチェックすることなく使用のために利用可能とする口座を選択するユーザ入力を受信したことに応じて、認証をチェックすることなく選択された口座を使用のために利用可能とするように指定する（例えば、指定ユニット２１２６を使用して）ように更に構成されている。
【０６２６】
一部の実施形態に従って、カードのカード口座番号を受信する前に、かつカードの所有権を検証する前に、仮想カードは、電子デバイス２１００に記憶される。
【０６２７】
一部の実施形態に従って、処理ユニット２１０８は、記憶された価値のうちの少なくともいくつかをカードから電子デバイス２１００に記憶された仮想カードに転送したことに続いて、ディスプレイユニット２１０２上で、仮想カードの記憶された価値の表示を有効にする（例えば、表示可能化ユニット２１１０を使用して）ように更に構成されている。
【０６２８】
図８Ａ〜８Ｂに関連して上記説明された動作は任意選択的に、図１Ａ〜１Ｂ又は図２１に記述された構成要素によって実装される。例えば、受信動作８０２、要求動作８０６、受信動作８１６、検証動作８１８、判定動作８２０、提供動作８２２、及び転送動作８２４は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０６２９】
一部の実施形態に従って、図２２は、種々の説明された実施形態の原理に従うように構成された電子デバイス２２００の例示的な機能的ブロック図を示す。一部の実施形態に従って、電子デバイス２２００の機能的ブロックは、上記説明された技術を実行するように構成されている。デバイス２２００の機能的ブロックは任意選択的に、種々の説明された実施例の原理を実行するためにハードウェア、ソフトウェア、又はハードウェア及びソフトウェアの組み合わせで実装される。図２２で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０６３０】
図２２に示されるように、電子デバイス２２００は、グラフィックユーザインタフェースを表示するように構成されたディスプレイユニット２２０２、入力を受信するように構成された１つ以上の入力デバイスユニット２２０４、短距離通信を受信及び送信するように構成された１つ以上の短距離通信無線機ユニット２２０６、並びにディスプレイユニット２２０２、１つ以上の入力デバイスユニット２２０４、及び１つ以上の短距離通信無線機ユニット２２０６に結合された処理ユニット２２０８を含む。一部の実施形態では、処理ユニット２２０８は、表示可能化ユニット２２１０、受信ユニット２２１２、要求ユニット２２１４、検証ユニット２２１６、転送ユニット２２２０、任意選択的に、提供ユニット２２１８、送信ユニット２２２４、指定ユニット２２２６、及び除去ユニット２２５２を含む。
【０６３１】
処理ユニット２２０８は、ストアドバリューカードであって、ストアドバリューカードは、記憶された価値を有する、ストアドバリューカードの所有権を検証するための検証情報を要求し（例えば、要求ユニット２２１４を使用して）、１つ以上の入力デバイスユニット２２０４を介して、カードの所有権を検証するための検証情報であって、検証情報は、カード上に示されない情報を含む、検証情報を含む電子デバイスのユーザからの入力を受信し（例えば、受信ユニット２２１２を使用して）、電子デバイス２２００のディスプレイユニット２２０２上で、電子デバイス２２００をストアドバリューカードの通信範囲内に配置するプロンプトの表示を有効にし（例えば、表示可能化ユニット２２１０を使用して）、１つ以上の短距離通信無線機ユニット２２０６によって、識別情報をストアドバリューカードから受信し（例えば、受信ユニット２２１２を使用して）、検証情報を識別情報と比較することによってストアドバリューカードの所有権を検証し（例えば、検証ユニット２２１６を使用して）、所有権の検証が成功しているとの判定に従って、記憶された価値のうちの少なくともいくつかをストアドバリューカードから電子デバイス２２００に記憶された仮想カードに転送する（例えば、転送ユニット２２２０を使用して）ように構成されている。
【０６３２】
一部の実施形態に従って、処理ユニット２２０８は、所有権の検証が成功していないとの判定に従って、所有権の検証が成功しなかったことを示すフィードバックを生成し（例えば、提供ユニット２２１８を使用して）、ストアドバリューカードの所有権を検証するための検証情報を要求する（例えば、要求ユニット２２１４を使用して）ように更に構成されている。
【０６３３】
一部の実施形態に従って、処理ユニット２２０８は、所有権の検証が成功しているとの判定に従って、記憶された価値のうちの少なくともいくつかをストアドバリューカードから電子デバイス２２００に記憶された仮想カードに転送する（例えば、転送ユニット２２２０を使用して）ように更に構成されている。
【０６３４】
一部の実施形態に従って、記憶された価値のうちの少なくともいくつかをストアドバリューカードから電子デバイス２２００に記憶された仮想カードに転送する（例えば、転送ユニット２２２０を使用して）ことは、記憶された価値をストアドバリューカードから除去する（例えば、除去ユニット２２５２を使用して）ことと、ストアドバリューカードを非アクティブ化する要求をサーバに送信する（例えば、送信ユニット２２２４を使用して）ことと、を含む。
【０６３５】
一部の実施形態に従って、ストアドバリューカードは、ストアドバリュートランジットカードである。
【０６３６】
一部の実施形態に従って、仮想カードは、トランジット仮想カードである。
【０６３７】
一部の実施形態に従って、仮想カードは、ストアドバリュー仮想カードである。
【０６３８】
一部の実施形態に従って、検証情報は、ストアドバリューカードのカード口座番号である。
【０６３９】
一部の実施形態に従って、電子デバイス２２００は、１つ以上の入力デバイスユニット２２０４を介して、カードの所有権を検証するための検証情報を含む電子デバイス２２００のユーザからの入力を受信する前に（例えば、受信ユニット２２１２を使用して）、ストアドバリューカードのカード口座番号を提示しない。
【０６４０】
一部の実施形態に従って、処理ユニット２２０８は、記憶された価値のうちの少なくともいくつかをストアドバリューカードから電子デバイス２２００に記憶された仮想カードに転送したことに続いて、ディスプレイユニット２２０２上で、仮想カードの記憶された価値の表示を有効にする（例えば、表示可能化ユニット２２１０を使用して）ように更に構成されている。
【０６４１】
一部の実施形態に従って、処理ユニット２２０８は、記憶された価値のうちの少なくともいくつかをストアドバリューカードから電子デバイス２２００に記憶された仮想カードに転送したことに続いて、ディスプレイユニット２２０２上で、仮想カードのトランジットプラン情報の表示を有効にする（例えば、表示可能化ユニット２２１０を使用して）ように更に構成されており、トランジットプラン情報は、転送された記憶された価値のうちの少なくともいくつかに基づいている。
【０６４２】
一部の実施形態に従って、処理ユニット２２０８は、記憶された価値のうちの少なくともいくつかをストアドバリューカードから電子デバイス２２００に記憶された仮想カードに転送したことに続いて、ディスプレイユニット２２０２上で、仮想カードの残高、仮想カードに登録された口座のユーザ名、及び仮想カードのトランジットプラン情報のうちの１つ以上の表示を有効にする（例えば、表示可能化ユニット２２１０を使用して）ように更に構成されている。
【０６４３】
一部の実施形態に従って、検証情報は、ストアドバリューカードの登録されたユーザに個人的な情報である。
【０６４４】
一部の実施形態に従って、処理ユニット２２０８は、電子デバイス２２００が別のリンクされたトランジット口座を有さないとの判定に従って、認証をチェックすることなく仮想カードの口座を使用のために利用可能とするように指定し（例えば、指定ユニット２２２６を使用して）、電子デバイス２２００が１つ以上の他のリンクされたトランジット口座を有するとの判定に従って、認証をチェックすることなく仮想カードの口座を使用のために利用可能とするように指定することを見合わせる（例えば、指定ユニット２２２６を使用して）ように更に構成されている。
【０６４５】
一部の実施形態に従って、処理ユニット２２０８は、電子デバイス２２００が別のリンクされたトランジット口座を有さないとの判定に従って、認証をチェックすることなく口座を使用のために利用可能としない要望を示すユーザ入力を受信したことに従って、認証をチェックすることなく仮想カードの口座を使用のために利用可能とするように指定することを見合わせる（例えば、指定ユニット２２２６を使用して）ように更に構成されている。
【０６４６】
一部の実施形態に従って、処理ユニット２２０８は、認証をチェックすることなく口座を使用のために利用可能としない要望を示すユーザ入力を受信し（例えば、受信ユニット２２１２を使用して）、認証をチェックすることなく口座を使用のために利用可能としない要望を示すユーザ入力を受信したことに応じて、認証をチェックすることなく仮想カードの口座を使用のために利用可能としないように指定する（例えば、指定ユニット２２２６を使用して）ように更に構成されている。
【０６４７】
一部の実施形態に従って、処理ユニット２２０８は、認証をチェックすることなく使用のために利用可能とする口座を選択するユーザ入力を受信し（例えば、受信ユニット２２１２を使用して）、認証をチェックすることなく使用のために利用可能とする口座を選択するユーザ入力を受信したことに応じて、認証をチェックすることなく選択された口座を使用のために利用可能とするように指定する（例えば、指定ユニット２２２６を使用して）ように更に構成されている。
【０６４８】
一部の実施形態に従って、カードのカード口座番号を受信する前に、かつカードの所有権を検証する前に、仮想カードは、電子デバイス２２００に記憶される。
【０６４９】
図１０に関連して上記説明された動作は任意選択的に、図１Ａ〜１Ｂ又は図２２に記述された構成要素によって実装される。例えば、要求動作１００２、受信動作１００４、表示動作１００６、受信動作１００８、検証動作１０１０、判定動作１０１２、及び転送動作１０１４は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０６５０】
一部の実施形態に従って、図２３は、種々の説明された実施形態の原理に従うように構成された電子デバイス２３００の例示的な機能的ブロック図を示す。一部の実施形態に従って、デバイス２３００の機能的ブロックは、上記説明された技術を実行するように構成されている。電子デバイス２３００の機能的ブロックは任意選択的に、種々の説明された実施例の原理を実行するためにハードウェア、ソフトウェア、又はハードウェア及びソフトウェアの組み合わせで実装される。図２３で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０６５１】
図２３に示されるように、電子デバイス２３００は、グラフィックユーザインタフェースを表示するように構成されたディスプレイユニット２３０２、入力を受信するように構成された１つ以上の入力デバイスユニット２３０４、並びにディスプレイユニット２３０２及び１つ以上の入力デバイスユニット２３０４に結合された処理ユニット２３０８を含む。一部の実施形態では、処理ユニット２３０８は、表示可能化ユニット２３１０、受信ユニット２３１２、検出ユニット２３２８、追加ユニット２３３０、任意選択的に、提供ユニット２３１８、更新ユニット２３３２、アニメーション化ユニット２３３４、及び判定ユニット２３３６を含む。
【０６５２】
処理ユニット２３０８は、ディスプレイユニット２３０２上で、アクティブ化可能な追加−価値オプションを含むストアドバリュー口座であって、電子デバイス２３００は、ストアドバリュー口座及び支払い口座を含む電子ウォレットアプリケーションを有する、ストアドバリュー口座の表現の表示を有効にし（例えば、表示可能化ユニット２３１０上で）、ストアドバリュー口座の表現を表示する間、１つ以上の入力デバイスユニット２３０４を介して、追加−価値オプションのアクティブ化を検出し（例えば、検出ユニット２３２８を使用して）、１つ以上の入力デバイスユニット２３０４を介して、電子ウォレットアプリケーションの支払い口座を使用して価値をストアドバリュー口座に追加するための積立−口座オプションのアクティブ化を検出し（例えば、検出ユニット２３２８を使用して）、資産を支払い口座からストアドバリュー口座に追加するための提案される取引の表示を有効にする（例えば表示可能化ユニット２３１０を使用して）間、認証情報を電子デバイス２３００において受信し（例えば、受信ユニット２３１２を使用して）、認証情報を受信した（例えば、受信ユニット２３１２を使用して）ことに応じて、かつ認証情報が支払い口座を使用して支払い取引を実行するための登録された認証情報と一致するとの判定に従って、支払い口座を使用して価値をストアドバリュー口座に追加する（追加ユニット２３３０を使用して）ように構成されている。
【０６５３】
一部の実施形態に従って、処理ユニット２３０８は、認証情報を受信したこと（例えば、受信ユニット２３１２を使用して）に応じて、かつ認証情報が支払い口座を使用して支払い取引を実行するための登録された認証情報と一致しないとの判定に従って、支払い口座を使用して価値をストアドバリュー口座に追加することを見合わせる（例えば、追加ユニット２３３０を使用して）ように更に構成されている。
【０６５４】
一部の実施形態に従って、処理ユニット２３０８は、認証情報を受信する前に、価値を支払い口座からストアドバリュー口座に追加するための承認を提供するプロンプトを生成する（例えば、提供ユニット２３１８を使用して）ように更に構成されている。
【０６５５】
一部の実施形態に従って、ストアドバリュー口座の表現は、ストアドバリュー口座の現在の残高を含む。
【０６５６】
一部の実施形態に従って、処理ユニット２３０８は、支払い口座を使用して価値をストアドバリュー口座に追加したことに続いて、ストアドバリュー口座に追加された価値を反映するようにストアドバリュー口座の現在の残高の表示を更新する（例えば、更新ユニット２３３２を使用して）ように更に構成されている。
【０６５７】
一部の実施形態に従って、処理ユニット２３０８は、ディスプレイユニット２３０２上で、アクティブ化可能な追加−価値オプションを含まない第２の支払い口座の表現の表示を有効にする（例えば、表示可能化ユニット２３１０）ように更に構成されている。
【０６５８】
一部の実施形態に従って、処理ユニット２３０８は、ディスプレイユニット２３０２上で、支払い口座を使用して価値をストアドバリュー口座に追加するユーザ入力のためのユーザインタフェースであって（例えば、表示可能化ユニット２３１０を使用して）、価値を追加するユーザ入力のためのユーザインタフェースは、仮想数字キーパッド、１つ以上の提案額、及びストアドバリュー口座の現在の残高を同時に含む、ユーザ入力のためのユーザインタフェースの表示を有効にし支払い口座を使用して価値をストアドバリュー口座に追加するための額の仮想数字キーパッドにおける入力を受信し（例えば、受信ユニット２３１２を使用して）、仮想数字キーパッドにおける入力を受信したことに応じて、仮想数字キーパッドにおいて受信された入力に基づいて１つ以上の提案額の表示を更新する（例えば、更新ユニット２３３２を使用して）ように更に構成されている。
【０６５９】
一部の実施形態に従って、仮想数字キーパッドにおける受信された入力は、支払い口座を使用して価値をストアドバリュー口座に追加するための最大の許容可能な額を超える額に対応し、仮想数字キーパッドにおいて受信された入力に基づいて１つ以上の提案額の表示を更新する（例えば、更新ユニット２３３２を使用して）ことは、最大の許容可能な額を反映するように１つ以上の提案額のうちの少なくとも１つの表示を更新する（例えば、更新ユニット２３３２を使用して）ことを含む。
【０６６０】
一部の実施形態に従って、１つ以上の提案額のうちの少なくとも１つは、支払い口座を使用して価値をストアドバリュー口座に追加するために使用された前の額に基づいている。
【０６６１】
一部の実施形態に従って、１つ以上の提案額のうちの少なくとも１つは、当月の当日に基づいている。
【０６６２】
一部の実施形態に従って、支払い口座を使用して価値をストアドバリュー口座追加するユーザ入力のためのユーザインタフェースは、ストアドバリュー口座に対応するカードのグラフィカル描写を更に同時に含み、仮想数字キーパッドにおける受信された入力は、支払い口座を使用して価値をストアドバリュー口座に追加するための最大の許容可能な額を超える額に対応し、処理ユニット２３０８は、入力を仮想数字キーパッドにおいて受信したことに応じて、ある期間の間に振動させるためにストアドバリュー口座に対応するカードのグラフィカル描写をアニメーション化する（例えば、アニメーション化ユニット２３３４を使用して）ように更に構成されている。
【０６６３】
一部の実施形態に従って、処理ユニット２３０８は、価値をストアドバリュー口座に追加するために選択された額のユーザ入力を受信し（例えば、受信ユニット２３１２を使用して）、選択された額のユーザ入力を受信したことに応じて、ディスプレイユニット２３０２上で、認証を要求するユーザインタフェースの表示を有効にする（例えば、表示可能化ユニット２３１０を使用して）ように更に構成されている。
【０６６４】
一部の実施形態に従って、ストアドバリュー口座は、トランジット口座である。
【０６６５】
一部の実施形態に従って、ストアドバリュー口座は、ギフトカード口座である。
【０６６６】
一部の実施形態に従って、支払い口座を使用して価値をストアドバリュー口座に追加することは、支払い口座を使用して価値をストアドバリュー口座に追加するための繰り返し発生する取引の一部である。
【０６６７】
一部の実施形態に従って、処理ユニット２３０８は、ストアドバリュー口座の現在の残高が最小の残高通知レベルを下回ることを検出し（例えば、検出ユニット２３２８を使用して）、ストアドバリュー口座の現在の残高が最小の残高通知レベルを下回ることを検出した（例えば、検出ユニット２３２８を使用して）ことに応じて、ストアドバリュー口座の現在の残高が最小の残高通知レベルを下回ることの通知を生成する（例えば、提供ユニット２３１８を使用して）ように更に構成されている。
【０６６８】
一部の実施形態に従って、処理ユニット２３０８は、通知をアクティブ化するユーザ入力を受信し（例えば、受信ユニット２３１２を使用して）、通知をアクティブ化するユーザ入力を受信した（例えば、受信ユニット２３１２を使用して）ことに応じて、ディスプレイユニット２３０２上で、支払い口座を使用して価値をストアドバリュー口座に追加するユーザ入力のためのユーザインタフェースの表示を有効にする（例えば、表示可能化ユニット２３１０を使用して）ように更に構成されている。
【０６６９】
一部の実施形態に従って、ストアドバリュー口座は、トランジット口座であり、ストアドバリュー口座の表現は、トランジット口座と関連付けられたトランジットプランのインジケーション及びトランジットプランの有効日のインジケーションを含む。
【０６７０】
一部の実施形態に従って、ストアドバリュー口座は、トランジット口座であり、処理ユニット２３０８は、ディスプレイユニット２３０２上で、支払い口座を使用してトランジット口座に積み立てるためのユーザインタフェースを表示する（例えば、表示可能化ユニット２３１０を使用して）ように更に構成されており、トランジット口座に積み立てるためのユーザインタフェースは、１つ以上の提案額、並びに推薦されるトランジットプランの開始日及び終了日を同時に含む。
【０６７１】
一部の実施形態に従って、ストアドバリュー口座は、トランジット口座であり、処理ユニット２３０８は、ストアドバリュー口座のトランジットプランが更新期日であるとの判定に従って、ストアドバリュー口座のトランジットプランが更新期日であることを示す通知を生成する（例えば、提供ユニット２３１８を使用して）ように更に構成されている。
【０６７２】
一部の実施形態に従って、ストアドバリュー口座は、トランジット口座であり、処理ユニット２３０８は、トランジット駅への近接性を検出し（例えば、検出ユニット２３２８を使用して）、１つ以上のコンテキスト要因に基づいて予想される目的地を判定し（例えば、判定ユニット２３３６を使用して）、ストアドバリュー口座がトランジット駅から予想される目的地に旅行するための十分な資産を有さないとの判定に従って、ストアドバリュー口座がトランジット駅から予想される目的地に旅行するための十分な資産を有さないことの通知を生成する（例えば、提供ユニット２３１８を使用して）ように更に構成されており、アクティブ化可能な追加−価値オプションを含むストアドバリュー口座の表現の表示を有効にする（例えば、表示可能化ユニット２３１０を使用して）ことは、ストアドバリュー口座が十分な資産を有さないことの通知のアクティブ化を検出した（例えば、検出ユニット２３２８を使用して）ことに応じている。
【０６７３】
図１２Ａ〜１２Ｂに関連して上記説明された動作は任意選択的に、図１Ａ〜１Ｂ又は図２３に記述された構成要素によって実装される。例えば、表示動作１２０２、検出動作１２０４、検出動作１２０６、受信動作１２１２、判定動作１２１６、及び追加動作１２１８は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの所定のイベント又はサブイベントが検出されると、イベント認識部１８０は、そのイベント又はサブイベントの検出と関連付けられた、イベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０６７４】
一部の実施形態に従って、図２４は、種々の説明された実施形態の原理に従うように構成された電子デバイス２４００の例示的な機能的ブロック図を示す。一部の実施形態に従って、電子デバイス２４００の機能的ブロックは、上記説明された技術を実行するように構成されている。デバイス２４００の機能的ブロックは任意選択的に、種々の説明された実施例の原理を実行するためにハードウェア、ソフトウェア、又はハードウェア及びソフトウェアの組み合わせで実装される。図２４で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０６７５】
図２４に示されるように、電子デバイス２４００は、グラフィックユーザインタフェースを表示するように構成されたディスプレイユニット２４０２、短距離通信を受信及び送信するように構成された１つ以上の短距離通信無線機ユニット２４０６、１つ以上の口座を記憶するように構成された電子ウォレットアプリケーションユニット２４６０、並びにディスプレイユニット２４０２、１つ以上の短距離通信無線機ユニット２４０６、及び電子ウォレットアプリケーションユニット２４６０に結合された処理ユニット２４０８を含む。一部の実施形態では、処理ユニット２４０８は、表示可能化ユニット２４１０、転送ユニット２４２０、置換ユニット２４３８、任意選択的に、受信ユニット２４１２、検出ユニット２３２８、更新ユニット２４３２、提示ユニット２４４０、移動ユニット２４４２、タグ付けユニット２４４４、及びスライドユニット２４５４を含む。
【０６７６】
処理ユニット２４０８は、ディスプレイユニット２４０２上で、ストアドバリュー口座の利用可能なクレジットのインジケーションの表示を有効にし（例えば、表示可能化ユニット２４１０を使用して）、１つ以上の短距離通信無線機ユニット２４０６を使用して、ストアドバリュー口座の認証情報を電子デバイス２４００とは別個の非接触取引端末に転送し（例えば、転送ユニット２４２０を使用して）、１つ以上の短距離通信無線機ユニット２４０６を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える（例えば、置換ユニット２４３８を使用して）ように構成されている。
【０６７７】
一部の実施形態に従って、ストアドバリュー口座は、ストアドバリュートランジット口座である。
【０６７８】
一部の実施形態に従って、ディスプレイユニット２４０２上で、ストアドバリュー口座の利用可能なクレジットのインジケーションの表示を有効にする（例えば、表示可能化ユニット２４１０を使用して）ことは、ディスプレイユニット２４０２上の第１の位置において、ストアドバリュー口座の利用可能なクレジットのインジケーションの表示を有効にする（例えば、表示可能化ユニット２４１０を使用して）ことを含み、利用可能なクレジットのインジケーションの表示を非接触取引端末への認証情報の転送に対応する取引のインジケーションの表示に置き換える（例えば、置換ユニット２４３８を使用して）ことは、ディスプレイユニット２４０２上の第２の位置において、利用可能なクレジットのインジケーションの表示を有効にする（例えば、表示可能化ユニット２４１０を使用して）ことであって、第２の位置は第１の位置とは異なる、ことと、ディスプレイユニット２４０２上の第１の位置において、非接触取引端末への認証情報の転送に対応する取引のインジケーションの表示を有効にする（例えば、表示可能化ユニット２４１０を使用して）ことと、を含む。
【０６７９】
一部の実施形態に従って、利用可能なクレジットのインジケーションの表示を非接触取引端末への認証情報の転送に対応する取引のインジケーションの表示に置き換える（例えば、置換ユニット２４３８を使用して）ことは、ディスプレイユニット２４０２上で第１の方向に、利用可能なクレジットのインジケーションを第１の位置から第１の位置とは異なる第２の位置にスライドさせる（例えば、スライドユニット２４５４を使用して）ことと、ディスプレイユニット２４０２上に第１の方向で、非接触取引端末への認証情報の転送に対応する取引のインジケーションをスライドさせる（例えば、スライドユニット２４５４を使用して）ことと、を同時に含む。
【０６８０】
一部の実施形態に従って、処理ユニット２４０８は、ストアドバリュー口座の認証情報を非接触取引端末に転送したことに応じて、ディスプレイユニット２４０２上で、利用可能なクレジットのインジケーション、非接触取引端末への認証情報の転送に対応する取引のインジケーション、及び非接触取引端末へのストアドバリュー口座の認証情報の転送が完了したことのインジケーションの表示を同時に有効にする（例えば、表示可能化ユニット２４１０を使用して）ように更に構成されている。
【０６８１】
一部の実施形態に従って、ストアドバリュー口座の認証情報を使用して取引が実行されたとの判定は、ストアドバリュー口座の利用可能なクレジットが変更されたことを検出する（例えば、検出ユニット２４２８を使用して）ことを含む。
【０６８２】
一部の実施形態に従って、利用可能なクレジットのインジケーションの表示を非接触取引端末への認証情報の転送に対応する取引のインジケーションの表示に置き換える（例えば、置換ユニット２４３８を使用して）ことは、ストアドバリュー口座の利用可能なクレジットが変更されたことを検出する（例えば、検出ユニット２４２８を使用して）ことに応じている。
【０６８３】
一部の実施形態に従って、処理ユニット２４０８は、認証情報の転送を反映するように利用可能なクレジットのインジケーションを更新する（例えば、更新ユニット２４３２を使用して）ように更に構成されている。
【０６８４】
一部の実施形態に従って、処理ユニット２４０８は、ディスプレイユニット２４０２上で、利用可能なクレジットのインジケーション及び認証情報の転送に対応する取引のインジケーションと共にストアドバリュー口座のグラフィカル描写の表示を同時に有効にする（例えば、表示可能化ユニット２４１０を使用して）ように更に構成されている。
【０６８５】
一部の実施形態に従って、処理ユニット２４０８は、１つ以上の短距離通信無線機ユニット２４０６を使用して、ストアドバリュー口座の認証情報を非接触取引端末に転送する（例えば、転送ユニット２４２０を使用して）前に、かつ利用可能なクレジットのインジケーションの表示を認証情報の転送に対応する取引のインジケーションの表示に置き換える（例えば、置換ユニット２４３８を使用して）前に、ストアドバリュー口座の認証情報を非接触取引端末に転送するための認証を要求するインジケーションを提示し（提示ユニット２４４０を使用して）、認証情報を受信する（例えば、受信ユニット２４１２を使用して）ように更に構成されており、ストアドバリュー口座の認証情報を非接触取引端末に転送する（例えば、転送ユニット２４２０を使用して）ことは、認証情報が取引を承認するために有効とされる登録された認証情報と一致するとの判定に従っている。
【０６８６】
一部の実施形態に従って、処理ユニット２４０８は、１つ以上の短距離通信無線機ユニット２４０６を使用して、ストアドバリュー口座の認証情報を非接触取引端末に転送する（例えば、転送ユニット２４２０を使用して）ことに続いて、ディスプレイユニット２４０２上で、取引の履歴の表示を有効にする（例えば、表示可能化ユニット２４１０を使用して）ように更に構成されており、取引の履歴は、トランジットトリップの１つ以上の表現を含む。
【０６８７】
一部の実施形態に従って、表示された取引の履歴は、トランジットプランによってカバーされているものとして示されるトランジットトリップの１つ以上の表現を含む。
【０６８８】
一部の実施形態に従って、表示された取引の履歴は、進行しているトランジットトリップの１つ以上の表現を含み、進行しているトランジットトリップの１つ以上の表現は、１つ以上のトランジットトリップが進行していることを示す表示された状態インジケーションを含む。
【０６８９】
一部の実施形態に従って、進行しているトランジットトリップのインジケーションは、取引の履歴のリストの最上部にあり、処理ユニット２４０８は、取引の履歴のリストの最上部における進行しているトランジットトリップのインジケーションを含む取引の履歴の表示を有効にする（例えば、表示可能化ユニット２４１０を使用して）ことに続いて、１つ以上の短距離通信無線機ユニット２４０６を使用して、ストアドバリュー口座の認証情報を非トランジット取引のために第２の非接触取引端末に転送し（例えば、転送ユニット２４２０を使用して）、取引の履歴のリストにおける進行しているトランジットトリップのインジケーションの表示を移動させ（例えば、移動ユニット２４４２を使用して）、進行しているトランジットトリップのインジケーションによって前に占有された位置における非トランジット取引のインジケーションの表示を有効にし（例えば、表示可能化ユニット２４１０を使用して）、１つ以上の短距離通信無線機ユニット２４０６を使用して、トリップを終了させるためにストアドバリュー口座の認証情報を進行しているトランジットトリップのために第３の非接触取引端末に転送し（例えば、転送ユニット２４２０を使用して）、ストアドバリュー口座の認証情報を進行しているトランジットトリップのために第３の非接触取引端末に転送したことに応じて、進行していたトランジットトリップのインジケーションの表示を取引の履歴のリストの最上部に移動させることに対応するために非トランジット取引のインジケーションの表示を移動させる（例えば、移動ユニット２４４２を使用して）ように更に構成されている。
【０６９０】
一部の実施形態に従って、処理ユニット２４０８は、デバイス状態ユーザインタフェースを表示する要求を受信し（例えば、受信ユニット２４１２を使用して）、デバイス状態ユーザインタフェースを表示する要求を受信したことに応じて、デバイス状態ユーザインタフェースの表示を有効にする（例えば、表示可能化ユニット２４１０を使用して）ように更に構成されており、デバイス状態ユーザインタフェースの表示を有効にすることは、デバイスが進行しているトランジットトリップのためにストアドバリュー口座を使用しているとの判定に従って、デバイス状態ユーザインタフェースにおいて進行しているトランジットトリップのためにトランジット口座の使用に関する情報の表示を有効にする（例えば、表示可能化ユニット２４１０を使用して）ことと、デバイスが進行しているトランジットトリップのためにストアドバリュー口座を使用していないとの判定に従って、トランジットトリップのためにトランジット口座に関する情報を表示することなくデバイス状態ユーザインタフェースの有効にする（例えば、表示可能化ユニット２４１０を使用して）ことと、を含む。
【０６９１】
一部の実施形態に従って、処理ユニット２４０８は、進行しているトランジットトリップのためにストアドバリュー口座を使用する間（例えば、タグ付けユニット２４４４を使用して）、ストアドバリュー口座の認証情報を非接触取引端末に転送したことに従って、ストアドバリュー口座がトランジットシステムで使用されていることに従って、かつ電子デバイス２４００がロック状態にあることに従って、ディスプレイユニット２４０２のロックスクリーン上で、ストアドバリュー口座のインジケーションの表示を有効にする（例えば、表示可能化ユニット２４１０を使用して）ように更に構成されている。
【０６９２】
一部の実施形態に従って、処理ユニット２４０８は、ストアドバリュー口座のインジケーションのアクティブ化を検出し（例えば、検出ユニット２４２８を使用して）、ストアドバリュー口座のインジケーションのアクティブ化を検出したことに応じて、ストアドバリュー口座が使用された最近の取引に関する情報を含むストアドバリュー口座のためのカード詳細ビューの表示を有効にする（例えば、表示可能化ユニット２４１０を使用して）ように更に構成されている。
【０６９３】
一部の実施形態に従って、処理ユニット２４０８は、ストアドバリュー口座のインジケーションのアクティブ化を検出し（例えば、検出ユニット２４２８を使用して）、ストアドバリュー口座のインジケーションのアクティブ化を検出したことに応じて、ストアドバリュー口座と関連付けられた進行しているトランジットトリップに関する１つ以上の詳細を含む仮想搭乗パスの表示を有効にする（例えば、表示可能化ユニット２４１０を使用して）ように更に構成されている。
【０６９４】
図１４Ａ〜１４Ｂに関連して上記説明された動作は任意選択的に、図１Ａ〜１Ｂ又は図２４に記述された構成要素によって実装される。例えば、表示動作１４０２、転送動作１４１２、及び置換動作１４１４は任意選択的に、イベントソート部１７０、イベント認識部１８０、及びイベント処理部１９０によって実行される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０６９５】
一部の実施形態に従って、図２５は、種々の説明された実施形態の原理に従うように構成された電子デバイス２５００の例示的な機能的ブロック図を示す。一部の実施形態に従って、電子デバイス２５００の機能的ブロックは、上記説明された技術を実行するように構成されている。デバイス２５００の機能的ブロックは任意選択的に、種々の説明された実施例の原理を実行するためにハードウェア、ソフトウェア、又はハードウェア及びソフトウェアの組み合わせで実装される。図２５で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０６９６】
図２５に示されるように、電子デバイス２５００は、短距離通信を受信及び送信するように構成された１つ以上の短距離通信無線機ユニット２５０６、１つ以上の口座を記憶するように構成された口座情報アプリケーションユニット２５６２、並びに１つ以上の短距離通信無線機ユニット２５０６及び口座情報アプリケーションユニット２５６２に結合された処理ユニット２５０８を含む。一部の実施形態では、処理ユニット２５０８は、送信ユニット２５２４、検出ユニット２５２８、チェックユニット２５４６、任意選択的に、受信ユニット２５１２、提供ユニット２５１８、指定ユニット２５２６、提示ユニット２５４０、及び進行ユニット２５４８を含む。
【０６９７】
処理ユニット２５０８は、１つ以上の短距離通信無線機ユニット２５０６によって、無線信号を検出し（例えば、検出ユニット２５２８を使用して）、無線信号が第１のタイプの要求に対応するとの判定に従って、認証をチェックすることなく第１の口座に対応する情報を送信し（例えば、送信ユニット２５２４を使用して）、無線信号が第２のタイプの要求に対応するとの判定に従って、無線信号に対応する取引を進める前に認証をチェックする（例えば、チェックユニット２５４６を使用して）ように構成されている。
【０６９８】
一部の実施形態に従って、第１のタイプの要求は、口座情報の送信が認証なしに自動的に利用可能とすることが事前に承認されたタイプの要求であり、第２のタイプの要求は、口座情報の送信が認証なしに自動的に利用可能とすることが事前に承認されていないタイプの要求である。
【０６９９】
部の実施形態に従って、第１の口座は、ストアドバリュー口座である。
【０７００】
一部の実施形態に従って、認証をチェックすることなく第１の口座に対応する情報を送信する（例えば、送信ユニット２５２４を使用して）ことは、１つ以上の短距離通信無線機ユニット２５０６によって、無線信号を検出する（例えば、ユニット２５２８を使用して）ことに続いてユーザ入力を必要とすることなく第１の口座に対応する情報を送信する（例えば、送信ユニット２５２４を使用して）ことを含む。
【０７０１】
一部の実施形態に従って、口座情報アプリケーションユニット２５６２は、第１の口座とは異なる第２の口座を含む。
【０７０２】
一部の実施形態に従って、認証をチェックする（例えば、チェックユニット２５４６を使用して）ことは、認証を要求するインジケーションを提示する（例えば、提示ユニット２５４０を使用して）ことと、認証情報を受信する（例えば、受信ユニット２５１２を使用して）ことと、認証情報が取引を承認するために有効とされる登録された認証情報と一致するとの判定に従って、取引を進める（例えば、進行ユニット２５４８を使用して）ことと、を含む。
【０７０３】
一部の実施形態に従って、取引を進める（例えば、進行ユニット２５４８を使用して）ことは、第１の口座に対応する情報を送信する（例えば、送信ユニット２５２４を使用して）ことを含む。
【０７０４】
一部の実施形態に従って、取引を進める（例えば、進行ユニット２５４８を使用して）ことは、第１の口座とは異なる第２の口座に対応する情報を送信する（例えば、送信ユニット２５２４を使用して）ことを含む。
【０７０５】
一部の実施形態に従って、処理ユニット２５０８は、無線信号が第１のタイプの要求に対応するとの判定に従って、認証を要求するいずれのインジケーションを提示することを見合わせる（例えば、提示ユニット２５４０を使用して）ように更に構成されている。
【０７０６】
一部の実施形態に従って、第１の口座は、口座情報アプリケーションユニット２５６２によって記憶された複数のトランジット口座のうちの１つであり、口座情報アプリケーションユニット２５６２は、トランジット口座でない１つ以上の追加的な口座を記憶し、処理ユニット２５０８は、１つ以上の短距離通信無線機ユニット２５０６によって、無線信号を検出する（例えば、検出ユニット２５２８を使用して）前に、認証をチェックすることなく第１の口座を使用のために利用可能とする口座として選択するユーザ入力を受信し（例えば、受信ユニット２５１２を使用して）、認証をチェックすることなく第１の口座を使用のために利用可能とする口座として選択するユーザ入力を受信した（例えば、受信ユニット２５１２を使用して）ことに応じて、認証をチェックすることなく第１の口座を使用のために利用可能とするように指定する（例えば、指定ユニット２５２６を使用して）ように更に構成されている。
【０７０７】
一部の実施形態に従って、第１の口座は、識別口座である。
【０７０８】
一部の実施形態に従って、電子デバイス２５００は、無線信号を検出する前にロック状態にあり、認証をチェックすることなく第１の口座に対応する情報を送信する（送信ユニット２５２４を使用して）間はロック状態に留まり続ける。
【０７０９】
一部の実施形態に従って、第１の口座に対応する情報は、第１の口座の口座番号を含む。
【０７１０】
一部の実施形態に従って、第１の口座は、ストアドバリュー口座であり、第１の口座に対応する情報は、第１の口座からの資産を含む。
【０７１１】
一部の実施形態に従って、第１の口座は、支払い口座であり、第１の口座に対応する情報は、第１の口座の支払い口座情報を含む。
【０７１２】
一部の実施形態に従って、第１の口座は、トランジットコミュータ口座であり、第１の口座に対応する情報は、第１の口座のトランジットパス情報を含む。
【０７１３】
一部の実施形態に従って、第１の口座は、ストアドバリュー口座であり、第１の口座に対応する情報は、第１の口座の口座番号を含み、処理ユニット２５０８は、１つ以上の短距離通信無線機ユニット２５０６によって、資産の額についての要求を含む第２の無線信号を検出し（例えば、検出ユニット２５２８を使用して）、第２の無線信号が第１のタイプの要求に対応するとの判定に従って、認証をチェックすることなく資産を第１の口座から送信する（例えば、送信ユニット２５２４を使用して）ように更に構成されている。
【０７１４】
一部の実施形態に従って、第１の口座に対応する情報は、第１の口座の口座番号を含み、処理ユニット２５０８は、１つ以上の短距離通信無線機ユニット２５０６によって、資産の額についての要求を含む第２の無線信号を検出する（例えば、検出ユニット２５２８を使用して）ように更に構成されており、資産の額についての要求を含む第２の無線信号を検出する（例えば、検出ユニット２５２８を使用して）ことに続いて、電子デバイス２５００は、第２の無線信号が第１のタイプの要求に対応するとの判定に従って予想されるコストを判定し、資産の要求された額が事前に承認された取引額を超えないとの判定に従って、認証をチェックすることなく資産を第１の口座から送信し、資産の要求された額が事前に承認された取引額を超えるとの判定に従って、資産の要求された額が予想されるコストに対応しないことを示すフィードバックを生成し（例えば、提供ユニット２５１８を使用して）、取引を進めるために認証をチェックする（例えば、チェックユニット２５４６を使用して）。
【０７１５】
一部の実施形態に従って、処理ユニット２５０８は、第２の無線信号が第１のタイプの要求に対応するとの判定に従って、かつ資産の要求された額が事前に承認された取引額を超えるとの判定に従って、第２の認証情報を受信し（例えば、受信ユニット２５１２を使用して）、第２の認証情報が取引を承認するために有効とされる登録された認証情報と一致するとの判定に従って、取引を進め（例えば、進行ユニット２５４８を使用して）、第２の認証情報が取引を承認するために有効とされる登録された認証情報と一致しないとの判定に従って、取引を進めることを見合わせる（例えば、進行ユニット２５４８を使用して）ように更に構成されている。
【０７１６】
一部の実施形態に従って、無線信号が第１のタイプの要求に対応するとの判定は、無線信号が電子デバイスによって検出されたときの時間に対応する電子デバイスのコンテキスト情報に基づいている。
【０７１７】
一部の実施形態に従って、無線信号が第１のタイプの要求に対応するとの判定は、１つ以上のコンテキスト条件のセットが満たされたとの判定を含み、１つ以上のコンテキスト条件の第１のコンテキスト条件は、無線信号の内容が予め定められた値を含むときに満たされる。
【０７１８】
一部の実施形態に従って、無線信号が第１のタイプの要求に対応するとの判定は、１つ以上のコンテキスト条件のセットが満たされたとの判定を含み、１つ以上のコンテキスト条件の第２のコンテキスト条件は、無線信号が電子デバイスによって検出されたときの時間に対応する電子デバイス２５００の物理的位置が予め定められた位置に対応するときに満たされる。
【０７１９】
一部の実施形態に従って、無線信号が第１のタイプの要求に対応するとの判定は、１つ以上のコンテキスト条件のセットが満たされたとの判定を含み、１つ以上のコンテキスト条件の第３のコンテキスト条件は、電子デバイス２５００が無線信号とは異なる１つ以上の無線信号の範囲内にあるときに満たされる。
【０７２０】
一部の実施形態に従って、無線信号が第１のタイプの要求に対応するとの判定は、１つ以上のコンテキスト条件のセットが満たされたとの判定を含み、１つ以上のコンテキスト条件の第４のコンテキスト条件は、無線信号が資産閾値を超えない資産の額についての要求を含むときに満たされる。
【０７２１】
一部の実施形態に従って、無線信号が第１のタイプの要求に対応するとの判定は、１つ以上のロック解除条件のセットが満たされたとの判定を含み、１つ以上のロック解除条件のセットの第１のロック解除条件は、電子デバイス２５００が前の時間内にロック解除されたときに満たされる。
【０７２２】
一部の実施形態に従って、無線信号が第１のタイプの要求に対応するとの判定は、１つ以上のロック解除条件のセットが満たされたとの判定を含み、１つ以上のロック解除条件のセットの第２のロック解除条件は、電子デバイス２５００が、無線信号が検出される日の予め定められた日時の後にロック解除されたときに満たされる。
【０７２３】
一部の実施形態に従って、無線信号が第１のタイプの要求に対応するとの判定は、１つ以上のロック解除条件のセットが満たされたとの判定を含み、１つ以上のロック解除条件のセットの第３のロック解除条件は、電子デバイス２５００が再起動後にロック解除されたときに満たされる。
【０７２４】
図１６Ａ〜１６Ｂに関連して上記説明された動作は任意選択的に、図１Ａ〜１Ｂ又は図２５に記述された構成要素によって実装される。例えば、検出動作１６０８、判定動作１６１０、送信動作１６１６、判定動作１６１８、及びチェック動作１６２２は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０７２５】
一部の実施形態に従って、図２６は、種々の説明された実施形態の原理に従うように構成された電子デバイス２６００の例示的な機能的ブロック図を示す。一部の実施形態に従って、電子デバイス２６００の機能的ブロックは、上記説明された技術を実行するように構成されている。デバイス２６００の機能的ブロックは任意選択的に、種々の説明された実施例の原理を実行するためにハードウェア、ソフトウェア、又はハードウェア及びソフトウェアの組み合わせで実装される。図２６で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０７２６】
図２６に示されるように、電子デバイス２６００は、グラフィックユーザインタフェースを表示するように構成されたディスプレイユニット２６０２、入力を受信するように構成された１つ以上の入力デバイスユニット２６０４、並びにディスプレイユニット２６０２及び１つ以上の入力デバイスユニット２６０４に結合された処理ユニット２６０８を含む。一部の実施形態では、処理ユニット２６０８は、表示可能化ユニット２６１０、受信ユニット２６１２、要因ユニット２６５０、及び任意選択的に、送信ユニット２６２４を含む。
【０７２７】
処理ユニット２６０８は、ディスプレイユニット２６０２上で、ユーザ口座と関連付けられた複数のデバイスの表現の表示であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現の表示を有効にし（例えば、表示可能化ユニット２６１０を使用して）、１つ以上の入力デバイスユニット２６０４を介して、第２のデバイスの表示された表現に対応する選択を受信し（例えば、受信ユニット２６１２を使用して）、第２のデバイスの表示された表現に対応する選択を受信したことに従って、取引口座を第２のデバイスと関連付けさせ（例えば、要因ユニット２６５０を使用して）、取引口座を第１のデバイスから関連付けロック解除させる（例えば、要因ユニット２６５０を使用して）ように構成されている。
【０７２８】
一部の実施形態に従って、第１のデバイスは、取引口座を第２のデバイスと関連付けさせ、第１のデバイスから関連付けロック解除させた電子デバイス２６００である。
【０７２９】
一部の実施形態に従って、第２のデバイスは、取引口座を第２のデバイスと関連付けさせ、第１のデバイスから関連付けロック解除させた電子デバイス２６００である。
【０７３０】
一部の実施形態に従って、取引口座は、支払い口座である。
【０７３１】
一部の実施形態に従って、取引口座は、トランジット口座である。
【０７３２】
一部の実施形態に従って、取引口座は、ストアドバリュー口座である。
【０７３３】
一部の実施形態に従って、取引口座は、ストアドバリュー口座であり、処理ユニット２６０８は、複数のデバイスの表現の表示を有効にする前に、アクティブ化可能な追加−価値オプション及びアクティブ化可能な転送−口座オプションと共に口座の表現の表示を同時に有効にし（例えば、表示可能化ユニット２６１０を使用して）（例えば、口座の表現の隣に、又はそうでない場合、口座の表現と視覚的にリンクされて）、転送−口座オプションのアクティブ化を受信する（例えば、受信ユニット２６１２を使用して）ように更に構成されており、ユーザ口座と関連付けられた複数のデバイスの表現の表示を有効にする（例えば、表示可能化ユニット２６１０を使用して）ことは、転送−口座オプションのアクティブ化を受信した（例えば、受信ユニット２６１２を使用して）ことに応じている。
【０７３４】
一部の実施形態に従って、処理ユニット２６０８は、取引口座を複数のデバイスのうちの２つ以上のデバイスにおいて使用のために利用可能とする口座として指定するユーザ入力を受信する（例えば、受信ユニット２６１２を使用して）ように更に構成されている。
【０７３５】
一部の実施形態に従って、電子デバイス２６００は、第２のデバイスであり、処理ユニット２６０８は、複数のデバイスの第３のデバイスを取引口座が使用のために利用可能とするデバイスとして指定するユーザ入力を受信し（例えば、受信ユニット２６１２を使用して）、取引口座を第２のデバイスと関連付けさせことに続いて、かつ取引口座を第１のデバイスから関連付けロック解除させたことに続いて、取引口座の支払い認証情報ついての要求を電子デバイスとは異なる第３のデバイスから受信し（例えば、受信ユニット２６１２を使用して）、第３のデバイスが、取引口座が使用のために利用可能とするデバイスとして指定されいるとの判定に従って、取引口座の支払い認証情報を第２のデバイスから第３のデバイスに送信する（例えば、送信ユニット２６２４を使用して）ように更に構成されている。
【０７３６】
一部の実施形態に従って、時間条件が満たされたとの判定に従って、取引口座を第２のデバイスから関連付けロック解除させ（例えば、要因ユニット２６５０を使用して）、取引口座を第１のデバイスと関連付けさせる（例えば、要因ユニット２６５０を使用して）。
【０７３７】
一部の実施形態に従って、取引口座を第２のデバイスと関連付けさせることは、第１のデバイスから、第２のデバイスにおいて行われることになる提案される支払いのためのそれぞれの事前承認を必要とするように取引口座を第２のデバイスにおいて制限することを含む。
【０７３８】
一部の実施形態に従って、ユーザ口座と関連付けられた複数のデバイスの表現は、電子デバイス２６００と同一のユーザ口座の下のサービスにログインされるデバイスの表現を含む。
【０７３９】
一部の実施形態に従って、ユーザ口座と関連付けられた複数のデバイスの表現は、電子デバイス２６００がサービスにログインされるユーザ口座と関連付けられたそれぞれのユーザ口座を使用してサービスにログインされるデバイスの表現を含む。
【０７４０】
一部の実施形態に従って、処理ユニット２６０８は、取引口座を第２のデバイスと関連付けさせたことに続いて、かつ取引口座を第１のデバイスから関連付けロック解除させたことに続いて、ディスプレイユニット２６０２上で、複数のデバイスであって、第１のデバイスは、取引口座と関連付けられず、第２のデバイスは、取引口座と関連付けられる、複数のデバイスの表現の表示を有効にし（例えば、表示可能化ユニット２６１０を使用して）、１つ以上の入力デバイスユニット２６０４を介して、第１のデバイスに対応するそれぞれの選択を受信し（例えば、受信ユニット２６１２を使用して）、第１のデバイスに対応するそれぞれの選択を受信したことに従って、取引口座を第２のデバイスから関連付けロック解除させ（例えば、要因ユニット２６５０を使用して）、取引口座を第１のデバイスと関連付けさせる（例えば、要因ユニット２６５０を使用して）ように更に構成されている。
【０７４１】
図１８に関連して上記説明された動作は任意選択的に、図１Ａ〜１Ｂ又は図２６に記述された構成要素によって実装される。例えば、表示動作１８０２、受信動作１８０８、要因動作１８１６、及び要因動作１８１８は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０７４２】
一部の実施形態に従って、図２７は、種々の説明された実施形態の原理に従うように構成された電子デバイス２７００の例示的な機能的ブロック図を示す。一部の実施形態に従って、電子デバイス２７００の機能的ブロックは、上記説明された技術を実行するように構成されている。デバイス２７００の機能的ブロックは任意選択的に、種々の説明された実施例の原理を実行するためにハードウェア、ソフトウェア、又はハードウェア及びソフトウェアの組み合わせで実装される。図２７で説明される機能的ブロックは任意選択的に、種々の説明された実施例の原理を実装するためにサブブロックに組み合わされ、又はそれから分離されることが当業者によって理解されよう。したがって、本明細書における説明は、本明細書で説明されている機能ブロックの任意の可能な組み合わせ若しくは分離、又は更なる定義を任意選択的にサポートする。
【０７４３】
図２７に示されるように、電子デバイス２７００は、１つ以上の口座を記憶するように構成された電子ウォレットアプリケーションユニット２７６０、任意選択的に、短距離通信を受信及び送信するように構成された１つ以上の短距離通信無線機ユニット２７０６、任意選択的に、信号を受信及び送信するように構成された１つ以上の無線機ユニット２７６４、並びに電子ウォレットアプリケーションユニット２７６０、任意選択的に、１つ以上の短距離通信無線機ユニット２７０６、及び任意選択的に、１つ以上の無線機ユニット２７６４に結合された処理ユニット２７０８を含む。一部の実施形態では、処理ユニット２７０８は、受信ユニット２７１２、要求ユニット２７１４、検出ユニット２７２８、任意選択的に、転送ユニット２７２０、送信ユニット２７２４、判定ユニット２７３６、提示ユニット２７４０、及び進行ユニット２７４８を含む。
【０７４４】
処理ユニット２７０８は、ストアドバリュー口座を使用して支払いを行うための１つ以上の支払い基準のセットが満たされたことを検出し（例えば、検出ユニット２７２８を使用して）、ストアドバリュー口座を使用して支払いを行うための１つ以上の支払い基準のセットが満たされたことを検出した（例えば、検出ユニット２７２８を使用して）ことに応じて、かつストアドバリュー口座の支払い認証情報が電子デバイス２７００の電子ウォレットアプリケーションにおいて利用可能でないとの判定に従って、電子デバイス２７００とは異なる第２のデバイスからのストアドバリュー口座の支払い認証情報を要求し（例えば、要求ユニット２７１４を使用して）、ストアドバリュー口座の支払い認証情報が第２のデバイスにおいて利用可能であるときに第２のデバイスからのストアドバリュー口座の支払い認証情報を要求する（例えば、要求ユニット２７１４を使用して）ことに続いて、ストアドバリュー口座の支払い認証情報を電子デバイス２７００において第２のデバイスから受信する（例えば、受信ユニット２７１２を使用して）ように構成されている。
【０７４５】
一部の実施形態に従って、ストアドバリュー口座の支払い認証情報は、短距離無線ネットワークを通じてデバイスツーデバイス通信を使用して電子デバイス２７００において第２のデバイスから受信される。
【０７４６】
一部の実施形態に従って、１つ以上の支払い基準のセットの第１の支払い基準は、電子デバイス２７００が支払いについての要求を受信するときに満たされる。
【０７４７】
一部の実施形態に従って、電子デバイス２７００は、１つ以上の短距離通信無線機ユニット２７０６を含み、１つ以上の支払い基準のセットの第２の支払い基準は、電子デバイス２７００が１つ以上の短距離通信無線機ユニット２７０６を使用して場を検出するときに満たされる。
【０７４８】
一部の実施形態に従って、１つ以上の支払い基準のセットの第３の支払い基準は、電子デバイス２７００が、支払いが要求されるであろうことを示すコンテキストを検出するときに満たされる。
【０７４９】
一部の実施形態に従って、１つ以上の支払い基準のセットの第４の支払い基準は、電子デバイス２７００が、ストアドバリュー口座に対応するオプションのアクティブ化を検出するときに満たされる。
【０７５０】
一部の実施形態に従って、１つ以上の支払い基準のセットの第５の支払い基準は、電子デバイス２７００が、ストアドバリュー口座が電子デバイス２７００において利用可能とするように指定されたと判定するときに満たされる。
【０７５１】
一部の実施形態に従って、ストアドバリュー口座は、第１のタイプの口座であり、１つ以上の支払い基準のセットの第６の支払い基準は、電子デバイス２７００が第１のタイプの口座を使用して支払いについての要求を受信するときに満たされる。
【０７５２】
一部の実施形態に従って、ストアドバリュー口座の支払い認証情報を第２のデバイスから受信することは、要求を第２のデバイスに送信する（例えば、送信ユニット２７２４を使用して）ことを含み、要求は、ストアドバリュー口座を識別する。
【０７５３】
一部の実施形態に従って、処理ユニット２７０８は、ストアドバリュー口座を使用して支払いを行うための１つ以上の支払い基準のセットが満たされたことを検出したこと（例えば、検出ユニット２７２８を使用して）に応じて、かつストアドバリュー口座の支払い認証情報が電子デバイス２７００の電子ウォレットアプリケーションユニット２７６０において利用可能であるとの判定に従って、ストアドバリュー口座を使用して支払いを進める（例えば、進行ユニット２７４８を使用して）ように更に構成されている。
【０７５４】
一部の実施形態に従って、処理ユニット２７０８は、ストアドバリュー口座を使用して支払いを行うための１つ以上の支払い基準のセットが満たされたことを検出したことに応じて、ストアドバリュー口座の支払い認証情報が電子デバイス２７００の電子ウォレットアプリケーションユニット２７６０において利用可能でないとの判定に従って、かつストアドバリュー口座の支払い認証情報を受信しないことに従って、ストアドバリュー口座を使用して支払いを進めることを見合わせ（例えば、進行ユニット２７４８を使用して）、ユーザにストアドバリュー口座が支払いでの使用のために利用可能でないことを示す通知を提示する（例えば、提示ユニット２７４０を使用して）ように更に構成されている。
【０７５５】
一部の実施形態に従って、処理ユニット２７０８は、ストアドバリュー口座の支払い認証情報を電子デバイス２７００において第２のデバイスから受信したことに続いて、支払いを行うために資産をストアドバリュー口座から取引端末に転送し（例えば、転送ユニット２７２０を使用して）、資産をストアドバリュー口座から取引端末に転送したことに応じて、ストアドバリュー口座の支払い認証情報を電子デバイス２７００から第２のデバイスに送信する（例えば、送信ユニット２７２４を使用して）ように更に構成されている。
【０７５６】
一部の実施形態に従って、処理ユニット２７０８は、ストアドバリュー口座の支払い認証情報を電子デバイス２７００において第２のデバイスから受信したことに続いて、支払いを行うために資産をストアドバリュー口座から取引端末に転送し（例えば、転送ユニット２７２０を使用して）、資産をストアドバリュー口座から取引端末に転送したことに応じて、ストアドバリュー口座の支払い認証情報を電子デバイス２７００から第２のデバイスに送信することを見合わせる（例えば、送信ユニット２７２４を使用して）ように更に構成されている。
【０７５７】
一部の実施形態に従って、処理ユニット２７０８は、ストアドバリュー口座の支払い認証情報を電子デバイス２７００において第２のデバイスから受信したことに続いて、第２のデバイスから、ストアドバリュー口座の支払い認証情報についての要求を受信し（例えば、受信ユニット２７１２を使用して）、ストアドバリュー口座の支払い認証情報についての要求を受信したことに応じて、ストアドバリュー口座の支払い認証情報を電子デバイス２７００から第２のデバイスに送信する（例えば、送信ユニット２７２４を使用して）ように更に更に構成されている。
【０７５８】
一部の実施形態に従って、処理ユニット２７０８は、ストアドバリュー口座の支払い認証情報を電子デバイス２７００において第２のデバイスから受信したことに続いて、予め定められたスケジュールイベント条件が満たされるかを判定し（例えば、判定ユニット２７３６を使用して）、予め定められたスケジュールイベント条件が満たされるとの判定に従って、ストアドバリュー口座の支払い認証情報を電子デバイス２７００から第２のデバイスに送信する（例えば、送信ユニット２７２４を使用して）ように更に構成されている。
【０７５９】
一部の実施形態に従って、電子デバイス２７００は、ストアドバリュー口座の支払い認証情報を第２のデバイスから受信するために第１の通信プロトコルを使用し、電子デバイス２７００は、取引端末への支払いを行うために第１の通信プロトコルとは異なる第２の通信プロトコルを使用する。
【０７６０】
一部の実施形態に従って、電子デバイス２７００は、１つ以上の無線機ユニット２７６４を含み、電子デバイス２７００は、ストアドバリュー口座の支払い認証情報を第２のデバイスから受信するために電子デバイス２７００の１つ以上の無線機ユニット２７６４の第１のセットを使用し、電子デバイス２７００は、取引端末への支払いを行うために１つ以上の無線機ユニット２７６４の第１のセットとは異なる１つ以上の無線機ユニット２７６４の第２のセットを使用する。
【０７６１】
一部の実施形態に従って、処理ユニット２７０８は、ストアドバリュー口座の支払い認証情報を電子デバイス２７００において第２のデバイスから受信したことに続いて、ストアドバリュー口座の支払い認証情報を使用して支払いを行うための認証を要求するインジケーションを提示し（例えば、提示ユニット２７４０を使用して）、認証情報を受信し（例えば、受信ユニット２７１２を使用して）、認証情報が取引を承認するために有効とされる登録された認証情報と一致するとの判定に従って、支払いを行うために資産をストアドバリュー口座から取引端末に転送する（例えば、転送ユニット２７２０を使用して）ように更に構成されている。
【０７６２】
図２０Ａ〜２０Ｂに関連して上記説明された動作は任意選択的に、図１Ａ〜１Ｂ又は図２７に記述された構成要素によって実装される。例えば、検出動作２００２、判定動作２００６、要求動作２００８、及び受信動作２０１８は任意選択的に、イベントソート部１７０、イベント認識部１８０、及びイベント処理部１９０によって実装される。イベントソート部１７０におけるイベントモニタ１７１は、タッチ感知ディスプレイ１１２上で接触を検出し、イベントディスパッチャモジュール１７４は、イベント情報をアプリケーション１３６−１に配信する。アプリケーション１３６−１のそれぞれのイベント認識部１８０は、イベント情報をそれぞれのイベント定義１８６と比較し、ユーザインタフェース上のアフォーダンスのアクティブ化など、タッチ感知面上の第１の位置における第１の接触が事前定義されたイベント又はサブイベントに対応するかを判定する。それぞれの事前定義されたイベント又はサブイベントが検出されるとき、イベント認識部１８０は、イベント又はサブイベントの検出と関連付けられたイベント処理部１９０をアクティブ化する。イベント処理部１９０は任意選択的に、アプリケーション内部状態１９２を更新するためにデータ更新部１７６又はオブジェクト更新部１７７を利用又は呼び出す。一部の実施形態では、イベント処理部１９０は、アプリケーションによって表示されるものを更新するためにそれぞれのＧＵＩ更新部１７８にアクセスする。同様に、図１Ａ〜１Ｂに記述された構成要素に基づいて他のプロセスをどのように実装することができるかが当業者にとって明白であろう。
【０７６３】
例示的な方法、非一時的コンピュータ可読記憶媒体、システム、及び電子デバイスが以下の条項１から３１９において示される。
条項１．
１つ以上の入力デバイス及び１つ以上の短距離通信無線機を有する電子デバイスにおいて、
１つ以上の短距離通信無線機によって、カードのカード口座番号を受信することであって、カードは、記憶された価値を有する、ことと、
カードの所有権を検証するための検証情報を要求することと、
１つ以上の入力デバイスを介して、カードの所有権を検証するための検証情報を含む電子デバイスのユーザからの入力を受信することと、
検証情報を検証情報と別個に受信されるカードに関する別個の情報と比較することによってカードの所有権を検証することと、
所有権の検証が成功しているとの判定に従って、
価値の転送のための価値の転送動作を実行するプロンプトを生成することと、
価値の転送動作と共に、記憶された価値のうちの少なくともいくつかをカードから電子デバイスに記憶された仮想カードに転送することと、
を含む方法。
条項２．
検証情報は、カード上に示されない情報である、条項１に記載の方法。
条項３．
カードは、ストアドバリューカードである、条項１又は２に記載の方法。
条項４．
価値の転送が成功していないとの判定に従って、
価値の転送のための価値の転送動作を実行する第２のプロンプトを生成することを更に含む、条項１から３のいずれか一項に記載の方法。
条項５．
所有権の検証が成功していないとの判定に従って、
所有権の検証が成功しなかったことを示すフィードバックを生成することを更に含む、条項１から４のいずれか一項に記載の方法。
条項６．
カードが登録されているとの判定に従って、
カードの所有権を検証するための検証情報を要求することは、カード上に示されない情報を要求することを含み、
カードが登録されていないとの判定に従って、
カードの所有権を検証するための検証情報を要求することは、カード上に示される情報を要求することを含む、
条項１から５のいずれか一項に記載の方法。
条項７．
カードが登録されていないとの判定に従って、かつカードの所有権を検証する前に、
カードの所有権を検証するための検証情報を要求することの一部として、カードのユーザにより提供される口座番号を要求することと、
カードの所有権を検証するための検証情報を含む電子デバイスのユーザからの入力を受信することの一部として、カードのユーザにより提供される口座番号を受信することと、
検証情報を別個の情報と比較することによってカードの所有権を検証することの一部として、ユーザにより提供される口座番号をカード口座番号と比較することであって、別個の情報は、カードの受信されたカード口座番号を含む、ことと、
を更に含む、条項１から６のいずれか一項に記載の方法。
条項８．
電子デバイスは、１つ以上の入力デバイスを介して、カードの所有権を検証するための検証情報を含む電子デバイスのユーザからの入力を受信する前に、カードのカード口座番号を提示しない、条項１から７のいずれか一項に記載の方法。
条項９．
カードが登録されているとの判定に従って、
カードのカード口座番号を送信することと、
別個の情報を受信することと、
を更に含む、条項１から８のいずれか一項に記載の方法。
条項１０．
カードのユーザにより提供される口座番号を受信することを見合わせることを更に含む、条項１から９のいずれか一項に記載の方法。
条項１１．
電子デバイスは、ディスプレイを含み、方法は、
記憶された価値のうちの少なくともいくつかをカードから電子デバイスに記憶された仮想カードに転送したことに続いて、
ディスプレイ上で、仮想カードのトランジットプラン情報を表示することを更に含み、トランジットプラン情報は、転送された記憶された価値のうちの少なくともいくつかに基づいている、条項１から１０のいずれか一項に記載の方法。
条項１２．
電子デバイスは、ディスプレイを含み、方法は、
記憶された価値のうちの少なくともいくつかをカードから電子デバイスに記憶された仮想カードに転送したことに続いて、
ディスプレイ上で、仮想カードの残高、仮想カードに登録された口座のユーザ名、及び仮想カードのトランジットプラン情報のうちの１つ以上を表示することを更に含む、条項１から１１のいずれか一項に記載の方法。
条項１３．
記憶された価値のうちの少なくともいくつかをカードから電子デバイスに記憶された仮想カードに転送することは、
記憶された価値をカードから除去することと、
カードを非アクティブ化する要求をサーバに送信することと、
を含む、条項１から１２のいずれか一項に記載の方法。
条項１４．
電子デバイスが別のリンクされたトランジット口座を有さないとの判定に従って、認証をチェックすることなく仮想カードの口座を使用のために利用可能とするように指定することと、
電子デバイスが１つ以上の他のリンクされたトランジット口座を有するとの判定に従って、認証をチェックすることなく仮想カードの口座を使用のために利用可能とするように指定することを見合わせることと、
を含む、条項１から１３のいずれか一項に記載の方法。
条項１５．
電子デバイスが別のリンクされたトランジット口座を有さないとの判定に従って、
認証をチェックすることなく口座を使用のために利用可能としない要望を示すユーザ入力を受信したことに従って、認証をチェックすることなく仮想カードの口座を使用のために利用可能とするように指定することを見合わせることを含む、条項１から１４のいずれか一項に記載の方法。
条項１６．
認証をチェックすることなく口座を使用のために利用可能としない要望を示すユーザ入力を受信することと、
認証をチェックすることなく口座を使用のために利用可能としない要望を示すユーザ入力を受信したことに応じて、認証をチェックすることなく仮想カードの口座を使用のために利用可能としないように指定することと、
を含む、条項１から１５のいずれか一項に記載の方法。
条項１７．
認証をチェックすることなく使用のために利用可能とする口座を選択するユーザ入力を受信することと、
認証をチェックすることなく使用のために利用可能とする口座を選択するユーザ入力を受信したことに応じて、認証をチェックすることなく選択された口座を使用のために利用可能とするように指定することと、
を含む、条項１から１６のいずれか一項に記載の方法。
条項１８．
カードのカード口座番号を受信する前に、かつカードの所有権を検証する前に、仮想カードは、デバイスに記憶される、条項１から１７のいずれか一項に記載の方法。
条項１９．
電子デバイスは、ディスプレイを含み、方法は、
記憶された価値のうちの少なくともいくつかをカードから電子デバイスに記憶された仮想カードに転送したことに続いて、
ディスプレイ上で、仮想カードの記憶された価値を表示することを更に含む、条項１から１８のいずれか一項に記載の方法。
条項２０．
１つ以上の入力デバイス及び１つ以上の短距離通信無線機を有する電子デバイスの１つ以上のプロセッサによって実行されるように構成された１つ以上のプログラムを記憶したコンピュータ可読記憶媒体であって、１つ以上のプログラムは、条項１から１９のいずれか一項に記載の方法を実行する命令を含む、コンピュータ可読記憶媒体。
条項２１．
１つ以上の入力デバイスと、
１つ以上の短距離通信無線機と、
１つ以上のプロセッサと、
１つ以上のプロセッサによって実行されるように構成された１つ以上のプログラムを記憶したメモリと、
を備え、１つ以上のプログラムは、条項１から１９のいずれか一項に記載の方法を実行する命令を含む、電子デバイス。
条項２２．
１つ以上の入力デバイスと、
１つ以上の短距離通信無線機と、
条項１から１９のいずれか一項に記載の方法を実行するための手段と、
を備える電子デバイス。
条項２３．
１つ以上の入力デバイス及び１つ以上の短距離通信無線機を有する電子デバイスの１つ以上のプロセッサによって実行されるように構成された１つ以上のプログラムを記憶した非一時的コンピュータ可読記憶媒体であって、１つ以上のプログラムは、
１つ以上の短距離通信無線機によって、カードであって、カードは、記憶された価値を有する、カードのカード口座番号を受信し、
カードの所有権を検証するための検証情報を要求し、
１つ以上の入力デバイスを介して、カードの所有権を検証するための検証情報を含む電子デバイスのユーザからの入力を受信し、
検証情報を検証情報と別個に受信されるカードに関する別個の情報と比較することによってカードの所有権を検証し、
所有権の検証が成功しているとの判定に従って、
価値の転送のための価値の転送動作を実行するプロンプトを生成し、
価値の転送動作と共に、記憶された価値のうちの少なくともいくつかをカードから電子デバイスに記憶された仮想カードに転送する、
命令を含む、非一時的コンピュータ可読記憶媒体。
条項２４．
１つ以上の入力デバイスと、
１つ以上の短距離通信無線機と、
１つ以上のプロセッサと、
１つ以上のプロセッサによって実行されるように構成された１つ以上のプログラムを記憶したメモリと、
を備え、１つ以上のプログラムは、
１つ以上の短距離通信無線機によって、カードであって、カードは、記憶された価値を有する、カードのカード口座番号を受信し、
カードの所有権を検証するための検証情報を要求し、
１つ以上の入力デバイスを介して、カードの所有権を検証するための検証情報を含む電子デバイスのユーザからの入力を受信し、
検証情報を検証情報と別個に受信されるカードに関する別個の情報と比較することによってカードの所有権を検証し、
所有権の検証が成功しているとの判定に従って、
価値の転送のための価値の転送動作を実行するプロンプトを生成し、
価値の転送動作と共に、記憶された価値のうちの少なくともいくつかをカードから電子デバイスに記憶された仮想カードに転送する、
命令を含む、電子デバイス。
条項２５．
１つ以上の入力デバイスと、
１つ以上の短距離通信無線機と、
１つ以上の短距離通信無線機によって、カードのカード口座番号を受信する手段であって、カードは、記憶された価値を有する、手段と、
カードの所有権を検証するための検証情報を要求する手段と、
１つ以上の入力デバイスを介して、カードの所有権を検証するための検証情報を含む電子デバイスのユーザからの入力を受信する手段と、
検証情報を検証情報と別個に受信されるカードに関する別個の情報と比較することによってカードの所有権を検証する手段と、
所有権の検証が成功しているとの判定に従って、
価値の転送のための価値の転送動作を実行するプロンプトを生成し、
価値の転送動作と共に、記憶された価値のうちの少なくともいくつかをカードから電子デバイスに記憶された仮想カードに転送する、
手段と、
を備える電子デバイス。
条項２６．
ディスプレイ、１つ以上の入力デバイス、及び１つ以上の短距離通信無線機を有する電子デバイスにおいて、
ストアドバリューカードの所有権を検証するための検証情報を要求することであって、ストアドバリューカードは、記憶された価値を有する、ことと、
１つ以上の入力デバイスを介して、カードの所有権を検証するための検証情報を含む電子デバイスのユーザからの入力を受信することであって、検証情報は、カード上に示されない情報を含む、ことと、
電子デバイスのディスプレイ上で、電子デバイスをストアドバリューカードの通信範囲内に配置するプロンプトを表示することと、
１つ以上の短距離通信無線機によって、識別情報をストアドバリューカードから受信することと、
検証情報を識別情報と比較することによってストアドバリューカードの所有権を検証することと、
所有権の検証が成功しているとの判定に従って、
記憶された価値のうちの少なくともいくつかをストアドバリューカードから電子デバイスに記憶された仮想カードに転送することと、
を含む方法。
条項２７．
所有権の検証が成功していないとの判定に従って、
所有権の検証が成功しなかったことを示すフィードバックを生成することと、
ストアドバリューカードの所有権を検証するための検証情報を要求することと、
を更に含む、条項２６に記載の方法。
条項２８．
記憶された価値のうちの少なくともいくつかをストアドバリューカードから電子デバイスに記憶された仮想カードに転送することは、
記憶された価値をストアドバリューカードから除去することと、
ストアドバリューカードを非アクティブ化する要求をサーバに送信することと、
を含む、条項２６又は２７に記載の方法。
条項２９．
ストアドバリューカードは、ストアドバリュートランジットカードである、条項２６から２８のいずれか一項に記載の方法。
条項３０．
仮想カードは、トランジット仮想カードである、条項２６から２９のいずれか一項に記載の方法。
条項３１．
仮想カードは、ストアドバリュー仮想カードである、条項２６から３０のいずれか一項に記載の方法。
条項３２．
検証情報は、ストアドバリューカードのカード口座番号である、条項２６から３１のいずれか一項に記載の方法。
条項３３．
電子デバイスは、１つ以上の入力デバイスを介して、カードの所有権を検証するための検証情報を含む電子デバイスのユーザからの入力を受信する前に、ストアドバリューカードのカード口座番号を提示しない、条項２６から３２のいずれか一項に記載の方法。
条項３４．
記憶された価値のうちの少なくともいくつかをストアドバリューカードから電子デバイスに記憶された仮想カードに転送したことに続いて、
ディスプレイ上で、仮想カードの記憶された価値を表示する、ことを含む、条項２６から３３のいずれか一項に記載の方法。
条項３５．
記憶された価値のうちの少なくともいくつかをストアドバリューカードから電子デバイスに記憶された仮想カードに転送したことに続いて、
仮想カードのトランジットプラン情報を表示することを更に含み、トランジットプラン情報は、転送された記憶された価値のうちの少なくともいくつかに基づいている、条項２６から３４のいずれか一項に記載の方法。
条項３６．
記憶された価値のうちの少なくともいくつかをストアドバリューカードから電子デバイスに記憶された仮想カードに転送したことに続いて、
仮想カードの残高、仮想カードに登録された口座のユーザ名、及び仮想カードのトランジットプラン情報のうちの１つ以上を表示することを更に含む、条項２６から３５のいずれか一項に記載の方法。
条項３７．
検証情報は、ストアドバリューカードの登録されたユーザに個人的な情報である、条項２６から３６のいずれか一項に記載の方法。
条項３８．
電子デバイスが別のリンクされたトランジット口座を有さないとの判定に従って、認証をチェックすることなく仮想カードの口座を使用のために利用可能とするように指定することと、
電子デバイスが１つ以上の他のリンクされたトランジット口座を有するとの判定に従って、認証をチェックすることなく仮想カードの口座を使用のために利用可能とするように指定することを見合わせることと、
を含む、条項２６から３７のいずれか一項に記載の方法。
条項３９．
電子デバイスが別のリンクされたトランジット口座を有さないとの判定に従って、
認証をチェックすることなく口座を使用のために利用可能としない要望を示すユーザ入力を受信したことに従って、認証をチェックすることなく仮想カードの口座を使用のために利用可能とするように指定することを見合わせることを含む、条項２６から３８のいずれか一項に記載の方法。
条項４０．
認証をチェックすることなく口座を使用のために利用可能としない要望を示すユーザ入力を受信することと、
認証をチェックすることなく口座を使用のために利用可能としない要望を示すユーザ入力を受信したことに応じて、認証をチェックすることなく仮想カードの口座を使用のために利用可能としないように指定することと、
を含む、条項２６から３９のいずれか一項に記載の方法。
条項４１．
認証をチェックすることなく使用のために利用可能とする口座を選択するユーザ入力を受信することと、
認証をチェックすることなく使用のために利用可能とする口座を選択するユーザ入力を受信したことに応じて、認証をチェックすることなく選択された口座を使用のために利用可能とするように指定することと、
を含む、条項２６から４０のいずれか一項に記載の方法。
条項４２．
カードのカード口座番号を受信する前に、かつカードの所有権を検証する前に、仮想カードは、電子デバイスに記憶される、条項２６から４１のいずれか一項に記載の方法。
条項４３．
ディスプレイ、１つ以上の短距離通信無線機、及び１つ以上の入力デバイスを有する電子デバイスの１つ以上のプロセッサによって実行されるように構成された１つ以上のプログラムを記憶したコンピュータ可読記憶媒体であって、１つ以上のプログラムは、条項２６から４２のいずれか一項に記載の方法を実行する命令を含む、コンピュータ可読記憶媒体。
条項４４．
ディスプレイと、
１つ以上の短距離通信無線機と、
１つ以上の入力デバイスと、
１つ以上のプロセッサと、
１つ以上のプロセッサによって実行されるように構成された１つ以上のプログラムを記憶したメモリと、
を備え、１つ以上のプログラムは、条項２６から４２のいずれか一項に記載の方法を実行する命令を含む、電子デバイス。
条項４５．
ディスプレイと、
１つ以上の短距離通信無線機と、
１つ以上の入力デバイスと、
条項２６から４２のいずれか一項に記載の方法を実行するための手段と、
を備える電子デバイス。
条項４６．
ディスプレイ、１つ以上の短距離通信無線機、及び１つ以上の入力デバイス有する電子デバイスの１つ以上のプロセッサによって実行されるように構成された１つ以上のプログラムを記憶した非一時的コンピュータ可読記憶媒体であって、１つ以上のプログラムは、
ストアドバリューカードであって、ストアドバリューカードは、記憶された価値を有する、ストアドバリューカードの所有権を検証するための検証情報を要求し、
１つ以上の入力デバイスを介して、カードの所有権を検証するための検証情報であって、検証情報は、カード上に示されない情報を含む、検証情報を含む電子デバイスのユーザからの入力を受信し、
電子デバイスのディスプレイ上で、電子デバイスをストアドバリューカードの通信範囲内に配置するプロンプトを表示し、
１つ以上の短距離通信無線機によって、識別情報をストアドバリューカードから受信し、
検証情報を識別情報と比較することによってストアドバリューカードの所有権を検証し、
所有権の検証が成功しているとの判定に従って、
記憶された価値のうちの少なくともいくつかをストアドバリューカードから電子デバイスに記憶された仮想カードに転送する、
命令を含む、非一時的コンピュータ可読記憶媒体。
条項４７．
ディスプレイと、
１つ以上の短距離通信無線機と、
１つ以上の入力デバイスと、
１つ以上のプロセッサと、
１つ以上のプロセッサによって実行されるように構成された１つ以上のプログラムを記憶したメモリと、
を備え、１つ以上のプログラムは、
ストアドバリューカードであって、ストアドバリューカードは、記憶された価値を有する、ストアドバリューカードの所有権を検証するための検証情報を要求し、
１つ以上の入力デバイスを介して、カードの所有権を検証するための検証情報であって、検証情報は、カード上に示されない情報を含む、検証情報を含む電子デバイスのユーザからの入力を受信し、
電子デバイスのディスプレイ上で、電子デバイスをストアドバリューカードの通信範囲内に配置するプロンプトを表示し、
１つ以上の短距離通信無線機によって、識別情報をストアドバリューカードから受信し、
検証情報を識別情報と比較することによってストアドバリューカードの所有権を検証し、
所有権の検証が成功しているとの判定に従って、
記憶された価値のうちの少なくともいくつかをストアドバリューカードから電子デバイスに記憶された仮想カードに転送する、
命令を含む、電子デバイス。
条項４８．
ディスプレイと、
１つ以上の短距離通信無線機と、
１つ以上の入力デバイスと、
ストアドバリューカードの所有権を検証するための検証情報を要求する手段であって、ストアドバリューカードは、記憶された価値を有する、手段と、
１つ以上の入力デバイスを介して、カードの所有権を検証するための検証情報を含む電子デバイスのユーザからの入力を受信する手段であって、検証情報は、カード上に示されない情報を含む、手段と、
電子デバイスのディスプレイ上で、電子デバイスをストアドバリューカードの通信範囲内に配置するプロンプトを表示する手段と、
１つ以上の短距離通信無線機によって、識別情報をストアドバリューカードから受信する手段と、
検証情報を識別情報と比較することによってストアドバリューカードの所有権を検証する手段と、
所有権の検証が成功しているとの判定に従って、
記憶された価値のうちの少なくともいくつかをストアドバリューカードから電子デバイスに記憶された仮想カードに転送する手段と、
を備える電子デバイス。
条項４９．
ディスプレイ及び１つ以上の入力デバイスを有する電子デバイスにおいて、
ディスプレイ上で、アクティブ化可能な追加−価値オプションを含むストアドバリュー口座の表現を表示することであって、電子デバイスは、ストアドバリュー口座及び支払い口座を含む電子ウォレットアプリケーションを有する、ことと、
ストアドバリュー口座の表現を表示する間、１つ以上の入力デバイスを介して、追加−価値オプションのアクティブ化を検出することと、
１つ以上の入力デバイスを介して、電子ウォレットアプリケーションの支払い口座を使用して価値をストアドバリュー口座に追加するための積立−口座オプションのアクティブ化を検出することと、
資産を支払い口座からストアドバリュー口座に追加するための提案される取引を表示する間、認証情報を電子デバイスにおいて受信することと、
認証情報を受信したことに応じて、かつ認証情報が支払い口座を使用して支払い取引を実行するための登録された認証情報と一致するとの判定に従って、支払い口座を使用して価値をストアドバリュー口座に追加することと、
を含む方法。
条項５０．
認証情報を受信したことに応じて、かつ認証情報が支払い口座を使用して支払い取引を実行するための登録された認証情報と一致しないとの判定に従って、支払い口座を使用して価値をストアドバリュー口座に追加することを見合わせることを含む、条項４９に記載の方法。
条項５１．
認証情報を受信する前に、価値を支払い口座からストアドバリュー口座に追加するための承認を提供するプロンプトを生成することを含む、条項４９又は５０に記載の方法。
条項５２．
ストアドバリュー口座の表現は、ストアドバリュー口座の現在の残高を含む、条項４９から５１のいずれか一項に記載の方法。
条項５３．
支払い口座を使用して価値をストアドバリュー口座に追加したことに続いて、ストアドバリュー口座に追加された価値を反映するようにストアドバリュー口座の現在の残高の表示を更新することを更に含む、条項５２に記載の方法。
条項５４．
ディスプレイ上で、アクティブ化可能な追加−価値オプションを含まない第２の支払い口座の表現を表示することを更に含む、条項４９から５３のいずれか一項に記載の方法。
条項５５．
ディスプレイ上で、支払い口座を使用して価値をストアドバリュー口座に追加するユーザ入力のためのユーザインタフェースを表示することであって、価値を追加するユーザ入力のためのユーザインタフェースは、
仮想数字キーパッドと、
１つ以上の提案額と、
ストアドバリュー口座の現在の残高と、
を同時に含む、ことと、
支払い口座を使用して価値をストアドバリュー口座に追加するための額の入力を仮想数字キーパッドにおいて受信することと、
入力を仮想数字キーパッドにおいて受信したことに応じて、仮想数字キーパッドにおける受信された入力に基づいて、１つ以上の提案額の表示を更新することと、
を更に含む、条項４９から５４のいずれか一項に記載の方法。
条項５６．
仮想数字キーパッドにおける受信された入力は、支払い口座を使用して価値をストアドバリュー口座に追加するための最大の許容可能な額を超える額に対応し、
仮想数字キーパッドにおける受信された入力に基づいて、１つ以上の提案額の表示を更新することは、最大の許容可能な額を反映するように１つ以上の提案額のうちの１つの表示を更新することを含む、条項５５に記載の方法。
条項５７．
１つ以上の提案額のうちの少なくとも１つは、支払い口座を使用して価値をストアドバリュー口座に追加するために使用された前の額に基づいている、条項５５又は５６に記載の方法。
条項５８．
１つ以上の提案額のうちの少なくとも１つは、当月の当日に基づいている、条項５５から５７のいずれか一項に記載の方法。
条項５９．
支払い口座を使用して価値をストアドバリュー口座に追加するユーザ入力のためのユーザインタフェースは、ストアドバリュー口座に対応するカードのグラフィカル描写を更に同時に含み、
仮想数字キーパッドにおける受信された入力は、支払い口座を使用して価値をストアドバリュー口座に追加するための最大の許容可能な額を超える額に対応し、
入力を仮想数字キーパッドにおいて受信したことに応じて、ある期間の間に振動させるためにストアドバリュー口座に対応するカードのグラフィカル描写をアニメーション化することを含む、条項５５から５８のいずれか一項に記載の方法。
条項６０．
価値をストアドバリュー口座に追加するために選択された額のユーザ入力を受信することと、
選択された額のユーザ入力を受信したことに応じて、ディスプレイ上で、認証を要求するユーザインタフェースを表示することと、
を含む、条項４９から５９のいずれか一項に記載の方法。
条項６１．
ストアドバリュー口座は、トランジット口座である、条項４９から６０のいずれか一項に記載の方法。
条項６２．
ストアドバリュー口座は、ギフトカード口座である、条項４９から６１のいずれか一項に記載の方法。
条項６３．
支払い口座を使用して価値をストアドバリュー口座に追加することは、支払い口座を使用して価値をストアドバリュー口座に追加するための繰り返し発生する取引の一部である、条項４９から６２のいずれか一項に記載の方法。
条項６４．
ストアドバリュー口座の現在の残高が最小の残高通知レベルを下回ることを検出することと、
ストアドバリュー口座の現在の残高が最小の残高通知レベルを下回ることを検出したことに応じて、ストアドバリュー口座の現在の残高が最小の残高通知レベルを下回ることの通知を生成することと、
を含む、条項４９から６３のいずれか一項に記載の方法。
条項６５．
通知をアクティブ化するユーザ入力を受信することと、
通知をアクティブ化するユーザ入力を受信したことに応じて、ディスプレイ上で、支払い口座を使用して価値をストアドバリュー口座に追加するユーザ入力のためのユーザインタフェースを表示することと、
を含む、条項６４に記載の方法。
条項６６．
ストアドバリュー口座は、トランジット口座であり、
ストアドバリュー口座の表現は、
トランジット口座と関連付けられたトランジットプランのインジケーションと、
トランジットプランの有効日のインジケーションと、
を含む、条項４９から６１及び６３から６５のいずれか一項に記載の方法。
条項６７．
ストアドバリュー口座は、トランジット口座であり、方法は、
ディスプレイ上で、支払い口座を使用してトランジット口座に積み立てるためのユーザインタフェースを表示することを更に含み、トランジット口座に積み立てるためのユーザインタフェースは、
１つ以上の提案額と、
推薦されるトランジットプランの開始日及び終了日と、
を同時に含む、条項４９から６１及び６３から６６のいずれか一項に記載の方法。
条項６８．
ストアドバリュー口座は、トランジット口座であり、方法は、
ストアドバリュー口座のトランジットプランが更新期日であるとの判定に従って、ストアドバリュー口座のトランジットプランが更新期日であることを示す通知を生成することを更に含む、条項４９から６１及び６３から６７のいずれか一項に記載の方法。
条項６９．
ストアドバリュー口座は、トランジット口座であり、方法は、
トランジット駅への近接性を検出することと、
１つ以上のコンテキスト要因に基づいて予想される目的地を判定することと、
ストアドバリュー口座がトランジット駅から予想される目的地に旅行するための十分な資産を有しないとの判定に従って、ストアドバリュー口座がトランジット駅から予想される目的地に旅行するための十分な資産を有しないとの通知を生成することと、
を更に含み、
アクティブ化可能な追加−価値オプションを含むストアドバリュー口座の表現を表示することは、ストアドバリュー口座が十分な資産を有しないとの通知のアクティブ化を検出したことに応じている、条項４９から６１及び６３から６８のいずれか一項に記載の方法。
条項７０．
ディスプレイ及び１つ以上の入力デバイスを有する電子デバイスの１つ以上のプロセッサによって実行されるように構成された１つ以上のプログラムを記憶したコンピュータ可読記憶媒体であって、１つ以上のプログラムは、条項４９から６９のいずれか一項に記載の方法を実行する命令を含む、コンピュータ可読記憶媒体。
条項７１．
ディスプレイと、
１つ以上の入力デバイスと、
１つ以上のプロセッサと、
１つ以上のプロセッサによって実行されるように構成された１つ以上のプログラムを記憶したメモリと、
を備え、１つ以上のプログラムは、条項４９から６９のいずれか一項に記載の方法を実行する命令を含む、電子デバイス。
条項７２．
ディスプレイと、
１つ以上の入力デバイスと、
条項４９から６９のいずれか一項に記載の方法を実行するための手段と、
を備える電子デバイス。
条項７３．
ディスプレイ及び１つ以上の入力デバイス有する電子デバイスの１つ以上のプロセッサによって実行されるように構成された１つ以上のプログラムを記憶した非一時的コンピュータ可読記憶媒体であって、１つ以上のプログラムは、
ディスプレイ上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現を表示し、
ストアドバリュー口座の表現を表示する間、１つ以上の入力デバイスを介して、追加−価値オプションのアクティブ化を検出し、
１つ以上の入力デバイスを介して、電子ウォレットアプリケーションの支払い口座を使用して価値をストアドバリュー口座に追加するための積立−口座オプションのアクティブ化を検出し、
資産を支払い口座からストアドバリュー口座に追加するための提案される取引を表示する間、認証情報を電子デバイスにおいて受信し、
認証情報を受信したことに応じて、かつ認証情報が支払い口座を使用して支払い取引を実行するための登録された認証情報と一致するとの判定に従って、支払い口座を使用して価値をストアドバリュー口座に追加する、
命令を含む、非一時的コンピュータ可読記憶媒体。
条項７４．
電子デバイスであって、
ディスプレイと、
１つ以上の入力デバイスと、
１つ以上のプロセッサと、
１つ以上のプロセッサによって実行されるように構成された１つ以上のプログラムを記憶したメモリと、
を備え、１つ以上のプログラムは、
ディスプレイ上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現を表示し、
ストアドバリュー口座の表現を表示する間、１つ以上の入力デバイスを介して、追加−価値オプションのアクティブ化を検出し、
１つ以上の入力デバイスを介して、電子ウォレットアプリケーションの支払い口座を使用して価値をストアドバリュー口座に追加するための積立−口座オプションのアクティブ化を検出し、
資産を支払い口座からストアドバリュー口座に追加するための提案される取引を表示する間、認証情報を電子デバイスにおいて受信し、
認証情報を受信したことに応じて、かつ認証情報が支払い口座を使用して支払い取引を実行するための登録された認証情報と一致するとの判定に従って、支払い口座を使用して価値をストアドバリュー口座に追加する、
ための取引を含む、電子デバイス。
条項７５．
電子デバイスであって、
ディスプレイと、
１つ以上の入力デバイスと、
ディスプレイ上で、アクティブ化可能な追加−価値オプションを含むストアドバリュー口座の表現を表示する手段であって、電子デバイスは、ストアドバリュー口座及び支払い口座を含む電子ウォレットアプリケーションを有する、手段と、
ストアドバリュー口座の表現を表示する間、１つ以上の入力デバイスを介して、追加−価値オプションのアクティブ化を検出する手段と、
１つ以上の入力デバイスを介して、電子ウォレットアプリケーションの支払い口座を使用して価値をストアドバリュー口座に追加するための積立−口座オプションのアクティブ化を検出する手段と、
資産を支払い口座からストアドバリュー口座に追加するための提案される取引を表示する間、認証情報を電子デバイスにおいて受信する手段と、
認証情報を受信したことに応じて、かつ認証情報が支払い口座を使用して支払い取引を実行するための登録された認証情報と一致するとの判定に従って、支払い口座を使用して価値をストアドバリュー口座に追加する手段と、
を備える電子デバイス。
条項７６．
ディスプレイ、１つ以上の短距離通信無線機、及びストアドバリュー口座を含む電子ウォレットアプリケーションを有する電子デバイスにおいて、
ディスプレイ上で、ストアドバリュー口座の利用可能なクレジットのインジケーションを表示することと、
１つ以上の短距離通信無線機を使用して、ストアドバリュー口座の認証情報を電子デバイスとは別個の非接触取引端末に転送することと、
１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換えることと、
を含む方法。
条項７７．
ストアドバリュー口座は、ストアドバリュートランジット口座である、条項７６に記載の方法。
条項７８．
ディスプレイ上で、ストアドバリュー口座の利用可能なクレジットのインジケーションを表示することは、
ディスプレイ上の第１の位置において、ストアドバリュー口座の利用可能なクレジットのインジケーションを表示することを含み、
利用可能なクレジットのインジケーションの表示を非接触取引端末への認証情報の転送に対応する取引のインジケーションの表示に置き換えることは、
ディスプレイ上の第２の位置において、利用可能なクレジットのインジケーションを表示することであって、第２の位置は、第１の位置とは異なる、ことと、
ディスプレイ上の第１の位置において、非接触取引端末への認証情報の転送に対応する取引のインジケーションを表示することと、
を含む、条項７６又は７７に記載の方法。
条項７９．
利用可能なクレジットのインジケーションの表示を非接触取引端末への認証情報の転送に対応する取引のインジケーションの表示に置き換えることは、
ディスプレイ上で第１の方向に、利用可能なクレジットのインジケーションを第１の位置から第１の位置とは異なる第２の位置にスライドさせることと、
ディスプレイ上に第１の方向で、非接触取引端末への認証情報の転送に対応する取引のインジケーションをスライドさせることと、
を同時に含む、条項７６から７８のいずれか一項に記載の方法。
条項８０．
ストアドバリュー口座の認証情報を非接触取引端末に転送したことに応じて、ディスプレイ上で、
利用可能なクレジットのインジケーションと、
非接触取引端末への認証情報の転送に対応する取引のインジケーションと、
非接触取引端末へのストアドバリュー口座の認証情報の転送が完了したことのインジケーションと、
を同時に表示することを含む、条項７６から７９のいずれか一項に記載の方法。
条項８１．
ストアドバリュー口座の認証情報を使用して取引が実行されたとの判定は、ストアドバリュー口座の利用可能なクレジットが変更されたことを検出することを含む、条項７６から８０のいずれか一項に記載の方法。
条項８２．
利用可能なクレジットのインジケーションの表示を非接触取引端末への認証情報の転送に対応する取引のインジケーションの表示に置き換えることは、ストアドバリュー口座の利用可能なクレジットが変更されたことを検出したことに応じている、条項７６から８１のいずれか一項に記載の方法。
条項８３．
認証情報の転送を反映するように利用可能なクレジットのインジケーションを更新することを含む、条項７６から８２のいずれか一項に記載の方法。
条項８４．
ディスプレイ上で、利用可能なクレジットのインジケーション及び認証情報の転送に対応する取引のインジケーションと共にストアドバリュー口座のグラフィカル描写を同時に表示することを含む、条項７６から８３のいずれか一項に記載の方法。
条項８５．
１つ以上の短距離通信無線機を使用して、ストアドバリュー口座の認証情報を非接触取引端末に転送する前に、かつ利用可能なクレジットのインジケーションの表示を認証情報の転送に対応する取引のインジケーションの表示に置き換える前に、
ストアドバリュー口座の認証情報を非接触取引端末に転送するための認証を要求するインジケーションを提示することと、
認証情報を受信することと、
を含み、ストアドバリュー口座の認証情報を非接触取引端末に転送することは、認証情報が取引を承認するために有効とされる登録された認証情報と一致するとの判定に従っている、条項７６から８４のいずれか一項に記載の方法。
条項８６．
１つ以上の短距離通信無線機を使用して、ストアドバリュー口座の認証情報を非接触取引端末に転送したことに続いて、ディスプレイ上で、取引の履歴を表示することを含み、取引の履歴は、トランジットトリップの１つ以上の表現を含む、条項７６から８５のいずれか一項に記載の方法。
条項８７．
表示された取引の履歴は、トランジットプランによってカバーされているものとして示されるトランジットトリップの１つ以上の表現を含む、条項８６に記載の方法。
条項８８．
表示された取引の履歴は、進行しているトランジットトリップの１つ以上の表現を含み、進行しているトランジットトリップの１つ以上の表現は、１つ以上のトランジットトリップが進行していることを示す表示された状態インジケーションを含む、条項８６又は８７に記載の方法。
条項８９．
進行しているトランジットトリップのインジケーションは、取引の履歴のリストの最上部にあり、方法は、
進行しているトランジットトリップのインジケーションを含む取引の履歴を取引の履歴のリストの最上部において表示したことに続いて、１つ以上の短距離通信無線機を使用して、ストアドバリュー口座の認証情報を非トランジット取引のために第２の非接触取引端末に転送することと、
進行しているトランジットトリップのインジケーションの表示を取引の履歴のリストにおいて移動させ、非トランジット取引のインジケーションを進行しているトランジットトリップのインジケーションによって前に占有されていた位置において表示することと、
１つ以上の短距離通信無線機を使用して、トリップを終了させるためにストアドバリュー口座の認証情報を進行しているトランジットトリップのために第３の非接触取引端末に転送することと、
ストアドバリュー口座の認証情報を進行しているトランジットトリップのために第３の非接触取引端末に転送したことに応じて、
進行していたトランジットトリップのインジケーションの表示を取引の履歴のリストの最上部に移動させることに対応するために非トランジット取引のインジケーションの表示を移動させることと、
を更に含む、条項８８に記載の方法。
条項９０．
デバイス状態ユーザインタフェースを表示する要求を受信することと、
デバイス状態ユーザインタフェースを表示する要求を受信したことに応じて、デバイス状態ユーザインタフェースを表示することであって、
デバイスが進行しているトランジットトリップのためにストアドバリュー口座を使用しているとの判定に従って、進行しているトランジットトリップのためにトランジット口座の使用に関する情報をデバイス状態ユーザインタフェースに表示することと、
デバイスが進行しているトランジットトリップのためにストアドバリュー口座を使用していないとの判定に従って、トランジットトリップのためにトランジット口座に関する情報を表示することなくデバイス状態ユーザインタフェースを表示することと、
を含む、ことと、
を含む、条項７６から８９のいずれか一項に記載の方法。
条項９１．
進行しているトランジットトリップのためにストアドバリュー口座を使用する間、ストアドバリュー口座の認証情報を非接触取引端末に転送したことに従って、ストアドバリュー口座がトランジットシステムに使用されていることに従って、かつ電子デバイスがロック状態にあることに従って、
ディスプレイのロックスクリーン上で、ストアドバリュー口座のインジケーションを表示することを含む、条項７６から８９のいずれか一項に記載の方法。
条項９２．
ストアドバリュー口座のインジケーションのアクティブ化を検出することと、
ストアドバリュー口座のインジケーションのアクティブ化を検出したことに応じて、ストアドバリュー口座が使用された最近の取引に関する情報を含むストアドバリュー口座のためのカード詳細ビューを表示することと、
を含む、条項８９から９１のいずれか一項に記載の方法。
条項９３．
ストアドバリュー口座のインジケーションのアクティブ化を検出することと、
ストアドバリュー口座のインジケーションのアクティブ化を検出したことに応じて、仮想搭乗パスを表示することと、
を含み、仮想搭乗パスは、ストアドバリュー口座と関連付けられた進行しているトランジットトリップに関する１つ以上の詳細を含む、条項８９から９１のいずれか一項に記載の方法。
条項９４．
ディスプレイ、１つ以上の短距離通信無線機、及びストアドバリュー口座を含む電子ウォレットアプリケーションを有する電子デバイスの１つ以上のプロセッサによって実行されるように構成された１つ以上のプログラムを記憶したコンピュータ可読記憶媒体であって、１つ以上のプログラムは、条項７６から９３のいずれか一項に記載の方法を実行する命令を含む、コンピュータ可読記憶媒体。
条項９５．
ディスプレイと、
１つ以上の短距離通信無線機と、
ストアドバリュー口座を含む電子ウォレットアプリケーションと、
１つ以上のプロセッサと、
１つ以上のプロセッサによって実行されるように構成された１つ以上のプログラムを記憶したメモリと、
を備え、１つ以上のプログラムは、条項７６から９３のいずれか一項に記載の方法を実行する命令を含む、電子デバイス。
条項９６．
ディスプレイと、
１つ以上の短距離通信無線機と、
ストアドバリュー口座を含む電子ウォレットアプリケーションと、
条項７６から９３のいずれか一項に記載の方法を実行するための手段と、
を備える電子デバイス。
条項９７．
ディスプレイ、１つ以上の短距離通信無線機、及びストアドバリュー口座を含む電子ウォレットアプリケーション有する電子デバイスの１つ以上のプロセッサによって実行されるように構成された１つ以上のプログラムを記憶した非一時的コンピュータ可読記憶媒体であって、１つ以上のプログラムは、
ディスプレイ上で、ストアドバリュー口座の利用可能なクレジットのインジケーションを表示し、
１つ以上の短距離通信無線機を使用して、ストアドバリュー口座の認証情報を電子デバイスとは別個の非接触取引端末に転送し、
１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、
命令を含む、非一時的コンピュータ可読記憶媒体。
条項９８．
ディスプレイと、
１つ以上の短距離通信無線機と、
ストアドバリュー口座を含む電子ウォレットアプリケーションと、
１つ以上のプロセッサと、
１つ以上のプロセッサによって実行されるように構成された１つ以上のプログラムを記憶したメモリと、
を備え、１つ以上のプログラムは、
ディスプレイ上で、ストアドバリュー口座の利用可能なクレジットのインジケーションを表示し、
１つ以上の短距離通信無線機を使用して、ストアドバリュー口座の認証情報を電子デバイスとは別個の非接触取引端末に転送し、
１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、
命令を含む、電子デバイス。
条項９９．
ディスプレイと、
１つ以上の短距離通信無線機と、
ストアドバリュー口座を含む電子ウォレットアプリケーションと、
ディスプレイ上で、ストアドバリュー口座の利用可能なクレジットのインジケーションを表示する手段と、
１つ以上の短距離通信無線機を使用して、ストアドバリュー口座の認証情報を電子デバイスとは別個の非接触取引端末に転送する手段と、
１つ以上の短距離通信無線機を使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える手段と、
を備える電子デバイス。
条項１００．
１つ以上の短距離通信無線機及び第１の口座を含む口座情報アプリケーションを有する電子デバイスにおいて、
１つ以上の短距離通信無線機によって、無線信号を検出することと、
無線信号が第１のタイプの要求に対応するとの判定に従って、認証をチェックすることなく第１の口座に対応する情報を送信することと、
無線信号が第２のタイプの要求に対応するとの判定に従って、無線信号に対応する取引を進める前に認証をチェックすることと、
を含む方法。
条項１０１．
第１のタイプの要求は、口座情報の送信が認証なしに自動的に利用可能とすることが事前に承認されたタイプの要求であり、
第２のタイプの要求は、口座情報の送信が認証なしに自動的に利用可能とすることが事前に承認されていないタイプの要求である、条項１００に記載の方法。
条項１０２．
第１の口座は、ストアドバリュー口座である、条項１００又は１０１に記載の方法。
条項１０３．
認証をチェックすることなく第１の口座に対応する情報を送信することは、１つ以上の短距離通信無線機によって、無線信号を検出したことに続いてユーザ入力を必要とすることなく第１の口座に対応する情報を送信することを含む、条項１００から１０２のいずれか一項に記載の方法。
条項１０４．
口座情報アプリケーションは、第１の口座とは異なる第２の口座を含む、条項１００から１０３のいずれか一項に記載の方法。
条項１０５．
認証をチェックすることは、
認証を要求するインジケーションを提示することと、
認証情報を受信することと、
認証情報が取引を承認するために有効とされる登録された認証情報と一致するとの判定に従って、取引を進めることと、
を含む、条項１００から１０４のいずれか一項に記載の方法。
条項１０６．
取引を進めることは、
第１の口座に対応する情報を送信することを含む、条項１０５に記載の方法。
条項１０７．
取引を進めることは、
第１の口座とは異なる第２の口座に対応する情報を送信することを含む、条項１０５に記載の方法。
条項１０８．
無線信号が第１のタイプの要求に対応するとの判定に従って、
認証を要求するいずれのインジケーションを提示することを見合わせることを更に含む、条項１００から１０７のいずれか一項に記載の方法。
条項１０９．
第１の口座は、口座情報アプリケーションによって記憶された複数のトランジット口座のうちの１つであり、口座情報アプリケーションは、トランジット口座でない１つ以上の追加的な口座を記憶し、方法は、
１つ以上の短距離通信無線機によって、無線信号を検出する前に、
認証をチェックすることなく第１の口座を使用のために利用可能とする口座として選択するユーザ入力を受信することと、
認証をチェックすることなく第１の口座を使用のために利用可能とする口座として選択するユーザ入力を受信したことに応じて、認証をチェックすることなく第１の口座を使用のために利用可能とするように指定することと、
を更に含む、条項１００から１０８のいずれか一項に記載の方法。
条項１１０．
第１の口座は、識別口座である、条項１００から１０９のいずれか一項に記載の方法。
条項１１１．
電子デバイスは、無線信号を検出する前にロック状態にあり、認証をチェックすることなく第１の口座に対応する情報を送信する間にロック状態に留まり続ける、条項１００から１１０のいずれか一項に記載の方法。
条項１１２．
第１の口座に対応する情報は、第１の口座の口座番号を含む、条項１００から１１１のいずれか一項に記載の方法。
条項１１３．
第１の口座は、ストアドバリュー口座であり、第１の口座に対応する情報は、第１の口座からの資産を含む、条項１００から１１２のいずれか一項に記載の方法。
条項１１４．
第１の口座は、支払い口座であり、第１の口座に対応する情報は、第１の口座の支払い口座情報を含む、条項１００から１１２のいずれか一項に記載の方法。
条項１１５．
第１の口座は、トランジットコミュータ口座であり、第１の口座に対応する情報は、第１の口座のトランジットパス情報を含む、条項１００から１１２のいずれか一項に記載の方法。
条項１１６．
第１の口座は、ストアドバリュー口座であり、第１の口座に対応する情報は、第１の口座の口座番号を含み、方法は、
１つ以上の短距離通信無線機によって、資産の額についての要求を含む第２の無線信号を検出することと、
第２の無線信号が第１のタイプの要求に対応するとの判定に従って、認証をチェックすることなく第１の口座からの資産を送信することと、
を更に含む、条項１００から１１１のいずれか一項に記載の方法。
条項１１７．
第１の口座に対応する情報は、第１の口座の口座番号を含み、方法は、
１つ以上の短距離通信無線機によって、資産の額についての要求を含む第２の無線信号を検出することと、
第２の無線信号が第１のタイプの要求に対応するとの判定に従って、
資産の要求された額が事前に承認された取引額を超えないとの判定に従って、認証をチェックすることなく第１の口座からの資産を送信することと、
資産の要求された額が事前に承認された取引額を超えるとの判定に従って、
資産の要求された額が予想されるコストに対応しないことを示すフィードバックを生成することと、
取引を進めるために認証をチェックすることと、
を更に含む、条項１００から１１１のいずれか一項に記載の方法。
条項１１８．
第２の無線信号が第１のタイプの要求に対応するとの判定に従って、
資産の要求された額が事前に承認された取引額を超えるとの判定に従って、
第２の認証情報を受信することと、
第２の認証情報が取引を承認するために有効とされる登録された認証情報と一致するとの判定に従って、取引を進めることと、
第２の認証情報が取引を承認するために有効とされる登録された認証情報と一致しないとの判定に従って、取引を進めることを見合わせることと、
を更に含む、条項１１７に記載の方法。
条項１１９．
無線信号が第１のタイプの要求に対応するとの判定は、無線信号が電子デバイスによって検出されたときの時間に対応する電子デバイスのコンテキスト情報に基づいている、条項１００から１１８のいずれか一項に記載の方法。
条項１２０．
無線信号が第１のタイプの要求に対応するとの判定は、１つ以上のコンテキスト条件のセットが満たされたとの判定を含み、１つ以上のコンテキスト条件の第１のコンテキスト条件は、無線信号の内容が予め定められた値を含むときに満たされる、条項１００から１１９のいずれか一項に記載の方法。
条項１２１．
無線信号が第１のタイプの要求に対応するとの判定は、１つ以上のコンテキスト条件のセットが満たされたとの判定を含み、１つ以上のコンテキスト条件の第２のコンテキスト条件は、無線信号が電子デバイスによって検出されたときの時間に対応する電子デバイスの物理的位置が予め定められた位置に対応するときに満たされる、条項１００から１２０のいずれか一項に記載の方法。
条項１２２．
無線信号が第１のタイプの要求に対応するとの判定は、１つ以上のコンテキスト条件のセットが満たされたとの判定を含み、１つ以上のコンテキスト条件の第３のコンテキスト条件は、電子デバイスが無線信号とは異なる１つ以上の無線信号の範囲内にあるときに満たされる、条項１００から１２１のいずれか一項に記載の方法。
条項１２３．
無線信号が第１のタイプの要求に対応するとの判定は、１つ以上のコンテキスト条件のセットが満たされたとの判定を含み、１つ以上のコンテキスト条件の第４のコンテキスト条件は、無線信号が資産閾値を超えない資産の額についての要求を含むときに満たされる、条項１００から１２２のいずれか一項に記載の方法。
条項１２４．
無線信号が第１のタイプの要求に対応するとの判定は、１つ以上のロック解除条件のセットが満たされたとの判定を含み、１つ以上のロック解除条件のセットの第１のロック解除条件は、電子デバイスが前の時間内にロック解除されたときに満たされる、条項１００から１２３のいずれか一項に記載の方法。
条項１２５．
無線信号が第１のタイプの要求に対応するとの判定は、１つ以上のロック解除条件のセットが満たされたとの判定を含み、１つ以上のロック解除条件のセットの第２のロック解除条件は、電子デバイスが、無線信号が検出される日の予め定められた日時の後にロック解除されたときに満たされる、条項１００から１２４のいずれか一項に記載の方法。
条項１２６．
無線信号が第１のタイプの要求に対応するとの判定は、１つ以上のロック解除条件のセットが満たされたとの判定を含み、１つ以上のロック解除条件のセットの第３のロック解除条件は、電子デバイスが再起動の後にロック解除されたときに満たされる、条項１００から１２５のいずれか一項に記載の方法。
条項１２７．
１つ以上の短距離通信無線機及び第１の口座を含む口座情報アプリケーションを有する電子デバイスの１つ以上のプロセッサによって実行されるように構成された１つ以上のプログラムを記憶したコンピュータ可読記憶媒体であって、１つ以上のプログラムは、条項１００から１２６のいずれか一項に記載の方法を実行する命令を含む、コンピュータ可読記憶媒体。
条項１２８．
１つ以上の短距離通信無線機と、
第１の口座を含む口座情報アプリケーションと、
１つ以上のプロセッサと、
１つ以上のプロセッサによって実行されるように構成された１つ以上のプログラムを記憶したメモリと、
を備え、１つ以上のプログラムは、条項１００から１２６のいずれか一項に記載の方法を実行する命令を含む、電子デバイス。
条項１２９．
１つ以上の短距離通信無線機と、
第１の口座を含む口座情報アプリケーションと、
条項１００から１２６のいずれか一項に記載の方法を実行するための手段と、
を備える電子デバイス。
条項１３０．
１つ以上の短距離通信無線機及び第１の口座を含む口座情報アプリケーションを有する電子デバイスの１つ以上のプロセッサによって実行されるように構成された１つ以上のプログラムを記憶した非一時的コンピュータ可読記憶媒体であって、１つ以上のプログラムは、
１つ以上の短距離通信無線機によって、無線信号を検出し、
無線信号が第１のタイプの要求に対応するとの判定に従って、認証をチェックすることなく第１の口座に対応する情報を送信し、
無線信号が第２のタイプの要求に対応するとの判定に従って、無線信号に対応する取引を進める前に認証をチェックする、
命令を含む、非一時的コンピュータ可読記憶媒体。
条項１３１．
１つ以上の短距離通信無線機と、
第１の口座を含む口座情報アプリケーションと、
１つ以上のプロセッサと、
１つ以上のプロセッサによって実行されるように構成された１つ以上のプログラムを記憶したメモリと、
を備え、１つ以上のプログラムは、
１つ以上の短距離通信無線機によって、無線信号を検出し、
無線信号が第１のタイプの要求に対応するとの判定に従って、認証をチェックすることなく第１の口座に対応する情報を送信し、
無線信号が第２のタイプの要求に対応するとの判定に従って、無線信号に対応する取引を進める前に認証をチェックする、
命令を含む、電子デバイス。
条項１３２．
１つ以上の短距離通信無線機と、
第１の口座を含む口座情報アプリケーションと、
１つ以上の短距離通信無線機によって、無線信号を検出する手段と、
無線信号が第１のタイプの要求に対応するとの判定に従って、認証をチェックすることなく第１の口座に対応する情報を送信する手段と、
無線信号が第２のタイプの要求に対応するとの判定に従って、無線信号に対応する取引を進める前に認証をチェックする手段と、
を備える電子デバイス。
条項１３３．
ディスプレイ及び１つ以上の入力デバイスを有する電子デバイスにおいて、
ディスプレイ上で、ユーザ口座と関連付けられた複数のデバイスの表現を表示することであって、複数のデバイスの表現は、第１のデバイスの第１の表現及び第２のデバイスの第２の表現を含み、第１のデバイスは、取引口座と関連付けられ、第２のデバイスは、取引口座と関連付けられない、ことと、
１つ以上の入力デバイスを介して、第２のデバイスの表示された表現に対応する選択を受信することと、
第２のデバイスの表示された表現に対応する選択を受信したことに従って、
取引口座を第２のデバイスと関連付けさせることと、
取引口座を第１のデバイスから関連付けロック解除させることと、
を含む方法。
条項１３４．
第１のデバイスは、取引口座を第２のデバイスと関連付けさせ、第１のデバイスから関連付けロック解除させた電子デバイスである、条項１３３に記載の方法。
条項１３５．
第２のデバイスは、取引口座を第２のデバイスと関連付けさせ、第１のデバイスから関連付けロック解除させた電子デバイスである、条項１３３に記載の方法。
条項１３６．
取引口座は、支払い口座である、条項１３３から１３５のいずれか一項に記載の方法。
条項１３７．
取引口座は、トランジット口座である、条項１３３から１３５のいずれか一項に記載の方法。
条項１３８．
取引口座は、ストアドバリュー口座である、条項１３３から１３７のいずれか一項に記載の方法。
条項１３９．
取引口座は、ストアドバリュー口座であり、
複数のデバイスの表現を表示する前に、アクティブ化可能な追加−価値オプション及びアクティブ化可能な転送−口座オプションと共に口座の表現を同時に表示することと、
転送−口座オプションのアクティブ化を受信することと、
を更に含み、
ユーザ口座と関連付けられた複数のデバイスの表現を表示することは、転送−口座オプションのアクティブ化を受信したことに応じている、条項１３３から１３８のいずれか一項に記載の方法。
条項１４０．
取引口座を複数のデバイスのうちの２つ以上のデバイスにおいて使用のために利用可能とする口座として指定するユーザ入力を受信することを更に含む、条項１３３から１３９のいずれか一項に記載の方法。
条項１４１．
電子デバイスは、第２のデバイスであり、
複数のデバイスの第３のデバイスを取引口座が使用のために利用可能とするデバイスとして指定するユーザ入力を受信することと、
取引口座を第２のデバイスと関連付けさせたことに続いて、かつ取引口座を第１のデバイスから関連付けロック解除させたことに続いて、
取引口座の支払い認証情報についての要求を電子デバイスとは異なる第３のデバイスから受信することと、
第３のデバイスが、取引口座が使用のために利用可能とするデバイスとして指定されているとの判定に従って、取引口座の支払い認証情報を第２のデバイスから第３のデバイスに送信することと、
を更に含む、条項１３３から１４０のいずれか一項に記載の方法。
条項１４２．
時間条件が満たされたとの判定に従って、
取引口座を第２のデバイスから関連付けロック解除させることと、
取引口座を第１のデバイスと関連付けさせることと、
を更に含む、条項１３３から１４１のいずれか一項に記載の方法。
条項１４３．
取引口座を第２のデバイスと関連付けさせることは、取引口座を第２のデバイスにおいて最大支払い額に制限することを含む、条項１３３から１４２のいずれか一項に記載の方法。
条項１４４．
取引口座を第２のデバイスと関連付けさせることは、第１のデバイスから、第２のデバイスにおいて行われることになる提案される支払いのためのそれぞれの事前承認を必要とするように、取引口座を第２のデバイスにおいて制限することを含む、条項１３３から１４３のいずれか一項に記載の方法。
条項１４５．
ユーザ口座と関連付けられた複数のデバイスの表現は、電子デバイスと同一のユーザ口座の下のサービスにログインされるデバイスの表現を含む、条項１３３から１４４のいずれか一項に記載の方法。
条項１４６．
ユーザ口座と関連付けられた複数のデバイスの表現は、電子デバイスがサービスにログインされるユーザ口座と関連付けられたそれぞれのユーザ口座を使用してサービスにログインされるデバイスの表現を含む、条項１３３から１４５のいずれか一項に記載の方法。
条項１４７．
取引口座を第２のデバイスと関連付けさせたことに続いて、かつ取引口座を第１のデバイスから関連付けロック解除させたことに続いて、
ディスプレイ上で、複数のデバイスの表現を表示することであって、第１のデバイスは、取引口座と関連付けられず、第２のデバイスは、取引口座と関連付けられる、ことと、
１つ以上の入力デバイスを介して、第１のデバイスに対応するそれぞれの選択を受信することと、
第１のデバイスに対応するそれぞれの選択を受信したことに従って、
取引口座を第２のデバイスから関連付けロック解除させることと、
取引口座を第１のデバイスと関連付けさせることと、
を更に含む、条項１３３から１４６のいずれか一項に記載の方法。
条項１４８．
ディスプレイ及び１つ以上の入力デバイスを有する電子デバイスの１つ以上のプロセッサによって実行されるように構成された１つ以上のプログラムを記憶したコンピュータ可読記憶媒体であって、１つ以上のプログラムは、条項１３３から１４７のいずれか一項に記載の方法を実行する命令を含む、コンピュータ可読記憶媒体。
条項１４９．
ディスプレイと、
１つ以上の入力デバイスと、
１つ以上のプロセッサと、
１つ以上のプロセッサによって実行されるように構成された１つ以上のプログラムを記憶したメモリと、
を備え、１つ以上のプログラムは、条項１３３から１４７のいずれか一項に記載の方法を実行する命令を含む、電子デバイス。
条項１５０．
ディスプレイと、
１つ以上の入力デバイスと、
条項１３３から１４７のいずれか一項に記載の方法を実行するための手段と、
を備える電子デバイス。
条項１５１．
ディスプレイ及び１つ以上の入力デバイス有する電子デバイスの１つ以上のプロセッサによって実行されるように構成された１つ以上のプログラムを記憶した非一時的コンピュータ可読記憶媒体であって、１つ以上のプログラムは、
ディスプレイ上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現を表示し、
１つ以上の入力デバイスを介して、第２のデバイスの表示された表現に対応する選択を受信し、
第２のデバイスの表示された表現に対応する選択を受信したことに従って、
取引口座を第２のデバイスと関連付けさせ、
取引口座を第１のデバイスから関連付けロック解除させる、
命令を含む、非一時的コンピュータ可読記憶媒体。
条項１５２．
ディスプレイと、
１つ以上の入力デバイスと、
１つ以上のプロセッサと、
１つ以上のプロセッサによって実行されるように構成された１つ以上のプログラムを記憶したメモリと、
を備え、１つ以上のプログラムは、
ディスプレイ上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現を表示し、
１つ以上の入力デバイスを介して、第２のデバイスの表示された表現に対応する選択を受信し、
第２のデバイスの表示された表現に対応する選択を受信したことに従って、
取引口座を第２のデバイスと関連付けさせ、
取引口座を第１のデバイスから関連付けロック解除させる、
命令を含む、電子デバイス。
条項１５３．
ディスプレイと、
１つ以上の入力デバイスと、
ディスプレイ上で、ユーザ口座と関連付けられた複数のデバイスの表現を表示する手段であって、複数のデバイスの表現は、第１のデバイスの第１の表現及び第２のデバイスの第２の表現を含み、第１のデバイスは、取引口座と関連付けられ、第２のデバイスは、取引口座と関連付けられない、手段と、
１つ以上の入力デバイスを介して、第２のデバイスの表示された表現に対応する選択を受信する手段と、
第２のデバイスの表示された表現に対応する選択を受信したことに従って、
取引口座を第２のデバイスと関連付けさせ、
取引口座を第１のデバイスから関連付けロック解除させる、
手段と、
を備える電子デバイス。
条項１５４．
電子ウォレットアプリケーションを有する電子デバイスにおいて、
ストアドバリュー口座を使用して支払いを行うための１つ以上の支払い基準のセットが満たされたことを検出することと、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求することと、
第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信することと、
を含む方法。
条項１５５．
ストアドバリュー口座の支払い認証情報は、短距離無線ネットワークを通じてデバイスツーデバイス通信を使用して電子デバイスにおいて第２のデバイスから受信される、条項１５４に記載の方法。
条項１５６．
１つ以上の支払い基準のセットの第１の支払い基準は、電子デバイスが支払いについての要求を受信するときに満たされる、条項１５４又は１５５に記載の方法。
条項１５７．
電子デバイスは、１つ以上の短距離通信無線機を含み、１つ以上の支払い基準のセットの第２の支払い基準は、電子デバイスが１つ以上の短距離通信無線機を使用して場を検出するときに満たされる、条項１５４から１５６のいずれか一項に記載の方法。
条項１５８．
１つ以上の支払い基準のセットの第３の支払い基準は、電子デバイスが、支払いが要求されるであろうことを示すコンテキストを検出するときに満たされる、条項１５４から１５７のいずれか一項に記載の方法。
条項１５９．
１つ以上の支払い基準のセットの第４の支払い基準は、電子デバイスがストアドバリュー口座に対応するオプションのアクティブ化を検出するときに満たされる、条項１５４から１５８のいずれか一項に記載の方法。
条項１６０．
１つ以上の支払い基準のセットの第５の支払い基準は、電子デバイスが、ストアドバリュー口座が電子デバイスにおいて利用可能とするように指定されたと判定するときに満たされる、条項１５４から１５９のいずれか一項に記載の方法。
条項１６１．
ストアドバリュー口座は、第１のタイプの口座であり、１つ以上の支払い基準のセットの第６の支払い基準は、電子デバイスが第１のタイプの口座を使用して支払いについての要求を受信するときに満たされる、条項１５４から１６０のいずれか一項に記載の方法。
条項１６２．
第２のデバイスからのストアドバリュー口座の支払い認証情報を要求することは、要求を第２のデバイスに送信することを含み、要求は、ストアドバリュー口座を識別する、条項１５４から１６１のいずれか一項に記載の方法。
条項１６３．
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能であるとの判定に従って、ストアドバリュー口座を使用して支払いを進めることを更に含む、条項１５４から１６２のいずれか一項に記載の方法。
条項１６４．
ストアドバリュー口座を使用して支払いを行うための１つ以上の支払い基準のセットが満たされたことを検出したことに応じて、ストアドバリュー口座の支払い認証情報が電子デバイスの電子ウォレットアプリケーションにおいて利用可能でないとの判定に従って、かつストアドバリュー口座の支払い認証情報を受信しないことに従って、
ストアドバリュー口座を使用して支払いを進めることを見合わせることと、
ストアドバリュー口座が支払いで使用のために利用可能でないことを示す通知をユーザに提示することと、
を更に含む、条項１５４から１６３のいずれか一項に記載の方法。
条項１６５．
ストアドバリュー口座の支払い認証情報を電子デバイスにおいて第２のデバイスから受信したことに続いて、
支払いを行うために資産をストアドバリュー口座から取引端末に転送することと、
資産をストアドバリュー口座から取引端末に転送したことに応じて、ストアドバリュー口座の支払い認証情報を電子デバイスから第２のデバイスに送信することと、
を含む、条項１５４から１６４のいずれか一項に記載の方法。
条項１６６．
ストアドバリュー口座の支払い認証情報を電子デバイスにおいて第２のデバイスから受信したことに続いて、
支払いを行うために資産をストアドバリュー口座から取引端末に転送することと、
資産をストアドバリュー口座から取引端末に転送したことに応じて、ストアドバリュー口座の支払い認証情報を電子デバイスから第２のデバイスに送信することを見合わせることと、
を含む、条項１５４から１６４のいずれか一項に記載の方法。
条項１６７．
ストアドバリュー口座の支払い認証情報を電子デバイスにおいて第２のデバイスから受信したことに続いて、
第２のデバイスからストアドバリュー口座の支払い認証情報についての要求を受信することと、
ストアドバリュー口座の支払い認証情報の要求を受信したことに応じて、ストアドバリュー口座の支払い認証情報を電子デバイスから第２のデバイスに送信することと、
を含む、条項１５４から１６４のいずれか一項に記載の方法。
条項１６８．
ストアドバリュー口座の支払い認証情報を電子デバイスにおいて第２のデバイスから受信したことに続いて、
予め定められたスケジュールイベント条件が満たされるかを判定することと、
予め定められたスケジュールイベント条件が満たされるとの判定に従って、ストアドバリュー口座の支払い認証情報を電子デバイスから第２のデバイスに送信することと、
を含む、条項１５４から１６４のいずれか一項に記載の方法。
条項１６９．
電子デバイスは、ストアドバリュー口座の支払い認証情報を第２のデバイスから受信するために第１の通信プロトコルを使用し、電子デバイスは、取引端末への支払いを行うために第１の通信プロトコルとは異なる第２の通信プロトコルを使用する、条項１５４から１６８のいずれか一項に記載の方法。
条項１７０．
電子デバイスは、１つ以上の無線機ユニットを含み、電子デバイスは、ストアドバリュー口座の支払い認証情報を第２のデバイスから受信するために電子デバイスの１つ以上の無線機の第１のセットを使用し、電子デバイスは、取引端末への支払いを行うために１つ以上の無線機の第１のセットとは異なる１つ以上の無線機の第２のセットを使用する、条項１５４から１６９のいずれか一項に記載の方法。
条項１７１．
ストアドバリュー口座の支払い認証情報を電子デバイスにおいて第２のデバイスから受信したことに続いて、
ストアドバリュー口座の支払い認証情報を使用して支払いを行うための認証を要求するインジケーションを提示することと、
認証情報を受信することと、
認証情報が取引を承認するために有効とされる登録された認証情報と一致するとの判定に従って、支払いを行うために資産をストアドバリュー口座から取引端末に転送することと、
を含む、条項１５４から１７０のいずれか一項に記載の方法。
条項１７２．
電子ウォレットアプリケーションを有する電子デバイスの１つ以上のプロセッサによって実行されるように構成された１つ以上のプログラムを記憶したコンピュータ可読記憶媒体であって、１つ以上のプログラムは、条項１５４から１７１のいずれか一項に記載の方法を実行する命令を含む、コンピュータ可読記憶媒体。
条項１７３．
電子ウォレットアプリケーションと、
１つ以上のプロセッサと、
１つ以上のプロセッサによって実行されるように構成された１つ以上のプログラムを記憶したメモリと、
を備え、１つ以上のプログラムは、条項１５４から１７１のいずれか一項に記載の方法を実行する命令を含む、電子デバイス。
条項１７４．
電子ウォレットアプリケーションと、
条項１５４から１７１のいずれか一項に記載の方法を実行するための手段と、
を備える電子デバイス。
条項１７５．
電子ウォレットアプリケーション有する電子デバイスの１つ以上のプロセッサによって実行されるように構成された１つ以上のプログラムを記憶した非一時的コンピュータ可読記憶媒体であって、１つ以上のプログラムは、
ストアドバリュー口座を使用して支払いを行うための１つ以上の支払い基準のセットが満たされたことを検出し、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、
第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、
命令を含む、非一時的コンピュータ可読記憶媒体。
条項１７６．
電子ウォレットアプリケーションと、
１つ以上のプロセッサと、
１つ以上のプロセッサによって実行されるように構成された１つ以上のプログラムを記憶したメモリと、
を備え、１つ以上のプログラムは、
ストアドバリュー口座を使用して支払いを行うための１つ以上の支払い基準のセットが満たされたことを検出し、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、
第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、
命令を含む、電子デバイス。
条項１７７．
電子ウォレットアプリケーションと、
ストアドバリュー口座を使用して支払いを行うための１つ以上の支払い基準のセットが満たされたことを検出する手段と、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求する手段と、
前第２のデバイスからのストアドバリュー口座の支払い認証情報を要求したことに続いて、記ストアドバリュー口座の支払い認証情報が第２のデバイスにおいて利用可能であるときに、ストアドバリュー口座の支払い認証情報を電子デバイスにおいて第２のデバイスから受信する手段と、
を備える電子デバイス。
条項１７８．
１つ以上の入力デバイスユニットと、
１つ以上の短距離通信無線機ユニットと、
１つ以上の入力デバイスユニット及び１つ以上の短距離通信無線機ユニットに結合された処理ユニットと、
を備え、処理ユニットは、
１つ以上の短距離通信無線機ユニットによって、カードであって、カードは、記憶された価値を有する、カードのカード口座番号を受信し、
カードの所有権を検証するための検証情報を要求し、
１つ以上の入力デバイスユニットを介して、カードの所有権を検証するための検証情報を含む電子デバイスのユーザからの入力を受信し、
検証情報を検証情報と別個に受信されるカードに関する別個の情報と比較することによってカードの所有権を検証し、
所有権の検証が成功しているとの判定に従って、
価値の転送のための価値の転送動作を実行するプロンプトを生成し、
価値の転送動作と共に、記憶された価値のうちの少なくともいくつかをカードから電子デバイスに記憶された仮想カードに転送する、
ように構成されている、電子デバイス。
条項１７９．
検証情報は、カード上に示されない情報である、条項条項１７８に記載の電子デバイス。
条項１８０．
カードは、ストアドバリューカードである、条項１７８又は１７９に記載の電子デバイス。
条項１８１．
処理ユニットは、
価値の転送が成功していないとの判定に従って、
価値の転送のための価値の転送動作を実行するための第２のプロンプトを生成するように更に構成されている、条項１７８から１８０のいずれか一項に記載の電子デバイス。
条項１８２．
処理ユニットは、
所有権の検証が成功していないとの判定に従って、
所有権の検証が成功しなかったことを示すフィードバックを生成するように更に構成されている、条項１７８から１８１のいずれか一項に記載の電子デバイス。
条項１８３．
カードが登録されているとの判定に従って、
カードの所有権を検証するための検証情報を要求することは、カード上に示されない情報を要求することを含み、
カードが登録されていないとの判定に従って、
カードの所有権を検証するための検証情報を要求することは、カード上に示される情報を要求することを含む、条項１７８から１８２のいずれか一項に記載の電子デバイス。
条項１８４．
処理ユニットは、
カードが登録されていないとの判定に従って、かつカードの所有権を検証する前に、
カードの所有権を検証するための検証情報を要求することの一部として、カードのユーザにより提供される口座番号を要求し、
カードの所有権を検証するための検証情報を含む電子デバイスのユーザからの入力を受信することの一部として、カードのユーザにより提供される口座番号を受信し、
検証情報を別個の情報と比較することによってカードの所有権を検証することの一部として、ユーザにより提供される口座番号をカード口座番号と比較する、
ように更に構成されており、別個の情報は、カードの受信されたカード口座番号を含む、条項１７８から１８３のいずれか一項に記載の電子デバイス。
条項１８５．
電子デバイスは、１つ以上の入力デバイスユニットを介して、カードの所有権を検証するための検証情報を含む電子デバイスのユーザからの入力を受信する前に、カードのカード口座番号を提示しない、条項１７８から１８４のいずれか一項に記載の電子デバイス。
条項１８６．
処理ユニットは、
カードが登録されているとの判定に従って、
カードのカード口座番号を送信し、
別個の情報を受信する、
ように更に構成されている、条項１７８から１８５のいずれか一項に記載の電子デバイス。
条項１８７．
処理ユニットは、
カードのユーザにより提供される口座番号を受信することを見合わせるように更に構成されている、条項１７８から１８６のいずれか一項に記載の電子デバイス。
条項１８８．
電子デバイスは、ディスプレイユニットを含み、処理ユニットは、
記憶された価値のうちの少なくともいくつかをカードから電子デバイスに記憶された仮想カードに転送したことに続いて、
ディスプレイユニット上で、仮想カードのトランジットプラン情報の表示を有効にするように更に構成されており、トランジットプラン情報は、転送された記憶された価値のうちの少なくともいくつかに基づいている、条項１７８から１８７のいずれか一項に記載の電子デバイス。
条項１８９．
電子デバイスは、ディスプレイユニットを含み、処理ユニットは、
記憶された価値のうちの少なくともいくつかをカードから電子デバイスに記憶された仮想カードに転送したことに続いて、
ディスプレイユニット上で、仮想カードの残高、仮想カードに登録された口座のユーザ名、及び仮想カードのトランジットプラン情報のうちの１つ以上の表示を有効にするように更に構成されている、条項１７８から１８８のいずれか一項に記載の電子デバイス。
条項１９０．
記憶された価値のうちの少なくともいくつかをカードから電子デバイスに記憶された仮想カードに転送することは、
記憶された価値をカードから除去することと、
カードを非アクティブ化する要求をサーバに送信することと、
を含む、条項１７８から１８９のいずれか一項に記載の電子デバイス。
条項１９１．
処理ユニットは、
電子デバイスが別のリンクされたトランジット口座を有さないとの判定に従って、認証をチェックすることなく仮想カードの口座を使用のために利用可能とするように指定し、
電子デバイスが１つ以上の他のリンクされたトランジット口座を有するとの判定に従って、認証をチェックすることなく仮想カードの口座を使用のために利用可能とするように指定することを見合わせる、
ように更に構成されている、条項１７８から１９０のいずれか一項に記載の電子デバイス。
条項１９２．
処理ユニットは、
電子デバイスが別のリンクされたトランジット口座を有さないとの判定に従って、
認証をチェックすることなく口座を使用のために利用可能としない要望を示すユーザ入力を受信したことに従って、認証をチェックすることなく仮想カードの口座を使用のために利用可能とするように指定することを見合わせるように更に構成されている、条項１７８から１９１のいずれか一項に記載の電子デバイス。
条項１９３．
処理ユニットは、
認証をチェックすることなく口座を使用のために利用可能としない要望を示すユーザ入力を受信し、
認証をチェックすることなく口座を使用のために利用可能としない要望を示すユーザ入力を受信したことに応じて、認証をチェックすることなく仮想カードの口座を使用のために利用可能としないように指定する、
ように更に構成されている、条項１７８から１９２のいずれか一項に記載の電子デバイス。
条項１９４．
処理ユニットは、
認証をチェックすることなく使用のために利用可能とする口座を選択するユーザ入力を受信し、
認証をチェックすることなく使用のために利用可能とする口座を選択するユーザ入力を受信したことに応じて、認証をチェックすることなく選択された口座を使用のために利用可能とするように指定する、
ように更に構成されている、条項１７８から１９３のいずれか一項に記載の電子デバイス。
条項１９５．
カードのカード口座番号を受信する前に、かつカードの所有権を検証する前に、仮想カードは、デバイスに記憶される、条項１７８から１９４のいずれか一項に記載の電子デバイス。
条項１９６．
電子デバイスは、ディスプレイユニットを含み、処理ユニットは、
記憶された価値のうちの少なくともいくつかをカードから電子デバイスに記憶された仮想カードに転送したことに続いて、
ディスプレイユニット上で、仮想カードの記憶された価値の表示を有効にするように更に構成されている、条項１７８から１９５のいずれか一項に記載の電子デバイス。
条項１９７．
ディスプレイユニットと、
１つ以上の入力デバイスユニットと、
１つ以上の短距離通信無線機ユニットと、
ディスプレイユニット、１つ以上の短距離通信無線機ユニット、及び１つ以上の入力デバイスユニットに結合された処理ユニットと、
を備え、処理ユニットは、
ストアドバリューカードであって、ストアドバリューカードは、記憶された価値を有する、ストアドバリューカードの所有権を検証するための検証情報を要求し、
１つ以上の入力デバイスユニットを介して、カードの所有権を検証するための検証情報であって、検証情報は、カード上に示されない情報を含む、検証情報を含む電子デバイスのユーザからの入力を受信し、
電子デバイスのディスプレイユニット上で、電子デバイスをストアドバリューカードの通信範囲内に配置するプロンプトの表示を有効にし、
１つ以上の短距離通信無線機ユニットによって、識別情報をストアドバリューカードから受信し、
検証情報を識別情報と比較することによってストアドバリューカードの所有権を検証し、
所有権の検証が成功しているとの判定に従って、
記憶された価値のうちの少なくともいくつかをストアドバリューカードから電子デバイスに記憶された仮想カードに転送する、
ように構成されている、電子デバイス。
条項１９８．
処理ユニットは、
所有権の検証が成功していないとの判定に従って、
所有権の検証が成功しなかったことのインジケーションを示すフィードバックを生成し、
ストアドバリューカードの所有権を検証するための検証情報を要求する、
ように更に構成されている、条項１９７に記載の電子デバイス。
条項１９９．
記憶された価値のうちの少なくともいくつかをストアドバリューカードから電子デバイスに記憶された仮想カードに転送することは、
記憶された価値をストアドバリューカードから除去することと、
ストアドバリューカードを非アクティブ化する要求をサーバに送信することと、
を含む、条項１９７又は１９８に記載の電子デバイス。
条項２００．
ストアドバリューカードは、ストアドバリュートランジットカードである、条項１９７から１９９のいずれか一項に記載の電子デバイス。
条項２０１．
仮想カードは、トランジット仮想カードである、条項１９７から２００のいずれか一項に記載の電子デバイス。
条項２０２．
仮想カードは、ストアドバリュー仮想カードである、条項１９７から２０１のいずれか一項に記載の電子デバイス。
条項２０３．
検証情報は、ストアドバリューカードのカード口座番号である、条項１９７から２０２のいずれか一項に記載の電子デバイス。
条項２０４．
電子デバイスは、１つ以上の入力デバイスユニットを介して、カードの所有権を検証するための検証情報を含む電子デバイスのユーザからの入力を受信する前に、ストアドバリューカードのカード口座番号を提示しない、条項１９７から２０３のいずれか一項に記載の電子デバイス。
条項２０５．
処理ユニットは、
記憶された価値のうちの少なくともいくつかをストアドバリューカードから電子デバイスに記憶された仮想カードに転送したことに続いて、
ディスプレイユニット上で、仮想カードの記憶された価値の表示を有効にするように更に構成されている、条項１９７から２０４のいずれか一項に記載の電子デバイス。
条項２０６．
処理ユニットは、
記憶された価値のうちの少なくともいくつかをストアドバリューカードから電子デバイスに記憶された仮想カードに転送したことに続いて、
仮想カードのトランジットプラン情報の表示を有効にするように更に構成されており、トランジットプラン情報は、転送された記憶された価値のうちの少なくともいくつかに基づいている、条項１９７から２０５のいずれか一項に記載の電子デバイス。
条項２０７．
処理ユニットは、
記憶された価値のうちの少なくともいくつかをストアドバリューカードから電子デバイスに記憶された仮想カードに転送したことに続いて、
仮想カードの残高、仮想カードに登録された口座のユーザ名、及び仮想カードのトランジットプラン情報のうちの１つ以上の表示を有効にするように更に構成されている、条項１９７から２０６のいずれか一項に記載の電子デバイス。
条項２０８．
検証情報は、ストアドバリューカードの登録されたユーザに個人的な情報である、条項１９７から２０７のいずれか一項に記載の電子デバイス。
条項２０９．
処理ユニットは、
電子デバイスが別のリンクされたトランジット口座を有さないとの判定に従って、認証をチェックすることなく仮想カードの口座を使用のために利用可能とするように指定し、
電子デバイスが１つ以上の他のリンクされたトランジット口座を有するとの判定に従って、認証をチェックすることなく仮想カードの口座を使用のために利用可能とするように指定することを見合わせる、
ように更に構成されている、条項１９７から２０８のいずれか一項に記載の電子デバイス。
条項２１０．
処理ユニットは、
電子デバイスが別のリンクされたトランジット口座を有さないとの判定に従って、
認証をチェックすることなく口座を使用のために利用可能としない要望を示すユーザ入力を受信したことに従って、認証をチェックすることなく仮想カードの口座を使用のために利用可能とするように指定することを見合わせるように更に構成されている、条項１９７から２０９のいずれか一項に記載の電子デバイス。
条項２１１．
処理ユニットは、
認証をチェックすることなく口座を使用のために利用可能としない要望を示すユーザ入力を受信し、
認証をチェックすることなく口座を使用のために利用可能としない要望を示すユーザ入力を受信したことに応じて、認証をチェックすることなく仮想カードの口座を使用のために利用可能としないように指定する、
ように更に構成されている、条項１９７から２１０のいずれか一項に記載の電子デバイス。
条項２１２．
処理ユニットは、
認証をチェックすることなく使用のために利用可能とする口座を選択するユーザ入力を受信し、
認証をチェックすることなく使用のために利用可能とする口座を選択するユーザ入力を受信したことに応じて、認証をチェックすることなく選択された口座を使用のために利用可能とするように指定する、
ように更に構成されている、条項１９７から２１１のいずれか一項に記載の電子デバイス。
条項２１３．
カードのカード口座番号を受信する前に、かつカードの所有権を検証する前に、仮想カードは、電子デバイスに記憶される、条項１９７から２１２のいずれか一項に記載の電子デバイス。
条項２１４．
ディスプレイユニットと、
１つ以上の入力デバイスユニットと、
ディスプレイユニット及び１つ以上の入力デバイスユニットに結合された処理ユニットと、
を備え、処理ユニットは、
ディスプレイユニット上で、アクティブ化可能な追加−価値オプションを含むストアドバリュー口座であって、電子デバイスは、ストアドバリュー口座及び支払い口座を含む電子ウォレットアプリケーションを有する、ストアドバリュー口座の表現の表示を有効にし、
ストアドバリュー口座の表現の表示を有効にする間、１つ以上の入力デバイスユニットを介して、追加−価値オプションのアクティブ化を検出し、
１つ以上の入力デバイスユニットを介して、電子ウォレットアプリケーションの支払い口座を使用して価値をストアドバリュー口座に追加するための積立−口座オプションのアクティブ化を検出し、
資産を支払い口座からストアドバリュー口座に追加するための提案される取引の表示を有効にする間、認証情報を電子デバイスにおいて受信し、
認証情報を受信したことに応じて、かつ認証情報が支払い口座を使用して支払い取引を実行するための登録された認証情報と一致するとの判定に従って、支払い口座を使用して価値をストアドバリュー口座に追加する、
ように構成されている、電子デバイス。
条項２１５．
処理ユニットは、
認証情報を受信したことに応じて、かつ認証情報が支払い口座を使用して支払い取引を実行するための登録された認証情報と一致しないとの判定に従って、支払い口座を使用して価値をストアドバリュー口座に追加することを見合わせるように更に構成されている、条項２１４に記載の電子デバイス。
条項２１６．
処理ユニットは、
認証情報を受信する前に、価値を支払い口座からストアドバリュー口座に追加するための承認を生成するプロンプトを生成するように更に構成されている、条項２１４又は２１５に記載の電子デバイス。
条項２１７．
ストアドバリュー口座の表現は、ストアドバリュー口座の現在の残高を含む、条項２１４から２１６のいずれか一項に記載の電子デバイス。
条項２１８．
処理ユニットは、
支払い口座を使用して価値をストアドバリュー口座に追加したことに続いて、ストアドバリュー口座に追加された価値を反映するようにストアドバリュー口座の現在の残高の表示を更新するように更に構成されている、条項２１７に記載の電子デバイス。
条項２１９．
処理ユニットは、
ディスプレイユニット上で、アクティブ化可能な追加−価値オプションを含まない第２の支払い口座の表現の表示を有効にするように更に構成されている、条項２１４から２１８のいずれか一項に記載の電子デバイス。
条項２２０．
処理ユニットは、
ディスプレイユニット上で、支払い口座を使用して価値をストアドバリュー口座に追加するユーザ入力のためのユーザインタフェースであって、価値を追加するユーザ入力のためのユーザインタフェースは、
仮想数字キーパッドと、
１つ以上の提案額と、
ストアドバリュー口座の現在の残高と、
を同時に含む、ユーザ入力のためのユーザインタフェースの表示を有効にし、
支払い口座を使用して価値をストアドバリュー口座に追加するための額の入力を仮想数字キーパッドにおいて受信し、
入力を仮想数字キーパッドにおいて受信したことに応じて、仮想数字キーパッドにおける受信された入力に基づいて、１つ以上の提案額の表示を更新する、
ように更に構成されている、条項２１４から２１９のいずれか一項に記載の電子デバイス。
条項２２１．
仮想数字キーパッドにおける受信された入力は、支払い口座を使用して価値をストアドバリュー口座に追加するための最大の許容可能な額を超える額に対応し、
仮想数字キーパッドにおける受信された入力に基づいて、１つ以上の提案額の表示を更新することは、最大の許容可能な額を反映するように１つ以上の提案額のうちの１つの表示を更新することを含む、条項２２０に記載の電子デバイス。
条項２２２．
１つ以上の提案額のうちの少なくとも１つは、支払い口座を使用して価値をストアドバリュー口座に追加するために使用された前の額に基づいている、条項２２０又は２２１に記載の電子デバイス。
条項２２３．
１つ以上の提案額のうちの少なくとも１つは、当月の当日に基づいている、条項２２０から２２２のいずれか一項に記載の電子デバイス。
条項２２４．
支払い口座を使用して価値をストアドバリュー口座に追加するユーザ入力のためのユーザインタフェースは、ストアドバリュー口座に対応するカードのグラフィカル描写を更に同時に含み、
仮想数字キーパッドにおける受信された入力は、支払い口座を使用して価値をストアドバリュー口座に追加するための最大の許容可能な額を超える額に対応し、
処理ユニットは、
入力を仮想数字キーパッドにおいて受信したことに応じて、ある期間の間に振動させるためにストアドバリュー口座に対応するカードのグラフィカル描写をアニメーション化するように更に構成されている、条項２２０から２２３のいずれか一項に記載の電子デバイス。
条項２２５．
処理ユニットは、
価値をストアドバリュー口座に追加するために選択された額のユーザ入力を受信し、
選択された額のユーザ入力を受信したことに応じて、ディスプレイユニット上で、認証を要求するユーザインタフェースの表示を有効にする、
ように更に構成されている、条項２１４から２２４のいずれか一項に記載の電子デバイス。
条項２２６．
ストアドバリュー口座は、トランジット口座である、条項２１４から２２５のいずれか一項に記載の電子デバイス。
条項２２７．
ストアドバリュー口座は、ギフトカード口座である、条項２１４から２２６のいずれか一項に記載の電子デバイス。
条項２２８．
支払い口座を使用して価値をストアドバリュー口座に追加することは、支払い口座を使用して価値をストアドバリュー口座に追加するための繰り返し発生する取引の一部である、条項２１４から２２７のいずれか一項に記載の電子デバイス。
条項２２９．
処理ユニットは、
ストアドバリュー口座の現在の残高が最小の残高通知レベルを下回ることを検出し、
ストアドバリュー口座の現在の残高が最小の残高通知レベルを下回ることを検出したことに応じて、ストアドバリュー口座の現在の残高が最小の残高通知レベルを下回ることの通知を生成する、
ように更に構成されている、条項２１４から２２８のいずれか一項に記載の電子デバイス。
条項２３０．
処理ユニットは、
通知をアクティブ化するユーザ入力を受信し、
通知をアクティブ化するユーザ入力を受信したことに応じて、ディスプレイユニット上で、支払い口座を使用して価値をストアドバリュー口座に追加するユーザ入力のためのユーザインタフェースの表示を有効にする、
ように更に構成されている、条項２２９に記載の電子デバイス。
条項２３１．
ストアドバリュー口座は、トランジット口座であり、
ストアドバリュー口座の表現は、
トランジット口座と関連付けられたトランジットプランのインジケーションと、
トランジットプランの有効日のインジケーションと、
を含む、条項２１４から２２６及び２２８から２３０のいずれか一項に記載の電子デバイス。
条項２３２．
ストアドバリュー口座は、トランジット口座であり、処理ユニットは、
ディスプレイユニット上で、支払い口座を使用してトランジット口座に積み立てるためのユーザインタフェースの表示を有効にするように更に構成されており、トランジット口座に積み立てるためのユーザインタフェースは、
１つ以上の提案額と、
推薦されるトランジットプランの開始日及び終了日と、
を同時に含む、条項２１４から２２６及び２２８から２３１のいずれか一項に記載の電子デバイス。
条項２３３．
ストアドバリュー口座は、トランジット口座であり、処理ユニットは、
ストアドバリュー口座のトランジットプランが更新期日であるとの判定に従って、ストアドバリュー口座のトランジットプランが更新期日であることを示す通知を生成するように更に構成されている、条項２１４から２２６及び２２８から２３２のいずれか一項に記載の電子デバイス。
条項２３４．
ストアドバリュー口座は、トランジット口座であり、処理ユニットは、
トランジット駅への近接性を検出し、
１つ以上のコンテキスト要因に基づいて予想される目的地を判定し、
ストアドバリュー口座がトランジット駅から予想される目的地に旅行するための十分な資産を有しないとの判定に従って、ストアドバリュー口座がトランジット駅から予想される目的地に旅行するための十分な資産を有しないとの通知を生成する、
ように更に構成されており、
アクティブ化可能な追加−価値オプションを含むストアドバリュー口座の表現の表示を有効にすることは、ストアドバリュー口座が十分な資産を有しないとの通知のアクティブ化を検出したことに応じている、条項２１４から２２６及び２２８から２３３のいずれか一項に記載の電子デバイス。
条項２３５．
ディスプレイユニットと、
１つ以上の短距離通信無線機ユニットと、
ストアドバリュー口座を含む電子ウォレットアプリケーションユニットと、
ディスプレイユニット、１つ以上の短距離通信無線機ユニット、及びストアドバリュー口座を含む電子ウォレットアプリケーションユニットに結合された処理ユニットと、
を備え、処理ユニットは、
ディスプレイユニット上で、ストアドバリュー口座の利用可能なクレジットのインジケーションの表示を有効にし、
１つ以上の短距離通信無線機ユニットを使用して、ストアドバリュー口座の認証情報を電子デバイスとは別個の非接触取引端末に転送し、
１つ以上の短距離通信無線機ユニットを使用して非接触取引端末に転送されたストアドバリュー口座の認証情報を使用して実行される非接触取引端末との取引に基づいて、利用可能なクレジットのインジケーションの表示を非接触取引端末への認証情報の転送に対応する取引のインジケーションの表示に置き換える、
ように構成されている、電子デバイス。
条項２３６．
ストアドバリュー口座は、ストアドバリュートランジット口座である、条項２３５に記載の電子デバイス。
条項２３７．
ディスプレイユニット上で、ストアドバリュー口座の利用可能なクレジットのインジケーションの表示を有効にすることは、
ディスプレイユニット上の第１の位置において、ストアドバリュー口座の利用可能なクレジットのインジケーションの表示を有効にすることを含み、
利用可能なクレジットのインジケーションの表示を非接触取引端末への認証情報の転送に対応する取引のインジケーションの表示に置き換えることは、
ディスプレイユニット上の第２の位置において、利用可能なクレジットのインジケーションの表示を有効にすることであって、第２の位置は、第１の位置とは異なる、ことと、
ディスプレイユニット上の第１の位置において、非接触取引端末への認証情報の転送に対応する取引のインジケーションの表示を有効にすることと、
を含む、条項２３５又は２３６に記載の電子デバイス。
条項２３８．
利用可能なクレジットのインジケーションの表示を非接触取引端末への認証情報の転送に対応する取引のインジケーションの表示に置き換えることは、
ディスプレイユニット上で第１の方向に、利用可能なクレジットのインジケーションを第１の位置から第１の位置とは異なる第２の位置にスライドさせることと、
ディスプレイユニット上に第１の方向で、非接触取引端末への認証情報の転送に対応する取引のインジケーションをスライドさせることと、
を同時に含む、条項２３５から２３７のいずれか一項に記載の電子デバイス。
条項２３９．
処理ユニットは、
ストアドバリュー口座の認証情報を非接触取引端末に転送したことに応じて、ディスプレイユニット上で、
利用可能なクレジットのインジケーションと、
非接触取引端末への認証情報の転送に対応する取引のインジケーションと、
非接触取引端末へのストアドバリュー口座の認証情報の転送が完了したことのインジケーションと、
の表示を同時に有効にするように更に構成されている、条項２３５から２３８のいずれか一項に記載の電子デバイス。
条項２４０．
ストアドバリュー口座の認証情報を使用して取引が実行されたとの判定は、ストアドバリュー口座の利用可能なクレジットが変更されたことを検出することを含む、条項２３５から２３９のいずれか一項に記載の電子デバイス。
条項２４１．
利用可能なクレジットのインジケーションの表示を非接触取引端末への認証情報の転送に対応する取引のインジケーションの表示に置き換えることは、ストアドバリュー口座の利用可能なクレジットが変更されたことを検出したことに応じている、条項２３５から２４０のいずれか一項に記載の電子デバイス。
条項２４２．
処理ユニットは、
認証情報の転送を反映するように利用可能なクレジットのインジケーションを更新するように更に構成されている、条項２３５から２４１のいずれか一項に記載の電子デバイス。
条項２４３．
処理ユニットは、
ディスプレイユニット上で、利用可能なクレジットのインジケーション及び認証情報の転送に対応する取引のインジケーションと共にストアドバリュー口座のグラフィカル描写の表示を同時に有効にするように更に構成されている、条項２３５から２４２のいずれか一項に記載の電子デバイス。
条項２４４．
処理ユニットは、
１つ以上の短距離通信無線機ユニットを使用して、ストアドバリュー口座の認証情報を非接触取引端末に転送する前に、かつ利用可能なクレジットのインジケーションの表示を認証情報の転送に対応する取引のインジケーションの表示に置き換える前に、
ストアドバリュー口座の認証情報を非接触取引端末に転送するための認証を要求するインジケーションを提示し、
認証情報を受信する、
ように更に構成されており、
ストアドバリュー口座の認証情報を非接触取引端末に転送することは、認証情報が取引を承認するために有効とされる登録された認証情報と一致するとの判定に従っている、条項２３５から２４３のいずれか一項に記載の電子デバイス。
条項２４５．
処理ユニットは、
１つ以上の短距離通信無線機ユニットを使用して、ストアドバリュー口座の認証情報を非接触取引端末に転送したことに続いて、ディスプレイユニット上で、取引の履歴の表示を有効にするように更に構成されており、取引の履歴は、トランジットトリップの１つ以上の表現を含む、条項２３５から２４４のいずれか一項に記載の電子デバイス。
条項２４６．
表示された取引の履歴は、トランジットプランによってカバーされているものとして示されるトランジットトリップの１つ以上の表現を含む、条項２４５に記載の電子デバイス。
条項２４７．
表示された取引の履歴は、進行しているトランジットトリップの１つ以上の表現を含み、進行しているトランジットトリップの１つ以上の表現は、１つ以上のトランジットトリップが進行していることを示す表示された状態インジケーションを含む、条項２４５から２４６のいずれか一項に記載の電子デバイス。
条項２４８．
進行しているトランジットトリップのインジケーションは、取引の履歴のリストの最上部にあり、処理ユニットは、
進行しているトランジットトリップのインジケーションを含む取引の履歴を取引の表示を履歴のリストの最上部において有効にしたことに続いて、１つ以上の短距離通信無線機ユニットを使用して、ストアドバリュー口座の認証情報を非トランジット取引のために第２の非接触取引端末に転送し、
進行しているトランジットトリップのインジケーションの表示を取引の履歴のリストにおいて移動させ、非トランジット取引のインジケーションの表示を進行しているトランジットトリップのインジケーションによって前に占有されていた位置において有効にし、
１つ以上の短距離通信無線機ユニットを使用して、トリップを終了させるためにストアドバリュー口座の認証情報を進行しているトランジットトリップのために第３の非接触取引端末に転送し、
ストアドバリュー口座の認証情報を進行しているトランジットトリップのために第３の非接触取引端末に転送したことに応じて、
進行していたトランジットトリップのインジケーションの表示を取引の履歴のリストの最上部に移動させることに対応するために非トランジット取引のインジケーションの表示を移動させる、
ように更に構成されている、条項２４７に記載の電子デバイス。
条項２４９．
処理ユニットは、
デバイス状態ユーザインタフェースを表示する要求を受信し、
デバイス状態ユーザインタフェースを表示する要求を受信したことに応じて、デバイス状態ユーザインタフェースの表示を有効にする、
ように更に構成されており、デバイス状態ユーザインタフェースの表示を有効にすることは、
デバイスが進行しているトランジットトリップのためにストアドバリュー口座を使用しているとの判定に従って、進行しているトランジットトリップのためにトランジット口座の使用に関する情報の表示をデバイス状態ユーザインタフェースにおいて有効にすることと、
デバイスが進行しているトランジットトリップのためにストアドバリュー口座を使用していないとの判定に従って、トランジットトリップのためにトランジット口座に関する情報を表示することなくデバイス状態ユーザインタフェースの表示を有効にすることと、
を含む、条項２３５から２４８のいずれか一項に記載の電子デバイス。
条項２５０．
処理ユニットは、
進行しているトランジットトリップのためにストアドバリュー口座を使用する間、ストアドバリュー口座の認証情報を非接触取引端末に転送したことに従って、ストアドバリュー口座がトランジットシステムに使用されていることに従って、かつ電子デバイスがロック状態にあることに従って、
ディスプレイユニットのロックスクリーン上で、ストアドバリュー口座のインジケーションの表示を有効にするように更に構成されている、条項２３５から２４８のいずれか一項に記載の電子デバイス。
条項２５１．
処理ユニットは、
ストアドバリュー口座のインジケーションのアクティブ化を検出し、
ストアドバリュー口座のインジケーションのアクティブ化を検出したことに応じて、ストアドバリュー口座が使用された最近の取引に関する情報を含むストアドバリュー口座のためのカード詳細ビューの表示を有効にする、
ように更に構成されている、条項２４８から２５０のいずれか一項に記載の電子デバイス。
条項２５２．
処理ユニットは、
ストアドバリュー口座のインジケーションのアクティブ化を検出し、
ストアドバリュー口座のインジケーションのアクティブ化を検出したことに応じて、仮想搭乗パスの表示を有効にする、
ように更に構成されており、仮想搭乗パスは、ストアドバリュー口座と関連付けられた進行しているトランジットトリップに関する１つ以上の詳細を含む、条項２４８から２５０のいずれか一項に記載の電子デバイス。
条項２５３．
１つ以上の短距離通信無線機ユニットと、
第１の口座を含む口座情報アプリケーションユニットと、
１つ以上の短距離通信ユニット及び第１の口座を含む口座情報アプリケーションユニットに結合された処理ユニットと、
を備え、処理ユニットは、
１つ以上の短距離通信無線機ユニットによって、無線信号を検出し、
無線信号が第１のタイプの要求に対応するとの判定に従って、認証をチェックすることなく第１の口座に対応する情報を送信し、
無線信号が第２のタイプの要求に対応するとの判定に従って、無線信号に対応する取引を進める前に認証をチェックする、
ように構成されている、電子デバイス。
条項２５４．
第１のタイプの要求は、口座情報の送信が認証なしに自動的に利用可能とすることが事前に承認されたタイプの要求であり、
第２のタイプの要求は、口座情報の送信が認証なしに自動的に利用可能とすることが事前に承認されていないタイプの要求である、条項２５３に記載の電子デバイス。
条項２５５．
第１の口座は、ストアドバリュー口座である、条項２５３又は２５４に記載の電子デバイス。
条項２５６．
認証をチェックすることなく第１の口座に対応する情報を送信することは、１つ以上の短距離通信無線機ユニットによって、無線信号を検出したことに続いてユーザ入力を必要とすることなく第１の口座に対応する情報を送信することを含む、条項２５３から２５５のいずれか一項に記載の電子デバイス。
条項２５７．
口座情報アプリケーションユニットは、第１の口座とは異なる第２の口座を含む、条項２５３から２５６のいずれか一項に記載の電子デバイス。
条項２５８．
認証をチェックすることは、
認証を要求するインジケーションを提示することと、
認証情報を受信することと、
認証情報が取引を承認するために有効とされる登録された認証情報と一致するとの判定に従って、取引を進めることと、
を含む、条項２５３から２５７のいずれか一項に記載の電子デバイス。
条項２５９．
取引を進めることは、
第１の口座に対応する情報を送信することを含む、条項２５８に記載の電子デバイス。
条項２６０．
取引を進めることは、
第１の口座とは異なる第２の口座に対応する情報を送信することを含む、条項２５８に記載の電子デバイス。
条項２６１．
処理ユニットは、
無線信号が第１のタイプの要求に対応するとの判定に従って、
認証を要求するいずれのインジケーションを提示することを見合わせるように更に構成されている、条項２５３から２６０のいずれか一項に記載の電子デバイス。
条項２６２．
第１の口座は、口座情報アプリケーションによって記憶された複数のトランジット口座のうちの１つであり、口座情報アプリケーションは、トランジット口座でない１つ以上の追加的な口座を記憶し、処理ユニットは、
１つ以上の短距離通信無線機ユニットによって、無線信号を検出する前に、
認証をチェックすることなく第１の口座を使用のために利用可能とする口座として選択するユーザ入力を受信し、
認証をチェックすることなく第１の口座を使用のために利用可能とする口座として選択するユーザ入力を受信したことに応じて、認証をチェックすることなく第１の口座を使用のために利用可能とするように指定する、
ように更に構成されている、条項２５３から２６１のいずれか一項に記載の電子デバイス。
条項２６３．
第１の口座は、識別口座である、条項２５３から２６２のいずれか一項に記載の電子デバイス。
条項２６４．
電子デバイスは、無線信号を検出する前にロック状態にあり、認証をチェックすることなく第１の口座に対応する情報を送信する間にロック状態に留まり続ける、条項２５３から２６３のいずれか一項に記載の電子デバイス。
条項２６５．
第１の口座に対応する情報は、第１の口座の口座番号を含む、条項２５３から２６４のいずれか一項に記載の電子デバイス。
条項２６６．
第１の口座は、ストアドバリュー口座であり、第１の口座に対応する情報は、第１の口座からの資産を含む、条項２５３から２６５のいずれか一項に記載の電子デバイス。
条項２６７．
第１の口座は、支払い口座であり、第１の口座に対応する情報は、第１の口座の支払い口座情報を含む、条項２５３から２６５のいずれか一項に記載の電子デバイス。
条項２６８．
第１の口座は、トランジットコミュータ口座であり、第１の口座に対応する情報は、第１の口座のトランジットパス情報を含む、条項２５３から２６５のいずれか一項に記載の電子デバイス。
条項２６９．
第１の口座は、ストアドバリュー口座であり、第１の口座に対応する情報は、第１の口座の口座番号を含み、処理ユニットは、
１つ以上の短距離通信無線機ユニットによって、資産の額についての要求を含む第２の無線信号を検出し、
第２の無線信号が第１のタイプの要求に対応するとの判定に従って、認証をチェックすることなく第１の口座からの資産を送信する、
ように更に構成されている、条項２５３から２６４のいずれか一項に記載の電子デバイス。
条項２７０．
第１の口座に対応する情報は、第１の口座の口座番号を含み、処理ユニットは、
１つ以上の短距離通信無線機ユニットによって、資産の額についての要求を含む第２の無線信号を検出し、
第２の無線信号が第１のタイプの要求に対応するとの判定に従って、
資産の要求された額が事前に承認された取引額を超えないとの判定に従って、認証をチェックすることなく第１の口座からの資産を送信し、
資産の要求された額が事前に承認された取引額を超えるとの判定に従って、
資産の要求された額が予想されるコストに対応しないことを示すフィードバックを生成し、
取引を進めるために認証をチェックする、
ように更に構成されている、条項２５３から２６４のいずれか一項に記載の電子デバイス。
条項２７１．
処理ユニットは、
第２の無線信号が第１のタイプの要求に対応するとの判定に従って、
資産の要求された額が事前に承認された取引額を超えるとの判定に従って、
第２の認証情報を受信し、
第２の認証情報が取引を承認するために有効とされる登録された認証情報と一致するとの判定に従って、取引を進め、
第２の認証情報が取引を承認するために有効とされる登録された認証情報と一致しないとの判定に従って、取引を進めることを見合わせる、
ように更に構成されている、条項２７０に記載の電子デバイス。
条項２７２．
無線信号が第１のタイプの要求に対応するとの判定は、無線信号が電子デバイスによって検出されたときの時間に対応する電子デバイスのコンテキスト情報に基づいている、条項２５３から２７１のいずれか一項に記載の電子デバイス。
条項２７３．
無線信号が第１のタイプの要求に対応するとの判定は、１つ以上のコンテキスト条件のセットが満たされたとの判定を含み、１つ以上のコンテキスト条件の第１のコンテキスト条件は、無線信号の内容が予め定められた値を含むときに満たされる、条項２５３から２７２のいずれか一項に記載の電子デバイス。
条項２７４．
無線信号が第１のタイプの要求に対応するとの判定は、１つ以上のコンテキスト条件のセットが満たされたとの判定を含み、１つ以上のコンテキスト条件の第２のコンテキスト条件は、無線信号が電子デバイスによって検出されたときの時間に対応する電子デバイスの物理的位置が予め定められた位置に対応するときに満たされる、条項２５３から２７３のいずれか一項に記載の電子デバイス。
条項２７５．
無線信号が第１のタイプの要求に対応するとの判定は、１つ以上のコンテキスト条件のセットが満たされたとの判定を含み、１つ以上のコンテキスト条件の第３のコンテキスト条件は、電子デバイスが無線信号とは異なる１つ以上の無線信号の範囲内にあるときに満たされる、条項２５３から２７４のいずれか一項に記載の電子デバイス。
条項２７６．
無線信号が第１のタイプの要求に対応するとの判定は、１つ以上のコンテキスト条件のセットが満たされたとの判定を含み、１つ以上のコンテキスト条件の第４のコンテキスト条件は、無線信号が資産閾値を超えない資産の額についての要求を含むときに満たされる、条項２５３から２７５のいずれか一項に記載の電子デバイス。
条項２７７．
無線信号が第１のタイプの要求に対応するとの判定は、１つ以上のロック解除条件のセットが満たされたとの判定を含み、１つ以上のロック解除条件のセットの第１のロック解除条件は、電子デバイスが前の時間内にロック解除されたときに満たされる、条項２５３から２７６のいずれか一項に記載の電子デバイス。
条項２７８．
無線信号が第１のタイプの要求に対応するとの判定は、１つ以上のロック解除条件のセットが満たされたとの判定を含み、１つ以上のロック解除条件のセットの第２のロック解除条件は、電子デバイスが、無線信号が検出される日の予め定められた日時の後にロック解除されたときに満たされる、条項２５３から２７７のいずれか一項に記載の電子デバイス。
条項２７９．
無線信号が第１のタイプの要求に対応するとの判定は、１つ以上のロック解除条件のセットが満たされたとの判定を含み、１つ以上のロック解除条件のセットの第３のロック解除条件は、電子デバイスが再起動の後にロック解除されたときに満たされる、条項２５３から２７８のいずれか一項に記載の電子デバイス。
条項２８０．
ディスプレイユニットと、
１つ以上の入力デバイスユニットと、
ディスプレイユニット及び１つ以上の入力デバイスユニットに結合された処理ユニットと、
を備え、処理ユニットは、
ディスプレイユニット上で、ユーザ口座と関連付けられた複数のデバイスの表現であって、複数のデバイスの表現は、第１のデバイスの第１の表現及び第２のデバイスの第２の表現を含み、第１のデバイスは、取引口座と関連付けられ、第２のデバイスは、取引口座と関連付けられない、複数のデバイスの表現の表示を有効にし、
１つ以上の入力デバイスユニットを介して、第２のデバイスの表示された表現に対応する選択を受信し、
第２のデバイスの表示された表現に対応する選択を受信したことに従って、
取引口座を第２のデバイスと関連付けさせ、
取引口座を第１のデバイスから関連付けロック解除させる、
ように構成されている、電子デバイス。
条項２８１．
第１のデバイスは、取引口座を第２のデバイスと関連付けさせ、第１のデバイスから関連付けロック解除させた電子デバイスである、条項２８０に記載の電子デバイス。
条項２８２．
第２のデバイスは、取引口座を第２のデバイスと関連付けさせ、第１のデバイスから関連付けロック解除させた電子デバイスである、条項２８０に記載の電子デバイス。
条項２８３．
取引口座は、支払い口座である、条項２８０から２８２のいずれか一項に記載の電子デバイス。
条項２８４．
取引口座は、トランジット口座である、条項２８０から２８２のいずれか一項に記載の電子デバイス。
条項２８５．
取引口座は、ストアドバリュー口座である、条項２８０から２８４のいずれか一項に記載の電子デバイス。
条項２８６．
取引口座は、ストアドバリュー口座であり、処理ユニットは、
複数のデバイスの表現の表示を有効にする前に、アクティブ化可能な追加−価値オプション及びアクティブ化可能な転送−口座オプションと共に口座の表現の表示を同時に有効にし、
転送−口座オプションのアクティブ化を受信する、
ように更に構成されており、
ユーザ口座と関連付けられた複数のデバイスの表現の表示を有効にすることは、転送−口座オプションのアクティブ化を受信したことに応じている、条項２８０から２８５のいずれか一項に記載の電子デバイス。
条項２８７．
処理ユニットは、
取引口座を複数のデバイスのうちの２つ以上のデバイスにおいて使用のために利用可能とする口座として指定するユーザ入力を受信するように更に構成されている、条項２８０から２８６のいずれか一項に記載の電子デバイス。
条項２８８．
電子デバイスは、第２のデバイスであり、処理ユニットは、
複数のデバイスの第３のデバイスを取引口座が使用のために利用可能なデバイスとして指定するユーザ入力を受信し、
取引口座を第２のデバイスと関連付けさせたことに続いて、かつ取引口座を第１のデバイスから関連付けロック解除させたことに続いて、
取引口座の支払い認証情報についての要求を電子デバイスとは異なる第３のデバイスから受信し、
第３のデバイスが、取引口座が使用のために利用可能とするデバイスとして指定されているとの判定に従って、取引口座の支払い認証情報を第２のデバイスから第３のデバイスに送信する、
ように更に構成されている、条項２８０から２８７のいずれか一項に記載の電子デバイス。
条項２８９．
処理ユニットは、
時間条件が満たされたとの判定に従って、
取引口座を第２のデバイスから関連付けロック解除させ、
取引口座を第１のデバイスと関連付けさせる、
ように更に構成されている、条項２８０から２８８のいずれか一項に記載の電子デバイス。
条項２９０．
取引口座を第２のデバイスと関連付けさせることは、取引口座を第２のデバイスにおいて最大支払い額に制限することを含む、条項２８０から２８９のいずれか一項に記載の電子デバイス。
条項２９１．
取引口座を第２のデバイスと関連付けさせることは、第１のデバイスから、第２のデバイスにおいて行われることになる提案される支払いのためのそれぞれの事前承認を必要とするように、取引口座を第２のデバイスにおいて制限することを含む、条項２８０から２９０のいずれか一項に記載の電子デバイス。
条項２９２．
ユーザ口座と関連付けられた複数のデバイスの表現は、電子デバイスと同一のユーザ口座の下のサービスにログインされるデバイスの表現を含む、条項２８０から２９１のいずれか一項に記載の電子デバイス。
条項２９３．
ユーザ口座と関連付けられた複数のデバイスの表現は、電子デバイスがサービスにログインされるユーザ口座と関連付けられたそれぞれのユーザ口座を使用してサービスにログインされるデバイスの表現を含む、条項２８０から２９２のいずれか一項に記載の電子デバイス。
条項２９４．
処理ユニットは、
取引口座を第２のデバイスと関連付けさせたことに続いて、かつ取引口座を第１のデバイスから関連付けロック解除させたことに続いて、
ディスプレイユニット上で、複数のデバイスであって、第１のデバイスは、取引口座と関連付けられず、第２のデバイスは、取引口座と関連付けられる、複数のデバイスの表現の表示を有効にし、
１つ以上の入力デバイスユニットを介して、第１のデバイスに対応するそれぞれの選択を受信し、
第１のデバイスに対応するそれぞれの選択を受信したことに従って、
取引口座を第２のデバイスから関連付けロック解除させ、
取引口座を第１のデバイスと関連付けさせる、
ように更に構成されている、条項２８０から２９３のいずれか一項に記載の電子デバイス。
条項２９５．
電子ウォレットアプリケーションユニットと、
処理ユニットと、
を備え、処理ユニットは、
ストアドバリュー口座を使用して支払いを行うための１つ以上の支払い基準のセットが満たされたことを検出し、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能でないとの判定に従って、電子デバイスとは異なる第２のデバイスからのストアドバリュー口座の支払い認証情報を要求し、
第２のデバイスからのストアドバリュー口座の支払い認証情報を要求したことに続いて、ストアドバリュー口座の支払い認証情報が第２のデバイスにおいて利用可能であるときに、ストアドバリュー口座の支払い認証情報を電子デバイスにおいて第２のデバイスから受信する、
ように構成されている、電子デバイス。
条項２９６．
ストアドバリュー口座の支払い認証情報は、短距離無線ネットワークを通じてデバイスツーデバイス通信を使用して電子デバイスにおいて第２のデバイスから受信される、条項２９５に記載の電子デバイス。
条項２９７．
１つ以上の支払い基準のセットの第１の支払い基準は、電子デバイスが支払いについての要求を受信するときに満たされる、条項２９５又は２９６に記載の電子デバイス。
条項２９８．
電子デバイスは、１つ以上の短距離通信無線機ユニットを含み、１つ以上の支払い基準のセットの第２の支払い基準は、電子デバイスが１つ以上の短距離通信無線機ユニットを使用して場を検出するときに満たされる、条項２９５から２９７のいずれか一項に記載の電子デバイス。
条項２９９．
１つ以上の支払い基準のセットの第３の支払い基準は、電子デバイスが、支払いが要求されるであろうことを示すコンテキストを検出するときに満たされる、条項２９５から２９８のいずれか一項に記載の電子デバイス。
条項３００．
１つ以上の支払い基準のセットの第４の支払い基準は、電子デバイスがストアドバリュー口座に対応するオプションのアクティブ化を検出するときに満たされる、条項２９５から２９９のいずれか一項に記載の電子デバイス。
条項３０１．
１つ以上の支払い基準のセットの第５の支払い基準は、電子デバイスが、ストアドバリュー口座が電子デバイスにおいて利用可能とするように指定されたと判定するときに満たされる、条項２９５から３００のいずれか一項に記載の電子デバイス。
条項３０２．
ストアドバリュー口座は、第１のタイプの口座であり、１つ以上の支払い基準のセットの第６の支払い基準は、電子デバイスが第１のタイプの口座を使用して支払いについての要求を受信するときに満たされる、条項２９５から３０１のいずれか一項に記載の電子デバイス。
条項３０３．
第２のデバイスからのストアドバリュー口座の支払い認証情報を要求することは、要求を第２のデバイスに送信することを含み、要求は、ストアドバリュー口座を識別する、条項２９５から３０２のいずれか一項に記載の電子デバイス。
条項３０４．
処理ユニットは、
ストアドバリュー口座を使用して支払いを行うための１つ以上の支払い基準のセットが満たされたことを検出したことに応じて、かつストアドバリュー口座の支払い認証情報が電子デバイスの電子ウォレットアプリケーションにおいて利用可能であるとの判定に従って、ストアドバリュー口座を使用して支払いを進めるように更に構成されている、条項２９５から３０３のいずれか一項に記載の電子デバイス。
条項３０５．
処理ユニットは、
ストアドバリュー口座を使用して支払いを行うための１つ以上の支払い基準のセットが満たされたことを検出したことに応じて、ストアドバリュー口座の支払い認証情報が電子デバイスの電子ウォレットアプリケーションにおいて利用可能でないとの判定に従って、かつストアドバリュー口座の支払い認証情報を受信しないことに従って、
ストアドバリュー口座を使用して支払いを進むことを見合わせ、
ストアドバリュー口座が支払いで使用のために利用可能でないことを示す通知をユーザに提示する、
ように更に構成されている、条項２９５から３０４のいずれか一項に記載の電子デバイス。
条項３０６．
処理ユニットは、
ストアドバリュー口座の支払い認証情報を電子デバイスにおいて第２のデバイスから受信したことに続いて、
支払いを行うために資産をストアドバリュー口座から取引端末に転送し、
資産をストアドバリュー口座から取引端末に転送したことに応じて、ストアドバリュー口座の支払い認証情報を電子デバイスから第２のデバイスに送信する、
ように更に構成されている、条項２９５から３０５のいずれか一項に記載の電子デバイス。
条項３０７．
処理ユニットは、
ストアドバリュー口座の支払い認証情報を電子デバイスにおいて第２のデバイスから受信したことに続いて、
支払いを行うために資産をストアドバリュー口座から取引端末に転送し、
資産をストアドバリュー口座から取引端末に転送したことに応じて、ストアドバリュー口座の支払い認証情報を電子デバイスから第２のデバイスに送信することを見合わせる、
ように更に構成されている、条項２９５から３０５のいずれか一項に記載の電子デバイス。
条項３０８．
処理ユニットは、
ストアドバリュー口座の支払い認証情報を電子デバイスにおいて第２のデバイスから受信したことに続いて、
第２のデバイスから、ストアドバリュー口座の支払い認証情報についての要求を受信し、
ストアドバリュー口座の支払い認証情報の要求を受信したことに応じて、ストアドバリュー口座の支払い認証情報を電子デバイスから第２のデバイスに送信する、
ように更に構成されている、条項２９５から３０５のいずれか一項に記載の電子デバイス。
条項３０９．
ストアドバリュー口座の支払い認証情報を電子デバイスにおいて第２のデバイスから受信したことに続いて、
予め定められたスケジュールイベント条件が満たされるかを判定することと、
予め定められたスケジュールイベント条件が満たされるとの判定に従って、ストアドバリュー口座の支払い認証情報を電子デバイスから第２のデバイスに送信することと、
を備える、条項２９５から３０５のいずれか一項に記載の電子デバイス。
条項３１０．
電子デバイスは、ストアドバリュー口座の支払い認証情報を第２のデバイスから受信するために第１の通信プロトコルを使用し、電子デバイスは、取引端末への支払いを行うために第１の通信プロトコルとは異なる第２の通信プロトコルを使用する、条項２９５から３０９のいずれか一項に記載の電子デバイス。
条項３１１．
電子デバイスは、１つ以上の無線機ユニットを含み、電子デバイスは、ストアドバリュー口座の支払い認証情報を第２のデバイスから受信するために電子デバイスの１つ以上の無線機ユニットの第１のセットを使用し、電子デバイスは、取引端末への支払いを行うために１つ以上の無線機ユニットの第１のセットとは異なる１つ以上の無線機ユニットの第２のセットを使用する、条項２９５から３１０のいずれか一項に記載の電子デバイス。
条項３１２．
処理ユニットは、
ストアドバリュー口座の支払い認証情報を電子デバイスにおいて第２のデバイスから受信したことに続いて、
ストアドバリュー口座の支払い認証情報を使用して、支払いを行うための認証を要求するインジケーションを提示し、
認証情報を受信し、
認証情報が取引を承認するために有効とされる登録された認証情報と一致するとの判定に従って、支払いを行うために資産をストアドバリュー口座から取引端末に転送する、
ように更に構成されている、条項２９５から３１１のいずれか一項に記載の電子デバイス。
条項３１３．
電子デバイスは、セキュア要素を含み、記憶された価値のうちの少なくともいくつかをカードから電子デバイスに記憶された仮想カードに転送することは、電子デバイスのセキュア要素に、仮想カードの記憶された価値にアクセスするための情報を記憶することを含む、条項１から１９のいずれか一項に記載の方法。
条項３１４．
電子デバイスは、セキュア要素を含み、記憶された価値のうちの少なくともいくつかをストアドバリューカードから電子デバイスに記憶された仮想カードに転送することは、電子デバイスのセキュア要素に、仮想カードの記憶された価値にアクセスするための情報を記憶することを含む、条項２６から４２のいずれか一項に記載の方法。
条項３１５．
電子デバイスは、セキュア要素を含み、支払い口座を使用して価値をストアドバリュー口座に追加することは、電子デバイスのセキュア要素に、ストアドバリュー口座の記憶された価値にアクセスするための情報を記憶することを含む、条項４９から６９のいずれか一項に記載の方法。
条項３１６．
電子デバイスは、セキュア要素を含み、ストアドバリュー口座の認証情報を非接触取引端末に転送することは、電子デバイスのセキュア要素から、ストアドバリュー口座の認証情報にアクセスするための情報を解放することを含む、条項７６から９３のいずれか一項に記載の方法。
条項３１７．
電子デバイスは、セキュア要素を含み、認証をチェックすることなく第１の口座に対応する情報を送信することは、電子デバイスのセキュア要素から、第１の口座に対応する情報にアクセスするための情報を解放することを含む、条項１００から１２６のいずれか一項に記載の方法。
条項３１８．
取引口座を第２のデバイスと関連付けさせることは、第２のデバイスに、取引口座の価値を取り出すための情報を第２のデバイスのセキュア要素に記憶させることを含み、取引口座を第１のデバイスから関連付けロック解除させることは、第１のデバイスに、取引口座の価値を取り出すための情報を第１のデバイスのセキュア要素に記憶させないことを含む、条項１３３から１４７のいずれか一項に記載の方法。
条項３１９．
電子デバイスは、セキュア要素を含み、方法は、
ストアドバリュー口座の支払い認証情報を電子デバイスにおいて受信したことに続いて、電子デバイスのセキュア要素に、ストアドバリュー口座の価値にアクセスするための情報を記憶することを更に含む、条項１５４から１７１のいずれか一項に記載の方法。
【０７６４】
説明を目的とした先の説明は、特定の実施形態に関して説明されてきた。しかしながら、上記の例示的な論考は、網羅的であること、又は本発明を、開示される厳密な形態に限定することを意図するものでない。上記の教示を鑑みて、多くの修正及び変形が可能である。これらの実施形態は、本技術の原理、及びその実際の適用を最も良好に説明するために、選択及び説明されたものである。当業者は、これにより、意図される特定の使用に適合する様々な修正を施して、本技術及び様々な実施形態を最も良好に利用することが可能になる。
【０７６５】
添付図面を参照して、本開示及び実施例を十分に説明してきたが、様々な変更及び修正が、当業者には明らかとなるであろうことに留意されたい。そのような変更及び修正は、特許請求の範囲によって定義されるような、本開示及び実施例の範囲内に含まれるものとして理解されたい。
【０７６６】
上述のように、本技術の一態様は、ユーザが求める内容又はユーザが関心を持つ可能性のある任意の他の内容の、ユーザへの提供を向上するために、種々のソースから入手可能なデータを収集及び使用することである。本開示は、場合によっては、この収集されたデータは、特定の人を一意的に特定するか、又はその人に連絡するか、若しくはその人のロケーションを特定するために用いることができる個人情報データを含んでよいことを企図している。このような個人情報データは、人口統計学的データ、位置に基づくデータ、電話番号、電子メールアドレス、自宅住所、又は任意のその他の識別情報を含むことができる。
【０７６７】
本開示は、本技術における、このような個人情報データの使用は、ユーザの利益のために使用することができると認識している。例えば、個人情報データは、よりユーザの興味を引く、的を絞ったコンテンツを配信するために用いられてもよい。したがって、このような個人情報データの使用は、配信されるコンテンツの意図的な制御を可能にする。更に、ユーザに利益をもたらす個人情報データの他の使用法も、本開示によって企図されている。
【０７６８】
本開示は、このような個人情報データの収集、分析、開示、転送、記憶、又はその他の使用に関与する事業体は、しっかり確立されたプライバシーポリシー及び／又はプライバシー慣行を遵守することを更に企図している。具体的には、そのようなエンティティは、個人情報データを秘密として厳重に保守するための業界又は政府の要件を満たすか又は上回るものとして一般に認識されている、プライバシーのポリシー及び慣行を実施し常に使用すべきである。例えば、ユーザからの個人情報は、その事業体の合法的かつ正当な使用のために収集されるべきであり、それらの合法的使用を除いて、共有又は販売されるべきでない。更に、そのような収集は、ユーザに告知して同意を受けた後にのみ実施するべきである。更に、そのようなエンティティは、そのような個人情報へのアクセスを保護して安全化し、その個人情報へのアクセスを有する他者が、自身のプライバシーポリシー及び手順を遵守することを保証するための、あらゆる必要な措置を講じることとなる。更には、そのようなエンティティは、広く受け入れられているプライバシーのポリシー及び慣行に対する自身の遵守を証明するために、第三者による評価を自らが受けることができる。
【０７６９】
前述のことがらにもかかわらず、本開示はまた、ユーザが、個人情報データの使用又は個人情報データへのアクセスを選択的に阻止する実施形態も企図している。すなわち、本開示は、そのような個人情報データへのアクセスを防止又は阻止するためのハードウェア要素及び／又はソフトウェア要素を提供することができることを企図している。例えば、広告配信サービスの場合、本技術は、ユーザがサービスの登録中に個人情報データの収集への参加の「オプトイン」又は「オプトアウト」を選択することを可能にするよう構成することができる。別の実施例では、ユーザは、的を絞ったコンテンツ配信サービスのために位置情報を提供しないことを選択することができる。更に別の例では、ユーザは正確な位置情報を提供しないが、位置領域情報の転送を許可することを選択することができる。
【０７７０】
したがって、本開示は、１つ以上の様々な開示された実施形態を実施するための個人情報データの使用を広範に網羅しているが、本開示は、それらの様々な実施形態がまた、そのような個人情報データにアクセスすることを必要とせずに実施されることも可能であることも企図している。即ち、本技術の様々な実施形態は、そのような個人情報データの全て又は一部分の欠如により、実施不可能になるものでない。例えば、ユーザと関連付けられたデバイスによって要求されるコンテンツなどの非個人情報データ若しくは必要最小限の個人情報、コンテンツ配信サービスが入手可能な他の非個人情報、又は公的に入手可能な情報に基づき嗜好を推測することによって、コンテンツを選択し、ユーザへ配信することができる。
【図１Ａ】
2019032845.tif 000003
【図１Ｂ】
2019032845.tif 000004
【図２】
2019032845.tif 000005
【図３】
2019032845.tif 000006
【図４Ａ】
2019032845.tif 000007
【図４Ｂ】
2019032845.tif 000008
【図５Ａ】
2019032845.tif 000009
【図５Ｂ】
2019032845.tif 000010
【図５Ｃ】
2019032845.tif 000011
【図５Ｄ】
2019032845.tif 000012
【図５Ｅ】
2019032845.tif 000013
【図５Ｆ】
2019032845.tif 000014
【図５Ｇ】
2019032845.tif 000015
【図５Ｈ】
2019032845.tif 000016
【図６】
2019032845.tif 000017
【図７Ａ】
2019032845.tif 000018
【図７Ｂ】
2019032845.tif 000019
【図７Ｃ】
2019032845.tif 000020
【図７Ｄ】
2019032845.tif 000021
【図７Ｅ】
2019032845.tif 000022
【図７Ｆ】
2019032845.tif 000023
【図７Ｇ】
2019032845.tif 000024
【図７Ｈ】
2019032845.tif 000025
【図７Ｉ】
2019032845.tif 000026
【図７Ｊ】
2019032845.tif 000027
【図７Ｋ】
2019032845.tif 000028
【図７Ｌ】
2019032845.tif 000029
【図７Ｍ】
2019032845.tif 000030
【図７Ｎ】
2019032845.tif 000031
【図７Ｏ】
2019032845.tif 000032
【図７Ｐ】
2019032845.tif 000033
【図８Ａ】
2019032845.tif 000034
【図８Ｂ】
2019032845.tif 000035
【図９Ａ】
2019032845.tif 000036
【図９Ｂ】
2019032845.tif 000037
【図９Ｃ】
2019032845.tif 000038
【図９Ｄ】
2019032845.tif 000039
【図９Ｅ】
2019032845.tif 000040
【図９Ｆ】
2019032845.tif 000041
【図９Ｇ】
2019032845.tif 000042
【図９Ｈ】
2019032845.tif 000043
【図９Ｉ】
2019032845.tif 000044
【図９Ｊ】
2019032845.tif 000045
【図９Ｋ】
2019032845.tif 000046
【図９Ｌ】
2019032845.tif 000047
【図９Ｍ】
2019032845.tif 000048
【図９Ｎ】
2019032845.tif 000049
【図１０】
2019032845.tif 000050
【図１１Ａ】
2019032845.tif 000051
【図１１Ｂ】
2019032845.tif 000052
【図１１Ｃ】
2019032845.tif 000053
【図１１Ｄ】
2019032845.tif 000054
【図１１Ｅ】
2019032845.tif 000055
【図１１Ｆ】
2019032845.tif 000056
【図１１Ｇ】
2019032845.tif 000057
【図１１Ｈ】
2019032845.tif 000058
【図１１Ｉ】
2019032845.tif 000059
【図１１Ｊ】
2019032845.tif 000060
【図１１Ｋ】
2019032845.tif 000061
【図１１Ｌ】
2019032845.tif 000062
【図１１Ｍ】
2019032845.tif 000063
【図１１Ｎ】
2019032845.tif 000064
【図１２Ａ】
2019032845.tif 000065
【図１２Ｂ】
2019032845.tif 000066
【図１３Ａ】
2019032845.tif 000067
【図１３Ｂ】
2019032845.tif 000068
【図１３Ｃ】
2019032845.tif 000069
【図１３Ｄ】
2019032845.tif 000070
【図１３Ｅ】
2019032845.tif 000071
【図１３Ｆ】
2019032845.tif 000072
【図１３Ｇ】
2019032845.tif 000073
【図１３Ｈ】
2019032845.tif 000074
【図１３Ｉ】
2019032845.tif 000075
【図１３Ｊ】
2019032845.tif 000076
【図１３Ｋ】
2019032845.tif 000077
【図１３Ｌ】
2019032845.tif 000078
【図１３Ｍ】
2019032845.tif 000079
【図１３Ｎ】
2019032845.tif 000080
【図１４Ａ】
2019032845.tif 000081
【図１４Ｂ】
2019032845.tif 000082
【図１５Ａ】
2019032845.tif 000083
【図１５Ｂ】
2019032845.tif 000084
【図１５Ｃ】
2019032845.tif 000085
【図１５Ｄ】
2019032845.tif 000086
【図１５Ｅ】
2019032845.tif 000087
【図１５Ｆ】
2019032845.tif 000088
【図１５Ｇ】
2019032845.tif 000089
【図１５Ｈ】
2019032845.tif 000090
【図１５Ｉ】
2019032845.tif 000091
【図１５Ｊ】
2019032845.tif 000092
【図１５Ｋ】
2019032845.tif 000093
【図１５Ｌ】
2019032845.tif 000094
【図１５Ｍ】
2019032845.tif 000095
【図１６Ａ】
2019032845.tif 000096
【図１６Ｂ】
2019032845.tif 000097
【図１７Ａ】
2019032845.tif 000098
【図１７Ｂ】
2019032845.tif 000099
【図１７Ｃ】
2019032845.tif 000100
【図１７Ｄ】
2019032845.tif 000101
【図１７Ｅ】
2019032845.tif 000102
【図１７Ｆ】
2019032845.tif 000103
【図１７Ｇ】
2019032845.tif 000104
【図１７Ｈ】
2019032845.tif 000105
【図１８】
2019032845.tif 000106
【図１９Ａ】
2019032845.tif 000107
【図１９Ｂ】
2019032845.tif 000108
【図１９Ｃ】
2019032845.tif 000109
【図１９Ｄ】
2019032845.tif 000110
【図１９Ｅ】
2019032845.tif 000111
【図１９Ｆ】
2019032845.tif 000112
【図１９Ｇ】
2019032845.tif 000113
【図１９Ｈ】
2019032845.tif 000114
【図２０Ａ】
2019032845.tif 000115
【図２０Ｂ】
2019032845.tif 000116
【図２１】
2019032845.tif 000117
【図２２】
2019032845.tif 000118
【図２３】
2019032845.tif 000119
【図２４】
2019032845.tif 000120
【図２５】
2019032845.tif 000121
【図２６】
2019032845.tif 000122
【図２７】
2019032845.tif 000123
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
ディスプレイ及び１つ以上の入力デバイスを有する電子デバイスにおいて、
前記ディスプレイ上で、アクティブ化可能な価値追加オプションを含むストアドバリュー口座の表現を表示することであって、前記電子デバイスは、前記ストアドバリュー口座及び支払い口座を含む電子ウォレットアプリケーションを有する、ことと、
前記ストアドバリュー口座の前記表現を表示する間、前記１つ以上の入力デバイスを介して、前記価値追加オプションのアクティブ化を検出することと、
前記１つ以上の入力デバイスを介して、前記電子ウォレットアプリケーションの前記支払い口座を使用して価値を前記ストアドバリュー口座に追加するための口座資産追加オプションのアクティブ化を検出することと、
資産を前記支払い口座から前記ストアドバリュー口座に追加するための提案される取引を表示する間、認証情報を前記電子デバイスにおいて受信することと、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加することと、
を含む方法。
【請求項２】
前記認証情報を受信したことに応じて、かつ前記認証情報が前記支払い口座を使用して支払い取引を実行するための登録された認証情報と一致しないとの判定に従って、前記支払い口座を使用して価値を前記ストアドバリュー口座に追加することを見合わせることを含む、請求項１に記載の方法。
【請求項３】
前記認証情報を受信する前に、価値を前記支払い口座から前記ストアドバリュー口座に追加するための承認を提供させるためのプロンプトを生成することを含む、請求項１又は２に記載の方法。
【請求項４】
ストアドバリュー口座の前記表現は、前記ストアドバリュー口座の現在の残高を含む、請求項１から３のいずれか一項に記載の方法。
【請求項５】
前記支払い口座を使用して価値を前記ストアドバリュー口座に追加したことに続いて、前記ストアドバリュー口座に追加された前記価値を反映するように前記ストアドバリュー口座の前記現在の残高の表示を更新することを更に含む、請求項４に記載の方法。
【請求項６】
前記ディスプレイ上で、アクティブ化可能な価値追加オプションを含まない第２の支払い口座の表現を表示することを更に含む、請求項１から５のいずれか一項に記載の方法。
【請求項７】
前記ディスプレイ上で、前記支払い口座を使用して前記ストアドバリュー口座に追加する価値のユーザ入力のためのユーザインタフェースを表示することであって、追加する価値のユーザ入力のための前記ユーザインタフェースは、
仮想数字キーパッドと、
１つ以上の提案額と、
前記ストアドバリュー口座の現在の残高と、
を同時に含む、ことと、
前記支払い口座を使用して前記ストアドバリュー口座に価値を追加するための額の入力を前記仮想数字キーパッドにおいて受信することと、
前記入力を前記仮想数字キーパッドにおいて受信したことに応じて、前記仮想数字キーパッドにおける前記受信された入力に基づいて、前記１つ以上の提案額の表示を更新することと、
を更に含む、請求項１から６のいずれか一項に記載の方法。
【請求項８】
前記仮想数字キーパッドにおける前記受信された入力は、前記支払い口座を使用して前記ストアドバリュー口座に価値を追加するための最大の許容可能な額を超える額に対応し、
前記仮想数字キーパッドにおける前記受信された入力に基づいて、前記１つ以上の提案額の表示を更新することは、前記最大の許容可能な額を反映するように前記１つ以上の提案額のうちの１つの表示を更新することを含む、請求項７に記載の方法。
【請求項９】
前記１つ以上の提案額のうちの少なくとも１つは、前記支払い口座を使用して前記ストアドバリュー口座に価値を追加するために使用された前の額に基づいている、請求項７又は８に記載の方法。
【請求項１０】
前記１つ以上の提案額のうちの少なくとも１つは、当月の当日に基づいている、請求項７から９のいずれか一項に記載の方法。
【請求項１１】
前記支払い口座を使用して前記ストアドバリュー口座に追加する価値のユーザ入力のための前記ユーザインタフェースは、前記ストアドバリュー口座に対応するカードのグラフィカル描写を更に同時に含み、
前記仮想数字キーパッドにおける前記受信された入力は、前記支払い口座を使用して前記ストアドバリュー口座に価値を追加するための最大の許容可能な額を超える額に対応し、
前記入力を前記仮想数字キーパッドにおいて受信したことに応じて、ある期間の間に振動するように前記ストアドバリュー口座に対応する前記カードの前記グラフィカル描写をアニメーションさせることを含む、請求項７から１０のいずれか一項に記載の方法。
【請求項１２】
価値を前記ストアドバリュー口座に追加するために選択された額のユーザ入力を受信することと、
前記選択された額のユーザ入力を受信したことに応じて、前記ディスプレイ上で、認証を要求するユーザインタフェースを表示することと、
を含む、請求項１から１１のいずれか一項に記載の方法。
【請求項１３】
前記ストアドバリュー口座は、トランジット口座である、請求項１から１２のいずれか一項に記載の方法。
【請求項１４】
前記ストアドバリュー口座は、ギフトカード口座である、請求項１から１３のいずれか一項に記載の方法。
【請求項１５】
前記支払い口座を使用して価値を前記ストアドバリュー口座に追加することは、前記支払い口座を使用して価値を前記ストアドバリュー口座に追加するための繰り返し発生する取引の一部である、請求項１から１４のいずれか一項に記載の方法。
【請求項１６】
前記ストアドバリュー口座の現在の残高が最小の残高通知レベルを下回ることを検出することと、
前記ストアドバリュー口座の前記現在の残高が前記最小の残高通知レベルを下回ることを検出したことに応じて、前記ストアドバリュー口座の前記現在の残高が前記最小の残高通知レベルを下回ることの通知を生成することと、
を含む、請求項１から１５のいずれか一項に記載の方法。
【請求項１７】
前記通知をアクティブ化するユーザ入力を受信することと、
前記通知をアクティブ化する前記ユーザ入力を受信したことに応じて、前記ディスプレイ上で、前記支払い口座を使用して前記ストアドバリュー口座に追加する価値のユーザ入力のためのユーザインタフェースを表示することと、
を含む、請求項１６に記載の方法。
【請求項１８】
前記ストアドバリュー口座は、トランジット口座であり、
前記ストアドバリュー口座の前記表現は、
前記トランジット口座と関連付けられたトランジットプランのインジケーションと、
前記トランジットプランの有効期限のインジケーションと、
を含む、請求項１から１３及び１５から１７のいずれか一項に記載の方法。
【請求項１９】
前記ストアドバリュー口座は、トランジット口座であり、前記方法は、
前記ディスプレイ上で、前記支払い口座を使用してトランジット口座に資産を追加するためのユーザインタフェースを表示することを更に含み、前記トランジット口座に資産を追加するための前記ユーザインタフェースは、
１つ以上の提案額と、
推薦されるトランジットプランの開始日及び終了日と、
を同時に含む、請求項１から１３及び１５から１８のいずれか一項に記載の方法。
【請求項２０】
前記ストアドバリュー口座は、トランジット口座であり、前記方法は、
前記ストアドバリュー口座のトランジットプランが更新期日であるとの判定に従って、前記ストアドバリュー口座の前記トランジットプランが更新期日であることを示す通知を生成することを更に含む、請求項１から１３及び１５から１９のいずれか一項に記載の方法。
【請求項２１】
前記ストアドバリュー口座は、トランジット口座であり、前記方法は、
トランジット駅への近接性を検出することと、
１つ以上のコンテキスト要因に基づいて予想される目的地を判定することと、
前記ストアドバリュー口座が前記トランジット駅から前記予想される目的地に旅行するための十分な資産を有しないとの判定に従って、前記ストアドバリュー口座が前記トランジット駅から前記予想される目的地に旅行するための十分な資産を有しないとの通知を生成することと、
を更に含み、
前記アクティブ化可能な価値追加オプションを含む前記ストアドバリュー口座の前記表現を表示することは、前記ストアドバリュー口座が十分な資産を有しないとの前記通知のアクティブ化を検出したことに応じている、請求項１から１３及び１５から２０のいずれか一項に記載の方法。
【請求項２２】
ディスプレイ及び１つ以上の入力デバイスを有する電子デバイスの１つ以上のプロセッサによって実行されるように構成されたプログラムであって、請求項１から２１のいずれか一項に記載の方法を実行する命令を含む、プログラム。
【請求項２３】
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、請求項１から２１のいずれか一項に記載の方法を実行する命令を含む、電子デバイス。
【請求項２４】
ディスプレイと、
１つ以上の入力デバイスと、
請求項１から２１のいずれか一項に記載の方法を実行するための手段と、
を備える電子デバイス。
【請求項２５】
ディスプレイ及び１つ以上の入力デバイス有する電子デバイスの１つ以上のプロセッサによって実行されるように構成されたプログラムであって、前記プログラムは、
前記ディスプレイ上で、アクティブ化可能な価値追加オプションを含むストアドバリュー口座であって、前記電子デバイスは、前記ストアドバリュー口座及び支払い口座を含む電子ウォレットアプリケーションを有する、ストアドバリュー口座の表現を表示し、
前記ストアドバリュー口座の前記表現を表示する間、前記１つ以上の入力デバイスを介して、前記価値追加オプションのアクティブ化を検出し、
前記１つ以上の入力デバイスを介して、前記電子ウォレットアプリケーションの前記支払い口座を使用して価値を前記ストアドバリュー口座に追加するための口座資産追加オプションのアクティブ化を検出し、
資産を前記支払い口座から前記ストアドバリュー口座に追加するための提案される取引を表示する間、認証情報を前記電子デバイスにおいて受信し、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する、
命令を含む、プログラム。
【請求項２６】
電子デバイスであって、
ディスプレイと、
１つ以上の入力デバイスと、
１つ以上のプロセッサと、
前記１つ以上のプロセッサによって実行されるように構成された１つ以上のプログラムを記憶したメモリと、
を備え、前記１つ以上のプログラムは、
前記ディスプレイ上で、アクティブ化可能な価値追加オプションを含むストアドバリュー口座であって、前記電子デバイスは、前記ストアドバリュー口座及び支払い口座を含む電子ウォレットアプリケーションを有する、ストアドバリュー口座の表現を表示し、
前記ストアドバリュー口座の前記表現を表示する間、前記１つ以上の入力デバイスを介して、前記価値追加オプションのアクティブ化を検出し、
前記１つ以上の入力デバイスを介して、前記電子ウォレットアプリケーションの前記支払い口座を使用して価値を前記ストアドバリュー口座に追加するための口座資産追加オプションのアクティブ化を検出し、
資産を前記支払い口座から前記ストアドバリュー口座に追加するための提案される取引を表示する間、認証情報を前記電子デバイスにおいて受信し、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する、
ためのトランザクションを含む、電子デバイス。
【請求項２７】
電子デバイスであって、
ディスプレイと、
１つ以上の入力デバイスと、
前記ディスプレイ上で、アクティブ化可能な価値追加オプションを含むストアドバリュー口座の表現を表示する手段であって、前記電子デバイスは、前記ストアドバリュー口座及び支払い口座を含む電子ウォレットアプリケーションを有する、手段と、
前記ストアドバリュー口座の前記表現を表示する間、前記１つ以上の入力デバイスを介して、前記価値追加オプションのアクティブ化を検出する手段と、
前記１つ以上の入力デバイスを介して、前記電子ウォレットアプリケーションの前記支払い口座を使用して価値を前記ストアドバリュー口座に追加するための口座資産追加オプションのアクティブ化を検出する手段と、
資産を前記支払い口座から前記ストアドバリュー口座に追加するための提案される取引を表示する間、認証情報を前記電子デバイスにおいて受信する手段と、
前記認証情報を受信したことに応じて、かつ前記認証情報が前記支払い口座を使用して支払い取引を実行するための登録された認証情報と一致するとの判定に従って、前記支払い口座を使用して価値を前記ストアドバリュー口座に追加する手段と、
を備える電子デバイス。
【外国語明細書】
2019032845000001.pdf